(57)【要約】      （修正有）【課題】ユーザ情報および取引情報を保存するモバイル金融取引システム（ＭＦＴＳ）と通信する、モバイル電話または無線接続された携帯情報端末（ＰＤＡ）などのモバイル装置を利用して、モバイル環境において金融取引を実施するための方法およびシステムを提供する。【解決手段】ＭＦＴＳは、支払うべき請求書またはその他の支払実行に対応する情報をモバイル装置ユーザの代わりに受け取る。ＭＦＴＳは、また、支払いを実行する際に使用するために利用可能な支払元に対応する情報も受け取る。選択された支払情報および支払元情報は、無線ネットワークを介してモバイルユーザに伝達されて、ユーザ選択のために表示される。ユーザは支払実行および支払元を選択する。モバイル支払命令が生成されて、ＭＦＴＳに伝達される。ＭＦＴＳは識別された被支払人に対する支払いを実行するよう支払命令受領者に命令する。支払残高がユーザのモバイル装置に提供される。【選択図】なし【特許請求の範囲】
【請求項１】
（＊＊モバイル環境における支払取引のための方法およびシステム＊＊）無線ネットワークと通信のために接続されたモバイル装置を使用してモバイル金銭支払（mobile financial payment）を実行するための方法であって、
モバイル通信サービスプロバイダ（ＭＣＳＰ：mobile communication service provider）を使用してユーザのモバイル装置と無線通信のために結合されるモバイル金銭取引システム（ＭＦＴＳ：mobile financial transaction system）を提供するステップであって、前記ＭＦＴＳが、前記ユーザに代わって被支払人（payee）に対する支払いを実行し得る１つまたは複数の支払命令受領者（payment instruction recipient）と電子通信のために結合され、前記ＭＦＴＳが、ユーザ情報、前記１つまたは複数の支払命令受領者および／または被支払人に関連づけられた支払実行情報（payment to make information）、ならびに少なくとも１つの金融サービスプロバイダ（financial service provider）に関連づけられた少なくとも１つの口座に関連づけられた支払元情報（payment source information）を保存するためのモバイル金銭取引システム（ＭＦＴＳ）データベースを含む、ステップと、
前記ＭＦＴＳにおいて、前記ユーザによって実行される被支払人に対する支払いに対応する支払実行情報を受け取るステップと、
前記ＭＦＴＳにおいて、前記支払実行情報に基づいて要約支払実行情報（summarized payment to make information）を生成するステップであって、前記要約支払実行情報が、前記支払実行情報の所定の選択されたサブセットを備える、ステップと、
前記要約支払実行情報を前記ＭＦＴＳから前記ユーザモバイル装置に前記ＭＣＳＰを介して無線で伝達するステップと、
前記ユーザモバイル装置において、１つまたは複数の選択可能な支払実行に対応する情報を表示するステップであって、前記１つまたは複数の選択可能な支払実行が、被支払人に関連づけられた前記要約支払実行情報を含む、ステップと、
前記ユーザモバイル装置において、支払実行の選択および支払いを実行するための支払元の選択に対応するユーザ入力を受け取るステップと、
前記ユーザモバイル装置において、前記ユーザ入力に応答して、選択された支払実行および前記選択された支払実行に対応する支払いを実行するための選択された支払元に対応する情報を備えるモバイル支払命令（mobile payment instruction）を生成するステップと、
前記モバイル支払命令を前記ユーザモバイル装置から前記ＭＦＴＳに無線で伝達するステップと、
前記ＭＦＴＳにおいて、前記モバイル支払命令の受け取りに応答して、前記モバイル支払命令によって指示された前記支払いを受け取るための識別された被支払人に対応する情報、および前記モバイル支払命令内で識別された選択された金融サービスプロバイダにおける選択された口座に対応する情報を、前記ＭＦＴＳデータベースから取り出すステップと、
前記ＭＦＴＳにおいて、支払命令受領者に対するＭＦＴＳ支払命令（MFTS payment instruction）を生成するステップであって、前記ＭＦＴＳ支払命令が、前記選択された金融サービスプロバイダにおける前記選択された口座を識別する情報、金額、および前記識別された被支払人に対応する情報を少なくとも含む、ステップと、
前記ＭＦＴＳ支払命令を前記ＭＦＴＳから選択された支払命令受領者に伝達するステップと、を備え、
それによって、前記支払命令受領者が、前記ＭＦＴＳ支払命令の受け取りに応答して、前記識別された被支払人に対する支払いを達成する、方法。
【請求項２】
前記支払実行情報が、請求書を備え、前記被支払人が、支払請求エンティティ（billing entity）である、請求項１に記載の方法。
【請求項３】
前記支払命令受領者が、金融サービスプロバイダ、支払請求アグリゲータ（billing aggregator）、または別個の支払請求エンティティの１つである、請求項１に記載の方法。
【請求項４】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項１に記載の方法。
【請求項５】
前記支払実行情報のための前記外部ソースが、複数の支払請求エンティティまたは個別の支払請求エンティティからの請求書情報を提供する請求書提示システム（bill presentment system）の１つまたは複数である、請求項４に記載の方法。
【請求項６】
前記支払実行情報が、以下の１つまたは複数、すなわち、定期請求書（recurring bill）、支払請求アグリゲータからの請求書、個別の支払請求会社からの請求書、「ペイエニワン（pay anyone）」支払のうちの１つまたは複数に対応する情報を備える、請求項１に記載の方法。
【請求項７】
前記ユーザモバイル装置において表示される１つまたは複数の支払実行に対応する前記情報が、要約請求書情報を備える、請求項１に記載の方法。
【請求項８】
前記ユーザモバイル装置において１つまたは複数の支払実行に対応する情報を表示する前記ステップが、「請求書閲覧」機能のユーザ活動化に応答して提供される、請求項１に記載の方法。
【請求項９】
前記ユーザモバイル装置において１つまたは複数の支払実行に対応する情報を表示する前記ステップが、前記ＭＦＴＳからのテキストメッセージの前記モバイル装置における受け取りに応答して提供される、請求項１に記載の方法。
【請求項１０】
前記ユーザモバイル装置上でモバイルウォレットアプリケーション（Mobile Wallet application）を提供するステップをさらに備える、請求項１に記載の方法。
【請求項１１】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項１０に記載の方法。
【請求項１２】
支払実行の選択に対応する前記ユーザ入力が、請求書閲覧コマンドの表示に応答して提供される、請求項１１に記載の方法。
【請求項１３】
前記請求書閲覧選択可能コマンドのユーザ活動化が、前記ＭＦＴＳに請求書提示システムから請求書情報を取り出させ、前記請求書提示システムからそのような情報を受け取ったときに要約請求書情報を前記モバイル装置に伝達させる、請求項１１に記載の方法。
【請求項１４】
支払いを実行するための支払元の選択に対応する前記ユーザ入力が、支払元閲覧コマンドの表示に応答して提供される、請求項１１に記載の方法。
【請求項１５】
支払いを実行するための支払元の前記選択が、金融サービスプロバイダの選択、および前記支払いを実行するための前記選択された金融サービスプロバイダに関連づけられた特定の口座の選択を含む、請求項１４に記載の方法。
【請求項１６】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項１１に記載の方法。
【請求項１７】
前記識別された被支払人が、請求書情報を前記ＭＦＴＳに伝達した支払請求エンティティに対応する、請求項１に記載の方法。
【請求項１８】
前記モバイル装置に伝達された前記要約支払実行情報が、被支払人識別子と、金額と、支払期日とから成る、請求項１に記載の方法。
【請求項１９】
前記モバイル装置が、前記要約支払実行情報内の前記被支払人識別子を利用し、識別された被支払人に対応する被支払人名情報をモバイル装置ローカルメモリから取り出し、前記被支払人名情報を前記ユーザに表示する、請求項１８に記載の方法。
【請求項２０】
前記ＭＦＴＳデータベースが、ユーザの金銭取引に対応する取引情報を保存し、前記取引情報が、前記支払実行のステータスを追跡するために利用される他の情報に加えて、前記支払実行情報を含む、請求項１に記載の方法。
【請求項２１】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項２０に記載の方法。
【請求項２２】
前記支払いを実行する際の所定の段階の完了に応答して、前記支払命令受領者から前記ＭＦＴＳに支払確認メッセージ（payment confirmation message）を伝達するステップをさらに備える、請求項１に記載の方法。
【請求項２３】
前記支払命令受領者からの前記支払確認メッセージの受け取りに応答して、支払確認メッセージを前記モバイル装置に伝達するステップをさらに備える、請求項２２に記載の方法。
【請求項２４】
前記ユーザモバイル装置において、支払いを実行するための支払方法の選択に対応するユーザ入力を受け取るステップと、
前記ユーザモバイル装置において、前記ユーザ入力に応答して、前記支払いを実行するための前記選択された方法に対応する情報を前記モバイル支払命令内に含めるステップと、
をさらに備える、請求項１に記載の方法。
【請求項２５】
前記選択可能な支払方法が、受領者定義方法、ＡＣＨ資金振替（ACH funds transfer）、小切手（paper check）、および価値保存（ＳＶ：stored value）カードを含む、請求項２４に記載の方法。
【請求項２６】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報を前記ＭＦＴＳデータベースに保存するステップと、
をさらに備える、請求項１に記載の方法。
【請求項２７】
前記ユーザモバイル装置を介して実行される取引に対応する取引情報を前記ウェブアプリケーションを介して取り出し、ユーザのコンピュータを介してユーザに表示するステップをさらに含む、請求項２６に記載の方法。
【請求項２８】
前記モバイル金銭支払が、ユーザに関連づけられた１つの口座から同じユーザに関連づけられた別の口座への残高振替（balance transfer）を含む、請求項１に記載の方法。
【請求項２９】
特定の日付時点の前記少なくとも１つの口座の残高を表すキャッシュされた口座残高（cached account balance）を前記モバイル装置に保存するステップと、
前記口座についての更新された口座残高情報を取得するために前記金融サービスプロバイダと通信するステップと、
更新された口座残高情報を前記ＭＦＴＳから前記ユーザモバイル装置に無線で伝達するステップと、
前記ＭＦＴＳからの更新された口座残高情報の受け取りに応答して、前記口座に対応する更新された口座残高情報を前記モバイル装置を介して前記ユーザに表示するステップと、
をさらに備える、請求項１に記載の方法。
【請求項３０】
無線ネットワークと通信のために接続されたモバイル装置を使用してモバイル金銭支払を実行するためのシステムであって、
モバイル金銭取引システム（ＭＦＴＳ）と無線通信のために結合されるユーザモバイル装置であって、要約支払実行情報を前記ＭＦＴＳから無線で受け取り、１つまたは複数の選択可能な支払実行を表示し、前記支払いを実行するための１つまたは複数の選択可能な口座を表示し、支払実行の選択および支払いを実行するための支払元の選択に対応するユーザ入力を受け取り、支払実行を指示する前記ＭＦＴＳに対するモバイル支払命令を生成し、前記モバイル支払命令を前記ＭＦＴＳに無線で伝達するように動作するユーザモバイル装置と、
ユーザ情報、１つまたは複数の被支払人に関連づけられた支払実行情報、およびユーザの少なくとも１つの金融サービスプロバイダに関連づけられた少なくとも１つの口座に関連づけられた支払元情報を保存するための前記ＭＦＴＳに関連づけられたモバイル金銭取引システム（ＭＦＴＳ）データベースと、
前記ＭＦＴＳデータベースを維持し、モバイル金銭支払に関与するエンティティ間で電子通信を実行するためのモバイル金銭取引システム（ＭＦＴＳ）コンピュータシステムと、
モバイル通信サービスプロバイダ（ＭＣＳＰ）を介してユーザモバイル装置を前記ＭＦＴＳに結合するためのモバイル通信インターフェースと、
少なくとも１つの支払命令受領者に前記ＭＦＴＳを結合するためのインターフェースと、
実行される支払いに対応する情報を提供する少なくとも１つの支払請求エンティティに前記ＭＦＴＳを結合するための請求書提示インターフェースと、
前記ＭＦＴＳコンピュータシステム上で動作するＭＦＴＳソフトウェアであって、
ユーザによって実行される被支払人に対する支払いに対応する支払実行情報を前記請求書提示インターフェースを介して受け取るコンピュータ実施ステップと、
実行される支払いに関係する前記支払実行情報に基づいて要約支払実行情報を生成するステップであって、前記要約支払実行情報が、前記支払実行情報の所定の選択されたサブセットを備える、コンピュータ実施ステップと、
前記要約支払実行情報を前記ＭＦＴＳから前記ユーザモバイル装置に前記ＭＣＳＰを介して無線で伝達するコンピュータ実施ステップと、
モバイル装置からのモバイル支払命令の受け取りに応答して、前記モバイル支払命令内で指示された前記支払いを受け取るための識別された被支払人に対応する情報、および前記支払命令内で識別された選択された金融サービスプロバイダにおける選択された口座に対応する情報を、前記ＭＦＴＳデータベースから取り出すコンピュータ実施ステップと、
支払命令受領者に対するＭＦＴＳ支払命令を生成するステップであって、前記ＭＦＴＳ支払命令が、前記選択された金融サービスプロバイダにおける前記選択された口座を識別する情報、金額、および前記識別された被支払人に対応する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアと、を備え、
それによって、前記支払命令受領者が、前記ＭＦＴＳ支払命令の受け取りに応答して、前記選択された金融サービスプロバイダにおける前記選択された口座を利用して前記識別された被支払人に対する支払いを実行する、システム。
【請求項３１】
前記支払実行情報が、請求書を備え、前記被支払人が、支払請求エンティティである、請求項３０に記載のシステム。
【請求項３２】
前記支払命令受領者が、金融サービスプロバイダ、支払請求アグリゲータ、または別個の支払請求エンティティを備える、請求項３０に記載のシステム。
【請求項３３】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項３０に記載のシステム。
【請求項３４】
前記支払実行情報のための前記外部ソースが、複数の支払請求エンティティまたは個別の支払請求エンティティからの請求書情報を提供する請求書提示システムを備える群から選択される、請求項３３に記載のシステム。
【請求項３５】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項３０に記載のシステム。
【請求項３６】
ユーザモバイル装置が、「請求書閲覧」機能のユーザ活動化に応答して１つまたは複数の支払実行に対応する情報を表示する、請求項３０に記載のシステム。
【請求項３７】
前記ユーザモバイル装置において表示される１つまたは複数の支払実行に対応する前記情報が、要約支払実行情報を備える、請求項３０に記載のシステム。
【請求項３８】
前記ユーザモバイル装置が、前記ＭＦＴＳからのテキストメッセージの前記モバイル装置における受け取りに応答して１つまたは複数の支払実行に対応する情報を表示する、請求項３０に記載のシステム。
【請求項３９】
前記ＭＦＴＳが、前記ユーザモバイル装置上で実行するためのモバイルウォレットアプリケーションを提供する、請求項３０に記載のシステム。
【請求項４０】
前記モバイルウォレットアプリケーションが、請求書閲覧コマンド、支払元閲覧コマンド、および請求書支払コマンドのうちの１つまたは複数を含む選択可能なコマンドの表示を前記ユーザモバイル装置上で提供する、請求項３９に記載のシステム。
【請求項４１】
支払実行の選択に対応する前記ユーザ入力が、請求書閲覧コマンドの表示に応答して提供される、請求項４０に記載のシステム。
【請求項４２】
前記請求書閲覧選択可能コマンドのユーザ活動化が、前記ＭＦＴＳに請求書提示システムから支払実行情報を取り出させ、前記請求書提示システムからそのような情報を受け取ったときに前記支払実行情報を前記モバイル装置に伝達させる、請求項４０に記載のシステム。
【請求項４３】
支払いを実行するための支払元の選択に対応する前記ユーザ入力が、支払元閲覧コマンドの表示に応答して提供される、請求項４０に記載のシステム。
【請求項４４】
支払いを実行するための支払元の前記選択が、金融サービスプロバイダの選択、および前記支払いを実行するための前記選択された金融サービスプロバイダに関連づけられた特定の口座の選択を含む、請求項４３に記載のシステム。
【請求項４５】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項４０に記載のシステム。
【請求項４６】
前記識別された被支払人が、請求書情報を前記ＭＦＴＳに伝達した支払請求エンティティに対応する、請求項３０に記載のシステム。
【請求項４７】
前記ＭＦＴＳによって前記モバイル装置に伝達された前記支払実行情報が、被支払人識別子と、金額と、支払期日とに限定される、請求項３０に記載のシステム。
【請求項４８】
前記モバイル装置が、前記支払実行情報内の前記被支払人識別子を利用し、識別された被支払人に対応する被支払人名情報をモバイル装置ローカルメモリから取り出し、前記被支払人名情報を前記ユーザに表示する、請求項４７に記載のシステム。
【請求項４９】
前記ＭＦＴＳデータベースが、ユーザの金銭取引に対応する取引情報を保存し、保存される前記取引情報が、前記支払実行のステータスを追跡するために利用される他の情報に加えて、前記支払実行情報を含む、請求項３０に記載のシステム。
【請求項５０】
前記取引情報が、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項４９に記載のシステム。
【請求項５１】
前記支払いの実行の完了の所定の段階において、前記支払命令受領者からの支払確認メッセージを前記ＭＦＴＳにおいて受け取ることをさらに備える、請求項３０に記載のシステム。
【請求項５２】
前記ＭＦＴＳが、前記支払命令受領者からの前記支払確認メッセージの受け取りに応答して、支払確認メッセージを前記モバイル装置に伝達する、請求項５１に記載のシステム。
【請求項５３】
前記ユーザモバイル装置が、支払いを実行するための支払方法の選択に対応するユーザ入力を受け取り、前記ユーザ入力に応答して、前記ユーザモバイル装置が、前記支払いを実行するための前記選択された方法に対応する情報を前記モバイル支払命令内に含める、請求項３０に記載のシステム。
【請求項５４】
前記選択可能な支払方法が、受領者定義方法、ＡＣＨ資金振替、小切手、および価値保存（ＳＶ）カードを含む、請求項５３に記載のシステム。
【請求項５５】
前記ＭＦＴＳが、インターネットなどのデータ通信ネットワークを介してユーザのコンピュータと電子通信のためにさらに結合され、金融サービスプロバイダ、金融サービスプロバイダにおける口座、および被支払人に対応するユーザ情報を受け取るように動作するウェブアプリケーションを備えるプログラムコードを前記ＭＦＴＳソフトウェア内にさらに備え、
前記ＭＦＴＳが、前記ユーザモバイル装置を介して開始される支払いに関して使用するため、前記ウェブアプリケーションを介して入力された前記ユーザ情報を前記ＭＦＴＳデータベースに保存するように動作する、請求項３０に記載のシステム。
【請求項５６】
前記ユーザモバイル装置を介して実行される取引に対応する取引情報を前記ウェブアプリケーションを介して取り出し、ユーザのコンピュータを介してユーザに表示するためのプログラムコードを前記ＭＦＴＳソフトウェア内にさらに備える、請求項５５に記載のシステム。
【請求項５７】
前記モバイル金銭支払が、ユーザに関連づけられた１つの口座から同じユーザに関連づけられた別の口座への残高振替を含む、請求項３０に記載のシステム。
【請求項５８】
前記ユーザモバイル装置が、特定の日付時点の前記少なくとも１つの口座の残高を表すキャッシュされた口座残高を前記モバイル装置に保存し、
前記ＭＦＴＳが、前記口座についての更新された口座残高情報を取得するために前記金融サービスプロバイダと通信し、更新された口座残高情報を前記ＭＦＴＳから前記ユーザモバイル装置に無線で伝達し、
前記ＭＦＴＳからの更新された口座残高情報の受け取りに応答して、前記モバイル装置が、前記口座に対応する更新された口座残高情報を前記ユーザに表示する、請求項３０に記載のシステム。
【請求項５９】
無線ネットワークと通信のために接続されたモバイル装置を使用してモバイル金銭支払を実行するための方法であって、
モバイル通信サービスプロバイダを介して前記モバイル装置に無線で送信される要約支払実行情報をモバイル金銭取引システム（ＭＦＴＳ）から受け取るステップであって、前記要約支払実行情報が、前記ＭＦＴＳに保存された支払実行情報の所定の選択されたサブセットを備える、ステップと、
ユーザモバイル装置において、１つまたは複数の選択可能な支払実行に対応する情報を表示するステップであって、前記１つまたは複数の選択可能な支払実行が、前記ＭＦＴＳから受け取った前記要約支払実行情報を含む、ステップと、
前記ユーザモバイル装置において、１つまたは複数の選択可能な支払元に対応する情報を表示するステップであって、前記１つまたは複数の選択可能な支払元が、支払いを実行するための選択可能な少なくとも１つの口座をユーザがそこに維持する金融サービスプロバイダを備える、ステップと、
支払実行の選択および支払いを実行するための支払元の選択に対応するユーザ入力を受け取るステップと、
前記ユーザモバイル装置において、選択された支払実行および前記選択された支払実行に対応する支払いを実行するための選択された支払元に対応する情報を備えるモバイル支払命令を生成するステップと、
前記モバイル支払命令を前記ユーザモバイル装置から前記ＭＦＴＳに無線で伝達するステップと、を備え、
それによって、前記モバイル支払命令に応答して、前記ＭＦＴＳが、識別された被支払人に対する支払いを達成する、方法。
【請求項６０】
前記ユーザモバイル装置において表示される１つまたは複数の支払実行に対応する前記情報が、要約支払実行情報を備える、請求項５９に記載の方法。
【請求項６１】
前記ユーザモバイル装置において表示される１つまたは複数の選択可能な支払元に対応する前記情報が、要約支払元情報を備える、請求項５９に記載の方法。
【請求項６２】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項５９に記載の方法。
【請求項６３】
前記支払実行情報のための前記外部ソースが、複数の支払請求エンティティまたは個別の支払請求エンティティからの請求書情報を提供する請求書提示システムを備える群から選択される、請求項６２に記載の方法。
【請求項６４】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項５９に記載の方法。
【請求項６５】
前記ユーザモバイル装置において１つまたは複数の支払実行に対応する情報を表示する前記ステップが、「請求書閲覧」機能のユーザ活動化に応答して提供される、請求項５９に記載の方法。
【請求項６６】
前記ユーザモバイル装置において１つまたは複数の支払実行に対応する情報を表示する前記ステップが、前記ＭＦＴＳからのテキストメッセージの前記モバイル装置における受け取りに応答して提供される、請求項５９に記載の方法。
【請求項６７】
前記ユーザモバイル装置上でモバイルウォレットアプリケーションを提供するステップをさらに備える、請求項５９に記載の方法。
【請求項６８】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項６７に記載の方法。
【請求項６９】
支払実行の選択に対応する前記ユーザ入力が、請求書閲覧コマンドの表示に応答して提供される、請求項６８に記載の方法。
【請求項７０】
前記請求書閲覧選択可能コマンドのユーザ活動化が、前記ＭＦＴＳに請求書提示システムから支払実行情報を取り出させ、前記請求書提示システムからそのような情報を受け取ったときに前記支払実行情報を前記モバイル装置に伝達させる、請求項６８に記載の方法。
【請求項７１】
支払いを実行するための支払元の選択に対応する前記ユーザ入力が、支払元閲覧コマンドの表示に応答して提供される、請求項６８に記載の方法。
【請求項７２】
支払いを実行するための支払元の前記選択が、金融サービスプロバイダの選択、および前記支払いを実行するための前記選択された金融サービスプロバイダに関連づけられた特定の口座の選択を含む、請求項７１に記載の方法。
【請求項７３】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項６８に記載の方法。
【請求項７４】
前記識別された被支払人が、請求書情報を前記ＭＦＴＳに伝達した支払請求エンティティに対応する、請求項５９に記載の方法。
【請求項７５】
前記ＭＦＴＳから前記モバイル装置に伝達された前記支払実行情報が、被支払人識別子と、金額と、支払期日とに限定される、請求項５９に記載の方法。
【請求項７６】
前記モバイル装置が、前記支払実行情報内の前記被支払人識別子を利用し、識別された被支払人に対応する被支払人名情報をモバイル装置ローカルメモリから取り出し、前記被支払人名情報を前記ユーザに表示する、請求項７５に記載の方法。
【請求項７７】
前記支払いの実行の完了の所定の段階における前記支払命令受領者からの支払確認メッセージの受け取りに応答して前記ＭＦＴＳによって提供される支払確認メッセージを前記モバイル装置において受け取るステップをさらに備える、請求項５９に記載の方法。
【請求項７８】
支払いを実行するための支払方法の選択に対応するユーザ入力を受け取るステップと、
前記ユーザ入力に応答して、前記支払いを実行するための前記選択された方法に対応する情報を前記支払命令内に含めるステップと、
をさらに備える、請求項５９に記載の方法。
【請求項７９】
前記選択可能な支払方法が、受領者定義方法、ＡＣＨ資金振替、小切手、および価値保存（ＳＶ）カードを含む、請求項７８に記載の方法。
【請求項８０】
前記モバイル金銭支払が、ユーザに関連づけられた１つの口座から同じユーザに関連づけられた別の口座への残高振替を含む、請求項５９に記載の方法。
【請求項８１】
特定の日付時点の前記少なくとも１つの口座の残高を表すキャッシュされた口座残高を前記モバイル装置に保存するステップと、
前記ＭＦＴＳからの更新された口座残高情報を前記ユーザモバイル装置において受け取るステップと、
前記ＭＦＴＳからの更新された口座残高情報の受け取りに応答して、前記口座に対応する更新された口座残高情報を前記モバイル装置を介して前記ユーザに表示するステップと、
をさらに備える、請求項５９に記載の方法。
【請求項８２】
無線ネットワークを介してモバイル金銭支払を実行するためのモバイル装置であって、
モバイル通信サービスプロバイダを介してモバイル金銭取引システム（ＭＦＴＳ）と無線通信のために接続されるモバイル装置であって、ディスプレイと、ユーザ入力手段と、プロセッサと、メモリとを含むモバイル装置と、
前記モバイル装置プロセッサ上で動作するモバイル装置ソフトウェアであって、
前記モバイル通信サービスプロバイダを介して前記モバイル装置に無線で送信される要約支払実行情報を前記モバイル金銭取引システム（ＭＦＴＳ）から受け取るステップであって、前記要約支払実行情報が、前記ＭＦＴＳに保存された支払実行情報の所定の選択されたサブセットを備える、コンピュータ実施ステップと、
１つまたは複数の選択可能な支払実行に対応する情報を前記モバイル装置ディスプレイ上に表示するステップであって、前記１つまたは複数の選択可能な支払実行が、前記ＭＦＴＳから受け取った前記要約支払実行情報を含む、コンピュータ実施ステップと、
１つまたは複数の選択可能な支払元に対応する情報を前記モバイル装置ディスプレイ上に表示するステップであって、前記１つまたは複数の選択可能な支払元が、支払いを実行するための選択可能な少なくとも１つの口座をユーザがそこに維持する金融サービスプロバイダを備える、コンピュータ実施ステップと、
支払実行の選択および支払いを実行するための支払元の選択に対応するユーザ入力を受け取るコンピュータ実施ステップと、
選択された支払実行および前記選択された支払実行に対応する支払いを実行するための選択された支払元に対応する情報を備えるモバイル支払命令を生成するコンピュータ実施ステップと、
識別された被支払人に対する支払いを達成するために、前記モバイル支払命令を前記ＭＦＴＳに無線で伝達するコンピュータ実施ステップと、
を実行するためのプログラムコードを備えるモバイル装置ソフトウェアと、
を備えるモバイル装置。
【請求項８２】
前記ユーザモバイル装置において表示される１つまたは複数の支払実行に対応する前記情報が、要約支払実行情報を備える、請求項８２に記載の装置。
【請求項８３】
前記ユーザモバイル装置において表示される１つまたは複数の選択可能な支払元に対応する前記情報が、要約支払元情報を備える、請求項８２に記載の装置。
【請求項８３】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項８２に記載の装置。
【請求項８４】
前記支払実行情報のための前記外部ソースが、複数の支払請求エンティティまたは個別の支払請求エンティティからの請求書情報を提供する請求書提示システムを備える群から選択される、請求項８３に記載の装置。
【請求項８５】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項８２に記載の装置。
【請求項８６】
１つまたは複数の支払実行に対応する情報を表示する前記ステップが、「請求書閲覧」機能のユーザ活動化に応答して提供される、請求項８２に記載の装置。
【請求項８７】
１つまたは複数の支払実行に対応する情報を表示する前記ステップが、前記ＭＦＴＳからのテキストメッセージの前記モバイル装置における受け取りに応答して提供される、請求項８２に記載の装置。
【請求項８８】
前記モバイル装置ソフトウェアが、モバイルウォレットアプリケーションを備える、請求項８２に記載の装置。
【請求項８９】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項８８に記載の装置。
【請求項９０】
支払実行の選択に対応する前記ユーザ入力が、請求書閲覧コマンドの表示に応答して提供される、請求項８９に記載の装置。
【請求項９１】
前記請求書閲覧選択可能コマンドのユーザ活動化が、前記ＭＦＴＳに請求書提示システムから支払実行情報を取り出させ、前記請求書提示システムからそのような情報を受け取ったときに前記支払実行情報を前記モバイル装置に伝達させる、請求項８９に記載の装置。
【請求項９２】
支払いを実行するための支払元の選択に対応する前記ユーザ入力が、支払元閲覧コマンドの表示に応答して提供される、請求項８９に記載の装置。
【請求項９３】
支払いを実行するための支払元の前記選択が、金融サービスプロバイダの選択、および前記支払いを実行するための前記選択された金融サービスプロバイダに関連づけられた特定の口座の選択を含む、請求項９２に記載の装置。
【請求項９４】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項８９に記載の装置。
【請求項９５】
前記識別された被支払人が、請求書情報を前記ＭＦＴＳに伝達した支払請求エンティティに対応する、請求項８２に記載の装置。
【請求項９６】
前記ＭＦＴＳから前記モバイル装置に伝達された前記支払実行情報が、被支払人識別子と、金額と、支払期日とに限定される、請求項８２に記載の装置。
【請求項９７】
前記モバイル装置が、前記支払実行情報内の前記被支払人識別子を利用し、識別された被支払人に対応する被支払人名情報をモバイル装置ローカルメモリから取り出し、前記被支払人名情報を前記ユーザに表示する、請求項９６に記載の装置。
【請求項９８】
前記モバイル装置ソフトウェアが、前記支払いの実行の完了の所定の段階における前記選択された金融サービスプロバイダからの支払確認メッセージの受け取りに応答して前記ＭＦＴＳによって提供される支払確認メッセージを受け取るようにさらに動作する、請求項８２に記載の装置。
【請求項９９】
前記モバイル装置ソフトウェアが、
支払いを実行するための支払方法の選択に対応するユーザ入力を受け取り、
前記ユーザ入力に応答して、前記支払いを実行するための前記選択された方法に対応する情報を前記支払命令内に含める、
ようにさらに動作する、請求項８２に記載の装置。
【請求項１００】
前記選択可能な支払方法が、受領者定義方法、ＡＣＨ資金振替、小切手、および価値保存（ＳＶ）カードを含む、請求項９９に記載の装置。
【請求項１０１】
前記モバイル金銭支払が、ユーザに関連づけられた１つの口座から同じユーザに関連づけられた別の口座への残高振替を含む、請求項８２に記載の装置。
【請求項１０２】
前記ユーザモバイル装置が、特定の日付時点の前記少なくとも１つの口座の残高を表すキャッシュされた口座残高を前記モバイル装置に保存し、
前記モバイル装置が、前記口座についての更新された口座残高情報を受け取り、更新された口座残高情報の受け取りに応答して、前記モバイル装置が、前記口座に対応する更新された口座残高情報を前記ユーザに表示する、請求項８２に記載の装置。
【請求項１０３】
無線ネットワークと通信のために接続されたモバイル装置によって開始されるモバイル金銭支払を円滑に行うためのモバイル金銭取引システム（ＭＦＴＳ）のためのコンピュータ実施方法であって、
ユーザ情報、支払実行情報、および少なくとも１つの金融サービスプロバイダに関連づけられた少なくとも１つの口座に関連づけられた支払元情報を保存するためのモバイル金銭取引システム（ＭＦＴＳ）データベースを提供するステップと、
モバイル装置ユーザによって被支払人に対して実行される支払いに対応する支払実行情報を受け取るステップと、
支払実行に基づいて要約支払実行情報を生成するステップであって、前記要約支払実行情報が、前記支払実行情報の所定の選択されたサブセットを備える、ステップと、
前記要約支払実行情報を前記ユーザモバイル装置に無線で伝達するステップと、
前記ユーザモバイル装置から伝達された支払命令を受け取るステップであって、前記支払命令が、ユーザ選択された支払実行および前記選択された支払実行に対応する支払いを実行するためのユーザ選択された支払元に対応する情報を備える、ステップと、
前記支払命令の受け取りに応答して、前記支払命令によって指示された前記支払いを受け取るための識別された被支払人に対応する情報、および前記支払いを実行するための支払命令受領者に対応する情報を、前記ＭＦＴＳデータベースから取り出すステップと、
前記支払命令受領者に対するＭＦＴＳ支払命令を生成するステップであって、前記ＭＦＴＳ支払命令が、選択された金融サービスプロバイダにおける選択された口座を識別する情報、金額、および前記識別された被支払人に対応する情報を少なくとも含む、ステップと、
前記ＭＦＴＳ支払命令を前記支払命令受領者に伝達するステップと、
を備えるコンピュータ実施方法。
【請求項１０４】
前記支払実行情報が、請求書を備え、前記被支払人が、支払請求エンティティである、請求項１０３に記載の方法。
【請求項１０５】
前記支払命令受領者が、金融サービスプロバイダ、支払請求アグリゲータ、または別個の支払請求エンティティの１つである、請求項１０３に記載の方法。
【請求項１０６】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項１０３に記載の方法。
【請求項１０７】
前記支払実行情報のための前記外部ソースが、複数の支払請求エンティティまたは単一の支払請求エンティティからの請求書情報を提供する請求書提示システムの１つである、請求項１０６に記載の方法。
【請求項１０８】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項１０３に記載の方法。
【請求項１０９】
支払請求エンティティからの請求書情報の受け取りに応答して、テキストメッセージをユーザモバイル装置に伝達するステップをさらに備える、請求項１０３に記載の方法。
【請求項１１０】
モバイル装置と前記ＭＦＴＳの間の通信を円滑にするために、ダウンロード可能なモバイルウォレットアプリケーションをユーザモバイル装置に提供するステップをさらに備える、請求項１０３に記載の方法。
【請求項１１１】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１１０に記載の方法。
【請求項１１２】
前記モバイル装置における請求書閲覧選択可能コマンドのユーザ活動化に応答して、請求書提示システムから支払実行情報を取り出し、前記請求書提示システムからそのような情報を受け取ったときに前記支払実行情報を前記モバイル装置に伝達する、請求項１１１に記載の方法。
【請求項１１３】
前記モバイル装置における前記支払元閲覧コマンドのユーザ活動化に応答して、１つまたは複数の金融サービスプロバイダから現在の口座情報を取り出し、前記１つまたは複数の金融サービスプロバイダからそのような情報を受け取ったときに前記現在の口座情報を前記モバイル装置に伝達する、請求項１１１に記載の方法。
【請求項１１４】
前記識別された被支払人が、請求書情報を前記ＭＦＴＳに伝達した支払請求エンティティに対応する、請求項１０３に記載の方法。
【請求項１１５】
前記モバイル装置に伝達された前記支払実行情報が、被支払人識別子と、金額と、支払期日とに限定される、請求項１０３に記載の方法。
【請求項１１６】
前記ＭＦＴＳデータベースが、ユーザのモバイル金銭取引に対応する取引情報を保存し、前記取引情報が、前記支払実行のステータスを追跡するために利用される他の情報に加えて、前記支払実行情報を含む、請求項１０３に記載の方法。
【請求項１１７】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項１１６に記載の方法。
【請求項１１８】
前記支払いを実行する際の所定の段階において、前記支払命令受領者から支払確認メッセージの受け取るステップをさらに備える、請求項１０３に記載の方法。
【請求項１１９】
前記支払命令受領者からの前記支払確認メッセージの受け取りに応答して、支払確認メッセージを前記モバイル装置に伝達するステップをさらに備える、請求項１１８に記載の方法。
【請求項１２０】
支払いを実行するための支払方法の選択に対応する情報を前記ユーザモバイル装置から受け取るステップと、前記選択された支払い方法に対応する情報を前記選択された支払命令受領者に提供するステップと、をさらに備える、請求項１０３に記載の方法。
【請求項１２１】
前記選択可能な支払方法が、受領者定義方法、ＡＣＨ資金振替、小切手、および価値保存（ＳＶ）カードを含む、請求項１２０に記載の方法。
【請求項１２２】
前記ＭＦＴＳが、インターネットなどのデータ通信ネットワークを介してユーザのコンピュータと電子通信のために結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報を前記ＭＦＴＳデータベースに保存するステップと、
をさらに備える、請求項１０３に記載の方法。
【請求項１２３】
前記ユーザモバイル装置を介して実行される取引に対応する取引情報を前記ウェブアプリケーションを介して取り出し、ユーザのコンピュータを介してユーザに表示するステップをさらに含む、請求項１２２に記載の方法。
【請求項１２４】
前記モバイル金銭支払が、ユーザに関連づけられた１つの口座から同じユーザに関連づけられた別の口座への残高振替を含む、請求項１０３に記載の方法。
【請求項１２５】
前記口座についての更新された口座残高情報を取得するために前記金融サービスプロバイダと通信するステップと、
更新された口座残高情報を前記ＭＦＴＳから前記ユーザモバイル装置に無線で伝達するステップと、をさらに備え、
それによって、前記ＭＦＴＳからの更新された口座残高情報の受け取りに応答して、前記ユーザモバイル装置が、前記口座に対応する更新された口座残高情報を前記ユーザに表示する、請求項１０３に記載の方法。
【請求項１２６】
無線ネットワークと通信のために接続されたモバイル装置によって開始されるモバイル金銭支払を円滑に行うためのモバイル金銭取引システム（ＭＦＴＳ）であって、
ユーザ情報、１つまたは複数の被支払人に関連づけられた支払実行情報、およびモバイル装置ユーザに関連づけられた少なくとも１つの金融サービスプロバイダに関連づけられた少なくとも１つの口座に関連づけられた支払元情報を保存するためのモバイル金銭取引システム（ＭＦＴＳ）データベースと、
前記ＭＦＴＳデータベースを維持し、モバイル金銭支払に関与するエンティティ間で電子通信を実行するためのモバイル金銭取引システム（ＭＦＴＳ）コンピュータシステムと、
前記ＭＦＴＳコンピュータシステム上で動作するＭＦＴＳソフトウェアであって、
モバイル装置ユーザによって実行される被支払人に対する支払いに対応する支払実行情報を受け取るコンピュータ実施ステップと、
前記支払実行情報の所定の選択されたサブセットを備える要約支払実行情報を生成するコンピュータ実施ステップと、
前記要約支払実行情報をユーザモバイル装置に関連づけられたモバイル通信サービスプロバイダを介して前記ユーザモバイル装置に伝達するコンピュータ実施ステップと、
前記ユーザモバイル装置から伝達されたモバイル支払命令を受け取るステップであって、前記支払命令が、ユーザ選択された支払実行および前記選択された支払実行に対応する支払いを実行するためのユーザ選択された支払元に対応する情報を備える、コンピュータ実施ステップと、
前記モバイル支払命令の受け取りに応答して、前記モバイル支払命令によって指示された前記支払いを受け取るための識別された被支払人に対応する情報、および選択された金融サービスプロバイダにおける選択された口座に対応する情報を、前記ＭＦＴＳデータベースから取り出すコンピュータ実施ステップと、
支払命令受領者に対するＭＦＴＳ支払命令を生成するステップであって、前記ＭＦＴＳ支払命令が、前記選択された金融サービスプロバイダにおける前記選択された口座を識別する情報、金額、および前記識別された被支払人に対応する情報を少なくとも含む、コンピュータ実施ステップと、
前記ＭＦＴＳ支払命令を前記支払命令受領者に伝達するコンピュータ実施ステップと、
を実行するためのプログラムコードを備えるＭＦＴＳソフトウェアと、を備え、
それによって、前記ＭＦＴＳ支払命令に応答して、前記支払命令受領者が、前記識別された被支払人に対する支払いを達成する、システム。
【請求項１２７】
前記支払実行情報が、請求書を備え、前記被支払人が、支払請求エンティティである、請求項１２６に記載のシステム。
【請求項１２８】
前記支払命令受領者が、金融サービスプロバイダ、支払請求アグリゲータ、または別個の支払請求エンティティを備える、請求項１２６に記載のシステム。
【請求項１２９】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項１２６に記載のシステム。
【請求項１３０】
前記支払実行情報のための前記外部ソースが、複数の支払請求エンティティまたは個別の支払請求エンティティからの請求書情報を提供する請求書提示システムの１つまたは複数である、請求項１２９に記載のシステム。
【請求項１３１】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項１２６に記載のシステム。
【請求項１３２】
前記ＭＦＴＳソフトウェアが、支払請求エンティティからの請求書情報の受け取りに応答して、テキストメッセージをユーザモバイル装置に伝達するようにさらに動作する、請求項１２６に記載のシステム。
【請求項１３３】
前記ＭＦＴＳソフトウェアが、モバイル装置と前記ＭＦＴＳの間の通信を円滑にするために、ダウンロード可能なモバイルウォレットアプリケーションをユーザモバイル装置に提供するようにさらに動作する、請求項１２６に記載のシステム。
【請求項１３４】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１３３に記載の方法。
【請求項１３５】
前記ＭＦＴＳソフトウェアが、前記モバイル装置における請求書閲覧選択可能コマンドのユーザ活動化に応答して、請求書提示システムから支払実行情報を取り出し、前記請求書提示システムからそのような情報を受け取ったときに前記支払実行情報を前記モバイル装置に伝達するようにさらに動作する、請求項１３４に記載のシステム。
【請求項１３６】
前記ＭＦＴＳソフトウェアが、前記モバイル装置における前記支払元閲覧コマンドのユーザ活動化に応答して、１つまたは複数の金融サービスプロバイダから現在の口座情報を取り出し、前記１つまたは複数の金融サービスプロバイダからそのような情報を受け取ったときに前記現在の口座情報を前記モバイル装置に伝達するようにさらに動作する、請求項１３４に記載のシステム。
【請求項１３７】
前記識別された被支払人が、請求書情報を前記ＭＦＴＳに伝達した支払請求エンティティに対応する、請求項１２６に記載の方法。
【請求項１３８】
前記モバイル装置に伝達された前記支払実行情報が、被支払人識別子と、金額と、支払期日とに限定される、請求項１２６に記載の方法。
【請求項１３９】
前記ＭＦＴＳデータベースが、ユーザのモバイル金銭取引に対応する取引情報を保存し、前記取引情報が、前記支払実行のステータスを追跡するために利用される他の情報に加えて、前記支払実行情報を含む、請求項１２６に記載の方法。
【請求項１４０】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項１３９に記載の方法。
【請求項１４１】
前記ＭＦＴＳソフトウェアが、前記支払いを実行する際の所定の段階において、支払命令受領者から支払確認メッセージの受け取るようにさらに動作する、請求項１２６に記載のシステム。
【請求項１４２】
前記ＭＦＴＳソフトウェアが、前記支払命令受領者からの前記支払確認メッセージの受け取りに応答して、支払確認メッセージを前記モバイル装置に伝達するようにさらに動作する、請求項１４１に記載のシステム。
【請求項１４３】
前記ＭＦＴＳソフトウェアが、支払いを実行するための支払方法の選択に対応する情報を前記ユーザモバイル装置から受け取り、前記選択された支払い方法に対応する情報を前記支払命令受領者に提供するようにさらに動作する、請求項１２６に記載のシステム。
【請求項１４４】
前記選択可能な支払方法が、受領者定義方法、ＡＣＨ資金振替、小切手、および価値保存（ＳＶ）カードを含む、請求項１４３に記載の方法。
【請求項１４５】
前記ＭＦＴＳが、インターネットなどのデータ通信ネットワークを介してユーザのコンピュータと電子通信のために結合され、
前記ＭＦＴＳに関連するウェブアプリケーションを提供するコンピュータ実施ステップと、
金融サービスプロバイダ、金融サービスプロバイダにおける口座、および被支払人に対応するユーザ情報を前記ウェブアプリケーションを介して受け取るコンピュータ実施ステップと、
前記ユーザモバイル装置を介して開始される支払いに関して使用するため、前記ウェブアプリケーションを介して入力された前記ユーザ情報を前記ＭＦＴＳデータベースに保存するコンピュータ実施ステップと、
をさらに備える、請求項１２６に記載の方法。
【請求項１４６】
前記ＭＦＴＳソフトウェアが、前記ユーザモバイル装置を介して実行される取引に対応する取引情報を前記ウェブアプリケーションを介して取り出し、ユーザのコンピュータを介してユーザに表示するようにさらに動作する、請求項１４５に記載のシステム。
【請求項１４７】
前記モバイル金銭支払が、ユーザに関連づけられた１つの口座から同じユーザに関連づけられた別の口座への残高振替を含む、請求項１２６に記載の方法。
【請求項１４８】
前記ＭＦＴＳが、前記口座についての更新された口座残高情報を取得するために前記金融サービスプロバイダと通信し、更新された口座残高情報を前記ＭＦＴＳから前記ユーザモバイル装置に無線で伝達し、
それによって、前記ＭＦＴＳからの更新された口座残高情報の受け取りに応答して、前記ユーザモバイル装置が、前記口座に対応する更新された口座残高情報を前記ユーザに表示する、請求項１２６に記載の方法。
【請求項１４９】
無線ネットワークを介して通信のために接続されたモバイル装置を利用して小切手による被支払人に対する金銭支払を実行するための方法であって、
前記ユーザモバイル装置において１つまたは複数の選択可能な支払実行に対応する情報を表示するステップと、
前記ユーザモバイル装置において前記支払いのための少なくとも１つの選択可能な支払元に対応する情報を表示するステップと、
前記ユーザモバイル装置において１つまたは複数の選択可能な支払方法に対応する情報を表示するステップであって、前記支払方法が、小切手支払方法を少なくとも含む、ステップと、
前記ユーザモバイル装置において、支払実行の選択、支払いを実行するための支払元の選択、および小切手支払方法の選択に対応するユーザ入力を受け取るステップと、
前記ユーザモバイル装置において、前記ユーザ入力に応答して、選択された支払実行、前記選択された支払実行に対応する支払いを実行するための選択された支払元、および前記小切手支払方法に対応する情報を備えるモバイル支払命令を生成するステップと、
前記モバイル支払命令を前記ユーザモバイル装置からモバイル金銭取引システム（ＭＦＴＳ）に無線で伝達するステップと、
前記ＭＦＴＳにおいて、前記モバイル支払命令の受け取りに応答して、前記支払命令によって指示された前記支払いを受け取るための識別された被支払人を決定するステップと、
前記ＭＦＴＳにおいて、支払命令受領者に対するＭＦＴＳ支払命令を生成するステップであって、前記ＭＦＴＳ支払命令が、識別する情報、金額、前記識別された被支払人に対応する情報、および前記小切手支払方法によって支払いを指示する情報を少なくとも含む、ステップと、
前記ＭＦＴＳ支払命令を前記ＭＦＴＳから選択された支払命令受領者に伝達するステップと、
前記支払命令受領者において、前記ＭＦＴＳ支払命令の受け取りに応答して、小切手を印刷し、前記被支払人に郵送することによって、前記識別された被支払人に対する支払いを実行するステップと、
を備える方法。
【請求項１５０】
前記支払命令受領者が、金融サービスプロバイダまたは支払請求アグリゲータである、請求項１４９に記載のシステム。
【請求項１５１】
前記モバイル金銭取引システム（ＭＦＴＳ）が、ユーザ情報、前記１つまたは複数の被支払人に関連づけられた支払実行情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記支払命令によって指示された前記支払いを受け取るための前記識別された被支払人、および前記支払命令内で識別された選択された金融サービスプロバイダにおける選択された口座に対応する情報を決定するステップが、前記ＭＦＴＳデータベースに事前保存された情報から前記情報を取り出すことによって達成される、請求項１４９に記載の方法。
【請求項１５２】
前記ＭＦＴＳデータベースが、ユーザの金銭取引に対応する取引情報を保存し、前記取引情報が、前記支払実行のステータスを追跡するために利用される他の情報に加えて、前記支払実行情報を含む、請求項１５１に記載の方法。
【請求項１５３】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項１５２に記載の方法。
【請求項１５４】
前記支払実行情報が、最初に外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力され、その後、前記ユーザへの表示のために前記モバイル装置に伝達される、請求項１４９に記載の方法。
【請求項１５５】
前記支払実行情報のための前記外部ソースが、複数の支払請求エンティティまたは個別の支払請求エンティティからの請求書情報を提供する請求書提示システムを備える群から選択される、請求項１５４に記載の方法。
【請求項１５６】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項１４９に記載の方法。
【請求項１５７】
前記ユーザモバイル装置において１つまたは複数の支払実行に対応する情報を表示する前記ステップが、「請求書閲覧」機能のユーザ活動化に応答して提供される、請求項１４９に記載の方法。
【請求項１５８】
前記ユーザモバイル装置において１つまたは複数の支払実行に対応する情報を表示する前記ステップが、前記ＭＦＴＳからのテキストメッセージの前記モバイル装置における受け取りに応答して提供される、請求項１４９に記載の方法。
【請求項１５９】
前記ユーザモバイル装置上でモバイルウォレットアプリケーションを提供するステップをさらに備える、請求項１４９に記載の方法。
【請求項１６０】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項１５９に記載の方法。
【請求項１６１】
支払実行の選択に対応する前記ユーザ入力が、請求書閲覧コマンドの表示に応答して提供される、請求項１６０に記載の方法。
【請求項１６２】
前記請求書閲覧選択可能コマンドのユーザ活動化が、前記ＭＦＴＳに請求書提示システムから支払実行情報を取り出させ、前記請求書提示システムからそのような情報を受け取ったときに前記支払実行情報を前記モバイル装置に伝達させる、請求項１６０に記載の方法。
【請求項１６３】
支払いを実行するための支払元の選択に対応する前記ユーザ入力が、支払元閲覧コマンドの表示に応答して提供される、請求項１６０に記載の方法。
【請求項１６４】
支払いを実行するための支払元の前記選択が、金融サービスプロバイダの選択、および前記支払いを実行するための前記選択された金融サービスプロバイダに関連づけられた特定の口座の選択を含む、請求項１６３に記載の方法。
【請求項１６５】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項１６３に記載の方法。
【請求項１６６】
前記識別された被支払人が、請求書情報を前記ＭＦＴＳに伝達した支払請求エンティティに対応する、請求項１４９に記載の方法。
【請求項１６７】
支払実行情報が、前記ユーザによって選択されるために前記ＭＦＴＳによって前記モバイル装置に伝達され、前記要約支払実行情報が、被支払人識別子と、金額と、支払期日とに限定される、請求項１４９に記載の方法。
【請求項１６８】
前記支払いを実行する際の所定の段階の完了に応答して、前記選択された金融サービスプロバイダから前記ＭＦＴＳに支払確認メッセージを伝達するステップをさらに備える、請求項１４９に記載の方法。
【請求項１６９】
前記選択された金融サービスプロバイダからの前記支払確認メッセージの受け取りに応答して、支払確認メッセージを前記モバイル装置に伝達するステップをさらに備える、請求項１６８に記載の方法。
【請求項１７０】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報を前記ＭＦＴＳデータベースに保存するステップと、
をさらに備える、請求項１４９に記載の方法。
【請求項１７１】
特定の日付時点の前記少なくとも１つの口座の残高を表すキャッシュされた口座残高を前記モバイル装置に保存するステップと、
更新された口座残高情報を前記ユーザモバイル装置において前記ＭＦＴＳから受け取るステップと、をさらに備え、
それによって、前記ＭＦＴＳからの更新された口座残高情報の受け取りに応答して、前記モバイル装置が、前記口座に対応する更新された口座残高情報を前記ユーザに表示する、請求項１４９に記載の方法。
【請求項１７２】
（＊＊モバイル環境において小切手によって支払いを実行するための方法およびシステム＊＊）無線ネットワークを介して通信のために接続されたモバイル装置を利用して小切手によって被支払人に対する金銭支払を実行するための方法であって、
前記モバイル装置において、支払命令受領者によって発行された小切手によって実行される支払いのための被支払人を識別する情報のユーザ入力を受け取るステップと、
前記ユーザモバイル装置において、前記ユーザ入力に応答して、前記識別された被支払人に対応する情報を備え、小切手支払方法を指示するモバイル支払命令を生成するステップと、
前記モバイル支払命令を前記ユーザモバイル装置からモバイル金銭取引システム（ＭＦＴＳ）に無線で伝達するステップと、
前記ＭＦＴＳにおいて、前記モバイル支払命令の受け取りに応答して、支払命令受領者に対応する情報を決定するステップと、
前記ＭＦＴＳにおいて、前記支払命令受領者に対するＭＦＴＳ支払命令を生成するステップであって、前記ＭＦＴＳ支払命令が、金融サービスプロバイダにおける口座を識別する情報、金額、前記識別された被支払人に対応する情報、および前記小切手支払方法による支払いを指示する情報を含む、ステップと、
前記ＭＦＴＳ支払命令を前記ＭＦＴＳから前記支払命令受領者に伝達するステップと、
前記支払命令受領者において、前記ＭＦＴＳ支払命令の受け取りに応答して、小切手を印刷し、前記被支払人に郵送することによって、前記識別された被支払人に対する支払いを準備するステップと、
を備える方法。
【請求項１７３】
前記ユーザモバイル装置において、前記ユーザモバイル装置において前記支払いのための少なくとも１つの選択可能な支払元に対応する情報を表示するステップと、支払いを実行するための支払元の選択に対応するユーザ入力を受け取るステップと、前記選択された支払元を指示する情報を前記モバイル支払命令に含めるステップと、をさらに備える、請求項１７２に記載の方法。
【請求項１７４】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含む、請求項１７２に記載の方法。
【請求項１７５】
前記ＭＦＴＳデータベースに事前保存された情報から前記情報を取り出すことによって、前記支払いを実行するための選択された金融サービスプロバイダにおける選択された口座に対応する情報を決定するステップをさらに備える、請求項１７４に記載の方法。
【請求項１７６】
前記ＭＦＴＳデータベースが、ユーザの金銭取引に対応する取引情報を保存し、前記取引情報が、支払実行のステータスを追跡するために利用される他の情報に加えて、支払実行情報を含む、請求項１７４に記載の方法。
【請求項１７７】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項１７６に記載の方法。
【請求項１７８】
被支払人情報が、前記モバイル装置における入力によって前記ユーザによって提供される、請求項１７２に記載の方法。
【請求項１７９】
被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に伝達される、請求項１７２に記載の方法。
【請求項１８０】
前記ユーザモバイル装置上でモバイルウォレットアプリケーションを提供するステップをさらに備える、請求項１７２に記載の方法。
【請求項１８１】
前記モバイルウォレットアプリケーションが、ペイエニワン・コマンド、支払元選択コマンド、および支払方法選択コマンドを含む選択可能なコマンドの表示を前記モバイル装置上で提供する、請求項１８０に記載の方法。
【請求項１８２】
支払元選択コマンドの表示に応答して、支払いを実行するための支払元の選択に対応するユーザ入力を受け取るステップをさらに備える、請求項１８１に記載の方法。
【請求項１８３】
金融サービスプロバイダの選択、および前記支払いを実行するための前記選択された金融サービスプロバイダに関連づけられた特定の口座の選択を備える、前記支払いを実行するための支払元のユーザ入力を受け取るステップをさらに備える、請求項１８２に記載の方法。
【請求項１８４】
前記支払元選択コマンドのユーザ活動化が、前記ＭＦＴＳに選択された金融サービスプロバイダから現在の口座情報を取り出させ、前記選択された金融サービスプロバイダからそのような情報を受け取ったときに現在の口座情報を前記モバイル装置に伝達させる、請求項１８１に記載の方法。
【請求項１８５】
前記識別された被支払人が、請求書情報を前記ＭＦＴＳに伝達した支払請求エンティティに対応する、請求項１７２に記載の方法。
【請求項１８６】
前記支払いを実行する際の所定の段階の完了に応答して、前記選択された金融サービスプロバイダから前記ＭＦＴＳに支払確認メッセージを伝達するステップをさらに備える、請求項１７２に記載の方法。
【請求項１８７】
前記選択された金融サービスプロバイダからの前記支払確認メッセージの受け取りに応答して、支払確認メッセージを前記モバイル装置に伝達するステップをさらに備える、請求項１８６に記載の方法。
【請求項１８８】
前記ＭＦＴＳが、インターネットなどのデータ通信ネットワークを介してユーザのコンピュータと電子通信のために結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報をＭＦＴＳデータベースに保存するステップと、
をさらに備える、請求項１７２に記載の方法。
【請求項１８９】
前記ユーザモバイル装置を介して実行される取引に対応する取引情報を前記ウェブアプリケーションを介して取り出し、前記ユーザのコンピュータ上でユーザに表示するステップをさらに備える、請求項１８８に記載の方法。
【請求項１９０】
特定の日付時点の前記少なくとも１つの口座の残高を表すキャッシュされた口座残高を前記モバイル装置に保存するステップと、
前記ＭＦＴＳから前記ユーザモバイル装置への更新された口座残高情報を受け取るステップと、をさらに備え、
それによって、前記ＭＦＴＳからの更新された口座残高情報の受け取りに応答して、前記ユーザモバイル装置が、前記口座に対応する更新された口座残高情報を前記ユーザに表示する、請求項１７２に記載の方法。
【請求項１９１】
無線ネットワークを介して通信のために接続されたモバイル装置を利用して小切手によって被支払人に対する金銭支払を実行するためのシステムであって、
モバイル金銭取引システム（ＭＦＴＳ）と無線通信のために結合されるユーザモバイル装置であって、ユーザが関係を維持する支払命令受領者によって発行された小切手によって実行される支払いのための被支払人を識別するユーザ入力を受け取り、支払実行を指示する前記ＭＦＴＳに対するモバイル支払命令を生成し、前記モバイル支払命令を前記ＭＦＴＳに無線で伝達するように動作するユーザモバイル装置と、
ＭＦＴＳソフトウェアを含むモバイル金銭取引システム（ＭＦＴＳ）であって、ＭＦＴＳソフトウェアが、
前記モバイル支払命令の受け取りに応答して、支払命令受領者に対応する情報を決定するコンピュータ実施ステップと、
前記支払命令受領者に対するＭＦＴＳ支払命令を生成するステップであって、前記ＭＦＴＳ支払命令が、金融サービスプロバイダにおける口座を識別する情報、金額、前記識別された被支払人に対応する情報、および小切手支払方法による支払いを指示する情報を含む、コンピュータ実施ステップと、
前記ＭＦＴＳ支払命令を前記ＭＦＴＳから前記支払命令受領者に伝達するコンピュータ実施ステップと、
を実行するためのプログラムコードを備える、モバイル金銭取引システム（ＭＦＴＳ）と、
前記ＭＦＴＳ支払命令の受け取りに応答して、小切手を印刷し、前記被支払人に郵送することによって、前記識別された被支払人に対する支払いを準備する支払命令受領者と、
を備えるシステム。
【請求項１９２】
前記モバイル装置が、前記ユーザモバイル装置において前記支払いのための少なくとも１つの選択可能な支払元に対応する情報を表示し、支払いを実行するための支払元の選択に対応するユーザ入力を受け取り、前記選択された支払元を指示する情報を前記モバイル支払命令に含める、請求項１９１に記載のシステム。
【請求項１９３】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含む、請求項１９１に記載のシステム。
【請求項１９４】
前記ＭＦＴＳプログラムコードが、前記ＭＦＴＳデータベースに事前保存された情報から前記情報を取り出すことによって、前記支払いを実行するための選択された金融サービスプロバイダにおける選択された口座に対応する情報を決定するように動作する、請求項１９３に記載のシステム。
【請求項１９５】
前記ＭＦＴＳデータベースが、ユーザの金銭取引に対応する取引情報を保存し、前記取引情報が、支払実行のステータスを追跡するために利用される他の情報に加えて、支払実行情報を含む、請求項１９３に記載のシステム。
【請求項１９６】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項１９５に記載のシステム。
【請求項１９７】
被支払人情報が、前記モバイル装置における入力によって前記ユーザによって提供される、請求項１９１に記載のシステム。
【請求項１９８】
被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に伝達される、請求項１９１に記載のシステム。
【請求項１９９】
前記ユーザモバイル装置が、モバイルウォレットアプリケーションを含む、請求項１９１に記載のシステム。
【請求項２００】
前記モバイルウォレットアプリケーションが、ペイエニワン・コマンド、支払元選択コマンド、および支払方法選択コマンドを含む選択可能なコマンドの表示を前記モバイル装置上で提供するプログラムコードを前記モバイル装置内に含む、請求項１９９に記載のシステム。
【請求項２０１】
前記モバイルウォレットアプリケーションが、支払元選択コマンドの表示に応答して、支払いを実行するための支払元の選択に対応するユーザ入力を受け取るように動作する、請求項２００に記載のシステム。
【請求項２０２】
前記モバイルウォレットアプリケーションが、金融サービスプロバイダの選択、および前記支払いを実行するための前記選択された金融サービスプロバイダに関連づけられた特定の口座の選択を備える、前記支払いを実行するための支払元のユーザ入力を受け取るように動作する、請求項２０１に記載のシステム。
【請求項２０３】
前記支払元選択コマンドのユーザ活動化が、前記ＭＦＴＳに選択された金融サービスプロバイダから現在の口座情報を取り出させ、前記選択された金融サービスプロバイダからそのような情報を受け取ったときに現在の口座情報を前記モバイル装置に伝達させる、前記ＭＦＴＳに対するコマンドを生成する、請求項２００に記載のシステム。
【請求項２０４】
前記識別された被支払人が、請求書情報を前記ＭＦＴＳに伝達した支払請求エンティティに対応する、請求項１９１に記載のシステム。
【請求項２０５】
前記選択された金融サービスプロバイダからの支払確認メッセージが、前記支払いを実行する際の所定の段階の完了時に、前記ＭＦＴＳによって受け取られる、請求項１９１に記載のシステム。
【請求項２０６】
前記ＭＦＴＳが、前記支払確認メッセージの受け取りに応答して、支払確認メッセージを前記モバイル装置に伝達するように動作する、請求項２０５に記載のシステム。
【請求項２０７】
前記ＭＦＴＳが、インターネットなどのデータ通信ネットワークを介してユーザのコンピュータと電子通信のために結合され、
前記ＭＦＴＳに関連するウェブアプリケーションを提供し、
金融サービスプロバイダ、金融サービスプロバイダにおける口座、および被支払人に対応するユーザ情報を前記ウェブアプリケーションを介して受け取り、
前記ユーザモバイル装置を介して開始される支払いに関して使用するため、前記ウェブアプリケーションを介して入力された前記ユーザ情報をＭＦＴＳデータベースに保存する、ように動作するコンピュータプログラムコードをさらに備える、請求項１９１に記載のシステム。
【請求項２０８】
前記ユーザモバイル装置を介して実行される取引に対応する取引情報を前記ウェブアプリケーションを介して取り出し、前記ユーザのコンピュータ上でユーザに表示するステップをさらに備える、請求項２０７に記載のシステム。
【請求項２０９】
前記ユーザモバイル装置が、特定の日付時点の前記少なくとも１つの口座の残高を表すキャッシュされた口座残高を前記モバイル装置に保存し、
前記ユーザモバイル装置が、前記ＭＦＴＳから前記ユーザモバイル装置への更新された口座残高情報を受け取り、
前記ＭＦＴＳからの更新された口座残高情報の受け取りに応答して、前記モバイル装置が、前記口座に対応する更新された口座残高情報を前記ユーザに表示する、請求項１９１に記載のシステム。
【請求項２１０】
無線ネットワークを介して通信のために接続されたモバイル装置を利用して小切手によって被支払人に対する金銭支払を実行するための方法であって、
前記モバイル装置において、ユーザが関係を維持する支払命令受領者によって発行された小切手によって実行される支払いのための被支払人を識別する情報のユーザ入力を受け取るステップと、
前記ユーザモバイル装置において、前記ユーザ入力に応答して、前記被支払人に対応する情報を備え、小切手支払方法を指示するモバイル支払命令を生成するステップと、
前記モバイル支払命令を前記ユーザモバイル装置からモバイル金銭取引システム（ＭＦＴＳ）に無線で伝達するステップと、
前記小切手の発行を反映した選択された口座の現在の口座残高を示す更新された金銭口座情報を前記モバイル装置上に表示するステップと、
を備える方法。
【請求項２１１】
前記ユーザモバイル装置において、前記ユーザモバイル装置において前記支払いのための少なくとも１つの選択可能な支払元に対応する情報を表示するステップと、支払いを実行するための支払元の選択に対応するユーザ入力を受け取るステップと、前記選択された支払元を指示する情報を前記モバイル支払命令に含めるステップと、をさらに備える、請求項２１０に記載の方法。
【請求項２１２】
被支払人情報が、前記モバイル装置における入力によって前記ユーザによって提供される、請求項２１０に記載の方法。
【請求項２１３】
１つまたは複数の選択可能な被支払人が、前記ユーザによる選択のために前記モバイル装置上に表示される、請求項２１２に記載の方法。
【請求項２１４】
被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に伝達される、請求項２１０に記載の方法。
【請求項２１５】
前記ユーザモバイル装置上でモバイルウォレットアプリケーションを提供するステップをさらに備える、請求項２１０に記載の方法。
【請求項２１６】
前記モバイルウォレットアプリケーションが、ペイエニワン・コマンド、支払元選択コマンド、および支払方法選択コマンドを含む選択可能なコマンドの表示を前記モバイル装置上で提供する、請求項２１５に記載の方法。
【請求項２１７】
支払元選択コマンドの表示に応答して、支払いを実行するための支払元の選択に対応するユーザ入力を受け取るステップをさらに備える、請求項２１６に記載の方法。
【請求項２１８】
金融サービスプロバイダの選択、および前記支払いを実行するための前記選択された金融サービスプロバイダに関連づけられた特定の口座の選択を備える、前記支払いを実行するための支払元のユーザ入力を受け取るステップをさらに備える、請求項２１７に記載の方法。
【請求項２１９】
前記支払元選択コマンドのユーザ活動化が、選択された金融サービスプロバイダからの現在の口座情報の取り出し、および前記モバイル装置への現在の口座情報の伝達を引き起こす、請求項２１５に記載の方法。
【請求項２２０】
前記被支払人が、請求書情報を前記ＭＦＴＳに伝達した支払請求エンティティに対応する、請求項２１０に記載の方法。
【請求項２２１】
前記ＭＦＴＳからの対応する支払確認メッセージの受け取りに応答して、前記モバイル装置において支払確認メッセージを表示するステップをさらに備える、請求項２１０に記載の方法。
【請求項２２２】
前記ＭＦＴＳが、インターネットなどのデータ通信ネットワークを介してユーザのコンピュータと電子通信のために結合され、前記ＭＦＴＳが、金融サービスプロバイダ、金融サービスプロバイダにおける口座、および被支払人に対応するユーザ情報を受け取るように動作するウェブアプリケーションを提供し、前記情報を前記ユーザモバイル装置に伝達するステップをさらに備える、請求項２１０に記載の方法。
【請求項２２３】
特定の日付時点の少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項２１０に記載の方法。
【請求項２２４】
無線ネットワークを介して小切手によって被支払人に対する金銭支払を実行するためのモバイル装置であって、
モバイル通信サービスプロバイダを介してモバイル金銭取引システム（ＭＦＴＳ）と無線通信のために接続されるモバイル装置であって、ディスプレイと、ユーザ入力手段と、プロセッサと、メモリとを含むモバイル装置と、
前記モバイル装置プロセッサ上で動作するモバイル装置ソフトウェアであって、
前記モバイル装置において、ユーザが関係を維持する支払命令受領者によって発行された小切手によって実行される支払いのための被支払人を識別する情報のユーザ入力を受け取るコンピュータ実施ステップと、
前記被支払人に対応する情報を備え、小切手支払方法を指示するモバイル支払命令を生成するコンピュータ実施ステップと、
前記モバイル支払命令を前記モバイル金銭取引システム（ＭＦＴＳ）に無線で伝達するコンピュータ実施ステップと、
前記小切手の発行を反映した選択された口座の現在の口座残高を示す更新された金銭口座情報を前記モバイル装置上に表示するコンピュータ実施ステップと、
を実行するためのプログラムコードを備えるモバイル装置ソフトウェアと、
を備えるモバイル装置。
【請求項２２５】
前記モバイル装置が、
前記ユーザモバイル装置において前記支払いのための少なくとも１つの選択可能な支払元に対応する情報を表示し、
支払いを実行するための支払元の選択に対応するユーザ入力を受け取り、
前記選択された支払元を指示する情報を前記モバイル支払命令に含める、
ようにさらに動作する、請求項２２４に記載のモバイル装置。
【請求項２２６】
被支払人情報が、前記モバイル装置における入力によって前記ユーザによって提供される、請求項２２４に記載のモバイル装置。
【請求項２２７】
１つまたは複数の選択可能な被支払人が、前記ユーザによる選択のために前記モバイル装置上に表示される、請求項２２６に記載のモバイル装置。
【請求項２２８】
被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に伝達される、請求項２２４に記載のモバイル装置。
【請求項２２９】
前記モバイル装置が、モバイルウォレットアプリケーションを含む、請求項２２４に記載のモバイル装置。
【請求項２３０】
前記モバイルウォレットアプリケーションが、ペイエニワン・コマンド、支払元選択コマンド、および支払方法選択コマンドを含む選択可能なコマンドの表示を前記モバイル装置上で提供する、請求項２２９に記載のモバイル装置。
【請求項２３１】
前記モバイルウォレットアプリケーションが、支払元選択コマンドの表示に応答して、支払いを実行するための支払元の選択に対応するユーザ入力を受け取るように動作する、請求項２３０に記載のモバイル装置。
【請求項２３２】
前記モバイルウォレットアプリケーションが、金融サービスプロバイダの選択、および前記支払いを実行するための前記選択された金融サービスプロバイダに関連づけられた特定の口座の選択を備える、前記支払いを実行するための支払元のユーザ入力を受け取るように動作する、請求項２３１に記載のモバイル装置。
【請求項２３３】
前記ユーザモバイル装置が、特定の日付時点の少なくとも１つの口座の残高を表すキャッシュされた口座残高を前記モバイル装置に保存し、
前記ＭＦＴＳ前記ユーザモバイル装置が、前記口座についての更新された口座残高情報を受け取り、更新された口座残高情報を前記ＭＦＴＳから前記ユーザモバイル装置に無線で伝達し、更新された口座残高情報の受け取りに応答して、前記モバイル装置が、前記口座に対応する更新された口座残高情報を前記ユーザに表示する、請求項２３２に記載のモバイル装置。
【請求項２３４】
前記支払元選択コマンドのユーザ活動化が、選択された金融サービスプロバイダからの現在の口座情報の取り出し、および前記モバイル装置への現在の口座情報の伝達を引き起こす、請求項２２９に記載のモバイル装置。
【請求項２３５】
前記被支払人が、請求書情報を前記ＭＦＴＳに伝達した支払請求エンティティに対応する、請求項２２４に記載のモバイル装置。
【請求項２３６】
前記モバイル装置が、前記ＭＦＴＳからの対応する支払確認メッセージの受け取りに応答して、支払確認メッセージを表示するように動作する、請求項２２４に記載のモバイル装置。
【請求項２３７】
前記ＭＦＴＳが、インターネットなどのデータ通信ネットワークを介してユーザのコンピュータと電子通信のために結合され、前記ＭＦＴＳが、金融サービスプロバイダ、金融サービスプロバイダにおける口座、および被支払人に対応するユーザ情報を受け取るように動作するウェブアプリケーションを提供し、
前記モバイル装置が、前記情報を受け取り、前記ユーザモバイル装置において表示するようにさらに動作する、請求項２２４に記載のモバイル装置。
【請求項２３８】
無線ネットワークを介して通信のために接続されたモバイル装置に応答して小切手によって被支払人に対する金銭支払を達成するためのモバイル金銭取引システム（ＭＦＴＳ）用のコンピュータ実施方法であって、
ユーザモバイル装置からモバイル支払命令を無線で受け取るステップであって、前記モバイル支払命令が、識別された被支払人に対応する情報を備え、小切手支払方法を指示する、ステップと、
小切手発行体（paper check issuing entity）との関係を維持する支払命令受領者に対するＭＦＴＳ支払命令を生成するステップであって、前記ＭＦＴＳ支払命令が、金額を識別する情報、前記識別された被支払人に対応する情報、および小切手支払方法による支払いを指示する情報を含む、ステップと、
前記ＭＦＴＳ支払命令を前記ＭＦＴＳから前記支払命令受領者に伝達するステップと、を備え、
それによって、前記支払命令受領者において、前記ＭＦＴＳ支払命令の受け取りに応答して、小切手を印刷し、前記被支払人に郵送することによって、前記識別された被支払人に対する支払いが達成される、方法。
【請求項２３９】
前記モバイル支払命令が、前記ＭＦＴＳに事前保存された複数の名前の１つとして被支払人を識別する情報を含む、請求項２３８に記載の方法。
【請求項２４０】
前記支払命令受領者が、金融サービスプロバイダおよび支払請求アグリゲータの一方である、請求項２３８に記載の方法。
【請求項２４１】
特定の日付時点の少なくとも１つの口座の残高を表すキャッシュされた口座残高を前記モバイル装置に保存するステップと、
前記口座についての更新された口座残高情報の受け取るステップと、
更新された口座残高情報の受け取りに応答して、前記口座に対応する更新された口座残高情報を前記ユーザモバイル装置を介してユーザに表示するステップと、
をさらに備える、請求項２４０に記載の方法。
【請求項２４２】
前記モバイル支払命令が、前記支払いのための前記ユーザの少なくとも１つの選択可能な支払元を選択する情報を含む、請求項２３８に記載の方法。
【請求項２４３】
支払いを実行するための支払元の前記選択が、金融サービスプロバイダの選択、および前記支払いを実行するための前記選択された金融サービスプロバイダに関連づけられた特定の口座の選択を含む、請求項２４２に記載の方法。
【請求項２４４】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させる、請求項２４２に記載の方法。
【請求項２４５】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記ＭＦＴＳデータベースに事前保存された情報から前記情報を取り出すことによって、前記支払命令内で識別される金融サービスプロバイダにおける選択された口座に対応する情報を決定するステップをさらに備える、請求項２４２に記載の方法。
【請求項２４６】
前記ＭＦＴＳデータベースが、ユーザの金銭取引に対応する取引情報を保存し、前記取引情報が、前記支払いのステータスを追跡するために利用される他の情報に加えて、支払情報も含む、請求項２３８に記載の方法。
【請求項２４７】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項２４６に記載の方法。
【請求項２４８】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項２３８に記載の方法。
【請求項２４９】
前記ユーザモバイル装置上にインストールして使用するためのダウンロード可能モバイルウォレットアプリケーションを提供するステップをさらに備える、請求項２３８に記載の方法。
【請求項２５０】
前記モバイルウォレットアプリケーション上での支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項２４９に記載の方法。
【請求項２５１】
前記支払いを実行する際の所定の段階の完了に応答して、支払確認メッセージを前記ＭＦＴＳにおいて前記支払命令受領者から受け取るステップをさらに備える、請求項２３８に記載の方法。
【請求項２５２】
前記支払命令受領者からの前記支払確認メッセージの受け取りに応答して、支払確認メッセージを前記モバイル装置に無線で伝達するステップをさらに備える、請求項２５１に記載の方法。
【請求項２５３】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および支払請求エンティティに対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報をＭＦＴＳデータベースに保存するステップと、
をさらに備える、請求項２３８に記載の方法。
【請求項２５４】
前記ユーザモバイル装置を介して実行される取引に対応する取引情報を前記ウェブアプリケーションを介して取り出し、前記ユーザのコンピュータ上でユーザに表示するステップをさらに備える、請求項２５３に記載の方法。
【請求項２５５】
被支払人のモバイル装置にメッセージを無線で伝達するステップであって、前記メッセージが、前記ユーザによって支払いが小切手によって送られたことを前記被支払人に通知する、ステップをさらに備える、請求項２３８に記載の方法。
【請求項２５６】
前記被支払人のモバイル装置への前記メッセージが、テキストメッセージを備える、請求項２５５に記載の方法。
【請求項２５７】
前記被支払人のモバイル装置への前記メッセージが、前記被支払人のモバイル装置上にインストールされたモバイルウォレットアプリケーションを介して提供される、請求項２５５に記載の方法。
【請求項２５８】
無線ネットワークを介して通信のために接続されたモバイル装置に応答して小切手によって被支払人に対する金銭支払を達成するためのシステムであって、
モバイル通信サービスプロバイダ（ＭＣＳＰ）を使用してユーザの１つまたは複数のモバイル装置と無線通信のために結合されるモバイル金銭取引システム（ＭＦＴＳ）であって、小切手の発行および郵送を介して支払いを達成する支払命令受領者と電子通信のために結合され、ユーザ情報および支払情報を保存するためのモバイル金銭取引システム（ＭＦＴＳ）データベースを含み、
ユーザモバイル装置からモバイル支払命令を無線で受け取るステップであって、前記モバイル支払命令が、識別された被支払人に対応する情報を備え、小切手支払方法を指示する、コンピュータ実施ステップと、
小切手発行体との関係を維持する支払命令受領者に対するＭＦＴＳ支払命令を生成するステップであって、前記ＭＦＴＳ支払命令が、金額を識別する情報、前記識別された被支払人に対応する情報、および小切手支払方法による支払いを指示する情報を含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアを含む、モバイル金銭取引システム（ＭＦＴＳ）を備え、
それによって、前記支払命令受領者において、前記ＭＦＴＳ支払命令の受け取りに応答して、小切手を印刷し、前記被支払人に郵送することによって、前記識別された被支払人に対する支払いが達成される、システム。
【請求項２５９】
前記モバイル支払命令が、前記ＭＦＴＳに事前保存された複数の名前の１つとして被支払人を識別する情報を含む、請求項２５８に記載のシステム。
【請求項２６０】
前記支払命令受領者が、金融サービスプロバイダおよび支払請求アグリゲータの一方である、請求項２５８に記載のシステム。
【請求項２６１】
前記ＭＦＴＳが、口座についての更新された口座残高情報を取得するために前記金融サービスプロバイダと通信し、
前記ＭＦＴＳが、更新された口座残高情報を前記ＭＦＴＳから前記ユーザモバイル装置に無線で伝達し、
前記ＭＦＴＳからの更新された口座残高情報の受け取りに応答して、前記モバイル装置が、前記口座に対応する更新された口座残高情報を前記ユーザに表示する、請求項２６０に記載のシステム。
【請求項２６２】
前記モバイル支払命令が、前記支払いのための前記ユーザの少なくとも１つの選択可能な支払元を選択する情報を含む、請求項２５８に記載のシステム。
【請求項２６３】
支払いを実行するための支払元の前記選択が、金融サービスプロバイダの選択、および前記支払いを実行するための前記選択された金融サービスプロバイダに関連づけられた特定の口座の選択を含む、請求項２６２に記載のシステム。
【請求項２６４】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させる、請求項２６２に記載のシステム。
【請求項２６５】
前記モバイル金銭取引システム（ＭＦＴＳ）データベースが、少なくとも１つの金融サービスプロバイダに関連づけられた少なくとも１つの口座に関連づけられた支払元情報も保存し、
前記ＭＦＴＳデータベースに事前保存された情報から前記情報を取り出すことによって、前記支払命令内で識別される金融サービスプロバイダにおける選択された口座に対応する情報を決定するステップをさらに備える、請求項２６２に記載のシステム。
【請求項２６６】
前記ＭＦＴＳが、ユーザの金銭取引に対応する取引情報を保存し、前記取引情報が、前記支払いのステータスを追跡するために利用される他の情報に加えて、前記支払情報も含む、請求項２５８に記載のシステム。
【請求項２６７】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項２６６に記載のシステム。
【請求項２６８】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項２５８に記載のシステム。
【請求項２６９】
前記ユーザモバイル装置上にインストールして使用するためのダウンロード可能モバイルウォレットアプリケーションを提供するステップをさらに備える、請求項２５８に記載のシステム。
【請求項２７０】
前記モバイルウォレットアプリケーション上での支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に伝達させる、請求項２６９に記載のシステム。
【請求項２７１】
前記支払いを実行する際の所定の段階の完了に応答して、支払確認メッセージを前記ＭＦＴＳにおいて前記支払命令受領者から受け取るステップをさらに備える、請求項２５８に記載のシステム。
【請求項２７２】
前記支払命令受領者からの前記支払確認メッセージの受け取りに応答して、支払確認メッセージを前記モバイル装置に無線で伝達するステップをさらに備える、請求項２７１に記載のシステム。
【請求項２７３】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および支払請求エンティティに対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報をＭＦＴＳデータベースに保存するステップと、
をさらに備える、請求項２５８に記載のシステム。
【請求項２７４】
前記ユーザモバイル装置を介して実行される取引に対応する取引情報を前記ウェブアプリケーションを介して取り出し、前記ユーザのコンピュータ上でユーザに表示するステップをさらに備える、請求項２７３に記載のシステム。
【請求項２７５】
被支払人のモバイル装置へのメッセージが、テキストメッセージを備える、請求項２７４に記載のシステム。
【請求項２７６】
被支払人のモバイル装置にメッセージを無線で伝達するステップであって、前記メッセージが、前記ユーザによって支払いが小切手によって送られたことを前記被支払人に通知する、ステップをさらに備える、請求項２５８に記載のシステム。
【請求項２７７】
前記被支払人のモバイル装置への前記メッセージが、前記被支払人のモバイル装置上にインストールされたモバイルウォレットアプリケーションを介して提供される、請求項２７６に記載のシステム。
【請求項２７８】
無線ネットワークを介して通信のために接続されたモバイル装置を利用して小切手によって被支払人に対する金銭支払を実行するための方法であって、
前記ユーザモバイル装置において、１つまたは複数の選択可能な支払実行に対応する情報を表示するステップと、
前記ユーザモバイル装置において、前記支払いのための少なくとも１つの選択可能な支払元に対応する情報を表示するステップと、
前記ユーザモバイル装置において、少なくとも１つの選択可能な支払方法を表示するステップであって、前記支払方法が、小切手支払方法を含む、ステップと、
前記ユーザモバイル装置において、支払実行の選択、支払いを実行するための支払元の選択、および小切手支払方法の選択に対応するユーザ入力を受け取るステップと、
前記ユーザモバイル装置において、前記ユーザ入力に応答して、選択された支払実行、前記選択された支払実行に対応する支払いを実行するための少なくとも１つの金融サービスプロバイダに関連づけられた選択された支払元、および前記小切手支払方法に対応する情報を備えるモバイル支払命令を生成するステップと、
前記モバイル支払命令を前記ユーザモバイル装置からモバイル金銭取引システム（ＭＦＴＳ）に無線で伝達するステップと、
前記ＭＦＴＳにおいて、前記モバイル支払命令の受け取りに応答して、前記支払命令によって指示された前記支払いを受け取るための識別された被支払人、および選択された金融サービスプロバイダにおける選択された口座に対応する情報を決定するステップと、
前記ＭＦＴＳにおいて、支払命令受領者に対するＭＦＴＳ支払命令を生成するステップであって、前記ＭＦＴＳ支払命令が、前記選択された金融サービスプロバイダにおける口座を識別する情報、金額、前記識別された被支払人に対応する情報、および前記小切手支払方法による支払いを指示する情報を少なくとも含む、ステップと、
前記ＭＦＴＳ支払命令を前記ＭＦＴＳから選択された支払命令受領者に伝達するステップと、
前記支払命令受領者において、前記ＭＦＴＳ支払命令の受け取りに応答して、小切手を印刷し、前記被支払人に郵送することによって、前記識別された被支払人に対する支払いを実行するステップと、
を備える方法。
【請求項２７９】
前記支払命令受領者が、金融サービスプロバイダまたは支払請求アグリゲータを備える、請求項２７８に記載のシステム。
【請求項２８０】
前記モバイル金銭取引システム（ＭＦＴＳ）が、ユーザ情報、前記１つまたは複数の被支払人に関連づけられた支払実行情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記支払命令によって指示された前記支払いを受け取るための前記識別された被支払人、および前記支払命令内で識別された前記選択された金融サービスプロバイダにおける前記選択された口座に対応する情報を決定するステップが、前記ＭＦＴＳデータベースに事前保存された情報から前記情報を取り出すことによって達成される、請求項２７８に記載の方法。
【請求項２８１】
前記ＭＦＴＳデータベースが、ユーザの金銭取引に対応する取引情報を保存し、前記取引情報が、前記支払実行のステータスを追跡するために利用される他の情報に加えて、前記支払実行情報も含む、請求項２８０に記載の方法。
【請求項２８２】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項２８１に記載の方法。
【請求項２８３】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力され、その後、前記ユーザへの表示のために前記モバイル装置に伝達される、請求項２７８に記載の方法。
【請求項２８４】
前記支払実行情報のための前記外部ソースが、複数の支払請求エンティティからの請求書情報を提供する請求書提示システムまたは個別の支払請求エンティティを備える群から選択される、請求項２８３に記載の方法。
【請求項２８５】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項２７８に記載の方法。
【請求項２８６】
前記ユーザモバイル装置において１つまたは複数の支払実行に対応する情報を表示する前記ステップが、「請求書閲覧」機能のユーザ活動化に応答して提供される、請求項２７８に記載の方法。
【請求項２８７】
前記ユーザモバイル装置において１つまたは複数の支払実行に対応する情報を表示する前記ステップが、前記ＭＦＴＳからのテキストメッセージの前記モバイル装置における受け取りに応答して提供される、請求項２７８に記載の方法。
【請求項２８８】
前記ユーザモバイル装置上でモバイルウォレットアプリケーションを提供するステップをさらに備える、請求項２７８に記載の方法。
【請求項２８９】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項２８８に記載の方法。
【請求項２９０】
支払実行の選択に対応する前記ユーザ入力が、請求書閲覧コマンドの表示に応答して提供される、請求項２８９に記載の方法。
【請求項２９１】
前記請求書閲覧選択可能コマンドのユーザ活動化が、前記ＭＦＴＳに請求書提示システムから支払実行情報を取り出させ、前記請求書提示システムからそのような情報を受け取ったときに前記支払実行情報を前記モバイル装置に伝達させる、請求項２８８に記載の方法。
【請求項２９２】
支払いを実行するための支払元の選択に対応する前記ユーザ入力が、支払元閲覧コマンドの表示に応答して提供される、請求項２８９に記載の方法。
【請求項２９３】
支払いを実行するための支払元の前記選択が、金融サービスプロバイダの選択、および前記支払いを実行するための前記選択された金融サービスプロバイダに関連づけられた特定の口座の選択を含む、請求項２９２に記載の方法。
【請求項２９４】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項２９２に記載の方法。
【請求項２９５】
前記識別された被支払人が、請求書情報を前記ＭＦＴＳに伝達した支払請求エンティティに対応する、請求項２７８に記載の方法。
【請求項２９６】
支払実行情報が、前記ユーザによって選択されるために前記ＭＦＴＳによって前記モバイル装置に伝達され、前記支払実行情報が、被支払人識別子と、金額と、支払期日とに限定される、請求項２７８に記載の方法。
【請求項２９７】
前記支払いを実行する際の所定の段階の完了に応答して、前記選択された金融サービスプロバイダから前記ＭＦＴＳに支払確認メッセージを伝達するステップをさらに備える、請求項２７８に記載の方法。
【請求項２９８】
前記選択された金融サービスプロバイダからの前記支払確認メッセージの受け取りに応答して、支払確認メッセージを前記モバイル装置に伝達するステップをさらに備える、請求項２９７に記載の方法。
【請求項２９９】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報を前記ＭＦＴＳデータベースに保存するステップと、
をさらに備える、請求項２７８に記載の方法。
【請求項３００】
特定の日付時点の前記少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項２７８に記載の方法。
【請求項３０１】
（＊＊モバイル環境において価値保存カードを介して支払いを実行するための方法およびシステム＊＊）無線ネットワークを介して通信のために接続されたモバイル装置を利用して価値保存（ＳＶ）カードを介して被支払人に対する金銭支払を実行するための方法であって、
前記モバイル装置において、価値保存（ＳＶ）カード支払方法によって実行される支払いのための被支払人を識別する情報のユーザ入力を受け取るステップと、
前記ユーザモバイル装置において、前記ユーザ入力に応答して、前記識別された被支払人に対応する情報を備えるモバイル支払命令を生成するステップと、
前記モバイル支払命令を前記ユーザモバイル装置からモバイル金銭取引システム（ＭＦＴＳ）に無線で伝達するステップと、
前記ＭＦＴＳにおいて、前記モバイル支払命令の受け取りに応答して、前記支払いのための識別された被支払人に対応する情報、およびＳＶカード方法による支払いを指示する情報を決定するステップと、
前記ＭＦＴＳにおいて、ＳＶカードエンティティ（SV card entity）との関係を維持する支払命令受領者に対するＭＦＴＳ支払命令を生成するステップであって、前記ＭＦＴＳ支払命令が、金額、前記識別された被支払人に対応する情報、およびＳＶカード支払方法による潜在的な支払いに対応する情報を少なくとも含む、ステップと、
前記ＭＦＴＳ支払命令を前記ＭＦＴＳから前記支払命令受領者に伝達するステップと、
前記支払命令受領者において、前記ＭＦＴＳ支払命令の受け取りに応答して、価値保存カードによる前記識別された被支払人に対する支払いを達成するステップと、
を備える方法。
【請求項３０２】
被支払人を識別する前記ユーザ情報が、事前保存された複数の名前の１つの選択によって被支払人を識別することを備える、請求項３０１に記載の方法。
【請求項３０３】
被支払人を識別する前記ユーザ情報が、モバイル番号（mobile number）のユーザ入力によって被支払人を識別することを備える、請求項３０１に記載の方法。
【請求項３０４】
複数の異なる支払方法の中からの、前記被支払人に対する前記支払いを達成するためのＳＶカード支払方法の使用のユーザ／支払人による選択に対応する情報を、前記ユーザモバイル装置において表示するステップをさらに備える、請求項３０１に記載の方法。
【請求項３０５】
選択可能な支払方法が、受領者定義方法、ＡＣＨ資金振替、小切手、および価値保存（ＳＶ）カードを含む、請求項３０４に記載の方法。
【請求項３０６】
前記支払命令受領者が、金融サービスプロバイダ、支払請求アグリゲータ、価値保存カード発行者、価値保存カードを取り扱う小売業者の１つである、請求項３０１に記載の方法。
【請求項３０７】
特定の日付時点の少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項３０１に記載の方法。
【請求項３０８】
ＳＶカードによる支払いが受け取り可能であることを通知する情報を前記被支払人に無線で伝達するステップをさらに備える、請求項３０１に記載の方法。
【請求項３０９】
前記ユーザモバイル装置において、前記支払いのための少なくとも１つの選択可能な支払元のユーザ選択を受け取るステップをさらに備える、請求項３０１に記載の方法。
【請求項３１０】
支払いを実行するための支払元の前記選択が、金融サービスプロバイダの選択、および前記支払いを実行するための前記選択された金融サービスプロバイダに関連づけられた特定の口座の選択を含む、請求項３０９に記載の方法。
【請求項３１１】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させる、請求項３０９に記載の方法。
【請求項３１２】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記ＭＦＴＳデータベースに事前保存された情報から前記情報を取り出すことによって、前記支払命令内で識別される金融サービスプロバイダにおける選択された口座に対応する情報を決定するステップをさらに備える、請求項３０９に記載の方法。
【請求項３１３】
前記ＭＦＴＳが、ユーザの金銭取引に対応する取引情報を保存し、前記取引情報が、前記支払いのステータスを追跡するために利用される他の情報に加えて、支払情報も含む、請求項３０１に記載の方法。
【請求項３１４】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項３１３に記載の方法。
【請求項３１５】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項３０１に記載の方法。
【請求項３１６】
前記ユーザモバイル装置上でモバイルウォレットアプリケーションを提供するステップをさらに備える、請求項３０１に記載の方法。
【請求項３１７】
前記モバイルウォレットアプリケーションが、ペイエニワン・コマンド、支払元選択コマンド、および支払方法選択コマンドを含む選択可能なコマンドの表示を前記モバイル装置上で提供する、請求項３１６に記載の方法。
【請求項３１８】
支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項３１７に記載の方法。
【請求項３１９】
前記モバイルウォレットを介した支払元選択コマンドの表示に応答して、支払いを実行するための支払元の選択に対応するユーザ入力を受け取るステップをさらに備える、請求項３１７に記載の方法。
【請求項３２０】
前記支払いを実行するための支払元の前記選択が、金融サービスプロバイダの選択、および前記支払いを実行するための前記選択された金融サービスプロバイダに関連づけられた特定の口座の選択を含む、請求項３１７に記載の方法。
【請求項３２１】
前記支払いを実行する際の所定の段階の完了に応答して、支払確認メッセージを前記ＭＦＴＳにおいて前記支払命令受領者から受け取るステップをさらに備える、請求項３０１に記載の方法。
【請求項３２２】
前記支払命令受領者からの前記支払確認メッセージの受け取りに応答して、支払確認メッセージを前記モバイル装置に無線で伝達するステップをさらに備える、請求項３２１に記載の方法。
【請求項３２３】
価値保存（ＳＶ）カード方法に加えて、受領者定義方法、ＡＣＨ資金振替方法、および小切手方法のうちの１つまたは複数を含む複数の選択可能な支払方法を提供するステップをさらに備える、請求項３０１に記載の方法。
【請求項３２４】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および支払請求エンティティに対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報をＭＦＴＳデータベースに保存するステップと、
をさらに備える、請求項３０１に記載の方法。
【請求項３２５】
前記ユーザモバイル装置を介して実行される取引に対応する取引情報を前記ウェブアプリケーションを介して取り出し、前記ユーザのコンピュータ上でユーザに表示するステップをさらに備える、請求項３２４に記載の方法。
【請求項３２６】
前記支払いが被支払人の既存ＳＶカードの貸方に記入することによって実行されることの確認のため、被支払人の既存ＳＶカードの口座番号を前記ユーザに表示するステップをさらに備える、請求項３０１に記載の方法。
【請求項３２７】
前記被支払人の既存ＳＶカードに対応する情報が、ＭＦＴＳデータベースに保存され、前記ユーザへの表示およびユーザコマンドによる確認のために前記ユーザモバイル装置に無線で伝達される、請求項３２６に記載の方法。
【請求項３２８】
被支払人の既存ＳＶカードの貸方に記入する目的で被支払人の既存ＳＶカードの口座番号を入力するためのデータ入力画面を前記モバイル装置上で提供するステップをさらに備える、請求項３０１に記載の方法。
【請求項３２９】
支払いが前記ユーザによってＳＶカードを介して送られたことを前記被支払人に通知するメッセージを被支払人のモバイル装置に無線で伝達するステップと、
前記被支払人がＳＶカードを介して前記支払いを受け取ることを望む、選択された方式を指示する入力を前記被支払人のモバイル装置において前記被支払人から受け取るステップと、
をさらに備える、請求項３０１に記載の方法。
【請求項３０】
前記被支払人のモバイル装置への前記メッセージが、テキストメッセージを備える、請求項３２９に記載の方法。
【請求項３３１】
前記被支払人のモバイル装置への前記メッセージが、前記被支払人のモバイル装置上にインストールされたモバイルウォレットアプリケーションを介して提供される、請求項３２９に記載の方法。
【請求項３３２】
前記被支払人がＳＶカードを介した支払いを受け取ることができる前記選択された方式が、前記支払いを被支払人の既存ＳＶカードの貸方に記入すること、および新規ＳＶカードの発行を含む、請求項３２９に記載の方法。
【請求項３３３】
新規ＳＶカードを介した支払いの受け取りの前記被支払人による指示に応答して、
新規ＳＶカードの受け取り場所を識別するための情報の入力を受け取るためのデータ入力画面を前記被支払人のモバイル装置上に表示するステップと、
前記新規ＳＶカードの受け取り場所を識別するための情報の被支払人入力を受け取るステップと、
前記場所情報を前記ＭＦＴＳに無線で伝達するステップと、
前記新規ＳＶカードの受け取り場所を識別する情報の被支払人入力に応答して、前記新規ＳＶカードが入手できる特定の小売施設（retail location）を識別する情報を前記被支払人に無線で伝達するステップと、
をさらに備える、請求項３３２に記載の方法。
【請求項３３４】
前記ＳＶカード発行者が前記被支払人にカードを発行することを可能にし、ＳＶカードを支給する小売施設がＳＶカード受け取りのために前記被支払人の身元を確認することをさらに可能にするカード受け取り情報（card pickup information）を前記ＳＶカード発行者に伝達するステップをさらに備える、請求項３３２に記載の方法。
【請求項３３５】
前記カード受け取り情報が、前記支払いに関連する前記ＭＦＴＳによって提供された取引番号、カード番号、および前記被支払人に関連するモバイル電話番号を備える、請求項３３４に記載の方法。
【請求項３３６】
前記カード受け取り情報を前記被支払人のモバイル装置に無線で伝達するステップをさらに備える、請求項３３４に記載の方法。
【請求項３３７】
無線ネットワークと通信のために接続されたモバイル装置の使用を介して価値保存カード支払を達成するためのシステムであって、
モバイル金銭取引システム（ＭＦＴＳ）と無線通信のために結合される少なくとも１つのユーザモバイル装置であって、被支払人識別情報および支払情報のユーザ入力を受け取るように動作し、識別された被支払人に対応する情報を備えるモバイル支払命令を生成し、前記モバイル支払命令を前記ＭＦＴＳに無線で伝達するようにさらに動作する少なくとも１つのユーザモバイル装置と、
モバイル通信サービスプロバイダ（ＭＣＳＰ）を使用してユーザの１つまたは複数のモバイル装置と無線通信のために結合されるモバイル金銭取引システム（ＭＦＴＳ）であって、価値保存カードを介した支払いを達成する支払命令受領者と電子通信のために結合され、ユーザ情報および支払い保存するためのモバイル金銭取引システム（ＭＦＴＳ）データベースを含み、
前記モバイル支払命令の受け取りに応答して、前記支払いを受け取るための識別された被支払人に対応する情報、およびＳＶカード方法による支払いを指示する情報を決定するコンピュータ実施ステップと、
ＳＶカードエンティティとの関係を維持する支払命令受領者に対するＭＦＴＳ支払命令を生成するステップであって、前記ＭＦＴＳ支払命令が、金額、前記識別された被支払人に対応する情報、およびＳＶカード支払方法による潜在的な支払いに対応する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアを含むモバイル金銭取引システム（ＭＦＴＳ）と、を備え、
それによって、前記支払命令受領者において、前記ＭＦＴＳ支払命令の受け取りに応答して、前記識別された被支払人に対する支払いが、価値保存カードによって達成される、システム。
【請求項３３８】
被支払人を識別する前記ユーザ情報が、事前保存された複数の名前の１つの選択によって被支払人を識別することを備える、請求項３３７に記載のシステム。
【請求項３３９】
被支払人を識別する前記ユーザ情報が、モバイル番号のユーザ入力によって被支払人を識別することを備える、請求項３３７に記載のシステム。
【請求項３４０】
前記モバイル装置が、複数の異なる支払方法の中からの、前記被支払人に対する前記支払いを達成するためのＳＶカード支払方法の前記ユーザ／支払人による選択に対応する情報を表示するようにさらに動作する、請求項３３７に記載のシステム。
【請求項３４１】
選択可能な支払方法が、受領者定義方法、ＡＣＨ資金振替、小切手、および価値保存（ＳＶ）カードを含む、請求項３４０に記載のシステム。
【請求項３４２】
前記支払命令受領者が、金融サービスプロバイダ、支払請求アグリゲータ、価値保存カード発行者、価値保存カードを取り扱う小売業者の１つである、請求項３３７に記載のシステム。
【請求項３４３】
前記ユーザモバイル装置が、特定の日付時点の少なくとも１つの口座の残高を表すキャッシュされた口座残高を前記モバイル装置に保存し、
前記ユーザモバイル装置が、前記口座についての更新された口座残高情報を受け取り、更新された口座残高情報を前記ＭＦＴＳから前記ユーザモバイル装置に無線で伝達し、
前記ＭＦＴＳからの更新された口座残高情報の受け取りに応答して、前記ユーザモバイル装置が、前記口座に対応する更新された口座残高情報を前記ユーザに表示する、
請求項３４２に記載のシステム。
【請求項３４４】
前記ＭＦＴＳソフトウェアが、ＳＶカードによる支払いが受け取り可能であることを通知する情報を前記被支払人に無線で伝達するようにさらに動作する、請求項３３７に記載のシステム。
【請求項３４５】
前記モバイル装置が、前記ユーザモバイル装置において、前記支払いのための少なくとも１つの選択可能な支払元のユーザ選択を受け取るようにさらに動作する、請求項３３７に記載のシステム。
【請求項３４６】
支払いを実行するための支払元の前記選択が、金融サービスプロバイダの選択、および前記支払いを実行するための前記選択された金融サービスプロバイダに関連づけられた特定の口座の選択を含む、請求項３４５に記載のシステム。
【請求項３４７】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させる、請求項３４５に記載のシステム。
【請求項３４８】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記ＭＦＴＳソフトウェアが、前記ＭＦＴＳデータベースに事前保存された情報から前記情報を取り出すことによって、前記支払命令内で識別される金融サービスプロバイダにおける選択された口座に対応する情報を決定するようにさらに動作する、請求項３４５に記載のシステム。
【請求項３４９】
前記ＭＦＴＳが、ユーザの金銭取引に対応する取引情報を保存し、前記取引情報が、前記支払いのステータスを追跡するために利用される他の情報に加えて、前記支払情報も含む、請求項３３７に記載のシステム。
【請求項３５０】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項３４９に記載のシステム。
【請求項３５１】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項３３７に記載のシステム。
【請求項３５２】
前記ユーザモバイル装置上でモバイルウォレットアプリケーションを提供するステップをさらに備える、請求項３３７に記載のシステム。
【請求項３５３】
前記モバイルウォレットアプリケーションが、ペイエニワン・コマンド、支払元選択コマンド、および支払方法選択コマンドを含む選択可能なコマンドの表示を前記モバイル装置上で提供する、請求項３５２に記載のシステム。
【請求項３５４】
支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項３５３に記載のシステム。
【請求項３５５】
前記モバイル装置が、前記モバイルウォレットを介した支払元選択コマンドの表示に応答して、支払いを実行するための支払元の選択に対応するユーザ入力を受け取るようにさらに動作する、請求項３５３に記載のシステム。
【請求項３５６】
前記支払いを実行するための支払元の前記選択が、金融サービスプロバイダの選択、および前記支払いを実行するための前記選択された金融サービスプロバイダに関連づけられた特定の口座の選択を含む、請求項３５３に記載のシステム。
【請求項３５７】
前記ＭＦＴＳが、前記支払いを実行する際の所定の段階の完了に応答して、前記支払命令受領者から支払確認メッセージを受け取る、請求項３３７に記載のシステム。
【請求項３５８】
前記ＭＦＴＳソフトウェアが、前記支払命令受領者からの前記支払確認メッセージの受け取りに応答して、支払確認メッセージを前記モバイル装置に無線で伝達するようにさらに動作する、請求項３５７に記載のシステム。
【請求項３５９】
前記モバイル装置が、価値保存（ＳＶ）カード方法に加えて、受領者定義方法、ＡＣＨ資金振替方法、および小切手方法のうちの１つまたは複数を含む複数の選択可能な支払方法を提供するようにさらに動作する、請求項３３７に記載のシステム。
【請求項３６０】
前記ＭＦＴＳが、インターネットなどのデータ通信ネットワークを介してユーザのコンピュータと電子通信のためにさらに結合され、前記ＭＦＴＳソフトウェアが、
ウェブアプリケーションを提供し、
金融サービスプロバイダ、金融サービスプロバイダにおける口座、および支払請求エンティティに対応するユーザ情報を前記ウェブアプリケーションを介して受け取り、
前記ユーザモバイル装置を介して開始される支払いに関して使用するため、前記ウェブアプリケーションを介して入力された前記ユーザ情報をＭＦＴＳデータベースに保存する、
ようにさらに動作する、請求項３３７に記載のシステム。
【請求項３６１】
前記ＭＦＴＳソフトウェアが、前記ユーザモバイル装置を介して実行される取引に対応する取引情報を前記ウェブアプリケーションを介して取り出し、前記ユーザのコンピュータ上でユーザに表示するようにさらに動作する、請求項３６０に記載のシステム。
【請求項３６２】
前記モバイル装置が、前記支払いが被支払人の既存ＳＶカードの貸方に記入することによって実行されることの確認のため、被支払人の既存ＳＶカードの口座番号を前記ユーザに表示するようにさらに動作する、請求項３３７に記載のシステム。
【請求項３６３】
前記被支払人の既存ＳＶカードに対応する情報が、ＭＦＴＳデータベースに保存され、前記ユーザへの表示およびユーザコマンドによる確認のために前記ユーザモバイル装置に無線で伝達される、請求項３６２に記載のシステム。
【請求項３６４】
前記モバイル装置が、被支払人の既存ＳＶカードの貸方に記入する目的で被支払人の既存ＳＶカードの口座番号を入力するためのデータ入力画面を前記モバイル装置上で提供するようにさらに動作する、請求項３３７に記載のシステム。
【請求項３６５】
前記ＭＦＴＳソフトウェアが、
支払いが前記ユーザによってＳＶカードを介して送られたことを前記被支払人に通知するメッセージを被支払人のモバイル装置に無線で伝達し、
前記被支払人がＳＶカードを介して前記支払いを受け取ることを望む、選択された方式を指示する入力を前記被支払人のモバイル装置において前記被支払人から受け取る、
ようにさらに動作する、請求項３３７に記載のシステム。
【請求項３６６】
前記被支払人のモバイル装置への前記メッセージが、テキストメッセージを備える、請求項３６５に記載のシステム。
【請求項３６７】
前記被支払人のモバイル装置への前記メッセージが、前記被支払人のモバイル装置上にインストールされたモバイルウォレットアプリケーションを介して提供される、請求項３６５に記載のシステム。
【請求項３６８】
前記被支払人がＳＶカードを介した支払いを受け取ることができる前記選択された方式が、前記支払いを被支払人の既存ＳＶカードの貸方に記入すること、および新規ＳＶカードの発行を含む、請求項３６５に記載のシステム。
【請求項３６９】
新規ＳＶカードを介した支払いの受け取りの前記被支払人による指示に応答して、
前記被支払人のモバイル装置が、新規ＳＶカードの受け取り場所を識別するための情報の入力を受け取るためのデータ入力画面を表示し、
前記新規ＳＶカードの受け取り場所を識別するための情報の被支払人入力を受け取り、
前記場所情報を前記ＭＦＴＳに無線で伝達し、
前記ＭＦＴＳソフトウェアが、前記新規ＳＶカードの受け取り場所を識別する情報の被支払人入力に応答して、前記新規ＳＶカードが入手できる特定の小売施設を識別する情報を前記被支払人に無線で伝達する、
請求項３６８に記載のシステム。
【請求項３７０】
前記ＭＦＴＳソフトウェアが、前記ＳＶカード発行者が前記被支払人にカードを発行することを可能にし、ＳＶカードを支給する小売施設がＳＶカード受け取りのために前記被支払人の身元を確認することをさらに可能にするカード受け取り情報を前記ＳＶカード発行者に伝達するようにさらに動作する、請求項３６８に記載のシステム。
【請求項３７１】
前記カード受け取り情報が、前記支払いに関連する前記ＭＦＴＳによって提供された取引番号、カード番号、および前記被支払人に関連するモバイル電話番号を備える、請求項３７０に記載のシステム。
【請求項３７２】
前記ＭＦＴＳソフトウェアが、前記カード受け取り情報を前記被支払人のモバイル装置に伝達するようにさらに動作する、請求項３７０に記載のシステム。
【請求項３７３】
無線ネットワークを介して通信のために接続されたモバイル装置を利用して価値保存（ＳＶ）カードを介して被支払人に対する金銭支払を実行するための方法であって、
前記モバイル装置において、価値保存（ＳＶ）カード支払方法によって実行される支払いのための被支払人を識別する情報のユーザ入力を受け取るステップと、
前記識別された被支払人に対応する情報を備えるモバイル支払命令を生成するステップと、
前記モバイル支払命令を前記ユーザモバイル装置からモバイル金銭取引システム（ＭＦＴＳ）に無線で伝達するステップであって、前記ＭＦＴＳが、ＳＶカードを被支払人に発行することができる支払命令受領者と通信のために結合される、ステップと、を備え、
それによって、前記ＭＦＴＳが、支払命令を支払命令受領者伝達し、前記支払命令受領者が、価値保存カードを介して前記識別された被支払人に対する支払いを達成する、方法。
【請求項３７４】
被支払人を識別する前記ユーザ情報が、前記モバイル装置に事前保存された複数の名前の１つの選択によって被支払人を識別することを備える、請求項３７３に記載の方法。
【請求項３７５】
被支払人を識別する前記ユーザ情報が、モバイル番号のユーザ入力によって被支払人を識別することを備える、請求項３７３に記載の方法。
【請求項３７６】
複数の異なる支払方法の中からの、前記被支払人に対する前記支払いを達成するためのＳＶカード支払方法の使用のユーザ／支払人による選択に対応する情報を、前記ユーザモバイル装置において表示するステップをさらに備える、請求項３７３に記載の方法。
【請求項３７７】
選択可能な支払方法が、受領者定義方法、ＡＣＨ資金振替、小切手、および価値保存（ＳＶ）カードを含む、請求項３７６に記載の方法。
【請求項３７８】
前記支払命令受領者が、金融サービスプロバイダ、支払請求アグリゲータ、価値保存カード発行者、価値保存カードを取り扱う小売業者の１つである、請求項３７３に記載の方法。
【請求項３７９】
特定の日付時点の少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項３７８に記載の方法。
【請求項３８０】
前記ユーザモバイル装置において、前記支払いのための少なくとも１つの選択可能な支払元のユーザ選択を受け取るステップをさらに備える、請求項３７３に記載の方法。
【請求項３８１】
支払いを実行するための支払元の前記選択が、金融サービスプロバイダの選択、および前記支払いを実行するための前記選択された金融サービスプロバイダに関連づけられた特定の口座の選択を含む、請求項３８０に記載の方法。
【請求項３８２】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させ、
前記モバイル装置が、前記現在の口座情報を前記ユーザに表示する表示するように動作する、請求項３８０に記載の方法。
【請求項３８３】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項３７３に記載の方法。
【請求項３８４】
前記ユーザモバイル装置上でモバイルウォレットアプリケーションを提供するステップをさらに備える、請求項３７３に記載の方法。
【請求項３８５】
前記モバイルウォレットアプリケーションが、ペイエニワン・コマンド、支払元選択コマンド、および支払方法選択コマンドを含む選択可能なコマンドの表示を前記モバイル装置上で提供する、請求項３８４に記載の方法。
【請求項３８６】
支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項３８５に記載の方法。
【請求項３８７】
前記モバイルウォレットを介した支払元選択コマンドの表示に応答して、支払いを実行するための支払元の選択に対応するユーザ入力を受け取るステップをさらに備える、請求項３８５に記載の方法。
【請求項３８８】
前記支払いを実行するための支払元の前記選択が、金融サービスプロバイダの選択、および前記支払いを実行するための前記選択された金融サービスプロバイダに関連づけられた特定の口座の選択を含む、請求項３８５に記載の方法。
【請求項３８９】
前記支払命令受領者からの支払確認メッセージの受け取りに応答して、支払確認メッセージを前記モバイル装置において前記ＭＦＴＳから受け取るステップをさらに備える、請求項３８８に記載の方法。
【請求項３９０】
価値保存（ＳＶ）カード方法に加えて、受領者定義方法、ＡＣＨ資金振替方法、および小切手方法のうちの１つまたは複数を含む複数の選択可能な支払方法を前記モバイル装置上で提供するステップをさらに備える、請求項３７３に記載の方法。
【請求項３９１】
前記支払いが被支払人の既存ＳＶカードの貸方に記入することによって実行されることの確認のため、被支払人の既存ＳＶカードの口座番号を前記ユーザに表示するステップをさらに備える、請求項３７３に記載の方法。
【請求項３９２】
被支払人の既存ＳＶカードに対応する情報が、ＭＦＴＳデータベースに保存され、前記ユーザへの表示およびユーザコマンドによる確認のために前記ユーザモバイル装置に無線で伝達される、請求項３９１に記載の方法。
【請求項３９３】
被支払人の既存ＳＶカードの貸方に記入する目的で被支払人の既存ＳＶカードの口座番号を入力するためのデータ入力画面を前記モバイル装置上で提供するステップをさらに備える、請求項３７３に記載の方法。
【請求項３９４】
価値保存（ＳＶ）カードを介して被支払人に対する金銭支払を実行するモバイル装置であって、
モバイル通信サービスプロバイダを介してモバイル金銭取引システム（ＭＦＴＳ）と無線通信のために接続されるモバイル装置であって、ディスプレイと、ユーザ入力手段と、プロセッサと、メモリとを含むモバイル装置と、
前記モバイル装置プロセッサ上で動作するモバイル装置ソフトウェアであって、
前記モバイル装置において、価値保存（ＳＶ）カード支払方法によって実行される支払いのための被支払人を識別する情報のユーザ入力を受け取るコンピュータ実施ステップと、
前記識別された被支払人に対応する情報を備えるモバイル支払命令を生成するコンピュータ実施ステップと、
前記モバイル支払命令を前記ユーザモバイル装置からモバイル金銭取引システム（ＭＦＴＳ）に無線で伝達するステップであって、前記ＭＦＴＳが、ＳＶカードを被支払人に発行することができる支払命令受領者と通信のために結合される、コンピュータ実施ステップと、
を実行するためのプログラムコードを備えるモバイル装置ソフトウェアと、を備え、
それによって、前記ＭＦＴＳが、支払命令を支払命令受領者伝達し、前記支払命令受領者が、価値保存カードを介して前記識別された被支払人に対する支払いを達成する、モバイル装置。
【請求項３９５】
被支払人を識別する前記ユーザ情報が、前記モバイル装置に事前保存された複数の名前の１つの選択によって被支払人を識別することを備える、請求項３９４に記載の装置。
【請求項３９６】
被支払人を識別する前記ユーザ情報が、モバイル番号のユーザ入力によって被支払人を識別することを備える、請求項３９４に記載の装置。
【請求項３９７】
前記モバイル装置が、複数の異なる支払方法の中からの、前記被支払人に対する前記支払いを達成するためのＳＶカード支払方法の使用のユーザ／支払人による選択に対応する情報を表示するようにさらに動作する、請求項３９４に記載の装置。
【請求項３９８】
選択可能な支払方法が、受領者定義方法、ＡＣＨ資金振替、小切手、および価値保存（ＳＶ）カードを含む、請求項３９７に記載の装置。
【請求項３９９】
前記支払命令受領者が、金融サービスプロバイダ、支払請求アグリゲータ、価値保存カード発行者、価値保存カードを取り扱う小売業者の１つである、請求項３９４に記載の装置。
【請求項４００】
前記ユーザモバイル装置が、特定の日付時点の少なくとも１つの口座の残高を表すキャッシュされた口座残高を前記モバイル装置に保存し、
前記ユーザモバイル装置が、前記口座についての更新された口座残高情報を受け取り、更新された口座残高情報を前記ＭＦＴＳから前記ユーザモバイル装置に無線で伝達し、
前記ＭＦＴＳからの更新された口座残高情報の受け取りに応答して、前記ユーザモバイル装置が、前記口座に対応する更新された口座残高情報を前記ユーザに表示する、
請求項３９９に記載の装置。
【請求項４０１】
前記モバイル装置が、前記ユーザモバイル装置において、前記支払いのための少なくとも１つの選択可能な支払元のユーザ選択を受け取るようにさらに動作する、請求項３９４に記載の装置。
【請求項４０２】
支払いを実行するための支払元の前記選択が、金融サービスプロバイダの選択、および前記支払いを実行するための前記選択された金融サービスプロバイダに関連づけられた特定の口座の選択を含む、請求項４０１に記載の装置。
【請求項４０３】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させ、
前記モバイル装置が、前記現在の口座情報を前記ユーザに表示するように動作する、
請求項４０１に記載の装置。
【請求項４０４】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項３９４に記載の装置。
【請求項４０５】
前記モバイルソフトウェアが、前記ユーザモバイル装置上にモバイルウォレットアプリケーションを備える、請求項３９４に記載の装置。
【請求項４０６】
前記モバイルウォレットアプリケーションが、ペイエニワン・コマンド、支払元選択コマンド、および支払方法選択コマンドを含む選択可能なコマンドの表示を前記モバイル装置上で提供する、請求項４０５に記載の装置。
【請求項４０７】
支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項４０６に記載の装置。
【請求項４０８】
前記モバイル装置が、前記モバイルウォレットを介した支払元選択コマンドの表示に応答して、支払いを実行するための支払元の選択に対応するユーザ入力を受け取るようにさらに動作する、請求項４０６に記載の装置。
【請求項４０９】
前記支払いを実行するための支払元の前記選択が、金融サービスプロバイダの選択、および前記支払いを実行するための前記選択された金融サービスプロバイダに関連づけられた特定の口座の選択を含む、請求項４０６に記載の装置。
【請求項４１０】
前記モバイル装置が、前記支払命令受領者からの支払確認メッセージの受け取りに応答して、前記ＭＦＴＳからの支払確認メッセージを前記モバイル装置において受け取るようにさらに動作する、請求項３９４に記載の装置。
【請求項４１１】
前記モバイル装置が、価値保存（ＳＶ）カード方法に加えて、受領者定義方法、ＡＣＨ資金振替方法、および小切手方法のうちの１つまたは複数を含む複数の選択可能な支払方法を前記モバイル装置上で提供するようにさらに動作する、請求項３９４に記載の装置。
【請求項４１２】
前記モバイル装置が、前記支払いが被支払人の既存ＳＶカードの貸方に記入することによって実行されることの確認のため、被支払人の既存ＳＶカードの口座番号を前記ユーザに表示するようにさらに動作する、請求項３９４に記載の装置。
【請求項４１３】
被支払人の既存ＳＶカードに対応する情報が、ＭＦＴＳデータベースに保存され、前記ユーザへの表示およびユーザコマンドによる確認のために前記ユーザモバイル装置に無線で伝達される、請求項４１２に記載の装置。
【請求項４１４】
前記モバイル装置ソフトウェアが、被支払人の既存ＳＶカードの貸方に記入する目的で被支払人の既存ＳＶカードの口座番号を入力するための入力画面を前記モバイル装置上で提供するようにさらに動作する、請求項３９４に記載の装置。
【請求項４１５】
無線ネットワークを介して通信のために接続されたモバイル装置に応答して価値保存（ＳＶ）カードを介して被支払人に対する金銭支払を達成するための金銭取引システム（ＭＦＴＳ）用のコンピュータ実施方法であって、
モバイル装置からモバイル支払命令を無線で受け取るステップであって、前記モバイル支払命令が、価値保存カード支払方法に対応する情報および金額を少なくとも含む、ステップと、
前記モバイル支払命令の受け取りに応答して、前記支払いを受け取るための識別された被支払人に対応する情報、およびＳＶカード方法による支払いを指示する情報を決定するステップと、
ＳＶカードエンティティとの関係を維持する支払命令受領者に対するＭＦＴＳ支払命令を生成するステップであって、前記ＭＦＴＳ支払命令が、金額、前記識別された被支払人に対応する情報、およびＳＶカード支払方法による潜在的な支払いに対応する情報を少なくとも含む、ステップと、
前記ＭＦＴＳ支払命令を前記ＭＦＴＳから前記支払命令受領者に伝達するステップと、を備え、
それによって、前記支払命令受領者において、前記ＭＦＴＳ支払命令の受け取りに応答して、価値保存カードによる前記識別された被支払人に対する支払いが達成される、方法。
【請求項４１６】
前記モバイル支払命令が、前記ＭＦＴＳに事前保存された複数の名前の１つとして被支払人を識別する情報を含む、請求項４１５に記載の方法。
【請求項４１７】
前記モバイル支払命令が、モバイル番号によって被支払人を識別する情報を含む、請求項４１５に記載の方法。
【請求項４１８】
前記支払命令受領者が、金融サービスプロバイダ、支払請求アグリゲータ、価値保存カード発行者、価値保存カードを取り扱う小売業者の１つである、請求項４１５に記載の方法。
【請求項４１９】
特定の日付時点の少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介してユーザに表示するステップと、
をさらに備える、請求項４１８に記載の方法。
【請求項４２０】
ＳＶカードによる支払いが受け取り可能であることを通知する情報を前記被支払人に無線で伝達するステップをさらに備える、請求項４１５に記載の方法。
【請求項４２１】
前記モバイル支払命令が、前記支払いのための前記ユーザの少なくとも１つの選択可能な支払元を選択する情報をさらに含む、請求項４１５に記載の方法。
【請求項４２２】
支払いを実行するための支払元の前記選択が、金融サービスプロバイダの選択、および前記支払いを実行するための前記選択された金融サービスプロバイダに関連づけられた特定の口座の選択を含む、請求項４２１に記載の方法。
【請求項４２３】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させる、請求項４２１に記載の方法。
【請求項４２４】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記ＭＦＴＳデータベースに事前保存された情報から前記情報を取り出すことによって、前記支払命令内で識別される金融サービスプロバイダにおける選択された口座に対応する情報を決定するステップをさらに備える、請求項４２１に記載の方法。
【請求項４２５】
前記ＭＦＴＳが、ユーザの金銭取引に対応する取引情報を保存し、前記取引情報が、前記支払いのステータスを追跡するために利用される他の情報に加えて、支払情報も含む、請求項４１５に記載の方法。
【請求項４２６】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項４２５に記載の方法。
【請求項４２７】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項４１５に記載の方法。
【請求項４２８】
前記ユーザモバイル装置上にインストールして使用するためのダウンロード可能モバイルウォレットアプリケーションを提供するステップをさらに備える、請求項４１５に記載の方法。
【請求項４２９】
前記モバイルウォレットアプリケーション上での支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項４２８に記載の方法。
【請求項４３０】
前記支払いを実行する際の所定の段階の完了に応答して、支払確認メッセージを前記ＭＦＴＳにおいて前記支払命令受領者から受け取るステップをさらに備える、請求項４１５に記載の方法。
【請求項４３１】
前記支払命令受領者からの前記支払確認メッセージの受け取りに応答して、支払確認メッセージを前記モバイル装置に無線で伝達するステップをさらに備える、請求項４３０に記載の方法。
【請求項４３２】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および支払請求エンティティに対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報をＭＦＴＳデータベースに保存するステップと、
をさらに備える、請求項４１５に記載の方法。
【請求項４３３】
前記ユーザモバイル装置を介して実行される取引に対応する取引情報を前記ウェブアプリケーションを介して取り出し、前記ユーザのコンピュータ上でユーザに表示するステップをさらに備える、請求項４３２に記載の方法。
【請求項４３４】
前記被支払人の既存ＳＶカードに対応する情報が、ＭＦＴＳデータベースに保存され、前記ユーザへの表示およびユーザコマンドによる確認のために前記ユーザモバイル装置に無線で伝達される、請求項４１５に記載の方法。
【請求項４３５】
被支払人の既存ＳＶカードの貸方に記入する目的で被支払人の既存ＳＶカードの口座番号に対応する情報を前記モバイル装置から受け取るステップをさらに備える、請求項４１５に記載の方法。
【請求項４３６】
支払いが前記ユーザによってＳＶカードを介して送られたことを前記被支払人に通知するメッセージを被支払人のモバイル装置に無線で伝達するステップと、
前記被支払人がＳＶカードを介して前記支払いを受け取ることを望む、選択された方式を指示する入力を前記被支払人のモバイル装置において前記被支払人から受け取るステップと、
をさらに備える、請求項４１５に記載の方法。
【請求項４３７】
前記被支払人のモバイル装置への前記メッセージが、テキストメッセージを備える、請求項４３６に記載の方法。
【請求項４３８】
前記被支払人のモバイル装置への前記メッセージが、前記被支払人のモバイル装置上にインストールされたモバイルウォレットアプリケーションを介して提供される、請求項４３６に記載の方法。
【請求項４３９】
前記被支払人がＳＶカードを介した支払いを受け取ることができる前記選択された方式が、前記支払いを被支払人の既存ＳＶカードの貸方に記入すること、および新規ＳＶカードの発行を含む、請求項４３６に記載の方法。
【請求項４４０】
新規ＳＶカードを介した支払いの受け取りの前記被支払人による指示に応答して、
前記新規ＳＶカードの受け取り場所を識別する情報の被支払人入力に応答して、前記新規ＳＶカードが入手できる特定の小売施設を識別する情報を前記被支払人に無線で伝達するステップ
をさらに備える、請求項４３９に記載の方法。
【請求項４４１】
前記ＳＶカード発行者が前記被支払人にカードを発行することを可能にし、ＳＶカードを支給する小売施設がＳＶカード受け取りのために前記被支払人の身元を確認することをさらに可能にするカード受け取り情報を前記ＳＶカード発行者に伝達するステップ
をさらに備える、請求項４３９に記載の方法。
【請求項４４２】
前記カード受け取り情報が、前記支払いに関連する前記ＭＦＴＳによって提供された取引番号、カード番号、および前記被支払人に関連するモバイル電話番号を備える、請求項４４１に記載の方法。
【請求項４４３】
前記カード受け取り情報を前記被支払人のモバイル装置に無線で伝達するステップをさらに備える、請求項４４１に記載の方法。
【請求項４４４】
無線ネットワークと通信のために接続されたモバイル装置からの通信に応答して価値保存カード支払を達成するためのシステムであって、
モバイル通信サービスプロバイダ（ＭＣＳＰ）を使用してユーザの１つまたは複数のモバイル装置と無線通信のために結合されるモバイル金銭取引システム（ＭＦＴＳ）であって、価値保存カードを介した支払いを達成する支払命令受領者と電子通信のために結合され、ユーザ情報および支払情報を保存するためのモバイル金銭取引システム（ＭＦＴＳ）データベースを含み、
ユーザモバイル装置からモバイル支払命令を無線で受け取るステップであって、前記モバイル支払命令が、価値保存カード支払方法に対応する情報および金額を少なくとも含む、コンピュータ実施ステップと、
前記モバイル支払命令の受け取りに応答して、前記支払いを受け取るための識別された被支払人に対応する情報、およびＳＶカード方法による支払いを指示する情報を決定するコンピュータ実施ステップと、
ＳＶカードエンティティとの関係を維持する支払命令受領者に対するＭＦＴＳ支払命令を生成するステップであって、前記ＭＦＴＳ支払命令が、金額、前記識別された被支払人に対応する情報、およびＳＶカード支払方法による潜在的な支払いに対応する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアを含む、モバイル金銭取引システム（ＭＦＴＳ）を備え、
それによって、前記支払命令受領者において、前記ＭＦＴＳ支払命令の受け取りに応答して、価値保存カードによる前記識別された被支払人に対する支払いが達成される、システム。
【請求項４４５】
前記モバイル支払命令が、前記ＭＦＴＳに事前保存された複数の名前の１つとして被支払人を識別する情報を含む、請求項４４４に記載のシステム。
【請求項４４６】
前記モバイル支払命令が、モバイル番号によって被支払人を識別する情報を含む、請求項４４４に記載のシステム。
【請求項４４７】
前記支払命令受領者が、金融サービスプロバイダ、支払請求アグリゲータ、価値保存カード発行者、価値保存カードを取り扱う小売業者の１つである、請求項４４４に記載のシステム。
【請求項４４８】
前記ＭＦＴＳソフトウェアが、ＳＶカードによる支払いが受け取り可能であることを通知する情報を前記被支払人に無線で伝達するようにさらに動作する、請求項４４４に記載のシステム。
【請求項４４９】
前記モバイル支払命令が、前記支払いのための前記ユーザの少なくとも１つの選択可能な支払元を選択する情報をさらに含む、請求項４４４に記載のシステム。
【請求項４５０】
支払いを実行するための支払元の前記選択が、金融サービスプロバイダの選択、および前記支払いを実行するための前記選択された金融サービスプロバイダに関連づけられた特定の口座の選択を含む、請求項４４９に記載のシステム。
【請求項４５１】
前記ＭＦＴＳが、前記口座についての更新された口座残高情報を取得するために前記金融サービスプロバイダと通信し、
前記ＭＦＴＳが、更新された口座残高情報を前記ＭＦＴＳから前記ユーザモバイル装置に無線で伝達し、
それによって、前記ＭＦＴＳからの更新された口座残高情報の受け取りに応答して、前記モバイル装置が、前記口座に対応する更新された口座残高情報を前記ユーザに表示する、
請求項４５０に記載のシステム。
【請求項４５２】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させる、請求項４５０に記載のシステム。
【請求項４５３】
前記モバイル金銭取引システム（ＭＦＴＳ）データベースが、少なくとも１つの金融サービスプロバイダに関連づけられた少なくとも１つの口座に関連づけられた支払元情報も保存し、
前記ＭＦＴＳソフトウェアが、前記ＭＦＴＳデータベースに事前保存された情報から前記情報を取り出すことによって、前記支払命令内で識別される金融サービスプロバイダにおける選択された口座に対応する情報を決定するようにさらに動作する、請求項４５０に記載のシステム。
【請求項４５４】
被支払人の既存ＳＶカードに対応する情報が、ＭＦＴＳデータベースに保存され、前記ユーザへの表示およびユーザコマンドによる確認のために前記ユーザモバイル装置に無線で伝達される、請求項４５３に記載のシステム。
【請求項４５５】
前記ＭＦＴＳが、ユーザの金銭取引に対応する取引情報を保存し、前記取引情報が、前記支払いのステータスを追跡するために利用される他の情報に加えて、前記支払情報も含む、請求項４４４に記載のシステム。
【請求項４５６】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項４５５に記載のシステム。
【請求項４５７】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項４４４に記載のシステム。
【請求項４５８】
前記システムが、前記ユーザモバイル装置上にインストールして使用するためのダウンロード可能モバイルウォレットアプリケーションを提供する、請求項４４４に記載のシステム。
【請求項４５９】
前記モバイルウォレットアプリケーション上での支払元選択コマンドのユーザ活動化が、前記ＭＦＴＳに金融サービスプロバイダから現在の口座情報を取り出させ、前記金融サービスプロバイダからそのような情報を受け取ったときに現在の口座情報を前記モバイル装置に無線で伝達させる、請求項４５８に記載のシステム。
【請求項４６０】
前記ＭＦＴＳソフトウェアが、前記支払いを実行する際の所定の段階の完了に応答して、前記支払命令受領者からの支払確認メッセージを受け取るようにさらに動作する、請求項４４４に記載のシステム。
【請求項４６１】
前記ＭＦＴＳソフトウェアが、前記支払命令受領者からの前記支払確認メッセージの受け取りに応答して、支払確認メッセージを前記モバイル装置に無線で伝達するようにさらに動作する、請求項４６０に記載のシステム。
【請求項４６２】
前記ＭＦＴＳが、インターネットなどのデータ通信ネットワークを介してユーザのコンピュータと電子通信のためにさらに結合され、
前記ＭＦＴＳに関連するウェブアプリケーションであって、前記ＭＦＴＳが、金融サービスプロバイダ、金融サービスプロバイダにおける口座、および支払請求エンティティに対応するユーザ情報を前記ウェブアプリケーションを介して受け取るように動作する、ウェブアプリケーションをさらに備え、
前記ＭＦＴＳソフトウェアが、前記ユーザモバイル装置を介して開始される支払いに関して使用するため、前記ウェブアプリケーションを介して入力された前記ユーザ情報をＭＦＴＳデータベースに保存するようにさらに動作する、
請求項４４４に記載のシステム。
【請求項４６３】
前記ＭＦＴＳソフトウェアが、前記ユーザモバイル装置を介して実行される取引に対応する取引情報を前記ウェブアプリケーションを介して取り出し、前記ユーザのコンピュータ上でユーザに表示するようにさらに動作する、請求項４６２に記載のシステム。
【請求項４６４】
前記ＭＦＴＳソフトウェアが、被支払人の既存ＳＶカードの貸方に記入する目的で被支払人の既存ＳＶカードの口座番号に対応する情報を前記モバイル装置から受け取るようにさらに動作する、請求項４４４に記載のシステム。
【請求項４６５】
前記ＭＦＴＳソフトウェアが、
支払いが前記ユーザによってＳＶカードを介して送られたことを前記被支払人に通知するメッセージを被支払人のモバイル装置に無線で伝達し、
前記被支払人がＳＶカードを介して前記支払いを受け取ることを望む、選択された方式を指示する入力を前記被支払人のモバイル装置において前記被支払人から受け取る、
ようにさらに動作する、請求項４４４に記載のシステム。
【請求項４６６】
前記被支払人のモバイル装置への前記メッセージが、テキストメッセージを備える、請求項４６５に記載のシステム。
【請求項４６７】
前記被支払人のモバイル装置への前記メッセージが、前記被支払人のモバイル装置上にインストールされたモバイルウォレットアプリケーションを介して提供される、請求項４６５に記載のシステム。
【請求項４６８】
前記被支払人がＳＶカードを介した支払いを受け取ることができる前記選択された方式が、前記支払いを被支払人の既存ＳＶカードの貸方に記入すること、および新規ＳＶカードの発行を含む、請求項４６５に記載のシステム。
【請求項４６９】
前記ＭＦＴＳソフトウェアが、新規ＳＶカードを介した支払いの受け取りの前記被支払人による指示に応答して、
前記新規ＳＶカードの受け取り場所を識別する情報の被支払人入力に応答して、前記新規ＳＶカードが入手できる特定の小売施設を識別する情報を前記被支払人に無線で伝達するようにさらに動作する、請求項４６８に記載のシステム。
【請求項４７０】
前記ＭＦＴＳソフトウェアが、前記ＳＶカード発行者が前記被支払人にカードを発行することを可能にし、ＳＶカードを支給する小売施設がＳＶカード受け取りのために前記被支払人の身元を確認することをさらに可能にするカード受け取り情報を前記ＳＶカード発行者に伝達するようにさらに動作する、請求項４６８に記載のシステム。
【請求項４７１】
前記カード受け取り情報が、前記支払いに関連する前記ＭＦＴＳによって提供された取引番号、カード番号、および前記被支払人に関連するモバイル電話番号を備える、請求項４７０に記載のシステム。
【請求項４７２】
前記ＭＦＴＳソフトウェアが、前記カード受け取り情報を前記被支払人のモバイル装置に無線で伝達するようにさらに動作する、請求項４７０に記載のシステム。
【請求項４７３】
（＊＊モバイル環境においてアグリゲートされた支払債務（Aggregated Payment Obligation）を閲覧するための方法およびシステム＊＊）無線ネットワークと通信のために接続されたモバイル装置を使用するモバイル金銭取引のための方法であって、
モバイル通信サービスプロバイダ（ＭＣＳＰ）を使用してユーザのモバイル装置と無線通信のために結合されるモバイル金銭取引システム（ＭＦＴＳ）を提供するステップであって、前記ＭＦＴＳが、ユーザが金銭的関係を有する複数の被支払人から情報を収集するアグリゲータ（aggregator）と電子通信のために結合され、前記ＭＦＴＳが、ユーザ情報、および前記１つまたは複数の被支払人に関連づけられた支払実行情報を保存するためのモバイル金銭取引システム（ＭＦＴＳ）データベースを含む、ステップと、
前記ＭＦＴＳにおいて、前記ユーザによって実行される被支払人に対する支払いに対応する支払実行情報を前記アグリゲータから受け取るステップと、
前記ＭＦＴＳにおいて、前記支払実行情報に基づいて要約支払実行情報を生成するステップであって、前記要約支払実行情報が、前記支払実行情報の所定の選択されたサブセットを備える、ステップと、
前記要約支払実行情報を前記ＭＦＴＳから前記ユーザモバイル装置に前記ＭＣＳＰを介して無線で伝達するステップと、
前記ユーザモバイル装置において、要約支払情報を表示するステップであって、前記要約支払情報が、前記ＭＦＴＳから受け取った前記要約支払実行情報に基づく、ステップと、
を備える方法。
【請求項４７４】
前記モバイル装置に伝達された前記要約支払情報が、被支払人識別子と、期日支払額と、支払期日とから成る、請求項４７３に記載の方法。
【請求項４７５】
前記アグリゲータと前記ＭＦＴＳが、統合システムとして実施される、請求項４７３に記載の方法。
【請求項４７６】
前記ＭＦＴＳによって伝達された前記要約支払実行情報が、他の選択された支払情報に加えて、符号化された被支払人識別子を含み、前記符号化された被支払人識別子が、前記ＭＦＴＳに保存された被支払人識別情報と比較してサイズ的に縮小されている、請求項４７３に記載の方法。
【請求項４７７】
前記符号化された被支払人識別子が、モバイル装置メモリ内にローカルに保存された追加の被支払人情報を取り出すために、前記モバイル装置において使用される、請求項４７６に記載の方法。
【請求項４７８】
前記追加の被支払人情報が、前記被支払人に関連づけられたニックネームである、請求項４７７に記載の方法。
【請求項４７９】
識別された被支払人が、前記アグリゲータに請求書情報を伝達した支払請求エンティティに対応する、請求項４７７に記載の方法。
【請求項４８０】
前記ユーザモバイル装置において、要約支払実行情報によって表される複数の支払いの中からの支払実行の選択に対応するユーザ入力を受け取るステップと、
前記ユーザモバイル装置において、前記ユーザ入力に応答して、選択された支払実行および前記選択された支払実行に対応する支払いを実行するための支払元に対応する情報を備えるモバイル支払命令を生成するステップと、
前記モバイル支払命令を前記ユーザモバイル装置から前記ＭＦＴＳに無線で伝達するステップと、
前記ＭＦＴＳにおいて、前記モバイル支払命令の受け取りに応答して、前記モバイル支払命令によって指示された前記支払いを受け取るための識別された被支払人に対応する情報、および前記モバイル支払命令内で識別された前記支払元に対応する情報を、前記ＭＦＴＳデータベースから取り出すステップと、
前記ＭＦＴＳにおいて、金額および前記識別された被支払人に対応する情報を少なくとも含む、支払命令受領者に対するＭＦＴＳ支払命令を生成するステップと、
前記ＭＦＴＳ支払命令を前記ＭＦＴＳから前記支払命令受領者に伝達するステップと、
前記支払命令受領者において、前記ＭＦＴＳ支払命令の受け取りに応答して、前記識別された被支払人に対する支払いを達成するステップと、
をさらに備える、請求項４７３に記載の方法。
【請求項４８１】
前記支払命令受領者が、前記アグリゲータ、金融サービスプロバイダ、個別の支払請求エンティティの１つである、請求項４８０に記載の方法。
【請求項４８２】
特定の日付時点の少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項４８１に記載の方法。
【請求項４８３】
前記支払元が、少なくとも１つの金融サービスプロバイダに関連づけられた少なくとも１つの口座を備える、請求項４８０に記載の方法。
【請求項４８４】
前記支払元が、１つまたは複数の選択可能な金融サービスプロバイダにおいて、前記ユーザによって保持される複数の選択可能な口座を備える、請求項４８０に記載の方法。
【請求項４８５】
前記支払実行情報の少なくとも部分が、支払実行情報および被支払人情報の入力のために前記ユーザによってアクセス可能な前記ＭＦＴＳに関連するインターネットアクセス可能ウェブサイトを介して前記ユーザによって前記ＭＦＴＳに入力され、または前記モバイル装置において前記ユーザによって入力される、請求項４７３に記載の方法。
【請求項４８６】
前記支払実行情報の前記部分が、被支払人識別情報を備える、請求項４８５に記載の方法。
【請求項４８７】
前記ユーザモバイル装置において要約支払実行情報を表示するステップが、「請求書閲覧」機能のユーザ活動化に応答して提供される、請求項４７３に記載の方法。
【請求項４８８】
前記ユーザモバイル装置において要約支払実行情報を表示するステップが、前記ＭＦＴＳからのテキストメッセージの前記モバイル装置における受け取りに応答して提供される、請求項４７３に記載の方法。
【請求項４８９】
前記ユーザモバイル装置上でモバイルウォレットアプリケーションを提供するステップをさらに備える、請求項４７３に記載の方法。
【請求項４９０】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項４８９に記載の方法。
【請求項４９１】
前記表示が、請求書閲覧コマンドの表示に応答して、支払実行のユーザ選択のためのユーザコントロールを備える、請求項４８９に記載の方法。
【請求項４９２】
前記請求書閲覧コマンドのユーザ活動化が、前記ＭＦＴＳに前記アグリゲータから支払実行情報を取り出させ、前記アグリゲータからそのような情報を受け取ったときに要約支払実行情報を前記モバイル装置に伝達させる、請求項４８９に記載の方法。
【請求項４９３】
支払いを実行するための支払元の選択に対応する前記ユーザ入力が、支払元閲覧コマンドの表示に応答して提供される、請求項４８９に記載の方法。
【請求項４９４】
支払いを実行するための支払元の前記選択が、金融サービスプロバイダの選択、および前記支払いを実行するための前記選択された金融サービスプロバイダに関連づけられた特定の口座の選択を含む、請求項４９３に記載の方法。
【請求項４９５】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項４８９に記載の方法。
【請求項４９６】
前記ＭＦＴＳデータベースが、ユーザの金銭取引に対応する取引情報を保存し、前記取引情報が、前記ユーザによって実行される支払いのステータスを追跡するために利用される他の情報に加えて、支払実行の選択時に前記ユーザから受け取った支払実行情報も含む、請求項４７３に記載の方法。
【請求項４９７】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項４９６に記載の方法。
【請求項４９８】
前記ユーザモバイル装置を介して実行される取引に対応する取引情報をウェブアプリケーションを介して取り出し、ユーザのコンピュータを介してユーザに表示するステップをさらに備える、請求項４９７に記載の方法。
【請求項４９９】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置との通信に関して使用するため、前記ウェブアプリケーションを介して入力された前記ユーザ情報を前記ＭＦＴＳデータベースに保存するステップと、
をさらに備える、請求項４７３に記載の方法。
【請求項５００】
無線ネットワークと通信のために接続されたモバイル装置のためのモバイル金銭取引システムであって、
モバイル金銭取引システム（ＭＦＴＳ）と無線通信のために結合される少なくとも１つのユーザモバイル装置であって、前記モバイル装置が、前記ＭＦＴＳから要約支払実行情報を無線で受け取り、表示するように動作し、前記要約支払実行情報が、前記ＭＦＴＳから受け取った情報に基づく、少なくとも１つのユーザモバイル装置と、
モバイル通信サービスプロバイダ（ＭＣＳＰ）を使用してユーザの１つまたは複数のモバイル装置と無線通信のために結合されるモバイル金銭取引システム（ＭＦＴＳ）であって、ユーザが金銭的関係を有する複数の被支払人から情報を収集するアグリゲータと電子通信のために結合され、ユーザ情報、および前記１つまたは複数の被支払人に関連づけられた支払実行情報を保存するためのモバイル金銭取引システム（ＭＦＴＳ）データベースを含み、
前記ユーザによって実行される被支払人に対する支払いに対応する支払実行情報を前記アグリゲータから受け取るコンピュータ実施ステップと、
前記ＭＦＴＳにおいて、前記支払実行情報に基づいて要約支払実行情報を生成するステップであって、前記要約支払実行情報が、前記支払実行情報の所定の選択されたサブセットを備える、コンピュータ実施ステップと、
前記要約支払実行情報を前記ＭＦＴＳから前記ユーザモバイル装置に前記ＭＣＳＰを介して無線で伝達するコンピュータ実施ステップと、
を実行するためのプログラムコードを備えるＭＦＴＳソフトウェアを含む、モバイル金銭取引システム（ＭＦＴＳ）と、
を備えるシステム。
【請求項５０１】
前記モバイル装置に伝達された要約支払情報が、被支払人識別子と、期日支払額と、支払期日とから成る、請求項５００に記載のシステム。
【請求項５０２】
前記アグリゲータと前記ＭＦＴＳが、統合システムとして実施される、請求項５００に記載のシステム。
【請求項５０３】
前記ＭＦＴＳによって伝達された前記要約支払実行情報が、他の選択された支払情報に加えて、符号化された被支払人識別子を含み、前記符号化された被支払人識別子が、前記ＭＦＴＳに保存された被支払人識別情報と比較してサイズ的に縮小されている、請求項５００に記載のシステム。
【請求項５０４】
前記符号化された被支払人識別子が、モバイル装置メモリ内にローカルに保存された追加の被支払人情報を取り出すために、前記モバイル装置において使用される、請求項５０３に記載のシステム。
【請求項５０５】
前記追加の被支払人情報が、前記被支払人に関連づけられたニックネームである、請求項５０４に記載のシステム。
【請求項５０６】
識別された被支払人が、前記アグリゲータに請求書情報を伝達した支払請求エンティティに対応する、請求項５０４に記載のシステム。
【請求項５０７】
前記モバイル装置が、
要約支払実行情報によって表される複数の支払いの中からの支払実行の選択に対応するユーザ入力を受け取り、
前記ユーザ入力に応答して、選択された支払実行および前記選択された支払実行に対応する支払いを実行するための支払元に対応する情報を備えるモバイル支払命令を生成し、
前記モバイル支払命令を前記ユーザモバイル装置から前記ＭＦＴＳに無線で伝達する、
ようにさらに動作する、請求項５００に記載のシステム。
【請求項５０８】
前記ＭＦＴＳソフトウェアが、
前記モバイル装置からの前記モバイル支払命令の受け取りに応答して、前記モバイル支払命令によって指示された前記支払いを受け取るための識別された被支払人に対応する情報、および前記モバイル支払命令内で識別された前記支払元に対応する情報を、前記ＭＦＴＳデータベースから取り出すコンピュータ実施ステップと、
金額および前記識別された被支払人に対応する情報を少なくとも含む、支払命令受領者に対するＭＦＴＳ支払命令を生成するコンピュータ実施ステップと、
前記ＭＦＴＳ支払命令を前記支払命令受領者に伝達するコンピュータ実施ステップと、
のためにさらに動作し、
それによって、前記支払命令受領者が、前記ＭＦＴＳ支払命令の受け取りに応答して、前記識別された被支払人に対する支払いを達成する、
請求項５０７に記載のシステム。
【請求項５０９】
前記支払命令受領者が、前記アグリゲータ、金融サービスプロバイダ、個別の支払請求エンティティの１つである、請求項５０８に記載のシステム。
【請求項５１０】
前記ユーザモバイル装置が、特定の日付時点の少なくとも１つの口座の残高を表すキャッシュされた口座残高を前記モバイル装置に保存し、
前記ユーザモバイル装置が、前記口座についての更新された口座残高情報を受け取り、
前記ＭＦＴＳからの更新された口座残高情報の受け取りに応答して、前記モバイル装置が、前記口座に対応する更新された口座残高情報を前記ユーザに表示する、
請求項５０８に記載のシステム。
【請求項５１１】
前記支払元が、少なくとも１つの金融サービスプロバイダに関連づけられた少なくとも１つの口座を備える、請求項５０８に記載のシステム。
【請求項５１２】
前記支払元が、１つまたは複数の選択可能な金融サービスプロバイダにおいて、前記ユーザによって保持される複数の選択可能な口座を備える、請求項５０８に記載のシステム。
【請求項５１３】
前記支払実行情報の少なくとも部分が、支払実行情報および被支払人情報の入力のために前記ユーザによってアクセス可能な前記ＭＦＴＳに関連するインターネットアクセス可能ウェブサイトを介して前記ユーザによって前記ＭＦＴＳに入力され、または前記モバイル装置において前記ユーザによって入力される、請求項５００に記載のシステム。
【請求項５１４】
前記支払実行情報の前記部分が、被支払人識別情報を備える、請求項５１３に記載のシステム。
【請求項５１５】
前記ユーザモバイル装置において要約支払実行情報を表示するステップが、「請求書閲覧」機能のユーザ活動化に応答して提供される、請求項５００に記載のシステム。
【請求項５１６】
前記ユーザモバイル装置において要約支払実行情報を表示するステップが、前記ＭＦＴＳからのテキストメッセージの前記モバイル装置における受け取りに応答して提供される、請求項５００に記載のシステム。
【請求項５１７】
前記ユーザモバイル装置上でモバイルウォレットアプリケーションを提供するステップをさらに備える、請求項５００に記載のシステム。
【請求項５１８】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項５１７に記載のシステム。
【請求項５１９】
前記表示が、請求書閲覧コマンドの表示に応答して、支払実行のユーザ選択のためのユーザコントロールを備える、請求項５１７に記載のシステム。
【請求項５２０】
前記請求書閲覧コマンドのユーザ活動化が、前記ＭＦＴＳに前記アグリゲータから支払実行情報を取り出させ、前記アグリゲータからそのような情報を受け取ったときに要約支払実行情報を前記モバイル装置に伝達させる、請求項５１７に記載のシステム。
【請求項５２１】
支払いを実行するための支払元の選択に対応する前記ユーザ入力が、支払元閲覧コマンドの表示に応答して提供される、請求項５１７に記載のシステム。
【請求項５２２】
支払いを実行するための支払元の前記選択が、金融サービスプロバイダの選択、および前記支払いを実行するための前記選択された金融サービスプロバイダに関連づけられた特定の口座の選択を含む、請求項５２１に記載のシステム。
【請求項５２３】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項５１７に記載のシステム。
【請求項５２４】
前記ＭＦＴＳデータベースが、ユーザの金銭取引に対応する取引情報を保存し、前記取引情報が、前記ユーザによって実行される支払いのステータスを追跡するために利用される他の情報に加えて、支払実行の選択時に前記ユーザから受け取った支払実行情報も含む、請求項５００に記載のシステム。
【請求項５２５】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項５２４に記載のシステム。
【請求項５２６】
前記ユーザモバイル装置を介して実行される取引に対応する取引情報をウェブアプリケーションを介して取り出し、ユーザのコンピュータを介してユーザに表示するステップをさらに備える、請求項５２５に記載のシステム。
【請求項５２７】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置との通信に関して使用するため、前記ウェブアプリケーションを介して入力された前記ユーザ情報を前記ＭＦＴＳデータベースに保存するステップと、
をさらに備える、請求項５００に記載のシステム。
【請求項５２８】
無線ネットワークと通信のために接続されたモバイル装置を使用するモバイル金銭取引のための方法であって、
モバイル装置において、モバイル金銭取引システム（ＭＦＴＳ）から要約支払実行情報を無線で受け取るステップであって、前記要約支払実行情報が、ユーザによって実行される被支払人に対する支払いに対応するアグリゲータから受け取った支払実行情報に基づき、前記要約支払実行情報が、前記アグリゲータによって前記ＭＦＴＳに提供された前記支払実行情報の所定の選択されたサブセットを備える、ステップと、
前記ユーザモバイル装置において、要約支払情報を表示するステップであって、前記要約支払情報が、前記ＭＦＴＳから受け取った前記要約支払実行情報に基づく、ステップと、
を備える方法。
【請求項５２９】
前記モバイル装置に伝達された前記要約支払情報が、被支払人識別子と、期日支払額と、支払期日とから成る、請求項５２８に記載の方法。
【請求項５３０】
前記ＭＦＴＳによって伝達された前記要約支払実行情報が、他の選択された支払情報に加えて、符号化された被支払人識別子を含み、前記符号化された被支払人識別子が、前記ＭＦＴＳに保存された被支払人識別情報と比較してサイズ的に縮小されている、請求項５２８に記載の方法。
【請求項５３１】
前記符号化された被支払人識別子が、モバイル装置メモリ内にローカルに保存された追加の被支払人情報を取り出すために、前記モバイル装置において使用される、請求項５３０に記載の方法。
【請求項５３２】
前記追加の被支払人情報が、前記被支払人に関連づけられたニックネームである、請求項５３１に記載の方法。
【請求項５３３】
識別された被支払人が、前記アグリゲータに請求書情報を伝達した支払請求エンティティに対応する、請求項５３１に記載の方法。
【請求項５３４】
前記ユーザモバイル装置において、要約支払実行情報によって表される複数の支払いの中からの支払実行の選択に対応するユーザ入力を受け取るステップと、
前記ユーザモバイル装置において、前記ユーザ入力に応答して、選択された支払実行および前記選択された支払実行に対応する支払いを実行するための支払元に対応する情報を備えるモバイル支払命令を生成するステップと、
前記モバイル支払命令を前記ユーザモバイル装置から前記ＭＦＴＳに無線で伝達するステップと、をさらに備え、
それによって、前記ＭＦＴＳが、識別された被支払人に対する支払いを達成するために、支払情報を支払命令受領者に提供する、
請求項５２８に記載の方法。
【請求項５３５】
前記支払命令受領者が、前記アグリゲータ、金融サービスプロバイダ、個別の支払請求エンティティの１つである、請求項５３４に記載の方法。
【請求項５３６】
特定の日付時点の少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項５３５に記載の方法。
【請求項５３７】
前記支払元が、少なくとも１つの金融サービスプロバイダに関連づけられた少なくとも１つの口座を備える、請求項５３４に記載の方法。
【請求項５３８】
前記支払元が、１つまたは複数の選択可能な金融サービスプロバイダにおいて、前記ユーザによって保持される複数の選択可能な口座を備える、請求項５３４に記載の方法。
【請求項５３９】
前記支払実行情報の少なくとも部分が、支払実行情報および被支払人情報の入力のために前記ユーザによってアクセス可能な前記ＭＦＴＳに関連するインターネットアクセス可能ウェブサイトを介して前記ユーザによって前記ＭＦＴＳに入力され、または前記モバイル装置において前記ユーザによって入力される、請求項５２８に記載の方法。
【請求項５４０】
前記支払実行情報の前記部分が、被支払人識別情報を備える、請求項５３９に記載の方法。
【請求項５４１】
前記ユーザモバイル装置において要約支払実行情報を表示するステップが、「請求書閲覧」機能のユーザ活動化に応答して提供される、請求項５２８に記載の方法。
【請求項５４２】
前記ユーザモバイル装置において要約支払実行情報を表示するステップが、前記ＭＦＴＳからのテキストメッセージの前記モバイル装置における受け取りに応答して提供される、請求項５２８に記載の方法。
【請求項５４３】
前記ユーザモバイル装置上でモバイルウォレットアプリケーションを提供するステップをさらに備える、請求項５２８に記載の方法。
【請求項５４４】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項５４３に記載の方法。
【請求項５４５】
前記表示が、請求書閲覧コマンドの表示に応答して、支払実行のユーザ選択のためのユーザコントロールを備える、請求項５４３に記載の方法。
【請求項５４６】
前記請求書閲覧コマンドのユーザ活動化が、前記ＭＦＴＳに前記アグリゲータから支払実行情報を取り出させ、前記アグリゲータからそのような情報を受け取ったときに要約支払実行情報を前記モバイル装置に伝達させる、請求項５４３に記載の方法。
【請求項５４７】
支払いを実行するための支払元の選択に対応する前記ユーザ入力が、支払元閲覧コマンドの表示に応答して提供される、請求項５４３に記載の方法。
【請求項５４８】
支払いを実行するための支払元の前記選択が、金融サービスプロバイダの選択、および前記支払いを実行するための前記選択された金融サービスプロバイダに関連づけられた特定の口座の選択を含む、請求項５４７に記載の方法。
【請求項５４９】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項５４３に記載の方法。
【請求項５５０】
アグリゲータによって提供される支払実行を閲覧するためのモバイル装置であって、
モバイル通信サービスプロバイダを介してモバイル金銭取引システム（ＭＦＴＳ）に無線通信のために接続されるモバイル装置と、
モバイル装置プロセッサ上で動作するモバイル装置ソフトウェアであって、
モバイル金銭取引システム（ＭＦＴＳ）から要約支払実行情報を無線で受け取るステップであって、前記要約支払実行情報が、ユーザによって実行される被支払人に対する支払いに対応するアグリゲータから受け取った支払実行情報に基づき、前記要約支払実行情報が、前記アグリゲータによって前記ＭＦＴＳに提供された前記支払実行情報の所定の選択されたサブセットを備える、コンピュータ実施ステップと、
前記ユーザモバイル装置において、要約支払情報を表示するステップであって、前記要約支払情報が、前記ＭＦＴＳから受け取った前記要約支払実行情報に基づく、コンピュータ実施ステップと、
を実行するためのプログラムコードを備えるモバイル装置ソフトウェアと、
を備える、モバイル装置。
【請求項５５１】
前記モバイル装置に伝達された前記要約支払情報が、被支払人識別子と、期日支払額と、支払期日とから成る、請求項５５０に記載の装置。
【請求項５５２】
前記ＭＦＴＳによって伝達された前記要約支払実行情報が、他の選択された支払情報に加えて、符号化された被支払人識別子を含み、前記符号化された被支払人識別子が、前記ＭＦＴＳに保存された被支払人識別情報と比較してサイズ的に縮小されている、請求項５５０に記載の装置。
【請求項５５３】
前記符号化された被支払人識別子が、モバイル装置メモリ内にローカルに保存された追加の被支払人情報を取り出すために、前記モバイル装置において使用される、請求項５５２に記載の装置。
【請求項５５４】
前記追加の被支払人情報が、前記被支払人に関連づけられたニックネームである、請求項５５３に記載の装置。
【請求項５５５】
識別された被支払人が、前記アグリゲータに請求書情報を伝達した支払請求エンティティに対応する、請求項５５３に記載の装置。
【請求項５５６】
前記モバイル装置ソフトウェアが、
要約支払実行情報によって表される複数の支払いの中からの支払実行の選択に対応するユーザ入力を受け取り、
前記ユーザ入力に応答して、選択された支払実行および前記選択された支払実行に対応する支払いを実行するための支払元に対応する情報を備えるモバイル支払命令を生成し、
前記モバイル支払命令を前記ＭＦＴＳに無線で伝達する、
ようにさらに動作し、
それによって、前記ＭＦＴＳが、識別された被支払人に対する支払いを達成するために、支払情報を支払命令受領者に提供する、請求項５５０に記載の装置。
【請求項５５７】
前記支払命令受領者が、前記アグリゲータ、金融サービスプロバイダ、個別の支払請求エンティティの１つである、請求項５５６に記載の装置。
【請求項５５８】
前記ユーザモバイル装置が、特定の日付時点の少なくとも１つの口座の残高を表すキャッシュされた口座残高を前記モバイル装置に保存し、
前記ユーザモバイル装置が、前記口座についての更新された口座残高情報を受け取り、
前記ＭＦＴＳからの更新された口座残高情報の受け取りに応答して、前記モバイル装置が、前記口座に対応する更新された口座残高情報を前記ユーザに表示する、
請求項５５７に記載の装置。
【請求項５５９】
前記支払元が、少なくとも１つの金融サービスプロバイダに関連づけられた少なくとも１つの口座を備える、請求項５５６に記載の装置。
【請求項５６０】
前記支払元が、１つまたは複数の選択可能な金融サービスプロバイダにおいて、前記ユーザによって保持される複数の選択可能な口座を備える、請求項５５６に記載の装置。
【請求項５６１】
前記支払実行情報の少なくとも部分が、支払実行情報および被支払人情報の入力のために前記ユーザによってアクセス可能な前記ＭＦＴＳに関連するインターネットアクセス可能ウェブサイトを介して前記ユーザによって前記ＭＦＴＳに入力され、または前記モバイル装置において前記ユーザによって入力される、請求項５５０に記載の装置。
【請求項５６２】
前記支払実行情報の前記部分が、被支払人識別情報を備える、請求項５６１に記載の装置。
【請求項５６３】
前記ユーザモバイル装置において要約支払実行情報を表示するステップが、「請求書閲覧」機能のユーザ活動化に応答して提供される、請求項５５０に記載の装置。
【請求項５６４】
前記ユーザモバイル装置において要約支払実行情報を表示するステップが、前記ＭＦＴＳからのテキストメッセージの前記モバイル装置における受け取りに応答して提供される、請求項５５０に記載の装置。
【請求項５６５】
前記モバイル装置ソフトウェアが、モバイルウォレットアプリケーションを含む、請求項５５０に記載の装置。
【請求項５６６】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項５６５に記載の装置。
【請求項５６７】
前記表示が、請求書閲覧コマンドの表示に応答して、支払実行のユーザ選択のためのユーザコントロールを備える、請求項５６５に記載の装置。
【請求項５６８】
前記請求書閲覧コマンドのユーザ活動化が、前記ＭＦＴＳに前記アグリゲータから支払実行情報を取り出させ、前記アグリゲータからそのような情報を受け取ったときに要約支払実行情報を前記モバイル装置に伝達させる、請求項５６５に記載の装置。
【請求項５６９】
支払いを実行するための支払元の選択に対応する前記ユーザ入力が、支払元閲覧コマンドの表示に応答して提供される、請求項５６５に記載の装置。
【請求項５７０】
支払いを実行するための支払元の前記選択が、金融サービスプロバイダの選択、および前記支払いを実行するための前記選択された金融サービスプロバイダに関連づけられた特定の口座の選択を含む、請求項５６９に記載の装置。
【請求項５７１】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項５６５に記載の装置。
【請求項５７２】
無線ネットワークと通信のために接続されたモバイル装置を有するユーザに応答するモバイル金銭取引のための方法であって、
モバイル通信サービスプロバイダ（ＭＣＳＰ）を使用してユーザのモバイル装置と無線通信のために結合されるモバイル金銭取引システム（ＭＦＴＳ）を提供するステップであって、前記ＭＦＴＳが、ユーザが金銭的関係を有する複数の被支払人から情報を収集するアグリゲータと電子通信のために結合され、前記ＭＦＴＳが、ユーザ情報、および前記１つまたは複数の被支払人に関連づけられた支払実行情報を保存するためのモバイル金銭取引システム（ＭＦＴＳ）データベースを含む、ステップと、
前記ＭＦＴＳにおいて、前記ユーザによって実行される被支払人に対する支払いに対応する支払実行情報を前記アグリゲータから受け取るステップと、
前記ＭＦＴＳにおいて、前記支払実行情報に基づいて要約支払実行情報を生成するステップであって、前記要約支払実行情報が、前記支払実行情報の所定の選択されたサブセットを備える、ステップと、
前記要約支払実行情報を前記ＭＦＴＳから前記ユーザモバイル装置に前記ＭＣＳＰを介して無線で伝達するステップと、
を備える方法。
【請求項５７３】
前記モバイル装置に伝達された要約支払情報が、被支払人識別子と、期日支払額と、支払期日とから成る、請求項５７２に記載の方法。
【請求項５７４】
前記アグリゲータと前記ＭＦＴＳが、統合システムとして実施される、請求項５７２に記載の方法。
【請求項５７５】
前記ＭＦＴＳによって伝達された前記要約支払実行情報が、他の選択された支払情報に加えて、符号化された被支払人識別子を含み、前記符号化された被支払人識別子が、前記ＭＦＴＳに保存された被支払人識別情報と比較してサイズ的に縮小されている、請求項５７２に記載の方法。
【請求項５７６】
被支払人に関連づけられたニックネームを保存するステップをさらに備える、請求項５７５に記載の方法。
【請求項５７７】
識別された被支払人が、前記アグリゲータに請求書情報を伝達した支払請求エンティティに対応する、請求項５７５に記載の方法。
【請求項５７８】
ユーザモバイル装置からモバイル支払命令を受け取るステップと、
前記モバイル支払命令の受け取りに応答して、前記モバイル支払命令によって指示された前記支払いを受け取るための識別された被支払人に対応する情報、および前記モバイル支払命令内で識別された支払元に対応する情報を、前記ＭＦＴＳデータベースから取り出すステップと、
金額および前記識別された被支払人に対応する情報を少なくとも含む、支払命令受領者に対するＭＦＴＳ支払命令を生成するステップと、
前記ＭＦＴＳ支払命令を前記ＭＦＴＳから前記支払命令受領者に伝達するステップと、をさらに備え、
それによって、前記支払命令受領者が、前記ＭＦＴＳ支払命令の受け取りに応答して、前記識別された被支払人に対する支払いを達成する、
請求項５７２に記載の方法。
【請求項５７９】
前記支払命令受領者が、前記アグリゲータ、金融サービスプロバイダ、個別の支払請求エンティティの１つである、請求項５７８に記載の方法。
【請求項５８０】
口座についての更新された口座残高情報を取得するために前記金融サービスプロバイダと通信するステップと、
更新された口座残高情報を前記ＭＦＴＳから前記ユーザモバイル装置に無線で伝達するステップと、をさらに備え、
それによって、前記ＭＦＴＳからの更新された口座残高情報の受け取りに応答して、前記モバイル装置が、前記口座に対応する更新された口座残高情報を前記ユーザに表示する、
請求項５７９に記載の方法。
【請求項５８１】
前記支払元が、少なくとも１つの金融サービスプロバイダに関連づけられた少なくとも１つの口座を備える、請求項５７８に記載の方法。
【請求項５８２】
前記支払元が、１つまたは複数の選択可能な金融サービスプロバイダにおいて、前記ユーザによって保持される複数の選択可能な口座を備える、請求項５７８に記載の方法。
【請求項５８３】
前記支払実行情報の少なくとも部分が、支払実行情報および被支払人情報の入力のために前記ユーザによってアクセス可能な前記ＭＦＴＳに関連するインターネットアクセス可能ウェブサイトを介して前記ユーザによって前記ＭＦＴＳに入力され、または前記モバイル装置において前記ユーザによって入力される、請求項５７２に記載の方法。
【請求項５８４】
前記支払実行情報の前記部分が、被支払人識別情報を備える、請求項５８３に記載の方法。
【請求項５８５】
前記アグリゲータから支払実行情報を受け取ったときにユーザモバイル装置にテキストメッセージを提供するステップをさらに備える、請求項５７２に記載の方法。
【請求項５８６】
モバイル装置上での請求書閲覧コマンドのユーザ活動化に応答して、前記ＭＦＴＳが、前記アグリゲータから支払実行情報を取り出し、前記アグリゲータからそのような情報を受け取ったときに要約支払実行情報を前記モバイル装置に伝達する、請求項５７２に記載の方法。
【請求項５８７】
モバイル装置上での支払元閲覧コマンドのユーザ活動化に応答して、前記ＭＦＴＳが、１つまたは複数の金融サービスプロバイダから現在の口座情報を取り出し、前記１つまたは複数の金融サービスプロバイダからそのような情報を受け取ったときに前記現在の口座情報を前記モバイル装置に伝達する、請求項５７２に記載の方法。
【請求項５８８】
前記ＭＦＴＳデータベースが、ユーザの金銭取引に対応する取引情報を保存し、前記取引情報が、前記ユーザによって実行される支払いのステータスを追跡するために利用される他の情報に加えて、支払実行の選択時に前記ユーザから受け取った支払実行情報も含む、請求項５７２に記載の方法。
【請求項５８９】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項５８８に記載の方法。
【請求項５９０】
前記ユーザモバイル装置を介して実行される取引に対応する取引情報をウェブアプリケーションを介して取り出し、ユーザのコンピュータを介してユーザに表示するステップをさらに備える、請求項５８９に記載の方法。
【請求項５９１】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置との通信に関して使用するため、前記ウェブアプリケーションを介して入力された前記ユーザ情報を前記ＭＦＴＳデータベースに保存するステップと、
をさらに備える、請求項５７２に記載の方法。
【請求項５９２】
無線ネットワークと通信のために接続されたモバイル装置を有するユーザによるモバイル金銭取引を円滑化するためのモバイル金銭取引システム（ＭＦＴＳ）であって、
ユーザ情報、およびモバイル装置ユーザに関連する１つまたは複数の被支払人に関連づけられた支払実行情報を保存するためのモバイル金銭取引システム（ＭＦＴＳ）データベースと、
前記ＭＦＴＳデータベースを維持し、ユーザが金銭的関係を有する複数の被支払人から情報を収集するアグリゲータを含むモバイル金銭支払に関与するエンティティ間で電子通信を実行する、モバイル金銭取引システム（ＭＦＴＳ）コンピュータシステムと、
前記ＭＦＴＳコンピュータシステム上で動作するＭＦＴＳソフトウェアであって、
前記ユーザによって実行される被支払人に対する支払いに対応する支払実行情報を前記アグリゲータから受け取るコンピュータ実施ステップと、
前記ＭＦＴＳにおいて、前記支払実行情報に基づいて要約支払実行情報を生成するステップであって、前記要約支払実行情報が、前記支払実行情報の所定の選択されたサブセットを備える、コンピュータ実施ステップと、
前記要約支払実行情報を前記ＭＦＴＳから前記ユーザモバイル装置にモバイル通信サービスプロバイダを介して無線で伝達するコンピュータ実施ステップと、
を実行するためのプログラムコードを備えるＭＦＴＳソフトウェアと、
を備えるシステム。
【請求項５９３】
前記モバイル装置に伝達された要約支払情報が、被支払人識別子と、期日支払額と、支払期日とから成る、請求項５９２に記載のシステム。
【請求項５９４】
前記アグリゲータと前記ＭＦＴＳが、統合システムとして実施される、請求項５９２に記載のシステム。
【請求項５９５】
前記ＭＦＴＳによって伝達された前記要約支払実行情報が、他の選択された支払情報に加えて、符号化された被支払人識別子を含み、前記符号化された被支払人識別子が、前記ＭＦＴＳに保存された被支払人識別情報と比較してサイズ的に縮小されている、請求項５９２に記載のシステム。
【請求項５９６】
前記ＭＦＴＳデータベースが、被支払人に関連づけられたニックネームを保存する、請求項５９２に記載のシステム。
【請求項５９７】
識別された被支払人が、前記アグリゲータに請求書情報を伝達した支払請求エンティティに対応する、請求項５９６に記載のシステム。
【請求項５９８】
前記ＭＦＴＳソフトウェアが、
ユーザモバイル装置からモバイル支払命令を受け取り、
前記モバイル支払命令の受け取りに応答して、前記モバイル支払命令によって指示された前記支払いを受け取るための識別された被支払人に対応する情報、および前記モバイル支払命令内で識別された支払元に対応する情報を、前記ＭＦＴＳデータベースから取り出し、
金額および前記識別された被支払人に対応する情報を少なくとも含む、支払命令受領者に対するＭＦＴＳ支払命令を生成し、
前記ＭＦＴＳ支払命令を前記ＭＦＴＳから前記支払命令受領者に伝達する、ようにさらに動作し、
それによって、前記支払命令受領者が、前記ＭＦＴＳ支払命令の受け取りに応答して、前記識別された被支払人に対する支払いを達成する、
請求項５９２に記載のシステム。
【請求項５９９】
前記支払命令受領者が、前記アグリゲータ、金融サービスプロバイダ、個別の支払請求エンティティの１つである、請求項５９８に記載のシステム。
【請求項６００】
前記ＭＦＴＳが、口座についての更新された口座残高情報を取得するために前記金融サービスプロバイダと通信し、
前記ＭＦＴＳが、更新された口座残高情報を前記ＭＦＴＳから前記ユーザモバイル装置に無線で伝達し、
前記ＭＦＴＳからの更新された口座残高情報の受け取りに応答して、前記モバイル装置が、前記口座に対応する更新された口座残高情報を前記ユーザに表示する、
請求項５９８に記載のシステム。
【請求項６０１】
前記支払元が、少なくとも１つの金融サービスプロバイダに関連づけられた少なくとも１つの口座を備える、請求項５９８に記載のシステム。
【請求項６０２】
前記支払元が、１つまたは複数の選択可能な金融サービスプロバイダにおいて、前記ユーザによって保持される複数の選択可能な口座を備える、請求項５９８に記載のシステム。
【請求項６０３】
前記支払実行情報の少なくとも部分が、支払実行情報および被支払人情報の入力のために前記ユーザによってアクセス可能な前記ＭＦＴＳに関連するインターネットアクセス可能ウェブサイトを介して前記ユーザによって前記ＭＦＴＳに入力され、または前記モバイル装置において前記ユーザによって入力される、請求項５９２に記載のシステム。
【請求項６０４】
前記支払実行情報の前記部分が、被支払人識別情報を備える、請求項６０３に記載のシステム。
【請求項６０５】
前記アグリゲータから支払実行情報を受け取ったときにユーザモバイル装置にテキストメッセージを提供するステップをさらに備える、請求項５９２に記載のシステム。
【請求項６０６】
モバイル装置上での請求書閲覧コマンドのユーザ活動化に応答して、前記ＭＦＴＳが、前記アグリゲータから支払実行情報を取り出し、前記アグリゲータからそのような情報を受け取ったときに要約支払実行情報を前記モバイル装置に伝達する、請求項５９２に記載のシステム。
【請求項６０７】
モバイル装置上での支払元閲覧コマンドのユーザ活動化に応答して、前記ＭＦＴＳが、１つまたは複数の金融サービスプロバイダから現在の口座情報を取り出し、前記１つまたは複数の金融サービスプロバイダからそのような情報を受け取ったときに前記現在の口座情報を前記モバイル装置に伝達する、請求項５９２に記載のシステム。
【請求項６０８】
前記ＭＦＴＳデータベースが、ユーザの金銭取引に対応する取引情報を保存し、前記取引情報が、前記ユーザによって実行される支払いのステータスを追跡するために利用される他の情報に加えて、支払実行の選択時に前記ユーザから受け取った支払実行情報も含む、請求項５９２に記載のシステム。
【請求項６０９】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項６０８に記載のシステム。
【請求項６１０】
前記ユーザモバイル装置を介して実行される取引に対応する取引情報をウェブアプリケーションを介して取り出し、ユーザのコンピュータを介してユーザに表示するステップをさらに備える、請求項６０９に記載のシステム。
【請求項６１１】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置との通信に関して使用するため、前記ウェブアプリケーションを介して入力された前記ユーザ情報を前記ＭＦＴＳデータベースに保存するステップと、
をさらに備える、請求項５９２に記載のシステム。
【請求項６１２】
（＊＊モバイル環境において支払いを提供するための方法およびシステム＊＊）無線ネットワークを介して通信のために接続されたモバイル装置を利用してユーザ／支払人からの被支払人に対する金銭支払を実行するための方法であって、
前記モバイル装置において、実行される支払いのための被支払人を識別する情報、前記支払いのための支払元を識別する情報、および１つまたは複数の選択可能な支払方法に対応する情報のユーザ入力を受け取るステップと、
前記ユーザモバイル装置において、前記ユーザ入力に応答して、前記識別された被支払人、前記支払元、および前記選択された支払方法に対応する情報を備えるモバイル支払命令を生成するステップと、
前記モバイル支払命令を前記ユーザモバイル装置からモバイル金銭取引システム（ＭＦＴＳ）に無線で伝達するステップと、
前記ＭＦＴＳにおいて、前記モバイル支払命令の受け取りに応答して、支払命令受領者に対するＭＦＴＳ支払命令を生成するステップであって、前記ＭＦＴＳ支払命令が、前記支払元を識別する情報、金額、前記識別された被支払人に対応する情報、および前記選択された支払方法を指示する情報を少なくとも含む、ステップと、
前記ＭＦＴＳ支払命令を前記ＭＦＴＳから前記支払命令受領者に伝達するステップと、
前記支払命令受領者において、前記ＭＦＴＳ支払命令の受け取りに応答して、前記被支払人によるどのようなアクションも必要とせずに、前記識別された被支払人に対する支払いを実行するステップと、
を備える方法。
【請求項６１３】
前記支払命令受領者が、金融サービスプロバイダ、支払請求アグリゲータ、または個別の支払請求エンティティの１つである、請求項６１２に記載の方法。
【請求項６１４】
前記支払元が、前記ユーザが関係を維持する金融サービスプロバイダを備え、前記金融サービスプロバイダが、前記支払元として使用するために選択可能な１つまたは複数の口座を前記ユーザに代わって維持する、請求項６１２に記載の方法。
【請求項６１５】
特定の日付時点の少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項６１４に記載の方法。
【請求項６１６】
前記ユーザが、複数の金融サービスプロバイダと関係を維持し、支払元の前記識別が、前記複数の金融サービスプロバイダの１つにおける口座の選択を備える、請求項６１４に記載の方法。
【請求項６１７】
前記ＭＦＴＳにおける前記モバイル支払命令の受け取りに応答して、
前記支払命令内で前記支払元として識別された選択された金融サービスプロバイダにおける選択された口座に対応する情報を決定するステップと、
前記決定された金融サービスプロバイダに対するＭＦＴＳ支払命令を生成するステップであって、前記ＭＦＴＳ支払命令が、前記選択された金融サービスプロバイダにおける前記選択された口座を識別する情報、金額、前記識別された被支払人に対応する情報、および前記選択された支払方法に指示する情報を少なくとも含む、ステップと、
前記ＭＦＴＳ支払命令を前記ＭＦＴＳから前記支払命令受領者としての前記選択された金融サービスプロバイダに伝達するステップと、
をさらに備える、請求項６１２に記載の方法。
【請求項６１８】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記支払命令内で識別された前記選択された金融サービスプロバイダにおける前記選択された口座に対応する情報を決定する前記ステップが、前記ＭＦＴＳデータベースに事前保存された情報から前記情報を取り出すことによって達成される、
請求項６１７に記載の方法。
【請求項６１９】
前記被支払人情報が、前記モバイル装置における入力によって前記ユーザによって提供される、請求項６１２に記載の方法。
【請求項６２０】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示および前記ユーザによる選択のために前記モバイル装置に伝達される、請求項６１２に記載の方法。
【請求項６２１】
前記ユーザモバイル装置上でモバイルウォレットアプリケーションを提供するステップをさらに備える、請求項６１２に記載の方法。
【請求項６２２】
前記モバイルウォレットアプリケーションが、ペイエニワン・コマンド、支払元選択コマンド、および支払方法選択コマンドのうちの１つまたは複数を含む選択可能なコマンドの表示を前記モバイル装置上で提供する、請求項６２１に記載の方法。
【請求項６２３】
支払元を識別することに対応するユーザ入力が、支払元選択コマンドの表示に応答して提供される、請求項６２２に記載の方法。
【請求項６２４】
前記支払いを実行するための支払元の前記識別が、金融サービスプロバイダに関連づけられた特定の口座の選択を備える、請求項６２３に記載の方法。
【請求項６２５】
前記支払元選択コマンドのユーザ活動化が、前記ＭＦＴＳに選択された金融サービスプロバイダから現在の口座情報を取り出させ、前記選択された金融サービスプロバイダからそのような情報を受け取ったときに現在の口座情報を前記モバイル装置に伝達させる、請求項６２２に記載の方法。
【請求項６２６】
前記識別された被支払人が、請求書情報を前記ＭＦＴＳに伝達した支払請求エンティティに対応する、請求項６１２に記載の方法。
【請求項６２７】
前記ＭＦＴＳが、ユーザ情報および取引情報を保存するためのデータベースを含む、請求項６１２に記載の方法。
【請求項６２８】
前記取引情報が、ユーザ支払いのステータスを追跡するために利用される他の情報に加えて、支払情報を備え、以下の情報項目の１つまたは複数、すなわち、ユーザＩＤ番号、取引識別子、金額、金融サービスプロバイダ識別子、口座識別子、被支払人識別子、支払方法識別子、未完／完了フラグのうちの１つまたは複数を含む、請求項６２７に記載の方法。
【請求項６２９】
前記ユーザ情報が、被支払人、口座、およびユーザに関連する金融サービスプロバイダに対応する事前保存情報を備える、請求項６２７に記載の方法。
【請求項６３０】
前記支払いを実行する際の所定の段階の完了に応答して、支払確認メッセージを前記ＭＦＴＳにおいて前記支払命令受領者から受け取るステップをさらに備える、請求項６１２に記載の方法。
【請求項６３１】
前記支払命令受領者からの前記支払確認メッセージの受け取りに応答して、支払確認メッセージを前記モバイル装置に伝達するステップをさらに備える、請求項６３０に記載の方法。
【請求項６３２】
前記選択可能な支払方法が、受領者定義方法、ＡＣＨ資金振替、小切手、および価値保存（ＳＶ）カードを含む、請求項６１２に記載の方法。
【請求項６３３】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報をＭＦＴＳデータベースに保存するステップと、
をさらに備える、請求項６１２に記載の方法。
【請求項６３４】
前記ユーザモバイル装置を介して実行される取引に対応する取引情報を前記ウェブアプリケーションを介して取り出し、前記ユーザのコンピュータ上でユーザに表示するステップをさらに備える、請求項６３３に記載の方法。
【請求項６３５】
前記ＭＦＴＳが、支払いが実行されたことを前記被支払人に通知するメッセージを前記被支払人に提供する、請求項６１２に記載の方法。
【請求項６３６】
前記メッセージが、前記被支払人のモバイル装置に提供されるテキストメッセージである、請求項６３５に記載の方法。
【請求項６３７】
前記メッセージが、前記被支払人のモバイル装置上にモバイルウォレットアプリケーションを有する被支払人に提供され、前記被支払人が、前記支払いを受け取るための選択肢に関して前記メッセージで通知される、請求項６３６に記載の方法。
【請求項６３８】
前記支払いを受け取るための前記選択肢が、既存価値保存カード、新規価値保存カード、前記ユーザ／支払人によって指示された前記支払方法以外の支払方法のうちの１つまたは複数を含む、請求項６３７に記載の方法。
【請求項６３９】
無線ネットワークを介して通信のために接続されたモバイル装置を利用してユーザ／支払人からの被支払人に対する金銭支払を円滑化するためのシステムであって、
モバイル金銭取引システム（ＭＦＴＳ）と無線通信のために結合されるユーザモバイル装置であって、
実行される支払いのための被支払人を識別する情報、前記支払いのための支払元を識別する情報、および１つまたは複数の選択可能な支払方法に対応する情報のユーザ入力を受け取り、
前記識別された被支払人、前記支払元、および前記選択された支払方法に対応する情報を備えるモバイル支払命令を生成し、
前記モバイル支払命令を前記ユーザモバイル装置からモバイル金銭取引システム（ＭＦＴＳ）に無線で伝達する、
ように動作するユーザモバイル装置と、
ユーザモバイル装置と無線通信を行い、モバイル金銭支払に関与するエンティティ間で電子通信を実行するように動作するモバイル金銭取引システム（ＭＦＴＳ）コンピュータシステムと、
前記ＭＦＴＳコンピュータシステム上で動作するＭＦＴＳソフトウェアであって、
前記モバイル支払命令の受け取りに応答して、支払命令受領者に対するＭＦＴＳ支払命令を生成するステップであって、前記ＭＦＴＳ支払命令が、前記支払元を識別する情報、金額、前記識別された被支払人に対応する情報、および前記選択された支払方法を指示する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアと、を備え、
それによって、前記支払命令受領者が、前記ＭＦＴＳ支払命令の受け取りに応答して、前記被支払人によるどのようなアクションも必要とせずに、前記識別された被支払人に対する支払いを達成する、システム。
【請求項６４０】
前記支払命令受領者が、金融サービスプロバイダ、支払請求アグリゲータ、または個別の支払請求エンティティの１つである、請求項６３９に記載のシステム。
【請求項６４１】
前記支払元が、前記ユーザが関係を維持する金融サービスプロバイダを備え、前記金融サービスプロバイダが、前記支払元として使用するために選択可能な１つまたは複数の口座を前記ユーザに代わって維持する、請求項６３９に記載のシステム。
【請求項６４２】
前記ユーザが、複数の金融サービスプロバイダと関係を維持し、支払元の前記識別が、前記複数の金融サービスプロバイダの１つにおける口座の前記モバイル装置上での選択を備える、請求項６４１に記載のシステム。
【請求項６４３】
前記ユーザモバイル装置が、特定の日付時点の少なくとも１つの口座の残高を表すキャッシュされた口座残高を前記モバイル装置に保存し、
前記ユーザモバイル装置が、前記口座についての更新された口座残高情報を受け取り、
前記ＭＦＴＳからの更新された口座残高情報の受け取りに応答して、前記ユーザモバイル装置が、前記口座に対応する更新された口座残高情報を前記ユーザに表示する、
請求項６４２に記載のシステム。
【請求項６４４】
前記ＭＦＴＳにおける前記モバイル支払命令の受け取りに応答して、
前記支払命令内で前記支払元として識別された選択された金融サービスプロバイダにおける選択された口座に対応する情報を決定するステップと、
前記決定された金融サービスプロバイダに対するＭＦＴＳ支払命令を生成するステップであって、前記ＭＦＴＳ支払命令が、前記選択された金融サービスプロバイダにおける前記選択された口座を識別する情報、金額、前記識別された被支払人に対応する情報、および前記選択された支払方法に指示する情報を少なくとも含む、ステップと、
前記ＭＦＴＳ支払命令を前記ＭＦＴＳから前記支払命令受領者としての前記選択された金融サービスプロバイダに伝達するステップと、
をさらに備える、請求項６３９に記載のシステム。
【請求項６４５】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記支払命令内で識別された前記選択された金融サービスプロバイダにおける前記選択された口座に対応する情報を決定する前記ステップが、前記ＭＦＴＳデータベースに事前保存された情報から前記情報を取り出すことによって達成される、
請求項６４４に記載のシステム。
【請求項６４６】
前記被支払人情報が、前記モバイル装置における入力によって前記ユーザによって提供される、請求項６３９に記載のシステム。
【請求項６４７】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示および前記ユーザによる選択のために前記モバイル装置に伝達される、請求項６３９に記載のシステム。
【請求項６４８】
前記ユーザモバイル装置上でモバイルウォレットアプリケーションを提供するステップをさらに備える、請求項６３９に記載のシステム。
【請求項６４９】
前記モバイルウォレットアプリケーションが、ペイエニワン・コマンド、支払元選択コマンド、および支払方法選択コマンドのうちの１つまたは複数を含む選択可能なコマンドの表示を前記モバイル装置上で提供する、請求項６４８に記載のシステム。
【請求項６５０】
支払元を識別することに対応するユーザ入力が、支払元選択コマンドの表示に応答して提供される、請求項６４９に記載のシステム。
【請求項６５１】
前記支払いを実行するための支払元の前記識別が、金融サービスプロバイダに関連づけられた特定の口座の選択を備える、請求項６５０に記載のシステム。
【請求項６５２】
前記支払元選択コマンドのユーザ活動化が、前記ＭＦＴＳに選択された金融サービスプロバイダから現在の口座情報を取り出させ、前記選択された金融サービスプロバイダからそのような情報を受け取ったときに現在の口座情報を前記モバイル装置に伝達させる、請求項６４９に記載のシステム。
【請求項６５３】
前記識別された被支払人が、請求書情報を前記ＭＦＴＳに伝達した支払請求エンティティに対応する、請求項６３９に記載のシステム。
【請求項６５４】
前記ＭＦＴＳが、ユーザ情報および取引情報を保存するためのデータベースを含む、請求項６３９に記載のシステム。
【請求項６５５】
前記取引情報が、ユーザ支払いのステータスを追跡するために利用される他の情報に加えて、支払情報を備え、以下の情報項目の１つまたは複数、すなわち、ユーザＩＤ番号、取引識別子、金額、金融サービスプロバイダ識別子、口座識別子、被支払人識別子、支払方法識別子、未完／完了フラグのうちの１つまたは複数を含む、請求項６５４に記載のシステム。
【請求項６５６】
前記ユーザ情報が、被支払人、口座、およびユーザに関連する金融サービスプロバイダに対応する事前保存情報を備える、請求項６５４に記載のシステム。
【請求項６５７】
前記ＭＦＴＳソフトウェアが、前記支払いを実行する際の所定の段階の完了に応答して、支払確認メッセージを前記ＭＦＴＳにおいて前記支払命令受領者から受け取るようにさらに動作する、請求項６３９に記載のシステム。
【請求項６５８】
前記ＭＦＴＳソフトウェアが、前記支払命令受領者からの前記支払確認メッセージの受け取りに応答して、支払確認メッセージを前記モバイル装置に伝達するようにさらに動作する、請求項６５７に記載のシステム。
【請求項６５９】
前記選択可能な支払方法が、受領者定義方法、ＡＣＨ資金振替、小切手、および価値保存（ＳＶ）カードを含む、請求項６３９に記載のシステム。
【請求項６６０】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報をＭＦＴＳデータベースに保存するステップと、
をさらに備える、請求項６３９に記載のシステム。
【請求項６６１】
前記ＭＦＴＳソフトウェアが、前記ユーザモバイル装置を介して実行される取引に対応する取引情報を前記ウェブアプリケーションを介して取り出し、ユーザのコンピュータ上でユーザに表示するようにさらに動作する、請求項６６０に記載のシステム。
【請求項６６２】
前記ＭＦＴＳが、支払いが実行されたことを前記被支払人に通知するメッセージを前記被支払人に提供する、請求項６３９に記載のシステム。
【請求項６６３】
前記メッセージが、前記被支払人のモバイル装置に提供されるテキストメッセージである、請求項６６２に記載のシステム。
【請求項６６４】
前記メッセージが、前記被支払人のモバイル装置上にモバイルウォレットアプリケーションを有する被支払人に提供され、前記被支払人が、前記支払いを受け取るための選択肢に関して前記メッセージで通知される、請求項６６３に記載のシステム。
【請求項６６５】
前記支払いを受け取るための前記選択肢が、既存価値保存カード、新規価値保存カード、前記ユーザ／支払人によって指示された前記支払方法以外の支払方法のうちの１つまたは複数を含む、請求項６６４に記載のシステム。
【請求項６６６】
無線ネットワークを介して通信のために接続されたモバイル装置を使用してモバイル金銭支払を実行するための方法であって、
モバイル通信サービスプロバイダ（ＭＣＳＰ）を使用してユーザのモバイル装置と無線通信のために結合されるモバイル金銭取引システム（ＭＦＴＳ）を提供するステップであって、前記ＭＦＴＳが、１つまたは複数の支払元と電子通信のために結合され、前記ＭＦＴＳが、支払いが実行される被支払人を指示する被支払人情報の１つまたは複数のソースと電子通信のために結合され、
前記ＭＦＴＳが、ユーザ情報、１つまたは複数の被支払人に関連づけられた支払実行情報、および支払元情報を保存するためのモバイル金銭取引システム（ＭＦＴＳ）データベースを含み、
前記ＭＦＴＳが、ユーザ情報および被支払人に関する情報のユーザ入力を受け取るためのウェブアプリケーションを含む、
ステップと、
前記ＭＦＴＳにおいて、前記ユーザによって実行される少なくとも１つの被支払人に対する支払いに対応する支払実行情報を被支払人情報ソースから受け取るステップと、
前記ＭＦＴＳにおいて、被支払人情報ソースからの前記支払実行情報に基づいて要約支払実行情報を生成するステップであって、前記要約支払実行情報が、前記支払実行情報の所定の選択されたサブセットを備える、ステップと、
前記要約支払実行情報を前記ＭＦＴＳから前記ユーザモバイル装置に前記ＭＣＳＰを介して無線で伝達するステップと、
前記ユーザモバイル装置において、前記要約支払実行に対応する情報を表示するステップと、
前記ユーザモバイル装置において、支払いを実行するための支払元の選択、および少なくとも１つの支払実行の選択に対応するユーザ入力を受け取るステップと、
前記ユーザモバイル装置において、前記ユーザ入力に応答して、前記支払実行、および支払いを実行するための選択された支払元に対応する情報を備えるモバイル支払命令を生成するステップと、
前記モバイル支払命令を前記ユーザモバイル装置から前記ＭＦＴＳに無線で伝達するステップと、
前記ＭＦＴＳにおいて、前記モバイル支払命令の受け取りに応答して、前記支払命令によって指示された前記支払いを受け取るための識別された被支払人に対応する情報、および前記支払元に対応する情報を、前記ＭＦＴＳデータベースから取り出すステップと、
前記ＭＦＴＳにおいて、支払命令受領者に対するＭＦＴＳ支払命令を生成するステップであって、前記ＭＦＴＳ支払命令が、金額および前記識別された被支払人に対応する情報を少なくとも含む、ステップと、
前記ＭＦＴＳ支払命令を前記ＭＦＴＳから前記支払命令受領者に伝達するステップと、
前記支払命令受領者において、前記ＭＦＴＳ支払命令の受け取りに応答して、前記識別された被支払人に対する支払いを達成するステップと、
を備える方法。
【請求項６６７】
前記ユーザモバイル装置において前記支払実行に対応する情報を表示するステップが、支払いを行うべき１つまたは複数の選択可能な請求書に対応する情報を表示するステップを備え、支払いを行うべき前記１つまたは複数の選択可能な請求書が、支払いを行うべき請求書に関連づけられた支払請求エンティティに関連づけられた前記支払実行情報を含む、請求項６６６に記載の方法。
【請求項６６８】
前記支払実行情報が、請求書を備え、前記被支払人が、支払請求エンティティである、請求項６６６に記載の方法。
【請求項６６９】
前記支払命令受領者が、金融サービスプロバイダ、支払請求アグリゲータ、または別個の支払請求エンティティの１つである、請求項６６６に記載の方法。
【請求項６７０】
前記ＭＦＴＳによって伝達された前記要約支払実行情報が、他の選択された支払実行情報に加えて、符号化された被支払人識別子を含み、前記符号化された被支払人識別子が、前記ＭＦＴＳに保存された被支払人識別情報と比較してサイズ的に縮小されている、請求項６６６に記載の方法。
【請求項６７１】
前記符号化された被支払人識別子が、モバイル装置メモリ内にローカルに保存されたより総合的な支払請求エンティティ情報を取り出すために、前記モバイル装置において使用される、請求項６７０に記載の方法。
【請求項６７２】
前記支払元が、少なくとも１つの金融サービスプロバイダに関連づけられた少なくとも１つの口座を備える、請求項６６６に記載の方法。
【請求項６７３】
特定の日付時点の前記少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項６７２に記載の方法。
【請求項６７４】
前記支払元が、１つまたは複数の選択可能な金融サービスプロバイダにおいて、前記ユーザによって保持される複数の選択可能な口座を備える、請求項６７２に記載の方法。
【請求項６７５】
前記支払実行情報の少なくとも部分が、前記ウェブアプリケーションを介して前記ユーザによって前記ＭＦＴＳに入力され、または前記モバイル装置において前記ユーザによって入力される、請求項６６６に記載の方法。
【請求項６７６】
「請求書閲覧」機能のユーザ活動化に応答して、前記ユーザモバイル装置において支払実行情報を表示するステップをさらに備える、請求項６６６に記載の方法。
【請求項６７７】
前記ユーザモバイル装置において支払実行情報を表示する前記ステップが、前記ＭＦＴＳからのメッセージの前記モバイル装置における受け取りに応答して提供される、請求項６６６に記載の方法。
【請求項６７８】
前記メッセージが、テキストメッセージである、請求項６７７に記載の方法。
【請求項６７９】
前記メッセージが、前記ユーザモバイル装置上でモバイルウォレットアプリケーションを介して表示される、請求項６７７に記載の方法。
【請求項６８０】
前記ユーザモバイル装置上でモバイルウォレットアプリケーションを提供するステップをさらに備える、請求項６６６に記載の方法。
【請求項６８１】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項６８０に記載の方法。
【請求項６８２】
前記表示が、請求書閲覧コマンドの表示に応答して、支払いを行うべき請求書のユーザ選択のためのユーザコントロールを備える、請求項６８１に記載の方法。
【請求項６８３】
前記被支払人情報ソースが、少なくとも１つの請求書情報ソースを備え、前記請求書閲覧コマンドのユーザ活動化が、前記ＭＦＴＳに前記請求書情報ソースから請求書情報を取り出させ、前記請求書情報ソースからそのような情報を受け取ったときに請求書情報を前記モバイル装置に伝達させる、請求項６８１に記載の方法。
【請求項６８４】
前記請求書情報ソースが、請求書アグリゲータ（ｂｉｌｌ  ａｇｇｒｅｇａｔｏｒ）を備える、請求項６８３に記載の方法。
【請求項６８５】
前記請求書情報ソースが、個別の支払請求エンティティを備える、請求項６８３に記載の方法。
【請求項６８６】
支払いを実行するための支払元に対応する前記ユーザ入力が、支払元閲覧コマンドの表示に応答して提供される、請求項６８１に記載の方法。
【請求項６８７】
支払元に対応する前記ユーザ入力が、金融サービスプロバイダの選択、および前記支払いを実行するための前記選択された金融サービスプロバイダに関連づけられた特定の口座の選択を含む、請求項６８６に記載の方法。
【請求項６８８】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項６８１に記載の方法。
【請求項６８９】
前記識別された被支払人が、前記ＭＦＴＳに支払実行情報を伝達した支払請求エンティティに対応する、請求項６６６に記載の方法。
【請求項６９０】
前記モバイル装置に伝達された前記要約支払実行情報が、符号化された被支払人識別子と、金額と、支払期日とから成る、請求項６６６に記載の方法。
【請求項６９１】
前記ＭＦＴＳデータベースが、ユーザの金銭取引に対応する取引情報を保存し、前記取引情報が、前記ユーザによって実行される支払いのステータスを追跡するために利用される他の情報に加えて、支払実行の選択時に前記ユーザから受け取った支払実行情報も含む、請求項６６６に記載の方法。
【請求項６９２】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項６９１に記載の方法。
【請求項６９３】
支払元および被支払人に対応するユーザ情報を前記ウェブアプリケーションを介して受け取るステップと、
取引に関して使用するため、前記ウェブアプリケーションを介して入力された前記ユーザ情報を前記ＭＦＴＳデータベースに保存するステップと、
をさらに備える、請求項６６６に記載の方法。
【請求項６９４】
前記ユーザモバイル装置を介して実行される取引に対応する取引情報を前記ウェブアプリケーションを介して取り出し、ユーザのコンピュータを介してユーザに表示するステップをさらに備える、請求項６９３に記載の方法。
【請求項６９５】
前記支払いを実行する際の所定の段階の完了に応答して、支払確認メッセージを前記ＭＦＴＳにおいて前記支払命令受領者から受け取るステップをさらに備える、請求項６６６に記載の方法。
【請求項６９６】
前記支払命令受領者からの前記支払確認メッセージの受け取りに応答して、支払確認メッセージを前記モバイル装置に伝達するステップをさらに備える、請求項６９５に記載の方法。
【請求項６９７】
前記ユーザモバイル装置において、支払いを実行するための支払方法の選択に対応するユーザ入力を受け取るステップと、
前記ユーザモバイル装置において、前記ユーザ入力に応答して、前記支払いを実行するための前記選択された方法に対応する情報を前記モバイル支払命令に含めるステップと、
を備え、
それによって、前記支払いが、前記選択された支払方法によって達成される、
請求項６６６に記載の方法。
【請求項６９８】
前記選択可能な支払方法が、受領者定義方法、ＡＣＨ資金振替、小切手、および価値保存（ＳＶ）カードを含む、請求項６９７に記載の方法。
【請求項６９９】
無線ネットワークを介して通信のために接続されたモバイル装置を使用してモバイル金銭支払を実行するためのシステムであって、
モバイル金銭取引システム（ＭＦＴＳ）と無線通信のために結合されるユーザモバイル装置であって、前記ＭＦＴＳから要約支払実行情報を無線で受け取り、支払実行および支払いを実行するための支払元に対応するユーザ入力を受け取り、支払実行および支払元を指示する前記ＭＦＴＳに対するモバイル支払命令を生成し、前記モバイル支払命令を前記ＭＦＴＳに無線で伝達するように動作するユーザモバイル装置と、
ユーザ情報、１つまたは複数の被支払人に関連づけられた支払実行情報、およびユーザに関連づけられた支払元情報を保存するための、前記ＭＦＴＳに関連づけられたモバイル金銭取引システム（ＭＦＴＳ）データベースと、
前記ＭＦＴＳデータベースを維持し、モバイル金銭支払に関与するエンティティ間で電子通信を実行するためのモバイル金銭取引システム（ＭＦＴＳ）コンピュータシステムであって、前記ＭＦＴＳが、１つまたは複数の支払元と電子通信のために結合され、前記ＭＦＴＳが、支払いが実行される被支払人を指示する被支払人情報の１つまたは複数のソースと電子通信のために結合される、モバイル金銭取引システム（ＭＦＴＳ）コンピュータシステムと、
ユーザ情報および被支払人に関する情報のユーザ入力を受け取るためのウェブアプリケーションを含む、前記ＭＦＴＳコンピュータシステム上で動作するＭＦＴＳソフトウェアであって、
前記ユーザによって実行される少なくとも１つの被支払人に対する支払いに対応する支払実行情報を被支払人情報ソースから受け取るコンピュータ実施ステップと、
被支払人情報ソースからの前記支払実行情報に基づいて要約支払実行情報を生成するステップであって、前記要約支払実行情報が、前記支払実行情報の所定の選択されたサブセットを備える、コンピュータ実施ステップと、
前記要約支払実行情報を前記ＭＦＴＳから前記ユーザモバイル装置に前記ＭＣＳＰを介して無線で伝達するコンピュータ実施ステップと、
モバイル装置からの前記モバイル支払命令の受け取りに応答して、前記支払命令によって指示された前記支払いを受け取るための識別された被支払人に対応する情報、および前記支払元に対応する情報を、前記ＭＦＴＳデータベースから取り出すコンピュータ実施ステップと、
支払命令受領者に対するＭＦＴＳ支払命令を生成するステップであって、前記ＭＦＴＳ支払命令が、金額および前記識別された被支払人に対応する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアと、を備え、
それによって、前記支払命令受領者において、前記ＭＦＴＳ支払命令の受け取りに応答して、前記識別された被支払人に対する支払いが達成される、システム。
【請求項７００】
前記モバイル装置が、支払いを行うべき１つまたは複数の選択可能な請求書に対応する情報を表示し、支払いを行うべき前記１つまたは複数の選択可能な請求書が、支払いを行うべき請求書に関連づけられた支払請求エンティティに関連づけられた前記支払実行情報を含む、請求項６９９に記載のシステム。
【請求項７０１】
前記支払実行情報が、請求書を備え、前記被支払人が、支払請求エンティティである、請求項６９９に記載のシステム。
【請求項７０２】
前記支払命令受領者が、金融サービスプロバイダ、支払請求アグリゲータ、または別個の支払請求エンティティの１つである、請求項６９９に記載のシステム。
【請求項７０３】
前記ＭＦＴＳによって伝達された前記要約支払実行情報が、他の選択された支払実行情報に加えて、符号化された被支払人識別子を含み、前記符号化された被支払人識別子が、前記ＭＦＴＳに保存された被支払人識別情報と比較してサイズ的に縮小されている、請求項６９９に記載のシステム。
【請求項７０４】
前記符号化された被支払人識別子が、モバイル装置メモリ内にローカルに保存されたより総合的な支払請求エンティティ情報を取り出すために、前記モバイル装置において使用される、請求項７０３に記載のシステム。
【請求項７０５】
前記支払元が、少なくとも１つの金融サービスプロバイダに関連づけられた少なくとも１つの口座を備える、請求項６９９に記載のシステム。
【請求項７０６】
前記ユーザモバイル装置が、特定の日付時点の前記少なくとも１つの口座の残高を表すキャッシュされた口座残高を前記モバイル装置に保存し、
前記ユーザモバイル装置が、前記口座についての更新された口座残高情報を受け取り、
前記ＭＦＴＳからの更新された口座残高情報の受け取りに応答して、前記モバイル装置が、前記口座に対応する更新された口座残高情報を前記ユーザに表示する、
請求項７０５に記載のシステム。
【請求項７０７】
前記支払元が、１つまたは複数の選択可能な金融サービスプロバイダにおいて、前記ユーザによって保持される複数の選択可能な口座を備える、請求項７０５に記載のシステム。
【請求項７０８】
前記支払実行情報の少なくとも部分が、前記ウェブアプリケーションを介して前記ユーザによって前記ＭＦＴＳに入力され、または前記モバイル装置において前記ユーザによって入力される、請求項６９９に記載のシステム。
【請求項７０９】
前記モバイル装置が、「請求書閲覧」機能のユーザ活動化に応答して、支払実行情報を表示する、請求項６９９に記載のシステム。
【請求項７１０】
前記モバイル装置が、前記ＭＦＴＳからのメッセージの前記モバイル装置における受け取りに応答して、支払実行情報を表示する、請求項６９９に記載のシステム。
【請求項７１１】
前記メッセージが、テキストメッセージである、請求項７１０に記載のシステム。
【請求項７１２】
前記メッセージが、前記ユーザモバイル装置上のモバイルウォレットアプリケーション上で表示される、請求項７１０に記載のシステム。
【請求項７１３】
前記ＭＦＴＳが、ユーザモバイル装置上で使用するためのダウンロード可能モバイルウォレットアプリケーションを提供する、請求項６９９に記載のシステム。
【請求項７１４】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項７１３に記載のシステム。
【請求項７１５】
前記表示が、請求書閲覧コマンドの表示に応答して、支払いを行うべき請求書のユーザ選択のためのユーザコントロールを備える、請求項７１４に記載のシステム。
【請求項７１６】
前記被支払人情報ソースが、少なくとも１つの請求書情報ソースを備え、前記請求書閲覧コマンドのユーザ活動化が、前記ＭＦＴＳに前記請求書情報ソースから請求書情報を取り出させ、前記請求書情報ソースからそのような情報を受け取ったときに請求書情報を前記モバイル装置に伝達させる、請求項７１４に記載のシステム。
【請求項７１７】
前記請求書情報ソースが、請求書アグリゲータを備える、請求項７１６に記載のシステム。
【請求項７１８】
前記請求書情報ソースが、個別の支払請求エンティティを備える、請求項７１６に記載のシステム。
【請求項７１９】
支払いを実行するための支払元に対応する前記ユーザ入力が、支払元閲覧コマンドの表示に応答して提供される、請求項７１４に記載のシステム。
【請求項７２０】
支払いを実行するための支払元に対応する前記ユーザ入力が、金融サービスプロバイダの選択、および前記支払いを実行するための前記選択された金融サービスプロバイダに関連づけられた特定の口座の選択を含む、請求項７１９に記載のシステム。
【請求項７２１】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項７１４に記載のシステム。
【請求項７２２】
前記識別された被支払人が、前記ＭＦＴＳに支払実行情報を伝達した支払請求エンティティに対応する、請求項６９９に記載のシステム。
【請求項７２３】
前記モバイル装置に伝達された前記要約支払実行情報が、符号化された被支払人識別子と、金額と、支払期日とから成る、請求項６９９に記載のシステム。
【請求項７２４】
前記ＭＦＴＳデータベースが、ユーザの金銭取引に対応する取引情報を保存し、前記取引情報が、前記ユーザによって実行される支払いのステータスを追跡するために利用される他の情報に加えて、支払実行の選択時に前記ユーザから受け取った支払実行情報も含む、請求項６９９に記載のシステム。
【請求項７２５】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項７２４に記載のシステム。
【請求項７２６】
前記ウェブアプリケーションが、支払元および被支払人に対応するユーザ情報を受け取るように動作し、
前記ＭＦＴＳデータベースが、取引に関して使用するため、前記ウェブアプリケーションを介して入力された前記ユーザ情報を保存する、
請求項６９９に記載のシステム。
【請求項７２７】
前記ウェブアプリケーションが、前記ユーザモバイル装置を介して実行される取引に対応する取引情報を取り出し、ユーザのコンピュータを介してユーザに表示するように動作する、請求項７２６に記載のシステム。
【請求項７２８】
前記ＭＦＴＳソフトウェアが、前記支払いを実行する際の所定の段階の完了に応答して、支払確認メッセージを前記支払命令受領者から受け取るように動作する、請求項６９９に記載のシステム。
【請求項７２９】
前記ＭＦＴＳソフトウェアが、前記支払命令受領者からの前記支払確認メッセージの受け取りに応答して、支払確認メッセージを前記モバイル装置に伝達するようにさらに動作する、請求項７２８に記載のシステム。
【請求項７３０】
前記モバイル装置が、支払いを実行するための支払方法の選択に対応するユーザ入力を受け取り、前記支払いを実行するための前記選択された方法に対応する情報を前記モバイル支払命令に含めるように動作する、請求項６９９に記載のシステム。
【請求項７３１】
前記選択可能な支払方法が、受領者定義方法、ＡＣＨ資金振替、小切手、および価値保存（ＳＶ）カードを含む、請求項７３０に記載のシステム。
【請求項７３２】
無線ネットワークと通信のために接続されたモバイル装置を使用してモバイル金銭支払を実行するための方法であって、
モバイル装置上で、支払いを実行するための支払元の選択および少なくとも１つの支払実行の選択に対応するユーザ入力を受け取るステップと、
前記支払実行および支払いを実行するための選択された支払元に対応する情報を備えるモバイル支払命令を生成するステップと、
前記モバイル支払命令を前記ユーザモバイル装置からモバイル金銭取引システム（ＭＦＴＳ）に無線で伝達するステップであって、モバイル金銭取引システム（ＭＦＴＳ）が、１つまたは複数の支払元、および支払いが実行される識別された被支払人を指示する被支払人情報の１つまたは複数のソースと無線通信のために結合される、ステップと、を備え、
それによって、前記モバイル支払命令の受け取りに応答して、前記ＭＦＴＳが、支払命令受領者に支払命令を伝達することによって、前記識別された被支払人に対する支払いを達成する、方法。
【請求項７３３】
前記モバイル装置上で、前記支払実行に対応する情報を表示するステップをさらに備え、前記情報が、支払いを行うべき１つまたは複数の選択可能な請求書に対応し、支払いを行うべき前記１つまたは複数の選択可能な請求書が、支払いを行うべき請求書に関連づけられた支払請求エンティティに関連づけられた前記支払実行情報を含む、請求項７３２に記載の方法。
【請求項７３４】
前記支払実行情報が、請求書を備え、前記被支払人が、支払請求エンティティである、請求項７３２に記載の方法。
【請求項７３５】
前記ＭＦＴＳによって伝達された要約支払実行情報を受け取り、前記要約支払実行情報に対応する情報を表示するステップをさらに備える、請求項７３２に記載の方法。
【請求項７３６】
前記要約支払実行情報が、他の選択された支払実行情報に加えて、符号化された被支払人識別子を含み、前記符号化された被支払人識別子が、前記ＭＦＴＳに保存された被支払人識別情報と比較してサイズ的に縮小されている、請求項７３５に記載の方法。
【請求項７３７】
前記符号化された被支払人識別子が、モバイル装置メモリ内にローカルに保存されたより総合的な支払請求エンティティ情報を取り出すために、前記モバイル装置において使用される、請求項７３６に記載の方法。
【請求項７３８】
前記モバイル装置に伝達された前記要約支払実行情報が、符号化された被支払人識別子と、金額と、支払期日とから成る、請求項７３５に記載の方法。
【請求項７３９】
前記支払元が、少なくとも１つの金融サービスプロバイダに関連づけられた少なくとも１つの口座を備える、請求項７３２に記載の方法。
【請求項７４０】
特定の日付時点の前記少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介してユーザに表示するステップと、
をさらに備える、請求項７３９に記載の方法。
【請求項７４１】
前記支払元が、１つまたは複数の選択可能な金融サービスプロバイダにおいて、前記ユーザによって保持される複数の選択可能な口座を備える、請求項７３９に記載の方法。
【請求項７４２】
前記支払いを実行する際に利用される前記支払実行情報の少なくとも部分が、前記ＭＦＴＳに関連づけられたウェブアプリケーションを介して前記ユーザによって前記ＭＦＴＳに入力され、または前記モバイル装置において前記ユーザによって入力される、請求項７３２に記載の方法。
【請求項７４３】
「請求書閲覧」機能のユーザ活動化に応答して、前記ユーザモバイル装置において支払実行情報を表示するステップをさらに備える、請求項７３２に記載の方法。
【請求項７４４】
前記ＭＦＴＳからのメッセージの前記モバイル装置における受け取りに応答して、前記ユーザモバイル装置において支払実行情報を表示するステップをさらに備える、請求項７３２に記載の方法。
【請求項７４５】
前記メッセージが、テキストメッセージである、請求項７４４に記載の方法。
【請求項７４６】
前記メッセージが、前記ユーザモバイル装置上でモバイルウォレットアプリケーションを介して表示される、請求項７４５に記載の方法。
【請求項７４７】
前記ユーザモバイル装置上でモバイルウォレットアプリケーションを提供するステップをさらに備える、請求項７３２に記載の方法。
【請求項７４８】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項７４７に記載の方法。
【請求項７４９】
前記表示が、請求書閲覧コマンドの表示に応答して、支払いを行うべき請求書のユーザ選択のためのユーザコントロールを備える、請求項７４８に記載の方法。
【請求項７５０】
被支払人情報ソースが、少なくとも１つの請求書情報ソースを備え、前記請求書閲覧コマンドのユーザ活動化が、前記ＭＦＴＳに前記請求書情報ソースから請求書情報を取り出させ、前記請求書情報ソースからそのような情報を受け取ったときに請求書情報を前記モバイル装置に伝達させる、請求項７４８に記載の方法。
【請求項７５１】
前記請求書情報ソースが、請求書アグリゲータを備える、請求項７５０に記載の方法。
【請求項７５２】
前記請求書情報ソースが、個別の支払請求エンティティを備える、請求項７５０に記載の方法。
【請求項７５３】
支払いを実行するための支払元に対応する前記ユーザ入力が、支払元閲覧コマンドの表示に応答して提供される、請求項７４８に記載の方法。
【請求項７５４】
支払元に対応する前記ユーザ入力が、金融サービスプロバイダの選択、および前記支払いを実行するための前記選択された金融サービスプロバイダに関連づけられた特定の口座の選択を含む、請求項７５３に記載の方法。
【請求項７５５】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項７４８に記載の方法。
【請求項７５６】
前記識別された被支払人が、前記ＭＦＴＳに支払実行情報を伝達した支払請求エンティティに対応する、請求項７３２に記載の方法。
【請求項７５７】
前記支払命令受領者からの支払確認メッセージの受け取りに応答して、前記ＭＦＴＳからの支払確認メッセージを前記モバイル装置において無線で受け取るステップをさらに備える、請求項７３２に記載の方法。
【請求項７５８】
支払いを実行するための支払方法の選択に対応するユーザ入力を受け取るステップと、
前記ユーザ入力に応答して、前記支払いを実行するための前記選択された方法に対応する情報を前記モバイル支払命令に含めるステップと、
をさらに備える、請求項７３２に記載の方法。
【請求項７５９】
前記選択可能な支払方法が、受領者定義方法、ＡＣＨ資金振替、小切手、および価値保存（ＳＶ）カードを含む、請求項７５８に記載の方法。
【請求項７６０】
無線ネットワークを介してモバイル金銭支払を実行するためのモバイル装置であって、
モバイル通信サービスプロバイダを介してモバイル金銭取引システム（ＭＦＴＳ）に無線通信のために接続されるモバイル装置であって、ディスプレイと、ユーザ入力手段と、プロセッサと、メモリとを含むモバイル装置と、
前記モバイル装置プロセッサ上で動作するモバイル装置ソフトウェアであって、
支払いを実行するための支払元の選択および少なくとも１つの支払実行の選択に対応するユーザ入力を受け取るコンピュータ実施ステップと、
前記支払実行および支払いを実行するための選択された支払元に対応する情報を備えるモバイル支払命令を生成するコンピュータ実施ステップと、
前記モバイル支払命令を前記ユーザモバイル装置からモバイル金銭取引システム（ＭＦＴＳ）に無線で伝達するステップであって、モバイル金銭取引システム（ＭＦＴＳ）が、１つまたは複数の支払元、および支払いが実行される識別された被支払人を指示する被支払人情報の１つまたは複数のソースと無線通信のために結合される、コンピュータ実施ステップと、
を実行するためのプログラムコードを備えるモバイル装置ソフトウェアと、を備え、
それによって、前記モバイル支払命令の受け取りに応答して、前記ＭＦＴＳが、支払命令を支払命令受領者に伝達することによって、前記識別された被支払人に対する支払いを達成する、モバイル装置。
【請求項７６１】
前記モバイル装置が、前記支払実行に対応する情報を表示するようにさらに動作し、前記情報が、支払いを行うべき１つまたは複数の選択可能な請求書に対応し、支払いを行うべき前記１つまたは複数の選択可能な請求書が、支払いを行うべき請求書に関連づけられた支払請求エンティティに関連づけられた前記支払実行情報を含む、請求項７６０に記載の装置。
【請求項７６２】
前記支払実行情報が、請求書を備え、前記被支払人が、支払請求エンティティである、請求項７６０に記載の装置。
【請求項７６３】
前記モバイル装置が、前記ＭＦＴＳによって伝達された要約支払実行情報を受け取り、前記要約支払実行情報に対応する情報を表示するようにさらに動作する、請求項７６０に記載の装置。
【請求項７６４】
前記要約支払実行情報が、他の選択された支払実行情報に加えて、符号化された被支払人識別子を含み、前記符号化された被支払人識別子が、前記ＭＦＴＳに保存された被支払人識別情報と比較してサイズ的に縮小されている、請求項７６３に記載の装置。
【請求項７６５】
前記符号化された被支払人識別子が、モバイル装置メモリ内にローカルに保存されたより総合的な支払請求エンティティ情報を取り出すために、前記モバイル装置において使用される、請求項７６４に記載の装置。
【請求項７６６】
前記モバイル装置に伝達された前記要約支払実行情報が、符号化された被支払人識別子と、金額と、支払期日とから成る、請求項７６３に記載の装置。
【請求項７６７】
前記支払元が、少なくとも１つの金融サービスプロバイダに関連づけられた少なくとも１つの口座を備える、請求項７６０に記載の装置。
【請求項７６８】
前記ユーザモバイル装置が、特定の日付時点の前記少なくとも１つの口座の残高を表すキャッシュされた口座残高を前記モバイル装置に保存し、
前記ユーザモバイル装置が、前記口座についての更新された口座残高情報を受け取り、更新された口座残高情報を前記ＭＦＴＳから前記ユーザモバイル装置に無線で伝達し、
前記ＭＦＴＳからの更新された口座残高情報の受け取りに応答して、前記モバイル装置が、前記口座に対応する更新された口座残高情報をユーザに表示する、
請求項７６７に記載の装置。
【請求項７６９】
前記支払元が、１つまたは複数の選択可能な金融サービスプロバイダにおいて、前記ユーザによって保持される複数の選択可能な口座を備える、請求項７６７に記載の装置。
【請求項７７０】
前記支払いを実行する際に利用される前記支払実行情報の少なくとも部分が、前記ＭＦＴＳに関連づけられたウェブアプリケーションを介して前記ユーザによって前記ＭＦＴＳに入力され、または前記モバイル装置において前記ユーザによって入力される、請求項７６０に記載の装置。
【請求項７７１】
前記モバイル装置が、「請求書閲覧」機能のユーザ活動化に応答して、支払実行情報を表示するようにさらに動作する、請求項７６０に記載の装置。
【請求項７７２】
前記モバイル装置が、前記ＭＦＴＳからのメッセージの前記モバイル装置における受け取りに応答して、支払実行情報を表示するようにさらに動作する、請求項７６０に記載の装置。
【請求項７７３】
前記メッセージが、テキストメッセージである、請求項７７２に記載の装置。
【請求項７７４】
前記メッセージが、前記ユーザモバイル装置上でモバイルウォレットアプリケーションを介して表示される、請求項７７２に記載の装置。
【請求項７７５】
前記モバイル装置ソフトウェアが、モバイルウォレットアプリケーションを備える、請求項７６０に記載の装置。
【請求項７７６】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項７７５に記載の装置。
【請求項７７７】
前記表示が、請求書閲覧コマンドの表示に応答して、支払いを行うべき請求書のユーザ選択のためのユーザコントロールを備える、請求項７７６に記載の装置。
【請求項７７８】
被支払人情報ソースが、少なくとも１つの請求書情報ソースを備え、前記請求書閲覧コマンドのユーザ活動化が、前記ＭＦＴＳに前記請求書情報ソースから請求書情報を取り出させ、前記請求書情報ソースからそのような情報を受け取ったときに請求書情報を前記モバイル装置に伝達させる、請求項７７６に記載の装置。
【請求項７７９】
前記請求書情報ソースが、請求書アグリゲータを備える、請求項７７８に記載の装置。
【請求項７８０】
前記請求書情報ソースが、個別の支払請求エンティティを備える、請求項７７８に記載の装置。
【請求項７８１】
支払いを実行するための支払元に対応する前記ユーザ入力が、支払元閲覧コマンドの表示に応答して提供される、請求項７７６に記載の装置。
【請求項７８２】
支払元に対応する前記ユーザ入力が、金融サービスプロバイダの選択、および前記支払いを実行するための前記選択された金融サービスプロバイダに関連づけられた特定の口座の選択を含む、請求項７８１に記載の装置。
【請求項７８３】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項７７６に記載の装置。
【請求項７８４】
前記識別された被支払人が、前記ＭＦＴＳに支払実行情報を伝達した支払請求エンティティに対応する、請求項７６０に記載の装置。
【請求項７８５】
前記モバイル装置が、前記支払命令受領者からの支払確認メッセージの受け取りに応答して、前記ＭＦＴＳからの支払確認メッセージを前記モバイル装置において無線で受け取るようにさらに動作する、請求項７６０に記載の装置。
【請求項７８６】
前記モバイル装置が、
支払いを実行するための支払方法の選択に対応するユーザ入力を受け取り、
前記ユーザ入力に応答して、前記支払いを実行するための前記選択された方法に対応する情報を前記モバイル支払命令に含める、
ようにさらに動作する、請求項７６０に記載の装置。
【請求項７８７】
前記選択可能な支払方法が、受領者定義方法、ＡＣＨ資金振替、小切手、および価値保存（ＳＶ）カードを含む、請求項７８６に記載の装置。
【請求項７８８】
無線ネットワークを介して通信のために接続されたモバイル装置に応答して被支払人に対する金銭支払を達成するためのモバイル金銭取引システム（ＭＦＴＳ）のためのコンピュータ実施方法であって、
ユーザ情報および被支払人に関する情報のユーザ入力を受け取るためのウェブアプリケーションを提供するステップと、
モバイル装置ユーザによって実行される少なくとも１つの被支払人に対する支払いに対応する支払実行情報を被支払人情報ソースから受け取るステップと、
被支払人情報ソースからの前記支払実行情報に基づいて要約支払実行情報を生成するステップであって、前記要約支払実行情報が、前記支払実行情報の所定の選択されたサブセットを備える、ステップと、
前記要約支払実行情報を前記ＭＦＴＳからユーザモバイル装置に無線で伝達するステップと、
前記ユーザモバイル装置からモバイル支払命令を無線で受け取るステップと、
前記モバイル支払命令の受け取りに応答して、前記支払命令によって指示された前記支払いを受け取るための識別された被支払人に対応する情報、および支払元に対応する情報を、ＭＦＴＳデータベースから取り出すステップと、
支払命令受領者に対するＭＦＴＳ支払命令を生成するステップであって、前記ＭＦＴＳ支払命令が、金額および前記識別された被支払人に対応する情報を少なくとも含む、ステップと、
前記ＭＦＴＳ支払命令を前記支払命令受領者に伝達するステップと、を備え、
それによって、前記ＭＦＴＳ支払命令の受け取りに応答して、前記支払命令受領者が、前記識別された被支払人に対する支払いを達成する、コンピュータ実施方法。
【請求項７８９】
前記支払実行情報が、請求書を備え、前記被支払人が、支払請求エンティティである、請求項７８８に記載の方法。
【請求項７９０】
前記支払命令受領者が、金融サービスプロバイダ、支払請求アグリゲータ、または別個の支払請求エンティティの１つである、請求項７８８に記載の方法。
【請求項７９１】
前記ＭＦＴＳによって伝達された前記要約支払実行情報が、他の選択された支払実行情報に加えて、符号化された被支払人識別子を含み、前記符号化された被支払人識別子が、前記ＭＦＴＳに保存された被支払人識別情報と比較してサイズ的に縮小されている、請求項７８８に記載の方法。
【請求項７９２】
前記支払元が、少なくとも１つの金融サービスプロバイダに関連づけられた少なくとも１つの口座を備える、請求項７８８に記載の方法。
【請求項７９３】
特定の日付時点の前記少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項７９２に記載の方法。
【請求項７９４】
前記支払元が、１つまたは複数の選択可能な金融サービスプロバイダにおいて、前記ユーザによって保持される複数の選択可能な口座を備える、請求項７９２に記載の方法。
【請求項７９５】
前記支払実行情報の少なくとも部分が、前記ウェブアプリケーションを介して前記ユーザによって前記ＭＦＴＳに入力され、または前記モバイル装置において前記ユーザによって入力される、請求項７８８に記載の方法。
【請求項７９６】
被支払人情報ソースからの支払実行情報の受け取りに応答して、ユーザモバイル装置にメッセージを無線で伝達するステップをさらに備える、請求項７８８に記載の方法。
【請求項７９７】
前記メッセージが、モバイルウォレットアプリケーションを介したユーザモバイル装置上での表示のために構成される、請求項７９６に記載の方法。
【請求項７９８】
前記メッセージが、テキストメッセージである、請求項７９６に記載の方法。
【請求項７９９】
ユーザモバイル装置にダウンロード可能モバイルウォレットアプリケーションを提供するステップをさらに備える、請求項７８８に記載の方法。
【請求項８００】
前記被支払人情報ソースが、少なくとも１つの請求書情報ソースを備え、モバイル装置上での請求書閲覧コマンドのユーザ活動化が、前記ＭＦＴＳに前記請求書情報ソースから請求書情報を取り出させ、前記請求書情報ソースからそのような情報を受け取ったときに請求書情報を前記モバイル装置に伝達させる、請求項７８８に記載の方法。
【請求項８０１】
前記請求書情報ソースが、個別の支払請求エンティティを備える、請求項８００に記載の方法。
【請求項８０２】
前記請求書情報ソースが、請求書アグリゲータを備える、請求項８００に記載の方法。
【請求項８０３】
前記モバイル支払命令が、金融サービスプロバイダのユーザ選択、および前記支払いを実行するための前記選択された金融サービスプロバイダに関連づけられた特定の口座の選択を含む、請求項７８８に記載の方法。
【請求項８０４】
モバイル装置上での支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項７８８に記載の方法。
【請求項８０５】
前記識別された被支払人が、前記ＭＦＴＳに支払実行情報を伝達した支払請求エンティティに対応する、請求項７８８に記載の方法。
【請求項８０６】
前記モバイル装置に伝達された前記要約支払実行情報が、符号化された被支払人識別子と、金額と、支払期日とから成る、請求項７８８に記載の方法。
【請求項８０７】
ユーザの金銭取引に対応する取引情報を保存するステップをさらに備え、前記取引情報が、前記ユーザによって実行される支払いのステータスを追跡するために利用される他の情報に加えて、支払実行の選択時に前記ユーザから受け取った支払実行情報も含む、請求項７８８に記載の方法。
【請求項８０８】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項８０７に記載の方法。
【請求項８０９】
支払元および被支払人に対応するユーザ情報を前記ウェブアプリケーションを介して受け取るステップと、
取引に関して使用するため、前記ウェブアプリケーションを介して入力された前記ユーザ情報を保存するステップと、
をさらに備える、請求項７８８に記載の方法。
【請求項８１０】
前記ユーザモバイル装置を介して実行される取引に対応する取引情報を前記ウェブアプリケーションを介して取り出し、ユーザのコンピュータを介してユーザに表示するステップをさらに備える、請求項８０９に記載の方法。
【請求項８１１】
前記支払命令受領者によって前記支払いを実行する際の所定の段階の完了に応答して、支払確認メッセージを前記ＭＦＴＳにおいて支払命令受領者から受け取るステップをさらに備える、請求項７８８に記載の方法。
【請求項８１２】
前記支払命令受領者からの前記支払確認メッセージの受け取りに応答して、支払確認メッセージを前記モバイル装置に伝達するステップをさらに備える、請求項８１１に記載の方法。
【請求項８１３】
前記モバイル支払命令が、支払いを実行するための支払方法の選択に対応する情報を含み、前記支払いが、前記選択された支払方法によって達成される、請求項７８８に記載の方法。
【請求項８１４】
前記選択可能な支払方法が、受領者定義方法、ＡＣＨ資金振替、小切手、および価値保存（ＳＶ）カードを含む、請求項８１３に記載の方法。
【請求項８１５】
無線ネットワークを介して通信のために接続されたモバイル装置を有するユーザに代わって支払を達成するためのモバイル金銭取引システム（ＭＦＴＳ）であって、
ユーザ情報、およびユーザモバイル装置に関連づけられた１つまたは複数の被支払人に関連づけられた支払実行情報を保存するためのモバイル金銭取引システム（ＭＦＴＳ）データベースと、
前記ＭＦＴＳデータベースを維持し、モバイル金銭支払に関与するエンティティ間で電子通信を実行する、モバイル金銭取引システム（ＭＦＴＳ）コンピュータシステムと、
ユーザ情報および被支払人に関する情報のユーザ入力を受け取るためのウェブアプリケーションを含む、前記ＭＦＴＳコンピュータシステム上で動作するＭＦＴＳソフトウェアであって、
モバイル装置ユーザによって実行される少なくとも１つの被支払人に対する支払いに対応する支払実行情報を被支払人情報ソースから受け取るコンピュータ実施ステップと、
被支払人情報ソースからの前記支払実行情報に基づいて要約支払実行情報を生成するステップであって、前記要約支払実行情報が、前記支払実行情報の所定の選択されたサブセットを備える、コンピュータ実施ステップと、
前記要約支払実行情報を前記ＭＦＴＳからユーザモバイル装置に無線で伝達するコンピュータ実施ステップと、
前記ユーザモバイル装置からモバイル支払命令を無線で受け取るコンピュータ実施ステップと、
前記モバイル支払命令の受け取りに応答して、前記支払命令によって指示された前記支払いを受け取るための識別された被支払人に対応する情報、および支払元に対応する情報を、ＭＦＴＳデータベースから取り出すコンピュータ実施ステップと、
支払命令受領者に対するＭＦＴＳ支払命令を生成するステップであって、前記ＭＦＴＳ支払命令が、金額および前記識別された被支払人に対応する情報を少なくとも含む、コンピュータ実施ステップと、
前記ＭＦＴＳ支払命令を前記支払命令受領者に伝達するコンピュータ実施ステップと、
を実行するためのプログラムコードを備えるＭＦＴＳソフトウェアと、を備え、
それによって、前記ＭＦＴＳ支払命令の受け取りに応答して、前記支払命令受領者が、前記識別された被支払人に対する支払いを達成する、モバイル金銭取引システム（ＭＦＴＳ）。
【請求項８１６】
前記支払実行情報が、請求書を備え、前記被支払人が、支払請求エンティティである、請求項８１５に記載のシステム。
【請求項８１７】
前記支払命令受領者が、金融サービスプロバイダ、支払請求アグリゲータ、または別個の支払請求エンティティの１つである、請求項８１６に記載のシステム。
【請求項８１８】
前記ＭＦＴＳによって伝達された前記要約支払実行情報が、他の選択された支払実行情報に加えて、符号化された被支払人識別子を含み、前記符号化された被支払人識別子が、前記ＭＦＴＳに保存された被支払人識別情報と比較してサイズ的に縮小されている、請求項８１６に記載のシステム。
【請求項８１９】
前記支払元が、少なくとも１つの金融サービスプロバイダに関連づけられた少なくとも１つの口座を備える、請求項８１５に記載のシステム。
【請求項８２０】
前記支払元が、１つまたは複数の選択可能な金融サービスプロバイダにおいて、前記ユーザによって保持される複数の選択可能な口座を備える、請求項８１９に記載のシステム。
【請求項８２１】
前記ユーザモバイル装置が、特定の日付時点の前記少なくとも１つの口座の残高を表すキャッシュされた口座残高を前記モバイル装置に保存し、
前記ユーザモバイル装置が、前記口座についての更新された口座残高情報を受け取り、
前記ＭＦＴＳからの更新された口座残高情報の受け取りに応答して、前記ユーザモバイル装置が、前記口座に対応する更新された口座残高情報を前記ユーザに表示する、
請求項８１９に記載のシステム。
【請求項８２２】
前記支払実行情報の少なくとも部分が、前記ウェブアプリケーションを介して前記ユーザによって前記ＭＦＴＳに入力され、または前記モバイル装置において前記ユーザによって入力される、請求項８１５に記載のシステム。
【請求項８２３】
被支払人情報ソースからの支払実行情報の受け取りに応答して、ユーザモバイル装置にメッセージを無線で伝達するステップをさらに備える、請求項８１５に記載のシステム。
【請求項８２４】
前記メッセージが、テキストメッセージである、請求項８２３に記載のシステム。
【請求項８２５】
前記メッセージが、モバイルウォレットアプリケーションを介したユーザモバイル装置上での表示のために構成される、請求項８２３に記載のシステム。
【請求項８２６】
ユーザモバイル装置にダウンロード可能モバイルウォレットアプリケーションを提供するステップをさらに備える、請求項８１５に記載のシステム。
【請求項８２７】
前記被支払人情報ソースが、少なくとも１つの請求書情報ソースを備え、モバイル装置上での請求書閲覧コマンドのユーザ活動化が、前記ＭＦＴＳに前記請求書情報ソースから請求書情報を取り出させ、前記請求書情報ソースからそのような情報を受け取ったときに請求書情報を前記モバイル装置に伝達させる、請求項８１５に記載のシステム。
【請求項８２８】
前記請求書情報ソースが、請求書アグリゲータを備える、請求項８２７に記載のシステム。
【請求項８２９】
前記請求書情報ソースが、個別の支払請求エンティティを備える、請求項８２７に記載のシステム。
【請求項８３０】
前記モバイル支払命令が、金融サービスプロバイダのユーザ選択、および前記支払いを実行するための前記選択された金融サービスプロバイダに関連づけられた特定の口座の選択を含む、請求項８１５に記載のシステム。
【請求項８３１】
モバイル装置上での支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項８１５に記載のシステム。
【請求項８３２】
前記識別された被支払人が、前記ＭＦＴＳに支払実行情報を伝達した支払請求エンティティに対応する、請求項８１５に記載のシステム。
【請求項８３３】
前記モバイル装置に伝達された前記要約支払実行情報が、符号化された被支払人識別子と、金額と、支払期日とから成る、請求項８１５に記載のシステム。
【請求項８３４】
前記ＭＦＴＳソフトウェアが、ユーザの金銭取引に対応する取引情報を保存するようにさらに動作し、前記取引情報が、前記ユーザによって実行される支払いのステータスを追跡するために利用される他の情報に加えて、支払実行の選択時に前記ユーザから受け取った支払実行情報も含む、請求項８１５に記載のシステム。
【請求項８３５】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項８３４に記載のシステム。
【請求項８３６】
前記ＭＦＴＳソフトウェアが、支払元および被支払人に対応するユーザ情報を前記ウェブアプリケーションを介して受け取り、取引に関して使用するため、前記ウェブアプリケーションを介して入力された前記ユーザ情報を保存するようにさらに動作する、請求項８１５に記載のシステム。
【請求項８３７】
前記ＭＦＴＳソフトウェアが、前記ユーザモバイル装置を介して実行される取引に対応する取引情報を前記ウェブアプリケーションを介して取り出し、ユーザのコンピュータを介してユーザに表示するようにさらに動作する、請求項８３６に記載のシステム。
【請求項８３８】
前記ＭＦＴＳソフトウェアが、前記支払命令受領者によって前記支払いを実行する際の所定の段階の完了に応答して、支払確認メッセージを前記ＭＦＴＳにおいて支払命令受領者から受け取るようにさらに動作する、請求項８３６に記載のシステム。
【請求項８３９】
前記ＭＦＴＳソフトウェアが、前記支払命令受領者からの前記支払確認メッセージの受け取りに応答して、支払確認メッセージを前記モバイル装置に伝達するようにさらに動作する、請求項８３８に記載のシステム。
【請求項８４０】
前記モバイル支払命令が、支払いを実行するための支払方法の選択に対応する情報を含み、前記支払いが、前記選択された支払方法によって達成される、請求項８２６に記載のシステム。
【請求項８４１】
前記選択可能な支払方法が、受領者定義方法、ＡＣＨ資金振替、小切手、および価値保存（ＳＶ）カードを含む、請求項８４０に記載のシステム。
【請求項８４２】
（＊＊モバイル環境において支払元を管理するための方法およびシステム＊＊）無線ネットワークを介して通信のために接続されたモバイル装置を使用してモバイル金銭支払を実行する際に使用される支払元を選択するための方法であって、
モバイル通信サービスプロバイダ（ＭＣＳＰ）を使用してユーザのモバイル装置と無線通信のために結合されるモバイル金銭取引システム（ＭＦＴＳ）を提供するステップであって、前記ＭＦＴＳが、ユーザが１つまたは複数の口座を保持する１つまたは複数の金融サービスプロバイダと電子通信のために結合され、前記ＭＦＴＳが、ユーザ情報、１つまたは複数の被支払人に関連づけられた支払実行情報、および少なくとも１つの金融サービスプロバイダに関連づけられた少なくとも１つの口座に関連づけられた支払元情報を保存するためのモバイル金銭取引システム（ＭＦＴＳ）データベースを含む、ステップと、
前記ユーザモバイル装置において、支払実行に対応する情報を表示するステップと、
支払いの実行に関して使用される支払元として前記ユーザに利用可能な複数の口座に対応する情報を表示するステップと、
前記ユーザモバイル装置において、前記支払いを実行するための支払元の選択に対応するユーザ入力を受け取るステップと、
前記ユーザモバイル装置において、前記支払いおよび前記支払いを実行するための選択された支払元に対応する情報を備えるモバイル支払命令を生成するステップと、
前記モバイル支払命令を前記ユーザモバイル装置から前記ＭＦＴＳに無線で伝達するステップと、
前記ＭＦＴＳにおいて、前記モバイル支払命令の受け取りに応答して、前記支払命令によって指示された前記支払いを受け取るための識別された被支払人に対応する情報、および前記支払命令内で識別された前記選択された支払元に対応する情報を、前記ＭＦＴＳデータベースから取り出すステップと、
前記ＭＦＴＳにおいて、支払命令受領者に対するＭＦＴＳ支払命令を生成するステップであって、前記ＭＦＴＳ支払命令が、金額、前記識別された被支払人に対応する情報、および前記選択された支払元を指示する情報を少なくとも含む、ステップと、
前記ＭＦＴＳ支払命令を前記ＭＦＴＳから前記支払命令受領者に伝達するステップと、
前記支払命令受領者において、前記ＭＦＴＳ支払命令の受け取りに応答して、前記選択された支払元を利用して前記識別された被支払人に対する支払いを達成するステップと、
を備える方法。
【請求項８４３】
前記支払命令受領者が、金融サービスプロバイダ、支払請求アグリゲータ、または別個の支払請求エンティティの１つである、請求項８４２に記載の方法。
【請求項８４４】
前記選択された支払元が、前記ユーザが関係を維持する金融サービスプロバイダを備え、前記金融サービスプロバイダが、前記支払元として使用するために選択可能な１つまたは複数の口座を前記ユーザに代わって維持する、請求項８４２に記載の方法。
【請求項８４５】
前記ユーザが、複数の金融サービスプロバイダと関係を維持し、支払元の前記選択が、前記複数の金融サービスプロバイダの１つにおける口座の選択を備える、請求項８４４に記載の方法。
【請求項８４６】
前記ユーザによって実行される被支払人に対する支払いに対応する支払実行情報を前記ＭＦＴＳにおいて受け取るステップをさらに備える、請求項８４２に記載の方法。
【請求項８４７】
前記ＭＦＴＳにおいて、前記支払実行情報に基づいて要約支払実行情報を生成するステップであって、前記要約支払実行情報が、前記支払実行情報の所定の選択されたサブセットを備える、ステップと、
前記要約支払実行情報を前記ＭＦＴＳから前記ユーザモバイル装置に前記ＭＣＳＰを介して無線で伝達するステップと、
をさらに備える、請求項８４６に記載の方法。
【請求項８４８】
前記モバイル支払命令が、選択された金融サービスプロバイダにおける選択された口座を識別する情報を含む、請求項８４２に記載の方法。
【請求項８４９】
前記支払実行情報が、外部ソースによって前記ＭＦＴＳに提供される支払実行情報を備え、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項８４２に記載の方法。
【請求項８５０】
前記支払実行情報のための前記外部ソースが、個別の支払請求エンティティばかりでなく、複数の支払請求エンティティからの請求書情報も提供する請求書提示システムを備える、請求項８４９に記載の方法。
【請求項８５１】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項８４２に記載の方法。
【請求項８５２】
前記ユーザモバイル装置において表示される前記支払実行に対応する前記情報が、前記要約支払実行情報に基づいた情報を備える、請求項８４２に記載の方法。
【請求項８５３】
前記支払いの実行に関して使用される支払元として前記ユーザに利用可能な前記複数の口座に対応する前記情報が、要約支払元情報を備える、請求項８４２に記載の方法。
【請求項８５４】
前記支払実行および／または前記複数の口座に対応する情報を前記ユーザモバイル装置において表示する前記ステップが、前記モバイル装置上での所定の機能のユーザ活動化に応答して達成される、請求項８４２に記載の方法。
【請求項８５５】
所定の機能の前記ユーザ活動化が、前記ＭＦＴＳに支払実行情報のソースおよび／または支払元から情報を取り出させ、前記情報を受け取ったときに前記モバイル装置に転送させる、請求項８５４に記載の方法。
【請求項８５６】
前記支払実行に対応する情報を前記ユーザモバイル装置において表示する前記ステップが、前記ＭＦＴＳからのテキストメッセージの前記モバイル装置における受け取りに応答して提供される、請求項８４２に記載の方法。
【請求項８５７】
前記ユーザモバイル装置上でモバイルウォレットアプリケーションを提供するステップをさらに備える、請求項８４２に記載の方法。
【請求項８５８】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項８５７に記載の方法。
【請求項８５９】
請求書閲覧コマンドの表示に応答して提供される支払実行の選択に対応するユーザ入力を受け取るステップをさらに備える、請求項８５７に記載の方法。
【請求項８６０】
前記請求書閲覧コマンドのユーザ活動化が、前記ＭＦＴＳに請求書提示システムから請求書情報を取り出させ、前記請求書提示システムからそのような情報を受け取ったときに前記請求書情報を前記モバイル装置に伝達させる、請求項８５７に記載の方法。
【請求項８６１】
支払いを実行するための支払元の選択に対応する前記ユーザ入力が、支払元閲覧コマンドの表示に応答して提供される、請求項８５７に記載の方法。
【請求項８６２】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項８５７に記載の方法。
【請求項８６３】
支払いを実行するための支払元の前記選択が、金融サービスプロバイダの選択、および前記支払いを実行するための前記選択された金融サービスプロバイダに関連づけられた特定の口座の選択を含む、請求項８４２に記載の方法。
【請求項８６４】
デフォルト支払元（default payment source）が、ユーザ情報として保存され、前記モバイル装置が、前記デフォルト支払元を使用するか、それとも別の支払元を選択するかについてのプロンプトを前記ユーザに表示し、前記ユーザによって別の利用可能な支払元の選択が行われない場合、前記デフォルト支払元が、前記支払いを実行するために利用される、請求項８４２に記載の方法。
【請求項８６５】
前記ＭＦＴＳデータベースが、ユーザの金銭取引に対応する取引情報を保存し、前記取引情報が、ユーザ支払いのステータスを追跡するために利用される他の情報に加えて、前記支払実行情報も含む、請求項８４２に記載の方法。
【請求項８６６】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項８６５に記載の方法。
【請求項８６７】
前記支払いを実行する際の所定の段階の完了に応答して、支払確認メッセージを前記ＭＦＴＳにおいて前記支払元から受け取るステップをさらに備える、請求項８４２に記載の方法。
【請求項８６８】
前記支払元からの前記支払確認メッセージの受け取りに応答して、支払確認メッセージを前記モバイル装置に伝達するステップをさらに備える、請求項８６７に記載の方法。
【請求項８６９】
前記ユーザモバイル装置において、支払いを実行するための支払方法の選択に対応するユーザ入力を受け取るステップと、
前記ユーザモバイル装置において、前記ユーザ入力に応答して、前記支払いを実行するための前記選択された方法に対応する情報を前記モバイル支払命令内に含めるステップと、
をさらに備える、
請求項８４２に記載の方法。
【請求項８７０】
前記選択可能な支払方法が、受領者定義方法、ＡＣＨ資金振替、小切手、および価値保存（ＳＶ）カードを含む、請求項８６９に記載の方法。
【請求項８７１】
前記ＭＦＴＳが、インターネットなどのデータ通信ネットワークを介してユーザのコンピュータと電子通信のために結合され、
前記ＭＦＴＳに関連するウェブアプリケーションを提供するステップと、
ユーザ情報を前記ウェブアプリケーションを介して受け取るステップと、
前記ユーザモバイル装置を介して開始される取引に関して使用するため、前記ウェブアプリケーションを介して入力された前記ユーザ情報を前記ＭＦＴＳデータベースに保存するステップと、
をさらに備える、請求項８４２に記載の方法。
【請求項８７２】
前記ウェブアプリケーションを介して受け取った前記ユーザ情報が、金融サービスプロバイダ、金融サービスプロバイダにおける口座、および被支払人に対応する情報を含む、請求項８７１に記載の方法。
【請求項８７３】
前記ユーザモバイル装置を介して実行される取引に対応する取引情報を前記ウェブアプリケーションを介して取り出し、ユーザのコンピュータを介してユーザに表示するステップをさらに含む、請求項８７２に記載の方法。
【請求項８７４】
特定の日付時点の前記少なくとも１つの口座の残高を表すキャッシュされた口座残高を前記モバイル装置に保存するステップと、
更新された口座残高情報を前記ユーザモバイル装置において前記ＭＦＴＳから受け取るステップと、
前記ＭＦＴＳからの更新された口座残高情報の受け取りに応答して、前記口座に対応する更新された口座残高情報を前記モバイル装置を介して前記ユーザに表示するステップと、
をさらに備える、請求項８４２に記載の方法。
【請求項８７５】
無線ネットワークと通信のために接続されたモバイル装置を使用してモバイル金銭支払を実行する際に使用される支払元のユーザ選択を可能にするように動作するモバイル金銭取引システムであって、
モバイル金銭取引システム（ＭＦＴＳ）と無線通信のために結合されるユーザモバイル装置であって、前記ＭＦＴＳから要約支払元情報を無線で受け取り、支払いを実行するための１つまたは複数の選択可能な口座を表示し、支払いを実行するための支払元の選択に対応するユーザ入力を受け取り、支払実行を指示する前記ＭＦＴＳに対するモバイル支払命令を生成し、前記モバイル支払命令を前記ＭＦＴＳに無線で伝達するように動作する、ユーザモバイル装置と、
ユーザ情報、１つまたは複数の被支払人に関連づけられた支払実行情報、およびユーザの少なくとも１つの金融サービスプロバイダに関連づけられた少なくとも１つの口座に関連づけられた支払元情報を保存するための、前記ＭＦＴＳに関連づけられたモバイル金銭取引システム（ＭＦＴＳ）データベースと、
前記ＭＦＴＳデータベースを維持し、モバイル金銭支払に関与するエンティティ間で電子通信を実行する、モバイル金銭取引システム（ＭＦＴＳ）コンピュータシステムと、
前記ＭＦＴＳコンピュータシステム上で動作するＭＦＴＳソフトウェアであって、
支払実行に対応する情報をユーザモバイル装置に提供するコンピュータ実施ステップと、
前記支払いの実行に関して使用される支払元として前記ユーザに利用可能な複数の口座に対応する情報をユーザモバイル装置に提供するコンピュータ実施ステップと、
モバイル装置からのモバイル支払命令の受け取りに応答して、前記支払命令によって指示された前記支払いを受け取るための識別された被支払人に対応する情報、および前記支払命令内で識別された前記選択された支払元に対応する情報を、前記ＭＦＴＳデータベースから取り出すコンピュータ実施ステップと、
支払命令受領者に対するＭＦＴＳ支払命令を生成するステップであって、前記ＭＦＴＳ支払命令が、金額、前記識別された被支払人に対応する情報、および前記選択された支払元を指示する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアと、を備え、
それによって、前記支払命令受領者が、前記ＭＦＴＳ支払命令の受け取りに応答して、前記選択された支払元を利用して前記識別された被支払人に対する支払いを達成する、モバイル金銭取引システム。
【請求項８７６】
前記支払命令受領者が、金融サービスプロバイダ、支払請求アグリゲータ、または個別の支払請求エンティティの１つである、請求項８７５に記載のシステム。
【請求項８７７】
前記選択された支払元が、前記ユーザが関係を維持する金融サービスプロバイダを備え、前記金融サービスプロバイダが、前記支払元として使用するために選択可能な１つまたは複数の口座を前記ユーザに代わって維持する、請求項８７５に記載のシステム。
【請求項８７８】
前記ユーザが、複数の金融サービスプロバイダと関係を維持し、支払元の前記選択が、前記複数の金融サービスプロバイダの１つにおける口座の選択を備える、請求項８７７に記載のシステム。
【請求項８７９】
前記ＭＦＴＳソフトウェアが、前記ユーザによって実行される被支払人に対する支払いに対応する支払実行情報を受け取るようにさらに動作する、請求項８７５に記載のシステム。
【請求項８８０】
前記ＭＦＴＳソフトウェアが、
前記支払実行情報の所定の選択されたサブセットを備える要約支払実行情報を前記支払実行情報に基づいて生成し、
前記要約支払実行情報を前記ＭＦＴＳから前記ユーザモバイル装置にＭＣＳＰを介して無線で伝達する、
ようにさらに動作する、請求項８７９に記載のシステム。
【請求項８８１】
前記モバイル支払命令が、選択された金融サービスプロバイダにおける選択された口座を識別する情報を含む、請求項８７５に記載のシステム。
【請求項８８２】
前記支払実行情報が、外部ソースによって前記ＭＦＴＳに提供される支払実行情報を備え、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項８７５に記載のシステム。
【請求項８８３】
前記支払実行情報のための前記外部ソースが、個別の支払請求エンティティばかりでなく、複数の支払請求エンティティからの請求書情報も提供する請求書提示システムを備える、請求項８８２に記載のシステム。
【請求項８８４】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項８７５に記載のシステム。
【請求項８８５】
前記ユーザモバイル装置において表示される前記支払実行に対応する前記情報が、前記要約支払実行情報に基づいた情報を備える、請求項８７５に記載のシステム。
【請求項８８６】
前記支払いの実行に関して使用される支払元として前記ユーザに利用可能な前記複数の口座に対応する前記情報が、要約支払元情報を備える、請求項８７５に記載のシステム。
【請求項８８７】
前記支払実行および／または前記複数の口座に対応する情報を前記ユーザモバイル装置において表示するステップが、前記モバイル装置上での所定の機能のユーザ活動化に応答して達成される、請求項８７５に記載のシステム。
【請求項８８８】
所定の機能の前記ユーザ活動化が、前記ＭＦＴＳに支払実行情報のソースおよび／または支払元から情報を取り出させ、前記情報を受け取ったときに前記モバイル装置に転送させる、請求項８８７に記載のシステム。
【請求項８８９】
前記支払実行に対応する情報を前記ユーザモバイル装置において表示するステップが、前記ＭＦＴＳからのテキストメッセージの前記モバイル装置における受け取りに応答して提供される、請求項８７５に記載のシステム。
【請求項８９０】
前記ユーザモバイル装置上でモバイルウォレットアプリケーションを提供するステップをさらに備える、請求項８７５に記載のシステム。
【請求項８９１】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項８９０に記載のシステム。
【請求項８９２】
前記モバイルウォレットアプリケーションが、請求書閲覧コマンドの表示に応答して、支払実行の選択に対応するユーザ入力を受け取るように動作する、請求項８９０に記載のシステム。
【請求項８９３】
前記請求書閲覧コマンドのユーザ活動化が、前記ＭＦＴＳに請求書提示システムから請求書情報を取り出させ、前記請求書提示システムからそのような情報を受け取ったときに前記請求書情報を前記モバイル装置に伝達させる、請求項８９０に記載のシステム。
【請求項８９４】
支払いを実行するための支払元の選択に対応する前記ユーザ入力が、支払元閲覧コマンドの表示に応答して提供される、請求項８９０に記載のシステム。
【請求項８９５】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項８９０に記載のシステム。
【請求項８９６】
支払いを実行するための支払元の前記選択が、金融サービスプロバイダの選択、および前記支払いを実行するための前記選択された金融サービスプロバイダに関連づけられた特定の口座の選択を含む、請求項８７５に記載のシステム。
【請求項８９７】
デフォルト支払元が、ユーザ情報として保存され、前記モバイル装置が、前記デフォルト支払元を使用するか、それとも別の支払元を選択するかについてのプロンプトを前記ユーザに表示し、前記ユーザによって別の利用可能な支払元の選択が行われない場合、前記デフォルト支払元が、前記支払いを実行するために利用される、請求項８７５に記載のシステム。
【請求項８９８】
前記ＭＦＴＳデータベースが、ユーザの金銭取引に対応する取引情報を保存し、前記取引情報が、ユーザ支払いのステータスを追跡するために利用される他の情報に加えて、前記支払実行情報も含む、請求項８７５に記載のシステム。
【請求項８９９】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項８９８に記載のシステム。
【請求項９００】
前記ＭＦＴＳソフトウェアが、前記支払いを実行する際の所定の段階の完了に応答して、支払確認メッセージを前記支払元から受け取るようにさらに動作する、請求項８７５に記載のシステム。
【請求項９０１】
前記ＭＦＴＳソフトウェアが、前記支払元からの前記支払確認メッセージの受け取りに応答して、支払確認メッセージを前記モバイル装置に伝達するようにさらに動作する、請求項９００に記載のシステム。
【請求項９０２】
前記モバイル装置が、
支払いを実行するための支払方法の選択に対応するユーザ入力を受け取り、
前記ユーザ入力に応答して、前記支払いを実行するための前記選択された方法に対応する情報を前記モバイル支払命令内に含める、
ようにさらに動作する、請求項８７５に記載のシステム。
【請求項９０３】
前記選択可能な支払方法が、受領者定義方法、ＡＣＨ資金振替、小切手、および価値保存（ＳＶ）カードを含む、請求項９０２に記載のシステム。
【請求項９０４】
前記ＭＦＴＳが、インターネットなどのデータ通信ネットワークを介してユーザのコンピュータと電子通信のために結合され、
前記ＭＦＴＳに関連するウェブアプリケーションを提供するステップと、
ユーザ情報を前記ウェブアプリケーションを介して受け取るステップと、
前記ユーザモバイル装置を介して開始される取引に関して使用するため、前記ウェブアプリケーションを介して入力された前記ユーザ情報を前記ＭＦＴＳデータベースに保存するステップと、
をさらに備える、請求項８７５に記載のシステム。
【請求項９０５】
前記ウェブアプリケーションを介して受け取った前記ユーザ情報が、金融サービスプロバイダ、金融サービスプロバイダにおける口座、および被支払人に対応する情報を含む、請求項９０４に記載のシステム。
【請求項９０６】
前記ＭＦＴＳソフトウェアが、前記ユーザモバイル装置を介して実行される取引に対応する取引情報を前記ウェブアプリケーションを介して取り出し、ユーザのコンピュータを介してユーザに表示するようにさらに動作する、請求項９０４に記載のシステム。
【請求項９０７】
前記ユーザモバイル装置が、特定の日付時点の前記少なくとも１つの口座の残高を表すキャッシュされた口座残高を前記モバイル装置に保存し、
前記モバイル装置が、前記口座についての更新された口座残高情報を受け取り、
更新された口座残高情報の受け取りに応答して、前記モバイル装置が、前記口座に対応する更新された口座残高情報を前記ユーザに表示する、
請求項８７５に記載のシステム。
【請求項９０８】
無線ネットワークと通信のために接続されたモバイル装置を使用してモバイル金銭支払を実行する際に使用される支払元を選択するための方法であって、
モバイル金銭取引システム（ＭＦＴＳ）からの要約支払元情報をモバイル装置において無線で受け取るステップであって、前記要約支払元情報が、ユーザが関係を維持する金融サービスプロバイダから受け取った支払元情報に基づく、ステップと、
前記ユーザモバイル装置において、支払実行に対応する情報を表示するステップと、
支払いの実行に関して使用される支払元として前記ユーザに利用可能な複数の口座に対応する情報を表示するステップと、
前記複数の利用可能な口座からの支払元のユーザ選択を受け取るステップと、
前記支払いおよび前記支払いを実行するための選択された支払元に対応する情報を備えるモバイル支払命令を生成するステップと、
前記モバイル支払命令を前記ユーザモバイル装置から前記ＭＦＴＳに無線で伝達するステップと、を備え、
それによって、前記ＭＦＴＳが、前記選択された支払元を利用して前記支払いを達成する、方法。
【請求項９０９】
前記ＭＦＴＳが、支払命令受領者に命令を提供するために、前記モバイル支払命令からの情報を利用し、前記支払命令受領者が、金融サービスプロバイダ、支払請求アグリゲータ、または個別の支払請求エンティティの１つである、請求項９０８に記載の方法。
【請求項９１０】
前記選択された支払元が、前記ユーザが関係を維持する金融サービスプロバイダを備え、前記金融サービスプロバイダが、前記支払元として使用するために選択可能な１つまたは複数の口座を前記ユーザに代わって維持する、請求項９０８に記載の方法。
【請求項９１１】
前記ユーザが、複数の金融サービスプロバイダと関係を維持し、支払元の前記選択が、前記複数の金融サービスプロバイダの１つにおける口座の選択を備える、請求項９１０に記載の方法。
【請求項９１２】
前記ＭＦＴＳから要約支払実行情報を受け取るステップであって、前記要約支払実行情報が、支払情報のソースから前記ＭＦＴＳによって受け取られた前記支払実行情報の所定の選択されたサブセットを備える、ステップと、
前記要約支払実行情報の少なくとも部分を前記モバイル装置上で表示するステップと、
をさらに備える、請求項９０８に記載の方法。
【請求項９１３】
前記モバイル支払命令が、選択された金融サービスプロバイダにおける選択された口座を識別する情報を含む、請求項９０８に記載の方法。
【請求項９１４】
前記支払実行情報が、外部ソースによって前記ＭＦＴＳに提供される支払実行情報を備え、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項９０８に記載の方法。
【請求項９１５】
前記支払実行情報のための前記外部ソースが、個別の支払請求エンティティばかりでなく、複数の支払請求エンティティからの請求書情報も提供する請求書提示システムを備える、請求項９１４に記載の方法。
【請求項９１６】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項９０８に記載の方法。
【請求項９１７】
前記ユーザモバイル装置において表示される前記支払実行に対応する前記情報が、前記要約支払実行情報に基づいた情報を備える、請求項９０８に記載の方法。
【請求項９１８】
前記支払実行および／または前記複数の口座に対応する情報を前記ユーザモバイル装置において表示する前記ステップが、前記モバイル装置上での所定の機能のユーザ活動化に応答して達成される、請求項９０８に記載の方法。
【請求項９１９】
所定の機能の前記ユーザ活動化が、前記ＭＦＴＳに支払実行情報のソースおよび／または支払元から情報を取り出させ、前記情報を受け取ったときに前記モバイル装置に転送させる、請求項９１８に記載の方法。
【請求項９２０】
前記支払実行に対応する情報を前記ユーザモバイル装置において表示する前記ステップが、前記ＭＦＴＳからのテキストメッセージの前記モバイル装置における受け取りに応答して提供される、請求項９０８に記載の方法。
【請求項９２１】
前記ユーザモバイル装置上でモバイルウォレットアプリケーションを提供するステップをさらに備える、請求項９０８に記載の方法。
【請求項９２２】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項９２１に記載の方法。
【請求項９２３】
請求書閲覧コマンドの表示に応答して提供される支払実行の選択に対応するユーザ入力を受け取るステップをさらに備える、請求項９２２に記載の方法。
【請求項９２４】
前記請求書閲覧コマンドのユーザ活動化が、前記ＭＦＴＳに請求書提示システムから請求書情報を取り出させ、前記請求書提示システムからそのような情報を受け取ったときに前記請求書情報を前記モバイル装置に伝達させる、請求項９２２に記載の方法。
【請求項９２５】
支払いを実行するための支払元の選択に対応する前記ユーザ入力が、支払元閲覧コマンドの表示に応答して提供される、請求項９２２に記載の方法。
【請求項９２６】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項９２２に記載の方法。
【請求項９２７】
支払いを実行するための支払元の前記選択が、金融サービスプロバイダの選択、および前記支払いを実行するための前記選択された金融サービスプロバイダに関連づけられた特定の口座の選択を含む、請求項９０８に記載の方法。
【請求項９２８】
デフォルト支払元が、ユーザ情報として保存され、前記モバイル装置が、前記デフォルト支払元を使用するか、それとも別の支払元を選択するかについてのプロンプトを前記ユーザに表示し、前記ユーザによって別の利用可能な支払元の選択が行われない場合、前記デフォルト支払元が、前記支払いを実行するために利用される、請求項９０８に記載の方法。
【請求項９２９】
前記支払いを実行する際の所定の段階の完了に応答して、支払確認メッセージが、前記支払元から前記ＭＦＴＳに提供され、前記支払元からの支払確認メッセージの受け取りに応答して、モバイル装置支払確認メッセージを前記ＭＦＴＳから受け取るステップをさらに備える、請求項９０８に記載の方法。
【請求項９３０】
前記モバイル装置が、
支払いを実行するための支払方法の選択に対応するユーザ入力を受け取り、
前記ユーザ入力に応答して、前記支払いを実行するための前記選択された方法に対応する情報を前記モバイル支払命令内に含める、
ようにさらに動作する、請求項９０８に記載の方法。
【請求項９３１】
前記選択可能な支払方法が、受領者定義方法、ＡＣＨ資金振替、小切手、および価値保存（ＳＶ）カードを含む、請求項９３０に記載の方法。
【請求項９３２】
特定の日付時点の少なくとも１つの口座の残高を表すキャッシュされた口座残高を前記モバイル装置に保存するステップと、
前記ＭＦＴＳから前記ユーザモバイル装置への更新された口座残高情報を受け取るステップと、をさらに備え、
それによって、前記ＭＦＴＳからの更新された口座残高情報の受け取りに応答して、前記モバイル装置が、前記口座に対応する更新された口座残高情報を前記ユーザに表示する、
請求項９０８に記載の方法。
【請求項９３３】
無線ネットワークを介してモバイル金銭支払を実行するための支払元を選択するためのモバイル装置であって、
モバイル通信サービスプロバイダを介してモバイル金銭取引システム（ＭＦＴＳ）に無線通信のために接続されるモバイル装置であって、ディスプレイと、ユーザ入力手段と、プロセッサと、メモリとを含むモバイル装置と、
前記モバイル装置プロセッサ上で動作するモバイル装置ソフトウェアであって、
モバイル金銭取引システム（ＭＦＴＳ）からの要約支払元情報を無線で受け取るステップであって、前記要約支払元情報が、ユーザが関係を維持する金融サービスプロバイダから受け取った支払元情報に基づく、コンピュータ実施ステップと、
支払実行に対応する情報を表示するコンピュータ実施ステップと、
支払いの実行に関して使用される支払元として前記ユーザに利用可能な複数の口座に対応する情報を表示するコンピュータ実施ステップと、
前記複数の利用可能な口座からの支払元のユーザ選択を受け取るコンピュータ実施ステップと、
前記支払いおよび前記支払いを実行するための選択された支払元に対応する情報を備えるモバイル支払命令を生成するコンピュータ実施ステップと、
前記モバイル支払命令を前記ＭＦＴＳに無線で伝達するコンピュータ実施ステップと、
を実行するためのプログラムコードを備えるモバイル装置ソフトウェアと、を備え、
それによって、前記モバイル支払命令の受け取りに応答して、前記ＭＦＴＳが、前記選択された支払元を利用して前記支払いを達成する、モバイル装置。
【請求項９３４】
ＭＦＴＳが、前記モバイル支払命令の受け取りに応答して、前記支払いを達成するための命令を支払命令受領者に提供し、前記支払命令受領者が、金融サービスプロバイダ、支払請求アグリゲータ、または個別の支払請求エンティティの１つである、請求項９３３に記載の装置。
【請求項９３５】
前記選択された支払元が、前記ユーザが関係を維持する金融サービスプロバイダを備え、前記金融サービスプロバイダが、前記支払元として使用するために選択可能な１つまたは複数の口座を前記ユーザに代わって維持する、請求項９３３に記載の装置。
【請求項９３６】
前記ユーザが、複数の金融サービスプロバイダと関係を維持し、支払元の前記選択が、前記複数の金融サービスプロバイダの１つにおける口座の選択を備える、請求項９３５に記載の装置。
【請求項９３７】
前記モバイル装置ソフトウェアが、
支払情報のソースから前記ＭＦＴＳによって受け取られた前記支払実行情報の所定の選択されたサブセットを備える要約支払実行情報を前記ＭＦＴＳから受け取り、
前記要約支払実行情報の少なくとも部分を前記モバイル装置上で表示する、
ように動作する、請求項９３３に記載の装置。
【請求項９３８】
前記モバイル支払命令が、選択された金融サービスプロバイダにおける選択された口座を識別する情報を含む、請求項９３３に記載の装置。
【請求項９３９】
前記支払実行情報が、外部ソースによって前記ＭＦＴＳに提供される支払実行情報を備え、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項９３３に記載の装置。
【請求項９４０】
前記支払実行情報のための前記外部ソースが、個別の支払請求エンティティばかりでなく、複数の支払請求エンティティからの請求書情報も提供する請求書提示システムを備える、請求項９３９に記載の装置。
【請求項９４１】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項９３３に記載の装置。
【請求項９４２】
前記ユーザモバイル装置において表示される前記支払実行に対応する前記情報が、前記要約支払実行情報に基づいた情報を備える、請求項９３３に記載の装置。
【請求項９４３】
前記支払実行および／または前記複数の口座に対応する情報を前記ユーザモバイル装置において表示する前記ステップが、前記モバイル装置上での所定の機能のユーザ活動化に応答して達成される、請求項９３３に記載の装置。
【請求項９４４】
所定の機能の前記ユーザ活動化が、前記ＭＦＴＳに支払実行情報のソースおよび／または支払元から情報を取り出させ、前記情報を受け取ったときに前記モバイル装置に転送させる、請求項９４３に記載の装置。
【請求項９４５】
前記支払実行に対応する情報を表示する前記ステップが、前記ＭＦＴＳからのテキストメッセージの前記モバイル装置における受け取りに応答して提供される、請求項９３３に記載の装置。
【請求項９４６】
前記モバイル装置ソフトウェアが、モバイルウォレットアプリケーションを備える、請求項９３３に記載の装置。
【請求項９４７】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項９４６に記載の装置。
【請求項９４８】
前記モバイルウォレットアプリケーションが、請求書閲覧コマンドの表示に応答して、支払実行の選択に対応するユーザ入力を受け取るように動作する、請求項９４６に記載の装置。
【請求項９４９】
請求書閲覧コマンドのユーザ活動化が、前記ＭＦＴＳに請求書提示システムから請求書情報を取り出させ、前記請求書提示システムからそのような情報を受け取ったときに前記請求書情報を前記モバイル装置に伝達させる、請求項９４６に記載の装置。
【請求項９５０】
支払いを実行するための支払元の選択に対応する前記ユーザ入力が、支払元閲覧コマンドの表示に応答して提供される、請求項９４６に記載の装置。
【請求項９５１】
支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項９４６に記載の装置。
【請求項９５２】
支払いを実行するための支払元の前記選択が、金融サービスプロバイダの選択、および前記支払いを実行するための前記選択された金融サービスプロバイダに関連づけられた特定の口座の選択を含む、請求項９３３に記載の装置。
【請求項９５３】
デフォルト支払元が、ユーザ情報として保存され、前記モバイル装置ソフトウェアが、前記デフォルト支払元を使用するか、それとも別の支払元を選択するかについてのプロンプトを前記ユーザに表示するようにさらに動作し、前記ユーザによって別の利用可能な支払元の選択が行われない場合、前記デフォルト支払元が、前記支払いを実行するために利用される、請求項９３３に記載の装置。
【請求項９５４】
前記支払いを実行する際の所定の段階の完了に応答して、支払確認メッセージが、前記支払元から前記ＭＦＴＳに提供され、前記支払元からの支払確認メッセージの受け取りに応答して、モバイル装置支払確認メッセージを前記ＭＦＴＳから受け取るステップをさらに備える、請求項９３３に記載の装置。
【請求項９５５】
前記モバイル装置ソフトウェアが、
支払いを実行するための支払方法の選択に対応するユーザ入力を受け取り、
前記ユーザ入力に応答して、前記支払いを実行するための前記選択された方法に対応する情報を前記モバイル支払命令内に含める、
ようにさらに動作する、請求項９３３に記載の装置。
【請求項９５６】
前記選択可能な支払方法が、受領者定義方法、ＡＣＨ資金振替、小切手、および価値保存（ＳＶ）カードを含む、請求項９５５に記載の装置。
【請求項９５７】
前記ユーザモバイル装置が、特定の日付時点の少なくとも１つの口座の残高を表すキャッシュされた口座残高を前記モバイル装置に保存し、
前記モバイル装置が、前記口座についての更新された口座残高情報を受け取り、
更新された口座残高情報の受け取りに応答して、前記モバイル装置が、前記口座に対応する更新された口座残高情報を前記ユーザに表示する、
請求項９３３に記載の装置。
【請求項９５８】
無線ネットワークと通信のために接続されたモバイル装置を介してモバイル金銭取引を実行する際に使用される支払元のユーザ選択を可能にするための方法であって、
モバイル通信サービスプロバイダ（ＭＣＳＰ）を使用してユーザのモバイル装置と無線通信のために結合されるモバイル金銭取引システム（ＭＦＴＳ）を提供するステップであって、前記ＭＦＴＳが、前記ユーザが１つまたは複数の口座を保持する１つまたは複数の金融サービスプロバイダと電子通信のために結合され、前記ＭＦＴＳが、ユーザ情報、１つまたは複数の被支払人に関連づけられた支払実行情報、および少なくとも１つの金融サービスプロバイダに関連づけられた少なくとも１つの口座に関連づけられた支払元情報を保存するためのモバイル金銭取引システム（ＭＦＴＳ）データベースを含む、ステップと、
前記モバイル装置ユーザのために実行される支払いおよび前記支払いを実行するための選択された支払元に対応する情報を備えるモバイル支払命令をモバイル装置から無線で受け取るステップと、
前記モバイル支払命令の受け取りに応答して、前記支払命令によって指示された前記支払いを受け取るための識別された被支払人に対応する情報、および前記支払命令内で識別された前記選択された支払元に対応する情報を、前記ＭＦＴＳデータベースから取り出すステップと、
支払命令受領者に対するＭＦＴＳ支払命令を生成するステップであって、前記ＭＦＴＳ支払命令が、金額、前記識別された被支払人に対応する情報、および前記選択された支払元を指示する情報を少なくとも含む、ステップと、
前記ＭＦＴＳ支払命令を前記ＭＦＴＳから前記支払命令受領者に伝達するステップと、を備え、
それによって、前記ＭＦＴＳ支払命令の受け取りに応答して、前記支払命令受領者が、前記選択された支払元を利用して前記識別された被支払人に対する支払いを達成する、方法。
【請求項９５９】
前記支払命令受領者が、金融サービスプロバイダ、支払請求アグリゲータ、または個別の支払請求エンティティの１つである、請求項９５８に記載の方法。
【請求項９６０】
前記選択された支払元が、前記ユーザが関係を維持する金融サービスプロバイダを備え、前記金融サービスプロバイダが、前記支払元として使用するために選択可能な１つまたは複数の口座を前記ユーザに代わって維持する、請求項９５８に記載の方法。
【請求項９６１】
前記ユーザが、複数の金融サービスプロバイダと関係を維持し、支払元の前記選択が、前記複数の金融サービスプロバイダの１つにおける口座の選択を備える、請求項９６０に記載の方法。
【請求項９６２】
前記ユーザによって実行される被支払人に対する支払いに対応する支払実行情報を前記ＭＦＴＳにおいて受け取るステップをさらに備える、請求項９５８に記載の方法。
【請求項９６３】
前記ＭＦＴＳにおいて、前記支払実行情報に基づいて要約支払実行情報を生成するステップであって、前記要約支払実行情報が、前記支払実行情報の所定の選択されたサブセットを備える、ステップと、
前記要約支払実行情報を前記ＭＦＴＳから前記ユーザモバイル装置に無線で伝達するステップと、
をさらに備える、請求項９６２に記載の方法。
【請求項９６４】
前記モバイル支払命令が、選択された金融サービスプロバイダにおける選択された口座を識別する情報を含み、前記選択された金融サービスプロバイダから現在の口座残高情報を取り出し、前記現在の口座残高情報を前記モバイル装置に無線で伝達するステップをさらに備える、請求項９５８に記載の方法。
【請求項９６５】
前記支払実行情報が、外部ソースによって前記ＭＦＴＳに提供される支払実行情報を備え、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項９５８に記載の方法。
【請求項９６６】
前記支払実行情報のための前記外部ソースが、個別の支払請求エンティティばかりでなく、複数の支払請求エンティティからの請求書情報も提供する請求書提示システムを備える、請求項９６５に記載の方法。
【請求項９６７】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項９５８に記載の方法。
【請求項９６８】
前記支払いの実行に関して使用される支払元として前記ユーザに利用可能な前記複数の口座に対応する前記情報が、要約支払元情報を備える、請求項９５８に記載の方法。
【請求項９６９】
前記モバイル装置上での所定の機能のユーザ活動化に応答して、前記支払実行および／または複数の口座に対応する情報をユーザモバイル装置に無線で提供するステップをさらに備える、請求項９５８に記載の方法。
【請求項９７０】
所定の機能の前記ユーザ活動化が、前記ＭＦＴＳに支払実行情報のソースおよび／または支払元から情報を取り出させ、前記情報を受け取ったときに前記ユーザモバイル装置に転送させる、請求項９６９に記載の方法。
【請求項９７１】
前記ユーザモバイル装置上で実行するためのダウンロード可能モバイルウォレットアプリケーションを提供するステップをさらに備える、請求項９５８に記載の方法。
【請求項９７２】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項９７１に記載の方法。
【請求項９７３】
請求書閲覧コマンドのユーザ活動化が、前記ＭＦＴＳに請求書提示システムから請求書情報を取り出させ、前記請求書提示システムからそのような情報を受け取ったときに前記請求書情報を前記モバイル装置に伝達させる、請求項９７１に記載の方法。
【請求項９７４】
支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項９７１に記載の方法。
【請求項９７５】
前記モバイル支払命令が、金融サービスプロバイダの選択、および前記支払いを実行するための前記選択された金融サービスプロバイダに関連づけられた特定の口座の選択を含む、請求項９５８に記載の方法。
【請求項９７６】
デフォルト支払元が、ユーザ情報として保存され、前記ユーザによって別の利用可能な支払元の選択が行われない場合、前記デフォルト支払元が、前記支払いを実行するために利用される、請求項９５８に記載の方法。
【請求項９７７】
前記ＭＦＴＳデータベースが、ユーザの金銭取引に対応する取引情報を保存し、前記取引情報が、ユーザ支払いのステータスを追跡するために利用される他の情報に加えて、前記支払実行情報も含む、請求項９５８に記載の方法。
【請求項９７８】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項９７７に記載の方法。
【請求項９７９】
前記支払いを実行する際の所定の段階の完了に応答して、支払確認メッセージを前記支払元から受け取るステップをさらに備える、請求項９５８に記載の方法。
【請求項９８０】
前記支払元からの前記支払確認メッセージの受け取りに応答して、支払確認メッセージを前記モバイル装置に伝達するステップをさらに備える、請求項９７９に記載の方法。
【請求項９８１】
前記モバイル支払命令が、前記支払いを実行するための複数の選択可能な支払方法のうちの選択された１つに対応する、前記ユーザによって提供された情報を含む、請求項９５８に記載の方法。
【請求項９８２】
前記選択可能な支払方法が、受領者定義方法、ＡＣＨ資金振替、小切手、および価値保存（ＳＶ）カードを含む、請求項９８１に記載の方法。
【請求項９８３】
前記ＭＦＴＳが、インターネットなどのデータ通信ネットワークを介してユーザのコンピュータと電子通信のために結合され、
前記ＭＦＴＳに関連するウェブアプリケーションを提供するステップと、
ユーザ情報を前記ウェブアプリケーションを介して受け取るステップと、
前記ユーザモバイル装置を介して開始される取引に関して使用するため、前記ウェブアプリケーションを介して入力された前記ユーザ情報を前記ＭＦＴＳデータベースに保存するステップと、
をさらに備える、請求項９５８に記載の方法。
【請求項９８４】
前記ウェブアプリケーションを介して受け取った前記ユーザ情報が、金融サービスプロバイダ、金融サービスプロバイダにおける口座、および被支払人に対応する情報を含む、請求項９８３に記載の方法。
【請求項９８５】
前記ユーザモバイル装置を介して実行される取引に対応する取引情報を前記ウェブアプリケーションを介して取り出し、ユーザのコンピュータを介してユーザに表示するステップをさらに備える、請求項９８３に記載の方法。
【請求項９８６】
前記口座についての更新された口座残高情報を取得するために前記金融サービスプロバイダと通信するステップと、
更新された口座残高情報を前記ＭＦＴＳから前記ユーザモバイル装置に無線で伝達するステップと、を備え、
前記ＭＦＴＳからの更新された口座残高情報の受け取りに応答して、前記ユーザモバイル装置が、前記口座に対応する更新された口座残高情報を前記ユーザに表示する、請求項９５８に記載の方法。
【請求項９８７】
無線ネットワークと通信のために接続されたモバイル装置を介してモバイル金銭取引を実行する際に使用される支払元のユーザ選択を可能にするためのモバイル金銭取引システム（ＭＦＴＳ）であって、
ユーザ情報、支払実行情報、およびモバイル装置ユーザに関連づけられた支払元情報を保存するためのモバイル金銭取引システム（ＭＦＴＳ）データベースと、
前記ＭＦＴＳデータベースを維持し、ユーザが支払元として選択可能な１つまたは複数の口座を保持する１つまたは複数の金融サービスプロバイダを含むモバイル金銭支払に関与するエンティティ間で電子通信を実行する、モバイル金銭取引システム（ＭＦＴＳ）コンピュータシステムと、
前記ＭＦＴＳコンピュータシステム上で動作するＭＦＴＳソフトウェアであって、
前記モバイル装置ユーザのために実行される支払いおよび前記支払いを実行するための選択された支払元に対応する情報を備えるモバイル支払命令をモバイル装置から無線で受け取るコンピュータ実施ステップと、
前記モバイル支払命令の受け取りに応答して、前記支払命令によって指示された前記支払いを受け取るための識別された被支払人に対応する情報、および前記支払命令内で識別された前記選択された支払元に対応する情報を、前記ＭＦＴＳデータベースから取り出すコンピュータ実施ステップと、
支払命令受領者に対するＭＦＴＳ支払命令を生成するステップであって、前記ＭＦＴＳ支払命令が、金額、前記識別された被支払人に対応する情報、および前記選択された支払元を指示する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアと、を備え、
それによって、前記ＭＦＴＳ支払命令の受け取りに応答して、前記支払命令受領者が、前記選択された支払元を利用して前記識別された被支払人に対する支払いを達成する、モバイル金銭取引システム（ＭＦＴＳ）。
【請求項９８８】
前記支払命令受領者が、金融サービスプロバイダ、支払請求アグリゲータ、または個別の支払請求エンティティの１つである、請求項９８７に記載のシステム。
【請求項９８９】
前記選択された支払元が、前記ユーザが関係を維持する金融サービスプロバイダを備え、前記金融サービスプロバイダが、前記支払元として使用するために選択可能な１つまたは複数の口座を前記ユーザに代わって維持する、請求項９８７に記載のシステム。
【請求項９９０】
前記ユーザが、複数の金融サービスプロバイダと関係を維持し、支払元の前記選択が、前記複数の金融サービスプロバイダの１つにおける口座の選択を備える、請求項９８９に記載のシステム。
【請求項９９１】
前記ＭＦＴＳソフトウェアが、前記ユーザによって実行される被支払人に対する支払いに対応する支払実行情報を前記ＭＦＴＳにおいて受け取るようにさらに動作する、請求項９８７に記載のシステム。
【請求項９９２】
前記ＭＦＴＳソフトウェアが、
前記ＭＦＴＳにおいて、前記支払実行情報の所定の選択されたサブセットを備える要約支払実行情報を前記支払実行情報に基づいて生成し、
前記要約支払実行情報を前記ＭＦＴＳから前記ユーザモバイル装置に無線で伝達する、
ようにさらに動作する、請求項９９１に記載のシステム。
【請求項９９３】
前記モバイル支払命令が、選択された金融サービスプロバイダにおける選択された口座を識別する情報を含み、前記ＭＦＴＳソフトウェアが、前記選択された金融サービスプロバイダから現在の口座残高情報を取り出し、前記現在の口座残高情報を前記モバイル装置に無線で伝達するようにさらに動作する、請求項９８７に記載のシステム。
【請求項９９４】
前記支払実行情報が、外部ソースによって前記ＭＦＴＳに提供される支払実行情報を備え、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項９８７に記載のシステム。
【請求項９９５】
前記支払実行情報のための前記外部ソースが、個別の支払請求エンティティばかりでなく、複数の支払請求エンティティからの請求書情報も提供する請求書提示システムを備える、請求項９９４に記載のシステム。
【請求項９９６】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項９８７に記載のシステム。
【請求項９９７】
前記支払いの実行に関して使用される支払元として前記ユーザに利用可能な前記複数の口座に対応する前記情報が、要約支払元情報を備える、請求項９８７に記載のシステム。
【請求項９９８】
前記ＭＦＴＳソフトウェアが、前記モバイル装置上での所定の機能のユーザ活動化に応答して、支払実行および／または複数の口座に対応する情報をユーザモバイル装置に無線で提供するようにさらに動作する、請求項９８７に記載のシステム。
【請求項９９９】
前記モバイル装置上での所定の機能の前記ユーザ活動化が、前記ＭＦＴＳに支払実行情報のソースおよび／または支払元から情報を取り出させ、前記情報を受け取ったときに前記ユーザモバイル装置に転送させる、請求項９９８に記載のシステム。
【請求項１０００】
前記ＭＦＴＳソフトウェアが、前記ユーザモバイル装置上で実行するためのダウンロード可能モバイルウォレットアプリケーションを提供するようにさらに動作する、請求項９８７に記載のシステム。
【請求項１００１】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１０００に記載のシステム。
【請求項１００２】
モバイル装置上での請求書閲覧コマンドのユーザ活動化が、前記ＭＦＴＳに請求書提示システムから請求書情報を取り出させ、前記請求書提示システムからそのような情報を受け取ったときに前記請求書情報を前記モバイル装置に伝達させる、請求項１０００に記載のシステム。
【請求項１００３】
モバイル装置上での支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項１０００に記載のシステム。
【請求項１００４】
前記モバイル支払命令が、金融サービスプロバイダの選択、および前記支払いを実行するための前記選択された金融サービスプロバイダに関連づけられた特定の口座の選択を含む、請求項９８７に記載のシステム。
【請求項１００５】
デフォルト支払元が、ユーザ情報として保存され、前記ユーザによって別の利用可能な支払元の選択が行われない場合、前記デフォルト支払元が、前記支払いを実行するために利用される、請求項９８７に記載のシステム。
【請求項１００６】
前記ＭＦＴＳデータベースが、ユーザの金銭取引に対応する取引情報を保存し、前記取引情報が、ユーザ支払いのステータスを追跡するために利用される他の情報に加えて、前記支払実行情報も含む、請求項９８７に記載のシステム。
【請求項１００７】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項１６５に記載のシステム。
【請求項１００８】
前記ＭＦＴＳソフトウェアが、前記支払いを実行する際の所定の段階の完了に応答して、支払確認メッセージを前記支払元から受け取るようにさらに動作する、請求項９８７に記載のシステム。
【請求項１００９】
前記ＭＦＴＳソフトウェアが、前記支払元からの前記支払確認メッセージの受け取りに応答して、支払確認メッセージを前記モバイル装置に伝達するようにさらに動作する、請求項９８７に記載のシステム。
【請求項１０１０】
前記モバイル支払命令が、前記支払いを実行するための複数の選択可能な支払方法のうちの選択された１つに対応する、前記ユーザによって提供された情報を含む、請求項９８７に記載のシステム。
【請求項１０１１】
前記選択可能な支払方法が、受領者定義方法、ＡＣＨ資金振替、小切手、および価値保存（ＳＶ）カードを含む、請求項１０１０に記載のシステム。
【請求項１０１２】
前記ＭＦＴＳが、インターネットなどのデータ通信ネットワークを介してユーザのコンピュータと電子通信のために結合され、前記ＭＦＴＳソフトウェアが、
前記ＭＦＴＳに関連するウェブアプリケーションを提供し、
ユーザ情報を前記ウェブアプリケーションを介して受け取り、
前記ユーザモバイル装置を介して開始される取引に関して使用するため、前記ウェブアプリケーションを介して入力された前記ユーザ情報を前記ＭＦＴＳデータベースに保存する、
ようにさらに動作する、請求項９８７に記載のシステム。
【請求項１０１３】
前記ウェブアプリケーションを介して受け取った前記ユーザ情報が、金融サービスプロバイダ、金融サービスプロバイダにおける口座、および被支払人に対応する情報を含む、請求項１０１２に記載のシステム。
【請求項１０１４】
前記ＭＦＴＳソフトウェアが、前記ユーザモバイル装置を介して実行される取引に対応する取引情報を前記ウェブアプリケーションを介して取り出し、ユーザのコンピュータを介してユーザに表示するようにさらに動作する、請求項１０１２に記載のシステム。
【請求項１０１５】
前記ＭＦＴＳが、前記口座についての更新された口座残高情報を取得するために前記金融サービスプロバイダと通信し、
前記ＭＦＴＳが、更新された口座残高情報を前記ＭＦＴＳから前記ユーザのモバイル装置に無線で伝達し、
前記ＭＦＴＳからの更新された口座残高情報の受け取りに応答して、前記モバイル装置が、前記口座に対応する更新された口座残高情報を前記ユーザに表示する、
請求項９８７に記載のシステム。
【請求項１０１６】
（＊＊モバイル環境におけるリアルタイム口座残高（Real Time Account Balance）のための方法およびシステム＊＊）無線ネットワークと通信のために接続されたモバイル装置を使用して１つまたは複数の金融サービスプロバイダにおいて維持される複数の金銭口座を監視するための方法であって、
モバイル通信サービスプロバイダ（ＭＣＳＰ）を使用してユーザのモバイル装置と無線通信のために結合されるモバイル金銭取引システム（ＭＦＴＳ）を提供するステップであって、前記ＭＦＴＳが、前記ユーザが１つまたは複数の口座を保持する１つまたは複数の金融サービスプロバイダと電子通信のために結合され、前記ＭＦＴＳが、ユーザ情報、および少なくとも１つの金融サービスプロバイダに関連づけられた複数の口座に関連づけられた金銭口座情報を保存するためのモバイル金銭取引システム（ＭＦＴＳ）データベースを含む、ステップと、
特定の日付時点の前記複数のユーザ口座の残高を表すキャッシュされた口座残高を前記モバイル装置に保存するステップと、
前記ユーザの少なくとも１つの口座についての更新された口座残高情報を取得するために少なくとも１つの金融サービスプロバイダと通信するステップと、
更新された口座残高情報をユーザのモバイル装置に無線で伝達するステップと、
前記ＭＦＴＳからの更新された口座残高情報の受け取りに応答して、前記複数のユーザ口座に対応する更新された口座残高情報を前記モバイル装置を介して前記ユーザに表示するステップと、
を備える方法。
【請求項１０１７】
前記モバイル装置上の前記キャッシュされた口座残高情報へのアクセスについてユーザを認証するために、前記ユーザのモバイル装置上でユーザ認証機能を提供するステップと、
前記モバイル装置におけるユーザ認証に応答して、ユーザログインおよび無線通信のための接続を示すユーザ識別子を前記ＭＦＴＳに提供するステップと、
前記ＭＦＴＳにおける前記ユーザ識別子の受け取りに応答して、更新された口座残高情報を要求するために、前記１つまたは複数の金融サービスプロバイダに対する通信を開始するステップと、をさらに備え、
それによって、ユーザ活動化およびログイン時に、前記複数の金銭口座についての更新された口座残高情報が、自動的に取得され、前記ユーザのモバイル装置にリアルタイムに提供される、請求項１０１６に記載の方法。
【請求項１０１８】
前記金融サービスプロバイダが、銀行、クレジットカード会社、デビットカード会社、価値保存カード提供者、信用組合（credit union）、支払サービス会社、金融サービスプロバイダのうちの１つまたは複数を含む、請求項１０１６に記載の方法。
【請求項１０１９】
前記ユーザのモバイル装置において表示される前記口座情報が、要約口座情報を備える、請求項１０１６に記載の方法。
【請求項１０２０】
前記口座情報が、支払元情報を備える、請求項１０１６に記載の方法。
【請求項１０２１】
ユーザのモバイル装置が前記ＭＦＴＳと無線通信のために接続されている、および／または認証されていると判定されたときに、モバイル装置から前記ＭＦＴＳに装置接続信号（device connected signal）を提供するステップと、
前記ＭＦＴＳにおいて、前記装置接続信号の受け取りに応答して、前記ユーザの１つまたは複数の口座についての更新された口座残高情報を取得するために、金融サービスプロバイダとの前記通信を開始するステップと、
をさらに備える、請求項１０１６に記載の方法。
【請求項１０２２】
前記金融サービスプロバイダと通信する前記ステップが、
前記ユーザに対応するユーザ識別子を前記ＭＦＴＳにおいて前記モバイル装置から受け取るステップと、
前記ユーザ識別子に応答して、前記ユーザに関連づけられた金融サービスプロバイダに対応する少なくとも１つの金融サービスプロバイダ識別子を決定するステップと、
前記金融サービスプロバイダ識別子に対応する前記金融サービスプロバイダにおける口座情報にアクセスするために必要とされる認証情報を決定するステップと、
認証情報を前記金融サービスプロバイダに提供するステップと、
前記少なくとも１つの金融サービスプロバイダによって維持される少なくとも１つの口座から更新された口座残高情報を受け取るステップと、
を含む、請求項１０１６に記載の方法。
【請求項１０２３】
前記ユーザ識別子が、複数の金融サービスプロバイダを決定し、複数の異なる金融サービスプロバイダにおける複数の異なる口座に対応する更新された口座残高を受け取るために使用される、請求項１０２２に記載の方法。
【請求項１０２４】
前記ユーザ識別子が、モバイル電話番号、ＭＩＮ、コード、名前のうちの１つを含む、請求項１０２２に記載の方法。
【請求項１０２５】
更新された口座情報をユーザのモバイル装置に無線で伝達する前記ステップが、前記更新された口座情報を前記ＭＦＴＳにおいて少なくとも１つの金融サービスプロバイダから受け取るステップと、前記更新された口座情報を前記ユーザのモバイル装置にパススルー動作（passthrough operation）で転送するステップと、を備える、請求項１０１６に記載の方法。
【請求項１０２６】
金融サービスプロバイダと通信する前記ステップが、前記金融サービスプロバイダと所定の時間間隔で定期的に通信するステップを備える、請求項１０１６に記載の方法。
【請求項１０２７】
金融サービスプロバイダと通信する前記ステップが、前記金融サービスプロバイダによって開始されるプッシュ型通信（push communication）を備える、請求項１０１６に記載の方法。
【請求項１０２８】
特定の日付時点の前記複数のユーザ口座の前記残高を表すキャッシュされた口座残高を前記ＭＦＴＳ内のデータベースに保存するステップをさらに備える、請求項１０１６に記載の方法。
【請求項１０２９】
前記モバイル装置に保存された、前記複数のユーザ口座の各々についての前記キャッシュされた口座残高が、口座識別子と関連づけて保存される、請求項１０１６に記載の方法。
【請求項１０３０】
前記口座識別子が、口座ニックネームである、請求項１０２９に記載の方法。
【請求項１０３１】
前記口座識別子が、符号化された識別子である、請求項１０２９に記載の方法。
【請求項１０３２】
前記口座に関する情報にアクセスし、および／または前記口座に関する取引を実行するために、前記口座識別子も、各口座に関連づけられた金融サービスプロバイダによって必要とされる認証情報と関連づけて前記ＭＦＴＳに保存される、請求項１０２９に記載の方法。
【請求項１０３３】
前記口座識別子を前記モバイル装置から前記ＭＦＴＳに提供するステップと、
前記ＭＦＴＳにおいて、前記口座に関する情報にアクセスし、および／または前記口座に関する取引を実行するために、各口座に関連づけられた金融サービスプロバイダによって必要とされる事前保存された認証情報を取り出すステップと、
更新された口座残高情報を取得するために必要とされる他の情報と一緒に前記認証情報を前記金融サービスプロバイダに提供するステップと、
前記金融サービスプロバイダからの前記更新された口座残高情報の受け取りに応答して、前記更新された口座残高情報を前記識別子と関連づけて前記モバイル装置に提供するステップと、
をさらに備える、請求項１０２９に記載の方法。
【請求項１０３４】
前記識別子が、口座ニックネームを含み、複数のユーザ口座に対応する情報を前記モバイル装置を介して前記ユーザに表示する前記ステップが、各口座についての前記口座ニックネームを口座残高情報に関連づけて表示するステップを備える、請求項１０２９に記載の方法。
【請求項１０３５】
口座残高情報を前記モバイル装置を介して表示する前記ステップが、口座ニックネームを前記複数の口座の各々についての口座残高情報に関連づけて表示するステップを備える、請求項１０１６に記載の方法。
【請求項１０３６】
口座残高情報を前記モバイル装置を介して表示する前記ステップが、「現在（as of）」日付を前記口座残高情報に関連づけて表示するステップを備える、請求項１０１６に記載の方法。
【請求項１０３７】
複数の金銭口座が、複数の異なる金融サービスプロバイダにおいて維持され、各々が、独自の口座残高情報提供システム（account balance information providing system）を有し、前記ユーザのモバイル装置における前記ユーザによる単一アクションに応答して、前記複数の異なる金融サービスプロバイダの各々から更新された口座残高情報を取得することを含む、請求項１０１６に記載の方法。
【請求項１０３８】
特定の日付時点の前記少なくとも１つの口座の前記残高を表すキャッシュされた口座残高を前記モバイル装置に保存するステップと、
更新された口座残高情報を前記ユーザモバイル装置において前記ＭＦＴＳから受け取るステップと、
前記ＭＦＴＳからの更新された口座残高情報の受け取りに応答して、前記口座に対応する更新された口座残高情報を前記モバイル装置を介して前記ユーザに表示するステップと、
をさらに備える、請求項１０１６に記載の方法。
【請求項１０３９】
無線ネットワークと通信のために接続されたモバイル装置を使用して１つまたは複数の金融サービスプロバイダにおいて維持される複数の金銭口座を監視するためのシステムであって、
モバイル金銭取引システム（ＭＦＴＳ）と無線通信のために結合されるユーザモバイル装置であって、前記モバイル装置が、前記ＭＦＴＳから口座情報を無線で受け取り、口座情報を表示するように動作し、無線装置が、特定の日付時点の複数のユーザ口座の残高を表すキャッシュされた口座残高を保存するように動作する、ユーザモバイル装置と、
ユーザ情報、およびユーザの少なくとも１つの金融サービスプロバイダに関連づけられた複数の口座に関連づけられた情報を保存するための、前記ＭＦＴＳに関連づけられたモバイル金銭取引システム（ＭＦＴＳ）データベースと、
前記ＭＦＴＳデータベースを維持し、前記ＭＦＴＳと１つまたは複数の金融サービスプロバイダの間で電子通信を実行する、モバイル金銭取引システム（ＭＦＴＳ）コンピュータシステムと、
前記ＭＦＴＳコンピュータシステム上で動作するＭＦＴＳソフトウェアであって、
前記ユーザの少なくとも１つの口座についての更新された口座残高情報を取得するために少なくとも１つの金融サービスプロバイダと通信するコンピュータ実施ステップと、
更新された口座残高情報をユーザのモバイル装置に無線で伝達するコンピュータ実施ステップと、
を実行するためのプログラムコードを備えるＭＦＴＳソフトウェアと、を備え、
前記モバイル装置が、前記ＭＦＴＳからの更新された口座残高情報の受け取りに応答して、前記キャッシュされた口座残高を更新し、更新された口座残高情報を前記ユーザに表示するように動作する、システム。
【請求項１０４０】
前記モバイル装置が、
前記モバイル装置上の前記キャッシュされた口座残高情報へのアクセスについてユーザを認証するために、前記ユーザのモバイル装置においてユーザ認証機能を提供し、
前記モバイル装置におけるユーザ認証に応答して、ユーザログインおよび無線通信のための接続を示すユーザ識別子を前記ＭＦＴＳに提供する、
ようにさらに動作し、
前記ＭＦＴＳソフトウェアが、前記ＭＦＴＳにおける前記ユーザ識別子の受け取りに応答して、更新された口座残高情報を要求するために、前記１つまたは複数の金融サービスプロバイダに対する通信を開始し、
それによって、ユーザ活動化およびログイン時に、前記複数の金銭口座についての更新された口座残高情報が、自動的に取得され、前記ユーザのモバイル装置にリアルタイムに提供される、請求項１０３９に記載のシステム。
【請求項１０４１】
前記金融サービスプロバイダが、銀行、クレジットカード会社、デビットカード会社、価値保存カード提供者、信用組合、支払サービス会社、金融サービスプロバイダのうちの１つまたは複数を含む、請求項１０３９に記載のシステム。
【請求項１０４２】
前記ユーザのモバイル装置において表示される前記口座情報が、要約口座情報を備える、請求項１０３９に記載のシステム。
【請求項１０４３】
前記口座情報が、支払元情報を備える、請求項１０３９に記載のシステム。
【請求項１０４４】
前記モバイル装置が、ユーザのモバイル装置が前記ＭＦＴＳと無線通信のために接続されている、および／または認証されていると判定されたときに、モバイル装置から前記ＭＦＴＳに装置接続信号を提供するようにさらに動作し、前記ＭＦＴＳソフトウェアが、前記装置接続信号の受け取りに応答して、前記ユーザの１つまたは複数の口座についての更新された口座残高情報を取得するために、金融サービスプロバイダとの前記通信を開始するようにさらに動作する、請求項１０３９に記載のシステム。
【請求項１０４５】
前記ＭＦＴＳソフトウェアが、
前記ユーザに対応するユーザ識別子を前記モバイル装置から受け取り、
前記ユーザ識別子に応答して、前記ユーザに関連づけられた金融サービスプロバイダに対応する少なくとも１つの金融サービスプロバイダ識別子を決定し、
前記金融サービスプロバイダ識別子に対応する前記金融サービスプロバイダにおける口座情報にアクセスするために必要とされる認証情報を決定し、
認証情報を前記金融サービスプロバイダに提供し、
前記少なくとも１つの金融サービスプロバイダによって維持される少なくとも１つの口座から更新された口座残高情報を受け取る、
ようにさらに動作する、請求項１０３９に記載のシステム。
【請求項１０４６】
前記ユーザ識別子が、複数の金融サービスプロバイダを決定し、複数の異なる金融サービスプロバイダにおける複数の異なる口座に対応する更新された口座残高を受け取るために使用される、請求項１０４５に記載のシステム。
【請求項１０４７】
前記ユーザ識別子が、モバイル電話番号、ＭＩＮ、コード、名前のうちの１つを含む、請求項１０４５に記載のシステム。
【請求項１０４８】
更新された口座情報をユーザのモバイル装置に無線で伝達する動作が、前記更新された口座情報を前記ＭＦＴＳにおいて少なくとも１つの金融サービスプロバイダから受け取る動作と、前記更新された口座情報を前記ユーザのモバイル装置にパススルー動作で転送する動作と、を備える、請求項１０３９に記載のシステム。
【請求項１０４９】
金融サービスプロバイダと通信する動作が、前記金融サービスプロバイダと所定の時間間隔で定期的に通信する動作を備える、請求項１０３９に記載のシステム。
【請求項１０５０】
金融サービスプロバイダと通信する動作が、前記金融サービスプロバイダによって開始されるプッシュ型通信を備える、請求項１０３９に記載のシステム。
【請求項１０５１】
前記ＭＦＴＳシステムが、特定の日付時点の前記複数のユーザ口座の前記残高を表すキャッシュされた口座残高を前記ＭＦＴＳ内のデータベースに保存するようにさらに動作する、請求項１０３９に記載のシステム。
【請求項１０５２】
前記モバイル装置に保存された、前記複数のユーザ口座の各々についての前記キャッシュされた口座残高が、口座識別子と関連づけて保存される、請求項１０３９に記載のシステム。
【請求項１０５３】
前記口座識別子が、口座ニックネームである、請求項１０５２に記載のシステム。
【請求項１０５４】
前記口座識別子が、符号化された識別子である、請求項１０５２に記載のシステム。
【請求項１０５５】
前記口座に関する情報にアクセスし、および／または前記口座に関する取引を実行するために、前記口座識別子も、各口座に関連づけられた金融サービスプロバイダによって必要とされる認証情報と関連づけて前記ＭＦＴＳに保存される、請求項１０５２に記載のシステム。
【請求項１０５６】
前記モバイル装置が、前記口座識別子を前記ＭＦＴＳに提供するようにさらに動作し、前記ＭＦＴＳソフトウェアが、
前記口座に関する情報にアクセスし、および／または前記口座に関する取引を実行するために、各口座に関連づけられた金融サービスプロバイダによって必要とされる事前保存された認証情報を取り出し、
更新された口座残高情報を取得するために必要とされる他の情報と一緒に前記認証情報を前記金融サービスプロバイダに提供し、
前記金融サービスプロバイダからの前記更新された口座残高情報の受け取りに応答して、前記更新された口座残高情報を前記識別子と関連づけて前記モバイル装置に提供する、
ようにさらに動作する、請求項１０５２に記載のシステム。
【請求項１０５７】
前記識別子が、口座ニックネームを含み、複数のユーザ口座に対応する情報を前記モバイル装置を介して前記ユーザに表示する動作が、各口座についての前記口座ニックネームを口座残高情報に関連づけて表示する動作を備える、請求項１０５２に記載のシステム。
【請求項１０５８】
口座残高情報を前記モバイル装置を介して表示する動作が、口座ニックネームを前記複数の口座の各々についての口座残高情報に関連づけて表示する動作を備える、請求項１０３９に記載のシステム。
【請求項１０５９】
口座残高情報を前記モバイル装置を介して表示するステップが、「現在」日付を前記口座残高情報に関連づけて表示するステップを備える、請求項１０３９に記載のシステム。
【請求項１０６０】
複数の金銭口座が、複数の異なる金融サービスプロバイダにおいて維持され、各々が、独自の口座残高情報提供システムを有し、方法が、前記ユーザのモバイル装置における前記ユーザによる単一アクションに応答して、前記複数の異なる金融サービスプロバイダの各々から更新された口座残高情報を取得することを含む、請求項１０３９に記載のシステム。
【請求項１０６１】
前記ユーザモバイル装置が、特定の日付時点の前記少なくとも１つの口座の前記残高を表すキャッシュされた口座残高を前記モバイル装置に保存し、
前記モバイル装置が、前記口座についての更新された口座残高情報を受け取り、
更新された口座残高情報の受け取りに応答して、前記モバイル装置が、前記口座に対応する更新された口座残高情報を前記ユーザに表示する、
請求項１０３９に記載のシステム。
【請求項１０６２】
無線ネットワークと通信のために接続されたモバイル装置を使用して１つまたは複数の金融サービスプロバイダにおいて維持される複数の金銭口座を監視するための方法であって、
特定の日付時点の複数のユーザ口座の残高を表すキャッシュされた口座残高を前記モバイル装置に保存するステップと、
モバイル金銭取引システム（ＭＦＴＳ）から更新された口座残高情報を無線で受け取るステップであって、前記ＭＦＴＳが、前記ユーザが１つまたは複数の口座を保持する１つまたは複数の金融サービスプロバイダと電子通信のために結合され、更新された口座残高情報を取得するように動作する、ステップと、
前記複数のユーザ口座に対応する更新された口座残高情報を前記モバイル装置を介して前記ユーザに表示するステップと、
を備える方法。
【請求項１０６３】
前記モバイル装置上の前記キャッシュされた口座残高情報へのアクセスについてユーザを認証するために、前記ユーザのモバイル装置上でユーザ認証機能を提供するステップと、
前記モバイル装置におけるユーザ認証に応答して、ユーザログインおよび無線通信のための接続を示すユーザ識別子を前記ＭＦＴＳに提供するステップと、
をさらに備える、請求項１０６２に記載の方法。
【請求項１０６４】
前記ＭＦＴＳが、前記ＭＦＴＳにおける前記ユーザ識別子の受け取りに応答して、更新された口座残高情報を要求するために、前記１つまたは複数の金融サービスプロバイダに対する通信を開始し、
それによって、ユーザ活動化およびログイン時に、前記複数の金銭口座についての更新された口座残高情報が、自動的に取得され、前記ユーザのモバイル装置にリアルタイムに提供される、請求項１０６３に記載の方法。
【請求項１０６５】
前記金融サービスプロバイダが、銀行、クレジットカード会社、デビットカード会社、価値保存カード提供者、信用組合、支払サービス会社、金融サービスプロバイダのうちの１つまたは複数を含む、請求項１０６２に記載の方法。
【請求項１０６６】
前記ユーザのモバイル装置において表示される口座情報が、要約口座情報を備える、請求項１０６２に記載の方法。
【請求項１０６７】
前記口座情報が、支払元情報を備える、請求項１０６２に記載の方法。
【請求項１０６８】
ユーザのモバイル装置が前記ＭＦＴＳと無線通信のために接続されている、および／または認証されていると判定されたときに、モバイル装置から前記ＭＦＴＳに装置接続信号を提供するステップをさらに備え、
前記ＭＦＴＳが、前記装置接続信号の受け取りに応答して、前記ユーザの１つまたは複数の口座についての更新された口座残高情報を取得するために、金融サービスプロバイダとの前記通信を開始する、
請求項１０６２に記載の方法。
【請求項１０６９】
前記ユーザに対応するユーザ識別子を前記ＭＦＴＳに提供するステップをさらに備え、
それによって、前記ユーザ識別子に応答して、前記ＭＦＴＳが、前記ユーザに関連づけられた金融サービスプロバイダに対応する少なくとも１つの金融サービスプロバイダ識別子を決定し、
前記金融サービスプロバイダ識別子に対応する前記金融サービスプロバイダにおける口座情報にアクセスするために必要とされる認証情報を決定し、
認証情報を前記金融サービスプロバイダに提供し、
前記少なくとも１つの金融サービスプロバイダによって維持される少なくとも１つの口座から更新された口座残高情報を受け取る、
請求項１０６２に記載の方法。
【請求項１０７０】
前記ユーザ識別子が、複数の金融サービスプロバイダを決定し、複数の異なる金融サービスプロバイダにおける複数の異なる口座に対応する更新された口座残高を受け取るために使用される、請求項１０６９に記載の方法。
【請求項１０７１】
前記ユーザ識別子が、モバイル電話番号、ＭＩＮ、コード、名前のうちの１つを含む、請求項１０７０に記載の方法。
【請求項１０７２】
前記モバイル装置に保存された、前記複数のユーザ口座の各々についての前記キャッシュされた口座残高が、口座識別子と関連づけて保存される、請求項１０６２に記載の方法。
【請求項１０７３】
前記口座識別子が、口座ニックネームである、請求項１０７２に記載の方法。
【請求項１０７４】
前記口座識別子が、符号化された識別子である、請求項１０７２に記載の方法。
【請求項１０７５】
前記口座に関する情報にアクセスし、および／または前記口座に関する取引を実行するために、前記口座識別子も、各口座に関連づけられた金融サービスプロバイダによって必要とされる認証情報と関連づけて前記ＭＦＴＳに保存される、請求項１０７２に記載の方法。
【請求項１０７６】
前記口座識別子を前記モバイル装置から前記ＭＦＴＳに提供するステップであって、それによって、前記ＭＦＴＳが、前記口座識別子の受け取りに応答して、前記口座に関する情報にアクセスし、および／または前記口座に関する取引を実行するために、各口座に関連づけられた金融サービスプロバイダによって必要とされる事前保存された認証情報を取り出すように動作する、ステップと、
更新された口座残高情報を取得するために必要とされる他の情報と一緒に前記認証情報を前記金融サービスプロバイダに提供するステップと、
前記金融サービスプロバイダからの前記更新された口座残高情報の受け取りに応答して、前記更新された口座残高情報を前記識別子と関連づけて前記モバイル装置に提供するステップと、
をさらに備える、請求項１０７２に記載の方法。
【請求項１０７７】
前記識別子が、口座ニックネームを含み、複数のユーザ口座に対応する情報を前記モバイル装置を介して前記ユーザに表示する前記ステップが、各口座についての前記口座ニックネームを口座残高情報に関連づけて表示するステップを備える、請求項１０７２に記載の方法。
【請求項１０７８】
口座残高情報を前記モバイル装置を介して表示する前記ステップが、口座ニックネームを前記複数の口座の各々についての口座残高情報に関連づけて表示するステップを備える、請求項１０６２に記載の方法。
【請求項１０７９】
口座残高情報を前記モバイル装置を介して表示する前記ステップが、「現在」日付を前記口座残高情報に関連づけて表示するステップを備える、請求項１０６２に記載の方法。
【請求項１０８０】
複数の金銭口座が、複数の異なる金融サービスプロバイダにおいて維持され、各々が、独自の口座残高情報提供システムを有し、前記ユーザのモバイル装置における前記ユーザによる単一アクションに応答して、前記複数の異なる金融サービスプロバイダの各々から更新された口座残高情報を取得することを含む、請求項１０６２に記載の方法。
【請求項１０８１】
特定の日付時点の前記少なくとも１つの口座の前記残高を表すキャッシュされた口座残高を前記モバイル装置に保存するステップと、
更新された口座残高情報を前記ユーザモバイル装置において前記ＭＦＴＳから受け取るステップと、
前記ＭＦＴＳからの更新された口座残高情報の受け取りに応答して、前記口座に対応する更新された口座残高情報を前記モバイル装置を介して前記ユーザに表示するステップと、
をさらに備える、請求項１０６２に記載の方法。
【請求項１０８２】
無線通信を介して１つまたは複数の金融サービスプロバイダにおいて維持される複数の金銭口座を監視するように動作するモバイル装置であって、
モバイル通信サービスプロバイダを介してモバイル金銭取引システム（ＭＦＴＳ）に無線通信のために接続されるユーザモバイル装置であって、ディスプレイと、ユーザ入力手段と、プロセッサと、メモリとを含むモバイル装置と、
前記モバイル装置プロセッサ上で動作するモバイル装置ソフトウェアであって、
特定の日付時点の複数のユーザ口座の残高を表すキャッシュされた口座残高を保存するコンピュータ実施ステップと、
更新された口座残高情報をモバイル金銭取引システム（ＭＦＴＳ）から無線で受け取るステップであって、前記ＭＦＴＳが、ユーザが１つまたは複数の口座を保持する１つまたは複数の金融サービスプロバイダと電子通信のために結合され、更新された口座残高情報を取得するように動作する、コンピュータ実施ステップと、
前記複数のユーザ口座に対応する更新された口座残高情報を前記モバイル装置を介して前記ユーザに表示するコンピュータ実施ステップと、
を実行するためのプログラムコードを備えるモバイル装置ソフトウェアと、
を備えるモバイル装置。
【請求項１０８３】
前記モバイル装置ソフトウェアが、
前記モバイル装置上の前記キャッシュされた口座残高情報へのアクセスについてユーザを認証するために、前記ユーザのモバイル装置においてユーザ認証機能を提供し、
前記モバイル装置におけるユーザ認証に応答して、ユーザログインおよび無線通信のための接続を示すユーザ識別子を前記ＭＦＴＳに提供する、
ようにさらに動作する、請求項１０８２に記載の装置。
【請求項１０８４】
前記ＭＦＴＳが、前記ＭＦＴＳにおける前記ユーザ識別子の受け取りに応答して、更新された口座残高情報を要求するために、前記１つまたは複数の金融サービスプロバイダに対する通信を開始し、
それによって、ユーザ活動化およびログイン時に、前記複数の金銭口座についての更新された口座残高情報が、自動的に取得され、前記ユーザのモバイル装置にリアルタイムに提供される、請求項１０８３に記載の装置。
【請求項１０８５】
前記金融サービスプロバイダが、銀行、クレジットカード会社、デビットカード会社、価値保存カード提供者、信用組合、支払サービス会社、金融サービスプロバイダのうちの１つまたは複数を含む、請求項１０８２に記載の装置。
【請求項１０８６】
前記ユーザのモバイル装置において表示される口座情報が、要約口座情報を備える、請求項１０８２に記載の装置。
【請求項１０８７】
前記口座情報が、支払元情報を備える、請求項１０８２に記載の装置。
【請求項１０８８】
前記モバイル装置ソフトウェアが、ユーザのモバイル装置が前記ＭＦＴＳと無線通信のために接続されている、および／または認証されていると判定されたときに、前記モバイル装置から前記ＭＦＴＳに装置接続信号を提供するようにさらに動作し、
前記ＭＦＴＳが、前記装置接続信号の受け取りに応答して、前記ユーザの１つまたは複数の口座についての更新された口座残高情報を取得するために、金融サービスプロバイダとの前記通信を開始する、
請求項１０８２に記載の装置。
【請求項１０８９】
前記モバイル装置ソフトウェアが、前記ユーザに対応するユーザ識別子を前記ＭＦＴＳに提供するようにさらに動作し、
それによって、前記ユーザ識別子に応答して、前記ＭＦＴＳが、前記ユーザに関連づけられた金融サービスプロバイダに対応する少なくとも１つの金融サービスプロバイダ識別子を決定し、
前記金融サービスプロバイダ識別子に対応する前記金融サービスプロバイダにおける口座情報にアクセスするために必要とされる認証情報を決定し、
認証情報を前記金融サービスプロバイダに提供し、
前記少なくとも１つの金融サービスプロバイダによって維持される少なくとも１つの口座から更新された口座残高情報を受け取る、
請求項１０８２に記載の装置。
【請求項１０９０】
前記ユーザ識別子が、複数の金融サービスプロバイダを決定し、複数の異なる金融サービスプロバイダにおける複数の異なる口座に対応する更新された口座残高を受け取るために使用される、請求項１０８９に記載の装置。
【請求項１０９１】
前記ユーザ識別子が、モバイル電話番号、ＭＩＮ、コード、名前のうちの１つを含む、請求項１０８９に記載の装置。
【請求項１０９２】
前記モバイル装置に保存された、前記複数のユーザ口座の各々についての前記キャッシュされた口座残高が、口座識別子と関連づけて保存される、請求項１０８２に記載の装置。
【請求項１０９３】
前記口座識別子が、口座ニックネームである、請求項１０９２に記載の装置。
【請求項１０９４】
前記口座識別子が、符号化された識別子である、請求項１０９２に記載の装置。
【請求項１０９５】
前記口座に関する情報にアクセスし、および／または前記口座に関する取引を実行するために、前記口座識別子も、各口座に関連づけられた金融サービスプロバイダによって必要とされる認証情報と関連づけて前記ＭＦＴＳに保存される、請求項１０９２に記載の装置。
【請求項１０９６】
前記モバイル装置ソフトウェアが、
前記口座識別子を前記モバイル装置から前記ＭＦＴＳに提供するようにさらに動作し、それによって、前記ＭＦＴＳが、前記口座識別子の受け取りに応答して、前記口座に関する情報にアクセスし、および／または前記口座に関する取引を実行するために、各口座に関連づけられた金融サービスプロバイダによって必要とされる事前保存された認証情報を取り出すように動作し、また前記モバイル装置ソフトウェアが、
更新された口座残高情報を取得するために必要とされる他の情報と一緒に前記認証情報を前記金融サービスプロバイダに提供し、
前記金融サービスプロバイダからの前記更新された口座残高情報の受け取りに応答して、前記更新された口座残高情報を前記識別子と関連づけて前記モバイル装置に提供する、
ようにさらに動作する、請求項１０９２に記載の装置。
【請求項１０９７】
前記識別子が、口座ニックネームを含み、複数のユーザ口座に対応する情報を前記モバイル装置を介して前記ユーザに表示する動作が、各口座についての前記口座ニックネームを口座残高情報に関連づけて表示する動作を備える、請求項１０９２に記載の装置。
【請求項１０９８】
口座残高情報を前記モバイル装置を介して表示する動作が、口座ニックネームを前記複数の口座の各々についての口座残高情報に関連づけて表示する動作を備える、請求項１０８２に記載の装置。
【請求項１０９９】
口座残高情報を前記モバイル装置を介して表示する動作が、「現在」日付を前記口座残高情報に関連づけて表示する動作を備える、請求項１０８２に記載の装置。
【請求項１１００】
複数の金銭口座が、複数の異なる金融サービスプロバイダにおいて維持され、各々が、独自の口座残高情報提供システムを有し、前記装置が、前記ユーザのモバイル装置における前記ユーザによる単一アクションに応答して、前記複数の異なる金融サービスプロバイダの各々から更新された口座残高情報を取得する、請求項１０８２に記載の装置。
【請求項１１０１】
前記ユーザモバイル装置が、特定の日付時点の前記少なくとも１つの口座の前記残高を表すキャッシュされた口座残高を前記モバイル装置に保存し、
前記モバイル装置が、前記口座についての更新された口座残高情報を受け取り、
更新された口座残高情報の受け取りに応答して、前記モバイル装置が、前記口座に対応する更新された口座残高情報を前記ユーザに表示する、
請求項１０８２に記載の装置。
【請求項１１０２】
１つまたは複数の金融サービスプロバイダに複数の金銭口座を保持するモバイル装置ユーザに口座残高情報を提供するための方法であって、モバイル装置が、無線ネットワークと通信のために接続され、１つまたは複数の金融サービスプロバイダにおける１つまたは複数の口座についてのキャッシュされた口座残高を含み、
モバイル通信サービスプロバイダ（ＭＣＳＰ）を使用してユーザのモバイル装置と無線通信のために結合されるモバイル金銭取引システム（ＭＦＴＳ）を提供するステップであって、前記ＭＦＴＳが、前記ユーザが１つまたは複数の口座を保持する１つまたは複数の金融サービスプロバイダと電子通信のために結合され、前記ＭＦＴＳが、ユーザ情報、および少なくとも１つの金融サービスプロバイダに関連づけられた複数の口座に関連づけられた金銭口座情報を保存するためのモバイル金銭取引システム（ＭＦＴＳ）データベースを含む、ステップと、
前記ユーザの少なくとも１つの口座についての更新された口座残高情報を取得するために少なくとも１つの金融サービスプロバイダと通信するステップと、
更新された口座残高情報をユーザのモバイル装置に無線で伝達するステップと、を備え、
それによって、前記ＭＦＴＳからの更新された口座残高情報の受け取りに応答して、前記ユーザのモバイル装置が、複数のユーザ口座に対応する更新された口座残高情報を前記ユーザに表示する、方法。
【請求項１１０３】
前記ユーザモバイル装置が、前記モバイル装置上のキャッシュされた口座残高情報へのアクセスについてユーザを認証するために、ユーザ認証機能を含み、前記モバイル装置におけるユーザ認証に応答して、ユーザログインおよび無線通信のための接続を示すユーザ識別子を前記ＭＦＴＳに提供し、
前記ユーザ識別子の受け取りに応答して、更新された口座残高情報を要求するために、前記１つまたは複数の金融サービスプロバイダに対する通信を開始するステップを備え、
それによって、ユーザ活動化およびログイン時に、前記複数の金銭口座についての更新された口座残高情報が、自動的に取得され、前記ユーザのモバイル装置にリアルタイムに提供される、請求項１１０２に記載の方法。
【請求項１１０４】
前記金融サービスプロバイダが、銀行、クレジットカード会社、デビットカード会社、価値保存カード提供者、信用組合、支払サービス会社、金融サービスプロバイダのうちの１つまたは複数を含む、請求項１１０２に記載の方法。
【請求項１１０５】
前記ユーザのモバイル装置において表示される前記口座情報が、要約口座情報を備える、請求項１１０２に記載の方法。
【請求項１１０６】
前記口座情報が、支払元情報を備える、請求項１１０２に記載の方法。
【請求項１１０７】
前記モバイル装置が、ユーザのモバイル装置が前記ＭＦＴＳと無線通信のために接続されている、および／または認証されていると判定されたときに、前記ＭＦＴＳに装置接続信号を提供し、
前記装置接続信号の受け取りに応答して、前記ユーザの１つまたは複数の口座についての更新された口座残高情報を取得するために、金融サービスプロバイダとの前記通信を開始するステップをさらに備える、
請求項１１０２に記載の方法。
【請求項１１０８】
前記金融サービスプロバイダと通信する前記ステップが、
前記ユーザに対応するユーザ識別子を前記ＭＦＴＳにおいて前記モバイル装置から受け取るステップと、
前記ユーザ識別子に応答して、前記ユーザに関連づけられた金融サービスプロバイダに対応する少なくとも１つの金融サービスプロバイダ識別子を決定するステップと、
前記金融サービスプロバイダ識別子に対応する前記金融サービスプロバイダにおける口座情報にアクセスするために必要とされる認証情報を決定するステップと、
認証情報を前記金融サービスプロバイダに提供するステップと、
前記少なくとも１つの金融サービスプロバイダによって維持される少なくとも１つの口座から更新された口座残高情報を受け取るステップと、
を含む、請求項１１０２に記載の方法。
【請求項１１０９】
前記ユーザ識別子が、複数の金融サービスプロバイダを決定し、複数の異なる金融サービスプロバイダにおける複数の異なる口座に対応する更新された口座残高を受け取るために使用される、請求項１１０８に記載の方法。
【請求項１１１０】
前記ユーザ識別子が、モバイル電話番号、ＭＩＮ、コード、名前のうちの１つを含む、請求項１１０８に記載の方法。
【請求項１１１１】
更新された口座情報をユーザのモバイル装置に無線で伝達する前記ステップが、前記更新された口座情報を前記ＭＦＴＳにおいて少なくとも１つの金融サービスプロバイダから受け取るステップと、前記更新された口座情報を前記ユーザのモバイル装置にパススルー動作で転送するステップと、を備える、請求項１１０２に記載の方法。
【請求項１１１２】
金融サービスプロバイダと通信する前記ステップが、前記金融サービスプロバイダと所定の時間間隔で定期的に通信するステップを備える、請求項１１０２に記載の方法。
【請求項１１１３】
金融サービスプロバイダと通信する前記ステップが、前記金融サービスプロバイダによって開始されるプッシュ型通信を備える、請求項１１０２に記載の方法。
【請求項１１１４】
特定の日付時点の前記複数のユーザ口座の残高を表すキャッシュされた口座残高を前記ＭＦＴＳ内のデータベースに保存するステップをさらに備える、請求項１１０２に記載の方法。
【請求項１１１５】
前記モバイル装置に保存された、前記複数のユーザ口座の各々についての前記キャッシュされた口座残高が、口座識別子と関連づけて保存される、請求項１１０２に記載の方法。
【請求項１１１６】
前記口座識別子が、口座ニックネームである、請求項１１１５に記載の方法。
【請求項１１１７】
前記口座識別子が、符号化された識別子である、請求項１１１５に記載の方法。
【請求項１１１８】
前記口座に関する情報にアクセスし、および／または前記口座に関する取引を実行するために、前記口座識別子も、各口座に関連づけられた金融サービスプロバイダによって必要とされる認証情報と関連づけて前記ＭＦＴＳに保存される、請求項１１１５に記載の方法。
【請求項１１１９】
前記モバイル装置が、前記口座識別子を前記モバイル装置から前記ＭＦＴＳに提供し、
前記口座に関する情報にアクセスし、および／または前記口座に関する取引を実行するために、各口座に関連づけられた金融サービスプロバイダによって必要とされる事前保存された認証情報を取り出すステップと、
更新された口座残高情報を取得するために必要とされる他の情報と一緒に前記認証情報を前記金融サービスプロバイダに提供するステップと、
前記金融サービスプロバイダからの前記更新された口座残高情報の受け取りに応答して、前記更新された口座残高情報を前記識別子と関連づけて前記モバイル装置に提供するステップと、
をさらに備える、請求項１１１５に記載の方法。
【請求項１１２０】
前記識別子が、口座ニックネームを含み、前記複数のユーザ口座に対応する情報を前記モバイル装置を介して前記ユーザに表示するステップが、各口座についての前記口座ニックネームを口座残高情報に関連づけて表示するステップを備える、請求項１１１５に記載の方法。
【請求項１１２１】
複数の金銭口座が、複数の異なる金融サービスプロバイダにおいて維持され、各々が、独自の口座残高情報提供システムを有し、前記ユーザのモバイル装置における前記ユーザによる単一アクションに応答して、前記複数の異なる金融サービスプロバイダの各々から更新された口座残高情報を取得することを含む、請求項１１０２に記載の方法。
【請求項１１２２】
特定の日付時点の前記少なくとも１つの口座の前記残高を表すキャッシュされた口座残高を前記モバイル装置に保存するステップと、
更新された口座残高情報を前記ユーザモバイル装置において前記ＭＦＴＳから受け取るステップと、
前記ＭＦＴＳからの更新された口座残高情報の受け取りに応答して、前記口座に対応する更新された口座残高情報を前記モバイル装置を介して前記ユーザに表示するステップと、
をさらに備える、請求項１１０２に記載の方法。
【請求項１１２３】
１つまたは複数の金融サービスプロバイダに複数の金銭口座を保持するモバイル装置ユーザに口座残高情報を提供するためのシステムであって、モバイル装置が、無線ネットワークと通信のために接続され、１つまたは複数の金融サービスプロバイダにおける１つまたは複数の口座についてのキャッシュされた口座残高を含み、前記システムが、
モバイル通信サービスプロバイダ（ＭＣＳＰ）を使用してユーザの１つまたは複数のモバイル装置と無線通信のために結合されるモバイル金銭取引システム（ＭＦＴＳ）であって、ユーザが１つまたは複数の金銭口座を保持する１つまたは複数の金融サービスプロバイダと電子通信のために結合され、ユーザ情報を保存するためのモバイル金銭取引システム（ＭＦＴＳ）データベースを含み、
前記ユーザの少なくとも１つの口座についての更新された口座残高情報を取得するために少なくとも１つの金融サービスプロバイダと通信するコンピュータ実施ステップと、
更新された口座残高情報をユーザのモバイル装置に無線で伝達するコンピュータ実施ステップと、
を実行するためのプログラムコードを備えるＭＦＴＳソフトウェアを含む、モバイル金銭取引システム（ＭＦＴＳ）を備え、
それによって、前記ＭＦＴＳからの更新された口座残高情報の受け取りに応答して、前記ユーザのモバイル装置が、複数のユーザ口座に対応する更新された口座残高情報を前記ユーザに表示する、システム。
【請求項１１２４】
前記ユーザモバイル装置が、前記モバイル装置上のキャッシュされた口座残高情報へのアクセスについてユーザを認証するために、ユーザ認証機能を含み、前記モバイル装置におけるユーザ認証に応答して、ユーザログインおよび無線通信のための接続を示すユーザ識別子を前記ＭＦＴＳに提供し、
前記ＭＦＴＳソフトウェアが、前記ユーザ識別子の受け取りに応答して、更新された口座残高情報を要求するために、前記１つまたは複数の金融サービスプロバイダに対する通信を開始するようにさらに動作し、
それによって、ユーザ活動化およびログイン時に、前記複数の金銭口座についての更新された口座残高情報が、自動的に取得され、前記ユーザのモバイル装置にリアルタイムに提供される、請求項１１２３に記載のシステム。
【請求項１１２５】
前記金融サービスプロバイダが、銀行、クレジットカード会社、デビットカード会社、価値保存カード提供者、信用組合、支払サービス会社、金融サービスプロバイダのうちの１つまたは複数を含む、請求項１１２３に記載のシステム。
【請求項１１２６】
前記ユーザのモバイル装置において表示される前記口座情報が、要約口座情報を備える、請求項１１２３に記載のシステム。
【請求項１１２７】
前記口座情報が、支払元情報を備える、要約口座情報を備える、請求項１１２３に記載のシステム。
【請求項１１２８】
前記モバイル装置が、ユーザのモバイル装置が前記ＭＦＴＳと無線通信のために接続されている、および／または認証されていると判定されたときに、前記ＭＦＴＳに装置接続信号を提供し、
前記ＭＦＴＳソフトウェアが、前記装置接続信号の受け取りに応答して、前記ユーザの１つまたは複数の口座についての更新された口座残高情報を取得するために、金融サービスプロバイダとの前記通信を開始するようにさらに動作する、請求項１１２３に記載のシステム。
【請求項１１２９】
前記金融サービスプロバイダと通信する動作が、
前記ユーザに対応するユーザ識別子を前記ＭＦＴＳにおいて前記モバイル装置から受け取るステップと、
前記ユーザ識別子に応答して、前記ユーザに関連づけられた金融サービスプロバイダに対応する少なくとも１つの金融サービスプロバイダ識別子を決定するステップと、
前記金融サービスプロバイダ識別子に対応する前記金融サービスプロバイダにおける口座情報にアクセスするために必要とされる認証情報を決定するステップと、
認証情報を前記金融サービスプロバイダに提供するステップと、
前記少なくとも１つの金融サービスプロバイダによって維持される少なくとも１つの口座から更新された口座残高情報を受け取るステップと、
を含む、請求項１１２３に記載のシステム。
【請求項１１３０】
前記ユーザ識別子が、複数の金融サービスプロバイダを決定し、複数の異なる金融サービスプロバイダにおける複数の異なる口座に対応する更新された口座残高を受け取るために使用される、請求項１１２９に記載のシステム。
【請求項１１３１】
前記ユーザ識別子が、モバイル電話番号、ＭＩＮ、コード、名前のうちの１つを含む、請求項１１２９に記載のシステム。
【請求項１１３２】
更新された口座情報をユーザのモバイル装置に無線で伝達する動作が、前記更新された口座情報を前記ＭＦＴＳにおいて少なくとも１つの金融サービスプロバイダから受け取る動作と、前記更新された口座情報を前記ユーザのモバイル装置にパススルー動作で転送する動作と、を備える、請求項１１２３に記載のシステム。
【請求項１１３３】
金融サービスプロバイダと通信する動作が、前記金融サービスプロバイダと所定の時間間隔で定期的に通信する動作を備える、請求項１１２３に記載のシステム。
【請求項１１３４】
金融サービスプロバイダと通信する動作が、前記金融サービスプロバイダによって開始されるプッシュ型通信を備える、請求項１１２３に記載のシステム。
【請求項１１３５】
前記ＭＦＴＳソフトウェアが、特定の日付時点の前記複数のユーザ口座の残高を表すキャッシュされた口座残高を前記ＭＦＴＳ内のデータベースに保存するようにさらに動作する、請求項１１２３に記載のシステム。
【請求項１１３６】
前記モバイル装置に保存された、前記複数のユーザ口座の各々についての前記キャッシュされた口座残高が、口座識別子と関連づけて保存される、請求項１１２３に記載のシステム。
【請求項１１３７】
前記口座識別子が、口座ニックネームである、請求項１１３６に記載のシステム。
【請求項１１３８】
前記口座識別子が、符号化された識別子である、請求項１１３６に記載のシステム。
【請求項１１３９】
前記口座に関する情報にアクセスし、および／または前記口座に関する取引を実行するために、前記口座識別子も、各口座に関連づけられた金融サービスプロバイダによって必要とされる認証情報と関連づけて前記ＭＦＴＳに保存される、請求項１１３６に記載のシステム。
【請求項１１４０】
前記モバイル装置が、前記口座識別子を前記モバイル装置から前記ＭＦＴＳに提供し、前記ＭＦＴＳソフトウェアが、
前記口座に関する情報にアクセスし、および／または前記口座に関する取引を実行するために、各口座に関連づけられた金融サービスプロバイダによって必要とされる事前保存された認証情報を取り出し、
更新された口座残高情報を取得するために必要とされる他の情報と一緒に前記認証情報を前記金融サービスプロバイダに提供し、
前記金融サービスプロバイダからの前記更新された口座残高情報の受け取りに応答して、前記更新された口座残高情報を前記識別子と関連づけて前記モバイル装置に提供する、
ようにさらに動作する、請求項１１３６に記載のシステム。
【請求項１１４１】
前記識別子が、口座ニックネームを含み、前記複数のユーザ口座に対応する情報を前記モバイル装置を介して前記ユーザに表示するステップが、各口座についての前記口座ニックネームを口座残高情報に関連づけて表示するステップを備える、請求項１１３６に記載のシステム。
【請求項１１４２】
複数の金銭口座が、複数の異なる金融サービスプロバイダにおいて維持され、各々が、独自の口座残高情報提供システムを有し、前記方法が、前記ユーザのモバイル装置における前記ユーザによる単一アクションに応答して、前記複数の異なる金融サービスプロバイダの各々から更新された口座残高情報を取得することを含む、請求項１１２３に記載のシステム。
【請求項１１４３】
前記ユーザモバイル装置が、特定の日付時点の前記少なくとも１つの口座の前記残高を表すキャッシュされた口座残高を前記モバイル装置に保存し、
前記ユーザモバイル装置が、前記口座についての更新された口座残高情報を受け取り、
更新された口座残高情報の受け取りに応答して、前記ユーザモバイル装置が、前記口座に対応する更新された口座残高情報を前記ユーザに表示する、
請求項１１２３に記載のシステム。
【請求項１１４４】
（＊＊モバイル装置のためのモバイルウォレットの配布のための方法およびシステム＊＊）無線ネットワークと通信のために接続されたモバイル装置を使用する支払いの実行および受け取りの際に使用されるモバイル装置アプリケーションを配布するための方法であって、
コンパチブルなモバイル装置上にインストールされたときに、無線モバイル装置を介した支払いの実行および受け取りを円滑化するモバイル金銭取引システム（ＭＦＴＳ）と通信するように動作するダウンロード可能モバイル装置アプリケーションを提供するステップと、
前記ダウンロード可能モバイル装置アプリケーションを保存し、特定のタイプのモバイル装置に適したダウンロード手順に従って前記モバイル装置アプリケーションをモバイル装置にダウンロードするためのダウンロードシステムを提供するステップと、
支払人からモバイル装置ユーザに対して実行される支払いについての情報、および前記ダウンロード可能モバイル装置アプリケーションに関する情報を含むメッセージをモバイル装置ユーザに伝達するステップと、
前記モバイル装置アプリケーションを前記ユーザのモバイル装置にダウンロードおよびインストールし、登録情報（enrollment information）を提供するための、モバイル装置ユーザによるアクションに応答して、ユーザ／被支払人としての前記モバイル装置ユーザに前記支払いを提供するために、前記ＭＦＴＳと前記モバイル装置ユーザの間の対話を可能にするステップと、
を備える方法。
【請求項１１４５】
前記ＭＦＴＳが、支払いを支給するために指定される少なくとも１つの金融サービスプロバイダと電子通信のために結合される、請求項１１４４に記載の方法。
【請求項１１４６】
前記ＭＦＴＳが、ユーザ情報、支払実行情報、および支払元情報を保存するためのモバイル金銭取引システム（ＭＦＴＳ）データベースを含む、請求項１１４４に記載の方法。
【請求項１１４７】
前記ユーザ／被支払人に対して実行される支払いに対応する支払実行情報を前記ＭＦＴＳにおいて支払人から受け取るステップと、
前記ユーザ／被支払人に対して実行される前記支払いに対応する情報を含む支払受取メッセージを前記ＭＦＴＳにおいて生成するステップと、
前記支払受取メッセージを前記ＭＦＴＳから前記ユーザ／被支払人のモバイル装置に無線で伝達するステップと、
前記支払受取メッセージに対応する情報を前記ユーザ／被支払人のモバイル装置において表示するステップであって、前記表示情報が、前記ダウンロード可能モバイル装置アプリケーションに関する情報を含む、ステップと、
前記モバイル装置アプリケーションを前記ユーザ／被支払人のモバイル装置にダウンロードおよびインストールし、登録情報を提供するための、前記ユーザ／被支払人によるアクションに応答して、第２の支払受取メッセージを前記ＭＦＴＳから前記ユーザ／被支払人のモバイル装置に無線で伝達するステップと、
前記第２の支払受取メッセージに対応する情報を前記ユーザ／被支払人のモバイル装置において表示するステップであって、前記表示情報が、前記支払いについての情報、および前記支払いを受け取るための支払方法についての情報を備える、ステップと、
前記ユーザ／被支払人のモバイル装置において、前記支払いを受け取るための支払方法に関するユーザ入力を受け取るステップと、
前記ユーザ／被支払人のモバイル装置において、前記ユーザ入力に応答して、前記支払方法に対応する情報を備える支払命令を生成するステップと、
前記支払命令を前記ユーザ／被支払人のモバイル装置から前記ＭＦＴＳに無線で伝達するステップと、
前記ＭＦＴＳにおいて、前記支払いを実行するための支払命令受領者に対するＭＦＴＳ支払命令を生成するステップであって、前記ＭＦＴＳ支払命令が、金額および前記ユーザ／被支払人に対応する識別情報を少なくとも含む、ステップと、
前記ＭＦＴＳ支払命令を前記ＭＦＴＳから前記支払命令受領者に伝達するステップと、
前記支払命令受領者において、前記ＭＦＴＳ支払命令の受け取りに応答して、前記支払方法に従って前記ユーザ／被支払人に対する支払いを実行するステップと、
を備える、請求項１１４４に記載の方法。
【請求項１１４８】
前記支払命令受領者が、前記支払人が１つまたは複数の口座を保持する金融サービスプロバイダである、請求項１１４７に記載の方法。
【請求項１１４９】
前記支払命令受領者が、前記支払いのための資金を所有する、前記ＭＦＴＳに関連づけられた金融サービスプロバイダである、請求項１１４７に記載の方法。
【請求項１１５０】
前記ユーザ／被支払人に対する前記支払いを実行するために利用される識別情報が、前記ＭＦＴＳに提供される、請求項１１４７に記載の方法。
【請求項１１５１】
前記識別情報が、前記支払人のモバイル装置上の前記モバイル装置アプリケーションを利用して、支払人によって前記ＭＦＴＳに提供される、請求項１１５０に記載の方法。
【請求項１１５２】
前記識別情報が、ウェブアプリケーションを利用して、支払人によって前記ＭＦＴＳに提供される、請求項１１５０に記載の方法。
【請求項１１５３】
付加的な識別情報が、前記ユーザ／被支払人の前記モバイル装置上の前記モバイル装置アプリケーションを利用して、前記ユーザ／被支払人によって提供される、請求項１１５０に記載の方法。
【請求項１１５４】
前記識別情報が、名前およびメーリングアドレス、価値保存（ＳＶ）カード口座、ＡＣＨ口座からなる群から選択される、前記ユーザ／被支払人についての情報を備える、請求項１１５０に記載の方法。
【請求項１１５５】
前記識別情報が、選択された支払方法に対応する情報を備え、前記情報が、デフォルト支払情報として前記ユーザ／被支払人に表示される、請求項１１５０に記載の方法。
【請求項１１５６】
前記ユーザ／被支払人が、前記デフォルト支払情報を確認するよう促される、請求項１１５５に記載の方法。
【請求項１１５７】
前記識別情報が、メーリングアドレスを備え、前記ユーザ／被支払人が、デフォルトメーリングアドレスとして前記メーリングアドレスを確認するよう促される、請求項１１５６に記載の方法。
【請求項１１５８】
前記識別情報が、価値保存（ＳＶ）カード口座を備え、前記ユーザ／被支払人が、支払いを受け取るためのデフォルト方法として前記ＳＶカード口座を確認するよう促される、請求項１１５６に記載の方法。
【請求項１１５９】
前記識別情報が、前記支払いを受け取るための前記ユーザ／被支払人のＡＣＨ口座を識別する情報を備え、前記ユーザ／被支払人が、支払いを受け取るためのデフォルト方法として前記口座を確認するよう促される、請求項１１５６に記載の方法。
【請求項１１６０】
前記支払実行情報が、金額、支払元、および前記ユーザ／被支払人のモバイル装置を識別する情報を少なくとも識別する、請求項１１４７に記載の方法。
【請求項１１６１】
前記第２の支払受取メッセージ内の支払方法に関する前記情報が、前記支払いを受け取るための１つまたは複数の選択可能な方法についての情報を備える、請求項１１４７に記載の方法。
【請求項１１６２】
支払方法に関する前記ユーザ入力が、前記支払いを受け取るための支払方法の選択を備え、前記支払命令が、前記選択された支払方法に関する情報を含む、請求項１１６１に記載の方法。
【請求項１１６３】
前記ユーザ／被支払人に対する前記支払いを実行する際の所定の段階の完了に応答して、前記支払命令受領者から前記ＭＦＴＳへの支払確認メッセージを受け取るステップをさらに備える、請求項１１４７に記載の方法。
【請求項１１６４】
前記支払命令受領者からの前記支払確認メッセージの受け取りに応答して、支払確認メッセージを前記ユーザ／被支払人のモバイル装置に伝達するステップをさらに備える、請求項１１６３に記載の方法。
【請求項１１６５】
前記メッセージが、前記モバイル装置ユーザのモバイル装置に伝送されるテキストメッセージを備える、請求項１１４４に記載の方法。
【請求項１１６６】
前記ユーザ／被支払人によって提供される前記登録情報が、前記支払いを受け取るための前記ユーザ／被支払人の口座を識別する情報を含む、請求項１１４４に記載の方法。
【請求項１１６７】
前記ユーザ／被支払人の前記口座が、ＡＣＨ口座を備える、請求項１１６６に記載の方法。
【請求項１１６８】
前記ユーザ／被支払人の前記口座が、価値保存（ＳＶ）カード口座を備える、請求項１１６６に記載の方法。
【請求項１１６９】
前記ユーザ／被支払人に表示される前記ダウンロード可能モバイル装置アプリケーションに関する前記情報が、前記モバイル装置アプリケーションをダウンロードおよびインストールするよう前記ユーザ／被支払人に命令するメッセージを備える、請求項１１４４に記載の方法。
【請求項１１７０】
前記ダウンロード可能モバイル装置アプリケーションが、モバイルウォレットアプリケーションを備える、請求項１１４４に記載の方法。
【請求項１１７１】
前記モバイルウォレットアプリケーションが、前記ＭＦＴＳを利用して支払いを実行するための機能および支払いを受け取るための機能を前記ユーザ／被支払人に提供する、請求項１１７０に記載の方法。
【請求項１１７２】
前記ユーザ／被支払人が次に支払人となって、別の人をユーザ／被支払人とする支払いを実行するための前記モバイルウォレットアプリケーションの使用が、モバイル装置を有する他の人への前記モバイルウォレットアプリケーションのバイラルスプレッド（viral spreading）を容易にする、請求項１１７１に記載の方法。
【請求項１１７３】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１１７０に記載の方法。
【請求項１１７４】
前記ＭＦＴＳが、インターネットなどのデータ通信ネットワークを介してユーザのコンピュータと電子通信のために結合され、
前記ＭＦＴＳに関連するウェブアプリケーションを提供するステップと、
金融サービスプロバイダ、金融サービスプロバイダにおける口座、支払方法、および／または被支払人に対応するユーザ情報を前記ウェブアプリケーションを介して受け取るステップと、
支払いの実行または受け取りに関して使用するため、前記ウェブアプリケーションを介して入力された前記ユーザ情報を前記ＭＦＴＳデータベースに保存するステップと、
をさらに備える、請求項１１４４に記載の方法。
【請求項１１７５】
無線ネットワークと通信のために接続されたモバイル装置を使用する支払いの実行および受け取りの際に使用されるモバイル装置アプリケーションを配布するためのシステムであって、
無線モバイル装置を介した支払いの実行および受け取りを円滑化するモバイル金銭取引システム（ＭＦＴＳ）であって、支払人からモバイル装置ユーザに対して実行される支払いについての情報、およびダウンロード可能モバイル装置アプリケーションに関する情報を含むメッセージをモバイル装置ユーザに伝達するように動作するモバイル金銭取引システム（ＭＦＴＳ）と、
コンパチブルなモバイル装置上にインストールされたときに支払いに関して前記ＭＦＴＳと通信するように動作するダウンロード可能モバイル装置アプリケーションのユーザダウンローディングを提供するためのサーバと、を備え、
前記ＭＦＴＳが、前記モバイル装置アプリケーションを前記ユーザのモバイル装置にダウンロードおよびインストールし、登録情報を提供するための、モバイル装置ユーザによるアクションに応答して、ユーザ／被支払人としての前記モバイル装置ユーザに前記支払いを提供するために、前記ＭＦＴＳと前記モバイル装置ユーザの間の対話を可能にする、システム。
【請求項１１７６】
前記ＭＦＴＳが、支払いを支給するために指定される少なくとも１つの金融サービスプロバイダと電子通信のために結合される、請求項１１７５に記載のシステム。
【請求項１１７７】
前記ＭＦＴＳが、ユーザ情報、支払実行情報、および支払元情報を保存するためのモバイル金銭取引システム（ＭＦＴＳ）データベースを含む、請求項１１７５に記載のシステム。
【請求項１１７８】
前記ＭＦＴＳが、
前記ユーザ／被支払人に対して実行される支払いに対応する支払実行情報を前記ＭＦＴＳにおいて支払人から受け取り、
前記ユーザ／被支払人に対して実行される前記支払いに対応する情報を含む支払受取メッセージを前記ＭＦＴＳにおいて生成し、
前記支払受取メッセージを前記ダウンロード可能モバイル装置アプリケーションに関する情報と関連づけて前記ＭＦＴＳから前記ユーザ／被支払人のモバイル装置に無線で伝達し、
前記モバイル装置アプリケーションを前記ユーザ／被支払人のモバイル装置にダウンロードおよびインストールし、登録情報を提供するための、前記ユーザ／被支払人によるアクションに応答して、第２の支払受取メッセージを前記ＭＦＴＳから前記ユーザ／被支払人のモバイル装置に無線で伝達する、ようにさらに動作し、
前記第２の支払受取メッセージが、前記支払いについての情報、および前記支払いを受け取るための支払方法についての情報を含み、また前記ＭＦＴＳが、
金額および前記ユーザ／被支払人に対応する識別情報を少なくとも含む、支払命令受領者に対するＭＦＴＳ支払命令を生成し、
前記ＭＦＴＳ支払命令を前記ＭＦＴＳから前記支払命令受領者に伝達し、
前記支払命令受領者において、前記ＭＦＴＳ支払命令の受け取りに応答して、前記支払方法に従って前記ユーザ／被支払人に対する支払いを達成する、
ようにさらに動作する、請求項１１７５に記載のシステム。
【請求項１１７９】
前記支払命令受領者が、前記支払人が１つまたは複数の口座を保持する金融サービスプロバイダである、請求項１１７８に記載のシステム。
【請求項１１８０】
前記支払命令受領者が、前記支払いのための資金を所有する、前記ＭＦＴＳに関連づけられた金融サービスプロバイダである、請求項１１７８に記載のシステム。
【請求項１１８１】
前記ユーザ／被支払人に対する前記支払いを実行するために利用される識別情報が、前記ＭＦＴＳに提供される、請求項１１７８に記載のシステム。
【請求項１１８２】
前記識別情報が、前記支払人のモバイル装置上の前記モバイル装置アプリケーションを利用して、支払人によって前記ＭＦＴＳに提供される、請求項１１８１に記載のシステム。
【請求項１１８３】
前記識別情報が、ウェブアプリケーションを利用して、支払人によって前記ＭＦＴＳに提供される、請求項１１８１に記載のシステム。
【請求項１１８４】
付加的な識別情報が、前記ユーザ／被支払人の前記モバイル装置上の前記モバイル装置アプリケーションを利用して、前記ユーザ／被支払人によって提供される、請求項１１８１に記載のシステム。
【請求項１１８５】
前記識別情報が、名前およびメーリングアドレス、価値保存（ＳＶ）カード口座、ＡＣＨ口座からなる群から選択される、前記ユーザ／被支払人についての情報を備える、請求項１１８１に記載のシステム。
【請求項１１８６】
前記識別情報が、選択された支払方法に対応する情報を備え、前記情報が、デフォルト支払情報として前記ユーザ／被支払人に表示される、請求項１１８１に記載のシステム。
【請求項１１８７】
前記ユーザ／被支払人が、前記デフォルト支払情報を確認するよう促される、請求項１１８６に記載のシステム。
【請求項１１８８】
前記識別情報が、メーリングアドレスを備え、前記ユーザ／被支払人が、デフォルトメーリングアドレスとして前記メーリングアドレスを確認するよう促される、請求項１１８７に記載のシステム。
【請求項１１８９】
前記識別情報が、価値保存（ＳＶ）カード口座を備え、前記ユーザ／被支払人が、支払いを受け取るためのデフォルト方法として前記ＳＶカード口座を確認するよう促される、請求項１１８７に記載のシステム。
【請求項１１９０】
前記識別情報が、前記支払いを受け取るための前記ユーザ／被支払人のＡＣＨ口座を識別する情報を備え、前記ユーザ／被支払人が、支払いを受け取るためのデフォルト方法として前記口座を確認するよう促される、請求項１１８７に記載のシステム。
【請求項１１９１】
前記支払実行情報が、金額、支払元、および前記ユーザ／被支払人のモバイル装置を識別する情報を少なくとも識別する、請求項１１７８に記載のシステム。
【請求項１１９２】
前記第２の支払受取メッセージ内の支払方法に関する前記情報が、前記支払いを受け取るための１つまたは複数の選択可能な方法についての情報を備える、請求項１１７８に記載のシステム。
【請求項１１９３】
支払方法に関するユーザ入力が、前記支払いを受け取るための支払方法の選択を備え、前記支払命令が、前記選択された支払方法に関する情報を含む、請求項１１９２に記載のシステム。
【請求項１１９４】
前記ＭＦＴＳが、前記ユーザ／被支払人に対する前記支払いを実行する際の所定の段階の完了に応答して、支払確認メッセージを前記支払命令受領者から受け取る、請求項１１７８に記載のシステム。
【請求項１１９５】
前記ＭＦＴＳが、前記支払命令受領者からの前記支払確認メッセージの受け取りに応答して、支払確認メッセージを前記ユーザ／被支払人のモバイル装置に伝達するようにさらに動作する、請求項１１９４に記載のシステム。
【請求項１１９６】
前記メッセージが、前記ユーザのモバイル装置に伝送されるテキストメッセージを備える、請求項１１７５に記載のシステム。
【請求項１１９７】
前記ユーザ／被支払人によって提供される前記登録情報が、前記支払いを受け取るための前記ユーザ／被支払人の口座を識別する情報を含む、請求項１１７５に記載のシステム。
【請求項１１９８】
前記ユーザ／被支払人の前記口座が、ＡＣＨ口座を備える、請求項１１９７に記載のシステム。
【請求項１１９９】
前記ユーザ／被支払人の前記口座が、価値保存（ＳＶ）カード口座を備える、請求項１１９７に記載のシステム。
【請求項１２００】
前記ユーザ／被支払人に表示される前記ダウンロード可能モバイル装置アプリケーションに関する前記情報が、前記モバイル装置アプリケーションをダウンロードおよびインストールするよう前記ユーザ／被支払人に命令するメッセージを備える、請求項１１７５に記載のシステム。
【請求項１２０１】
前記ダウンロード可能モバイル装置アプリケーションが、モバイルウォレットアプリケーションを備える、請求項１１７５に記載のシステム。
【請求項１２０２】
前記モバイルウォレットアプリケーションが、前記ＭＦＴＳを利用して支払いを実行するための機能および支払いを受け取るための機能を前記ユーザ／被支払人に提供する、請求項１２０１に記載のシステム。
【請求項１２０３】
前記ユーザ／被支払人が次に支払人となって、別の人をユーザ／被支払人とする支払いを実行するための前記モバイルウォレットアプリケーションの使用が、モバイル装置を有する他の人への前記モバイルウォレットアプリケーションのバイラルスプレッドを容易にする、請求項１２０２に記載のシステム。
【請求項１２０４】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１２０１に記載のシステム。
【請求項１２０５】
前記ＭＦＴＳが、インターネットなどのデータ通信ネットワークを介してユーザのコンピュータと電子通信のために結合され、
前記ＭＦＴＳに関連するウェブアプリケーションを提供するステップと、
金融サービスプロバイダ、金融サービスプロバイダにおける口座、支払方法、および／または被支払人に対応するユーザ情報を前記ウェブアプリケーションを介して受け取るステップと、
支払いの実行または受け取りに関して使用するため、前記ウェブアプリケーションを介して入力された前記ユーザ情報を前記ＭＦＴＳデータベースに保存するステップと、
をさらに備える、請求項１１７５に記載のシステム。
【請求項１２０６】
無線ネットワークと通信のために接続されたモバイル装置のユーザに支払いを提供するための方法であって、
モバイル通信サービスプロバイダ（ＭＣＳＰ）を使用してユーザ／被支払人のモバイル装置と無線通信のために結合されるモバイル金銭取引システム（ＭＦＴＳ）を提供するステップであって、前記ＭＦＴＳが、前記支払いを達成するための支払命令受領者と電子通信のために結合され、前記ＭＦＴＳが、ユーザ情報、支払実行情報、および支払元情報を保存するためのモバイル金銭取引システム（ＭＦＴＳ）データベースを含む、ステップと、
コンパチブルなモバイル装置上にインストールされたときに前記ＭＦＴＳと通信するように動作するダウンロード可能モバイル装置アプリケーションを保存するためのダウンロードシステムを提供するステップと、
前記ユーザ／被支払人に対して実行される支払いに対応する支払実行情報を前記ＭＦＴＳにおいて支払人から受け取るステップと、
前記ユーザ／被支払人に対して実行される前記支払いに対応する情報を含む支払受取メッセージを前記ＭＦＴＳにおいて生成するステップと、
前記支払受取メッセージを前記ＭＦＴＳから前記ユーザ／被支払人のモバイル装置に無線で伝達するステップであって、前記支払受取メッセージが、前記ダウンロード可能モバイル装置アプリケーションに関する情報を含む、ステップと、
前記モバイル装置アプリケーションを前記ユーザ／被支払人のモバイル装置にダウンロードおよびインストールし、登録情報を提供するための、前記ユーザ／被支払人によるアクションに応答して、第２の支払受取メッセージを前記ＭＦＴＳから前記ユーザ／被支払人のモバイル装置に無線で伝達するステップであって、前記第２の支払受取メッセージが、前記支払いについての情報、および前記支払いを受け取るための支払方法についての情報を備える、ステップと、
前記ユーザ／被支払人のモバイル装置において、前記支払いを受け取るための支払方法に関するユーザ入力を受け取るステップと、
前記ユーザ／被支払人のモバイル装置において、前記ユーザ入力に応答して、前記支払方法に対応する情報を備える支払命令を生成するステップと、
前記支払命令を前記ユーザ／被支払人のモバイル装置から前記ＭＦＴＳに無線で伝達するステップと、
前記ＭＦＴＳにおいて、支払命令受領者に対するＭＦＴＳ支払命令を生成するステップであって、前記ＭＦＴＳ支払命令が、金額および前記ユーザ／被支払人に対応する識別情報を少なくとも含む、ステップと、
前記ＭＦＴＳ支払命令を前記ＭＦＴＳから前記支払命令受領者に伝達するステップと、
前記支払命令受領者において、前記ＭＦＴＳ支払命令の受け取りに応答して、前記支払方法に従って前記ユーザ／被支払人に対する支払いを実行するステップと、
を備える方法。
【請求項１２０７】
前記支払命令受領者が、前記支払人が１つまたは複数の口座を保持する金融サービスプロバイダである、請求項１２０６に記載の方法。
【請求項１２０８】
前記支払命令受領者が、前記支払いのための資金を所有する、前記ＭＦＴＳに関連づけられた金融サービスプロバイダである、請求項１２０６に記載の方法。
【請求項１２０９】
前記ユーザ／被支払人に対する前記支払いを実行するために利用される識別情報が、前記ＭＦＴＳに提供される、請求項１２０６に記載の方法。
【請求項１２１０】
前記識別情報が、前記支払人のモバイル装置上の前記モバイル装置アプリケーションを利用して、支払人によって前記ＭＦＴＳに提供される、請求項１２０９に記載の方法。
【請求項１２１１】
前記識別情報が、ウェブアプリケーションを利用して、支払人によって前記ＭＦＴＳに提供される、請求項１２０９に記載の方法。
【請求項１２１２】
付加的な識別情報が、前記ユーザ／被支払人の前記モバイル装置上の前記モバイル装置アプリケーションを利用して、前記ユーザ／被支払人によって提供される、請求項１２０９に記載の方法。
【請求項１２１３】
前記識別情報が、名前およびメーリングアドレス、価値保存（ＳＶ）カード口座、ＡＣＨ口座からなる群から選択される、前記ユーザ／被支払人についての情報を備える、請求項１２０９に記載の方法。
【請求項１２１４】
前記識別情報が、選択された支払方法に対応する情報を備え、前記情報が、デフォルト支払情報として前記ユーザ／被支払人に表示される、請求項１２０９に記載の方法。
【請求項１２１５】
前記ユーザ／被支払人が、前記デフォルト支払情報を確認するよう促される、請求項１２１４に記載の方法。
【請求項１２１６】
前記識別情報が、メーリングアドレスを備え、前記ユーザ／被支払人が、デフォルトメーリングアドレスとして前記メーリングアドレスを確認するよう促される、請求項１２１５に記載の方法。
【請求項１２１７】
前記識別情報が、価値保存（ＳＶ）カード口座を備え、前記ユーザ／被支払人が、支払いを受け取るためのデフォルト方法として前記ＳＶカード口座を確認するよう促される、請求項１２１５に記載の方法。
【請求項１２１８】
前記識別情報が、前記支払いを受け取るための前記ユーザ／被支払人のＡＣＨ口座を識別する情報を備え、前記ユーザ／被支払人が、支払いを受け取るためのデフォルト方法として前記口座を確認するよう促される、請求項１２１５に記載の方法。
【請求項１２１９】
前記支払受取メッセージが、前記ユーザ／被支払人のモバイル装置に伝送されるテキストメッセージを備える、請求項１２０６に記載の方法。
【請求項１２２０】
前記ユーザ／被支払人によって提供される前記登録情報が、前記支払いを受け取るための前記ユーザ／被支払人の口座を識別する情報を含む、請求項１２０６に記載の方法。
【請求項１２２１】
前記ユーザ／被支払人の前記口座が、ＡＣＨ口座を備える、請求項１２２０に記載の方法。
【請求項１２２２】
前記ユーザ／被支払人の前記口座が、価値保存（ＳＶ）カード口座を備える、請求項１２２０に記載の方法。
【請求項１２２３】
前記支払実行情報が、金額、支払元、および前記ユーザ／被支払人のモバイル装置を識別する情報を少なくとも識別する、請求項１２０６に記載の方法。
【請求項１２２４】
前記ユーザ／被支払人に表示される前記ダウンロード可能モバイル装置アプリケーションに関する前記情報が、前記モバイル装置アプリケーションをダウンロードおよびインストールするよう前記ユーザ／被支払人に命令するメッセージを備える、請求項１２０６に記載の方法。
【請求項１２２５】
前記第２の支払受取メッセージ内の支払方法に関する前記情報が、前記支払いを受け取るための１つまたは複数の選択可能な方法についての情報を備える、請求項１２０６に記載の方法。
【請求項１２２６】
支払方法に関する前記ユーザ入力が、前記支払いを受け取るための支払方法の選択を備え、前記支払命令が、前記選択された支払方法に関する情報を含む、請求項１２２５に記載の方法。
【請求項１２２７】
前記ダウンロード可能モバイル装置アプリケーションが、モバイルウォレットアプリケーションを備える、請求項１２０６に記載の方法。
【請求項１２２８】
前記モバイルウォレットアプリケーションが、前記ＭＦＴＳを利用して支払いを実行するための機能および支払いを受け取るための機能を前記ユーザ／被支払人に提供する、請求項１２２７に記載の方法。
【請求項１２２９】
前記ユーザ／被支払人が次に支払人となって、別の人をユーザ／被支払人とする支払いを実行するための前記モバイルウォレットアプリケーションの使用が、モバイル装置を有する他の人への前記モバイルウォレットアプリケーションのバイラルスプレッドを容易にする、請求項１２２８に記載の方法。
【請求項１２３０】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１２２７に記載の方法。
【請求項１２３１】
前記ユーザ／被支払人に対する前記支払いを実行する際の所定の段階の完了に応答して、支払確認メッセージを前記支払命令受領者から受け取るステップをさらに備える、請求項１２０６に記載の方法。
【請求項１２３２】
前記支払命令受領者からの前記支払確認メッセージの受け取りに応答して、支払確認メッセージを前記ユーザ／被支払人のモバイル装置に伝達するステップをさらに備える、請求項１２３１に記載の方法。
【請求項１２３３】
前記ＭＦＴＳが、インターネットなどのデータ通信ネットワークを介してユーザのコンピュータと電子通信のために結合され、
前記ＭＦＴＳに関連するウェブアプリケーションを提供するステップと、
金融サービスプロバイダ、金融サービスプロバイダにおける口座、支払方法、および／または被支払人に対応するユーザ情報を前記ウェブアプリケーションを介して受け取るステップと、
支払いの実行または受け取りに関して使用するため、前記ウェブアプリケーションを介して入力された前記ユーザ情報を前記ＭＦＴＳデータベースに保存するステップと、
をさらに備える、請求項１２０６に記載の方法。
【請求項１２３４】
無線ネットワークと通信のために接続されたモバイル装置のユーザ／被支払人に支払いを提供するためのシステムであって、
モバイル金銭取引システム（ＭＦＴＳ）との無線通信が可能なユーザ／被支払人モバイル装置と、
モバイル通信サービスプロバイダ（ＭＣＳＰ）を使用してユーザ／被支払人のモバイル装置と無線通信のために結合されるモバイル金銭取引システム（ＭＦＴＳ）コンピュータシステムであって、前記ＭＦＴＳが、前記支払いを達成するための支払命令受領者と電子通信のために結合され、前記ＭＦＴＳが、ユーザ情報、支払実行情報、および支払元情報を保存するためのモバイル金銭取引システム（ＭＦＴＳ）データベースを含む、モバイル金銭取引システム（ＭＦＴＳ）コンピュータシステムと、
コンパチブルなモバイル装置上にインストールされたときに前記ＭＦＴＳと通信するように動作するダウンロード可能モバイル装置アプリケーションを保存するためのダウンロードシステムと、
前記ＭＦＴＳコンピュータシステム上で動作するＭＦＴＳソフトウェアであって、
前記ユーザ／被支払人に対して実行される支払いに対応する支払実行情報を支払人から受け取るコンピュータ実施ステップと、
前記ユーザ／被支払人に対して実行される前記支払いに対応する情報を含む支払受取メッセージを前記ＭＦＴＳにおいて生成するコンピュータ実施ステップと、
前記支払受取メッセージを前記ＭＦＴＳから前記ユーザ／被支払人のモバイル装置に無線で伝達するステップであって、前記支払受取メッセージが、前記ダウンロード可能モバイル装置アプリケーションに関する情報を含む、コンピュータ実施ステップと、
前記モバイル装置アプリケーションを前記ユーザ／被支払人のモバイル装置にダウンロードおよびインストールし、登録情報を提供するための、前記ユーザ／被支払人によるアクションに応答して、第２の支払受取メッセージを前記ＭＦＴＳから前記ユーザ／被支払人のモバイル装置に無線で伝達するステップであって、前記第２の支払受取メッセージが、前記支払いについての情報、および前記支払いを受け取るための支払方法についての情報を備える、コンピュータ実施ステップと、
前記支払方法に対応する情報を備えるモバイル支払命令を前記ユーザ／被支払人のモバイル装置から受け取るコンピュータ実施ステップと、
支払命令受領者に対するＭＦＴＳ支払命令を生成するステップであって、前記ＭＦＴＳ支払命令が、金額および前記ユーザ／被支払人に対応する識別情報を少なくとも含む、コンピュータ実施ステップと、
前記ＭＦＴＳ支払命令を前記ＭＦＴＳから前記支払命令受領者に伝達するコンピュータ実施ステップと、
前記支払命令受領者において、前記ＭＦＴＳ支払命令の受け取りに応答して、前記支払方法に従って前記ユーザ／被支払人に対する支払いを実行するコンピュータ実施ステップと、
を実行するためのプログラムコードを備えるＭＦＴＳソフトウェアと、
を備えるシステム。
【請求項１２３５】
前記支払命令受領者が、前記支払人が１つまたは複数の口座を保持する金融サービスプロバイダである、請求項１２３４に記載のシステム。
【請求項１２３６】
前記支払命令受領者が、前記支払いのための資金を所有する、前記ＭＦＴＳに関連づけられた金融サービスプロバイダである、請求項１２３４に記載のシステム。
【請求項１２３７】
前記ユーザ／被支払人に対する前記支払いを実行するために利用される識別情報が、前記ＭＦＴＳに提供される、請求項１２３４に記載のシステム。
【請求項１２３８】
前記識別情報が、前記支払人のモバイル装置上の前記モバイル装置アプリケーションを利用して、支払人によって前記ＭＦＴＳに提供される、請求項１２３７に記載のシステム。
【請求項１２３９】
前記識別情報が、ウェブアプリケーションを利用して、支払人によって前記ＭＦＴＳに提供される、請求項１２３７に記載のシステム。
【請求項１２４０】
付加的な識別情報が、前記ユーザ／被支払人の前記モバイル装置上の前記モバイル装置アプリケーションを利用して、前記ユーザ／被支払人によって提供される、請求項１２３７に記載のシステム。
【請求項１２４１】
前記識別情報が、名前およびメーリングアドレス、価値保存（ＳＶ）カード口座、ＡＣＨ口座からなる群から選択される、前記ユーザ／被支払人についての情報を備える、請求項１２３７に記載のシステム。
【請求項１２４２】
前記識別情報が、選択された支払方法に対応する情報を備え、前記情報が、デフォルト支払情報として前記ユーザ／被支払人に表示される、請求項１２３７に記載のシステム。
【請求項１２４３】
前記ユーザ／被支払人が、前記デフォルト支払情報を確認するよう促される、請求項１２４２に記載のシステム。
【請求項１２４４】
前記識別情報が、メーリングアドレスを備え、前記ユーザ／被支払人が、デフォルトメーリングアドレスとして前記メーリングアドレスを確認するよう促される、請求項１２４２に記載のシステム。
【請求項１２４５】
前記識別情報が、価値保存（ＳＶ）カード口座を備え、前記ユーザ／被支払人が、支払いを受け取るためのデフォルト方法として前記ＳＶカード口座を確認するよう促される、請求項１２４３に記載のシステム。
【請求項１２４６】
前記識別情報が、前記支払いを受け取るための前記ユーザ／被支払人のＡＣＨ口座を識別する情報を備え、前記ユーザ／被支払人が、支払いを受け取るためのデフォルト方法として前記口座を確認するよう促される、請求項１２４３に記載のシステム。
【請求項１２４７】
前記支払受取メッセージが、前記ユーザ／被支払人のモバイル装置に伝送されるテキストメッセージを備える、請求項１２３４に記載のシステム。
【請求項１２４８】
前記ユーザ／被支払人によって提供される前記登録情報が、前記支払いを受け取るための前記ユーザ／被支払人の口座を識別する情報を含む、請求項１２３４に記載のシステム。
【請求項１２４９】
前記ユーザ／被支払人の前記口座が、ＡＣＨ口座を備える、請求項１２４８に記載のシステム。
【請求項１２５０】
前記ユーザ／被支払人の前記口座が、価値保存（ＳＶ）カード口座を備える、請求項１２４８に記載のシステム。
【請求項１２５１】
前記支払実行情報が、金額、支払元、および前記ユーザ／被支払人のモバイル装置を識別する情報を少なくとも識別する、請求項１２３４に記載のシステム。
【請求項１２５２】
前記ユーザ／被支払人に表示される前記ダウンロード可能モバイル装置アプリケーションに関する前記情報が、前記モバイル装置アプリケーションをダウンロードおよびインストールするよう前記ユーザ／被支払人に命令するメッセージを備える、請求項１２３４に記載のシステム。
【請求項１２５３】
前記第２の支払受取メッセージ内の支払方法に関する前記情報が、前記支払いを受け取るための１つまたは複数の選択可能な方法についての情報を備える、請求項１２３４に記載のシステム。
【請求項１２５４】
支払方法に関する前記ユーザ入力が、前記支払いを受け取るための支払方法の選択を備え、前記支払命令が、前記選択された支払方法に関する情報を含む、請求項１２５３に記載のシステム。
【請求項１２５５】
前記ダウンロード可能モバイル装置アプリケーションが、モバイルウォレットアプリケーションを備える、請求項１２３４に記載のシステム。
【請求項１２５６】
前記モバイルウォレットアプリケーションが、前記ＭＦＴＳを利用して支払いを実行するための機能および支払いを受け取るための機能を前記ユーザ／被支払人に提供する、請求項１２５５に記載のシステム。
【請求項１２５７】
前記ユーザ／被支払人が次に支払人となって、別の人をユーザ／被支払人とする支払いを実行するための前記モバイルウォレットアプリケーションの使用が、モバイル装置を有する他の人への前記モバイルウォレットアプリケーションのバイラルスプレッドを容易にする、請求項１２５６に記載のシステム。
【請求項１２５８】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１２５５に記載のシステム。
【請求項１２５９】
前記ＭＦＴＳが、前記ユーザ／被支払人に対する前記支払いを実行する際の所定の段階の完了に応答して、支払確認メッセージを前記支払命令受領者から受け取るように動作する、請求項１２３４に記載のシステム。
【請求項１２６０】
前記ＭＦＴＳソフトウェアが、前記支払命令受領者からの前記支払確認メッセージの受け取りに応答して、支払確認メッセージを前記ユーザ／被支払人のモバイル装置に伝達するようにさらに動作する、請求項１２５９に記載のシステム。
【請求項１２６１】
前記ＭＦＴＳが、インターネットなどのデータ通信ネットワークを介してユーザのコンピュータと電子通信のために結合され、
前記ＭＦＴＳに関連するウェブアプリケーションを提供するステップと、
金融サービスプロバイダ、金融サービスプロバイダにおける口座、支払方法、および／または被支払人に対応するユーザ情報を前記ウェブアプリケーションを介して受け取るステップと、
支払いの実行または受け取りに関して使用するため、前記ウェブアプリケーションを介して入力された前記ユーザ情報を前記ＭＦＴＳデータベースに保存するステップと、
をさらに備える、請求項１２３４に記載のシステム。
【請求項１２６２】
無線ネットワークと通信のために接続されたモバイル装置を使用する支払いの実行および受け取りの際に使用されるモバイル装置アプリケーションを配布するための方法であって、
モバイル装置ユーザに対して実行される支払人からの支払いについての情報、およびダウンロード可能モバイル装置アプリケーションに関する情報を含むメッセージをモバイル装置で受け取るステップであって、前記ダウンロード可能モバイル装置アプリケーションが、コンパチブルなモバイル装置上にインストールされたときに、無線モバイル装置を介した支払いの実行および受け取りを円滑化するモバイル金銭取引システム（ＭＦＴＳ）と通信するように動作する、ステップと、
前記モバイル装置アプリケーションを前記ユーザのモバイル装置にダウンロードおよびインストールし、登録情報を提供するための、前記モバイル装置ユーザによるアクションに続いて、ユーザ／被支払人としての前記モバイル装置ユーザによって前記支払いを受け取るために、前記ＭＦＴＳと通信するステップと、
を備える方法。
【請求項１２６３】
支払受取メッセージを前記ユーザ／被支払人のモバイル装置において前記ＭＦＴＳから受け取るステップであって、前記支払受取メッセージが、前記ユーザ／被支払人に対して実行される前記支払いに対応する情報を含む、ステップと、
前記支払受取メッセージに対応する情報を前記ユーザ／被支払人のモバイル装置において表示するステップであって、前記表示情報が、前記ダウンロード可能モバイル装置アプリケーションに関する情報を含む、ステップと、
前記ユーザ／被支払人のモバイル装置への前記モバイル装置アプリケーションのダウンロードおよびインストール、ならびに登録情報の提供に続いて、第２の支払受取メッセージを前記ユーザ／被支払人のモバイル装置において前記ＭＦＴＳから受け取るステップと、
前記第２の支払受取メッセージに対応する情報を前記ユーザ／被支払人のモバイル装置において表示するステップであって、前記表示情報が、前記支払いについての情報、および前記支払いを受け取るための支払方法についての情報を備える、ステップと、
前記支払いを受け取るための支払方法に関するユーザ入力を受け取るステップと、
前記支払方法に対応する情報を備えるモバイル支払命令を生成するステップと、
前記モバイル支払命令を前記ユーザ／被支払人のモバイル装置から前記ＭＦＴＳに無線で伝達するステップと、を備え、
それによって、前記ＭＦＴＳが、ＭＦＴＳ支払命令の受け取りに応答して、前記支払方法に従って前記ユーザ／被支払人に対する前記支払いを達成する支払命令受領者に支払命令を提供する、
請求項１２６２に記載の方法。
【請求項１２６４】
前記支払命令受領者が、前記支払人が１つまたは複数の口座を保持する金融サービスプロバイダである、請求項１２６３に記載の方法。
【請求項１２６５】
前記支払命令受領者が、前記支払いのための資金を所有する、前記ＭＦＴＳに関連づけられた金融サービスプロバイダである、請求項１２６３に記載の方法。
【請求項１２６６】
前記ユーザ／被支払人に対する前記支払いを実行するために利用される識別情報が、前記ＭＦＴＳに提供される、請求項１２６３に記載の方法。
【請求項１２６７】
前記識別情報が、前記支払人のモバイル装置上の前記モバイル装置アプリケーションを利用して、支払人によって前記ＭＦＴＳに提供される、請求項１２６６に記載の方法。
【請求項１２６８】
前記識別情報が、ウェブアプリケーションを利用して、支払人によって前記ＭＦＴＳに提供される、請求項１２６６に記載の方法。
【請求項１２６９】
付加的な識別情報が、前記ユーザ／被支払人の前記モバイル装置上の前記モバイル装置アプリケーションを利用して、前記ユーザ／被支払人によって提供される、請求項１２６６に記載の方法。
【請求項１２７０】
前記識別情報が、名前およびメーリングアドレス、価値保存（ＳＶ）カード口座、ＡＣＨ口座からなる群から選択される、前記ユーザ／被支払人についての情報を備える、請求項１２６６に記載の方法。
【請求項１２７１】
前記識別情報が、選択された支払方法に対応する情報を備え、前記情報が、デフォルト支払情報として前記ユーザ／被支払人に表示される、請求項１２６６に記載の方法。
【請求項１２７２】
前記ユーザ／被支払人が、前記デフォルト支払情報を確認するよう促される、請求項１２７１に記載の方法。
【請求項１２７３】
前記識別情報が、メーリングアドレスを備え、前記ユーザ／被支払人が、デフォルトメーリングアドレスとして前記メーリングアドレスを確認するよう促される、請求項１２７２に記載の方法。
【請求項１２７４】
前記識別情報が、価値保存（ＳＶ）カード口座を備え、前記ユーザ／被支払人が、支払いを受け取るためのデフォルト方法として前記ＳＶカード口座を確認するよう促される、請求項１２７２に記載の方法。
【請求項１２７５】
前記識別情報が、前記支払いを受け取るための前記ユーザ／被支払人のＡＣＨ口座を識別する情報を備え、前記ユーザ／被支払人が、支払いを受け取るためのデフォルト方法として前記口座を確認するよう促される、請求項１２７２に記載の方法。
【請求項１２７６】
前記支払実行情報が、金額、支払元、および前記ユーザ／被支払人のモバイル装置を識別する情報を少なくとも識別する、請求項１２６３に記載の方法。
【請求項１２７７】
前記第２の支払受取メッセージ内の支払方法に関する前記情報が、前記支払いを受け取るための１つまたは複数の選択可能な方法についての情報を備える、請求項１２６３に記載の方法。
【請求項１２７８】
支払方法に関する前記ユーザ入力が、前記支払いを受け取るための支払方法の選択を備え、前記支払命令が、前記選択された支払方法に関する情報を含む、請求項１２７７に記載の方法。
【請求項１２７９】
前記ユーザ／被支払人に対する前記支払いを実行する際の所定の段階の完了に応答して、前記支払命令受領者から前記ＭＦＴＳへの支払確認メッセージを受け取るステップをさらに備える、請求項１２６３に記載の方法。
【請求項１２８０】
前記支払命令受領者からの前記支払確認メッセージの受け取りに応答して、支払確認メッセージを前記ユーザ／被支払人のモバイル装置において受け取るステップをさらに備える、請求項１２７９に記載の方法。
【請求項１２８１】
前記メッセージが、前記ユーザのモバイル装置に伝送されるテキストメッセージを備える、請求項１２６２に記載の方法。
【請求項１２８２】
前記ユーザ／被支払人によって提供される前記登録情報が、前記支払いを受け取るための前記ユーザ／被支払人の口座を識別する情報を含む、請求項１２６２に記載の方法。
【請求項１２８３】
前記ユーザ／被支払人の前記口座が、ＡＣＨ口座を備える、請求項１２８２に記載の方法。
【請求項１２８４】
前記ユーザ／被支払人の前記口座が、価値保存（ＳＶ）カード口座を備える、請求項１２８２に記載の方法。
【請求項１２８５】
前記ユーザ／被支払人に表示される前記ダウンロード可能モバイル装置アプリケーションに関する前記情報が、前記モバイル装置アプリケーションをダウンロードおよびインストールするよう前記ユーザ／被支払人に命令するメッセージを備える、請求項１２６２に記載の方法。
【請求項１２８６】
前記ダウンロード可能モバイル装置アプリケーションが、モバイルウォレットアプリケーションを備える、請求項１２６２に記載の方法。
【請求項１２８７】
前記モバイルウォレットアプリケーションが、前記ＭＦＴＳを利用して支払いを実行するための機能および支払いを受け取るための機能を前記ユーザ／被支払人に提供する、請求項１２８６に記載の方法。
【請求項１２８８】
前記ユーザ／被支払人が次に支払人となって、別の人をユーザ／被支払人とする支払いを実行するための前記モバイルウォレットアプリケーションの使用が、モバイル装置を有する他の人への前記モバイルウォレットアプリケーションのバイラルスプレッドを容易にする、請求項１２８７に記載の方法。
【請求項１２８９】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１２８６に記載の方法。
【請求項１２９０】
前記ＭＦＴＳが、インターネットなどのデータ通信ネットワークを介してユーザのコンピュータと電子通信のために結合され、
前記ＭＦＴＳに関連するウェブアプリケーションを提供するステップと、
金融サービスプロバイダ、金融サービスプロバイダにおける口座、支払方法、および／または被支払人に対応するユーザ情報を前記ウェブアプリケーションを介して受け取るステップと、
支払いの実行または受け取りに関して使用するため、前記ウェブアプリケーションを介して入力された前記ユーザ情報をＭＦＴＳデータベースに保存するステップと、
をさらに備える、請求項１２６２に記載の方法。
【請求項１２９１】
モバイル金銭取引システム（ＭＦＴＳ）を介する支払人からの支払いの受け取りに関して使用されるモバイル装置であって、前記モバイル装置が、無線ネットワークと通信のために結合され、
モバイル通信サービスプロバイダを介してモバイル金銭取引システム（ＭＦＴＳ）に無線通信のために接続されるモバイル装置であって、ディスプレイと、ユーザ入力手段と、プロセッサと、メモリとを含むモバイル装置を備え、
前記モバイル装置が、支払人からモバイル装置ユーザに対して実行される支払いについての情報、およびダウンロード可能モバイル装置アプリケーションに関する情報を含むメッセージを受け取ることが可能であり、また
無線モバイル装置を介した支払いの実行および受け取りを円滑化するモバイル金銭取引システム（ＭＦＴＳ）と通信するように動作するダウンロード可能モバイル装置アプリケーションを備え、
前記ダウンロード可能モバイル装置アプリケーションが、前記モバイル装置アプリケーションを前記ユーザのモバイル装置にダウンロードおよびインストールし、登録情報を提供するための、前記モバイル装置ユーザによるアクションに続いて、ユーザ／被支払人としての前記モバイル装置ユーザによって前記支払いを受け取るために、前記ＭＦＴＳと通信する、モバイル装置。
【請求項１２９２】
前記モバイル装置が、
前記ユーザ／被支払人に対して実行される前記支払いに対応する情報を含む支払受取メッセージを、前記ユーザ／被支払人のモバイル装置において前記ＭＦＴＳから受け取り、
前記ダウンロード可能モバイル装置アプリケーションに関する情報を含む、前記支払受取メッセージに対応する情報を、前記ユーザ／被支払人のモバイル装置において表示し、
前記ユーザ／被支払人のモバイル装置への前記モバイル装置アプリケーションのダウンロードおよびインストール、ならびに登録情報の提供に続いて、第２の支払受取メッセージを前記ユーザ／被支払人のモバイル装置において前記ＭＦＴＳから受け取り、
前記支払いについての情報、および前記支払いを受け取るための支払方法についての情報を備える、前記第２の支払受取メッセージに対応する情報を、前記ユーザ／被支払人のモバイル装置において表示し、
前記支払いを受け取るための支払方法に関するユーザ入力を受け取り、
前記支払方法に対応する情報を備えるモバイル支払命令を生成し、
前記モバイル支払命令を前記ユーザ／被支払人のモバイル装置から前記ＭＦＴＳに無線で伝達する、ようにさらに動作し、
それによって、前記ＭＦＴＳが、ＭＦＴＳ支払命令の受け取りに応答して、前記支払方法に従って前記ユーザ／被支払人に対する前記支払いを達成する支払命令受領者に支払命令を提供する、
請求項１２９１に記載の装置。
【請求項１２９３】
前記支払命令受領者が、前記支払人が１つまたは複数の口座を保持する金融サービスプロバイダである、請求項１２９２に記載の装置。
【請求項１２９４】
前記支払命令受領者が、前記支払いのための資金を所有する、前記ＭＦＴＳに関連づけられた金融サービスプロバイダである、請求項１２９２に記載の装置。
【請求項１２９５】
前記ユーザ／被支払人に対する前記支払いを実行するために利用される識別情報が、前記ＭＦＴＳに提供される、請求項１２９２に記載の装置。
【請求項１２９６】
前記識別情報が、前記支払人のモバイル装置上の前記モバイル装置アプリケーションを利用して、支払人によって前記ＭＦＴＳに提供される、請求項１２９５に記載の装置。
【請求項１２９７】
前記識別情報が、ウェブアプリケーションを利用して、支払人によって前記ＭＦＴＳに提供される、請求項１２９５に記載の装置。
【請求項１２９８】
付加的な識別情報が、前記ユーザ／被支払人の前記モバイル装置上の前記モバイル装置アプリケーションを利用して、前記ユーザ／被支払人によって提供される、請求項１２９５に記載の装置。
【請求項１２９９】
前記識別情報が、名前およびメーリングアドレス、価値保存（ＳＶ）カード口座、ＡＣＨ口座からなる群から選択される、前記ユーザ／被支払人についての情報を備える、請求項１２９５に記載の装置。
【請求項１３００】
前記識別情報が、選択された支払方法に対応する情報を備え、前記情報が、デフォルト支払情報として前記ユーザ／被支払人に表示される、請求項１２９５に記載の装置。
【請求項１３０１】
前記ユーザ／被支払人が、前記デフォルト支払情報を確認するよう促される、請求項１３００に記載の装置。
【請求項１３０２】
前記識別情報が、メーリングアドレスを備え、前記ユーザ／被支払人が、デフォルトメーリングアドレスとして前記メーリングアドレスを確認するよう促される、請求項１３０１に記載の装置。
【請求項１３０３】
前記識別情報が、価値保存（ＳＶ）カード口座を備え、前記ユーザ／被支払人が、支払いを受け取るためのデフォルト方法として前記ＳＶカード口座を確認するよう促される、請求項１３０１に記載の装置。
【請求項１３０４】
前記識別情報が、前記支払いを受け取るための前記ユーザ／被支払人のＡＣＨ口座を識別する情報を備え、前記ユーザ／被支払人が、支払いを受け取るためのデフォルト方法として前記口座を確認するよう促される、請求項１３０１に記載の装置。
【請求項１３０５】
前記支払実行情報が、金額、支払元、および前記ユーザ／被支払人のモバイル装置を識別する情報を少なくとも識別する、請求項１２９２に記載の装置。
【請求項１３０６】
前記第２の支払受取メッセージ内の支払方法に関する前記情報が、前記支払いを受け取るための１つまたは複数の選択可能な方法についての情報を備える、請求項１２９２に記載の装置。
【請求項１３０７】
支払方法に関するユーザ入力が、前記支払いを受け取るための支払方法の選択を備え、前記支払命令が、前記選択された支払方法に関する情報を含む、請求項１３０５に記載の装置。
【請求項１３０８】
前記ユーザ／被支払人に対する前記支払いを実行する際の所定の段階の完了に応答して、前記支払命令受領者から前記ＭＦＴＳへの支払確認メッセージを受け取るステップをさらに備える、請求項１２９２に記載の装置。
【請求項１３０９】
前記支払命令受領者からの前記支払確認メッセージの受け取りに応答して、支払確認メッセージを前記ユーザ／被支払人のモバイル装置において受け取るステップをさらに備える、請求項１３０８に記載の装置。
【請求項１３１０】
前記メッセージが、前記ユーザのモバイル装置に伝送されるテキストメッセージを備える、請求項１２９１に記載の装置。
【請求項１３１１】
前記ユーザ／被支払人によって提供される前記登録情報が、前記支払いを受け取るための前記ユーザ／被支払人の口座を識別する情報を含む、請求項１２９１に記載の装置。
【請求項１３１２】
前記ユーザ／被支払人の前記口座が、ＡＣＨ口座を備える、請求項１３１１に記載の装置。
【請求項１３１３】
前記ユーザ／被支払人の前記口座が、価値保存（ＳＶ）カード口座を備える、請求項１３１１に記載の装置。
【請求項１３１４】
前記ユーザ／被支払人に表示される前記ダウンロード可能モバイル装置アプリケーションに関する前記情報が、前記モバイル装置アプリケーションをダウンロードおよびインストールするよう前記ユーザ／被支払人に命令するメッセージを備える、請求項１２９１に記載の装置。
【請求項１３１５】
前記ダウンロード可能モバイル装置アプリケーションが、モバイルウォレットアプリケーションを備える、請求項１２９１に記載の装置。
【請求項１３１６】
前記モバイルウォレットアプリケーションが、前記ＭＦＴＳを利用して支払いを実行するための機能および支払いを受け取るための機能を前記ユーザ／被支払人に提供する、請求項１３１５に記載の装置。
【請求項１３１７】
前記ユーザ／被支払人が次に支払人となって、別の人をユーザ／被支払人とする支払いを実行するための前記モバイルウォレットアプリケーションの使用が、モバイル装置を有する他の人への前記モバイルウォレットアプリケーションのバイラルスプレッドを容易にする、請求項１３１６に記載の装置。
【請求項１３１８】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１３１５に記載の装置。
【請求項１３１９】
前記ＭＦＴＳが、インターネットなどのデータ通信ネットワークを介してユーザのコンピュータと電子通信のために結合され、
前記ＭＦＴＳに関連するウェブアプリケーションを提供するステップと、
金融サービスプロバイダ、金融サービスプロバイダにおける口座、支払方法、および／または被支払人に対応するユーザ情報を前記ウェブアプリケーションを介して受け取るステップと、
支払いの実行または受け取りに関して使用するため、前記ウェブアプリケーションを介して入力された前記ユーザ情報をＭＦＴＳデータベースに保存するステップと、
をさらに備える、請求項１２９１に記載の装置。
【請求項１３２０】
（＊＊モバイル環境において支払いを指示するための方法およびシステム＊＊）無線ネットワークと通信のために接続されたモバイル装置を使用してモバイル金銭支払を実行するための方法であって、
モバイル通信サービスプロバイダ（ＭＣＳＰ）を使用してユーザのモバイル装置と無線通信のために結合されるモバイル金銭取引システム（ＭＦＴＳ）を提供するステップであって、前記ＭＦＴＳが、前記ユーザに代わって被支払人に対する支払いを実行できる１つまたは複数の支払命令受領者と電子通信のために結合され、前記ＭＦＴＳが、ユーザ情報、前記１つまたは複数の支払命令受領者および／または被支払人に関連づけられた支払実行情報、ならびに少なくとも１つの金融サービスプロバイダに関連づけられた少なくとも１つの口座に関連づけられた支払元情報を保存するためのモバイル金銭取引システム（ＭＦＴＳ）データベースを含む、ステップと、
前記モバイル装置を使用する前記ユーザによる選択のための１つまたは複数の選択可能な被支払人を提供するステップと、
支払実行のための被支払人の選択および支払いを実行するための支払元の選択に対応するユーザ入力を前記ユーザのモバイル装置において受け取るステップと、
前記ユーザのモバイル装置における前記ユーザ入力に応答して、前記支払実行および前記支払いを実行するための支払元に対応する情報を備えるモバイル支払命令を生成するステップと、
前記モバイル支払命令を前記ユーザのモバイル装置から前記ＭＦＴＳに無線で伝達するステップと、
前記ＭＦＴＳにおいて、前記モバイル支払命令の受け取りに応答して、前記モバイル支払命令によって指示された前記支払いを受け取るための識別された被支払人に対応する情報、および前記モバイル支払命令内で識別された選択された金融サービスプロバイダにおける選択された口座に対応する情報を、前記ＭＦＴＳデータベースから取り出すステップと、
前記ＭＦＴＳにおいて、支払命令受領者に対するＭＦＴＳ支払命令を生成するステップであって、前記ＭＦＴＳ支払命令が、前記選択された金融サービスプロバイダにおける前記選択された口座を識別する情報、金額、および前記識別された被支払人に対応する情報を少なくとも含む、ステップと、
前記ＭＦＴＳ支払命令を前記ＭＦＴＳから選択された支払命令受領者に伝達するステップと、を備え、
それによって、前記支払命令受領者が、前記ＭＦＴＳ支払命令の受け取りに応答して、前記識別された被支払人に対する支払いを達成する、方法。
【請求項１３２１】
前記１つまたは複数の選択可能な被支払人が、支払情報が前記ＭＦＴＳに事前保存された被支払人を備える、請求項１３２０に記載の方法。
【請求項１３２２】
前記１つまたは複数の選択可能な被支払人が、支払いが以前に実行され、支払情報が前記モバイル装置上にすでに存在している被支払人を備える、請求項１３２０に記載の方法。
【請求項１３２３】
前記支払実行情報が、請求書を備え、前記被支払人が、支払請求エンティティである、請求項１３２０に記載の方法。
【請求項１３２４】
前記支払命令受領者が、金融サービスプロバイダ、支払請求アグリゲータ、または別個の支払請求エンティティの１つである、請求項１３２０に記載の方法。
【請求項１３２５】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項１３２０に記載の方法。
【請求項１３２６】
前記支払実行情報のための前記外部ソースが、複数の支払請求エンティティからの請求書情報を提供する請求書提示システムまたは個別の支払請求エンティティの１つまたは複数である、請求項１３２５に記載の方法。
【請求項１３２７】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項１３２０に記載の方法。
【請求項１３２８】
前記ユーザのモバイル装置上でモバイルウォレットアプリケーションを提供するステップをさらに備える、請求項１３２０に記載の方法。
【請求項１３２９】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項１３２８に記載の方法。
【請求項１３３０】
支払いを実行するための支払元の前記選択が、金融サービスプロバイダの選択、および前記支払いを実行するための前記選択された金融サービスプロバイダに関連づけられた特定の口座の選択を含む、請求項１３２０に記載の方法。
【請求項１３３１】
支払いを実行するための支払元の選択に対応する前記ユーザ入力が、支払元閲覧コマンドの表示に応答して提供される、請求項１３２９に記載の方法。
【請求項１３３２】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項１３２９に記載の方法。
【請求項１３３３】
前記識別された被支払人が、請求書情報を前記ＭＦＴＳに伝達した支払請求エンティティに対応する、請求項１３２０に記載の方法。
【請求項１３３４】
前記ＭＦＴＳデータベースが、ユーザの金銭取引に対応する取引情報を保存し、前記取引情報が、前記支払実行のステータスを追跡するために利用される他の情報に加えて、前記支払実行情報も含む、請求項１３２０に記載の方法。
【請求項１３３５】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項１３３４に記載の方法。
【請求項１３３６】
前記支払いを実行する際の所定の段階の完了に応答して、前記支払命令受領者から前記ＭＦＴＳに支払確認メッセージを伝達するステップをさらに備える、請求項１３２０に記載の方法。
【請求項１３３７】
前記支払命令受領者からの前記支払確認メッセージの受け取りに応答して、支払確認メッセージを前記モバイル装置に伝達するステップをさらに備える、請求項１３３６に記載の方法。
【請求項１３３８】
前記ユーザのモバイル装置において、支払いを実行するための支払方法の選択に対応するユーザ入力を受け取るステップと、
前記ユーザのモバイル装置において、前記ユーザ入力に応答して、前記支払いを実行するための前記選択された方法に対応する情報を前記モバイル支払命令に含めるステップと、
を備える、請求項１３２０に記載の方法。
【請求項１３３９】
前記選択可能な支払方法が、受領者定義方法、ＡＣＨ資金振替、小切手、および価値保存（ＳＶ）カードを含む、請求項１３３８に記載の方法。
【請求項１３４０】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザのモバイル装置を介して開始される支払いに関して使用するため、前記ウェブアプリケーションを介して入力された前記ユーザ情報を前記ＭＦＴＳデータベースに保存するステップと、
をさらに備える、請求項１３２０に記載の方法。
【請求項１３４１】
前記ユーザのモバイル装置を介して実行される取引に対応する取引情報を前記ウェブアプリケーションを介して取り出し、ユーザのコンピュータを介してユーザに表示するステップをさらに備える、請求項１３４０に記載の方法。
【請求項１３４２】
特定の日付時点の前記少なくとも１つの口座の残高を表すキャッシュされた口座残高を前記モバイル装置に保存するステップと、
更新された口座残高情報を前記ユーザモバイル装置において前記ＭＦＴＳから受け取るステップと、
前記ＭＦＴＳからの更新された口座残高情報の受け取りに応答して、前記口座に対応する更新された口座残高情報を前記モバイル装置を介して前記ユーザに表示するステップと、
をさらに備える、請求項１３２０に記載の方法。
【請求項１３４３】
無線ネットワークと通信のために接続されたモバイル装置を使用してモバイル金銭支払を実行するためのシステムであって、
モバイル金銭取引システム（ＭＦＴＳ）と無線通信のために結合されるユーザモバイル装置であって、前記モバイル装置を使用するユーザによる選択のための１つまたは複数の選択可能な被支払人を提供し、また支払実行のための被支払人および支払いを実行するための支払元の選択に対応するユーザ入力を受け取るように動作し、前記支払実行および前記支払いを実行するための支払元に対応する情報を備えるモバイル支払命令を生成し、前記モバイル支払命令を前記ＭＦＴＳに無線で伝達するようにさらに動作する、ユーザモバイル装置と、
ユーザ情報、前記１つまたは複数の被支払人に関連づけられた支払実行情報、およびユーザの少なくとも１つの金融サービスプロバイダに関連づけられた少なくとも１つの口座に関連づけられた支払元情報を保存するための、前記ＭＦＴＳに関連づけられたモバイル金銭取引システム（ＭＦＴＳ）データベースと、
前記ＭＦＴＳデータベースを維持し、モバイル金銭支払に関与するエンティティ間で電子通信を実行する、モバイル金銭取引システム（ＭＦＴＳ）コンピュータシステムと、
前記ＭＦＴＳコンピュータシステム上で動作するＭＦＴＳソフトウェアであって、
モバイル装置からの前記モバイル支払命令の受け取りに応答して、前記モバイル支払命令内で指示された前記支払いを受け取るための識別された被支払人に対応する情報、および前記モバイル支払命令内で識別された選択された金融サービスプロバイダにおける選択された口座に対応する情報を、前記ＭＦＴＳデータベースから取り出すコンピュータ実施ステップと、
支払命令受領者に対するＭＦＴＳ支払命令を生成するステップであって、前記ＭＦＴＳ支払命令が、前記選択された金融サービスプロバイダにおける前記選択された口座を識別する情報、金額、および前記識別された被支払人に対応する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアと、を備え、
それによって、前記支払命令受領者が、前記ＭＦＴＳ支払命令の受け取りに応答して、選択された金融サービスプロバイダにおける選択された口座を利用して、前記識別された被支払人に対する支払いを達成する、システム。
【請求項１３４４】
前記１つまたは複数の選択可能な被支払人が、支払情報が前記ＭＦＴＳに事前保存された被支払人を備える、請求項２４に記載のシステム。
【請求項１３４５】
前記１つまたは複数の選択可能な被支払人が、支払いが以前に実行され、支払情報が前記モバイル装置上にすでに存在している被支払人を備える、請求項２４に記載のシステム。
【請求項１３４６】
前記支払実行情報が、請求書を備え、前記被支払人が、支払請求エンティティである、請求項２４に記載のシステム。
【請求項１３４７】
前記支払命令受領者が、金融サービスプロバイダ、支払請求アグリゲータ、または別個の支払請求エンティティの１つである、請求項２４に記載のシステム。
【請求項１３４８】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項２４に記載のシステム。
【請求項１３４９】
前記支払実行情報のための前記外部ソースが、複数の支払請求エンティティからの請求書情報を提供する請求書提示システムまたは個別の支払請求エンティティを備える群から選択される、請求項１３４８に記載のシステム。
【請求項１３５０】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項２４に記載のシステム。
【請求項１３５１】
前記ＭＦＴＳが、前記ユーザのモバイル装置上で実行するためのモバイルウォレットアプリケーションを提供する、請求項２４に記載のシステム。
【請求項１３５２】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項１３５１に記載のシステム。
【請求項１３５３】
支払いを実行するための支払元の選択に対応する前記ユーザ入力が、支払元閲覧コマンドの表示に応答して提供される、請求項１３５２に記載のシステム。
【請求項１３５４】
支払いを実行するための支払元の前記選択が、金融サービスプロバイダの選択、および前記支払いを実行するための前記選択された金融サービスプロバイダに関連づけられた特定の口座の選択を含む、請求項１３５３に記載のシステム。
【請求項１３５５】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項１３５２に記載のシステム。
【請求項１３５６】
前記識別された被支払人が、請求書情報を前記ＭＦＴＳに伝達した支払請求エンティティに対応する、請求項２４に記載のシステム。
【請求項１３５７】
前記ＭＦＴＳによって前記モバイル装置に伝達された前記支払実行情報が、被支払人識別子と、金額と、支払期日とから成る、請求項２４に記載のシステム。
【請求項１３５８】
前記モバイル装置が、前記支払実行情報内の前記被支払人識別子を利用し、識別された被支払人に対応する被支払人名前情報をモバイル装置ローカルメモリから取り出し、前記被支払人名前情報を前記ユーザに表示する、請求項１３５７に記載のシステム。
【請求項１３５９】
前記ＭＦＴＳデータベースが、ユーザの金銭取引に対応する取引情報を保存し、前記取引情報が、前記支払実行のステータスを追跡するために利用される他の情報に加えて、前記支払実行情報も含む、請求項２４に記載のシステム。
【請求項１３６０】
前記取引情報が、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項１３５９に記載のシステム。
【請求項１３６１】
前記支払いの実行の完了の所定の段階において、支払確認メッセージを前記ＭＦＴＳにおいて前記支払命令受領者から受け取ることをさらに備える、請求項２４に記載のシステム。
【請求項１３６２】
前記ＭＦＴＳが、前記支払命令受領者からの前記支払確認メッセージの受け取りに応答して、支払確認メッセージを前記モバイル装置に伝達する、請求項１３６１に記載のシステム。
【請求項１３６３】
前記ユーザのモバイル装置が、支払いを実行するための支払方法の選択に対応するユーザ入力を受け取り、
前記ユーザ入力に応答して、前記ユーザのモバイル装置が、前記支払いを実行するための前記選択された方法に対応する情報を前記モバイル支払命令に含める、
請求項２４に記載のシステム。
【請求項１３６４】
前記選択可能な支払方法が、受領者定義方法、ＡＣＨ資金振替、小切手、および価値保存（ＳＶ）カードを含む、請求項１３６３に記載のシステム。
【請求項１３６５】
前記ＭＦＴＳが、インターネットなどのデータ通信ネットワークを介してユーザのコンピュータと電子通信のためにさらに結合され、金融サービスプロバイダ、金融サービスプロバイダにおける口座、および被支払人に対応するユーザ情報を受け取るように動作するプログラムコードを、ウェブアプリケーションを備える前記ＭＦＴＳソフトウェア内にさらに備え、
前記ＭＦＴＳが、前記ユーザのモバイル装置を介して開始される支払いに関して使用するため、前記ウェブアプリケーションを介して入力された前記ユーザ情報を前記ＭＦＴＳデータベースに保存するように動作する、
請求項２４に記載のシステム。
【請求項１３６６】
前記ユーザのモバイル装置を介して実行される取引に対応する取引情報を前記ウェブアプリケーションを介して取り出し、ユーザのコンピュータを介してユーザに表示するためのプログラムコードを、前記ＭＦＴＳソフトウェア内にさらに備える、請求項１３６５に記載のシステム。
【請求項１３６７】
前記ユーザモバイル装置が、特定の日付時点の前記少なくとも１つの口座の残高を表すキャッシュされた口座残高を前記モバイル装置に保存し、
前記モバイル装置が、前記口座についての更新された口座残高情報を受け取り、
更新された口座残高情報の受け取りに応答して、前記モバイル装置が、前記口座に対応する更新された口座残高情報を前記ユーザに表示する、
請求項２４に記載のシステム。
【請求項１３６８】
無線ネットワークと通信のために接続されたモバイル装置を使用してモバイル金銭支払を実行するための方法であって、
前記モバイル装置を使用するユーザによる選択のための１つまたは複数の選択可能な被支払人を提供するステップと、
支払実行のための被支払人の選択および支払いを実行するための支払元の選択に対応するユーザ入力を前記ユーザのモバイル装置において受け取るステップと、
前記ユーザのモバイル装置における前記ユーザ入力に応答して、前記支払実行および前記支払いを実行するための支払元に対応する情報を備えるモバイル支払命令を生成するステップと、
前記モバイル支払命令を前記ユーザのモバイル装置から識別された被支払人に対する支払いを達成できるモバイル金銭取引システム（ＭＦＴＳ）に無線で伝達するステップと、
それによって、前記モバイル支払命令に応答して、前記ＭＦＴＳが、前記識別された被支払人に対する支払いを達成する、方法。
【請求項１３６９】
前記ユーザのモバイル装置において１つまたは複数の選択可能な支払元に対応する情報を表示するステップであって、前記１つまたは複数の選択可能な支払元が、前記ユーザが支払いを実行するために選択可能な少なくとも１つの口座を保持する金融サービスプロバイダを備える、ステップと、
前記支払いのための前記支払元として前記選択可能な支払元の１つのユーザ選択を受け取るステップと、
をさらに備える、請求項１３６８に記載の方法。
【請求項１３７０】
前記ユーザのモバイル装置において表示される１つまたは複数の選択可能な支払元に対応する前記情報が、要約支払元情報を備える、請求項１３６９に記載の方法。
【請求項１３７１】
支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項１３６８に記載の方法。
【請求項１３７２】
前記支払実行情報のための前記外部ソースが、複数の支払請求エンティティからの請求書情報を提供する請求書提示システムまたは個別の支払請求エンティティを備える群から選択される、請求項１３７１に記載の方法。
【請求項１３７３】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項１３６８に記載の方法。
【請求項１３７４】
前記ユーザのモバイル装置上でモバイルウォレットアプリケーションを提供するステップをさらに備える、請求項１３６８に記載の方法。
【請求項１３７５】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項１３７４に記載の方法。
【請求項１３７６】
支払いを実行するための支払元の選択に対応する前記ユーザ入力が、支払元閲覧コマンドの表示に応答して提供される、請求項１３７５に記載の方法。
【請求項１３７７】
支払いを実行するための支払元の前記選択が、金融サービスプロバイダの選択、および前記支払いを実行するための前記選択された金融サービスプロバイダに関連づけられた特定の口座の選択を含む、請求項１３７６に記載の方法。
【請求項１３７８】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項１３７５に記載の方法。
【請求項１３７９】
前記識別された被支払人が、請求書情報を前記ＭＦＴＳに伝達した支払請求エンティティに対応する、請求項１３６８に記載の方法。
【請求項１３８０】
前記ＭＦＴＳから前記モバイル装置に伝達された前記支払実行情報が、被支払人識別子と、金額と、支払期日とから成る、請求項１３６８に記載の方法。
【請求項１３８１】
前記モバイル装置が、前記支払実行情報内の前記被支払人識別子を利用し、識別された被支払人に対応する被支払人名前情報をモバイル装置ローカルメモリから取り出し、前記被支払人名前情報を前記ユーザに表示する、請求項１３８０に記載の方法。
【請求項１３８２】
前記支払いの実行の完了の所定の段階における、支払命令受領者からの支払確認メッセージの受け取りに応答して、前記ＭＦＴＳによって提供される支払確認メッセージを前記モバイル装置において受け取るステップをさらに備える、請求項１３６８に記載の方法。
【請求項１３８３】
支払いを実行するための支払方法の選択に対応するユーザ入力を受け取るステップと、
前記ユーザ入力に応答して、前記支払いを実行するための前記選択された方法に対応する情報を前記支払命令に含めるステップと、
をさらに備える、請求項１３６８に記載の方法。
【請求項１３８４】
前記選択可能な支払方法が、受領者定義方法、ＡＣＨ資金振替、小切手、および価値保存（ＳＶ）カードを含む、請求項１３８３に記載の方法。
【請求項１３８５】
特定の日付時点の前記少なくとも１つの口座の残高を表すキャッシュされた口座残高を前記モバイル装置に保存するステップと、
更新された口座残高情報を前記ユーザモバイル装置において前記ＭＦＴＳから受け取るステップと、
前記ＭＦＴＳからの更新された口座残高情報の受け取りに応答して、前記口座に対応する更新された口座残高情報を前記モバイル装置を介して前記ユーザに表示するステップと、
をさらに備える、請求項１３６８に記載の方法。
【請求項１３８６】
無線ネットワークを介してモバイル金銭支払を実行するためのモバイル装置であって、
モバイル通信サービスプロバイダを介してモバイル金銭取引システム（ＭＦＴＳ）に無線通信のために接続されるモバイル装置であって、ディスプレイと、ユーザ入力手段と、プロセッサと、メモリとを含むモバイル装置と、
前記モバイル装置プロセッサ上で動作するモバイル装置ソフトウェアであって、
前記モバイル装置を使用するユーザによる選択のための１つまたは複数の選択可能な被支払人を提供するコンピュータ実施ステップと、
支払実行のための被支払人および支払いを実行するための支払元に対応するユーザ入力を前記ユーザのモバイル装置において受け取るコンピュータ実施ステップと、
前記ユーザのモバイル装置における前記ユーザ入力に応答して、前記支払実行および前記支払いを実行するための支払元に対応する情報を備えるモバイル支払命令を生成するコンピュータ実施ステップと、
前記モバイル支払命令を前記ユーザのモバイル装置から識別された被支払人に対する支払いを達成するための前記ＭＦＴＳに無線で伝達するコンピュータ実施ステップと、
を実行するためのプログラムコードを備えるモバイル装置ソフトウェアと、
を備えるモバイル装置。
【請求項１３８７】
前記モバイル装置ソフトウェアが、
１つまたは複数の選択可能な支払元に対応する情報を前記モバイル装置ディスプレイ上に表示するようにさらに動作し、前記１つまたは複数の選択可能な支払元が、前記ユーザが支払いを実行するために選択可能な少なくとも１つの口座を保持する金融サービスプロバイダを備える、請求項１３８６に記載の装置。
【請求項１３８８】
前記ユーザのモバイル装置において表示される１つまたは複数の選択可能な支払元に対応する前記情報が、要約支払元情報を備える、請求項１３８７に記載の装置。
【請求項１３８９】
支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項１３８６に記載の装置。
【請求項１３９０】
前記支払実行情報のための前記外部ソースが、複数の支払請求エンティティからの請求書情報を提供する請求書提示システムまたは個別の支払請求エンティティを備える群から選択される、請求項１３８９に記載の装置。
【請求項１３９１】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項１３８６に記載の装置。
【請求項１３９２】
前記モバイル装置ソフトウェアが、モバイルウォレットアプリケーションを備える、請求項１３８６に記載の装置。
【請求項１３９３】
前記モバイルウォレットアプリケーションが、請求書閲覧コマンド、支払元閲覧コマンド、および請求書支払コマンドのうちの１つまたは複数を含む選択可能なコマンドの表示を前記モバイル装置上で提供する、請求項１３９２に記載の装置。
【請求項１３９４】
支払いを実行するための支払元の選択に対応する前記ユーザ入力が、支払元閲覧コマンドの表示に応答して提供される、請求項１３９３に記載の装置。
【請求項１３９５】
支払いを実行するための支払元の指示が、金融サービスプロバイダの選択、および前記支払いを実行するための前記選択された金融サービスプロバイダに関連づけられた特定の口座の選択を含む、請求項１３９４に記載の装置。
【請求項１３９６】
前記支払元閲覧コマンドのユーザ活動化が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に伝達させる、請求項１３９３に記載の装置。
【請求項１３９７】
前記識別された被支払人が、請求書情報を前記ＭＦＴＳに伝達した支払請求エンティティに対応する、請求項１３８６に記載の装置。
【請求項１３９８】
前記ＭＦＴＳから前記モバイル装置に伝達された前記支払実行情報が、被支払人識別子と、金額と、支払期日とから成る、請求項１３８６に記載の装置。
【請求項１３９９】
前記モバイル装置が、前記支払実行情報内の前記被支払人識別子を利用し、識別された被支払人に対応する被支払人名前情報をモバイル装置ローカルメモリから取り出し、前記被支払人名前情報を前記ユーザに表示する、請求項１３９８に記載の装置。
【請求項１４００】
前記モバイル装置ソフトウェアが、前記支払いの実行の完了の所定の段階における、支払命令受領者からの支払確認メッセージの受け取りに応答して、前記ＭＦＴＳによって提供される支払確認メッセージを受け取るようにさらに動作する、請求項１３８６に記載の装置。
【請求項１４０１】
前記モバイル装置ソフトウェアが、
支払いを実行するための支払方法の選択に対応するユーザ入力を受け取り、
前記ユーザ入力に応答して、前記支払いを実行するための前記選択された方法に対応する情報を前記支払命令に含める、
ようにさらに動作する、請求項１３８６に記載の装置。
【請求項１４０２】
前記選択可能な支払方法が、受領者定義方法、ＡＣＨ資金振替、小切手、および価値保存（ＳＶ）カードを含む、請求項１４０１に記載の装置。
【請求項１４０３】
前記ユーザモバイル装置が、特定の日付時点の前記少なくとも１つの口座の残高を表すキャッシュされた口座残高を前記モバイル装置に保存し、
前記モバイル装置が、前記口座についての更新された口座残高情報を受け取り、
更新された口座残高情報の受け取りに応答して、前記モバイル装置が、前記口座に対応する更新された口座残高情報を前記ユーザに表示する、
請求項１３８６に記載の装置。
【請求項１４０４】
無線ネットワークと通信のために接続されたモバイル装置によって開始されるモバイル金銭支払を円滑化するためのモバイル金銭取引システム（ＭＦＴＳ）のためのコンピュータ実施方法であって、
ユーザ情報、支払実行情報、および少なくとも１つの金融サービスプロバイダに関連づけられた少なくとも１つの口座に関連づけられた支払元情報を保存するためのモバイル金銭取引システム（ＭＦＴＳ）データベースを提供するステップと、
ユーザのモバイル装置から伝達されるモバイル支払命令を受け取るステップであって、前記モバイル支払命令が、ユーザの支払実行および選択された支払実行に対応する支払いを実行するための支払元に対応する情報を備える、ステップと、
前記モバイル支払命令の受け取りに応答して、前記支払命令によって指示された前記支払いを受け取るための識別された被支払人に対応する情報、および前記支払いを実行するための支払命令受領者に対応する情報を、前記ＭＦＴＳデータベースから取り出すステップと、
前記支払命令受領者に対するＭＦＴＳ支払命令を生成するステップであって、前記ＭＦＴＳ支払命令が、前記支払元を識別する情報、金額、および前記識別された被支払人に対応する情報を少なくとも含む、ステップと、
前記ＭＦＴＳ支払命令を前記支払いを達成するための前記支払命令受領者に伝達するステップと、
を備えるコンピュータ実施方法。
【請求項１４０５】
前記支払実行情報が、請求書を備え、前記被支払人が、支払請求エンティティである、請求項１４０４に記載の方法。
【請求項１４０６】
前記支払命令受領者が、金融サービスプロバイダ、支払請求アグリゲータ、または別個の支払請求エンティティの１つである、請求項１４０４に記載の方法。
【請求項１４０７】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項１４０４に記載の方法。
【請求項１４０８】
前記支払実行情報のための前記外部ソースが、複数の支払請求エンティティからの請求書情報を提供する請求書提示システムまたは単一の支払請求エンティティの一方である、請求項１４０７に記載の方法。
【請求項１４０９】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項１４０４に記載の方法。
【請求項１４１０】
支払請求エンティティからの請求書情報の受け取りに応答して、ユーザのモバイル装置にメッセージを伝達するステップをさらに備える、請求項１４０４に記載の方法。
【請求項１４１１】
モバイル装置と前記ＭＦＴＳの間の通信を円滑化するために、ユーザのモバイル装置にダウンロード可能モバイルウォレットアプリケーションを提供するステップをさらに備える、請求項１４０４に記載の方法。
【請求項１４１２】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１４１１に記載の方法。
【請求項１４１３】
前記モバイル装置における前記支払元閲覧コマンドのユーザ活動化に応答して、１つまたは複数の金融サービスプロバイダから現在の口座情報を取り出すステップと、前記１つまたは複数の金融サービスプロバイダからそのような情報を受け取ったときに前記現在の口座情報を前記モバイル装置に伝達するステップと、をさらに備える、請求項１４１２に記載の方法。
【請求項１４１４】
前記識別された被支払人が、請求書情報を前記ＭＦＴＳに伝達した支払請求エンティティに対応する、請求項１４０４に記載の方法。
【請求項１４１５】
被支払人識別子と、金額と、支払期日とから成る支払実行情報を前記モバイル装置に伝達する、請求項１４０４に記載の方法。
【請求項１４１６】
前記ＭＦＴＳデータベースが、ユーザのモバイル金銭取引に対応する取引情報を保存し、前記取引情報が、前記支払実行のステータスを追跡するために利用される他の情報に加えて、前記支払実行情報も含む、請求項１４０４に記載の方法。
【請求項１４１７】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項１４１６に記載の方法。
【請求項１４１８】
前記支払いを実行する際の所定の段階において、支払確認メッセージを前記支払命令受領者から受け取るステップをさらに備える、請求項１４０４に記載の方法。
【請求項１４１９】
前記支払命令受領者からの前記支払確認メッセージの受け取りに応答して、支払確認メッセージを前記モバイル装置に伝達するステップをさらに備える、請求項１４１８に記載の方法。
【請求項１４２０】
支払いを実行するための支払方法の選択に対応する入力を前記ユーザのモバイル装置から受け取るステップと、前記選択された支払方法に対応する情報を前記支払命令受領者に提供するステップと、をさらに備える、請求項１４０４に記載の方法。
【請求項１４２１】
前記選択可能な支払方法が、受領者定義方法、ＡＣＨ資金振替、小切手、および価値保存（ＳＶ）カードを含む、請求項１４２０に記載の方法。
【請求項１４２２】
前記ＭＦＴＳが、インターネットなどのデータ通信ネットワークを介してユーザのコンピュータと電子通信のために結合され、
前記ＭＦＴＳに関連するウェブアプリケーションを提供するステップと、
金融サービスプロバイダ、金融サービスプロバイダにおける口座、および被支払人に対応するユーザ情報を前記ウェブアプリケーションを介して受け取るステップと、
前記ユーザのモバイル装置を介して開始される取引に関して使用するため、前記ウェブアプリケーションを介して入力された前記ユーザ情報を前記ＭＦＴＳデータベースに保存するステップと、
をさらに備える、請求項１４０４に記載の方法。
【請求項１４２３】
前記ユーザのモバイル装置を介して実行される取引に対応する取引情報を前記ウェブアプリケーションを介して取り出し、ユーザのコンピュータを介してユーザに表示するステップをさらに含む、請求項１４２２に記載の方法。
【請求項１４２４】
前記口座についての更新された口座残高情報を取得するために、前記金融サービスプロバイダと通信するステップと、
更新された口座残高情報を前記ＭＦＴＳから前記ユーザモバイル装置に無線で伝達するステップと、をさらに備え、
それによって、前記ＭＦＴＳからの更新された口座残高情報の受け取りに応答して、前記ユーザモバイル装置が、前記口座に対応する更新された口座残高情報を前記ユーザに表示する、
請求項１４０４に記載の方法。
【請求項１４２５】
無線ネットワークと通信のために接続されたモバイル装置によって開始されるモバイル金銭支払を円滑化するためのモバイル金銭取引システム（ＭＦＴＳ）であって、
ユーザ情報、１つまたは複数の被支払人に関連づけられた支払実行情報、およびモバイル装置ユーザに関連づけられた支払元情報を保存するためのモバイル金銭取引システム（ＭＦＴＳ）データベースと、
前記ＭＦＴＳデータベースを維持し、モバイル金銭支払に関与するエンティティ間で電子通信を実行する、モバイル金銭取引システム（ＭＦＴＳ）コンピュータシステムと、
前記ＭＦＴＳコンピュータシステム上で動作するＭＦＴＳソフトウェアであって、
前記ユーザモバイル装置から伝達されるモバイル支払命令を受け取るステップであって、前記モバイル支払命令が、支払実行および支払いを実行するための支払元に対応する情報を備える、コンピュータ実施ステップと、
前記モバイル支払命令の受け取りに応答して、前記支払いを受け取るための識別された被支払人に対応する情報、および支払元に対応する情報を、前記ＭＦＴＳデータベースから取り出すコンピュータ実施ステップと、
支払命令受領者に対するＭＦＴＳ支払命令を生成するステップであって、前記ＭＦＴＳ支払命令が、前記支払元を識別する情報、金額、および前記識別された被支払人に対応する情報を少なくとも含む、コンピュータ実施ステップと、
前記ＭＦＴＳ支払命令を前記支払命令受領者に伝達するコンピュータ実施ステップと、
を実行するためのプログラムコードを備えるＭＦＴＳソフトウェアと、を備え、
それによって、前記ＭＦＴＳ支払命令の受け取りに応答して、前記支払命令受領者が、前記識別された被支払人に対する支払いを達成する、モバイル金銭取引システム。
【請求項１４２６】
前記支払実行情報が、請求書を備え、前記被支払人が、支払請求エンティティである、請求項１４２５に記載のシステム。
【請求項１４２７】
前記支払命令受領者が、金融サービスプロバイダ、支払請求アグリゲータ、または別個の支払請求エンティティを備える、請求項１４２５に記載のシステム。
【請求項１４２８】
前記支払実行情報が、外部ソースによって前記ＭＦＴＳに提供され、支払実行情報および被支払人情報の入力のために前記ユーザによってアクセス可能なインターネットアクセス可能ウェブサイトを介して前記ユーザによって入力され、または前記モバイル装置において前記ユーザによって入力される、請求項１４２５に記載のシステム。
【請求項１４２９】
前記支払実行情報のための前記外部ソースが、複数の支払請求エンティティからの請求書情報を提供する請求書提示システムまたは単一の支払請求エンティティの１つまたは複数である、請求項１４２８に記載のシステム。
【請求項１４３０】
前記支払実行情報が、以下の１つまたは複数、すなわち、定期請求書、支払請求アグリゲータからの請求書、個別の支払請求会社からの請求書、「ペイエニワン」支払のうちの１つまたは複数に対応する情報を備える、請求項１４２５に記載のシステム。
【請求項１４３１】
前記ＭＦＴＳソフトウェアが、支払請求エンティティからの請求書情報の受け取りに応答して、ユーザのモバイル装置にメッセージを伝達するようにさらに動作する、請求項１４２５に記載のシステム。
【請求項１４３２】
前記ＭＦＴＳソフトウェアが、モバイル装置と前記ＭＦＴＳの間の通信を円滑化するために、ユーザモバイル装置にダウンロード可能モバイルウォレットアプリケーションを提供するようにさらに動作する、請求項１４２５に記載のシステム。
【請求項１４３３】
前記モバイルウォレットアプリケーションが、請求書閲覧コマンド、支払元閲覧コマンド、および請求書支払コマンドのうちの１つまたは複数を含む選択可能なコマンドの表示をモバイル装置上で提供する、請求項１４３２に記載のシステム。
【請求項１４３４】
前記ＭＦＴＳソフトウェアが、前記モバイル装置における前記支払元閲覧コマンドのユーザ活動化に応答して、１つまたは複数の金融サービスプロバイダから現在の口座情報を取り出し、前記１つまたは複数の金融サービスプロバイダからそのような情報を受け取ったときに前記現在の口座情報を前記モバイル装置に伝達するようにさらに動作する、請求項１４３２に記載のシステム。
【請求項１４３５】
前記識別された被支払人が、請求書情報を前記ＭＦＴＳに伝達した支払請求エンティティに対応する、請求項１４２５に記載のシステム。
【請求項１４３６】
前記ＭＦＴＳソフトウェアが、支払実行情報を前記モバイル装置に伝達するようにさらに動作し、前記モバイル装置に伝達される前記支払実行情報が、被支払人識別子と、金額と、支払期日とから成る、請求項１４２５に記載のシステム。
【請求項１４３７】
前記ＭＦＴＳデータベースが、ユーザのモバイル金銭取引に対応する取引情報を保存し、前記取引情報が、前記支払実行のステータスを追跡するために利用される他の情報に加えて、前記支払実行情報も含む、請求項１４２５に記載のシステム。
【請求項１４３８】
前記取引情報が、以下の情報項目の１つまたは複数、すなわち、ユーザＩＤ番号、取引識別子、請求書受取日付、請求書支払期日、金額、金融サービスプロバイダ識別子、口座識別子、被支払人識別子、未完／完了フラグのうちの１つまたは複数を含む、請求項１４３７に記載のシステム。
【請求項１４３９】
前記ＭＦＴＳソフトウェアが、前記支払いを実行する際の所定の段階において、支払確認メッセージを前記支払命令受領者から受け取るようにさらに動作する、請求項１４２５に記載のシステム。
【請求項１４４０】
前記ＭＦＴＳソフトウェアが、前記支払命令受領者からの前記支払確認メッセージの受け取りに応答して、支払確認メッセージを前記モバイル装置に伝達するようにさらに動作する、請求項１４３９に記載のシステム。
【請求項１４４１】
前記ＭＦＴＳソフトウェアが、支払いを実行するための支払方法の選択に対応する入力を前記ユーザのモバイル装置から受け取り、前記選択された支払方法に対応する情報を前記支払命令受領者に提供するようにさらに動作する、請求項１４２５に記載のシステム。
【請求項１４４２】
前記選択可能な支払方法が、受領者定義方法、ＡＣＨ資金振替、小切手、および価値保存（ＳＶ）カードを含む、請求項１４４１に記載のシステム。
【請求項１４４３】
前記ＭＦＴＳが、インターネットなどのデータ通信ネットワークを介してユーザのコンピュータと電子通信のために結合され、
前記ＭＦＴＳに関連するウェブアプリケーションを提供するコンピュータ実施ステップと、
金融サービスプロバイダ、金融サービスプロバイダにおける口座、および被支払人に対応するユーザ情報を前記ウェブアプリケーションを介して受け取るコンピュータ実施ステップと、
前記ユーザのモバイル装置を介して開始される取引に関して使用するため、前記ウェブアプリケーションを介して入力された前記ユーザ情報を前記ＭＦＴＳデータベースに保存するコンピュータ実施ステップと、
をさらに備える、請求項１４２５に記載のシステム。
【請求項１４４４】
前記ＭＦＴＳソフトウェアが、前記ユーザのモバイル装置を介して実行される取引に対応する取引情報を前記ウェブアプリケーションを介して取り出し、ユーザのコンピュータを介してユーザに表示するようにさらに動作する、請求項１４４３に記載のシステム。
【請求項１４４５】
前記ＭＦＴＳが、前記口座についての更新された口座残高情報を取得するために、前記金融サービスプロバイダと通信し、
前記ＭＦＴＳが、更新された口座残高情報を前記ＭＦＴＳから前記ユーザモバイル装置に無線で伝達し、
それによって、前記ＭＦＴＳからの更新された口座残高情報の受け取りに応答して、前記モバイル装置が、前記口座に対応する更新された口座残高情報を前記ユーザに表示する、
請求項１４２５に記載のシステム。
【請求項１４４６】
（＊＊モバイル環境における被支払人による支払方法選択のための方法およびシステム＊＊）無線ネットワークと通信のために接続されたモバイル装置の使用によって円滑化される金銭支払を受け取るための方法であって、
ユーザ／被支払人のモバイル装置と無線通信のために結合されるモバイル金銭取引システム（ＭＦＴＳ）を提供するステップであって、前記ＭＦＴＳが、様々な方法によって支払いを達成する支払命令受領者と電子通信のために結合され、前記ＭＦＴＳが、ユーザ／被支払人情報を保存するためのモバイル金銭取引システム（ＭＦＴＳ）データベースを含む、ステップと、
受け取られる支払いに対応する情報を前記ユーザ／被支払人のモバイル装置に提供するステップと、
前記支払いを受け取るための前記ユーザ／被支払人に利用可能な複数の選択可能な支払方法に対応する情報を表示するステップと、
前記モバイル装置において、前記支払いを受け取るための支払方法の選択に対応するユーザ／被支払人入力を受け取るステップと、
前記モバイル装置において、前記ユーザ／被支払人入力に応答して、前記選択された支払方法に対応する情報を備えるモバイル支払命令を生成するステップと、
前記モバイル支払命令を前記ユーザ／被支払人のモバイル装置から前記ＭＦＴＳに無線で伝達するステップと、
前記ＭＦＴＳにおいて、前記モバイル支払命令の受け取りに応答して、前記支払命令内で識別された前記選択された支払方法に対応する情報を、前記ＭＦＴＳデータベースから取り出すステップと、
前記ＭＦＴＳにおいて、前記支払命令受領者に対するＭＦＴＳ支払命令を生成するステップであって、前記ＭＦＴＳ支払命令が、金額、識別された被支払人に対応する情報、および前記選択された支払方法を指示する情報を少なくとも含む、ステップと、
前記ＭＦＴＳ支払命令を前記ＭＦＴＳから前記支払命令受領者に伝達するステップと、を備え、
それによって、前記支払命令受領者が、前記ＭＦＴＳ支払命令の受け取りに応答して、前記選択された支払方法を利用して、前記ユーザ／被支払人に対する支払いを達成する、方法。
【請求項１４４７】
前記ユーザ／被支払人が、金融サービスプロバイダと関係を維持し、支払方法の前記選択が、前記支払いを受け取るための前記金融サービスプロバイダにおける口座の選択を備える、請求項１４４６に記載の方法。
【請求項１４４８】
前記受け取られる支払いに対応する情報を前記ユーザ／被支払人のモバイル装置において提供する前記ステップが、前記ＭＦＴＳから前記モバイル装置にメッセージを提供するステップを備える、請求項１４４６に記載の方法。
【請求項１４４９】
前記メッセージが、テキストメッセージである、請求項１４４８に記載の方法。
【請求項１４５０】
前記受け取られる支払いに対応する情報を前記ユーザ／被支払人のモバイル装置において提供する前記ステップが、前記情報をモバイルウォレットアプリケーションを介して表示するステップを備える、請求項１４４６に記載の方法。
【請求項１４５１】
前記ユーザ／被支払人のモバイル装置上でモバイルウォレットアプリケーションを提供するステップをさらに備える、請求項１４４６に記載の方法。
【請求項１４５２】
前記ユーザ／被支払人が、支払いの受け取りを指示するメッセージを前記ＭＦＴＳから受け取り、前記モバイルウォレットアプリケーションを前記ユーザ／被支払人のモバイル装置にダウンロードし、その後、前記支払いを受け取るために前記モバイルウォレットアプリケーションを利用する、請求項１４５１に記載の方法。
【請求項１４５３】
前記モバイルウォレットアプリケーションが、支払方法選択コマンドを含む選択可能なコマンドの表示を前記モバイル装置上で提供する、請求項１４８４に記載の方法。
【請求項１４５４】
前記選択可能な支払方法が、ＡＣＨ支払方法、小切手方法、および価値保存カード方法の１つまたは複数を含む、請求項１４４６に記載の方法。
【請求項１４５５】
デフォルト支払方法が、ユーザ／被支払人情報として保存され、前記モバイル装置が、前記デフォルト支払方法を使用するか、それとも別の支払方法を選択するかについてのプロンプトを前記ユーザ／被支払人に表示し、前記ユーザ／被支払人によって別の利用可能な支払方法の選択が行われない場合、前記デフォルト支払方法が、前記支払いを実行するために利用される、請求項１４４６に記載の方法。
【請求項１４５６】
無線ネットワークと通信のために接続されたモバイル装置の使用によって円滑化される金銭支払を受け取るためのシステムであって、
モバイル金銭取引システム（ＭＦＴＳ）と無線通信のために結合されるモバイル装置であって、支払方法の選択に対応するユーザ／被支払人入力を受け取るように動作し、前記選択された支払方法に対応する情報を備えるモバイル支払命令を生成し、前記モバイル支払命令を前記ＭＦＴＳに無線で伝達するようにさらに動作する、モバイル装置と、
ユーザ／被支払人の前記モバイル装置と無線通信のために結合されるモバイル金銭取引システム（ＭＦＴＳ）であって、様々な方法によって支払いを達成する支払命令受領者と電子通信のために結合され、ユーザ／被支払人情報を保存するためのモバイル金銭取引システム（ＭＦＴＳ）データベースを含む、モバイル金銭取引システム（ＭＦＴＳ）と、
前記ＭＦＴＳシステム上で動作するＭＦＴＳソフトウェアであって、
受け取られる支払いに対応する情報を前記ユーザ／被支払人のモバイル装置に提供するコンピュータ実施ステップと、
前記支払いを受け取るための前記ユーザ／被支払人に利用可能な複数の選択可能な支払方法に対応する情報を提供するコンピュータ実施ステップと、
前記ユーザ／被支払人のモバイル装置からの前記モバイル支払命令の受け取りに応答して、前記支払命令内で識別された前記選択された支払方法に対応する情報を、前記ＭＦＴＳデータベースから取り出すコンピュータ実施ステップと、
支払命令受領者に対するＭＦＴＳ支払命令を生成するステップであって、前記ＭＦＴＳ支払命令が、金額、識別された被支払人に対応する情報、および前記選択された支払方法を指示する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアと、を備え、
それによって、前記支払命令受領者が、前記ＭＦＴＳ支払命令の受け取りに応答して、前記選択された支払方法を利用して、前記ユーザ／被支払人に対する支払いを達成する、システム。
【請求項１４５７】
前記ユーザ／被支払人が、複数の金融サービスプロバイダと関係を維持し、支払方法の前記選択が、前記支払いを受け取るための前記金融サービスプロバイダにおける口座の選択を備える、請求項１４５６に記載のシステム。
【請求項１４５８】
前記受け取られる支払いに対応する情報を前記ユーザ／被支払人のモバイル装置において提供する動作が、前記ＭＦＴＳから前記モバイル装置にメッセージを提供する動作を備える、請求項１４５６に記載のシステム。
【請求項１４５９】
前記メッセージが、テキストメッセージである、請求項１４５８に記載のシステム。
【請求項１４６０】
前記受け取られる支払いに対応する情報を前記ユーザ／被支払人のモバイル装置において提供する前記動作が、前記情報をモバイルウォレットアプリケーションを介して表示する動作を備える、請求項１４５６に記載のシステム。
【請求項１４６１】
前記ＭＦＴＳソフトウェアが、前記ユーザ／被支払人のモバイル装置上でモバイルウォレットアプリケーションを提供するようにさらに動作する、請求項１４５６に記載のシステム。
【請求項１４６２】
前記ユーザ／被支払人が、支払いの受け取りを指示するメッセージを前記ＭＦＴＳから受け取り、前記モバイルウォレットアプリケーションを前記ユーザ／被支払人のモバイル装置にダウンロードし、その後、前記支払いを受け取るために前記モバイルウォレットアプリケーションを利用する、請求項１４６１に記載のシステム。
【請求項１４６３】
前記モバイルウォレットアプリケーションが、支払方法選択コマンドを含む選択可能なコマンドの表示を前記モバイル装置上で提供する、請求項１４６１に記載のシステム。
【請求項１４６４】
前記選択可能な支払方法が、ＡＣＨ支払方法、小切手方法、および価値保存カード方法の１つまたは複数を含む、請求項１４５６に記載のシステム。
【請求項１４６５】
デフォルト支払方法が、ユーザ／被支払人情報として保存され、前記モバイル装置が、前記デフォルト支払方法を使用するか、それとも別の支払方法を選択するかについてのプロンプトを前記ユーザ／被支払人に表示し、前記ユーザ／被支払人によって別の利用可能な支払方法の選択が行われない場合、前記デフォルト支払方法が、前記支払いを実行するために利用される、請求項１４５６に記載のシステム。
【請求項１４６６】
無線ネットワークと通信のために接続されたモバイル装置の使用によって円滑化される金銭支払を受け取るための方法であって、
受け取られる支払いに対応する情報をユーザ／被支払人のモバイル装置においてモバイル金銭取引システム（ＭＦＴＳ）から無線で受け取るステップと、
前記支払いを受け取るための複数の選択可能な支払方法に対応する情報を前記モバイル装置上に表示するステップと、
前記支払いを受け取るための支払方法の選択に対応するユーザ／被支払人入力を前記モバイル装置上で受け取るステップと、
前記選択された支払方法に対応する情報を備えるモバイル支払命令を生成するステップと、
前記モバイル支払命令を前記ユーザ／被支払人のモバイル装置から前記ＭＦＴＳに無線で伝達するステップと、
それによって、前記モバイル支払命令の受け取りに応答して、前記ＭＦＴＳが、前記選択された支払方法を利用して、前記ユーザ／被支払人に対する支払いを達成する、方法。
【請求項１４６７】
前記ユーザ／被支払人が、複数の金融サービスプロバイダと関係を維持し、支払方法の前記選択が、前記支払いを受け取るための前記金融サービスプロバイダにおける口座の選択を備える、請求項１４６６に記載の方法。
【請求項１４６８】
前記受け取られる支払いに対応する情報を前記ユーザ／被支払人のモバイル装置において受け取る前記ステップが、前記ＭＦＴＳから前記モバイル装置へのメッセージを受け取るステップを備える、請求項１４６６に記載の方法。
【請求項１４６９】
前記メッセージが、テキストメッセージである、請求項１４６８に記載の方法。
【請求項１４７０】
前記受け取られる支払いに対応する情報を前記ユーザ／被支払人のモバイル装置において受け取る前記ステップが、前記情報をモバイルウォレットアプリケーションを介して表示するステップをさらに備える、請求項１４６６に記載の方法。
【請求項１４７１】
前記ユーザ／被支払人のモバイル装置上でモバイルウォレットアプリケーションを提供するステップをさらに備える、請求項１４６６に記載の方法。
【請求項１４７２】
前記ユーザ／被支払人が、支払いの受け取りを指示するメッセージを前記ＭＦＴＳから受け取り、前記モバイルウォレットアプリケーションを前記ユーザ／被支払人のモバイル装置にダウンロードし、その後、前記支払いを受け取るために前記モバイルウォレットアプリケーションを利用する、請求項１４７１に記載の方法。
【請求項１４７３】
前記モバイルウォレットアプリケーションが、支払方法選択コマンドを含む選択可能なコマンドの表示を前記モバイル装置上で提供する、請求項１４７１に記載の方法。
【請求項１４７４】
前記選択可能な支払方法が、ＡＣＨ支払方法、小切手方法、および価値保存カード方法の１つまたは複数を含む、請求項１４６６に記載の方法。
【請求項１４７５】
デフォルト支払方法が、ユーザ／被支払人情報として保存され、前記モバイル装置が、前記デフォルト支払方法を使用するか、それとも別の支払方法を選択するかについてのプロンプトを前記ユーザ／被支払人に表示し、前記ユーザ／被支払人によって別の利用可能な支払方法の選択が行われない場合、前記デフォルト支払方法が、前記支払いを実行するために利用される、請求項１４６６に記載の方法。
【請求項１４７６】
金銭支払の受け取りを円滑化するためのモバイル装置であって、
モバイル通信サービスプロバイダを介してモバイル金銭取引システム（ＭＦＴＳ）に無線通信のために接続されるモバイル装置であって、ディスプレイと、ユーザ入力手段と、プロセッサと、メモリとを含むモバイル装置と、
前記モバイル装置プロセッサ上で動作するモバイル装置ソフトウェアであって、
受け取られる支払いに対応する情報をユーザ／被支払人のモバイル装置においてモバイル金銭取引システム（ＭＦＴＳ）から受け取るコンピュータ実施ステップと、
前記支払いを受け取るための複数の選択可能な支払方法に対応する情報を前記モバイル装置上に表示するコンピュータ実施ステップと、
前記支払いを受け取るための支払方法の選択に対応するユーザ／被支払人入力を前記モバイル装置上で受け取るコンピュータ実施ステップと、
前記選択された支払方法に対応する情報を備えるモバイル支払命令を生成するコンピュータ実施ステップと、
前記モバイル支払命令を前記ユーザ／被支払人のモバイル装置から前記ＭＦＴＳに無線で伝達するコンピュータ実施ステップと、
を実行するためのプログラムコードを備えるモバイル装置ソフトウェアと、を備え、
それによって、前記モバイル支払命令の受け取りに応答して、前記ＭＦＴＳが、前記選択された支払方法を利用して、前記ユーザ／被支払人に対する支払いを達成する、モバイル装置。
【請求項１４７７】
前記ユーザ／被支払人が、複数の金融サービスプロバイダと関係を維持し、支払方法の前記選択が、前記支払いを受け取るための前記金融サービスプロバイダにおける口座の選択を備える、請求項１４７６に記載の装置。
【請求項１４７８】
前記受け取られる支払いに対応する情報を前記ユーザ／被支払人のモバイル装置において受け取る動作が、メッセージを前記モバイル装置において前記ＭＦＴＳから受け取る動作を備える、請求項１４７６に記載の装置。
【請求項１４７９】
前記メッセージが、テキストメッセージである、請求項１４７８に記載の装置。
【請求項１４８０】
前記受け取られる支払いに対応する情報を前記ユーザ／被支払人のモバイル装置において受け取る前記動作が、前記情報をモバイルウォレットアプリケーションを介して表示する動作をさらに備える、請求項１４７６に記載の装置。
【請求項１４８１】
前記モバイル装置が、モバイルウォレットアプリケーションを含む、請求項１４７６に記載の装置。
【請求項１４８２】
前記ユーザ／被支払人が、支払いの受け取りを指示するメッセージを前記ＭＦＴＳから受け取り、前記モバイルウォレットアプリケーションを前記ユーザ／被支払人のモバイル装置にダウンロードし、その後、前記支払いを受け取るために前記モバイルウォレットアプリケーションを利用する、請求項１４８１に記載の装置。
【請求項１４８３】
前記モバイルウォレットアプリケーションが、支払方法選択コマンドを含む選択可能なコマンドの表示を前記モバイル装置上で提供する、請求項１４８１に記載の装置。
【請求項１４８４】
前記選択可能な支払方法が、ＡＣＨ支払方法、小切手方法、および価値保存カード方法の１つまたは複数を含む、請求項１４７６に記載の装置。
【請求項１４８５】
デフォルト支払方法が、ユーザ／被支払人情報として保存され、前記モバイル装置が、前記デフォルト支払方法を使用するか、それとも別の支払方法を選択するかについてのプロンプトを前記ユーザ／被支払人に表示し、前記ユーザ／被支払人によって別の利用可能な支払方法の選択が行われない場合、前記デフォルト支払方法が、前記支払いを実行するために利用される、請求項１４７６に記載の装置。
【請求項１４８６】
無線ネットワークと通信のために接続されたモバイル装置の使用によって金銭支払を円滑化するための方法であって、
ユーザ／被支払人のモバイル装置と無線通信のために結合されるモバイル金銭取引システム（ＭＦＴＳ）を提供するステップであって、前記ＭＦＴＳが、様々な方法によって支払いを達成する支払命令受領者と電子通信のために結合され、前記ＭＦＴＳが、ユーザ／被支払人情報を保存するためのモバイル金銭取引システム（ＭＦＴＳ）データベースを含む、ステップと、
受け取られる支払いに対応する情報を前記ユーザ／被支払人のモバイル装置に提供するステップと、
前記支払いを受け取るための前記ユーザ／被支払人に利用可能な複数の選択可能な支払方法に対応する情報を前記ユーザ／被支払人のモバイル装置に提供するステップと、
選択された支払方法に対応する情報を備えるモバイル支払命令を前記ユーザ／被支払人のモバイル装置から無線で受け取るステップと、
前記モバイル支払命令の受け取りに応答して、前記支払命令内で識別された前記選択された支払方法に対応する情報を、前記ＭＦＴＳデータベースから取り出すステップと、
支払命令受領者に対するＭＦＴＳ支払命令を生成するステップであって、前記ＭＦＴＳ支払命令が、金額、識別された被支払人に対応する情報、および前記選択された支払方法を指示する情報を少なくとも含む、ステップと、
前記ＭＦＴＳ支払命令を前記支払命令受領者に伝達するステップと、を備え、
それによって、前記支払命令受領者が、前記ＭＦＴＳ支払命令の受け取りに応答して、前記選択された支払方法を利用して、前記ユーザ／被支払人に対する支払いを達成する、方法。
【請求項１４８７】
前記ユーザ／被支払人が、複数の金融サービスプロバイダと関係を維持し、支払方法の前記選択が、前記支払いを受け取るための前記金融サービスプロバイダにおける口座の選択を備える、請求項１４８６に記載の方法。
【請求項１４８８】
前記受け取られる支払いに対応する情報を前記ユーザ／被支払人のモバイル装置に提供する前記ステップが、前記モバイル装置にメッセージを提供するステップを備える、請求項１４８６に記載の方法。
【請求項１４８９】
前記メッセージが、テキストメッセージである、請求項１４８８に記載の方法。
【請求項１４９０】
前記受け取られる支払いに対応する情報を前記ユーザ／被支払人のモバイル装置に提供する前記ステップが、モバイルウォレットアプリケーションを介した表示のために情報を提供するステップを備える、請求項１４８６に記載の方法。
【請求項１４９１】
前記ユーザ／被支払人のモバイル装置上で使用するためにダウンロード可能モバイルウォレットアプリケーションを提供するステップをさらに備える、請求項１４８６に記載の方法。
【請求項１４９２】
前記ユーザ／被支払人が、支払いの受け取りを指示するメッセージを前記ＭＦＴＳから受け取り、前記モバイルウォレットアプリケーションを前記ユーザ／被支払人のモバイル装置にダウンロードし、その後、前記支払いを受け取るために前記モバイルウォレットアプリケーションを利用する、請求項１４９１に記載の方法。
【請求項１４９３】
前記モバイルウォレットアプリケーションが、支払方法選択コマンドを含む選択可能なコマンドの表示を前記モバイル装置上で提供する、請求項１４９１に記載の方法。
【請求項１４９４】
前記選択可能な支払方法が、ＡＣＨ支払方法、小切手方法、および価値保存カード方法の１つまたは複数を含む、請求項１４８６に記載の方法。
【請求項１４９５】
デフォルト支払方法が、ユーザ／被支払人情報として保存され、前記モバイル装置が、前記デフォルト支払方法を使用するか、それとも別の支払方法を選択するかについてのプロンプトを前記ユーザ／被支払人に表示し、前記ユーザ／被支払人によって別の利用可能な支払方法の選択が行われない場合、前記デフォルト支払方法が、前記支払いを実行するために利用される、請求項１４８６に記載の方法。
【請求項１４９６】
無線ネットワークと通信のために接続されたモバイル装置の使用によって金銭支払を円滑化するためのシステムであって、
それに対する支払いが意図されたユーザ／被支払人のモバイル装置を含む１つまたは複数のモバイル装置と無線通信のために結合されるモバイル金銭取引システム（ＭＦＴＳ）であって、様々な方法によって支払いを達成する支払命令受領者と電子通信のために結合される、モバイル金銭取引システム（ＭＦＴＳ）と、
ユーザ／被支払人情報を保存するためのモバイル金銭取引システム（ＭＦＴＳ）データベースと、
ＭＦＴＳソフトウェアであって、
受け取られる支払いに対応する情報を前記ユーザ／被支払人のモバイル装置に提供するコンピュータ実施ステップと、
前記支払いを受け取るための前記ユーザ／被支払人に利用可能な複数の選択可能な支払方法に対応する情報を前記ユーザ／被支払人のモバイル装置に提供するコンピュータ実施ステップと、
選択された支払方法に対応する情報を備えるモバイル支払命令を前記ユーザ／被支払人のモバイル装置から無線で受け取るステップと、
前記モバイル支払命令に応答して、前記支払命令内で識別された前記選択された支払方法に対応する情報を、前記ＭＦＴＳデータベースから取り出すコンピュータ実施ステップと、
支払命令受領者に対するＭＦＴＳ支払命令を生成するステップであって、前記ＭＦＴＳ支払命令が、金額、識別された被支払人に対応する情報、および前記選択された支払方法を指示する情報を少なくとも含む、コンピュータ実施ステップと、
前記ＭＦＴＳ支払命令を前記支払命令受領者に伝達するコンピュータ実施ステップと、
を実行するためのプログラムコードを備えるＭＦＴＳソフトウェアと、を備え、
それによって、前記支払命令受領者が、前記ＭＦＴＳ支払命令の受け取りに応答して、前記選択された支払方法を利用して、前記ユーザ／被支払人に対する支払いを達成する、システム。
【請求項１４９７】
前記ユーザ／被支払人が、複数の金融サービスプロバイダと関係を維持し、支払方法の前記選択が、前記支払いを受け取るための前記金融サービスプロバイダにおける口座の選択を備える、請求項１４９６に記載のシステム。
【請求項１４９８】
前記受け取られる支払いに対応する情報を前記ユーザ／被支払人のモバイル装置に提供する動作が、前記モバイル装置にメッセージを提供する動作を備える、請求項１４９６に記載のシステム。
【請求項１４９９】
前記メッセージが、テキストメッセージである、請求項１４９８に記載のシステム。
【請求項１５００】
前記受け取られる支払いに対応する情報を前記ユーザ／被支払人のモバイル装置に提供する前記動作が、モバイルウォレットアプリケーションを介した表示のために情報を提供する動作を備える、請求項１４９６に記載のシステム。
【請求項１５０１】
前記ユーザ／被支払人のモバイル装置上で使用するためにダウンロード可能モバイルウォレットアプリケーションを提供するサーバをさらに備える、請求項１４９６に記載のシステム。
【請求項１５０２】
前記ユーザ／被支払人が、支払いの受け取りを指示するメッセージを前記ＭＦＴＳから受け取り、前記モバイルウォレットアプリケーションを前記ユーザ／被支払人のモバイル装置にダウンロードし、その後、前記支払いを受け取るために前記モバイルウォレットアプリケーションを利用する、請求項１５０１に記載のシステム。
【請求項１５０３】
前記モバイルウォレットアプリケーションが、支払方法選択コマンドを含む選択可能なコマンドの表示を前記モバイル装置上で提供する、請求項１５０１に記載のシステム。
【請求項１５０４】
前記選択可能な支払方法が、ＡＣＨ支払方法、小切手方法、および価値保存カード方法の１つまたは複数を含む、請求項１４９６に記載のシステム。
【請求項１５０５】
デフォルト支払方法が、ユーザ／被支払人情報として保存され、前記モバイル装置が、前記デフォルト支払方法を使用するか、それとも別の支払方法を選択するかについてのプロンプトを前記ユーザ／被支払人に表示し、前記ユーザ／被支払人によって別の利用可能な支払方法の選択が行われない場合、前記デフォルト支払方法が、前記支払いを実行するために利用される、請求項１４９６に記載のシステム。
【発明の詳細な説明】
【技術分野】
【０００１】
関連出願の相互参照
本出願は、以下の米国特許出願に関連し、参照により以下の米国特許出願を組み込んでいる。
【０００２】
２００６年７月６日に出願した「Ｍｅｔｈｏｄｓ  ａｎｄ  Ｓｙｓｔｅｍｓ  ｆｏｒ  Ｐａｙｍｅｎｔ  Ｔｒａｎｓａｃｔｉｏｎｓ  ｉｎ  ａ  Ｍｏｂｉｌｅ  Ｅｎｖｉｒｏｎｍｅｎｔ」という名称の出願第１１／４２８，８５７号。
【０００３】
２００６年７月６日に出願した「Ｍｅｔｈｏｄｓ  ａｎｄ  Ｓｙｓｔｅｍｓ  ｆｏｒ  Ｍａｋｉｎｇ  ａ  Ｐａｙｍｅｎｔ  ｖｉａ  ａ  Ｐａｐｅｒ  Ｃｈｅｃｋ  ｉｎ  ａ  Ｍｏｂｉｌｅ  Ｅｎｖｉｒｏｎｍｅｎｔ」という名称の出願第１１／４２８，８５９号。
【０００４】
２００６年７月６日に出願した「Ｍｅｔｈｏｄｓ  ａｎｄ  Ｓｙｓｔｅｍｓ  ｆｏｒ  Ｍａｋｉｎｇ  ａ  Ｐａｙｍｅｎｔ  ｖｉａ  ａ  Ｓｔｏｒｅｄ  Ｖａｌｕｅ  Ｃａｒｄ  ｉｎ  ａ  Ｍｏｂｉｌｅ  Ｅｎｖｉｒｏｎｍｅｎｔ」という名称の出願第１１／４２８，８６０号。
【０００５】
２００６年７月６日に出願した「Ｍｅｔｈｏｄｓ  ａｎｄ  Ｓｙｓｔｅｍｓ  ｆｏｒ  Ｖｉｅｗｉｎｇ  Ａｇｇｒｅｇａｔｅｄ  Ｐａｙｍｅｎｔ  Ｏｂｌｉｇａｔｉｏｎｓ  ｉｎ  ａ  Ｍｏｂｉｌｅ  Ｅｎｖｉｒｏｎｍｅｎｔ」という名称の出願第１１／４２８，８６１号。
【０００６】
２００６年７月６日に出願した「Ｍｅｔｈｏｄｓ  ａｎｄ  Ｓｙｓｔｅｍｓ  ｆｏｒ  Ｐｒｏｖｉｄｉｎｇ  ａ  Ｐａｙｍｅｎｔ  ｉｎ  ａ  Ｍｏｂｉｌｅ  Ｅｎｖｉｒｏｎｍｅｎｔ」という名称の出願第１１／４２８，８６４号。
【０００７】
２００６年７月６日に出願した「Ｍｅｔｈｏｄｓ  ａｎｄ  Ｓｙｓｔｅｍｓ  ｆｏｒ  Ｍａｎａｇｉｎｇ  Ｐａｙｍｅｎｔ  Ｓｏｕｒｃｅｓ  ｉｎ  ａ  Ｍｏｂｉｌｅ  Ｅｎｖｉｒｏｎｍｅｎｔ」という名称の出願第１１／４２８，８６６号。
【０００８】
２００６年７月６日に出願した「Ｍｅｔｈｏｄｓ  ａｎｄ  Ｓｙｓｔｅｍｓ  ｆｏｒ  Ｒｅａｌ  Ｔｉｍｅ  Ａｃｃｏｕｎｔ  Ｂａｌａｎｃｅｓ  ｉｎ  ａ  Ｍｏｂｉｌｅ  Ｅｎｖｉｒｏｎｍｅｎｔ」という名称の出願第１１／４２８，８７０号。
【０００９】
２００６年７月６日に出願した「Ｍｅｔｈｏｄｓ  ａｎｄ  Ｓｙｓｔｅｍｓ  ｆｏｒ  Ｄｉｓｔｒｉｂｕｔｉｏｎ  ｏｆ  ａ  Ｍｏｂｉｌｅ  Ｗａｌｌｅｔ  ｆｏｒ  ａ  Ｍｏｂｉｌｅ  Ｄｅｖｉｃｅ」という名称の出願第１１／４２８，８７４号。
【００１０】
２００６年７月６日に出願した「Ｍｅｔｈｏｄｓ  ａｎｄ  Ｓｙｓｔｅｍｓ  ｆｏｒ  Ｉｎｄｉｃａｔｉｎｇ  ａ  Ｐａｙｍｅｎｔ  ｉｎ  ａ  Ｍｏｂｉｌｅ  Ｅｎｖｉｒｏｎｍｅｎｔ」という名称の出願第１１／４２８，８７６号。
【００１１】
２００６年７月６日に出願した「Ｍｅｔｈｏｄｓ  ａｎｄ  Ｓｙｓｔｅｍｓ  ｆｏｒ  Ｐａｙｍｅｎｔ  Ｍｅｔｈｏｄ  Ｓｅｌｅｃｔｉｏｎ  ｂｙ  ａ  Ｐａｙｅｅ  ｉｎ  ａ  Ｍｏｂｉｌｅ  Ｅｎｖｉｒｏｎｍｅｎｔ」という名称の出願第１１／４２８，８７９号。
【００１２】
本発明は、一般に金融取引に関し、より詳細には、モバイル電話（mobile telephone）（セル電話（cellphone））またはワイヤレス接続された携帯情報端末（personal digital assistant）（ＰＤＡ）などのモバイル装置（mobile device）を使用してモバイル環境において金融取引を実施するための方法およびシステムに関する。
【背景技術】
【００１３】
モバイル社会において多忙な消費者は自らの時間の使用を最大化することを追求する。携帯情報端末（「ＰＤＡ」）およびモバイル電話（「セル電話」）などの電子装置は、ユーザがどこへ行く場合があろうと、その他の人々およびその他の機関との通信を可能にすることによってより効率的な時間使用の約束を提供する。モバイル消費者の１つの特定の要求は、銀行口座、クレジットカード、その他の資金元における残高など、自らの経済状態を安全に（securely）管理して、請求書に対する支払い、第三者および家族への資金の転送など、金融債務を迅速だが効率的に果たすためのよりよい能力である。いくつかの有用なウェブベースの金融サービスプログラムおよびパーソナルコンピュータ（ＰＣ）ベースの金融サービスプログラムが消費者および会社に利用可能である。これらはＩｎｔｕｉｔ  Ｉｎｃ．からの人気のあるＱＵＩＣＫＥＮ（商標）製品、Ｍｉｃｒｏｓｏｆｔ  Ｃｏｒｐ．によるＭＩＣＲＯＳＯＦＴ  ＭＯＮＥＹなどを含む。
【００１４】
しかし、金銭支払および資金管理に対するこれらのウェブベースおよびＰＣベースの解決法は、ユーザがネットワーク接続されたＰＣへのアクセスを有することを要求する。ＰＣは、モバイル消費者が請求書に対して支払う必要がある場合、常にモバイル消費者に容易に利用可能でない場合がある。しかし、セル電話またはＰＤＡなどのモバイル装置は利用可能である可能性がより高い。（平均的な消費者が自らがセル電話を紛失したかどうかを約６分以内に知るが、自らの従来の財布を紛失したことに気づくには約１８分かかるほど、現代のモバイル通信装置はありふれたものとなっている。）
モバイル社会において消費者は、鍵、財布、カード、および電子装置など、様々な個人財産を持ち運ぶ傾向がある。現在人気のある電子装置は、モバイル電話、ＰＤＡ、ＭＰ３プレイヤーまたはその他のタイプの音楽プレイヤー（例えば、ＡＰＰＬＥ  ｉＰＯＤ（商標））、およびパーソナルビデオプレイヤー（やはり、ＡＰＰＬＥ  ｉＰＯＤ（商標））を含む。かかる電子装置は機能性に関して収斂しているが、モバイル社会の平均的な消費者は、財布、小切手帳、複数のクレジットカード、デビットカード、会員券、ロイヤルティ（ポイント）カード、鍵など、あまりにも多くのその他の個人財産を持ち運ぶ傾向が依然としてある。乱雑な個人的財産のうちの一部を軽減するために電子通信装置およびモバイル通信装置のさらなる統合および収斂が将来期待されるが、現在の通信サービスインフラストラクチャおよび金融サービスインフラストラクチャは、依然としてモバイル金融取引の効果的な実施ならびに乱雑な個人財産の削減の必要性に欠ける。
【００１５】
残念ながら、現在のモバイル装置技術および金融サービスインフラストラクチャは、モバイル環境において個人の金融ニーズに対する便利で安全（secure）かつ迅速な対応を提供しない。移動通信電話またはＰＤＡなどのモバイル装置がモバイル金融取引のためにうまく使用されることを可能にするために、取引に関するいくつかの機能性が重要である。個人の金銭支払債務は多くのソース（請求書および抵当権に対する支払い、金銭を送ること、小売店販売場所(retail establishment point of sale)（ＰＯＳ）での購入のチェックアウトなど）から生じる。かかる債務は数十もの（またはより多くの）異なるエンティティを伴う場合がある。異なるエンティティは異なる支払形式を要求する可能性がある。モバイル消費者にとって魅力的なモバイル金融取引システムは、支払債務（Payment Obligation）のアグリゲーション（aggregation）および統合を提供して、小切手、直接資金振替、クレジットカード口座の使用など、支払手段の選択を可能にするであろう。価値保存（ＳＶ）カードは、いくつかの団体、特に、いわゆる「非銀行利用者（unbanked）」（すなわち、開設された銀行口座を有さず、現金で商取引を行う傾向があり得る人々）の中でますます人気が高まっている支払オプションである。
【００１６】
同様に、個人は複数の支払元および資金元（クレジットカード、貯蓄特徴および小切手特徴を有する銀行口座、デビットカードなど）を有する場合がある。人々は、多くの場合、いくつかの支払債務を支払うためにどの資金元が使用されるべきかについて好みを有する。銀行口座はいくつかの支払いに関して所望される場合があり、一方、「常連ユーザ」プログラムなどのロイヤルティプログラムへの参加など、多くの理由で、クレジットカードがその他の取引に所望される場合がある。支払いに関して特定の資金元を使用する前に、消費者は、多くの場合、利用可能な資金残高または信用残高に関する情報を有することを必要としまたはそれを望む。モバイル装置からのいくつかの形式の口座残高照会、または場合によっては、リアルタイム残高情報更新が望まれる。残高情報に加えて、移動可能な状態で、その他の金融機関業務を起動する能力が望まれる。かかるその他の業務は、任意の時点でどこででも、銀行施設に本人が現れることまたはインターネット接続性を有するＰＣ端末の前に現れることを要求することを伴わない、口座間の資金振替、特定の金融機関からの異なる支払元（payment source）または支払口座の選択、送金および支払い、融資の照会および支払いなどを含む。
【００１７】
いくつかのオンライン金融サービスプロバイダ（financial service provider）（例えば、ＣｈｅｃｋＦｒｅｅ  Ｃｏｒｐｏｒａｔｉｏｎ）は、それにより複数の支払債務が集中型コンピュータ装置内に収集されて、リストとして消費者に提供される「請求書アグリゲーション」または「請求書提示」として知られているサービスを提供する。例えば、Ｋｉｔｃｈｅｎ他に対する米国特許第６，２８９，３２２号は、「オンライン請求書支払」に関して使用され得る、支払請求情報を電子的に提示する方法を説明する。この方法は、その異なる部分が（支払人など）異なる人々に対する請求書を表す、複数の異なる請求書作成者に関連する支払請求情報を受け取ることを含む。支払請求情報はそれぞれの記録された（registered）ユーザすなわち支払人に関して統合される。個々のカスタマは、口座を記録し、請求書作成者に関する情報を加え、金融機関に関する情報を加え、請求書に対してオンラインで支払うためにインターネットウェブサイトに進むことが可能である。しかし、米国特許第６，２８９，３２２号特許で説明されるシステムはＰＣおよびインターネットアクセスを有するユーザ向けであり、モバイル環境における使用に関していくつかの欠点を有する。１つの特定の欠点は、ウェブベースのユーザインターフェースは、ユーザの口座および請求書詳細について実にあまりにも多くの情報を提供し、小さなモバイル装置上で閲覧およびナビゲートする（navigate）ことが困難なことである。もう１つの欠点は、オンライン請求書支払と複数の好都合に選択可能な異なる支払元の使用の統合が欠如していることである。
【００１８】
Ｋｉｍ他に対する米国公開特許出願第２００５００８６１６４号は、モバイル電話ネットワークの承認を介して提供される商品またはサービスの請求金額を支払う目的でモバイル電話を利用するための方法を説明する。第一に、買手は支払取引サーバに接続するために自らのモバイル電話を使用する。（それぞれに関する）買手識別コードおよび「商店」識別コードならびに商品またはサービスに対する請求書が支払取引サーバに送信される。支払取引サーバはモバイル電話から受け取られたデータを検査して、買手識別コードに対応する残高に基づいて取引の承認を決定する。承認された場合、承認通知が商店の端末に送られる。商店での承認通知からの確認後、買手は商品またはサービスを受け取る。
【００１９】
Ｋｉｍ他の公開で説明されるシステムは、モバイル電話ネットワークを用いて買手によって開設された前払口座に事前に開設された残高を有することに依存する。さらに、方法は、モバイル電話を介してユーザに音声プロンプトを配信して、モバイル電話キーパッド上のキーの活動化によってユーザのオプション選択を受け取ることを伴う。かかる装置およびシステムは、確かにモバイル電話を使用して金融取引が実施され得る１つの方法であるが、キーパッドデータ入力のためのよく知られている音声プロンプト方法は低速かつ厄介で、よく知られている消費者フラストレーション源である。さらに、現代のモバイル装置は単なる電話ではない。多くのかかる装置は、現在、表示装置、制御、およびキーパッドを含み、無線相互作用に関して音声メッセージおよび音声プロンプトを超えたより多くの方法を提供する。
【００２０】
モバイル通信装置およびモバイル通信システムは、現在、音声プロンプトと電話キーパッドデータ入力とオプション選択の限界を超えて進歩した。第一世代（１Ｇ）モバイル電話システムはアナログ無線音声伝送に限定され、デジタル信号伝送特徴を提供する、より大きな機能性を可能にする第二世代（２Ｇ）システムに超されている。（２Ｇを越える）現在のモバイル装置通信システムは、現在、すべてデジタルであり、音声信号ならびにその他のデータ信号を運ぶためにデータ通信チャネルを利用する。デジタルデータ通信によって可能にされる特徴は、テキストメッセージングのためのショートメッセージシステム（ＳＭＳ）メッセージ、呼出音ダウンロード、およびその他の特徴を含む。消費者指向のモバイル通信システムは、現在、アドバンスド第二世代（advanced second generation）（２．５Ｇ）技術を超えて、モバイル装置に高速の広帯域データ接続性を提供する第三世代（３Ｇ）技術に向かっている。新しい３Ｇシステムおよび３Ｇ装置は、モバイル装置上の完全なインターネット使用、ＳＭＳメッセージング能力、パーソンツーパーソン（person-to-person）直接呼出し、呼出音、音楽、およびビデオなどのコンテンツの直接ダウンロード、ならびに多くのその他の特徴などの能力を可能にする。
【００２１】
注目に値すべきは、現代のモバイル装置は、現在、極めて収斂されたＰＤＡ能力および電話能力を伴う。新しいモバイル装置は、カラー表示装置、タッチスクリーン、完全な電話能力ならびに音楽再生、ストリームビデオ、データ記憶のためのメモリ（例えば、メモリカード）、無線ヘッドセット、赤外線データ接続、および多くのその他の特徴を所有する。好都合で、安全、かつ迅速なモバイル金融取引を円滑にするシステムは、現代の２．５Ｇネットワークおよび３Ｇネットワークならびにそれらの装置において利用可能な通信帯域幅特徴および装置特徴を常にうまく利用することになる。しかし、本発明に先立って、消費者にとって使い易く、乱雑な個人財産の削減を可能にするような方法で、好都合で、安全、かつ迅速なモバイル金融取引を可能にする、消費者が望む利用方法および利用特徴を識別する効果的な試みは存在しない。
【００２２】
特に、消費者は自らの装置を使用する際に強固なセキュリティを要求する。小売販売場所（ＰＯＳ）で使用される場合、消費者は迅速で好都合なチェックアウトを要求する。消費者は、任意の時点で、いくつかの異なる方法のうちのいずれかで「ペイエニワン（PayAnyone）」を実行することが可能でなければならない。消費者には、取引を実施するために必要な情報、必要なかかる情報だけが提供されなければならず、この情報は最新でなければならない。同様に、金融機関は、モバイル環境において開始される取引のために、認証を含む強固なセキュリティを要求する。収益の機会ならびにユーザ保持の機会が存在しなければならない。自動化の使用によりカスタマサービス費用を削減する機会が存在しなければならない。請求書を送る小売店およびエンティティの場合、迅速な支払いが存在しなければならない。任意のＰＯＳ取引は素早く清算されなければならない。クレジットカードおよびデビットカードに基づく請求金額は、素早く認証されて、清算されなければならず、不正行為の防止および削減は金融機関ならびに支払請求エンティティ（billing entity）およびその他の被支払人（payee）の両方にとって主要である。カスタマロイヤルティプログラムの円滑化、または少なくともそのプログラムとの適合性が非常に望まれる。
【００２３】
一部は単に望まれるに過ぎないが、一部は絶対的に必須であるこれらの要件のすべては、今日のモバイル通信サービスインフラストラクチャおよび金融サービスインフラストラクチャに対する課題を提示する。本発明に先立って、満足のいく方法でモバイル通信ベースの金融取引システムのこれらの特徴、目標、および要望のすべてに対処するシステムは作られたことがない。
【００２４】
したがって、モバイル装置を使用している消費者が自らの請求書およびその他の支払債務を統合して、任意の選択可能かつ利用可能な資金を使用して、支払われることになる金額および資金の利用可能な残高の知識を用いて、商品もしくはービスに関する取引先に対して、または誰かにもしくは任意のその他の指定されたエンティティに対して、任意の時点でどこからでも、かかる請求書およびその他の債務に対して支払うことを可能にする包括的な解決法の必要性が存在する。当然、これらのすべては好都合で、安全、かつ迅速でなければならない。
【００２５】
下で詳細に記載および説明されるように、本発明は、モバイル環境において効率的、効果的、頑強、安全かつ好都合な解決法に対するこれらの要件およびその他の要件を満たす金融取引を完了するための様々なシステムおよび方法を構築している。
【発明の概要】
【００２６】
簡潔に説明されるように、本発明は、ユーザ情報および取引情報を保存するモバイル金融取引システムと通信するモバイル電話または無線接続された携帯情報端末などのモバイル装置を利用して、モバイル環境において金融取引を実施するための方法およびシステムに関する。特に、本発明はモバイル環境における支払取引のための方法およびシステムに関する。
【００２７】
本発明の態様は、モバイル装置の形式で、モバイル装置向けのソフトウェアの形式で（例えば、コンピュータ実施方法の形式で）、モバイル金融取引システム（mobile financial transaction system）（ＭＦＴＳ）の形式で、モバイル金融取引システム向けのソフトウェアの形式で（例えば、コンピュータ実施方法の形式で）、モバイル装置およびモバイル金融取引システムの態様を組み合わせるシステムの形式で、およびかかるシステム向けのソフトウェアの形式で（例えば、コンピュータ実施方法を達成するモバイル装置および関連するシステム向けのソフトウェアの形式で）実施される。
【００２８】
１つの主な態様では、本発明は無線ネットワークとの通信のために接続されたモバイル装置を使用してモバイル金銭支払を行うための方法に関する。本方法は、（ｉ）モバイル金融取引システム（ＭＦＴＳ）を提供するステップと、（ｉｉ）ＭＦＴＳにおいて、ユーザによって実行される被支払人に対する支払いに対応する支払実行情報（payment to make information）を受け取るステップと、（ｉｉｉ）ＭＦＴＳにおいて、支払実行情報に基づいて要約支払実行情報（summarized payment to make information）を生成するステップと、（ｉｖ）要約支払実行情報をＭＦＴＳからユーザモバイル装置にＭＣＳＰを介して無線で伝達するステップと、（ｖ）ユーザモバイル装置において、１つまたは複数の選択可能な支払実行に対応する情報を表示するステップとを備える。かかる選択可能な支払実行は被支払人に関連づけられた要約支払実行情報を含む。本方法は、（ｖｉ）ユーザモバイル装置において、支払実行の選択および支払いを実行するための支払元の選択に対応するユーザ入力を受け取るステップと、（ｖｉｉ）ユーザモバイル装置において、ユーザ入力に応答して、選択された支払実行および選択された支払実行に対応する支払いを実行するための選択された支払元に対応する情報を備えるモバイル支払命令（mobile payment instruction）を生成するステップと、（ｖｉｉｉ）モバイル支払命令をユーザモバイル装置からＭＦＴＳに無線で伝達するステップとをさらに備える。
【００２９】
本発明のこの態様によれば、本方法は、（ｉｘ）ＭＦＴＳにおいて、モバイル支払命令の受け取りに応答して、モバイル支払命令によって指示された支払いを受け取るための識別された被支払人に対応する情報、およびモバイル支払命令内で識別された選択された金融サービスプロバイダにおける選択された口座に対応する情報をＭＦＴＳデータベースから取り出すステップをさらに備える。本方法は、（ｘ）ＭＦＴＳにおいて、支払命令受領者（payment instruction recipient）に対するＭＦＴＳ支払命令を生成するステップと、（ｘｉ）ＭＦＴＳ支払命令をＭＦＴＳから選択された支払命令受領者に伝達するステップとをさらに備える。支払命令受領者は、ＭＦＴＳ支払命令の受け取りに応答して、識別された被支払人に対して支払いを達成する。
【００３０】
好ましい実施形態では、ＭＦＴＳはモバイル通信サーバプロバイダ（mobile communication service provider）（ＭＣＳＰ）を使用したユーザのモバイル装置との無線通信のために結合される。ＭＦＴＳは、ユーザに代わって被支払人に対する支払いを実行し得る１つまたは複数の支払命令受領者との電子通信のためにも結合される。ＭＦＴＳは、ユーザ情報、１つまたは複数の支払命令受領者および／または被支払人に関連づけられた支払実行情報、ならびに少なくとも１つの金融サービスプロバイダに関連づけられた少なくとも１つの口座に関連づけられた支払元情報を保存するためのＭＦＴＳデータベースを含む。一態様では、支払実行情報は請求書を備え、被支払人は支払請求エンティティである。もう１つの態様では、支払命令受領者は、金融サービスプロバイダ、支払請求アグリゲータ（billing aggregator）、または個別の支払請求エンティティのうちの１つである。
【００３１】
本発明のもう１つの態様は、ユーザモバイル装置上でモバイルウォレットアプリケーション（Mobile Wallet application）を提供することを伴う。モバイルウォレットアプリケーションは、支払われるべき請求書またはその他の支払実行を閲覧および選択するため、かかる支払いを実行するための支払元を閲覧および選択するため、残高を閲覧するためなどの機能性を提供するモバイル装置アプリケーションである。一態様では、モバイルウォレットアプリケーションは、モバイル装置上で請求書閲覧（View Bills）コマンド、支払元閲覧（View Payment Sources）コマンド、（１つまたは複数の）請求書支払（Pay Bill(s)）コマンド、およびペイエニワン（Pay Anyone）コマンドのうちの１つまたは複数を含む選択可能なコマンドの表示を提供する。例示的な態様では、請求書閲覧コマンドは、ユーザに支払実行の閲覧および／または選択のための手段を提供する。選択可能な請求書閲覧コマンドは、ＭＦＴＳに請求書提示システム（bill presentment system）から請求書情報を取り出させて、請求書提示システムからのかかる情報を受け取ったときに、要約請求書情報をモバイル装置に伝達する。
【００３２】
関連する態様では、支払元閲覧コマンドは、ユーザに支払いを実行するための支払元の閲覧および／または選択のための手段を提供する。支払いを実行するための支払元の選択は、金融サービスプロバイダの選択、および支払いを実行するための選択された金融サービスプロバイダに関連づけられた特定の口座の選択を含む。支払元閲覧コマンドはやはり、ＭＦＴＳに１つまたは複数の金融サービスプロバイダから現在の口座情報を取り出させ１つまたは複数の金融サービスプロバイダからそのような情報を受け取ったときに現在の口座情報をモバイル装置に伝達する。
【００３３】
関連する態様では、（１つまたは複数の）請求書支払コマンドはユーザに、請求書または、抵当権に対する支払いなど、ユーザが金融債務を有するもう１つのエンティティに対するその他の支払いを支払うための手段を提供する。もう１つの関連する態様では、ペイエニワンコマンドは、先の請求書またはＭＦＴＳに提供されたその他の情報にかかわらず、例えば、被支払人の名前および／または被支払人のモバイル番号（mobile number）を入力することによって任意の個人に対する支払いを実行するための手段をモバイル装置のユーザに提供する。
【００３４】
本発明のさらにもう１つの態様によれば、支払実行情報は外部ソースによってＭＦＴＳに提供される。外部ソースは複数の支払請求エンティティ、または個々の支払請求エンティティから請求書情報を提供する請求書提示システムのうちの１つまたは複数であり得る。情報は、支払実行情報および被支払人情報の入力のためにユーザによってアクセス可能なインターネットアクセス可能なウェブサイトを介してまたはモバイル装置を介してユーザによって入力され得る。
【００３５】
さらにもう１つの態様によれば、支払実行情報は、以下のうちの１つまたは複数に対応する情報を備える。すなわち、定期請求書（recurring bill）、支払請求アグリゲータからの請求書、個々の支払請求会社からの請求書、および／または「ペイエニワン」支払である。本発明の態様によれば、ユーザモバイル装置に表示される１つまたは複数の支払実行に対応する情報は「請求書閲覧」機能のユーザ活動化に応答して提供される。かかる情報表示は、モバイル装置で受け取られたＭＦＴＳからのテキストメッセージに応答する。かかる情報表示はＭＦＴＳから提供された要約請求書情報を含む。要約支払実行情報は、支払実行情報の所定の選択されたサブセットを含む。
【００３６】
もう１つの態様によれば、ＭＦＴＳ支払命令は、選択された金融サービスプロバイダにおける選択された口座を識別する情報、金額、および識別された被支払人に対応する情報を含む。識別された被支払人は、請求書情報をＭＦＴＳに伝達した支払請求エンティティ、または支払いが実行され得るもう１つのエンティティであり得る。一実施形態では、モバイル装置に伝達された要約支払実行情報は、最小限の情報だけがＭＦＴＳからモバイル装置に送信されるように、被支払人識別子と、金額と、支払期日とから成る。この態様では、モバイル装置は、要約支払実行情報内の被支払人識別子を利用し、被支払人名情報を識別された被支払人に対応するモバイル装置ローカルメモリから取り出し、被支払人名情報をユーザに表示する。
【００３７】
一実施形態では、ＭＦＴＳデータベースはユーザの金融取引に対応する取引情報も保存する。取引情報は、以下の情報項目のうちの１つまたは複数と共に、支払実行のステータスを追跡するために利用されるその他の情報に加えて支払実行情報を含む。すなわち、ユーザＩＤ番号、取引識別子、請求書受取日、請求書支払期日、金額、金融サービスプロバイダ識別子、口座識別子、被支払人識別子、および／または未完／解決フラグである。
【００３８】
一実施形態では、方法は、支払いを実行する際の所定の段階の完了に応答して、支払確認メッセージ（payment confirmation message）を支払命令受領者からＭＦＴＳに伝達するステップをさらに備える。もう１つの実施形態では、方法は、支払命令受領者からの支払確認メッセージの受け取りに応答して、支払確認メッセージをモバイル装置に伝達するステップをさらに備える。
【００３９】
本発明のもう１つの態様は、支払いを達成するための支払方法（payment method）の選択に関する。この態様によれば、方法は、ユーザモバイル装置において支払いを実行するための支払方法の選択に対応するユーザ入力を受け取るステップと、ユーザモバイル装置において、ユーザ入力に応答して、支払いを実行するための選択された方法に対応する情報をモバイル支払命令内に含めるステップとをさらに備える。選択可能な支払方法は、受領者が支払いを受け取る方法を決定する受領者定義方法（recipient-defined method）、ＡＣＨ資金振替（ACH funds transfer）、小切手（paper check）、価値保存（stored value）（ＳＶ）カードを含む。
【００４０】
もう１つの態様によれば、ＭＦＴＳはインターネットなどのデータ通信ネットワークを介してユーザのコンピュータとの電子通信のためにさらに結合される。この態様による方法は、（ｉ）ＭＦＴＳに関連してウェブアプリケーションを提供するステップと、（ｉｉ）金融サービスプロバイダ、金融サービスプロバイダにおける口座、および被支払人に対応するユーザ情報をウェブアプリケーションを介して、受け取るステップと、（ｉｉｉ）ユーザモバイル装置によって開始される支払いに関して使用するため、ウェブアプリケーションを介してユーザ情報入力をＭＦＴＳデータベースに保存するステップとを備える。もう１つの実施形態では、方法は、ユーザモバイル装置を介して実行された取引に対応する取引情報をウェブアプリケーションを介して取り出して、ユーザのコンピュータを介して当該情報をユーザに表示するステップをさらに備える。
【００４１】
一実施形態では、モバイル金銭支払は、ユーザに関連づけられた１つの口座から同じユーザに関連づけられた別の口座への残高振替（balance transfer）を含み得る。
【００４２】
本発明のもう１つの態様は、ユーザのモバイル装置に対する口座情報のリアルタイムの更新に関する。この態様による方法は、（ｉ）特定の日付時点のユーザの少なくとも１つの口座の残高を表すキャッシュされた口座残高（cached account balance）をモバイル装置に保存するステップと、（ｉｉ）口座についての更新された口座残高情報を取得するために金融サービスプロバイダと通信するステップと、（ｉｉｉ）更新された口座残高情報をＭＦＴＳからユーザモバイル装置に無線で伝達するステップと、（ｉｖ）ＭＦＴＳからの更新された口座残高情報の受け取りに応答して、口座に対応する更新された口座残高情報をモバイル装置を介してユーザに表示するステップと備える。
【００４３】
さらにもう１つの態様によれば、本発明は、無線ネットワークとの通信のために接続されたモバイル装置を使用してモバイル金銭支払を実行するためのシステムに関する。もう１つの態様では、本発明は、無線ネットワークとの通信のために接続されたモバイル装置を使用してモバイル金銭支払を実行するための方法に関する。さらにもう１つの態様では、本発明は、無線ネットワークを介してモバイル金銭支払を実行するためのモバイル装置に関する。やはりもう１つの態様では、本発明は、モバイル金融取引システム（ＭＦＴＳ）が無線ネットワークとの通信のために接続されたモバイル装置によって開始されるモバイル金銭支払を円滑にするためのコンピュータ実施方法に関する。なおさらなる態様では、本発明は、無線ネットワークとの通信のために接続されたユーザモバイル装置によって開始されるモバイル金銭支払を円滑にするためのモバイル金融取引システム（ＭＦＴＳ）に関する。もう１つの態様では、本発明は、無線ネットワークを介して通信のために接続されたモバイル装置を利用して小切手による被支払人に対する金銭支払を実行するための方法に関する。
【００４４】
本発明のもう１つの態様は、モバイル装置を利用して、小切手による被支払人に対する金銭支払を実行するための方法およびシステムに関する。モバイル装置は、ユーザ情報および取引情報を保存するモバイル金融取引システム（ＭＦＴＳ）と無線で通信する。ユーザは、モバイル装置を介して、被支払人を識別して、小切手支払方法を指示する情報を入力する。モバイル装置は、識別された被支払人に対応し、かつ小切手支払方法を指示する情報を含むモバイル支払命令を生成する。モバイル支払命令はＭＦＴＳに無線で伝達される。ＭＦＴＳは、小切手を発行することが可能な支払命令受領者に対するＭＦＴＳ支払命令を生成する。ＭＦＴＳは、小切手を印刷し、被支払人に郵送することによって、識別された被支払人に対する支払いを手配する支払命令受領者にＭＦＴＳ支払命令を伝達する。
【００４５】
本発明のもう１つの態様は、モバイル装置を利用して価値保存（ＳＶ）カードによる被支払人に対する金銭支払を実行するための方法およびシステムに関する。モバイル装置は、ユーザ情報および取引情報を保存するモバイル金融取引システム（ＭＦＴＳ）と無線で伝達する。ユーザは、被支払人を識別して、価値保存カード支払方法を指示する情報をモバイル装置を介して入力する。モバイル装置は、識別された被支払人に対応し、かつ価値保存カード支払方法を指示する情報を含むモバイル支払命令を生成する。モバイル支払命令はＭＦＴＳに無線で伝達される。ＭＦＴＳは、新規価値保存カードを発行することかつ／または資金を既存の価値保存カード上に再ロードすることが可能な支払命令受領者に対するＭＦＴＳ支払命令を生成する。ＭＦＴＳは、新規価値保存カードを発行することまたは既存の価値保存カード上に資金を再ロードすることによって、識別された被支払人に対する支払を手配する支払命令受領者に対するＭＦＴＳ支払命令を伝達する。
【００４６】
本発明のもう１つの態様は、モバイル装置を利用してアグリゲートされた（aggregated）金融債務を閲覧するための方法およびシステムに関する。モバイル金融取引システム（ＭＦＴＳ）は、ユーザのモバイル装置との無線通信のために結合される。ＭＦＴＳはまた、ユーザが金銭的関係を有する複数の被支払人から情報を収集するアグリゲータ（aggregator）との電子通信のためにも結合される。ＭＦＴＳは、ユーザによって実行される被支払人に対する支払いに対応する支払実行情報をアグリゲータから受け取る。ＭＦＴＳは、アグリゲータから受け取られた支払実行情報の事前に決定された選択されたサブセットを備える要約支払実行情報を生成する。ＭＦＴＳは、要約支払実行情報をユーザのモバイル装置に無線で伝達する。要約支払情報は、次いで、ユーザのモバイル装置上に表示される。
【００４７】
本発明のもう１つの態様は、モバイル装置を利用して、被支払人に対する金銭支払を実行するための方法およびシステムに関する。ユーザは、被支払人、支払いのための支払元、および支払方法を識別する情報をモバイル装置に入力する。モバイル装置は、識別された被支払人、支払元、および支払方法に対応する情報を備えるモバイル支払命令を生成して、モバイル支払命令をモバイル金融取引システム（ＭＦＴＳ）に無線で伝達する。ＭＦＴＳは支払命令受領者に対するＭＦＴＳ支払命令を生成する。ＭＦＴＦ支払命令は、支払元、金額、識別された被支払人に対応する情報を識別する情報、および支払方法を指示する情報を含む。ＭＦＴＳは、ＭＦＴＳ支払命令を支払命令受領者に伝達する。ＭＦＴＳ支払命令の受け取りに応答して、支払命令受領者は、被支払人による任意の要求される動作なしに、識別された被支払人に対する支払いを達成する。
【００４８】
本発明のもう１つの態様は、モバイル装置を利用してモバイル金銭支払を実行する際に使用するための支払元を選択するための方法およびシステムに関する。モバイル金融取引システム（ＭＦＴＳ）は、ユーザが１つまたは複数の口座を保持する１つまたは複数の金融サービスプロバイダとの電子通信のために結合され、モバイル装置との無線通信のためにも結合される。モバイル装置は、モバイル装置を使用して支払いを実行することに関して使用するための支払元としてユーザに利用可能な口座に対応する情報を表示する。ユーザは支払いを実行するための支払元を選択する。モバイル装置は、支払いおよび選択された支払元に対応する情報を備えるモバイル支払命令を生成する。モバイル支払命令はＭＦＴＳに無線で伝達される。ＭＦＴＳは、金額、識別された被支払人に対応する情報、選択された支払元を指示する情報を含むＭＦＴＳ支払情報を生成する。ＭＦＴＳ支払命令は、選択された支払元を利用して支払いを達成する支払命令受領者に伝達される。
【００４９】
本発明のもう１つの態様は、モバイル装置を利用して１つまたは複数の金融サービスプロバイダにおいて保持される複数の金銭口座に関してリアルタイム口座残高情報を取得するための方法およびシステムに関する。モバイル金融取引システム（ＭＦＴＳ）は、ユーザのモバイル装置との無線通信のために結合され、ユーザが１つまたは複数の口座を保持する１つまたは複数の金融サービスプロバイダとの電子通信のためにも結合される。モバイル装置は、特定の日付時点のそれぞれの口座の残高を表すキャッシュされた口座残高を保存する。ＭＦＴＳは、ユーザの口座についての更新された口座残高情報を取得するために金融サービスプロバイダと通信する。更新された口座残高情報はユーザのモバイル装置に無線で伝達される。ＭＦＴＳからの更新された口座残高情報の受け取りに応答して、モバイル装置は複数のユーザ口座に対応する更新された口座残高情報を表示する。
【００５０】
本発明のもう１つの態様は、モバイル装置を利用して支払いを実行および受け取る際に使用するためにモバイル装置アプリケーションを配信するための方法およびシステムに関する。互換性のあるモバイル装置上に設置される場合、ダウンロード可能なモバイル装置アプリケーションは、無線モバイル装置を介して支払いの実行および受け取りを円滑にするモバイル金融取引システム（ＭＦＴＳ）と通信するために動作可能である。ダウンロード可能なモバイル装置アプリケーションは、特定のタイプのモバイル装置に適したダウンロード手順に従って、アプリケーションをモバイル装置にダウンロードするダウンロードシステムを介して提供される。支払いがモバイル装置を有している被支払人に対して実行された場合、システムは、支払いが実行されたことを通知し、ダウンロード可能なモバイル装置アプリケーションについて被支払人に命令するメッセージを被支払人のモバイル装置に伝達する。モバイル装置のユーザ／被支払人が、自らのモバイル装置上でモバイル装置アプリケーションをダウンロードおよび設置して登録情報（enrollment information）を提供する場合、ＭＦＴＳとモバイル装置のユーザ／被支払人の間の相互作用が許可され、支払いはユーザ／被支払人としてモバイル装置のユーザに提供される。
【００５１】
本発明のもう１つの態様は、モバイル装置を利用してモバイル金銭支払を実行するための方法およびシステムに関する。モバイル金融取引システム（ＭＦＴＳ）は、ユーザのモバイル装置との無線通信のために結合され、ユーザの代わりに被支払人に対する支払いを実行することが可能な１つまたは複数の支払命令受領者との電子通信のためにも結合される。モバイル装置は、既存の被支払人の選択または被支払人情報の入力を可能にする。ユーザは、モバイル装置において支払いのための被支払人と支払いのための支払元とを選択する入力を提供する。支払実行および支払いのための支払元に対応する情報を備えるモバイル支払命令はＭＦＴＳに無線で伝達される。ＭＦＴＳは、金融サービスプロバイダにおける選択された口座を識別する情報、金額、および識別された被支払人に対応する情報を含むＭＦＴＳ支払命令を生成して、支払命令受領者に伝達する。支払命令受領者は、次いで、識別された被支払人に対する支払いを達成する。
【００５２】
本発明のもう１つの態様は、モバイル装置のユーザによって円滑にされる金銭支払を受け取るための方法およびシステムに関する。モバイル金融取引システム（ＭＦＴＳ）は、ユーザ／被支払人のモバイル装置との無線通信のために結合され、様々な方法によって支払いを達成する支払命令受領者との電子通信のためにも結合される。システムは、受け取られた支払いに対応する情報をユーザ／被支払人のモバイル装置に提供する。支払いを受け取るために利用可能な複数の選択可能な支払方法に対応する情報がユーザ／被支払人に表示される。ユーザ／被支払人は、自らのモバイル装置上で支払いを受け取るための支払方法の選択に対応する入力を提供する。モバイル装置は、選択された支払方法を指示するモバイル支払命令を生成して、モバイル支払命令をＭＦＴＳに無線で伝達する。ＭＦＴＳは、金額、識別された被支払人、および選択された支払方法を含むＭＦＴＳ支払命令を生成して、支払命令受領者に伝達する。支払命令受領者は、ＭＦＴＳ支払命令の受け取りに応答して、選択された支払方法を利用してユーザ／被支払人に対する支払いを達成する。
【００５３】
前述の説明から、当業者は、モバイル装置、モバイル金融取引システム、ウェブインターフェース、および機能性の組合せに関するその様々な態様を用いて、本発明の態様に従って構築されたシステムは、モバイル装置のユーザに、支払うべき請求書およびその他の支払実行を監視する際の前例のない利便性および柔軟性、リアルタイムで提供される現在の口座残高に関する情報、ならびにこれまで合理的な経済原価および利便性において可能でなかったモバイル装置ユーザ向けのその他の改善された機能性を提供することを容易に理解および認識されよう。
【００５４】
（１つまたは複数の）本発明のこれらのおよびその他の態様、特徴、ならびに利点は、図面と共に好ましい実施形態の以下の詳細な説明から明らかになるであろうが、詳細な説明内の改変形態および修正形態は、本開示の新規性のある概念の精神および範囲から逸脱せずに達成され得る。
【図面の簡単な説明】
【００５５】
【図１】本発明の態様を実施するモバイル金融取引システム（ＭＦＴＳ）に関する例示的な態様のハイレベルの概要を示す図。
【図２】本発明の例示的な態様による例示的なモバイル金融取引システム（ＭＦＴＳ）のより詳細な概要を示す図。
【図３Ａ】本発明の例示的な態様による、セル電話またはモバイル装置アプリケーションのためにコンピュータ実施方法ステップを提供する様々なコンピュータプログラムモジュールを例示するコンピュータソフトウェアアーキテクチャ図。
【図３Ｂ】本発明の例示的な態様による、ＭＦＴＳシステムの動作のためにコンピュータ実施方法ステップを提供する様々なコンピュータプログラムモジュールを例示するコンピュータソフトウェアアーキテクチャ図。
【図４】本発明の例示的な態様に従って構築されたモバイル金融取引システム（ＭＦＴＳ）のメインプログラムの動作を示す流れ図。
【図５】本発明の例示的な態様に従って構築されたモバイル金融取引システム（ＭＦＴＳ）のメインプログラムの動作を示す流れ図。
【図６】本発明の例示的な態様によるモバイル金融取引システム（ＭＦＴＳ）ユーザデータベースに関する例示的なデータベーススキーマ（データ表レイアウト）を示す図。
【図７】本発明の例示的な態様によるモバイル金融取引システム（ＭＦＴＳ）取引データベースに関する例示的なデータベーススキーマ（データ表レイアウト）を示す図。
【図８】本発明の例示的な態様に従ってＭＦＴＳのためにモバイル装置通信インターフェースの動作を実施するコンピュータプログラムのコンピュータ実施方法ステップを例示する流れ図。
【図９】本発明の例示的な態様に従ってＭＦＴＳのために金融サービスプロバイダ（ＦＳＰ）通信インターフェースの動作を実施するコンピュータプログラムのコンピュータ実施方法ステップを例示する流れ図。
【図１０】本発明の例示的な態様に従ってＭＦＴＳのためにユーザウェブアプリケーション入出力（Ｉ／Ｏ）インターフェースの動作を実施するコンピュータプログラムのコンピュータ実施方法ステップを例示する流れ図。
【図１１】本発明の例示的な態様に従って新規ユーザを登録させるためのウェブアプリケーションの動作を実施するコンピュータプログラムのコンピュータ実施方法ステップを例示する流れ図。
【図１２】本発明の例示的な態様に従って記録されたユーザのためのウェブアプリケーションの動作を実施するコンピュータプログラムのコンピュータ実施方法ステップを例示する流れ図。
【図１３】本発明の例示的な態様に従って選択可能な支払元および口座残高を閲覧するための一続きのモバイル装置画面表示を示す図。
【図１４】本発明の例示的な態様に従って支払元および口座残高を閲覧するためのコンピュータ実施方法ステップを例示するシーケンス線図。
【図１５】本発明の好ましい実施形態および代替の実施形態に従って請求書を閲覧するための一続きのモバイル装置画面表示を示す図。
【図１６】本発明の好ましい実施形態および代替の実施形態に従って請求書を閲覧するためのコンピュータ実施方法ステップを例示するシーケンス線図。
【図１７】本発明の例示的な態様に従って請求書に対して支払うための一続きのモバイル装置画面表示を示す図。
【図１８Ａ】本発明の好ましい実施形態に従って請求書に対して支払うためのコンピュータ実施方法ステップを例示するシーケンス線図。
【図１８Ｂ】本発明の代替の実施形態に従って請求書に対して支払うためのコンピュータ実施方法ステップを例示するシーケンス線図。
【図１９】本発明の例示的な態様に従ってユーザが「ペイエニワン」支払オプションを使用して、リストから名前を選択し、「受領者定義」支払方法を使用するときの支払人の視野からの一続きのモバイル装置画面ビュー（screen view）を示す図。
【図２０】本発明の例示的な態様による「受領者定義」支払オプションを使用した「ペイエニワン」の被支払人の視野からの一続きのモバイル装置画面ビューを示す図。
【図２１】本発明の例示的な態様に従ってユーザが「ペイエニワン」支払オプションを使用し、被支払人を選択し、支払方法を選択するときの支払人の視野からのコンピュータ実施方法を例示するシーケンス線図。
【図２２】本発明の例示的な態様に従ってユーザが「ペイエニワン」支払オプションを使用して、「受領者定義」支払方法を選択し、支払方法を選択し、支払いを受け取るときの被支払人の視野からのコンピュータ実施方法を例示するシーケンス線図。
【図２３】本発明の例示的な態様によるＡＣＨ支払方法の選択を用いた「ペイエニワン」支払特徴の支払人の視野からの一続きのモバイル装置画面ビューを示す図。
【図２４】本発明の例示的な態様によるＡＣＨ支払方法を用いた「ペイエニワン」支払特徴の被支払人の視野からの一続きのモバイル装置画面ビューを示す図。
【図２５】本発明の例示的な態様によるＡＣＨ支払方法を用いた「ペイエニワン」支払特徴のためのコンピュータ実施方法ステップを例示するシーケンス線図。
【図２６】本発明の例示的な態様に従ってユーザが「ペイエニワン」支払特徴を使用して、小切手支払方法を選択するときの支払人の視野からの一続きのモバイル装置画面ビューを示す図。
【図２７】本発明の例示的な態様による小切手支払方法を用いた「ペイエニワン」支払特徴の被支払人の視野からの一続きのモバイル装置画面ビューを示す図。
【図２８】本発明の例示的な態様による小切手支払方法を伴う「ペイエニワン」支払特徴のためのコンピュータ実施方法を例示するシーケンス線図。
【図２９】本発明の例示的な態様に従ってユーザが「ペイエニワン」支払特徴を使用して、価値保存（ＳＶ）カード支払方法を選択するときの支払人の視野からの一続きのモバイル装置画面ビューを示す図。
【図３０】本発明の例示的な態様による価値保存（ＳＶ）カード支払方法を用いた「ペイエニワン」支払特徴の被支払人の視野からの一続きのモバイル装置画面ビューを示す図。
【図３１】本発明の例示的な態様による価値保存（ＳＶ）カード支払方法の使用を伴う「ペイエニワン」支払方法のためのコンピュータ実施方法ステップを例示するシーケンス線図。
【図３２】本発明の例示的な態様に従ってユーザが資金または口座残高を振り替えるときの一続きのモバイル装置画面ビューを示す図。
【図３３】本発明の例示的な態様による支払元の口座間の資金振替または残高振替のためのコンピュータ実施方法ステップを例示するシーケンス線図。
【図３４】本発明の例示的な態様による、被支払人のモバイル装置に対するモバイル装置アプリケーションのオプションの設置を伴う、モバイル装置を用いた被支払人に対する支払いの受け取りを例示する一続きのモバイル装置画面ビューを示す図。
【図３５】本発明の例示的な態様に従って被支払人がそれによりバイラル金融商業システム（viral financial commerce system）の一部としてＭＦＴＳシステムからモバイル装置アプリケーションをダウンロードおよび設置するコンピュータ実施方法ステップを例示するシーケンス線図。
【図３６】本発明の例示的な態様による個人識別番号（personal identification number）（ＰＩＮ）変更のユーザの視野からの一続きのモバイル装置画面ビューを示す図である。
【図３７Ａ】本発明の好ましい実施形態に従ってユーザがモバイル金融取引システムの使用に関してウェブアプリケーションユーザサイトを介してどのように登録するかを例示するウェブアプリケーション入出力インターフェースの画面表示を備える図。
【図３７Ｂ】本発明の好ましい実施形態に従ってユーザがモバイル金融取引システムの使用に関してウェブアプリケーションユーザサイトを介してどのように登録するかを例示するウェブアプリケーション入出力インターフェースの画面表示を備える図。
【図３７Ｃ】本発明の好ましい実施形態に従ってユーザがモバイル金融取引システムの使用に関してウェブアプリケーションユーザサイトを介してどのように登録するかを例示するウェブアプリケーション入出力インターフェースの画面表示を備える図。
【図３７Ｄ】本発明の好ましい実施形態に従ってユーザがモバイル金融取引システムの使用に関してウェブアプリケーションユーザサイトを介してどのように登録するかを例示するウェブアプリケーション入出力インターフェースの画面表示を備える図。
【図３８Ａ】本発明の好ましい実施形態に従ってユーザがモバイル金融取引システムの金銭口座をウェブアプリケーションのユーザサイトを介してどのように管理するかを例示するウェブアプリケーション入出力インターフェースの画面表示を備える図。
【図３８Ｂ】本発明の好ましい実施形態に従ってユーザがモバイル金融取引システムの金銭口座をウェブアプリケーションのユーザサイトを介してどのように管理するかを例示するウェブアプリケーション入出力インターフェースの画面表示を備える図。
【図３８Ｃ】本発明の好ましい実施形態に従ってユーザがモバイル金融取引システムの金銭口座をウェブアプリケーションのユーザサイトを介してどのように管理するかを例示するウェブアプリケーション入出力インターフェースの画面表示を備える図。
【図３８Ｄ】本発明の好ましい実施形態に従ってユーザがモバイル金融取引システムの金銭口座をウェブアプリケーションのユーザサイトを介してどのように管理するかを例示するウェブアプリケーション入出力インターフェースの画面表示を備える図。
【図３９Ａ】本発明の好ましい実施形態に従ってユーザがモバイル金融取引システムの被支払人をウェブアプリケーションのユーザサイトを介してどのように管理するかを例示するウェブアプリケーション入出力インターフェースの画面表示を備える図。
【図３９Ｂ】本発明の好ましい実施形態に従ってユーザがモバイル金融取引システムの被支払人をウェブアプリケーションのユーザサイトを介してどのように管理するかを例示するウェブアプリケーション入出力インターフェースの画面表示を備える図。
【図４０】本発明の代替の例示的な態様によるウェブアプリケーション口座要約表示画面を示す図。
【図４１】本発明の代替の例示的な態様によるウェブアプリケーション支払請求エンティティ詳細表示画面を示す図。
【図４２】本発明の代替の例示的な態様によるウェブアプリケーション支払元詳細表示画面を示す図。
【詳細な説明】
【００５６】
（１つまたは複数の）本発明の詳細な説明に先立って、以下の定義は主題を理解するための助けとして提供され、（１つまたは複数の）本発明の態様の専門用語は例示的であり、特許請求の範囲において表現される（１つまたは複数の）発明を限定するとは限らない。用語が大文字で書かれているか否かは、用語の意味の決定または限定と見なされない。本書で使用されるように、使用の状況が大文字で書かれた用語に関してより限定的な意味が意図されることを詳細に表示する場合を除いて、大文字で書かれた用語は大文字で書かれていない用語と同義であるべきである。用語解説内の大文字で書かれた用語は、通常、大文字で書かれた用語が用語解説内で個別の定義を有することを表示する。しかし、その文脈がかかる限定が意図されることを明らかに表示する場合を除いて、本書の残りの部分における大文字使用またはその欠如は必ずしも限定的であることが意図されない。
【００５７】
定義／用語解説
ＡＣＨ：「オートメーテッドクリアリングハウス（Automated Clearing House）」、すなわち、Ｎａｔｉｏｎａｌ  Ａｕｔｏｍａｔｅｄ  Ｃｌｅａｒｉｎｇ  Ｈｏｕｓｅ  Ａｓｓｏｃｉａｔｉｏｎ（ＮＡＣＨＡ）および米国連邦準備制度理事会（Ｆｅｄ）によって制定された規則および規定に従って大量の貸方取引および借方取引を処理するエレクロニックバンキングネットワークの頭文字である。
【００５８】
アプリケーション：コンピュータシステム上で動作するコンピュータプログラム。それらに限定されないが、例えば、ＭＦＴＳにおいて操作されるコンピュータプログラム、またはセル電話もしくはモバイル装置（モバイルアプリケーション）において操作されるコンピュータプログラム。アプリケーションのさらなる例は、データベース内で探索を実行して、情報を受け取ってモバイル装置の一時的なメモリに保存し、モバイル装置上に選択された情報を表示するなどのプログラム、および事実上、取引を生成するまたは取引に応答する任意のその他のタイプのプログラムを含む。
【００５９】
請求書情報：支払請求エンティティ、または請求書アグリゲータ（bill aggregator）によって提供された、支払われるべき請求書に関するまたは当該請求書に対応する情報であり、通常、支払われるべきかつユーザまたは支払請求アグリゲータに提供されるべき請求書上に出現することになる、支払請求エンティティによって提供されるすべての情報から成る。（「要約請求書情報」を参照されたい。）
支払請求エンティティ：被支払人、個人、会社、または支払われ得る請求書をユーザに提供するエンティティ。この用語は、請求書が支払いを促すために送られるか否かにかかわらず、通常、任意の被支払人を含むが、支払請求エンティティは、通常、支払請求エンティティに支払うべき金額を表示する文書またはメッセージ（請求書）を提供することが期待され得る。他方、「ペイエニワン」タイプの被支払人は、本発明の態様の目的で、通常、支払請求エンティティと見なされるものの、支払いを送るのに先立って請求書を要求するとは限らない可能性がある。
【００６０】
支払請求（請求書）アグリゲータ：ユーザもしくは消費者が金銭的関係を保持するエンティティに対して支払うべき請求書またはその他の支払債務に関する情報を収集するサービスを提供するエンティティであり、本発明の状況に関して、支払うべき１つまたは複数の請求書に関する情報を本明細書で説明されるように構築されたモバイル金融取引システムに提供して、オプションでユーザのために請求書支払を処理する金融サービスプロバイダとして機能する。
【００６１】
請求書提示：支払命令の見直しおよび提供のための、例えば、請求書アグリゲータによる（支払うべき請求書または支払実行など）エンティティの１つまたは複数の支払債務のエンティティへの提出すなわち提示、ならびに１つまたは複数のかかる支払債務の電子通信。請求書提示は、支払請求エンティティから請求書ごとに提供されることが可能であり、または支払うべき請求書を収集するサービスをエンティティに提供する支払請求アグリゲータによる請求書のグループ化またはアグリゲータであり得る。
【００６２】
消費者：本発明の例示的な態様に従って、モバイル金融取引システム（ＭＦＴＳ）のいくつかの機能を実行するためにモバイル装置にアクセスするまたはモバイル装置を使用する個人またはその他のエンティティ。通常、下のユーザと同義である。
【００６３】
ＤＢＭＳ：データベース管理システム。
【００６４】
企業：本発明を利用する組織または会社エンティティ。企業は、会社、政府機関、個人、または、事実上、その会社活動を反映する商取引を実施する任意のその他の組織であり得る。
【００６５】
エンティティ：本発明の外に個別かつ識別可能な存在または概念上の実体を有する何か。一例は、支払債務に関する支払請求情報を送る支払請求エンティティである。
【００６６】
金融サービスプロバイダ（ＦＳＰ）：銀行、クレジットカード会社、信用組合（credit union）、デビットカード会社、ギフトカード会社、支払サービス会社、またはその他の金融機関など、そのカスタマの代わりに金融サービスを提供し、特に、支払元（ＰＳ）として機能するエンティティ。本明細書で使用される場合、ＦＳＰは、本発明の例示的な態様に従って、モバイル装置を有するユーザの代わりに金融サービスを提供するエンティティである。ＦＳＰはまた、支払命令受領者であり得、支払いを達成する。
【００６７】
Ｉ／Ｏ：入出力。
【００６８】
ＬＡＮ：ローカルエリアネットワーク、すなわち、通常、地理的に一緒に近接して（すなわち、同じ建物内に）配置される、電子通信のために接続されたコンピュータの収集物。
【００６９】
モバイル通信サービスプロバイダ（ＭＣＳＰ）（通常、無線サービスプロバイダと同義である）：モバイル装置のための通信サービスをＭＦＴＳ、および場合によっては、その他のネットワーク接続されたエンティティに提供するエンティティ。例えば、セル電話サービスプロバイダは、通常、ＭＣＳＰとして機能し得る。
【００７０】
モバイルクライアント（通常、モバイルアプリケーションと同義である）：本発明の例示的な態様に従って、本書で説明されるようなサービスおよび動作を提供するために、モバイル装置上で実行するコンピュータプログラム。
【００７１】
モバイル装置：移動通信電話、トランシーバ、携帯情報端末（ＰＤＡ）、ポケットベル、スマートフォン、またはそれらの任意の組合せなど、無線通信ネットワーク上での通信のために使用される任意のデバイス。本発明において動作可能なモバイル装置は、通常、本明細書で説明される機能性を達成するためにモバイルクライアントソフトウェアプログラムを実行する。通常、モバイル電話と同義であり、モバイル電話と交換可能に使用されるが、モバイル装置は電話タイプの機器であるとは限らない。
【００７２】
モバイル金融取引システム（ＭＦＴＳ）：モバイル装置の使用によって金融取引を円滑にする、本書で説明されるように構築されたシステム。
【００７３】
ＭＦＴＳ支払命令（ＭＦＴＳＰＩ）：ＭＦＴＳによって開始され、識別された選択されたエンティティに支払いを実行するよう金融機関に命令するためにその機関などの支払命令受領者に送信される支払命令（ＰＩ）（下を参照）の形式。
【００７４】
モバイル支払命令（ＭＰＩ）：本発明の例示的な態様に従ってモバイル装置から生成および提供される支払命令（ＰＩ）（下を参照）の形式。
【００７５】
モバイルウォレット：本発明の例示的な態様に従って、支払うべき請求書またはその他の支払実行を閲覧および選択するため、かかる支払いを実行するための支払元を閲覧および選択するため、残高を閲覧するためなどの機能性を提供するモバイル装置アプリケーションに与えられた名称。
【００７６】
ペイエニワン：その個人が物理的に存在するかどうかにかかわらず、主に被支払人の無線装置にメッセージを伝達して、命令を求め、被支払人による支払いの好ましい受取方法を決定することによって、ユーザが無線接続されたモバイル装置を有する個人に支払うことを可能にする本発明の態様の特徴。
【００７７】
被支払人：支払いを受け取る個人またはエンティティ。被支払人は支払命令受領者でもあり得る。
【００７８】
支払人：支払いを実行する個人またはエンティティ。支払人は支払命令を送る個人またはエンティティでもあり得る。
【００７９】
支払命令（ＰＩ）：通常、１つまたは複数の選択された支払実行、支払いを実行する際に使用するための少なくとも１つの支払元、およびその他の情報を含む情報の収集物。モバイル支払命令（ＭＰＩ）は、当初、本発明の例示的な態様に従ってモバイル装置から生成および提供される。ＭＦＴＳ支払命令（ＭＦＴＳＰＩ）は、ＭＦＴＳによって開始され、識別されたエンティティに支払いを実行するよう支払命令受領者に命令するために当該受領者に送信される通信である。
【００８０】
支払命令受領者（ＰＩＲ）：支払いを実行する目的で支払命令が与えられるエンティティ。支払命令受領者自身が支払いを実行することが可能であり、または金融サービスプロバイダなど、別のエンティティに支払いを実行するように命令を提供することも可能である。例えば、支払命令受領者は、金融サービスプロバイダ、請求書アグリゲータ、または支払請求エンティティ（例えば、支払人の銀行から直接支払いを徴収するための支払人からの許可を有する会社）であり得る。
【００８１】
支払方法：支払命令受領者またはその代理人によって被支払人に対する支払いが提供される方式、すなわち、被支払人に提供される何らかの種類の金融手段。支払いは、小切手、価値保存カード、ＡＣＨ資金振替、クレジットカード口座の貸方への記入、電信送金、為替、ペイパルまたはその他のオンライン金銭口座の貸方への記入、別のタイプの金融手段などを含むが、これらに限定されない様々な手段によって実行され得る。本発明の態様によれば、支払方法は、いくつかの実施形態では支払人によって選択されることが可能であり、またはその他の実施形態では被支払人によって選択され得る。支払元は選択された支払方法の手段に資金を提供するという点で、支払元は支払方法と異なる。
【００８２】
支払実行（ＰＭ）：本発明の態様を使用して支払いを実行するための命令が実行されるモバイル装置ユーザの支払債務。かかる債務は、水道料金請求書、電気料金請求書、ガス料金請求書、抵当権の支払い、自動車の支払い、保険料金の支払い、電話および／またはモバイル電話料金請求書、クレジットカード請求書など、個人または家族が定期的に受け取る任意の請求書を含む。これらの支払債務は、ガソリンの購入、映画鑑賞券、任意の現金のみの購入ならびに任意の個人に対する支払いなど、個人が時々実行する必要がある任意の支払いも含む。
【００８３】
支払元（ＰＳ）：通常、本発明の態様によってアクセスされ得る口座を介して、個人または家族に利用可能な資金または金銭。これらのソースは、クレジットカード口座、デビットカード口座、小切手口座および／または貯蓄口座、百貨店クレジットカード口座などを含む。
【００８４】
支払元情報：ＭＦＴＳにおいて保存され、その一部（要約支払元情報）がユーザのモバイル装置に伝達される、支払元に関する情報。
【００８５】
プロトコル：特に、ネットワークを通してデータをどのように送信するかを説明する正式な規則のセット。低レベルのプロトコルは、監視されるべき電気標準および物理的標準と、ビットおよびバイトの順序づけと、伝送ならびに誤りの検出と、ビット流れの訂正とを定義する。高レベルのプロトコルは、メッセージの構文、コンピュータ対話に対する端末、文字セット、メッセージの順序づけなどを含むデータフォーマティング（formatting）に対処する。
【００８６】
価値保存（ＳＶ）カード：通常、ある営利企業によって支払いの形式として受け入れられる、磁気ストリップまたはその他の電気的、磁気的、もしくは電子的な情報伝達媒体を含む支払カード。金銭は様々な異なる機構およびシステムを介してＳＶバリューカード上に「ロードされる」ことが可能であり、次いで、請求書に対して支払うため、商品を購入するためなどに使用され得る。価値保存（ＳＶ）カードはデビットカードまたはクレジットカードではないが、ＳＶカードはかかるその他のタイプのカードといくつかの物理的な類似性を有する場合がある。
【００８７】
要約請求書情報：ユーザのモバイル装置を介してユーザに表示される請求書情報の縮小されたサブセット。
【００８８】
要約支払元情報：ユーザのモバイル装置を経由してユーザに表示される、口座および／または金融機関に関する情報の縮小されたサブセット。
【００８９】
取引：結果として完了した事業活動をもたらすシステム動作のセットであり、例えば、以下は例示的な取引である。すなわち、１人の個人から別の個人へのある金額の金銭（資金）の振替、１人の個人（例えば、支払人）のクレジットカード口座の借方への記入および別の個人（例えば、被支払人）の銀行口座の対応する貸方への記入、請求書に対する支払い、価値保存（ＳＶ）カードを発行するための命令の発行である。
【００９０】
ＳＭＳ：ショートメッセージサービス、すなわち、モバイル装置間、またはモバイル電話間で（やはり、テキストメッセージ、メッセージ、またはより口語的にはＳＭＳ、テキストもしくはｔｘｔとしてすら知られている）ショートメッセージを送ることを可能にする多くのデジタルモバイル装置上あるいは多くのデジタルモバイル電話上で利用可能なテキスト通信サービス。
【００９１】
ユーザ：モバイル金融取引システムのいくつかの機能を実行するためにモバイル装置にアクセスするまたはモバイル装置を使用する個人またはその他のエンティティ。「消費者」も参照されたい。本明細書で使用される場合、これらの用語は一般に同義である。ユーザは、本明細書で説明されるように、構成および使用に関してＭＦＴＳにアクセスするためにウェブインターフェースを使用することも可能である。
【００９２】
ユーザ／被支払人：支払いを受け取るＭＦＴＳシステムユーザであり、やはり被支払人でもある。
【００９３】
ユーザ／支払人：支払いを実行するＭＦＴＳシステムユーザであり、やはり支払人でもある。
【００９４】
ユーザ識別子（ユーザＩＤ）：ＭＦＴＳに対して、もしくは金融サービスプロバイダに対して、または本発明に関していくつかの目的でユーザを識別する情報を要求する別の構成要素に対してユーザを識別するために使用されるコード。
【００９５】
ＵＩ：ユーザインターフェース。通常、それを用いてユーザが情報を入力する目的、情報を取得する目的で、または関連するシステムの機能を実行させる目的で相互作用するソフトウェアアプリケーションを意味し、モバイル装置ユーザインターフェースを含む。
【００９６】
ＷＡＮ：広域ネットワーク、すなわち、通常、コンピュータがＬＡＮよりさらに離れており、電話線、光ファイバケーブル、衛星伝送、または無線波によって接続される、電子通信のために接続されたコンピュータの収集物。
【００９７】
ＷＬＡＮ：無線ローカルエリアネットワーク、例えば、モバイル装置、ラップトップ、デスクトップコンピュータ、娯楽装置などを含む装置を無線通信信号を介して接続するために使用される技術。例は、知られているＷｉＦｉデータ通信標準およびＷｉＭＡＸデータ通信標準を含む。
【００９８】
システム概観
発明者によって企図される最良の形態では、本発明の態様は、モバイル金融取引システム（ＭＦＴＳ）との電子（好ましくは、無線）通信のために結合されたモバイル装置を使用して実施されることが好ましい。モバイル装置は、ＭＦＴＳに対する無線ネットワークを介したデータ通信のために接続されるセル電話およびＰＤＡなどの品目を含む。ＭＦＴＳは、口座セットアップ、構成、編集、取引の監視などのためのユーザによる遠隔ネットワークアクセス（例えば、インターネットアクセス）を可能にするために接続される。当業者に知られることになるように、かかるモバイル装置は、基本的に（電話使用を可能にするための）マイクロフォンおよびスピーカ、デジタル無線などの無線信号回路、中央処理装置（ＣＰＵ）としてのマイクロプロセッサ、色またはその他の表示、キーボードまたはキーパッド、スタイラス、スクロールホイール、制御ボタン、Ｂｌｕｅｔｏｏｔｈ（登録商標）無線シグナリング、赤外線データシグナリングなどの特徴を含む、小さなハンドヘルドコンピューティング装置である。ＭＦＴＳは、同様に、１つまたは複数のプロセッサおよび／または中央処理装置（ＣＰＵ）、ディスクドライブおよびランダムアクセスメモリ（ＲＡＭ）の形式のデータ記憶装置、ＬＡＮ接続、ＷＡＮ接続、インターネット接続、Ｅｔｈｅｒｎｅｔ（登録商標）接続などの通信インターフェースを含む汎用コンピューティング装置である。
【００９９】
したがって、本明細書で説明される本発明の様々な実施形態は、下でより詳細に説明されるように、様々なコンピュータハードウェアを含めて、専用コンピュータまたは汎用コンピュータとして実施されることが好ましい。本発明の範囲内の実施形態は、その上に保存されたコンピュータ実行可能命令構造またはデータ構造を運ぶためまたは有するためのコンピュータ可読媒体も含む。かかるコンピュータ可読媒体は、汎用コンピュータもしくは専用コンピュータによってアクセスされ得る、または無線通信ネットワークを介してモバイル装置にダウンロード可能であり得る任意の利用可能な媒体であってよい。限定ではなく、例として、かかるコンピュータ可読媒体は、ＲＡＭ、ＲＯＭ、フラッシュメモリ、ＥＥＰＲＯＭ、ＣＤ−ＲＯＭ、ＤＶＤ、またはその他の光ディスク記憶装置、磁気ディスク記憶装置もしくはその他の磁気記憶装置、セキュアデジタル（secure digital; ＳＤ）、フラッシュメモリ、メモリスティックなどの任意のタイプの着脱可能な不揮発性メモリ、あるいはコンピュータ実行可能命令またはデータ構造の形式でコンピュータプログラムコードを運ぶまたは保存するために使用されることが可能であり、汎用コンピュータもしくは専用コンピュータ、またはモバイル装置によってアクセスされ得る任意のその他の媒体を備え得る。
【０１００】
情報がネットワーク上または別の通信接続（配線、無線、または配線もしくは無線の組合せのいずれ）上でコンピュータに転送または提供される場合、コンピュータはその接続をコンピュータ可読媒体と適切に見なす。したがって、任意のかかる接続は、コンピュータ可読媒体と適切に呼ばれ、かつ見なされる。上の組合せもやはりコンピュータ可読媒体の範囲内に含まれるべきである。コンピュータ実行可能命令は、例えば、汎用コンピュータ、専用コンピュータ、またはモバイル装置プロセッサなどの専用処理装置に１つの特定の機能もしくは機能のグループを実行させる命令およびデータを備える。
【０１０１】
当業者は、本発明の態様が実施され得る適切なコンピューティング環境の特徴および態様を理解されよう。要求されないが、本発明は、ネットワーク接続された環境においてコンピュータによって実行されている、プログラムモジュールなどのコンピュータ実行可能命令という一般的な状況に関して説明される。かかるプログラムモジュールは、多くの場合、流れ図、シーケンス線図、例示的な画面表示、およびかかるコンピュータプログラムモジュールをどのように作りかつ使用するかを伝達するために当業者によって使用されるその他の技術によって反映および例示される。一般に、プログラムモジュールは、コンピュータ内で特定のタスクを実行するまたは特定の抽象データ型を実施するルーチン、プログラム、オブジェクト、成分、データ構造などを含む。コンピュータ実行可能命令、関連するデータ構造、およびプログラムモジュールは、本明細書で開示される方法のステップを実行するためのプログラムコードの例を表す。かかる実行可能命令または関連するデータ構造の特定の系列は、かかるステップにおいて説明される機能を実施するための対応する動作の例を表す。
【０１０２】
当業者はまた、本発明は、パーソナルコンピュータ、ハンドヘルド装置、マルチプロセッサシステム、マイクロプロセッサベースの家庭用電化製品またはプログラム可能な家庭用電化製品、ネットワーク接続されたＰＣ、ミニコンピュータ、メインフレームコンピュータなどを含めて、多くのタイプのコンピュータシステム構成を用いてネットワークコンピューティング環境において実施され得る点も理解されよう。本発明は、タスクが通信ネットワークを介して（配線リンクによって、無線リンクによって、または配線リンクもしくは無線リンクの組合せによって）リンクされるローカル処理装置および遠隔処理装置によって実行される、分散されたコンピューティング環境において実施されることも可能である。分散されたコンピューティング環境において、プログラムモジュールはローカルメモリ装置内および遠隔メモリ装置内に配置され得る。
【０１０３】
図示されない、本発明を実施するための例示的なシステムは、処理装置、システムメモリ、およびシステムメモリを含む様々なシステム成分を処理装置に結合させるシステムバスを含めて、通常のコンピュータの形式の汎用コンピューティング装置を含む。コンピュータは、通常、そこから読み取りかつそこに書き込むための１つまたは複数の（やはり「データ記憶」もしくは「データ記憶装置」またはその他の名前でも呼ばれる）磁気ハードディスクドライブを含むことになる。ドライブおよびそれらの関連するコンピュータ可読媒体は、コンピュータ実行可能命令、データ構造、プログラムモジュール、およびその他のデータの不揮発性記憶装置をコンピュータに提供する。本明細書で説明される例示的な環境は、磁気ハードディスク、着脱可能な磁気ディスク、着脱可能な光ディスクを用いるが、磁気カセット、フラッシュメモリカード、デジタルビデオディスク（ＤＶＤ）、Ｂｅｒｎｏｕｌｌｉカートリッジ、ＲＡＭ、ＲＯＭなどを含めて、データを保存するためにその他のタイプのコンピュータ可読媒体が使用され得る。
【０１０４】
本明細書で説明される機能性の大部分を実施するコンピュータプログラムコードは、通常、ハードディスク上またはその他の記憶媒体上に保存され得る１つまたは複数のプログラムモジュールを備える。このプログラムコードは、当業者に知られているように、通常、オペレーティングシステム、１つまたは複数のアプリケーションプログラム、その他のプログラムモジュール、およびプログラムデータを含む。ユーザは、キーボード、ポインティング装置、またはマイクロフォン、ゲームパッド、パラボラアンテナ、スキャナなど、その他の入力装置（図示せず）を介して、コマンドまたは情報をコンピュータに入力することが可能である。これらのおよびその他の入力装置は、多くの場合、知られている電気接続、光接続、または無線接続を介して処理装置に接続される。
【０１０５】
本発明の多くの態様を達成するメインコンピュータは、通常、下でさらに説明される１つもしくは複数の遠隔コンピュータまたはデータソースへの論理接続を使用して、ネットワーク接続された環境において動作することになる。遠隔コンピュータは、別のパーソナルコンピュータ、サーバ、ルータ、ネットワークＰＣ、同位装置またはその他の通常のネットワークノードであってよく、通常、本発明が実施されるメインコンピュータシステムに関して上で説明される要素の多くまたはすべてを含む。コンピュータ間の論理接続は、限定ではなく、例として本明細書で提示されるローカルエリアネットワーク（ＬＡＮ）および広域ネットワーク（ＷＡＮ）を含む。かかるネットワーキング環境は、オフィス範囲のまたは企業範囲のコンピュータネットワーク、イントラネットおよびインターネットにおいて一般的である。
【０１０６】
ＬＡＮネットワーキング環境において使用される場合、本発明の態様を実施するメインコンピュータシステムはネットワークインターフェースまたはアダプタを介してローカルネットワークに接続される。ＷＡＮネットワーキング環境において使用される場合、コンピュータは、モデム、無線リンク、またはインターネットなど、広域ネットワーク上で通信を確立するためのその他の手段を含み得る。ネットワーク接続された環境において、コンピュータまたはその一部に関して示されたプログラムモジュールは、遠隔メモリ記憶装置に保存され得る。説明されかつ示されるネットワーク接続は例示的であり、広域ネットワーク上またはインターネット上での通信を確立するその他の手段が使用され得る点を理解されよう。
【０１０７】
支払債務の統合
前述の実装アーキテクチャを考慮し、次に、本発明の例示的な態様に従って、モバイル金融取引システム（ＭＦＴＳ）１８およびいくつかの特徴の概要を提供する図１を参照されたい。（セル電話または無線ＰＤＡなど）モバイル装置１５のユーザ１２は、説明されるように、支払実行（「ＰＭ」）を選択して、かかる支払いを実行するための支払元（「ＰＳ」）を選択するためにＭＦＴＳ１８にアクセスする。ＭＦＴＳ１８への主な入力は、支払実行２０（以下、「ＰＭ」）と支払元３０（以下、「ＰＳ」）とを備える。
【０１０８】
支払実行（ＰＭ）：支払実行（ＰＭ）２０は、それによって金銭または信用が１人の個人または１つのエンティティからもう１人の個人または１つのエンティティに振り替えられる任意のおよびすべての支払債務ならびに／または命令を備える。これらの債務は、水道料金請求書、電気料金請求書、ガス料金請求書、抵当権の支払い、自動車の支払い、保険料金の支払い、電話および／またはモバイル電話料金請求書、クレジットカード請求書など、個人または家族が定期的に受け取る請求書を含む。これらの支払債務は、ガソリンの購入、映画鑑賞券、任意の現金のみの購入、販売場所でのその他の小売支払、ならびに個人に対する支払いなど、個人または家族が開始する任意の支払いも含み得る。したがって、ＰＭは支払請求エンティティによる請求書の提示によってまたはユーザによる開始に応答して発生し得る。
【０１０９】
家庭の請求書を構成するいくつかのＰＭ２０はＭＦＴＳの請求書提示チャネルを介してＭＦＴＳに伝達され得る。本発明の例示的な態様によれば、家庭の定期請求書は、所定の間隔でまたは、「請求書提示」のサービスを電子的に提供する、ＣｈｅｃｋＦｒｅｅ  Ｃｏｒｐｏｒａｔｉｏｎなどの電子請求書アグリゲータとの通信によってユーザの要求に応じてＭＦＴＳに伝達される。
【０１１０】
（例えば、小売店での）「時々の」購入または個人に対する支払いを構成するＰＭ２０は、第１の事例においてアグリゲータによってまたは特定の支払請求エンティティによってＭＦＴＳに対して提供されたのに対して、通常、ユーザによって開始される。かかるユーザによって開始される取引は、通常、モバイル通信ネットワーク（この図では示されない）のサービスを経て無線通信装置を介してＭＦＴＳに送られる。かかるＰＭは、ユーザの開始で、個人ならびに営利企業を含む任意の識別されたエンティティに対する支払いの実行を企図するため、「ペイエニワン」取引と特徴づけられることが可能である。
【０１１１】
一般に、ＰＭ２０に関連する情報は、通常、（１人または複数の）口座所有者（すなわち、通常の家庭の請求書の場合、支払いを実行する責任を有する個人）の（１つまたは複数の）名前、口座および／または口座保有者に関連するモバイル装置番号、口座番号、口座残高、支払期日、最低支払額、電子支払口座番号、支払請求エンティティの住所などを含む。この情報は、ＰＭが請求提示の結果であってもまたはユーザ開始からものであっても、通常、同じである。
【０１１２】
支払元（ＰＳ）：支払元（ＰＳ）３０は、支払いを実行する際に使用するために個人または家族に利用可能な任意のおよびすべての資金を備える。これらの資金元は、クレジットカード口座、デビットカード口座、銀行小切手および／または貯蓄口座、百貨店クレジットカード口座などを含む。これらの資金は、通常、２つの主な範疇に分割される。すなわち、銀行エンティティおよび信用エンティティである。かかる資金を提供および／または保持するエンティティは、通常、多くの場合、金融機関（ＦＩ）である金融サービスプロバイダ（ＦＳＰ）である。銀行エンティティは、通常、個人または家族に利用可能な金銭が維持される小切手口座および／または貯蓄口座を含む。信用エンティティは、通常、個人または家族に利用可能なすべての信用施設を含む。
【０１１３】
一般に、支払元（ＰＳ）３０に関連する情報は、（１人または複数の）口座所有者（すなわち、資金を所有するまたは資金を管理する個人）の（１つまたは複数の）名前、口座番号、口座残高、クレジットカードまたはその他の信用施設に関する利用可能な信用および信用限度、利用可能な現金前払額、その他の認定ユーザまたは口座の共同所有者の名前、特別な個人識別番号（personal identification number）（ＰＩＮ）、口座の使用制限などを含む。
【０１１４】
引き続き図１を参照すると、ＭＦＴＳシステム１８からの主な出力は、それらの両方がＭＦＴＳ１８から個々のモバイル装置１５に提供されて、反応および応答のためにユーザ１２に表示かつ／または提示される、１つまたは複数の支払実行（ＰＭ）に関する情報のサブセット、ならびに１つまたは複数の支払元（ＰＳ）に関する情報のサブセットを備える。ＰＭの提示（またはＰＭの開始）に応答して、モバイル装置１５は、支払命令内の情報に従って、支払いを実行するための支払命令を金融サービスプロバイダまたは金融機関などの支払命令受領者に提供する。
【０１１５】
本発明の例示的な態様に従って支払いを実行するための方法全体は、７つの主なステップを伴う。ＭＦＴＳ１８とモバイル装置１５の間の相互作用は、モバイル通信サービスプロバイダ（ＭＣＳＰ、図１に示されず）によって提供される通信サービスを介して確立され、方法の初めの４つのステップを伴う。７つの主なステップは以下のとおりである。
【０１１６】
１．第１のステップは、ステップ１に示されるように、ＭＦＴＳ１８からモバイル装置１５に、ＰＭ情報を押し出すこと（三角内に示されるステップ１）およびＰＳ情報を押し出すこと（正方形内に示されるステップ１）である。
【０１１７】
２．第２のステップは、ステップ２に示されるように、モバイル装置１５のユーザ１２が利用可能な支払実行を閲覧すること（三角形内に示されるステップ２）および選択された支払いを実行する際に使用するために利用可能な支払元を表示すること（正方形内に示されるステップ２）である。
【０１１８】
３．第３のステップは、ステップ３に示されるように、ユーザが、一例として、結果としてユーザ１２による情報入力に基づくモバイル支払命令（ＭＰＩ）の構築をもたらす、モバイル装置１５上でモバイル装置アプリケーションを使用して請求書支払機能を活動化することである。
【０１１９】
４．第４のステップは、ステップ４に示されるように、処理のためのモバイル支払命令（ＭＰＩ）のモバイル装置１５からＭＦＴＳへの通信である。
【０１２０】
５．モバイル装置またはＭＣＳＰとの通信を伴わない、方法全体における第５のステップは、ステップ５に示されるように、モバイル支払命令からの情報を利用したＭＦＴＳ支払命令の構築、および支払命令受領者に対するそのＭＦＴＳ支払命令の通信である。
【０１２１】
６．本発明の方法全体における第６のステップは、ステップ６に示されるように、選択された支払元を使用して、通常、金融サービスプロバイダを介した支払命令受領者による選択された被支払人への資金振替である。
【０１２２】
７．本発明の方法全体における第７のステップは、ＭＦＴＳ支払命令を成功裏に処理したときに、金融サービスプロバイダが支払確認メッセージをＭＦＴＳに送り戻すことである。
【０１２３】
これらのステップに関するさらなる詳細が次に提供される。
【０１２４】
ステップ１に関して、モバイル装置に押し出された情報は、ステップ１（ＰＭ）に示されるような支払実行情報のサブセットおよび／またはステップ１（ＰＳ）に示されるような支払元情報のサブセットを含む。押し出された情報は、支払実行および／または支払元からＭＦＴＳによって受け取られたすべての利用可能な情報を含まない。むしろ、モバイル支払いまたは支払元の表示を円滑にするために、支払実行情報および／または支払元情報の縮小されたサブセットがモバイル装置に押し出される。本発明の例示的な態様によれば、情報は、支払いを実行することおよび何の資金元を利用するかについての決定を円滑にするより迅速かつより正確な情報をユーザに提供できるように縮小される。請求書の場合、この縮小された情報は、通常、支払請求エンティティの（１つまたは複数の）名前、不足額または未払金、および支払実行に関する支払期日だけを含む。支払元の場合、消費者の（１つまたは複数の）口座名、現在の残高、利用可能な資金などが示されることになる。
【０１２５】
ステップ２に関して、モバイル装置１５のユーザ１２は、ステップ２（ＰＭ）に示されるように支払実行を閲覧して、ステップ２（ＰＳ）に示されるように支払いを実行する際に使用するための支払元を閲覧する。本発明の例示的な態様によれば、モバイル装置ユーザ１２は、新規支払実行がＭＦＴＳ１８によって受け取られた場合および／またはその他の通信手段を介してモバイル装置に関連する口座に関する更新が金融機関からＭＦＴＳによって受け取られた場合、テキストメッセージ（ＳＭＳ）を介して通知を受ける。もう１つの例示的な態様によれば、モバイル装置１５は、本明細書で様々な機能的ソフトウェアモジュールに関して詳細に説明されるように、「請求書閲覧」、「請求書支払」、「ペイエニワン」など、モバイル装置上で選択された機能を活動化したときに、ＭＦＴＳから新規支払実行に関する情報または更新された金銭口座情報を取り出す。
【０１２６】
本発明のもう１つの例示的な態様によれば、モバイル装置ユーザ１２が支払実行を見直す状態にある場合、当該ユーザ１２はＰＭおよびＰＳを見直すためにモバイル装置上で実行する「モバイルウォレット」アプリケーションを開始することができる。ＰＭは（「Ｖｉｅｗ  Ｐａｙｍｅｎｔ  ｔｏ  Ｍａｋｅ」とも呼ばれる）「請求書閲覧」機能を介して閲覧され、ＰＳは「支払元閲覧」機能を介して閲覧される。これらの機能を介して表示される情報の例示的な表示画面が図１に示される。「請求書閲覧」機能の場合、モバイル装置ユーザは現在まで受け取られた請求書を見直して、どの時点でどの（１つまたは複数の）請求書に対して支払うかを決定することが可能である。「支払元閲覧」機能を介して、モバイル装置ユーザは、自らの選択の請求書に対して支払うために何の（１つまたは複数の）資金元を使用するかを閲覧および決定することが可能である。このステップで行われる選択は「請求書支払」機能が活動化されるまでＭＦＴＳに送信されない。支払実行および支払元を閲覧することは、ユーザが支払うための請求書を選択することを要求するとは限らないが、これは本発明の意図される主な機能のうちの１つである点を理解されたい。
【０１２７】
ステップ３に関して、ユーザは、支払実行および対応する支払元を選択するためにモバイル装置１５上でモバイル装置アプリケーション内の「請求書支払」機能を起動させ、これはモバイルアプリケーションにモバイル支払命令（ＭＰＩ）を構築させる。このステップは、支払実行を選択することと、支払元を選択することと、モバイル支払命令を構築することとを含む。モバイル支払命令は、通常、支払請求エンティティ情報、支払うべき金額、支払日および／または支払時間、ならびにその支払いに関して選択された支払元を含む。
【０１２８】
ステップ４では、モバイルアプリケーションは処理のためのモバイル支払命令（ＭＰＩ）をモバイル装置からＭＦＴＳに無線接続を介して提供する。
【０１２９】
ステップ５では、ＭＦＴＳはＭＰＩを処理して、場合によっては、選択された支払元に関連づけられた選択された金融サービスプロバイダまたは金融機関である支払命令受領者に対してＭＦＴＳ支払命令を構築する。完全なＭＦＴＳ支払命令は、通常、モバイル装置ユーザの口座番号、支払いに使用するための適切な口座、支払金額、支払日および／または支払時間、口座資格証明など、モバイル装置ユーザに関連づけられたＭＦＴＳのデータベースに保存された選択されたその他の情報と共に、モバイル支払命令内に含まれる情報を含む。
【０１３０】
ステップ６では、支払命令受領者は様々な手段によって支払いを達成する。例えば、支払命令受領者は自ら支払いを実行することが可能であり、または資金を支払実行（ＰＭ）に関連づけられた識別されたエンティティの口座もしくはその他の支払手段に振り替えるために、ＭＦＴＳ支払命令内で識別された選択された支払元（ＰＳ）を使用するための命令を選択された金融機関に提供することも可能である。
【０１３１】
ステップ７では、ＭＦＴＳ支払命令を成功裏に処理したときに、金融サービスプロバイダ（ＦＳＰ）は確認メッセージをＭＦＴＳに伝達し戻す。
【０１３２】
モバイル装置に提供される情報は、通常、選択された支払元を使用して電子支払を実行するための金融取引に関連する情報の選択されかつ縮小されたサブセットであるため、モバイル装置ユーザは、自らが特定の支払いを実行すること、および何のソースを使用するかを決定するために必要な最小限に要求される情報だけを目にする点を特に理解されたい。取引を完成するために要求されるより詳細かつ包括的な情報は、ユーザに透過的にＭＦＴＳに保存されるが、選択された支払元を使用して支払いを実行するために取り出されて、利用される。ユーザに好都合な場所および時間に、自らのモバイル装置を使用して支払いを迅速、正確、かつ効率的に実行するために必要とされる、要求されるが限定された情報がユーザに提示されると有利である。しかも、後でより詳細に説明されるように、取引の全詳細がＭＦＴＳによって捕捉および保存され、ユーザに好都合なようにユーザによって、例えば、ウェブインターフェースを介して、アクセスおよび閲覧され得ることが好ましい。
【０１３３】
これらの一般的なステップの実装形態に関するより多くの詳細が下で提供される。
【０１３４】
次に図２を参照すると、本発明の態様によるシステム２００は、ＭＦＴＳ１８と、モバイル通信サービスプロバイダ（ＭＣＳＰ）１１０と、インターネットまたは私設網などの通信ネットワーク１２０と、請求書提示システム１９０と、ユーザのためのウェブインターフェース１４０と、（１つまたは複数の）モバイル装置１５と、支払請求エンティティ／支払エンティティ１８０および支払元３０に対する接続すなわちインターフェースと、ある種の目的のためのその他の成分とを含む。
【０１３５】
ＭＦＴＳ１８は、データベース１５８と、電気通信インターフェース１５２と、ソフトウェアとを備えるコンピータシステムを含む。ＭＦＴＳ１８は３つの主なインターフェースすなわち通信方法をサポートする。すなわち、金融サービスプロバイダ（ＦＳＰ）通信インターフェース１５６、無線装置もしくはモバイル装置（モバイルクライアント）インターフェース１５２、およびワールドワイドウェブ（ＷＷＷ）またはインターネットユーザインターフェース（ＵＩ）である。当業者に知られているように、「インターフェース」は、機械、装置、コンピュータプログラムまたはその他の複雑なツールの間の相互作用のための手段すなわち方法であり、ユーザインターフェース（ＵＩ）は、それによってユーザが特定の機械、装置、コンピュータプログラムまたはその他の複雑なツールと相互作用する手段すなわち方法である。ユーザインターフェースは、（ユーザがＭＦＴＳなどのシステムに情報を送ることを可能にする）入力手段と、（ＭＦＴＳシステムがユーザに情報を表示することを可能にする）出力手段とを提供する。これらの入力および出力はインターネットを介してトランスポートされ、Ｎｅｔｓｃａｐｅ  Ｎａｖｉｇａｔｏｒ、Ｉｎｔｅｒｎｅｔ  Ｅｘｐｌｏｒｅｒ、Ｆｉｒｅｆｏｘ、または任意のその他のウェブブラウザなどのウェブブラウザプログラムを使用して、ユーザによって閲覧される。本発明の態様によれば、ユーザは、サービスに関して記録するために個人情報を提供して、ＭＦＴＳに個人情報および金融情報を入力し、ユーザのコンピュータシステム上の表示を介してかかる情報を確認する。
【０１３６】
金融サービスプロバイダ（ＦＳＰ）通信インターフェース１５６は、支払実行（ＰＭ）に関して支払元（ＰＳ）および請求書提示インターフェース１５５を支払請求エンティティ／支払エンティティ１８０に提供する金融エンティティ３０に対するインターフェースである。ＭＦＴＳのコンピュータシステムは、フレームセキュアな（frame secured）専用パス１６０、ローカルエリアネットワーク（ＬＡＮ）、広域ネットワーク（ＷＡＮ）など、ならびに知られているインターネット１２０など、様々なタイプのコンピュータネットワークを介して金融エンティティのコンピュータシステムに接続する。
【０１３７】
無線装置またはモバイル装置（モバイルクライアント）インターフェース１５２は、ユーザのモバイル装置１５に接続を提供する。ＭＦＴＳのコンピュータシステムは、ＣＤＭＡ、ＧＳＭ、ＧＰＲＳ、その他の２Ｇの無線データ通信サービス、および新たに出現している３Ｇ無線データサービスを用いて音声サービス／データサービスを提供している様々な無線電気通信サービスプロバイダを介してユーザのモバイル装置と通信するための複数のインターフェースを有する。当業者に知られているように、モバイル電話の標準音声機能に加えて、多くのモバイル装置は、テキストメッセージングのためのＳＭＳ、インターネットにアクセスするためのパケット交換、および写真、音声、音楽、および／またはビデオの送受信のためのＭＭＳなど、多くの追加のサービスをサポートする。システム１８は、したがって、ＳＭＳメッセージを生成するためのＳＭＳジェネレータ１５１を含むことが好ましい。モバイル装置通信インターフェース１５０は、（ユーザが自らのＭＣＳＰの受信可能範囲領域内にあることを条件に）ユーザがどこにいようと、ユーザが金融情報およびその他の情報を受け取り、ＭＦＴＳ１８と相互作用し、様々な金融取引を完了することを可能にする。
【０１３８】
ワールドワイドウェブ（ＷＷＷ）すなわちインターネットユーザインターフェース（ＵＩ）は、サービスに関する記録、構成および口座セットアップ、口座の維持、支払実行および支払元ならびにステータスの閲覧などのためにユーザがＭＦＴＳにアクセスするための１つまたは複数のウェブアプリケーション１５４を備える。ユーザ口座金融情報は、例えば、ＭＦＴＳのオペレータと関係を有する選択された金融機関との事業取決めによるサービス登録からＭＦＴＳに提出され得ることが好ましい。あるいは、ユーザはユーザ口座金融情報を入力するためにウェブユーザインターフェースを使用することも可能である。
【０１３９】
やはり図２を参照すると、本発明のいくつかの実施形態では、ＭＦＴＳ１８は、自らの（１つまたは複数の）モバイル装置１５および／または自らの関連するコンピュータ１４０、モバイル通信サービスプロバイダ１１０、インターネットなどのデータ通信ネットワーク１２０、セキュアな専用ネットワークパス１６０、支払元３０を提供する金融サービスプロバイダ（ＦＳＰ）３０、支払請求エンティティ１８０、および／または請求書提示システム１９０を介してユーザ１２と通信する。
【０１４０】
モバイル装置１５は、モバイル通信サービスプロバイダ（ＭＣＳＰ）１１０によって提供された無線通信サービスを使用して、（アンテナ１１２として例示される）無線接続を介してＭＦＴＳ１８と通信する。モバイル装置１５は、ＭＣＳＰ１１０を介してモバイル通信ネットワークとのデータ通信のために接続される任意の装置を備える。かかる装置１５は、ポケットベル１５ａ、携帯情報端末（ＰＤＡ）１５ｂ、移動通信電話もしくはモバイル電話１５ｃ、または無線リンクを介して情報を受け取る能力を有する、ＰＤＡもしくはモバイル電話の機能性を含む任意のその他の電子装置を含み、ユーザ入力を受け取り、データ（例えば、支払命令）をＭＦＴＳに送信することが可能である。
【０１４１】
本発明は、ＭＣＳＰ１１０によって提供される様々なタイプのモバイル通信サービスに一般に適用可能な表現で説明される。当業者は、本発明は任意の特定のタイプのモバイル通信標準または無線通信標準に限定されず、いくつかの異なるが機能的に等しい無線データ通信標準のうちのいずれかを使用して実施され得る点を理解および認識されよう。現在、米国では、デジタルセル電話ネットワークは主に２つの基本的な標準に基づく。すなわち、ＧＳＭ（汎欧州デジタル移動電話方式）およびＣＤＭＡ（符号分割多元接続）である。いくつかのＭＣＳＰはＧＳＭを使用し、一方、その他のＭＣＳＰはＣＤＭＡを使用する。さらに、その他のＭＣＳＰはＣＤＭＡに基づくが、異なる周波数を使用するＰＣＳと呼ばれる標準を使用する。さらに、ＷｉＦｉおよびＷｉＭＡＸとして知られている、現在ＷＬＡＮ実装のために使用される、いわゆる「広帯域」無線データ通信標準も本発明の実施形態を実施するために利用可能であるが、かかる標準は、現在のところ、ハンドヘルドモバイル装置において広く配備されていない。
【０１４２】
当業者が本発明の実施形態を作成する際にかかる技術をどのように用いるかを知ることになると、不当な実験なしに、場合によってはまだ作成されていない、これらのおよびその他の無線データ通信標準が本明細書で説明される本発明の実施形態を構築する際に用いられることが可能である。
【０１４３】
ＧＳＭモバイル無線標準およびＣＤＭＡモバイル無線標準の両方に対して現在企図されるアップグレード、ならびにその他のデータ通信標準に対するアップグレードは、本発明の実施形態を構築する際に有用である点も理解されよう。例えば、（音声トラヒックに加えて）データトラヒックをよりよく処理するために、多くのＧＳＭネットワークは、現在、音声トラヒックを運ぶＧＳＭ信号と共に、最高で５６Ｋｂｐｓ（ダイアルアップ接続とほぼ同じ速度）までの速度でデータを運ぶことが可能なＧＰＲＳ（ジェネラルパケットラジオサービス）と呼ばれる標準を使用して動作する。つい最近では、ＧＳＭを使用するネットワークは、データ伝送速度を１４４Ｋｂｐｓに高めたＥＤＧＥ（エンハンスドデータレートフォーＧＳＭエボリューション（Enhanced Data rate for GSM Evolution））を加えた。ＣＤＭＡネットワークも、１ｘＲＴＴ（無線伝送技術）測定スループットとして知られている標準を使用してデータ速度を１４４Ｋｂｐｓに高めた。現在のＤＳＬ接続またはケーブルインターネット接続と同じくらい速い、論理上最大限の１秒当たり数メガビットでデータを運ぶことが可能な、ＣＤＭＡネットワークに関するさらなる最近のアップグレードは１ｘＥＶ−ＤＯ（エボリューションデータオンリー（Evolution-Data Only））と呼ばれる。なおさらに、いくつかのＭＣＳＰは、現在、接続を最大３８４Ｋｂｐｓに加速し、同時の音声およびデータ（ユーザが無線ラップトップ使用などのデータサービスを使用すると同時に、音声呼出を実行および受け取るために望まれる特徴）を可能にする、ＧＳＭネットワークのアップグレードである、ＵＭＴＳ（ユニバーサルモバイル通信システム）と呼ばれるサービスを提供する。
【０１４４】
無線データ通信に対する需要が増えると、ＭＣＳＰはＭＣＳＰのネットワークに対してより高速の標準および拡張すら導入することになると期待される。例えば、企図されるＲｅｖ  Ａ  ＥＶ−ＤＯはＥＶ−ＤＯネットワークを１．８Ｍｂｐｓアップストリームおよび３．１Ｍｂｐｓダウンストリームに加速して、ＨＳＤＰＡ（高速ダウンパケットアクセス）、１．８Ｍｂｐｓの速度を約束し、同時の音声およびデータも可能にするＵＭＴＳへのアップグレード。
【０１４５】
なおさらに、ショートテキストメッセージング（例えば、ＳＭＳ）に関する技術は、通常、テキストメッセージを運ぶための上述のデータ通信技術を使用して実施されることが理解されよう。かかる無線データ通信技術は、モバイル装置上の無線インターネットブラウジング、音楽、呼出音、ビデオ、写真のダウンロード、および無線アプリケーションに関するプロトコルサポート（例えば、本書で説明されるように構築されたモバイルアプリケーション）などの機能をサポートするためにも使用される。
【０１４６】
したがって、当業者は、本明細書で説明されるようにモバイルアプリケーションをサポートして、取引を円滑にするためにモバイル装置１５とＭＦＴＳ１８の間で無線接続を提供する本発明の要素に関する様々な均等物が本発明の実施形態を構築する際の使用に関して企図される点を理解されよう。
【０１４７】
よく知られているインターネットを含むデータネットワーク１２０は、有線接続または無線接続を介してＭＦＴＳ１８に対するアクセス可能性を提供する。ユーザ１２は、自らの家／事務所の接続を介してならびに自らのモバイル装置１５を介してインターネット１２０にアクセスすることが可能である。１４０に示されるユーザのコンピュータは、自らの家／事務所の接続を介してインターネット１２０に接続され、またはモバイル通信サービスプロバイダを介して無線で接続される。本発明の態様によれば、ユーザはウェブビューアクセスを有するコンピュータオンラインを用いてまたはモバイルビューを有するモバイル装置１５を介して支払請求情報および支払情報にアクセスするための柔軟性を有する。
【０１４８】
一般に、モバイル装置は、通常、（モバイル使用を円滑にするために）より小さな表示画面を有し、ユーザは多くの場合、ユーザが後でその他の手段を介して利用可能なより詳細な情報を有することを条件に、モバイル環境においていくつかの基本的な機能性を迅速かつ効率的に使用することを望むため、モバイルビューはウェブビューよりもユーザにより少ない情報を提供することになる。しかし、本発明は、詳細には、モバイル装置の機能を介して、ならびにインターネット使用のためのコンピュータ１４０接続を使用してウェブビューを介して、さらなる取引詳細が取得され得る動作モードを企図する。
【０１４９】
ＭＦＴＳ１８は、本書で後により詳細に説明される、ＭＦＴＳに関連するコンピュータサーバ上で実行するいくつかのソフトウェア成分を含む。かかる成分は、ＳＭＳジェネレータ１５１と、ＭＦＴＳモバイル装置通信インターフェース１５０と、１つまたは複数のウェブアプリケーション１５４と、複数のパートナー金融サービスプロバイダ（ＦＳＰ）インターフェース１５６と、ユーザデータベース１５８とを含む。
【０１５０】
モバイル装置通信インターフェース１５２は、ＭＦＴＳ上で利用可能な金融サービスへのアクセスをモバイルクライアントに提供するＨＴＴＰリモートプロシージャコール（Remote Procedure Call）（ＲＰＣ）であることが好ましい。モバイルクライアントインターフェースは、すべてのデータ送受信、ならびにＳＭＳジェネレータ１５１を介したＳＭＳ送受信を含めて、ＭＦＴＳ１８とモバイルユーザの間の通信を円滑にするように設計されることが好ましい。ＳＭＳジェネレータは、モバイル装置に対する伝達のためのメッセージを受け取り、そのメッセージを、通常、単にテキスト情報であるＳＭＳフォーマットに変換して、そのメッセージをＭＣＳＰによって特定されたようなＳＭＳフォーマットでＭＣＳＰに送信するソフトウェア成分である。特定のＭＣＳＰに関して要求されるＳＭＳフォーマットの詳細は、適用可能なＭＣＳＰの問合せによって取得され得る。
【０１５１】
ウェブアプリケーション１５４はＭＦＴＳのサーバ上に存在し、以下の主な成分のうちの１つまたは複数を備える。すなわち、ユーザサイト１５３および管理（Ａｄｍｉｎ）サイト１５７である。
【０１５２】
ユーザサイト１５３は、その目的はユーザがＭＦＴＳ１８によって提供されるサービスに関して登録（enroll）すなわち記録（register）して、自らのモバイルクライアントを管理し、口座維持、新規被支払人の追加、支払元または支払実行に関する口座情報の確認など、その他のユーザ関連機能を実行することを可能にすることであるウェブアプリケーション（ＨＴＭＬ）である。ユーザサイト１５３は、ユーザがセキュリティ目的でユーザ名およびパスワードを取得して、ユーザの支払請求エンティティおよび口座番号、アクセス／認証方法など、支払請求エンティティの支払元に関する詳細な情報をＭＦＴＳ１８に提供するために、名前、住所、モバイル番号などの適切な情報を提供することによってサービスを受け取る目的で登録するために使用される。
【０１５３】
管理サイト１５７は、システムを管理するためにＭＦＴＳ生産作業人員によって使用されるアプリケーション（通常、ウェブまたはＨＴＭＬ）である。管理サイト１５７は、通常、ＭＦＴＳ１８の情報技術（ＩＴ）管理者、問題解決、問合せの回答、口座維持、取引歴の閲覧、一般的なシステム監視などによって使用される。
【０１５４】
ＭＦＴＳ１８はまた、支払元の詳細、請求書アグリゲーションもしくは請求書支払接続性などの機能を提供するエンティティ、またはユーザの代わりに支払命令が送られるエンティティであるパートナー金融サービスプロバイダ（ＦＳＰ）３０に対する複数の金融サービスプロバイダ通信インターフェース１５６を備える。金融サービスプロバイダ通信インターフェース１５６は、ＭＦＴＳと銀行エンティティ、信用エンティティなどの個々の金融サービスプロバイダの間の電子データ通信情報転送を円滑にする。これらのインターフェースに関する技術要件は、それらの実装において異なり、それぞれの個々の金融サービス機関に対応するためにカスタマイズされる必要がある場合がある。かかるインターフェースは、通常、参加しているパートナー金融サービスプロバイダの能力および要件に応じて、リアルタイムウェブサービスインターフェースまたはバッチモードファイル転送プロトコルとして実施される。特定のＦＳＰのデータ通信要件の詳細はＦＳＰから直接取得することが可能である。
【０１５５】
フレームリレー、私設網、インターネット仮想私設網（internet virtual private network）（ＶＰＮ）、またはウェブサービスなどの特別なセキュアな専用ネットワークパス１６０は、金融情報伝送のセキュリティを確実にするために、ＭＦＴＳ１８と様々なＦＳＰの間のデータ通信のために使用されることが好ましい。セキュリティの特定の形式、プロトコル、要件などに関する詳細は、ＭＦＴＳ１８と本明細書で説明されるシステムおよび方法に参加するそれぞれの金融機関の間で定められることになる。
【０１５６】
やはり図２を参照すると、ＭＦＴＳ１８に関連するユーザデータベース１５８は、すべてのユーザ、ユーザにサービス提供する金融サービスプロバイダ、ユーザにサービス提供する支払請求エンティティ、被支払人および被支払人にどのように支払いを実行するかに関する情報、ならびにその他の関連情報を保存する。ユーザデータベース１５８に保存された情報に関する詳細は、図６および関連する議論に関して提供される。
【０１５７】
予め説明されたように、支払元（ＰＳ）３０を提供するＦＳＰは、銀行、信用組合、貯蓄会社および財務貸付会社、貯蓄口座／小切手口座／金融市場口座を提供する委託会社、およびその他の金融機関などの銀行エンティティ、クレジットカード発行会社、銀行および／または百貨店、石油会社などの信用エンティティ、ならびにＭＦＴＳのユーザが事業を営む任意のその他の金融機関を含む。支払元３０は、本明細書で説明されるように、選択された支払請求エンティティ１８０に支払い１９４を提供する。
【０１５８】
支払請求エンティティ１８０は、ガス１８５、水、電気１８１、電話／セル電話１８３、衛星／ケーブル／インターネットプロバイダ、クレジットカード会社、および購入された製品または提供されたサービスに関して請求書をユーザに送る任意のその他のエンティティなど、ユーザにサービス提供するサービス会社を含む。理解されるように、多くの支払請求エンティティ１８０は、定期的に（多くの場合、毎月）請求書１９２を送る。請求書は、保険会社、自宅所有者組合、ゴミ収集、害虫駆除、自動車修理、芝生＆庭、造園、清掃など、ユーザにサービスを提供する支払請求エンティティからも来る場合がある。いくつかのエンティティは毎月請求書を送らず、半年ごと、３ヶ月ごと、もしくは毎年、またはサービスが提供された場合、要求に応じて請求書を送る。時折、人々は、同僚、友人、家族など、他者に個別に支払う必要がある。これらの請求書支払債務または請求書のない支払債務はすべて支払実行（ＰＭ）と呼ばれる。
【０１５９】
本発明の１つの例示的な態様によれば、請求書提示システム１９０は、支払請求エンティティ１８０から請求書を受け取り、それらの請求書を電子的にまたはその他の方法でユーザへの提示のためにパッケージにアグリゲートするために利用されることが可能である。請求書提示システム１９０は、ＭＦＴＳ１８のサービスもしくは成分または独立したサービスエンティティのいずれかであり得る。例えば、ＣｈｅｃｋＦｒｅｅ  Ｃｏｒｐｏｒａｔｏｎ、Ｎｏｒｃｒｏｓｓ、Ｇｅｏｒｇｉａは支払請求アグリゲーションおよび請求書提示サービスを提供する。請求書提示システムは、１つまたは複数の個々の支払請求エンティティから請求書を取り出して、請求書をＭＦＴＳシステに提示する。収集された／取り出された請求書に関する情報はＭＦＴＳ１８のユーザデータベース１５８に保存される。
【０１６０】
支払請求アグリゲータおよびＭＦＴＳ１８は個別のシステムとして構成され、同じエンティティによってもしくは異なるエンティティによって操作されることが可能であり、またはアグリゲータ機能とＭＦＴＳ機能とが補完的かつ相互通信的なコンピュータプロセスとして実行される統合システムとして構築され得る点を理解および認識されよう。したがって、図２はＭＦＴＳ１８およびアグリゲータ／請求書提示システム１９０を個別のエンティティとして示すが、当業者はかかる機能性は統合システムにおいて提供され得る点を理解されよう。
【０１６１】
本発明の例示的な態様によれば、モバイル装置１５は、無線周波識別（ＲＦＩＤ）装置１８７からの支払実行（ＰＭ）の受け取りによって、小売店などの支払請求エンティティに関して動作するように構成されることが可能である。様々な形式のＲＦＩＤベースの支払端末が、現在、商業分野において利用可能になってきている。当業者に知られることになるように、ＲＦＩＤベースの支払端末は、ＲＦＩＤベースの支払端末に近接して、場合によっては、モバイル装置内に含まれるＲＦＩＤ電子回路の存在を検出して、関連する装置に支払情報を構成する無線（ＷｉＦｉ、Ｂｌｕｅｔｏｏｔｈ、赤外線などの）信号を自動的に送信するために動作可能である。モバイル装置１５は、直接的な方法で無線通信を介して販売場所（ＰＯＳ）において取引先から支払債務（ＰＭ）を受け取り、それにより、ユーザに本明細書で説明されるように、提供された商品またはサービスに対する支払請求エンティティに対して支払う能力および機会を提供するように構成され得ることが企図される。
【０１６２】
図２にはまた、一時的にまたは暫定的に取引に関する資金を保有する目的で、ＭＦＴＳ１８の代わりに特別な保有口座を提供する特別金融サービスプロバイダ（ＦＳＰ）１７５も示される。保有口座ＦＳＰ１７５は、支払請求エンティティ１８０に対する支払いの解除が、特定の商品またはサービスの引渡し、ユーザからの特定の許可、またはその他の目的など、いくつかの事象に関して条件付けられるエスクロウタイプの取引に関して資金を保有するためのＦＤＩＣ保証された口座を提供する。保有口座ＦＳＰ１７５は、以下の例示的な方法で利用されることが可能である。すなわち、ユーザによって支払いを実行するための支払元（ＰＳ）が選択されたときに、選択された支払元は、かかる資金がその時点で保有口座１７５が指示された支払請求エンティティまたは支払エンティティに資金を送信することになる解除事象（例えば、商品の引渡し、契約の実行、またはその他の所定の事象）までユーザのために保有されることになる保有口座１７５に資金を送るように支払命令を用いて命令されることが可能である。
【０１６３】
ＭＦＴＳの一般的な動作
本発明の好ましい実施形態のソフトウェアアーキテクチャを議論するのに先立って、開示されたＭＦＴＳ１８の動作全体が簡潔に説明される。理解されるように、本発明の実施形態の機能性の大部分はコンピュータソフトウェア内で実施され、自らのモバイル装置とのユーザ相互作用、データ記録の作成、モバイル装置とＭＦＴＳ１８の間の通信、ならびにＭＦＴＳ１８と、金融機関、支払請求エンティティ、支払いが実行される個人など、様々なその他の当事者およびそれらのシステムの間の通信を伴う。これに関してやはり図２を参照すると、本発明のいくつかの態様によるＭＦＴＳ１８の動作全体は以下の例示的なステップを含む。
【０１６４】
１．カスタマすなわちユーザ１２はまずＭＦＴＳ１８に記録して、ＭＦＴＳサービスを用いて口座を作成する。この記録は、インターネット接続を用いてコンピュータ１４０を経て、またはインターネットアクセス可能性を有するモバイル装置１５を経て、ユーザウェブサイトインターフェース１５４を介して完了する。口座所有者（ユーザ）はユーザ名ならびにセキュリティおよび認証の目的でパスワードを選択するか、または当該ユーザ名と当該パスワードが与えられる。口座に関してユーザプロファイルが作成されて、モバイル装置識別番号または口座に関連づけられた電話番号などの必要な情報が入力されてユーザ記録内のユーザデータベース１５８に保存される。ユーザがサービス提供することをＭＦＴＳに望む支払実行（ＰＭ）に関するすべての支払請求エンティティは、口座番号、口座所有者の名前および住所、支払請求サイクル、ならびに任意その他の関連情報を含めて、ユーザによってユーザデータベースに入力される。同様に、１つまたは複数の支払元（ＰＳ）は、（１つまたは複数の）銀行ルーティング番号（routing number）および（１つまたは複数の）口座番号、（１人または複数の）口座所有者の（１つまたは複数の）名前および（１つまたは複数の）住所、ＰＩＮなどのアクセスコード、アクセス方法、（１つまたは複数の）クレジットカード番号、（１枚または複数の）クレジットカードの（１つまたは複数の）有効期限などを含めて、ユーザデータベース内にも入力される。あるいは、ＦＩ情報は、ＦＳＰ通信インターフェース１５６を経てＭＦＴＳ内に引き込まれることが可能である。
【０１６５】
２．本発明の１つの例示的な態様によれば、ユーザ１２は、２１５に示されるように、ＭＦＴＳメインウェブサイトから自らのモバイル装置１５に（モバイルアプリケーションまたは「モバイルウォレット」とも呼ばれる）モバイルクライアントをダウンロードする。ダウンロードされたモバイルアプリケーションは、（ａ）後の同期のためにユーザのコンピュータ１４０にダウンロードされることおよび／もしくはモバイル装置のソフトウェアがＰＣからロードされなければならない状況の場合、モバイル装置を用いてロードしていることが可能であり、または（ｂ）あるいは、モバイル装置が直接的なアプリケーションダウンロードが可能である状況の場合、無線ネットワークを介してモバイル装置に直接的にダウンロードされることが可能である。モバイルクライアントすなわちアプリケーションは、ユーザ１２によって所有されるモバイル装置１５のブランドおよびモデルに関して構成および認定される。例えば、開示された実施形態におけるモバイルアプリケーションは、ユーザのモバイル装置上に存在するアプリケーションである。本発明の好ましい例示的な態様によれば、モバイルクライアントはモバイル装置上で独立して実行し、ＭＦＴＳ１８に対してアクティブな通信接続を要求しないアプリケーションであるため、モバイル装置上のローカルストレージ（local storage）を利用することによって、モバイル装置がその受信可能範囲領域の外にある時またはある場合、モバイルクライアントはオフラインモードで動作することが可能である。装置上でローカルストレージを利用する能力は、エンドユーザの相互作用を加速するデータキャッシングと、接続性が回復するまでユーザが開始した取引をキューする能力とを可能にする。加えて、オフラインサポートは、今日の市場において、ＷＡＰベースの解決法において見られるユーザ経験に影響を与える可能性がある間欠的な信号動作を除去することを可能にする。
【０１６６】
３．所定の間隔で、ＭＦＴＳは支払請求アグリゲータ（例えば、請求書提示システム１９０）に対してまたは支払請求エンティティ１８０に対してＭＦＴＳユーザの請求書１９２を取り出すための要求を送る。あるいは、ＭＦＴＳは、ある支払請求サイクルで支払請求エンティティから、支払請求アグリゲータからまたは直接的に支払請求エンティティから請求書を受け取ることが可能である。
【０１６７】
４．ＭＦＴＳは請求書を受け取り、（一態様によれば）ＳＭＳを介して支払うべき請求書についてユーザに通知する。次いで、ユーザは、支払うべき請求書を調べるためにモバイル装置通信インターフェース１５２と通信するモバイル装置１５上でモバイルクライアントソフトウェアを開始する。ＳＭＳメッセージは、支払請求エンティティの名前および支払うべき金額のように単純な短くかつ省略された情報だけを含むことが好ましく、追加の情報はモバイル装置によって取得され得る（次のステップを参照されたい）。
【０１６８】
５．ユーザは、すべての適用可能な支払請求エンティティに対する要求を介して（１つまたは複数の）受け取られた請求書を閲覧するために自らの（１つまたは複数の）モバイル装置上でモバイルウォレットアプリケーションを開始する。
【０１６９】
６．ユーザが請求書に対して支払うことを決定した場合、ユーザは、利用可能な支払元（ＰＳ）のうちの１つを選択して、支払いを実行するために可能な複数の請求書（ＰＭ）のうちの１つを選択することが可能である。支払命令は、ＰＭを選択することおよびＰＭのためのＰＳを選択することによってユーザによって形成される。
【０１７０】
７．ユーザには、システムに対する支払いを行う前に、支払うべき請求書、支払のタイミング、利用可能な残高などに関する基本的な情報を表示する確認画面がモバイル装置上で提示されることが好ましい。ユーザが支払いを確認した場合、モバイル装置１５は省略されたモバイル支払命令をＭＦＴＳ１８に送る。
【０１７１】
８．モバイル装置からのモバイル支払命令の受け取りに応答して、ＭＦＴＳ１８は、事前選択されているまたはＰＭおよびＰＳの選択プロセスの一環として選択されている支払方法を使用して、選択されたＰＳから被支払人に資金を振り替えることによって支払取引を完了するように選択された金融サービスプロバイダに命令する完全な支払命令（ＭＦＴＳ支払命令）を形成するためにその他の関係する情報を追加する。
【０１７２】
モバイル装置１５、ＭＦＴＳ１８、支払元を有するＦＳＰ３０、支払請求エンティティ１８０、請求書提示システム１９０などの間の特定の通信に関するさらなる詳細は、本書の他のところで様々な流れ図および図で提供される。
【０１７３】
ソフトウェアアーキテクチャ
モバイル金融取引システム（ＭＦＴＳ）のソフトウェアアーキテクチャは図３に示される。本発明の一実施形態によれば、ＭＦＴＳのソフトウェアは、２つの主な成分を備える。すなわち、モバイル装置アプリケーション４００（「モバイルウォレット」）およびＭＦＴＳソフトウェア５００である。モバイル装置アプリケーション４００は、モバイル装置上に存在し、モバイル装置の所有者によってアクセスされる。ＭＦＴＳソフトウェアアプリケーション５００は、インターネットに接続されたサーバコンピュータ上に存在し、ユーザのモバイルウォレットアプリケーションおよびウェブブラウザを介してユーザによってアクセスされる。
【０１７４】
次に図３Ａを参照すると、本発明の一実施形態によるモバイル装置アプリケーション４００（「モバイルウォレット」）のソフトウェアアーキテクチャ図が示される。モバイル装置アプリケーション４００は、モバイル装置アプリケーション４００の動作を制御するためのモバイル装置メインプログラム３３５と、メッセージを表示して、ユーザ選択またはユーザ入力を受け取り、ユーザの動作を円滑にするためのモバイル装置入出力インターフェース３３１と、無線通信のためにセキュリティ手段を提供するためのセキュリティマネージャ３３３と、モバイル装置内の不揮発性メモリ装置などのローカルストレージ装置３４１にデータを保存しかつ／またはローカルストレージ装置３４１からデータを取り出すためのモバイル装置記憶インターフェース３３７と、次にそれらのプロバイダの特定のプロトコルに従ってモバイル通信サービスプロバイダ（ＭＣＳＰ）１１０と通信する、モバイル装置上のモバイル装置無線ハードウェア３４３と通信するためのモバイル装置通信インターフェース３３９とを備える。
【０１７５】
図３Ａはまた、モバイル装置ソフトウェアすなわちモバイルウォレットアプリケーション４００によって提供されるいくつかのルーチンすなわち機能３０１、３０３、３０５、３０７、３０９、３１１、３１３、３１５、および３２１も例示する。かかるルーチンすなわち機能は、示されるように、モバイル装置上でユーザ機能性を提供する。支払元閲覧ルーチン３０１は、ユーザのモバイル装置上で支払元の表示を実現する。このルーチンの詳細は図１３および１４で提供される。請求書閲覧ルーチン３０２は、ユーザのモバイル装置上で請求書または支払実行の表示を実現する。このルーチンの詳細は図１５および１６で提供される。請求書支払ルーチン３０５は、ユーザのモバイル装置上で支払うべき請求書または支払実行の選択を実現する。このルーチンの詳細は図１７および１８で提供される。名前別ペイエニワンルーチン３０７は、ユーザのモバイル装置上で名前別にある個人に対する支払いの実行を実現する。このルーチンの詳細は図１９〜２２および２６〜２８で提供される。モバイル番号別ペイエニワンルーチン３０９は、ユーザのモバイル装置上でモバイル番号別にある個人に対する支払いの実行を実現する。このルーチンの詳細は図２３〜２５および２９〜３１で提供される。残高振替ルーチン３１１は、ユーザのモバイル装置を介したユーザの口座間の資金の移動を実現する。このルーチンの詳細は図３２および３３で提供される。アプリケーションダウンロード（Download Application）ルーチン３１３は、支払いを受け取ることに関して被支払人による本発明の態様の使用を可能にするために支払いを受け取ることに関して、ＭＦＴＳからユーザ／被支払人のモバイル装置へのモバイルウォレットアプリケーションのダウンロードを実現する。このルーチンの詳細は図３４および３５で提供される。ＰＩＮの変更（Ｃｈａｎｇｅ  ＰＩＮ）ルーチン３１５は、ユーザがモバイル装置を介して自らの個人識別番号（ＰＩＮ）を変更することを可能にする。このルーチンの詳細は図３６で提供される。ＳＭＳ（テキストメッセージ）受け取りルーチン３２１は、支払いが受け取られたことを被支払人に通知するためのテキストメッセージ（ＳＭＳ）を被支払人に送ることを実現する。このルーチンの詳細は図１５および２０で提供される。
【０１７６】
次に図３Ｂを参照すると、本発明の一実施形態によるＭＦＴＳソフトウェア５００のソフトウェアアーキテクチャ図が示される。ＭＦＴＳソフトウェア５００は、ＭＦＴＳメインプログラム３５０と、モバイル通信サービスプロバイダ１１０と通信するためのＭＦＴＳモバイル装置通信インターフェース１５０と、インターネット１２０上でユーザウェブサイトを介してユーザの登録すなわち記録を受け取り、情報を取り出して、更新するためのウェブアプリケーションインターフェース１５４と、パーソンツーパーソン金融取引を円滑にするためのＰ２Ｐサービス３７５と、ＭＦＴＳユーザデータベース１５８にデータを保存しかつ／またはＭＦＴＳユーザデータベース１５８からデータを取り出すための記憶装置／データベース（ＤＢ）インターフェース３７７と、ユーザ認証を円滑にするための金銭口座サービス３７９と、金融サービスプロバイダ３０、ならびに（適用可能な場合）ＭＦＴＳ銀行保有口座１７５と通信するための金融サービスプロバイダ（ＦＳＰ）通信インターフェース１５６と、請求書提示システム１９０を介して様々な支払請求エンティティ１８０から請求書を受け取るための請求書提示インターフェース１５５とを備える。
【０１７７】
ＭＦＴＳメインプログラム３５０は、ＭＦＴＳ内のその他のモジュールおよびサービスと相互作用ならびに調整して、様々な記憶インターフェースおよび通信インターフェースの間で経路指定された情報に関する「トラフィックコップ（traffic cop）」として機能する。
【０１７８】
好ましいウェブアプリケーション入出力インターフェース１５４は、ユーザがＭＦＴＳシステムに登録すなわち記録すること、モバイルクライアントを追加／編集／閲覧／削除すること、クラジットカード／銀行口座を追加／編集／閲覧／削除すること、および被支払人または支払請求エンティティを追加／編集／閲覧／削除することを可能にする。ウェブアプリケーションインターフェース１５４は、ユーザがモバイルクライアントを開始して、一連の失敗したログインの後でロックされたモバイル装置をアンロックすることをさらに可能にする。好ましいウェブアプリケーションインターフェース１５４に関連する例示的な表示は、図１０〜１２で示され、図１０〜１２に関して説明される。
【０１７９】
好ましいウェブアプリケーションインターフェース１５４は、所望される場合、ユーザがインターネット（ウェブ）接続を介してアクセスするためのいくつかの機能すなわちルーチンを提供する。ユーザは、モバイルインターフェースを介する代わりにインターネットウェブインターフェースを介して、登録、被支払人の追加、動作の構成の変更など、いくつかのタイプの機能を実施することを好む場合がある点を理解されよう。例えば、本発明の態様によれば、好ましい実施形態において、ウェブインターフェースを介して提供される機能は、登録３５１（例えば、図３７を参照されたい）と、モバイルクライアントの編集３５３（例えば、図３７Ｂ、３７Ｄを参照されたい）と、クレジットカードおよび／または銀行口座の編集３５５（例えば、図３８Ａ〜３８Ｄを参照されたい）と、被支払人の編集または追加３５７（例えば、図３９Ａ、３９Ｂを参照されたい）と、モバイルクライアントの初期化３５９（例えば、図３７Ａ、３７Ｃを参照されたい）と、モバイルクライアントのアンロック３６１（例えば、図３７Ａを参照されたい）とを含む。好ましいソフトウェアルーチンの詳細は、参照される図に関して提供される。
【０１８０】
好ましい入出力インターフェース１５４は、図４０〜４２に関して説明されるように、異なるウェブユーザインターフェース機能性および表示を提供する、インターフェースの代替の実施形態１５４’と置き換えることが可能である。
【０１８１】
モバイル装置ソフトウェア
図４は、本発明の実施形態に従ってモバイル装置１２上で実行するモバイル装置のソフトウェアモジュールのうちの１つ、すなわち「モバイルウォレット」ソフトウェア４００であるメインプログラム３３５の流れ図である。図３Ａから、開示された実施形態において、モバイル装置のメインプログラム３３５は、モバイル装置入出力インターフェース３３１、セキュリティマネージャモジュール３３３、モバイル装置記憶モジュール３３７、およびモバイル装置通信インターフェースモジュール３３９を含めて、その他のモバイル装置ソフトウェアモジュールの動作を調整する、モバイルウォレットソフトウェア４００のメインプログラムループであることを理解されよう。
【０１８２】
通常の使用では、モバイル装置ユーザは自らのモバイル装置を作動させて、（いくつかの実施形態では）最近のテキストメッセージを見直し、モバイル装置メインプログラム３３５の動作を開始することによってモバイル装置アプリケーション４００にナビゲートするかまたはモバイル装置アプリケーション４００を「開始」し、プログラムによって生成された表示を閲覧し、例えば、請求書を閲覧するために、支払元を選択するために、または支払いを実行するためにコマンドおよび入力を提供する目的でプログラムと相互作用する。本発明の態様によれば、ユーザは新規請求書が支払われるために利用可能であることを表示するテキストメッセージ（もしくはＭＦＴＳからのその他のメッセージ）の受け取りに応答して、モバイル装置アプリケーション４００を開始することが可能であり、または請求書を閲覧する、請求書に対して支払うなどの機能を起動させるためにモバイル装置アプリケーションを独立して開始することが可能である。
【０１８３】
図４では、第１のステップ４０５はモバイル装置がテキストメッセージ（ＳＭＳ）が受け取られたかどうかを確認することを伴う。例えば、本発明の態様によれば、テキストメッセージは、新規請求書が受け取られており、支払われることが可能であること、または支払いが別のユーザから受け取られていることをユーザに通知するためにＭＦＴＳによってモバイル装置に送られる。これに関しては、図１５および２０を参照されたい。
【０１８４】
受け取られたテキストメッセージは、ＭＦＴＳまたはその任意の機能に関係する場合があり、または関係しない場合もある点を理解されよう。しかし、任意の無関係のテキストメッセージは本明細書における議論の目的で無視されることになり、受け取られたすべてのメッセージはＭＦＴＳおよびその動作に関係すると仮定される。また、いくつかのモバイル装置では、テキストメッセージは独立したプロセスまたはモジュールから受け取られて、その他のプロセスによるアクセスのためにメモリに保存され、一方、テキストメッセージの受け取りおよび処理は、モバイル装置ソフトウェア４００内の統合機能としてオプションで組み込まれることが可能であることも理解されよう。モバイル装置内の独立したプロセスによってであれ、またはアプリケーション内で一体的にであれ、ＭＦＴＳ機能に関係するテキストメッセージが受け取られた場合、ステップ４６０でユーザはテキストメッセージを開いて、そのメッセージに応答するために何を実行するかを決定することが可能である。
【０１８５】
ステップ４７０で、ユーザが現在登録しているユーザでない場合、ユーザはモバイル装置ソフトウェアをダウンロードすること（例えば、モバイルウォレットソフトウェアをダウンロードすること）を選択することができる。ユーザには、ソフトウェアにどのようにアクセスしてソフトウェアをどのようにダウンロードするかについて情報が提供されることになる。登録に関するより多くの情報は本書の他のところで提供される。図４におけるその他の機能性のいずれかが起動され得る前に、ユーザはモバイルウォレットソフトウェアをダウンロードして、自らのモバイル装置上でそのソフトウェアを実行することが要求されることになる。
【０１８６】
ステップ４６０の後、プログラムは出口（終了）コマンドまたは出口（終了）事象を探すためにステップ４９０にループして、連続するループ内でステップ４０５にループバックして、動作を繰り返すことが可能である。
【０１８７】
ステップ４０５に戻ると、テキストメッセージが受け取られていない場合、プログラム制御はユーザがモバイルウォレットソフトウェア４００を活動化して、それにより提供された機能を利用することを選択することが可能なステップ４１０に移る。そうでない場合（すなわち、ステップ４１０で、モバイルウォレットソフトウェアに入るユーザコマンドが存在しない場合）、制御はテキストメッセージに関して試験するためかつ／またはモバイルウォレットソフトウェアを活動化するためにループバックする。
【０１８８】
ステップ４１０で、ユーザがモバイルウォレットソフトウェア４００の動作を開始した場合、制御はユーザがモバイル装置上でソフトウェアによって提供された機能のリストから選択することが可能なステップ４１５に移る。それらの機能は下で説明される。プログラムは、ステップ４９０に示されるような「出口」コマンドを含む、選択された機能のユーザ入力を待って連続してループする。
【０１８９】
本発明の一実施形態によれば、ステップ４１５で、ユーザはモバイル装置メインプログラム３３５によって提供された以下の機能を起動または実行することを選択することが可能である。
【０１９０】
１．ステップ４２０に示されるように支払元および残高を閲覧する（さらなる議論に関しては、図１３および１４を参照されたい）。
【０１９１】
２．ステップ４２５に示されるように請求書を閲覧する（さらなる議論に関しては、図１５、１６を参照されたい）。
【０１９２】
３．ステップ４３０に示されるように請求書に対して支払う（さらなる議論に関しては、図１７、１８Ａおよび１８Ｂを参照されたい）。
【０１９３】
４．ステップ４３５に示されるように「ペイエニワン」機能を起動する（さらなる議論に関しては、図１９〜３１を参照されたい）。
【０１９４】
５．ステップ４４０に示されるように口座残高振替を要求する（さらなる議論に関しては、図３２および３３を参照されたい）。
【０１９５】
６．ステップ４４５に示されるように個人識別番号（ＰＩＮ）を変更する（さらなる議論に関しては、図３６を参照されたい）。
【０１９６】
着信支払および送信支払を閲覧するために「インボックス」機能および「アウトボックス」機能が提供される場合、本発明の態様によるその他の機能も提供される。
【０１９７】
７．ステップ４５０に示されるようにインボックス支払を閲覧する（さらなる議論に関しては、図２０、２２〜２４を参照されたい）。
【０１９８】
８．ステップ４５５に示されるようにアウトボックス支払を閲覧する。
【０１９９】
インボックス支払を閲覧する機能（ステップ４５０）およびアウトボックス支払を閲覧する機能（ステップ４５５）は、モバイルウォレットソフトウェアの動作を独立して閲覧するために、その他のユーザからの着信支払（インボックス支払）のリストはモバイル装置内に維持され、かつ／または生成されてモバイルウォレットソフトウェアから送られた送信支払のリストは、支払いが未完である間、モバイル装置内に維持される実施形態に関するオプションの機能である点を理解されたい。
【０２００】
やはり図４を参照すると、ユーザが特定の機能を起動させた後で、それらの機能を達成するための適切なプログラム命令がモバイル装置によって実行される。かかる機能の例示的な表示および議論は、図４において参照される図面に関して提供され、かかる議論はその他のところで読者に示される。それぞれの機能が実行された後で、モバイル装置アプリケーションはステップ４９０に進み、別のユーザ機能の入力に関して試験するためにループバックするかまたは終了する。ユーザは、モバイル装置アプリケーションのさらなる動作を継続することまたはアプリケーションを終了することが可能である。ユーザが継続することを決定した場合、モバイル装置アプリケーションはテキストメッセージを確認するためにステップ４０５に戻るか、またはモバイルウォレットアプリケーションの動作を継続する。
【０２０１】
図５は、本発明の態様に従ってＭＦＴＳ１８においてコンピュータシステム上またはサーバ上で実行するＭＦＴＳソフトウェアモジュール５００のうちの１つであるＭＦＴＳメインプログラム３５０の流れ図である。このメインプログラム３５０は、例えば、ＭＴＦＳモバイル装置通信インターフェース１５０、ＳＭＳジェネレータ１５１、ウェブアプリケーション１５３、ＦＳＰ通信インターフェース１５６、請求書提示インターフェース１５５、ユーザデータベースのアクセスおよび維持１５８など、図２に示されるようなＭＦＴＳのその他のプログラムおよび機能を調整する。図３Ｂから、開示された実施形態において、ＭＦＴＳメインプログラム３５０は、ＭＦＴＳ１８に関連し、かつＭＦＴＳ１８の一部を形成するその他のソフトウェアモジュールの動作を調整する、ＭＦＴＳソフトウェアモジュール５００のメインプログラムループである点を理解されよう。
【０２０２】
通常の使用の際に、ＭＦＴＳ１８は様々なソースからの入力に関して監視するために連続して動作する。主な入力は、ユーザが請求書を閲覧および支払うときモバイル装置から生じ、支払うべき請求書を受け取るための支払請求エンティティ、金融機関、および／またはＦＳＰとの通信から生じ、ユーザが口座またはＭＦＴＳシステムオペレータとの関係を確立して、かかる機関およびパートナーに支払命令を提供し、口座残高および支払確認などの情報を受け取るために情報を入力するユーザ登録から生じる。当業者は、ソフトウェア５００は、それを用いてシステムが通信する様々なエンティティによるメッセージ駆動である、マルチスレッド方式、かつマルチタスク方式のウェブ対応の安全な（secure）リアルタイム２４／７コンピューティング環境においてコンピュータサーバ上で実行するように構築されることが好ましい点を理解されよう。
【０２０３】
図５において、ＭＦＴＳメインプログラム３５０に関するプロセスは、関連するエンティティ（例えば、モバイル装置を介してユーザ、ウェブインターフェースを介してユーザ、ＦＳＰ、など）から入力が受け取られており、処理されなければならないことを決定することから始まる。システムは、ステップ５０５で、入力がモバイル装置通信インターフェース１５２から受け取られているかどうかを決定し、ステップ５１０で、入力がウェブアプリケーション１５４から受け取られているかどうかを決定し、ステップ５１５で、入力が請求書提示システムインターフェース１５５から受け取られているかどうかを決定し、ステップ５２０で、入力が金融サービスプロバイダ（ＦＳＰ）インターフェース１５６から受け取られているかどうかを決定する。ステップ５３０で、プログラム３５０は、次いで、着信メッセージに関連づけられた特定の機能を実行するために適切なルーチンすなわちインターフェースに分岐するかまたは適切なルーチンすなわちインターフェースを実行する。詳細には、本発明の態様によれば、かかるルーチンすなわちインターフェースは、（ａ）請求書提示インターフェース１５５を介して請求書提示サービスとの通信およびメッセージを処理することと、（ｂ）ウェブアプリケーションインターフェース１５４を介してウェブアクセスしているユーザまたは管理者との通信およびメッセージを処理することと、（ｃ）モバイル装置通信インターフェース１５２を介してモバイル装置との通信およびメッセージを処理することと、（ｄ）パーソンツーパーソン支払サービス３７５を通じて、パーソンツーパーソン（Ｐ２Ｐ）タイプの支払いに関する通信およびメッセージを処理することと、（ｅ）金銭口座サービス５４５を介してユーザの金銭口座に関する通信およびメッセージを処理することと、（ｆ）ＦＳＰ通信インターフェース１５６を介して金融サービスプロバイダ（ＦＳＰ）に関する通信およびメッセージを処理することとを備える。
【０２０４】
図３Ｂに関して上で簡潔に説明されたように、モバイル装置ユーザは、記録されたユーザから支払いを受け取った後で、または自らの独自の随意で、ＭＦＴＳの記録されたメンバーとして登録することを望む場合がある。ユーザは、ウェブアプリケーションを使用するためにインターネットおよびウェブブラウザに接続された自らのコンピュータを使用して、ＭＦＴＳによって指定されたウェブサイトにアクセスすることが可能である。ウェブサイトは、ＭＦＴＳが提供するサービスおよび利益ならびにユーザ登録のための特定のページに関する情報を含み得る。ユーザが登録することを決定した場合、ユーザは、次いで、ウェブアプリケーションインターフェース１５４によって達成されるウェブアプリケーションにアクセスして、実行するための機能を選択する。
【０２０５】
図３Ｂで全体として示されるように、ユーザに提供される通常のウェブアクセス可能な機能は以下を含む。
【０２０６】
１．ＭＦＴＳに新規モバイルクライアントを登録すること（好ましい実施形態に関しては図３７Ａを、代替の実施形態に関しては図４０を参照されたい）。
【０２０７】
２．モバイルクライアントの追加、編集、閲覧、および削除を含めて、モバイルクライアントを編集すること（好ましい実施形態に関しては図３７Ｂおよび３７Ｄを、代替の実施形態に関しては図４０を参照されたい）。
【０２０８】
３．クレジットカードおよび／または銀行口座の追加、編集、閲覧、および削除を含めて、クレジットカードおよび／または銀行口座を編集すること（好ましい実施形態に関しては図３８Ａ〜３８Ｄを、代替の実施形態に関しては図４２を参照されたい）。
【０２０９】
４．被支払人の追加、編集、閲覧、および削除を含めて、被支払人を編集すること（好ましい実施形態に関しては図３９Ａ〜３９Ｂを、代替の実施形態に関しては図４１を参照されたい）。
【０２１０】
５．指定されたモバイル装置に対するソフトウェアのダウンロード、パスワードのセットアップ、およびモバイル装置の活動化を含めて、モバイルクライアントを初期化すること（好ましい実施形態に関しては図３７Ａおよび３７Ｃを参照されたい）。
【０２１１】
６．所定の数の失敗したログインの後に（場合によっては、偶然にまたは不正行為を防ぐために）モバイル装置がロックした後で、モバイルクライアントをアンロックすること（好ましい実施形態に関しては図３７Ａを参照されたい）。
【０２１２】
図５に戻ると、それぞれの機能が実行された後で、ＭＦＴＳメインプログラム３５０は、ステップ５０５、５１０、５１５、および５２０で、新規入力に関して試験するためにループバックすることによって引き続き実行する。
【０２１３】
ユーザデータベースおよびスキーマ
図３Ｂに示されるものの、図５において独立したステップすなわちプロセスとして詳細に示されないが、当業者は、ＭＦＴＳ１８はＭＦＴＳユーザデータベース１５８にデータを保存しかつＭＦＴＳユーザデータベース１５８からデータを取り出すための記憶装置／データベース（ＤＢ）インターフェース３７７を含む点を理解されよう。このデータベース１５８は、２つの主なデータ範疇を保存する。すなわち、ユーザデータおよび取引データである。ユーザデータは、ユーザのそれぞれの被支払人、金融機関、および口座を含めて、システムの個々のユーザに関する情報を備える。取引データは、特定のユーザの特定の取引に特有の情報（例えば、ユーザが特定の請求書に対して支払うための命令をいつシステムに提供するか）を備える。取引情報は、ユーザによって開始されるそれぞれの取引の記録である。取引情報およびユーザデータは両方とも、本発明の態様に従って特定の形式またはスキーマで構成されたユーザデータベース１５８内の表の中に保存される。
【０２１４】
図６は、本発明の例示的な態様によるモバイル金融取引システム（ＭＦＴＳ）内のユーザデータベース１５８に関するデータベーススキーマ（データ表レイアウト）を例示する。ユーザデータベース１５８は関係するいくつかのデータ表を備える。すなわち、マスタユーザ表６１０、ユーザ金銭口座表６２０、金融サービスプロバイダ（ＦＳＰ）表６３０、および被支払人表６４０である。これらの表は、ユーザ、ユーザの口座、ユーザに関連づけられた金融サービスプロバイダ（支払元）、およびユーザに関連づけられた被支払人に関連づけられたデータを保存する。当業者に知られているように、データベース表は、通常、それぞれの記録が関連するデータの１つまたは複数のフィールドすなわち項目を備える複数の記録を備える。さらに、当業者は、データ専門用語で「記録」は、通常、情報の１つまたは複数のフィールドまたはサブ項目の収集物からなる単一のインスタンス（instance）すなわち単一のデータ項目であり、それぞれのフィールドすなわちサブ項目は、通常、フィールド内の情報が何を表すかを識別するフィールド識別子をスキーマ内に有する。複数の記録のアレーすなわち収集物は、多くの場合、「表」または「データベース」と呼ばれる。データベースもしくは表は、多くの場合、取引の際に記録が識別され、取り出され、利用されることが可能であるように、あるいは必要に応じて新しい情報を用いて更新され得るように、特定の記録に対して迅速なアクセスを可能にする１つまたは複数の索引フィールドすなわち索引項目を含む。
【０２１５】
マスタユーザ表６１０は、それぞれの記録されたＭＦＴＳユーザに関する情報（記録）のセットを備える。図６に示されるような本発明の一態様において、情報のセットは、ユーザ識別子すなわちユーザＩＤ、名前（例えば、ユーザの氏名）、ユーザ名（例えば、ユーザに関連づけられたログイン名）、およびシステムの特定のユーザがシステムの使用のために登録されているとして識別されるその他の情報を備える。ユーザ表６１０内に含まれ得るさらなる情報は、口座番号（例えば、ＭＦＴＳを操作するエンティティでのユーザの口座番号）、郵送先住所、住居の電話番号およびモバイル電話番号、ＭＦＴＳに関連するモバイル装置に関する電話番号、電子メールアドレスおよびパスワードなど、ユーザの連絡情報を備える。理解されるように、本発明の様々な態様によれば、モバイル装置は、通常、システムが支払いを実行するために、請求書を閲覧するために、リアルタイム口座残高を取得するためになど、システムを使用する目的でユーザを認証することを可能にするようにユーザがログインしたときに何らかの形式でユーザ識別子をＭＦＴＳに提供することになる。
【０２１６】
マスタユーザ表６１０内の情報のセットは、ユーザ金銭口座表６２０内、金融サービスプロバイダ表６３０内、およびユーザに関連づけられた被支払人表６４０内の入力のためのポインタをさらに備えることが好ましい。当業者に知られているように、データベースにおいて「ポインタ」は、コンピュータプログラムモジュールがデータベースの別の表内の関係する情報の位置を突き止めて、それを取り出すことを可能にする情報である。
【０２１７】
本発明の態様によれば、それぞれのユーザは、複数の金銭口座と、かかる口座に関する複数の金融サービスプロバイダとを有することが可能である。それぞれのユーザに関して、ユーザ金銭口座表６２０は、少なくとも１つの金融機関すなわち金融サービスプロバイダ（ＦＳＰ）を有するユーザの１つまたは複数の口座に関する情報を備え、その情報は、特定の金融機関でのユーザの口座番号、金銭口座タイプ（例えば、小切手、貯蓄、クレジットカード、金融市場など）、ユーザの金融機関におけるユーザの口座番号、（「ＦＳＰ  ＩＤ」（プロバイダ番号）として示される特定の金融機関すなわち金融サービスプロバイダ表６３０内のプロバイダに対する索引またはポインタなどを含む。ユーザの金銭口座の識別および／または利用に関するその他の情報も保存されることが可能であり、企図される。
【０２１８】
金融サービスプロバイダ表６３０は、ユーザに関連づけられた１つまたは複数の金融サービスプロバイダに対応する情報を備える。表６３０内のそれぞれの金融サービスプロバイダ入力については、表はユーザ金銭口座表６２０内の関連する金銭口座に関連づけられた索引番号および／または識別子（ＩＤ）、プロバイダの名前および／またはニックネーム、提供されるサービスのタイプ（例えば、請求書提示サービス、銀行、信用施設など）、金融サービスプロバイダでの口座番号（図示せず）、関連するパスワード（図示せず）、口座保有者の連絡情報、確認データなどを含むがこれに限定されない情報を含む。ユーザの金融サービスプロバイダの識別および／または利用に関するその他の情報も保存されることが可能であり、企図される。
【０２１９】
被支払人情報は被支払人表６４０に保存される。被支払人情報は、支払いが送られるまたは送られ得る特定の被支払人、およびその被支払人がどのように支払われるべきかを識別するために必要とされる情報である。複数の被支払人がＭＦＴＳのそれぞれのユーザに関してセットアップされ得る。被支払人は、水道、ガス、電気、市内電話サービスまたはモバイル電話サービスなどの通信サービス、抵当権、クレジットカードなどのサービスを提供する支払請求エンティティ、および／または月々の請求書を提供する、もしくは、そうでない場合、定期的に請求書を提供するその他の会社であり得る。他方で、被支払人はユーザが時々支払債務を有する場合がある個人（例えば、ユーザの仲間、同僚、知人、親戚など）でもあり得る。被支払人表６４０は、その被支払人を特定のユーザと結びつける、ＭＦＴＳのユーザに関連づけられた口座番号または識別子、被支払人を識別する被支払人番号または被支払人識別子（例えば、被支払人ＩＤ）、被支払人に関連づけられた口座番号、支払期間、支払許可などを含めて、特定のユーザを１つまたは複数の被支払人に関係づけるまたは関連づける情報を備える。ユーザの被支払人の識別および／または利用に関するその他の情報も保存されることが可能であり、企図される。本発明の態様によれば、ユーザに関連づけられた特定の被支払人は、支払いがその被支払人に対して実行され得るように被支払人に関する情報を取得するために、ＭＦＴＳに表６４０にアクセスさせるモバイル支払命令を介してＭＦＴＳに情報を提供することにより被支払人表６４０内で識別される。
【０２２０】
次に図７を参照すると、取引表７１０は、支払元残高の問合せ、支払実行の問合せ、およびユーザによって実行される支払いなど、モバイル取引に関する情報を保存するために取引データベース７０５内に維持される。当業者は、モバイル装置からのそれぞれの支払取引またはそれぞれの問合せ取引は、結果として、監査証跡（audit trail）、すなわち日付の入った取引記録を作成して、データベースコミット（commit）動作およびロールバック動作を円滑にする目的で、取引表に保存される少なくとも１つの記録の作成をもたらす点を理解されよう。それぞれの取引記録は、取引識別子（独自の識別子）、開始および終了に関する日付とタイムスタンプ、ユーザ名もしくはユーザＩＤまたはそれらの両方、選択された１つまたは複数の取引関係の金融機関、それらの金融機関の名前もしくはニックネーム、または符号化された識別子、選択された口座、取引の性質、同期化された応答のためのタイマ、問合せに関係するそれぞれの口座に関する残高金額、請求書の問合せに関する不足額、被支払人名もしくは被支払人の符号化された識別子またはそれらの両方、被支払人の電話番号、支払額、未完／完了として支払いに関するステータスフラグを含むが、これらに限定されない。取引は、通常、モバイル装置において開始されるが、ウェブアプリケーションを使用してユーザ１２によって開始されることも可能である点を理解されよう。取引はＭＦＴＳに送られる。ＭＦＴＳは問合せまたは支払いを処理して、取引データベース７０５の取引表７１０内の取引に対応する取引記録７１５を作成し、記録を取引表７１０に保存し、選択された特定の金融機関すなわち支払元（ＰＳ）に対するＭＦＴＳ支払命令（ＭＦＴＳＰＩ）を作成し、その金融機関すなわちＰＳにＭＦＴＳＰＩを送信する。ＰＳによる支払いが完了したときおよびＰＳから戻された支払確認メッセージを受け取ったときに、表７１０内の対応する取引記録７１５は、例えば、ステータスフラグを未完から完了に変更することによって、支払いが完了したことを表示するために更新される。本発明の一実施形態によれば、完了した取引に関する記録は、アーカイブのためにその完了時間に従ってログファイルに移される。取引およびそれらのステータスに関するその他の情報も保存されることが可能であり、企図される。
【０２２１】
モバイル装置アプリケーションの流れ図
本発明の実施形態によるモバイル装置アプリケーションの流れ図は図８〜９に示される。図３Ａにおいて、モバイル装置通信インターフェース３３９はモバイル装置メインプログラム３３５とモバイル装置無線ハードウェア３４３の間の通信を円滑にするために使用される。モバイル装置通信インターフェース３３９は、ＭＣＳＰ１１０を介して無線通信によってＭＦＴＳ１８内のＭＦＴＳモバイル装置通信インターフェース１５０と通信する。
【０２２２】
ＭＦＴＳモバイル装置通信インターフェース１５０の流れ図は図８に示される。ＭＦＴＳサイドのこのプロセス１５０は、モバイル装置内のモバイル装置通信インターフェース３３９を介して、モバイル装置内の類似のプロセスと通信する点を理解されよう。この流れ図では、ＭＦＴＳモバイル装置通信１５０インターフェースはまず、ステップ８０５でユーザが加入したモバイル通信サービスプロバイダ（ＭＣＳＰ）に対する通信リンクを確立する。モバイル装置通信インターフェースはモバイル装置とＭＣＳＰの間でセットアップされ、インターフェースは両サイドからデータ通信を受け取る。モバイル装置通信インターフェース１５０は何らかの新しいメッセージがＭＣＳＰまたはモバイル装置のどちらかから受け取られたかどうかを検査するために、ステップ８１０に示される連続するループを備える。メッセージが受け取られない場合、ループは新しいメッセージが受け取られるまで続く。モバイル装置通信インターフェース１５０がメッセージを受け取る場合、モバイル装置通信インターフェース１５０は、ステップ８１５で、送信機／受信機情報を検査することによって、そのメッセージがどこから来たかを決定するために検査する。メッセージがＭＦＴＳサーバからの情報を要求しているモバイル装置から来た場合、モバイル装置アプリケーションは、処理キューにタクスを追加するためにステップ８４０に進み、ステップ８４５でＭＣＳＰを介してＭＦＴＳサーバからの応答を待つためにタイマを設定する。モバイル装置通信インターフェースは、ＭＦＴＳサーバから応答を受け取るまで、または、タイマがタイムアウトになるまで、どちらか早いほうまで待つ。モバイル装置通信インターフェースが所定のタイムアウト期間内に応答を受け取った場合、メッセージはステップ８５０でモバイル装置に送られる。そうでない場合、ＭＦＴＳモバイル装置通信インターフェース１５０が適時にいかなる応答も受け取らない場合、ユーザに故障が発生したことを通知する誤りメッセージがモバイル装置に送られる。ステップ８５０およびステップ８２０は両方とも、メッセージまたはＭＣＳＰから受け取られた応答からの情報のサブセットを抽出するためにステップ８２５に収斂する。ステップ８２５で抽出された情報は、ステップ８３０で表示のためにユーザのモバイル装置に送られる。メッセージが表示された後で、モバイル装置通信インターフェースは、ユーザがモバイル装置を停止させ、モバイル装置アプリケーションを終了するまで、ステップ８６０で次のメッセージを待つために戻る。
【０２２３】
モバイルクライアントセキュリティの態様
ＭＦＴＳ１８を使用するために、適切なモバイル装置１５を有するユーザ１２は、本発明の例示的な態様に従って構築されたＭＦＴＳ１８を操作するエンティティとのサービスに関して記録しなければならない。この記録プロセスは、手動でまたは外部のシステムを介してユーザに関する重要な個人情報および金融情報を入力および保存することを必ず伴う。個人情報と金融情報の安全性およびセキュリティは、ＭＦＴＳ１８がＭＦＴＳ管理者からセキュリティ保証およびセキュリティ手段を提供することを要求する。本発明の例示的な態様によれば、開示されたＭＦＴＳ１８は、モバイル通信の両端、すなわち、（１）モバイルクライアントにおいて、および（２）ＭＦＴＳサーバシステム自体において強力なセキュリティ手段を実施する。本発明の例示的な態様によれば、以下のセキュリティ手段のうちの１つまたは複数がモバイル装置との通信に関してＭＦＴＳ１８において実施される。
【０２２４】
安全なモバイルクライアント配信：本発明の一態様によれば、モバイルアプリケーションは安全な無線配信方法を介して（例えば、ダウンロードすることによって）モバイル装置内に配信される。この態様によれば、モバイルアプリケーションは、中央サイトから（例えば、ＭＦＴＳ１８から）モバイル電話内にダウンロードされる、無線で配信可能なまたはダウンロード可能なアプリケーションすなわち「アプレット」として構築される。当業者は、様々なタイプのモバイル電話および無線データ通信技術に関するアプリケーションを開発するために、現在、いくつかの、異なるが一般的に等しいプログラミング環境が存在することを理解されよう。
【０２２５】
１つの知られている安全な配信方法は、Ｑｕａｌｃｏｍｍ，Ｉｎｃ．によって提供されるＣＤＭＡ通信技術向けのＢＲＥＷ（商標）無線コンテンツ配信プラットフォームである。Ｑｕａｌｃｏｍｍ対応のモバイル装置に関するアプリケーション開発および配信方法の詳細は当該製造会社から入手可能である。
【０２２６】
もう１つの配信方法は、ＪＡＲとも呼ばれる、Ｓｕｎ  Ｍｉｃｒｏｓｙｓｔｅｍｓ，Ｉｎｃ．から入手可能なプラットフォームであるＪＡＶＡ（登録商標）Ａｒｃｈｉｖｅファイルである。この場合、モバイルアプリケーションは、ＪＡＶＡ対応のモバイル電話内にダウンロードされるダウンロード可能なＪＡＶＡアプリケーションとして構築される。当業者は、いくつかのタイプのモバイル電話（例えば、Ｍｏｔｏｒｏｌａ）向けのアプリケーションを開発するためにＪａｖａ  ２  Ｍｉｃｒｏ  Ｅｄｉｔｉｏｎ（Ｊ２ＭＥ）プログラミング環境が使用され得る点を理解されよう。かかるアプリケーションは「アプレット」または「ミドレット（midlet）」とも呼ばれるが、本質的に、特定のタイプのモバイル電話の特定の動作環境内で実行するコンピュータプログラムである。Ｊ２ＭＥアプリケーション開発環境の詳細は当該製造会社から入手可能である。
【０２２７】
モバイルクライアントアプリケーションを配信するために使用されるＪＡＲファイルは、認証プロセス（例えば、ＶｅｒｉＳｉｇｎ，Ｉｎｃ．によって提供されるデジタルキープロセス）によってＭＦＴＳ１８に発行されたコードサイニングデジタルキー（code signing digital key）を用いてデジタル署名されることが好ましい。これは、ユーザがモバイルクライアントアプリケーションの信頼性を確認することを可能にする。ＶｅｒｉＳｉｇｎによって提供されるモバイルセキュリティ技術の詳細は、ＶｅｒｉＳｉｇｎ，Ｉｎｃ．の資料内およびウェブサイト内で入手可能である。
【０２２８】
ＭＦＴＳサーバに対するＳＳＬ通信：当業者は、モバイル装置を介したまたはウェブインターフェースを介したユーザとＭＦＴＳ１８の間の通信に関するセキュリティの重要性を理解されよう。したがって、ＭＦＴＳ１８におけるサーバに対するすべてのＨＴＴＰ通信はＨＴＴＰＳを経由する。すなわち、知られているセキュアソケットレイア（ＳＳＬ）プロトコルを介して保護される（secure）。当業者に知られることになるように、ＳＳＬはインターネットを介して私用文書を送信するためにＮｅｔｓｃａｐｅ  Ｃｏｍｍｕｎｉｃａｔｉｏｎｓ  Ｃｏｒｐｏｒａｔｉｏｎによって開発されたプロトコルである。ＳＳＬは、データを暗号化するために２つの鍵を使用する暗号システムを使用する。すなわち、すべての人に知られている公開鍵と、メッセージの受取人だけに知られている秘密鍵である。ＳＳＬセキュリティプロトコルの詳細は当該製造会社から入手可能である。
【０２２９】
あるいは、知られている無線トランスポート層セキュリティ（ＷＴＬＳ）の使用による無線通信のためにより低いレベルのセキュリティが実施され得る。しかし、ＷＴＬＳはより弱い暗号化アルゴリズムを使用し、プロトコルに関していくつかのエクスプロイト（exploit）が識別されているため、ＷＴＬＳはＳＳＬプロトコルほど安全ではない可能性がある点を理解されよう。加えて、ＷＴＬＳを用いて伝達されたデータはＷＡＰゲートウェイで復号されて、宛先ホストに対してＳＳＬを介して再暗号化される。これはＷＡＰゲートウェイを敏感な伝送を妨害する危険にさらす機会をもたらす。
【０２３０】
ＭＦＴＳモバイルクラアントアプリケーションは、ＭＦＴＳサーバに対して直接的なＳＳＬ接続を行い、ＷＴＬＳアプリケーションおよびＷＡＰアプリケーションを悩ませるセキュリティ問題の影響を受けやすくないことが好ましい。したがって、ＨＴＴＰＳがモバイルクライアントとＭＦＴＳサーバの間のすべての通信に使用される場合、ＧＰＲＳおよびＣＤＭＡなど、モバイル装置とＭＦＴＳの間の基礎となるモバイルデータ伝送技術は取引に関するデータのセキュリティに著しく関係しないはずである点が理解されよう。
【０２３１】
クライアントに関するデジタルキー：本発明のもう１つの例示的な態様によれば、ＭＦＴＳサーバに対するすべての通信をデジタル署名する際に使用するための独自のデジタルキーがそれぞれのクライアント（モバイル装置）に発行される。これは、サーバに対してモバイルクライアントを強力に認証し、モバイルクライアントの偽装またはなりすましの試みを思いとどまらせる。かかる方法は、デジタルキーよりも危険にさらすことがより簡単な、アクセスのためにユーザ名およびパスワードだけを要求するオンラインバンキングサイトよりもより強力なセキュリティを提供する点を理解されよう。金融サービスにアクセスするためにＭＦＴＳモバイルクライアントを使用することは、認証のためにパスワードだけを要求する一般に使用されるブラウザベースのオンラインバンキングシステムよりも安全でないとしても、等しくであると考えられる。
【０２３２】
クライアントをアンロックするために要求されるＰＩＮ：本発明のもう１つの態様によれば、モバイル装置１５に対するさらなるセキュリティは、モバイルクライアントが開始されるたびに、モバイルクライアントをアンロックするためにＰＩＮを入力することをユーザに要求することによって提供される。これは電話が盗まれた場合または「借用された」場合にアプリケーションの使用を防ぐ。クライアントがいくつかの失敗したログインの試みの後にロックダウンし、ユーザが（ウェブアプリケーションを経由して）サポートに連絡するかまたはＭＦＴＳシステムにログインして、モバイルクライアントをアンロックするための手順を起動することによってクライアントがアンロックされるまでさらなる試みを許可しないことになるように、ＰＩＮロックアウトがモバイルクライアント上で実施されることも好ましい。これはＰＩＮを推測するために「ブルートフォース」を使用する試みを防ぐ。ＰＩＮとデジタル証明書の組合せは、モバイル装置上でモバイルウォレットソフトウェア４００を使用するための二要素認証機構を作り出す点を理解されよう。
【０２３３】
盗難または紛失の場合のモバイルクライアントの非活動化：ユーザのモバイル装置が盗まれた場合または紛失した場合、ユーザはモバイルクライアントを非活動化するためにウェブアプリケーションを介してＭＦＴＳ１８にアクセスすることが可能である。これは、モバイルクライアントとＭＦＴＳの間のさらなる通信を防ぎ、ユーザのモバイルウォレットに関するすべての人口統計学的情報をモバイルクライアントから消去することになる。
【０２３４】
ローカルストレージ内に配置されたデータの暗号化：モバイル装置１５上のローカルストレージ内に配置されたすべてのデータは暗号化されることが好ましい。これは、モバイル装置が紛失した場合または盗まれた場合に、ローカルストレージ内のモバイルクライアントに保存されたデータが読み取られることが不可能であることを確実にする。しかし、モバイル装置は、ユーザの口座、銀行、口座番号などに関する全情報を保存せず、コードで表される、情報の縮小されたセットだけを保存するため、ユーザの秘密情報を危険にさらすリスクは低減される点を理解されよう。例えば、モバイル装置はユーザが口座を有することを表示する情報、例えば、Ｍｙ  Ｃｈｅｃｋｉｎｇまたはｘｘｘｘｘｘ２１２５）だけを保存するが、ユーザの口座番号はモバイル装置内ではなくＭＦＴＳ１８に保存される。この態様は、本発明に従って構築されたモバイル金融取引システムのアーキテクチャの特定の利点であると考えられる。すなわち、より完全な情報をセキュアサーバに保存してモバイル装置内に情報の縮小されたサブセットを提供および保存することは、モバイル取引のためのセキュリティ全体を拡張する。
【０２３５】
電話番号所有権の確認：さらにもう１つの態様によれば、支払命令がユーザに関連づけられた特定のモバイル番号から発生したことを確認することによってさらなるセキュリティが提供される。このセキュリティ対策は、開示された実施形態において、ＭＦＴＳ１８に対するモバイル支払命令（ＭＰＩ）の一部としてモバイル装置に関連する、好ましくはＭＰＩのその他の情報と共に暗号化されたモバイル番号を提供することによって実施される。ＭＦＴＳは、モバイル番号を分析して、支払命令が支払元（ＰＳ）として識別された口座、ならびにユーザデータベース内の被支払人表内にすでに入力および保存されている被支払人の名前の両方と一致するモバイル番号から発生したかどうかを決定するためにＭＰＩに応答する。
【０２３６】
本発明のさらにもう１つの例示的な態様によれば、登録プロセスの間、所定の確認コードを含むＳＭＳは、モバイルクライアントをセットアップした際に入力された電話番号に送られる。このコードは、動作のためにモバイルクライアントを成功裏に初期化する目的でユーザサイトウェブアプリケーション１５３でのオンライン時に、ユーザによって入力されなければならない。これはある個人が不正行為を行う意図を持って自らが所有しない電話を記録することを防ぐ。
【０２３７】
モバイルクライアントを初期化するために使用されるワインタイムパスワード：モバイルクライアントがクライアントのデジタル証明書の生成および設置をトリガするために初めて実行されるときに初期化コードまたはパスワードの入力を要求することによって、なおさらなるセキュリティが提供される。この初期化コードは、モバイルクライアントに関する初期化プロセスの間にユーザサイトウェブアプリケーション１５３においてユーザに提示されるワンタイムエクスパイアリング（one-time expiring）ワンタイムパスワードである。このプロセスは、ユーザ口座とユーザのモバイル装置上のモバイルクライアントのインスタンスの間に偽造が困難な（difficult-to-forge）リンクを確立する。
【０２３８】
モバイルクライアントの初期化：以下のステップは、本発明の例示的な態様に従って構築されたシステム内のユーザ登録のプロセスおよびモバイルクライアントの設置に関して、現在企図される最良の形態を説明する。
【０２３９】
１．インターネットアクセス可能なコンピュータ（例えば、図２のコンピュータ１４０）を有するユーザは、自らのブラウザ内のインターネットアクセス可能なユーザサイトウェブアプリケーション１５３にナビゲートして、ウェブアプリケーションによって表示された登録書式に記入する。（図示せず。）ユーザは、情報を表示されたデータ書式内の適切なフィールド内に入力することによって要求された情報を提供する。あるいは、登録はＭＦＴＳシステムオペレータが関係を維持する第三者登録システム（例えば、関連する金融サービスプロバイダ）によって実施されてもよい。
【０２４０】
２．登録が完了した場合、ユーザは、ユーザサイトウェブアプリケーション１５３のモバイルクライアント管理区分にアクセスして、新規モバイルクライアントを追加する。あるいは、新規モバイルクライアントの追加は、ＭＦＴＳシステムオペレータが関係を維持する第三者（例えば、関連する金融サービスプロバイダまたはモバイル通信サービスプロバイダ）によって提供されるプロセスによって実施されてもよい。
【０２４１】
３．ユーザは、次いで、自らがモバイルクライアントを設置することを望むモバイル装置の電話番号を入力して、初期化ボタンをクリックする。
【０２４２】
４．もう１つのステップは、モバイル装置上でモバイルクライアントを活動化するための確認コードの生成を伴う。
【０２４３】
（ａ）本発明の１つの例示的な態様によれば、ＭＦＴＳ１８は特定された電話番号にＳＭＳを送る。このＳＭＳは確認コードを含む。ユーザは、次いで、取引を実施するためにモバイルクライアントを活動化するための確認コードを入力するようモバイルアプリケーションによってプロンプト表示される。
【０２４４】
（ｂ）もう１つの態様によれば、ユーザは、ＳＭＳ内に確認コードを閲覧して、ユーザサイトウェブアプリケーション１５３においてブラウザ確認画面内に確認コードを入力する。おそらく、確認コードを有するモバイル電話は、登録の間、ユーザの直接財産であろう。ユーザは、次いで、モバイルアプリケーションを活動化するために「確認」ボタンをクリックする。
【０２４５】
５．もう１つのステップは、（モバイル装置ソフトウェアの新規設置のための）初期化コードの生成と、モバイルアプリケーションのモバイル装置内へのダウンロードとを伴う。
【０２４６】
（ａ）本発明の例示的な態様によれば、ユーザサイトウェブアプリケーションに対するインターネットアクセスを有するユーザには、次に、モバイルクライアント向けの初期化コードが提示される。この初期化コードは、後に、モバイルクライアントを活動化するために、プロンプト表示時にモバイル装置内に入力される（下を参照されたい）。
【０２４７】
（ｂ）本発明のもう１つの例示的な態様によれば、モバイル装置上で、ＭＦＴＳ１８はモバイルクライアントをダウンロードするためにクリック可能なリンクを含む第２のＳＭＳをモバイル装置に送る。ユーザは、次いで、リンクをクリックして、アプリケーションをモバイル装置内にダウンロードする。
【０２４８】
６．モバイルクライアントの装置内へのダウンロードが終了して、ユーザによって活動化された後で、モバイルクライアントは初期化コードに関してプロンプト表示する画面を提示することになる。ユーザは、次いで、モバイルクライアントに初期化コードをキーインすることになる。
【０２４９】
７．次いで、初期化コードは、装置およびモバイルクライアント認証に関して使用されるためにモバイル装置１５からＭＦＴＳ１８に伝達される。有効な初期化コードがＭＦＴＳ１８によって受け取られた場合、独自のデジタルキーがモバイルクライアント上に配置される。
【０２５０】
８．ＭＦＴＳ１８からデジタル証明書を受け取ったときに、モバイルクライアントは、次いで、ＰＩＮを入力および確認するようユーザにプロンプト表示する。
【０２５１】
９．ＰＩＮが受け取られて、保存された後で、モバイル装置は使用の準備ができ、支払請求エンティティおよび支払元の入力、ならびにユーザサイトウェブアプリケーション１５３などを介してユーザによって予め入力された口座の残高の閲覧を可能にするメインメニュー画面を表示する。
【０２５２】
ＭＦＴＳサーバシステムのセキュリティの態様
本発明の例示的な態様によれば、ＭＦＴＳが伝達する様々なエンティティに適した様々なソフトウェアルーチンによってＭＦＴＳ１８において様々なセキュリティ対策が実施される。以下のセキュリティ対策のうちの１つまたは複数が好ましいＭＦＴＳ１８において実施される。
【０２５３】
ウェブアプリケーションはＳＳＬを要求する：ＭＦＴＳ１８において実行する外部からアクセス可能なすべてのウェブアプリケーション（例えば、ユーザサイト１５３および管理サイト１５７を含むウェブアプリケーション１５４）はＳＳＬ保護された接続だけを許可することが好ましい。ユーザがウェブアプリケーションのうちの１つに対して簡単なＨＴＴＰ接続の開始を試みる場合、その接続はＨＴＴＰＳ接続にリダイレクトされることになる。
【０２５４】
パスワード複雑性要件：ウェブアプリケーションログイン向けのパスワードは、好ましくは、厳しい複雑性要件を満たさなければならない。パスワード保護は動作の様々な段階で実施され得る。
【０２５５】
口座ロックアウトおよびパスワードリセット：オプションで、口座はユーザサイトウェブアプリケーション１５３に対するいくつかの失敗したログインの試みの後でロックアウトされることになることが好ましい。その口座がロックアウトされているユーザは、クライアントをアンロックして、自らのパスワードをリセットするために、ユーザサイト１５３で提供される口座アンロック機能を活動化して、登録の間にユーザが確立したパスワードリセット質問に対して正確な応答を入力しなければならないことになる。ユーザが正確な応答を思い出すことができない場合、ユーザは自らの口座をアンロックして、パスワードをリセットするためにカスタマサービス施設（ウェブサイト、代表など）に連絡しなければならないことになる。
【０２５６】
ＦＳＰインターフェースのセキュリティ：ＦＳＰに対するインターフェースは、インターフェースの性質に適しかつ／または特定のＦＳＰによって要求される機構を用いて保護されることが好ましい。データ伝送のために公衆インターネットを使用する任意のインターフェースは、金融サービス業会で受け入れ可能な暗号化要件および認証要件によって保護されることが好ましい。特定のＦＳＰとの通信のためのセキュリティ要件の詳細はＦＳＰから取得されるはずである。
【０２５７】
前述の説明から、モバイル装置１５を介してであろうと、またはユーザサイト１５３を介してであろうと、ＭＦＴＳ１８との通信のために上で説明された方式に対応する方式でセキュリティを確実にするために、様々な機構が、単一でまたは組み合わせて、用いられることが可能である点を理解および認識されよう。依然として本発明の範囲を超えずに、その他のセキュリティ対策およびセキュリティ技術が当業者に出現し得る。
【０２５８】
ＭＦＴＳインターフェースソフトウェアルーチン
図３Ｂおよび図５に関して上で説明されたように、ＭＦＴＳソフトウェア５００は、本発明の開示された態様に従って構築されたシステムに関与する様々なエンティティに関連する通信および機能を処理するために、メインプログラム３５０（図５）を含む様々なプログラムモジュールと様々な通信インターフェースとを備える。その他のソフトウェアモジュールすなわちプログラムモジュールは、ＭＦＴＳモバイル装置通信インターフェース１５０と、ウェブアプリケーションインターフェース１５４と、金融サービスプロバイダ通信インターフェース１５６と、請求書提示インターフェース１５５とを含む。さらなるソフトウェアルーチンは、Ｐ２Ｐサービス３７５と、ＳＭＳジェネレータ１５１と、金銭口座サービス３７９とを含む。
【０２５９】
次に、本発明の態様によるＭＦＴＳモバイル装置通信インターフェースソフトウェアすなわちルーチン１５０の説明に関して図８を参照する。ＭＦＴＳモバイル装置インターフェースソフトウェア１５０は、その他のプロセスと非同期的な、ＭＦＴＳサーバコンピュータ上で連続する独立したプロセスとして実行し、ＭＦＴＳ１８とユーザのモバイル装置の間の通信およびメッセージの処理を提供することが好ましい。用語「インターフェース」の使用によって、我々はコンピュータプログラムすなわちルーチン１５０およびプログラムによって駆動される通信成分または記憶要素など、関連するハードウェアを意味する。インターフェース１５０は、ＭＦＴＳ１８における様々なプロセスとモバイル装置の間のメッセージングを処理する。例えば、モバイル装置においてユーザが「請求書閲覧」または「請求書支払」に対するコマンドを生成した場合、本発明に従ってＭＦＴＳ１８に機能を実行させるために、そのコマンドは、本明細書で説明されるように無線ネットワーク上で受け取られて、ＭＦＴＳモバイル装置通信インターフェース１５０によって処理される。
【０２６０】
ステップ８０５から開始する、講じられる第１のステップは、ＭＦＴＳ１８とサービスに関して特定のネットワークに加入するモバイル装置の間の通信が確立され得るように、インターフェースがモバイル通信ネットワークとの通信、すなわち、特定のモバイル通信サービスプロバイダ（ＭＣＳＰ）との通信を確立することである。本質的に、これは、特定のＭＣＳＰとの通信に適したプロトコルを決定して、通信プロトコルに対応する方式でメッセージを交換することによってＭＣＳＰとの連絡を確立することを伴う初期化プロセスである。通信を確立した後で、インターフェースは、ステップ８１０でモバイル装置からの着信メッセージまたは、例えば、支払請求エンティティもしくは請求書提示システムが特定のユーザに関して新規請求書についての情報を提供した場合、ＭＦＴＳ１８内のもう１つのプロセスからの着信メッセージの受け取りに関して試験する。
【０２６１】
ステップ８１５で、インターフェースは着信メッセージが（例えば、関連のあるモバイルネットワーク内のモバイル装置からの）タスク開始メッセージであるか、または別のＭＦＴＳプロセスからのメッセージ（例えば、ＦＳＰインターフェース１５６からの応答メッセージ）であるかどうかを決定する。着信メッセージがタスク開始メッセージである場合、インターフェースプロセスは、新規処理タスクが作成されて、インターフェース１５０に関する処理キューに加えられるステップ８４０に進む。例えば、モバイル装置の着信メッセージから生じた処理タスクは、モバイル支払命令（ＭＰＩ）、もしくは「請求書閲覧」命令、または「残高振替」、あるいはモバイルウォレットのその他の様々な機能であり得る。通常、処理タスクは、ユーザデータベース１５８内の取引表に保存される新規取引記録を生成することになる。したがって、ステップ８４２で、（着信メッセージに適する場合）新規取引記録が作成されて、取引データベースに保存される。
【０２６２】
ステップ８４５で、インターフェースは特定のタスクおよびプロセスに適したタイマ（所定の時間）を設定して、タイミングループを開始する。制御は、次いで、インターフェースが所定の期間の失効を試験するステップ８５０に進む。タイマが失効した場合、誤り状態が発生し（キューに加えられたタスクが適時に適切に処理されていない）、ステップ８５５で、誤りメッセージが生成されて、タスクをトリガしたユーザのモバイル装置に送られる。
【０２６３】
待機タスク（queued task）からの適切な応答が所定の期間内に受け取られた場合、制御はステップ８５０から、着信メッセージに関して作成された取引記録が待機タスクを処理した結果として生じる任意の情報を用いて更新されるステップ８６０に移る。例えば、タスクが特定の被支払人に対する特定の支払元を使用して支払いを実行することを伴い、支払いが受け入れられて、選択された金融サービスプロバイダによって適時に処理された場合、取引記録は支払いの確認を表示するために更新される。
【０２６４】
（適用可能である場合）取引記録が更新された後で、制御はステップ８７０に移り、タスク開始メッセージに関する対応するメッセージが、要求しているユーザのモバイル装置またはその他のタスク開始プロセスに送られる。例えば、支払命令がモバイルユーザから受け取られて、その支払命令が正式にかつ適時に処理された場合、支払確認メッセージがユーザのモバイル装置に送られる。
【０２６５】
図８内のステップ８１５に戻ると、ＭＦＴＳモバイル装置通信インターフェース１５０が着信メッセージが別のＭＦＴＳプロセスから（例えば、応答メッセージまたはその他の非タスク開始メッセージ）であることを決定した場合、制御はメッセージが処理されるステップ８２０に移る。例えば、別のＭＦＴＳプロセスからのメッセージは、支払いのための新規請求書が特定のユーザに関して受け取られているという支払請求提示システムによって提供されたメッセージ、または特定のユーザに関する特定の口座内で利用可能な残高に関する情報を有する、金融サービスプロバイダによって提供されたメッセージであり得る。本発明の態様によれば、様々なその他のプロセスおよび関連するエンティティからのメッセージは、モバイル装置インターフェースによって要求されない情報を含み得る。すなわち、情報の縮小されたセットだけがモバイル装置に提供されることになる。詳細には、ＦＳＰからの情報のすべてはモバイル装置上の表示のために必要とされないもしくは所望されないため、金融サービスプロバイダ（ＦＳＰ）３０は、モバイル装置上の表示および処理のために要求されるよりもより包括的な（すなわち、「過剰な」）ユーザの金銭口座に関する情報を提供する場合がある。この場合、本書の他のところに示される様々な例示的なモバイル装置表示において示されるように、モバイル装置上の表示に適した情報の縮小されたセットがメッセージとしてモバイル装置に送るために準備される。この場合、ステップ８２５で、ＭＦＴＳにおいて受け取られたかつ／または保存された情報のサブセットは、選択されたユーザのモバイル装置に対する伝送のために準備される。
【０２６６】
制御はステップ８２５から、（もしあれば）メッセージに関連づけられた任意の対応する取引記録がＭＦＴＳプロセスのメッセージからの情報を用いて更新されるステップ８６０に移る。次いで、ステップ８７０で、処理された（ステップ８１０）メッセージ内の情報に対応するモバイル装置に対する適切なメッセージがモバイル装置に対する伝送のために準備される。処理１５０は、次いで、到着している可能性のある任意のその他のメッセージを処理するためにループバックする。
【０２６７】
ステップ８７０の後で、プロセス１５０は、別の着信メッセージを処理するためにステップ８１０にループバックする。前述の説明から、当業者は、モバイル装置からのまたはその他のＭＦＴＳ処理からのメッセージを処理して、関連する情報をその他のＭＦＴＳプロセスによる処理のためのタスクの形式で伝達し、任意の対応する取引記録またはユーザデータベース記録を更新し、かつ／または適切な返信メッセージをユーザのモバイル装置もしくはその他のメッセージ配信元に伝達するためにＭＦＴＳモバイル装置通信インターフェース１５０がどのように動作可能であるかを理解および認識されよう。
【０２６８】
次に、本発明の態様による金融サービスプロバイダ（ＦＳＰ）インターフェースソフトウェアすなわちルーチン１５６の説明に関して図９を参照する。金融サービスプロバイダ（ＦＳＰ）インターフェース１５６は、その他のプロセスと非同期的な、ＭＦＴＳサーバコンピュータ上の連続する独立したプロセスとして実行し、ＭＦＴＳ１８とユーザの金融サービスプロバイダの間で通信およびメッセージの処理を提供することが好ましい。
【０２６９】
図９はＭＦＴＳ１８と１つまたは複数のＦＳＰ３０の間の通信のためのインターフェースの例示的なステップを示すが、請求書提示インターフェース１５５、（第三者ユーザ認証のための）金銭口座サービス３７９、Ｐ２Ｐサービス３７５に関して類似の方法が用いられる点を理解されたい。すべては別のＭＦＴＳプロセスからのメッセージまたはＭＦＴＳとの通信のために接続された第三者からのメッセージを受け取り、適切な宛先を決定することによってそれらのメッセージを処理（例えば、ユーザ情報を更新するためまたは取引記録を作成または更新するためにユーザデータベース１５８内にデータを保存する、モバイル装置に通信するなど）して、処理された情報をかかる宛先に転送する、類似の連続する、独立した非同期的なコンピュータ実施プロセスである。したがって、図９の議論は、留意される場合を除き、その他の通信インターフェースプロセスに概して適用可能であると理解されよう。
【０２７０】
ステップ９０５で開始する、講じられる第１のステップは、ＭＦＴＳ１８とＦＳＰの間の通信が確立され得るように、インターフェース１５６が金融サービスプロバイダ（ＦＳＰ）３０との通信を確立することである。本質的に、これは特定のＦＳＰとの通信に適したプロトコルを決定して、通信プロトコルに対応する方式でメッセージを交換することによってＦＳＰとの連絡を確立することを伴う初期化プロセスである。通信を確立した後で、インターフェースは、ステップ９１０で、（ＭＦＴＳモバイル装置通信インターフェース１５０を介して）モバイル装置からの着信メッセージまたは、例えば、ユーザがウェブアプリケーションインターフェース１５４を介して取引を開始した場合、ＭＦＴＳ１８内のもう１つのプロセスからの着信メッセージの受け取りに関して試験する。
【０２７１】
ステップ９１５で、インターフェースは着信メッセージがタスク開始メッセージであるかまたはＥＳＰ３０からの返信／応答メッセージであるかを決定する。タスク開始メッセージは、例えば、インターフェースに、例えば、モバイル装置（ＭＦＴＳモバイル装置通信インターフェース１５０）からまたはウェブアプリケーションによって開始される支払命令など、別のＭＦＴＳプロセスから特定のＦＳＰ３０に対する通信を開始させるメッセージである。着信メッセージがモバイル装置からなどのタスク開始メッセージである場合、インターフェースプロセスは、新規処理タスクが作成されて、インターフェース１５６に関する処理キューに加えられるステップ９４０に進む。例えば、モバイル装置の着信メッセージから生じた処理タスクは、モバイル支払命令（ＭＰＩ）、または「請求書支払」命令、または「残高振替」、または「支払元閲覧」、またはモバイルウォレットのその他の様々な機能であり得る。ＦＳＰ通信インターフェース１５６の場合、典型的な新規処理タスクは、支払元（ＰＳ）として選択された口座を使用して、ユーザの代わりに支払いを実行するようにＦＳＰに命令するために、選択されたＦＳＰ３０に通信されるＭＦＴＳ支払命令（ＭＦＴＳＰＩ）の形式である。
【０２７２】
図８に関して記述されたように、かつ本発明の例示的な態様によれば、モバイル装置の着信メッセージから生じた処理タスクは、ユーザデータベース１５８内の取引表に保存される新規取引記録を生成する。この取引記録からの情報はインターフェース１５６内のキューに関する処理タスクにおいて、例えば、選択されたＦＳＰ３０に対するＭＦＴＳＰＩに関して要求される情報を集める際に利用される点を理解されよう。さらに、必要な場合、取引記録は、応答を受け取るときにＦＳＰからの情報を用いて更新される点を理解されよう。
【０２７３】
ステップ９４５で、インターフェースは特定のタスクおよびプロセスに適したタイマ（所定の時間）を設定して、タイミングループを開始する。制御は、次いで、インターフェースが所定の期間の失効に関して試験するステップ９５０に進む。タイマが失効した場合、誤り状態が発生し（キューに加えられたタスクが適時に適切に処理されていない）、ステップ９５５で、誤りメッセージが生成されて、タスクをトリガしたユーザのモバイル装置に送られる。
【０２７４】
待機タスクからの適切な応答（例えば、ユーザの口座残高、支払確認に関する情報、またはその他の情報を含む、ＦＳＰからの応答）が所定の期間内に受け取られた場合、制御はステップ９５０から、着信メッセージに関して作成された取引記録が待機タスクを処理した結果として生じた任意の情報を用いて更新されるステップ９６０に移る。例えば、タスクが特定の被支払人に対する特定の支払元を使用して支払いを実行することを伴い、支払いが受け入れられて、選択された金融サービスプロバイダによって適時に処理された場合、取引記録は支払いの確認を表示するために更新される。図８に関して議論されたように、ＭＦＴＳモバイル装置通信インターフェース１５０は対応する取引記録を更新する責任を担うことが可能であるが、その他の環境はＦＳＰ通信インターフェースが取引記録を更新することを要求する場合がある点を理解されよう。タスクに関連し、ＦＳＰから受け取られるその他の情報も、結果として、ユーザデータベース１５８内のその他の記録を更新させる可能性がある。例えば、選択されたＦＳＰでのユーザの新規口座の追加は、ユーザ金銭口座表６２０（図６）内の記録の追加を要求することになり、またはユーザに伴う特定のＦＳＰの閉鎖された口座ステータスは、金融サービスプロバイダ表６３０（図６）内の記録の更新（もしくは削除）を要求することになる。
【０２７５】
ステップ９６０で（適用可能な場合）取引記録またはその他のユーザデータベース表が更新された後で、制御はステップ９７０に移り、ＦＳＰからの応答に関する対応するメッセージが通信を開始したプロセスに（例えば、要求しているユーザのモバイル装置に）送られる。例えば、支払命令がモバイルユーザから受け取られ、その支払命令が選択されたＦＳＰによって正式かつ適時に処理された場合、支払確認メッセージがユーザのモバイル装置に送られる。本発明の例示的な態様によれば、確認メッセージなど、このタイプのメッセージは、ＭＦＴＳモバイル装置通信インターフェース１５０に渡されるメッセージの形式である。
【０２７６】
図９のステップ９１５に戻ると、ＦＳＰ通信インターフェースが着信メッセージは（モバイル装置通信インターフェースまたはその他のタスク主導のインターフェースではなく）ＦＳＰからのものであることを決定する場合、制御は、メッセージが処理されて、ＦＳＰからの任意の応答情報が受け取られるステップ９２０に進む。ステップ９２０の後で、制御はＦＳＰからのメッセージに対応する情報が意図された宛先に（例えば、モバイル装置通信インターフェースにまたは支払命令を開始したウェブアプリケーションインターフェースに）転送されるステップ９７０に移る。
【０２７７】
ステップ９７０の後で、プロセス１５６は別の着信メッセージを処理するためにステップ９１０にループバックする。前述の説明から、当業者は、（ＭＦＴＳモバイル装置通信インターフェース１５０からのなど）様々なＭＦＴＳプロセスからのメッセージを処理して、関連する情報を選択されたＦＳＰに伝達し、応答メッセージを受け取り、任意の対応する取引記録もしくはユーザデータベース記録を更新し、かつ／あるいは適切な返信メッセージをユーザのモバイル装置またはその他のメッセージ配信元に伝達するためにＦＳＰ通信インターフェース１５６がどのように動作可能であるかを理解および認識されよう。
【０２７８】
次に、本発明の態様によるウェブアプリケーションインターフェースソフトウェアすなわちルーチン１５４の説明に関して図１０を参照する。ウェブアプリケーションインターフェース１５４は、その他のプロセスと非同期的な、ＭＦＴＳサーバコンピュータ上で連続する独立したプロセスとして実行し、ＭＦＴＳ１８と、モバイル装置ではなく、コンピュータ１４０（図２）上のウェブブラウザを使用してインターネット１２０を介してＭＦＴＳにアクセスするユーザの間の通信およびメッセージの処理を提供することが好ましい。当業者によって理解されることになるように、ウェブアプリケーションインターフェースは、ユーザが取引を実施し、口座履歴を閲覧し、被支払人を追加し、金融機関および口座を追加するなどの目的でインターネットを介してＭＦＴＳ１８にアクセスするために、（図３７に示されるユーザサイトなど）インターネットアクセス可能なウェブページを表示するためのメインプログラムループとして機能する。図３Ｂから、本発明の例示的な態様によれば、ウェブアプリケーションインターフェース１５４は、新規ユーザの登録、モバイルクライアントの編集、クレジットカード口座もしくは銀行口座の編集、新規被支払人の追加または被支払人に関する情報の編集、モバイルクライアントの初期化、モバイルクライアントのアンロック、およびその他の動作を含めて、いくつかの主なウェブアクセス可能な機能を提供することが想起されよう。
【０２７９】
ステップ１００５で図１０において開始する、ウェブアプリケーションインターフェースソフトウェア１５４によって講じられる第１のステップは、インターフェースがインターネットを介してユーザと通信する状態にあるようにインターフェースを初期化することである。当業者は、かかる初期化動作はインターネット通信のために通常のＴＣＰ／ＩＰパケットを送受信することができるように任意の関連するハードウェアを初期化することを伴う点を理解されよう。制御は、次いで、プロセスがユーザまたはユーザサイトにナビゲートする見込まれるユーザのウェブブラウザから（１つまたは複数の）ＴＣＰ／ＩＰパケットを受け取るのを待ってループするステップ１０１０に移る。（１つまたは複数の）パケットの受け取りに応答して、制御はパケットが受け取られてそれらのコンテンツを決定するために解析されるステップ１０１５に移る。
【０２８０】
ステップ１０１５の後で、制御は、パケットを送っているユーザが認証されており、通信セッションを確立したかどうかの問合せが行われる問合せステップ１０２０に移る。そうでない場合、制御は、当業者に知られることになるような方式でログイン動作（すなわち、ユーザ認証およびセッション確立）が実行されるステップ１０２５に移る。ユーザが認証され得ない場合、新規ユーザが登録すなわち記録することを可能にするためにその他のプロセス（図示せず）が実行されるか、またはＭＦＴＳとの通信を試みているエンティティはアクセスを拒絶される（すなわち、（１つまたは複数の）パケットは無視されるか、もしくは中断される）。ステップ１０２０で、ユーザが先の動作および確立されたセッションにおいて予め認証された場合、またはログイン／認証ステップ１０２５の後で、制御はセッションの現在のステータスに対応する適切な情報を表示するためにステップ１０３０に移る。
【０２８１】
ステップ１０３０で、ウェブアプリケーションインターフェース１５４は、ユーザとの現在のセッションの状態に適したウェブページの表示に対応する返信パケットをユーザに提供する。例えば、ユーザが当初認証のためにログインしている場合、ユーザ名およびパスワードの入力のための通常のユーザログイン画面（図示せず）が提供される。もう１つの例として、ユーザが自らのモバイル装置に関する情報を管理するプロセスを進めている場合、図３７Ａに示されるようなユーザサイト画面が表示される。もう１つの例として、ユーザがモバイル装置に関する情報を追加または編集している場合、図３７Ｂに示されるようなユーザサイト画面が表示される。
【０２８２】
表示ステップ１０３０の後で、制御は、インターフェースが表示されたウェブページに応答してユーザによって入力された情報を含む任意の（１つまたは複数の）パケットを受け取って、処理するステップ１０４０に移る。その後、ステップ１０４５で、インターフェースは、ユーザから受け取られた任意の情報を保存して、ＭＦＴＳ１８におけるその他のプロセスまたはインターフェースへの配信のために要求されることになる（１つまたは複数の）任意のメッセージを生成する。例えば、ユーザの入力は、ユーザデータベース１５８内のいくつかの表に対する更新を要求する可能性があり、または金融サービスプロバイダ３０に対する通信を要求する支払命令もしくは「請求書閲覧」コマンドの生成を要求する可能性がある。
【０２８３】
制御は、次いで、インターフェースがＭＦＴＳ内の任意のプロセスまたはインターフェースから任意のメッセージが受け取られているかどうかを決定するステップ１０５０に移る。例えば、ユーザの入力がＦＳＰに対する通信を要求する支払命令もしくは「請求書閲覧」コマンドの生成を要求した場合、最終的に要求された情報を含む返信メッセージまたは応答メッセージがウェブアプリケーションインターフェースに戻されることになる。かかるメッセージが受け取られた場合、制御は、メッセージが処理される（処理は受け取られたメッセージ内の任意の情報を用いてウェブページを更新することを含み得る）ステップ１０５５に移る。（別のプロセスからメッセージが受け取られていない場合）ステップ１０５０からまたは（任意のメッセージを処理した後で）ステップ１０５５から、制御はさらなるユーザウェブアプリケーション相互作用（すなわち、追加のパケットの受け取り）を待つためにステップ１０１０に戻る。
【０２８４】
前述の説明から、当業者は、インターネットを介してユーザからまたはその他のＭＦＴＳプロセスからウェブ相互作用を処理するためにウェブアプリケーションインターフェース１５４がどのように動作可能であるかを理解および認識されよう。
【０２８５】
上の議論から想起されるように、ウェブアプリケーションインターフェース１５４は、新規ユーザの登録、モバイルクライアントの編集、クレジットカード口座または銀行カードの編集、新規被支払人の追加または被支払人に関する情報の編集、モバイルクライアントの初期化、モバイルクライアントのアンロック、およびその他の動作など、いくつかのウェブアクセス可能な機能を提供する。これらの例示的な機能のうちの１つは、新規ユーザの登録である。すなわち、個人はＭＦＴＳのオペレータによって提供されたサービスを使用するために記録すなわち登録されなければならない。本発明の態様によれば、新規ユーザは、インターネットを介してＭＦＴＳ１８にアクセスして、サービスに関する登録のためにシステムに情報を提供することが可能である。
【０２８６】
これに関して、本発明の例示的な態様に従ってＭＦＴＳ１８を使用するために新規ユーザを登録するためのウェブアプリケーション１１００の議論に関して図１１を参照する。図１１のプロセスは、インターネットを介したユーザとの相互作用のためにウェブインターフェース１５４を利用するが、図１１のステップは、新規ユーザを登録するプロセスに特定であるという点で、新規ユーザのウェブアプリケーション１１００は図１０の一般的なウェブアプリケーションユーザインターフェース１５４に対して補足的な例示的なプロセスである。詳細には、新規ユーザは図１０の認証ステップを通過しないことになり、新規ユーザには、通常、ユーザが個人情報を入力して、口座を構成することを可能にする制御を含む「新規ユーザ」ウェブページが提示されることになる。
【０２８７】
図１１内のステップ１１０５から開始して、ＭＦＴＳは新規ユーザによって必要とされる情報を含む「新規ユーザを登録する」ウェブページ（図示せず）を生成して、新規ユーザを登録するためにＭＦＴＳによって要求される情報の入力向けの制御とデータ入力フィールドとを提供する。ステップ１１１０で、新規ユーザは「新規ユーザを登録する」ウェブページ上でプロンプト表示された情報（例えば、名前、住所、電話番号、電子メールアドレス、およびその他の情報）を入力する。ユーザを登録することは、支払請求エンティティ（すなわち、被支払人）、新規ユーザが関係および口座を維持する金融機関すなわち金融サービスプロバイダ（ＦＳＰ）３０に関するいくつかの情報、ならびに支払元として選択され得るかかる金融機関すなわちＦＳＰに維持された特定のアカントに関する情報も入力しなければならない。ステップ１１１５で、システムは支払請求エンティティまたは支払元に関する情報を編集するためのユーザコマンドを試験する。コマンドが支払請求エンティティに関連する場合、制御は、システムが新規支払請求エンティティを入力するためまたは（例えば、１つもしくは複数の支払請求エンティティが処理のこの時点で新規ユーザのこの登録のためにすでに入力されている場合）既存の支払請求エンティティに関する情報を編集するためのコマンドを試験するステップ１１２０に分岐する。
【０２８８】
ステップ１１２０で、新規支払請求エンティティに関する情報を入力するためのコマンドが受け取られている場合、制御は新規支払請求エンティティすなわち被支払人に関する情報の受け取りおよび保存のためのステップ１１２５に移る。支払請求エンティティに関する情報は、ユーザデータベース１５８（図６を参照されたい）内の被支払人表に保存される点に留意されよう。新規支払請求エンティティに関する情報を入力するためのコマンドが受け取られない場合、制御は、既存の支払請求エンティティを編集するためのコマンドを試験するためのステップ１１３０に移る。ステップ１１３０で、既存の支払請求エンティティに関する情報を編集するためのコマンドが受け取られている場合、制御は既存の支払請求エンティティすなわち被支払人に関する編集された情報の受け取りおよび保存のためのステップ１１３５に移る。任意の支払請求エンティティの入力または編集が完了したときに、制御はステップ１１６０に移り、ステップ１１１５にループバックするか、またはユーザログアウトに関して試験する。
【０２８９】
ステップ１１１５に戻ると、システムは支払請求エンティティまたは支払元に関する情報を編集するためのユーザコマンドに関して試験する。コマンドが金融機関または金融サービスパートナーなどの支払元に関連する場合、制御はシステムが新規支払元を入力するためのコマンドまたは（例えば、１つまたは複数の支払元が処理のこの時点で新規ユーザのこの登録のためにすでに入力されている場合）既存の支払元に関する情報を編集するためのコマンドを試験するステップ１１４０に分岐する。
【０２９０】
ステップ１１４０で、新規支払元に関する情報を入力するためのコマンドが受け取られている場合、制御は新規支払元に関する情報の受け取りおよび保存のためのステップ１１４５に移る。支払元に関する情報は、ユーザデータベース１５８（図６を参照されたい）内のユーザ金銭口座表および／または金融サービスプロバイダ表に保存される点を理解されよう。新規支払元に関する情報を入力するためのコマンドが受け取られない場合、制御は既存の支払元を編集するためのコマンドを試験するステップ１１５０に移る。ステップ１１５０で、既存の支払元に関する情報を編集するためのコマンドが受け取られている場合、制御は既存の支払元に関して編集された情報の受け取りおよび保存のためのステップ１１５５に移る。任意の支払元の入力または編集が完了したときに、制御はステップ１１６０に移り、ステップ１１１５にループバックするか、またはユーザログアウトに関して試験する。
【０２９１】
次に、本発明の例示的な態様に従って記録されたユーザまたは登録されたユーザがＭＦＴＳ１８にアクセスすることおよびＭＦＴＳ１８を使用することを可能にする、記録されたユーザウェブアプリケーション１２００の議論に関して図１２を参照する。図１２のプロセスはインターネットを介したユーザとの相互作用のためにインターフェース１５４を利用するという点で、記録されたユーザウェブアプリケーション１２００は図１０の一般的なウェブアプリケーションユーザインターフェース１５４に補足的な例示的なプロセスである。しかし、図１２のステップは、それにより記録されたユーザが支払請求エンティティすなわち被支払人に関する情報、および／または支払元に関する情報を追加または編集するためにインターネットを使用するプロセスに特定である。詳細には、記録されたユーザはログインして、図１０内の認証ステップで認証されることになり、通常、ユーザが支払請求エンティティおよび支払元に関する情報を入力および編集することを可能にする制御を含む記録されたユーザウェブページが提示されることになる点を理解されよう。したがって、ステップ１２０５で、記録されたユーザはまずウェブアプリケーションにログインして、自らのログイン情報およびパスワード情報を提供し、記録されたユーザには記録されたユーザに関連づけられた支払請求エンティティおよび支払元に特定の情報を含む「記録されたユーザ」ウェブページが提示される。
【０２９２】
図１１および１２を見直すことから、プロセス１１００および１２００の構造全体は類似することを理解されよう。したがって、当業者は、図１２内の残りのステップは図１１におけるステップと類似し、本明細書でさらに議論される必要がない点を理解および認識されよう。
【０２９３】
モバイル装置の動作
図１３およびその後に続く図は、本発明の例示的な態様に従って、支払元および口座残高を閲覧することに関して、モバイルクライアントアプリケーションによってモバイル装置１５上で生成される例示的な表示画面の以下の議論に関する。モバイル装置１５の画面ビューの例示的な系列を提示する前に、続く図面において、支払人のビューは４つの丸い角を有する長方形の画面ビューによって表され、一方、被支払人のビューは４つの直角の角を有する長方形の画面ビューによって表される点に留意されたい。被支払人のビューは、本発明の態様におけるいくつかの支払系列および方法に関して提供される。例えば、いくつかのタイプの「ペイエニワン」支払は、メッセージをモバイル電話のユーザ（第２のユーザ、すなわち、支払いを行っているユーザ以外のユーザ）に送ることと、テキストメッセージを表示することと、（選択された場合）モバイルアプリケーションを第２のユーザのモバイル装置にダウンロードすることとを伴う。かかる被支払人ビューは図面において直角の角を有する。
【０２９４】
異なるモバイル装置は、通常、異なる画面外観、異なる画面サイズ、異なる画面レイアウトおよびフォントなどを有する点を理解されよう。しかし、表示に関するメインメッセージが以下の図面で提示される。メッセージテキスト、フォント、テキスト表示のラインはモバイル装置に応じて異なり得る。代替の実施形態が当業者に明らかになるであろう。閲覧、支払元の選択、およびそれぞれの利用可能な口座の口座残高の閲覧は、ＭＦＴＳモバイルアプリケーションの基本的な機能性である。
【０２９５】
以下の説明から、本発明の様々な態様では、被支払人を選択する（例えば、名前別に被支払人を選択する、モバイル電話番号別に選択するなど）ための様々な方法が企図され、本発明の様々な態様では、（例えば、テキストメッセージによって、被支払人／ユーザのモバイル装置上でのメッセージの表示によってなど）支払いの事実が支払人に伝達されるための様々な方法が企図され、本発明の様々な態様では、支払いを達成する様々な方法（例えば、小切手、ＡＣＨ振替、価値保存カードなど）が企図され、本発明の様々な態様では、適用可能な支払方法を選択する（例えば、支払人が選択する、被支払人が選択する）ための様々な方法が企図される点も理解されよう。したがって、当業者は本発明の様々な実施形態および態様に関する様々な例示的なモバイル装置のユーザ画面ビューに関して説明されるように、前述の様々な態様は、被支払人の識別および選択ならびに支払方法の選択において柔軟性と選択肢とを提供する様々な方式で組み合わされることが可能である点を理解および認識されよう。
【０２９６】
モバイル装置の動作：支払元および口座残高を閲覧する
次に図１３を参照すると、本発明の例示的な態様に従ってユーザが支払元（ＰＳ）を閲覧するときのモバイル装置の一連のユーザ画面ビュー１３００が提示される。通常、ユーザにはモバイル装置上の実行のためのアプリケーションの選択を可能にする選択画面（例えば、画面１３０２）が自らのモバイル装置上に提示される。画面ビュー１３０２に示されるように、「モバイルウォレット」はアプリケーションのオプションのうちの１つである。ユーザは、選択を強調表示するためにスタイラス、多機能ボタン、トラックホイール、またはその他のナビゲーション入力装置もしくはナビゲーション入力制御を使用することが可能であり、あるいは、数字入力によって選択を行うためにテンキーを使用することも可能である。例えば、ユーザは「モバイルウォレット」をナビゲートおよび強調表示するためにモバイル装置上の矢印キーを使用して、「モバイルウォレット」アプリケーションに進むために「選択」キーを押すことが可能である。あるいは、ユーザは「モバイルウォレット」アプリケーションに直接的に進むために数字「１」を押すことが可能である。
【０２９７】
議論されたいくつかのビュー内の様々なモバイル装置表示画面上のデータ項目の選択のために、アプリケーションを選択するために説明されるのと類似の入力機構および選択機構が使用される点を理解されたい。これらの詳細は不要な反復を避けるために繰り返されない。
【０２９８】
画面１３０２内のモバイルウォレットアプリケーションの選択に応答して、ログイン画面１３０４が表示される。この画面で、ユーザはセキュリティ対策として「モバイルウォレット」に入るためにＰＩＮまたはパスコードなど、所定の数の桁を入力するようプロンプト表示される。代替の実施形態では、ログイン画面１３０４または等しい機能性は、ユーザがモバイル装置を作動させる場合、アプリケーションを選択する場合、「モバイルウォレット」を選択する場合、請求書を閲覧する場合、請求書に対して支払う場合などその他の状況において画面のその他の場所に配置されることが可能であり、または、その他の適切な位置および／もしくは環境に配置され得る。その他の支払シナリオのその他の図面の説明において、アプリケーション選択画面１３０２およびログイン画面１３０４は省略されるが、所望される場合、かかる機能性は提供されることが可能である点を理解されよう。
【０２９９】
有効なログインまたはＰＩＮの入力に応答して、画面１３０６がモバイル装置上に表示される。この画面１３０６は、本発明の例示的な態様によるモバイルウォレットアプリケーションの利用可能なオプションのメニューを備えることが好ましい。この実施形態において、利用可能なアプリケーションは、（１）支払元閲覧、（２）請求書閲覧、（３）請求書支払、（４）「ペイエニワン」、（５）残高振替、および（６）ＰＩＮの変更を含む。様々な実施形態または実装形態に関して、ここでその他の機能も提供され得る。
【０３００】
ユーザが「支払元閲覧」オプションを強調表示して、「選択」ボタンを押すかまたは「１」を入力する場合、ユーザに利用可能な１つまたは複数の記録された支払元を表示する新規画面ビュー１３０８が示される。画面がすべての支払元を表示するために十分大きくない場合、スクロールバー（図示せず）が画面上に含まれ得る。ユーザは支払元を強調表示するためにナビゲーションツールを活動化して、特定の支払元を選択するために「選択」を押す。特定の支払元の選択は、結果として、選択された支払元に関する情報の表示１３１０（例えば、ユーザの様々な口座の（１つまたは複数の）残高）をもたらす。例えば、画面１３１０は、ブランド認識を円滑にするための金融サービスプロバイダのロゴと共に、ユーザに関する現在の残高、利用可能な信用、および利用可能な前払現金額を示す。金融機関のロゴの表示はオプションである。一部のモデルモバイル装置はグラフィック能力を有さない可能性があり、ロゴではなく支払元の名前を表示することだけが可能である。
【０３０１】  画面１３１０は、利用可能な支払元をナビゲートするために使用され得る例示的な「戻る」および「進む」のキーまたはボタンも画面ビュー上に示す。「進む」キーが押される場合、「選択」キーが押されるまで、その他の支払元ビュー（例えば、画面１３１２、１３１４、および１３１６）が順番で表示される。この例では、画面ビュー１３１２内に示されるように、選択可能な支払元として（公序良俗違反につき、不掲載）  Ｃａｒｄが表示される。その他の選択可能な支払元「Ｇｅｏｒｇｉａ  Ｓａｖｉｎｇｓ＆Ｌｏａｎｓ」および「Ｂａｎｋ  ｏｆ  ＵＳＡ」が、それぞれ、画面ビュー１３１４、１３１６に表示される。口座残高およびこれらの支払元のその他の関連情報もこれらの画面ビューを用いて表示される。
【０３０２】
本発明の例示的な態様によれば、（モバイル装置が無線サービス範囲内にある場合）リアルタイム口座残高がユーザに表示されるように、ユーザに利用可能な残高がＭＦＴＳ１８とモバイル装置１５の間の通信セッションの間にＭＦＴＳ１８から取り出され、モバイル装置のメモリに保存された最後に知られている残高が表示されることが可能である。ユーザが様々な支払元画面１３００において支払元およびそれらの口座残高を閲覧すると、モバイル装置１５はＭＦＴＳ１８と通信しており、対応する金融機関からリアルタイム残高情報を受け取っている点を理解されよう。本発明のもう１つの例示的な態様によれば、無線信号がモバイル装置に利用可能でない場合、またはＭＦＴＳ１８が特定の金融サービスプロバイダ／支払元３０と通信することができない場合、最後の（最近の）残高情報はモバイル装置のローカルメモリ内にキャッシュされるため、かかる情報がモバイル装置１５から引き抜かれることになる。モバイルクライアントがオフライン記憶装置から残高を取り出す場合、サーバに対する最後の成功裏の要求の日付／時間が表示されることになる。
【０３０３】
やはり図１３を参照すると、本発明の例示的な態様によれば、モバイルクライアントアプリケーションは、取り消されない限り、自動的にかつユーザによるデフォルトによる使用のために、デフォルト支払方法として１つの特定の支払元が自動的に選択されるように構成される。画面１３１８は、デフォルト支払元（default payment source）として特定の支払元（例えば、Ｂａｎｋ  ｏｆ  ＵＳＡ）の選択を反映する。したがって、画面ビュー１３１６に示されるように「選択」キーが押された場合、ユーザは画面上に表示された特定の支払元をデフォルト支払方法として選択する。画面１３１６において、選択されたデフォルト支払元は「Ｂａｎｋ  ｏｆ  ＵＳＡ」である。画面１３１８はユーザによる確認のためにプロンプトメッセージ「デフォルト支払元として使用しますか？」を提供することが好ましい。異なるクレジットカードなど、その他の支払元もデフォルト支払元としての選択に利用可能である。好ましくは、選択されたデフォルト支払元はその後の支払元閲覧画面１３０８を実行するときにユーザによって変更されることになるまでとどまることになる。この態様の改変形態によれば、システムは、ユーザがオンザフライでデフォルト支払方法を変更することを可能にする、モバイルアプリケーションに関するコードおよび／またはユーザサイトも含む。
【０３０４】
本発明の態様によれば、モバイルウォレットアプリケーション上でのユーザの支払元閲覧コマンドの選択および活動化は、ＭＦＴＳに対するモバイル支払命令を生成し、ＭＦＴＳは支払元からユーザに利用可能なリアルタイムの更新された口座残高情報を要求することによって応答して、かかる更新された（１つまたは複数の）口座残高をユーザのモバイル装置に提供する。かかる更新された口座残高情報は、銀行口座、クレジットカード、信用組合、または本明細書で説明されるシステムによってかつ本明細書で説明される方法を用いてアクセスされ得る任意のその他の金銭口座を含めてすべてのタイプの支払元を含む点を理解されよう。
【０３０５】
図１４は、本発明の１つの例示的な態様に従って支払元および口座残高を閲覧するための方法１４００を例示するシーケンス線図である。図１４およびその他のシーケンス線図において、図面上部を通して楕円のオブジェクトは信号、メッセージ、データパケット、ＴＣＰ／ＩＰなどの交換を介して電子的に伝達するエンティティを表し、伝達しているエンティティから下方へ垂直に伸びる長方形の囲みはそのエンティティによって講じられるステップを表し、長方形の囲み同士の間に伸びる矢印を有する線は１つのエンティティから別のエンティティに向けられた通信を表し、時間は図面の上から下の方向に進む点を理解されよう。この約束事は、その他の記述がない限り、本発明の実施形態および態様を例示するすべてのシーケンス線図において利用される。
【０３０６】
いくつかのエンティティが図１４に例示される。すなわち、ユーザのモバイル装置１５、ＭＦＴＳサーバ１８、ならびに（ＦＩ−１）３０Ａおよび（ＦＩ−Ｎ）３０Ｎなど、ユーザ１２（図示せず）が事業関係を有する様々な金融機関（ＦＩ）である。通常、モバイル装置１５とＭＦＳ１８の間の通信は無線キャリアネットワークによって提供され、図面において個別に示されない。図面において個別に示されないが、ＭＦＴＳ１８と、被支払人、もしくは被支払人の金融機関、または任意の第三者サービスプロバイダの間の通信は、通常、電気通信ネットワーク、インターネットサービスプロバイダ、専用の通信路、または任意のその他の利用可能なセキュア通信ネットワークによって提供される。
【０３０７】
図１４でステップ１４０２から開始して、ユーザはモバイル装置１５上で「モバイルウォレット」アプリケーションを開始する。ステップ１４０４で表示されるように、ユーザは確認のためにパスワードまたはＰＩＮを提供することによってログインすることを要求されることが好ましい。パスワードまたはＰＩＮはユーザによって入力され、局所的に妥当性確認され、署名されて、暗号化されたメッセージは認証のために認証メッセージ（ＡＭ）１４０６を介してＭＦＴＳに送られる。ステップ１４０８で、ＭＦＴＳ１８はログインを妥当性確認して、例えば、モバイルウォレットアプリケーションがモバイル装置１５上で実行することを可能にする信号コードもしくは妥当性確認コードを含む通信または認証確認メッセージ（ＡＣＭ）１４１０をモバイル装置１５に提供し返すことによって、モバイルウォレットアプリケーションが実行することを可能にする。ユーザが連続して所定の回数、不正確なパスワードまたはＰＩＮを入力した場合、ユーザはサービスを拒否され、モバイル装置はロックされることが好ましい。この場合、ユーザはモバイル装置をアンロックするために、ユーザサイト１５３にアクセスするかまたはカスタマサービス代表に連絡するステップ（図示せず）を講じることが要求される。
【０３０８】
パスワードまたはＰＩＮが正確に入力された場合、ＭＦＴＳ１８からの認証確認メッセージ１４１０はログインが有効であることをモバイル装置１５に通知して、ステップ１４１２に示されるように、モバイル装置１５上で「モバイルウォレット」アプリケーションを開始する。ステップ１４１４で、ユーザには支払元および口座残高の閲覧と選択とを可能にする画面（例えば、図１３）が提示される。
【０３０９】
やはりステップ１４１２で、ユーザは（図１３に示されるように）画面１３０６上で支払元閲覧に対する選択を行うことが可能である。本発明の１つの例示的な態様によれば、ＭＦＴＳ１８は、ステップ１４１２でログインするときに、様々な支払元に関する口座残高を自動的に取り出す（かつ、支払うべき請求書を取り出す）。本発明のもう１つの例示的な態様によれば、ＭＦＴＳは、対応する機能（例えば、支払元閲覧（図１３の画面１３０６））の特定の活動化に応答してかかる情報を取り出し、口座残高などの支払元情報の取出しおよび請求書閲覧（やはり、画面１３０６）の選択を引き起こすためのメッセージをＭＦＴＳに送り、支払実行を取り出させるためのメッセージを送る。
【０３１０】
例示的な実施形態では、モバイル装置１５は支払元および口座残高を閲覧するための要求をＭＦＴＳ１８に伝達し、対応するＭＦＴＳは要求１４２０Ａまたは１４２０Ｂをそれらの対応する金融機関３０Ａ、または３０Ｂに送ることによって、ステップ１４１８に示されるようにそれぞれの口座情報を取り出すために利用可能な支払元と相互作用する。いくつかの発明の好ましい実施形態によれば、ユーザに利用可能なすべての支払元口座のリアルタイム情報が収集されて、ステップ１４２２および１４２４で示されるように、メッセージ１４２６および１４２８を介してＭＦＴＳに送り戻される。図１４では例示目的で２つの金融機関だけが示されるが、システムはユーザに関連づけられたいくつかのまたはすべての利用可能かつ記録された金融機関と通信するために動作可能である点を理解されよう。
【０３１１】
ステップ１４３０で、ＭＦＴＳ１８はユーザに関連づけられた様々な金融機関から口座残高情報を収集および累算して、この情報を含む１つまたは複数のメッセージ１４３２をモバイル装置１５に送る。いくつかの発明の一態様によれば、口座残高情報の収集物は累算されて、単一の通信の形式でモバイル装置に伝達される。もう１つの態様によれば、金融機関の様々なシステムは独立しており、その他のシステムに関して非同期的に動作するため、特定の金融機関に関する口座残高情報は、受け取られた後で、できるだけ早くモバイル装置に伝達される。
【０３１２】
ステップ１４３４で、金融機関から口座残高を受け取るときに、すべての記録された口座の情報が閲覧のためにユーザに提供される。ユーザは、次いで、選択された支払元と口座残高とを閲覧するためにナビゲーション制御を使用することが可能である。ユーザはまた、図１３に関して説明されたように、デフォルト支払方法を選択することなど、その他の機能を実行することも可能である。
【０３１３】
本発明の例示的な態様によれば、ユーザが有効なパスワードまたはＰＩＮを入力した後で、ログインがＭＦＴＳシステム１８によって妥当性確認される。この時点で、ＭＦＴＳは、任意のモバイルウォレット動作の選択に先立って、ユーザのために情報を集め始めることが可能である。一実施形態では、ＭＦＴＳシステム１８はユーザの支払請求エンティティから詳細な残高情報に至るまでを取り出すために、それらの支払請求エンティティの一部またはすべてに残高要求を送る。もう１つの実施形態では、ＭＦＴＳシステム１８はそれらのエンティティから詳細な（リアルタイム）残高情報に至るまでを取り出すために、ユーザの金融サービスプロバイダの一部またはすべてに支払元情報要求を送る。これらの動作は、ユーザが任意のモバイルウォレット選択を実行し始める前ですら完了する。支払請求エンティティおよび金融サービスプロバイダから取り出された情報は、ユーザのモバイル装置内の一時的なデータベースまたはメモリに保存され（キャッシュされ）、かつ／またはＭＦＴＳシステムにキャッシュされる。ユーザは、自らがモバイルウォレットにログインした後でモバイルウォレット動作のいくつかの選択を実行することが可能である。ユーザが請求書閲覧、支払元閲覧など、モバイルウォレット動作の任意の選択を実行する場合、ユーザはＭＦＴＳシステム内の一時的なデータベースまたはキャッシュから更新された情報を即時に受け取ることになる。したがって、ＭＦＴＳはユーザのモバイルウォレット動作の選択に先立って受け取られた情報を伴う迅速な応答をユーザに提供する。この手法の利点は、ユーザのモバイル装置における迅速な応答、および口座残高情報の事実上「リアルタイム」更新である点を理解されよう。
【０３１４】
請求書を閲覧する
図１５は、本発明の態様に従ってユーザが支払うべき請求書を閲覧するときのモバイル装置の一連のユーザ画面ビュー１５００である。かかる態様によれば、ユーザは自らの請求書を閲覧するために少なくとも２つの方法を有する。第１の方法１５００ａは「モバイルウォレット」アプリケーションのユーザ活動化で始まり、第２の方法１５００ｂはＭＦＴＳ１８からのＳＭＳテキストメッセージの受け取りで始まる。
【０３１５】
第１の方法１５００ａは画面１５０２で始まる。ユーザが請求書を閲覧するために「モバイルウォレット」アプリケーションを使用する場合、ユーザはモバイル装置画面ビュー１５０２から「モバイルウォレット」オプションを選択し、ユーザにはログイン画面ビュー１５０４が提示される。ユーザがログインして、有効なパスワードを提供した（または、そうでない場合、モバイル装置１５に対して認証された）後で、ユーザには画面１５０６に示されるように、例えば、支払元閲覧、請求書閲覧、請求書支払、「ペイエニワン」、残高振替、ＰＩＮの変更など、いくつかの選択肢が提示される。本発明のこの例示的な態様によれば、ユーザは「請求書閲覧」オプションを選択するか、または数字キー「２」を押す。いずれかの方法による請求書閲覧オプションの選択に応答して、ユーザには請求書閲覧画面１５１２が提示される。
【０３１６】
もう１つの態様によれば、第２の方法１５００ｂは、モバイルウォレットアプリケーションのユーザ活動化に応答する代わりに、ＳＭＳテキストメッセージの受け取りを伴う。画面１５２２は、ユーザが受け取ったいくつかのテキストメッセージを含む例示的なテキストメッセージ表示画面（例えば、支払うべき電気料金、ミルク＆ジュースを買う、支払うべきガス料金、支払うべき電話料金など）を示す。この例では、ユーザのテキストメッセージ表示画面内のＳＭＳメッセージのいくつかは請求書に対する支払いに関するが、すべてのメッセージが請求書支払に関係するとは限らない。知られているように、ユーザはいくつかの異なる主題に関していくつかの異なるテキストメッセージを受け取ることが可能である。本発明のいくつかの態様によれば、請求書に対する支払いに関するＳＭＳメッセージの受け取りは、ユーザにモバイルウォレットアプリケーションを活動化するようにプロンプト表示することが可能であり、もしくは支払うべき請求書に関するＳＭＳメッセージの読取りは、モバイルウォレットアプリケーションを活動化することが可能であり、または所定のコードを含むＳＭＳメッセージの受け取りは、ある所定の環境下でモバイルウォレットアプリケーションを自動的に活動化することが可能である。
【０３１７】
本発明の１つの例示的な態様によれば、請求書アグリゲータ（例えば、図２に示されるような請求書提示システム１９０のオペレータ）はユーザの代わりにいくつかの支払うべき請求書を受け取り、ユーザが新規請求書が受け取られたという通知を受け、その請求書に関してより多くの情報を取得することができるように、またはその請求書に対して支払うためにモバイルウォレットアプリケーションを活動化することができるように、テキストメッセージを介してそれらの請求書に関する情報をユーザに提示する。本発明のこの例示的な態様によれば、ＭＦＴＳサーバにおいて新規請求書が請求書提示システムから受け取られた場合、ユーザはショートテキストメッセージによって通知を受ける。このショートメッセージは、短く、新規請求書が到着したことをユーザに通知するだけであることが好ましい。一実施形態では、メッセージは、支払請求エンティティ（例えば、電力会社、ガス会社など）の名前、支払総額、および支払期日に限定される。所望される場合、その他の情報がＳＭＳメッセージ内で提供されてもよいが、本発明のこの例示的な態様によれば、ユーザが最も重要な情報についてだけ速くかつ効率的に通知を受けることが可能であるように、情報は前述の情報に限定される。
【０３１８】
図１５の例では、ユーザは、画面１５２４に示されるように、メッセージ「支払うべき電気料金」を選択したと仮定する。本発明のこの例示的な態様によれば、「読取り」キーが押された場合、支払うべき請求書に関するとして、支払うべき請求書に関するテキストメッセージ（例えば、「支払うべきＸＸＸ請求書」）がモバイルアプリケーションによって自動的に検出されて、モバイル装置上でモバイルウォレットアプリケーションを開始する。モバイルウォレットアプリケーションの開始に応答して、ユーザがパスワードまたはＰＩＮを入力することを可能にするために、ユーザにはログイン画面１５２６が提示される。ユーザがログインして、有効なパスワードを提供した（または、そうでない場合、モバイル装置１５に対して認証された）後で、ユーザには請求書閲覧画面１５１２が提示される。
【０３１９】
方法１５００ａ、１５００ｂのいずれも、請求書閲覧画面１５１２になる。モバイル装置画面の限定されたサイズにより、「請求書閲覧」画面のコンテンツはユーザが定期的に受け取る紙の請求書のように詳細ではない点を理解されよう。しかし、本発明の例示的な態様によれば、本発明のいくつかの実施形態では、以下の情報のいくつかまたはすべてが表示される。すなわち、（１）支払請求エンティティの名前、（２）請求書が受け取られた日付、（３）支払金額、および（４）支払期日である。モバイル装置画面のサイズに応じて、最低支払額、未払金、支払請求周期、最後の支払額および日付など、その他の関連情報も表示され得る。より大きな表示のためにオプションのスクロールバーが追加されることも可能である。
【０３２０】
表示画面１５１２、１５１４、１５１６は、ナビゲーション制御（例えば、進むボタン）を使用する場合にユーザが目にする、本発明の例示的な態様に従って支払われることが可能な請求書を表示させるための一連の異なる請求書を例示する。モバイル装置画面ビュー１５１２に示されるように、ユーザが「進む」キーを押す場合、次のモバイル装置画面ビュー１５１４内に次の請求書が示される。ユーザは、モバイル装置画面ビュー１５１６に示されるように「支払いを選択する」キーが押されるまで、それぞれの個別の請求書を閲覧するために「戻る」キーおよび「進む」キーを使用することが可能である。
【０３２１】
図１６は、本発明の例示的な態様に従って請求書を閲覧するための方法１６００を例示するシーケンス線図である。方法すなわちプロセス１６００は、モバイル装置１５、ＭＦＴＳ１８、および少なくとも１つの料金請求エンティティの間の通信またはメッセージを伴う。現在企図される最良の形態によれば、請求提示システム１９０は、ユーザの代わりにいくつかの異なる支払請求エンティティから請求書を受け取り、複数の支払請求エンティティからの複数の請求書に関する情報をＭＦＴＳ１８に提供する。したがって、図１６は、このモードまたは実施形態を例示するが、ＭＦＴＳ１８はすべての請求書または支払実行が請求提示システム１９によって提供されることを要求せずに、個別にかつ独立して支払請求エンティティと通信することが可能である点を理解および認識されよう。
【０３２２】
１つの好ましい実施形態では、ステップ１６１２に示されるように、ユーザは自らのモバイル装置のモバイルウォレットオプションを開始することによって請求書を閲覧する。本発明の代替の例示的な態様によれば、ステップ１６０２に示されるように、支払請求エンティティは請求書提示システム１９０に情報を提供する。ステップ１６０４に示されるように、請求書提示システム１９０はＭＦＴＳ１８にメッセージ１６０６を伝達する。ステップ１６０８で、ＭＦＴＳ１８は、ＳＭＳジェネレータ１５１（図２）および無線ネットワークサービスプロバイダ１１０を介してユーザに選択された省略情報を含むショートテキストメッセージ（ＳＭＳ）を送る。先に議論されたように、ユーザは、ステップ１６１２に示されるように、自らに都合の良い時にモバイルウォレットを開始するか、またはテキストメッセージを読み取る。ステップ１６１４でユーザはログインするようにプロンプト表示されて、パスワードまたはＰＩＮが妥当性確認される。パスワードのログインを介したまたはその他の認証手段によるユーザのモバイルアプリケーションによる妥当性確認に応答して、モバイルアプリケーションは認証メッセージ（ＡＭ）１６１６をＭＦＴＳ１８に送る。ステップ１６１８で、ＭＦＴＳ１８は認証メッセージ１６１６からのログインを妥当性確認して、モバイルウォレットアプリケーションが実行することを可能にする認証確認メッセージ（ＡＣＭ）１６２０をモバイル装置１５に伝達し戻す。ステップ１６２２で、モバイル装置はモバイルウォレットアプリケーションを開始し、ユーザが支払うべき請求書または支払実行に関してより詳細な情報を閲覧することを可能にする。ステップ１６２４で、（図１５に関して示され、かつ説明されるように）ユーザは「請求書閲覧」オプションを選択する。ステップ１６２６で、ユーザは閲覧するための１つの請求書を選択する。閲覧するための請求書の選択に応答して、モバイル装置１５は選択された請求書に関する情報を要求するための要求メッセージ１６２８をＭＦＴＳ１８に伝達する。
【０３２３】
ステップ１６３０で、ＭＦＴＳ１８は選択された請求書に関する情報に対する要求を受け取り、請求書提示システム１９０に対するメッセージ１６３２を生成する。ステップ１６３４で、請求書提示システムは選択された請求書に関する（またはオプションで、特定のユーザに関連づけられた１つまたは複数の請求書に関する）情報を取り出して、詳細な支払請求情報を取り出す。したがって、メッセージ１６３６を介してユーザに関連づけられたすべての請求書がＭＦＴＳに転送されることが好ましい。ステップ１６３８で、ＭＦＴＳ１８は請求書提示システム１９０から詳細な支払請求情報を受け取り、詳細な支払請求情報を詳細な支払請求情報表（図６）内のＭＦＴＳデータベースに保存する。次いで、ＭＦＴＳ１８は、モバイル装置に適した、選択された縮小された情報（すなわち、詳細な支払請求情報のサブセット）を含むメッセージ１６３９を作成して、詳細な支払請求情報のサブセットを含むそのメッセージをユーザのモバイル装置１５に転送する。ステップ１６４０で、ユーザは図１５に示されるような画面を介して自らの支払請求書を閲覧する。
【０３２４】
図１６は請求書提示システムから請求書情報を取得するための一続きのステップを示すが、当該ステップは支払請求エンティティから独立して情報を取得することと類似する点を理解されよう。前述の説明から、本発明の態様は、支払実行（支払うべき請求書）に関して選択された縮小された情報を取得するための方法を伴い、この情報は、独立してまたは請求書提示システム１９０から、１つまたは複数の支払請求エンティティから取得される点を理解されよう。
【０３２５】
請求書に対して支払う
図１７は、ユーザが自らの（１つまたは複数の）請求書に対して支払うことに関する、モバイル装置の一連のユーザ画面ビュー１７００である。他のところで説明される本明細書のその他の態様の場合のように、ユーザは自らのモバイル装置上でモバイルウォレットアプリケーションを活動化して、その特定のモバイル装置上のアプリケーションの使用に関して認証される（すなわち、ログインする）ことが要求されることが好ましい。したがって、画面１７０２は、モバイルウォレット、音楽ダウンロード、ゲームなど、いくつかの選択可能なアプリケーションを示し、画面７０４は、画面１７０２において選択するときにモバイルウォレットアプリケーションを当初実行するときに生成されるログイン画面を示す。画面１７０２、１７０４に示されるように、ユーザが「モバイルウォレット」アプリケーションにログインした後でモバイルウォレット画面１７０６が表示される。本発明の例示的な態様によれば、モバイルウォレット画面は、モバイル金融取引の閲覧、監視、および支払いに関して様々な機能を提供するいくつかの選択可能なオプションを含む。例えば、画面１７０６は、支払元閲覧、請求書閲覧、請求書支払、「ペイエニワン」、残高振替、およびＰＩＮの変更に関するオプションを示す。請求書に対して支払う態様によれば、請求書支払オプションは、ユーザがモバイル装置の請求書支払機能を活動化することを選択したことを表示して、強調表示されて（選択されて）示される。ユーザは、画面１７０６上のメニューから請求書支払を選択することによってこの機能を活動化することが可能であり、またはキーパッド上で「３」キーを押すことも可能である。応答して、モバイルウォレットアプリケーションは、１７０８に示されるような請求書支払の表示画面を表示する。
【０３２６】
本発明の例示的な態様によれば、請求書支払画面１７０８は選択可能な未完請求書のリストを提供する。一実施形態では、リストは、画面ビュー１７０８に示されるように、最新の請求書が最上にあり、最も古い請求書が最下にあるように構成され得る。最も古い請求書が最初に列挙されるなど、その他の構成も実施され得る。本発明の１つの例示的な態様に従って、かつ画面１７０８に示されるように、「請求書支払」機能が選択された場合、最も古い請求書はユーザが初めに支払うように自動的に強調表示される（例えば、「支払うべき電話料金１１／１７／０５  ＄３４．４５」）。本発明のその他の例示的な態様の場合のように、この場合、ユーザは垂直ナビゲーション制御（up and down navigation controls）を使用してリストをナビゲートして、適切な請求書が強調表示された場合、「選択」キーを押すことによってユーザが支払うことを望む請求書を選択する。
【０３２７】
特定の請求書の選択に応答して、画面１７１０に示されるように、選択された請求書に関する情報がユーザに表示される。本発明の例示的な態様によれば、画面ビュー１７１０に示されるように、選択された請求書に関して選択された情報（例えば、支払請求エンティティの名前、請求書が受け取られた日付、請求書の金額、オプションで、最低支払額、および支払期日）が表示される。画面１７１０に示されないが、オプションで、口座に関する全不足額が示されてもよい。例示的な画面１７１０はまた、請求書の順次リスト内のその他の請求書を閲覧することを可能にするナビゲーション制御として、支払ボタン、戻るボタン、および進むボタンを含むことも好ましい。理解されるように、支払ボタンまたは支払制御は、現在、表示上にある請求書に対して支払うために使用される。
【０３２８】
本発明の例示的な態様によれば、「支払」キーが押された場合、モバイルウォレットアプリケーションはユーザが支払金額を選択することを可能にする画面ビュー１７１２を提供する。好ましい実施形態では、ユーザには以下のオプションが提供される。すなわち、（１）支払うべき最低金額を支払うこと、（２）支払うべき全額を支払うこと、または（３）ユーザ指定された金額を支払うことである。初めの２つのオプションは自明であり、記録上の情報に基づく適切な支払いをもたらす。第３のオプションは、所望される金額を指定する柔軟性をユーザに提供する。第３のオプションが選択された場合、モバイルウォレットアプリケーションは、所望される支払金額の入力を可能にする画面ビュー（図示せず）を提供する。例示的な画面１７１２は、請求書の順次リスト内のその他の請求書を閲覧すること、または選択された請求書に対する支払いを進めることを可能にするナビゲーション制御として支払ボタン、戻るボタン、および進むボタンを含むことも好ましい。理解されるように、支払ボタンまたは支払制御は現在選択された金額を支払うために使用される。
【０３２９】
画面１７１２を続けると、ユーザが支払金額を決定して、「支払」キーが押された場合、デフォルト支払元（この場合、Ｂａｎｋ  ｏｆ  ＵＳＡ）およびその関連情報を示す画面ビュー１７１４が表示される。例示的な画面１７１４では、デフォルト支払元Ｂａｎｋ  ｏｆ  ＵＳＡは３つの選択可能な口座（例えば、貯蓄残高、小切手残高、およびその他（例えば、金融市場口座または、場合によっては、借入金口座））を有する。例示的な態様によれば、その支払元向けの小切手口座はその他の手段によってユーザによって取り消されない限り利用されることになるデフォルト支払元であることをユーザに表示するために、特定のデフォルト口座（例えば小切手残高）が強調表示で示される。
【０３３０】
本発明の例示的な態様によれば、画面１７１４は、現在表示されているデフォルト支払元を確認するようにユーザにプロンプト表示するテキストをさらに含む（例えば、テキストは「デフォルト支払元を用いて支払いますか？」と書かれる）。ユーザが画面ビュー１７１４において、現在の請求書がデフォルト支払元を用いて支払われることになるという確認を表示する「選択」キーを押す場合、モバイルウォレットアプリケーションは、支払いを確認して、支払元情報を更新する情報を含む画面ビュー１７１６を生成する。この時点で、ユーザは、モバイル支払取引を完了するために「完了」ボタンを押すか、またはその他の支払いを実行するために「進む」を押すことが可能である。本発明の例示的な態様によれば、現在の支払金額（示された例では＄３４．４５）はデフォルト支払元（「小切手残高」）上に示された残高から差し引かれ、その結果、ユーザの支払元情報は支払いを反映するために直ちに更新される（すなわち、画面１７１４および１７１６の間に示されるように、「小切手残高」は＄３４．４５だけ減じられる。例示的な実施形態では、これは請求書の金額がユーザの銀行口座から実際に差し引かれていないとしても発生する。
【０３３１】
図１８Ａは、本発明の好ましい実施形態に従って請求書に対して支払うための方法１８００を例示するシーケンス線図である。方法すなわちプロセス１８００は、モバイル装置１５、ＭＦＴＳ１８、少なくとも１つの支払請求エンティティ（例えば、請求書提示システム１９０または個別の支払請求エンティティ）、および選択された支払元（ＰＳ）として機能する選択された金融機関３０の間の通信またはメッセージを伴う。この例では、ユーザのデフォルト金融機関（ＦＩ）３０Ａは選択された支払元として説明される。
【０３３２】
図１８Ａにおいて、ユーザは予め支払元および口座残高を閲覧して、支払うべき特定の請求書を選択したと仮定される。したがって、プロセス１８００の初期のステップは、ユーザが支払うべきすべての請求書に関する情報を受け取り、例えば、図１７における画面１７０８を介して、支払うべき特定の請求書を選択する状態にあるステップ１８０２である。ユーザが請求書に対して支払う状態にある場合、ステップ１８０４で、ユーザは支払うべき特定の請求書を選択する。例示的な画面ビュー１７１２および１７１４に示されるように、ユーザは、ステップ１８０６において、支払元を選択して、支払金額を決定／入力する。支払金額の入力に応答して、所望される金額を含み、支払いを実行するために選択された金融機関を識別するモバイル支払命令（ＭＰＩ）メッセージ１８０８がモバイル装置１５からＭＦＴＳ１８に伝達される。ステップ１８１０で、ＭＦＴＳ１８はＭＰＩメッセージを受け取り、選択された金融機関３０Ａに対するＭＦＴＳ支払命令（ＭＦＴＳＰＩ）メッセージ１８１２を作成する。ＭＦＴＳＰＩメッセージ１８１２は、選択された支払元が支払いを実行するために十分な資金を有するかどうかを確認するための金融機関に対する問合せメッセージ、および／または十分な資金が利用可能である場合、支払いを実効するための命令であることが好ましい。
【０３３３】
さらにステップ１８１４で、ＭＦＴＳＰＩメッセージ１８１２は金融機関３０Ａに伝達されて、ステップ１８１４で受け取られる。支払いをカバーするために十分な資金が利用可能でない場合、ＦＩ３０Ａは資金が利用可能でないことを通知するための応答メッセージ１８１６’（図示せず）を生成してＭＦＴＳ１８に伝達し、ＭＦＴＳ１８はユーザに要求された支払いは失敗したという応答メッセージ（図示せず）を送る。そうでない場合、ＦＩは、十分な資金が利用可能であることを表示する資金利用可能メッセージ（ＦＡＭ）１８１６を作成して、このメッセージをＭＦＴＳに送信する。ステップ１８１８で、ＭＦＴＳ１８は資金利用可能メッセージを受け取り、モバイルウォレットアプリケーションが支払命令メッセージの生成を続けることを可能にする、モバイル装置１５に対する対応する資金利用可能メッセージ１８２０を作成する。この資金利用可能メッセージは、モバイルウォレットアプリケーションが支払いの処理を続けるステップ１８２２でモバイル装置において受け取られる。ステップ１８２２は、ユーザが「デフォルト支払元を用いて支払いますか？」を確認することを要求する、ユーザ向けの支払確認表示（例えば、画面１７１４（図１７））を生成するなどの動作を含む。ユーザはデフォルト支払元を用いた支払いを拒否して、異なる支払元を選択するためにナビゲーション制御を使用することが可能であり、その場合、モバイルウォレットアプリケーションからの更なるかつ対応する適切なメッセージが生成されて、ＭＦＴＳ１８に戻される点を当然理解されよう。
【０３３４】
例えば、デフォルト支払元の確認を介した支払元のユーザ確認に応答して、モバイルウォレットアプリケーションは支払いの確認を表示するメッセージ１８２４を生成して、ＭＦＴＳ１８に送信する。モバイル装置１５からの支払確認メッセージは、ステップ１８２６でＭＦＴＳ１８において受け取られる。ステップ１８２６で、ＭＦＴＳ１８はモバイル装置１５から確認された支払命令を受け取り、支払元支払命令メッセージ１８２８を構築する。本発明の例示的な態様によれば、図１８Ａに示されるように、支払元支払命令メッセージ１８２８は請求書提示システム１９０に伝達される。請求書提示システム１９０を利用する場合、ステップ１８３０で、システム１９０は支払元支払命令１８２８を受け取り、金融機関３０Ａに対する対応する支払命令メッセージ１８３２を生成し、例えば、ユーザの未払請求書のキューから支払うべき請求書を清算することによって、支払いを内部で処理する。
【０３３５】
ステップ１８３４で、金融機関３０Ａは請求提示システム１９０から支払元支払命令を受け取り、それに応じて応答する。理解されるように、金融機関は資金を引き出すためのステップまたは選択された口座からユーザの代わりに借方を入力するためのステップを内部で講じて、支払請求エンティティに対する適切な支払命令を生成する。適切かつ選択された支払命令（例えば、小切手、ＡＣＨ資金振替、価値保存カードなど）の生成は、本明細書の他のところで説明される。
【０３３６】
ステップ１８３４で、支払請求エンティティに対する支払いを生成して送信するための適切なステップが完了するときに、支払確認メッセージ１８３６が金融機関３０Ａによって生成されて、請求書提示システム１９０に送信される。ステップ１８３１で、請求提示システム１９０は支払確認メッセージを受け取り、記録上の請求を清算し、モバイル支払確認メッセージ１８３７を生成して、ステップ１８３８に示されるように、このメッセージ１８３７をＭＦＴＳ１８に伝達する。ＭＦＴＳ１８は確認メッセージ１８３７を受け取り、別の確認メッセージ１８４０をモバイル装置１５に転送する。ステップ１８４２で、モバイル装置１５はモバイル支払確認メッセージ１８４０を受け取り、確認された支払情報を表示する（例えば、図１７内の表示画面１７１６）。
【０３３７】
次に、図１８Ｂを参照すると、本発明の代替の実施形態が示される。ここで、ステップ／メッセージ１８０２からステップ１８２６までおよび１８３８の後のステップ／メッセージは、図１８Ａに示されるステップ／メッセージと同じかまたは類似する。ステップ１８２６で、ＭＦＴＳ１８はモバイル装置１５から確認された支払命令を受け取り、支払元支払命令メッセージ１８２８’を構築する。支払元支払命令メッセージ１８２８’は請求提示システム１９０に伝達される。請求提示システム１９０を利用する場合、ステップ１８３０’で、システム１９０は支払元支払命令１８２８’を受け取り、金融機関３０Ａに対する対応する支払命令メッセージ１８３２’を生成し、例えば、ユーザの未払請求書のキューから支払うべき請求書を清算することによって、支払いを内部で処理する。
【０３３８】
ステップ１８３４’で、金融機関３０Ａは請求書提示システム１９０から支払元支払命令を受け取り、それに応じて応答する。ステップ１８３４’で、支払請求エンティティに対する支払いを生成および送信するための適切なステップが完了するときに、支払確認メッセージ１８３６’が金融機関３０Ａによって生成されてＭＦＴＳ１８に送信される。
【０３３９】
前述の説明から、上述のプロセスに関する改変形態が当業者に出現するであろうことが理解されよう。
【０３４０】
ペイエニワン支払方法
図１９および図２０は、「ペイエニワン」支払プロセスに関して、それぞれ、ユーザ／支払人および第２のユーザ／被支払人のモバイル装置１５上の例示的な表示画面を示す。「ペイエニワン」支払プロセスは、ユーザの事前に記録された定期支払請求エンティティまたはサービスプロバイダ以外のエンティティに対して支払うための支払方法である。例は、支払いを実行する時点で被支払人の識別性が決定された状態で販売場所で支払いを実行することと、モバイルウォレットアプリケーションを実行することができる（しかし、場合によっては、まだダウンロードされておらず、動作可能でない）モバイル装置を所有する個人に対して支払いを実行することと、モバイル装置を所有しないが、小切手、電子資金振替、価値保存カードなど、ある形式の支払いを要求する個人またはその他のエンティティに対して支払いを実行することとを含む。「ペイエニワン」支払方法に関する様々な改変形態は、以下の表示画面およびプロセスステップを考慮するときに出現するであろう。
【０３４１】
したがって、「ペイエニワン」支払方法のいくつかのオプションは、ＭＦＴＳ１８に記録しているエンティティに対する支払いを企図し、その他のオプションは予め記録されなかったエンティティに対する支払いを企図することが理解されよう。「ペイエニワン」支払方法は、ユーザが現金の代替としてその他の記録された人々または記録されていない人々に支払いを送ることを可能にする。方法はまた、物理的に現金または小切手を扱うことなしに、どこででも、すなわち、販売場所で、局所的に、国中で、かつ（当然、適用可能な通貨規則の範囲内で）国境を越えて、支払いを実行することも企図する。方法はまた、受領者による支払いの受け取りおよび比較的高速の（事実上、即時の）資金の利用可能性も企図する。
【０３４２】
「ペイエニワン」支払方法における重要な課題は、（１）被支払人の識別、ならびに（２）支払いを実行する方法および／または形式を含む。本発明の１つの例示的な態様によれば、ユーザには、モバイル装置を介してＭＦＴＳによって提供されたリストから被支払人を選択すること、または被支払人に関連づけられたモバイル電話番号を入力／選択することによって被支払人を選択／入力することのいずれかの選択肢が与えられる。同様に、かつ本発明の例示的な態様によれば、被支払人が支払いを受け取るいくつかの異なる方法が存在する。例えば、ユーザ／支払人は以下の支払方法から支払方法を選択することが可能である。すなわち、（１）「受領者定義」、（２）「銀行手形」（またはＡＣＨ電子振替）、（３）「小切手」、および（４）「価値保存カード」である。「受領者定義」方法は、被支払人が３つの残りの方法、すなわち、「銀行手形」、「小切手」および「価値保存カード」のうちの１つを選択することを可能にする。
【０３４３】
被支払人選択および支払方法選択は完全に独立している点に留意されたい。「ペイエニワン」の好ましい実施形態の以下の説明は、本発明の例示的な態様として様々な被支払人選択および支払方法選択が企図されることを示す。例えば、図１９および図２６では、被支払人はリストから名前を選択することによって選択され、一方、図２３および図２９では、被支払人は被支払人のモバイル電話番号を入力することによって選択される。図１９から図３１において、すべての４つの異なる支払方法が議論される。以下の教示に照らして、被支払人選択および支払方法選択の任意の組合せが可能である。本発明の例示的な実施形態の説明は例示および説明だけの目的で提示され、網羅的であることまたは本発明を開示されたものと同じ形式に限定することが意図されない。
【０３４４】
受領者定義支払方法を用いたペイエニワン：図１９は、本発明の例示的な態様に従って、ユーザが「ペイエニワン」オプションを使用して、リストから名前を選択し、「受領者定義」支払方法を使用するときの一続きの支払人のモバイル装置画面ビュー１９００を示す。画面１９０２、１９０４、１９０６は、本明細書の他のところで説明されたモバイルウォレットアプリケーションの選択可能な応用、ログインおよび選択を表示するための例示的な画面であり、繰り返されない。しかし、画面１９０６において選択可能なオプションのうちの１つは、強調表示され、したがって選択された「ペイエニワン」オプションであることが理解されるであろう。画面１９０６における「ペイエニワン」オプションの選択に応答して、本発明の１つの例示的な態様によれば、ユーザには名前別またはモバイル電話別の被支払人の選択を可能にするために、画面ビュー１９０８に示されるショートメニューが提示される。それに従って、ユーザはリストから被支払人名を選択すること、または被支払人のモバイル電話番号を選択／入力することのいずれかが可能である。
【０３４５】
この例では、ユーザはメニューから「名前別に支払う」オプションを選択すると仮定する。このオプションの選択に応答して、事前に入力された被支払人のリストを備える画面（例えば、Ｊａｎｅ  Ｂｅｎｎｅｔｔ、Ｊｏｈｎ  Ｄｏｅ、Ｒｏｂｅｒｔ  Ｊｏｈｎｓｏｎ、Ｃａｒｏｌ  Ｊｏｎｅｓなどの名前を伴う画面１９１０）がモバイル装置上に表示される。画面１９１０に示されるように、被支払人の名前Ｊｏｈｎ  Ｄｏｅが強調表示されて示され、したがって、動作のために選択された。画面１９１０内のリスト上の名前に関する情報はモバイル装置および／またはＭＦＴＳ１８ユーザデータベースに局所的に保存され得る。
【０３４６】
図１９に関して議論されないが、本明細書の他のところで議論されるように、ユーザは画面１９０８で「モバイル電話別に支払う」オプションを選択して、異なる支払形式のためにモバイル電話番号を入力することが可能である点を理解されよう。
【０３４７】
本明細書で説明されるその他のモバイル装置画面表示のように、表示画面の右のスクロールバーナビゲーション制御は、名前リストがモバイル装置が表示できるよりも大きいことを表示し、リストをスクロールダウンすることを可能にする。同様に、ユーザは、名前リストをナビゲートするために「戻る」キーもしくは「進む」キーまたはナビゲーション制御を活動化することが可能であり、「選択」キーを使用することによってリスト上で被支払人が選択される。
【０３４８】
例を続けると、画面１９１０における特定の被支払人（例えば、Ｊｏｈｎ  Ｄｏｅ）の選択に応答して、ユーザが支払金額を入力することを可能にする画面１９１２が提示される。例では、ユーザは＄１２３．４５を入力した。ユーザは、次いで、デフォルト支払元の確認を要求する表示画面１９１４をもたらす「進む」ボタンを押す。この時点で、ユーザはさらなる変更を行うために「戻る」キーを使用すること、または支払いを放棄するために「取消し」キーを押すことも可能である。
【０３４９】
支払金額のユーザ入力に応答して、モバイルウォレットアプリケーションは、これまでの例におけるように、ユーザがデフォルト支払元のいくつかの利用可能な口座から１つの口座を選択することを可能にする例示的な画面ビュー１９１４を提示する。これまでの例におけるように、デフォルト支払元としてＢａｎｋ  ｏｆ  ＵＳＡ口座が示され、小切手口座が使用のためのデフォルト口座として選択／強調表示されて示される。特定の口座の選択の後で、ユーザは支払いを実行するためのプロセスを続けるために「選択」キーを押す。
【０３５０】
画面１９１４内の口座の選択に応答して、かつ本発明の１つの例示的な態様に従って、ユーザには被支払人に対する支払いを実行するために複数の異なる支払手段すなわち支払方法のうちの１つの選択を可能にする表示画面１９１６が提示される。この例では、４つの選択肢が提供される。すなわち、（１）受領者定義、（２）ＡＣＨ（例えば、銀行手形）、（３）「小切手」、および（４）価値保存カードである。ユーザはメニューをナビゲートするために「戻る」キーおよび「進む」キーを使用して、特定の支払方法すなわち支払手段を選択するために「選択」キーを使用することができる。この例では、「受領者定義」支払方法が選択される。すなわち、受領者は支払いに関する情報が被支払人によって受け取られた場合、支払いを受け取る方法を選択することができる。被支払人による支払手段の選択は、その他の図（例えば、図２０）に関して説明される。図２０に見られるように、被支払人には、ＡＣＨ、小切手、または価値保存カードから選択する選択肢が与えられる。受領者／被支払人向けのかかるステップおよび表示は図２０に関して議論される。
【０３５１】
図１９を続けると、支払方法すなわち支払手段のユーザ選択に応答して、モバイルウォレットアプリケーションは支払いのユーザ確認を可能にする表示画面１９１８を生成する。本発明の１つの例示的な態様によれば、画面ビュー１９１８は支払いの確認およびこの取引で使用される支払元の残りの残高を表示する。例えば、デフォルト支払元の小切手残高は画面１９１４に示される金額から支払金額＄１２３．４５だけ借方に記入される。この時点で、ユーザは「ペイエニワン」アプリケーションを終了するために「完了」ボタンを押すこと、またはもう１つの取引を開始するために「進む」ボタンを押すことも可能である。
【０３５２】
次に、受領者定義支払方法の被支払人のビューの議論に関して図２０を参照する。図２０に示される表示画面は、被支払人／支払受領者がモバイルウォレットアプリケーションを実行することができるモバイル装置を保有し、本明細書で説明されるようなシステムおよび方法を用いた動作のために構成され、かつＭＦＴＳ１８の記録された使用者であると仮定する点を理解されたい。被支払人／受領者がそのように構成および記録されない場合、被支払人／受領者は、支払人が支払いを実行することを望むことを表示し、被支払人／受領者のモバイル装置上にモバイルウォレットアプリケーションをどのようにダウンロードして実行するかについて被支払人／受領者に命令を提供するテキストメッセージ（ＳＭＳ）を受け取ること、または支払いを受け取るためにその他の処置を講じることが可能である。記録されていない被支払人／受領者に関するかかる動作および特徴の議論は、本明細書の他のところで提供される。
【０３５３】
一般に、かつ本発明の１つの例示的な態様によれば、被支払人サイドでは、ＳＭＳテキストメッセージがＭＦＴＳ  ＳＭＳジェネレータ１５１（図２）から被支払人によって受け取られる。被支払人が自らのモバイル装置上にモバイルウォレットアプリケーションを設置している場合、被支払人は、支払いを受け取るためにＳＭＳテキストメッセージを読み取ると同時に、アプリケーションを直接的に開始することが可能である。したがって、図２０は、「ペイエニワン」オプションを開始して、リストから名前を選択し、「受領者定義」支払方法を使用するユーザ／被支払人によって生成されたメッセージおよび通信の受け取りに応答する一続きのユーザ／被支払人のモバイル装置画面ビュー２０００を示す。
【０３５４】
表示画面２００２は、ＭＦＴＳ１８からのメッセージ（例えば、ＳＭＳメッセージまたはＭＦＴＳ１８とモバイルウォレットアプリケーションの間の通信のために特に適合された形式のメッセージ）の受け取りに応答して、被支払人が目にする例示的なモバイル装置表示である。画面２００２に示されるように、識別されたモバイル番号（例えば、４０４−４０４−４０４０）を有する個人が被支払人／受領者に＄１２３．４５の金額の支払いを送っていることを表示して、いくつかの異なる支払受取方法のリストから支払受取方法を選択するように被支払人／受領者にプロンプト表示する情報が被支払人に表示される。本発明の例示的な態様によれば、ＭＦＴＳ１８からのメッセージは、（ａ）モバイルウォレットアプリケーションを自動的に開始するか、または（ｂ）モバイルウォレットアプリケーションを活動化するように被支払人／受領者にプロンプト表示する。いずれの場合も、被支払人は（名前または電話番号を用いて）誰かが支払いを送ったことおよび支払金額の通知を受ける。被支払人は可能な支払引渡方法（ＡＣＨ、小切手、または価値保存カード）のリストから支払方法を選択するように要求／プロンプト表示される。次いで、被支払人は画面ビュー２００２に示されるような命令に従って選択する。
【０３５５】
ＡＣＨ：本発明の１つの例示的な態様によれば、ＡＣＨ方法の被支払人による選択に応答して、モバイル装置アプリケーションはこの方法を達成するための表示画面２０１０を提供する。この態様によれば、被支払人には、画面ビュー２０１０に示されるように、デフォルト銀行ルーティング番号および口座番号を有するデフォルトＡＣＨ口座が示される。画面は、確認、口座変更、および取消しのための制御を含むことが好ましい。確認制御は表示されたデフォルト支払受取方法を効果的に確認する。被支払人がデフォルト支払受取方法を確認する場合、ＡＣＨ振替が完了したことを被支払人に通知する別の画面ビュー２０１２が表示される。他方で、被支払人は新規銀行ルーティング番号および新規口座番号を入力するための個別の表示画面（図示せず）を表示する口座変更制御を選択することによって別のＡＣＨ口座に変更する能力を有する。その場合、モバイルウォレットアプリケーションは、代替の銀行ルーティング番号および口座番号を入力するときに、２０１０の画面に類似した別の画面と、その後に、取引が完了および確認された後で、画面ビュー２０１２などの確認を表示することが好ましい。
【０３５６】
小切手：画面２００２からの小切手支払受取方法の被支払人による選択に応答して、本発明の１つの例示的な態様によれば、モバイル装置アプリケーションはこの方法を達成するための表示画面２０２０を提供する。この態様によれば、画面ビュー２０２０は小切手が郵送されるべきデフォルト郵送先住所を表示する。例示的な画面は、確認、住所変更、および取消しのための選択可能な制御も含む。画面は、ＭＦＴＳ１８に保存された表示されたデフォルト郵送先住所を確認するように被支払人に効果的にプロンプト表示する。被支払人が「確認」制御を押すことによってデフォルト郵送先住所を確認する場合、小切手がデフォルト郵送先住所に郵送されることになる旨を被支払人に通知するために例示的な画面ビュー２０２２が表示される。他方で、被支払人は異なる郵送先住所を入力するための個別の表示画面（図示せず）を表示する住所変更制御を選択することによって新規郵送先住所を入力することによって別の郵送先住所に変更する能力を有する。その場合、モバイルウォレットアプリケーションは、代替の郵送先住所を入力するときに、２０２０の画面に類似した別の画面と、その後に、取引が完了および確認された後で、画面ビュー２０２２などの確認を表示することが好ましい。
【０３５７】
価値保存カード：画面２００２からの価値保存カード支払受取方法の被支払人による選択に応答して、本発明の１つの例示的な態様によれば、モバイルウォレットアプリケーションはこの方法を達成するための表示画面２０３０を提供する。この態様によれば、画面ビュー２０３０は、資金が預け入れられることになるデフォルト価値保存カード口座を表示する。例示的な画面は、確認、口座変更、および取消しのための選択可能な制御も含む。画面は、ＭＦＴＳ１８に保存された表示された価値保存カード口座を確認するように被支払人に効果的にプロンプト表示する。被支払人が「確認」制御を押すことによってデフォルト価値保存カード口座を確認する場合、表示された金額がデフォルト価値保存カード口座に預け入れられることになることを被支払人に通知するために例示的な画面ビュー２０３２が表示される。他方で、被支払人は異なる価値保存カード口座番号を入力するための個別の表示画面（図示せず）を表示する口座変更制御を選択することによって新規口座を入力することによって別の価値保存カード口座に変更する能力を有する。その場合、モバイルウォレットアプリケーションは、代替の価値保存カード口座を入力するときに、２０３０の画面に類似したもう１つの画面と、その後に、取引が完了および確認された後で、画面ビュー２０３２などの確認を表示することが好ましい。
【０３５８】
本発明の１つの例示的な代替の態様によれば、特に小切手オプションおよび価値保存オプションに関して、被支払人／受領者は自らのモバイル装置上にモバイルウォレットアプリケーションを設置することが要求されない。本発明のこの態様によれば、例えば、小切手に関するデフォルト郵送先住所または価値保存口座を確認するために、または代替の郵送先住所もしくは価値保存口座を提供するために、表示される情報を含むテキストメッセージ（ＳＭＳ）を戻すように被支払人／受領者に対する命令を伴う、基本的に図２０に示される情報を含む１つまたは複数のテキストメッセージ（ＳＭＳ）がＭＦＴＳ１８によって生成されて、被支払人／受領者によって所有されるモバイル装置に伝達されることが可能である。したがって、本発明の態様は、モバイルウォレットアプリケーションが設置されていないモバイル装置を有する被支払人に対して、または被支払人がモバイルウォレットアプリケーションを使用および実行することを選択していない場合、ＳＭＳメッセージング技術を使用して容易に構築され得る点を理解されよう。
【０３５９】
図２１は、本発明の例示的な態様による「ペイエニワン」支払方法のための方法２１００を例示するシーケンス線図である。方法すなわちプロセス２１００は、モバイル装置１５とＭＦＴＳ１８の間の通信またはメッセージを伴い、システムとの相互作用の間に識別された個人に対する支払いを実行するためにユーザによる特定の形式の支払いの選択を可能にする。このプロセスは、事前に識別された支払請求エンティティに対する支払いを実行するこれまでに説明された方法と対照的である。
【０３６０】
ステップ２１０２から開始して、ユーザはモバイルウォレットアプリケーションを活動化して、ステップ２１０４で、ログインするか、または、そうでない場合、認証情報を提供する。認証メッセージ（ＡＭ）２１０６が生成されて、ＭＦＴＳ１８に伝達され、ＭＦＴＳ１８はステップ２１０８でユーザを認証する。ステップ２１０８におけるＭＦＴＳによるユーザの認証時に、認証確認メッセージ（ＡＣＭ）２１１０はＭＦＴＳ１８によってモバイル装置１５に戻され、ステップ２１１２に示されるように、モバイルウォレットアプリケーションがモバイル装置上で実行することを可能にする。本発明の１つの例示的な態様によれば、ステップ２１１２で、ＭＦＴＳ１８はユーザデータベースからユーザに関連づけられた所定の被支払人リストも取り出して、このユーザの被支払人リストをこの被支払人リストがユーザに表示されるモバイル装置に送り戻す（図１９の例示的な画面を参照されたい）。
【０３６１】
ステップ２１１２でモバイルウォレットアプリケーションが開始された後で、ユーザはステップ２１１４で「ペイエニワン」オプションを選択すると仮定する。ユーザは、次いで、ステップ２１１６に示されるように、被支払人を選択するために所定の被支払人リストから名前を選択するかまたはモバイル電話番号を入力して、ステップ２１１８で支払う金額をドルとセントで入力する。ステップ２１２０で、ユーザは利用可能な支払方法（例えば、図１９に示されるように、受領者定義、ＡＣＨ、小切手、または価値保存カード）のうちの１つを選択する。この例では、ユーザは受領者定義支払方法を用いて支払うことを選択したと仮定する。選択された支払方法に対応する情報は、モバイル支払命令（ＭＰＩ）メッセージ２１２２内に提供されて、ステップ２１２４に示されるように、ＭＦＴＳ１８およびその他の関連当事者によるさらなる処理のためにＭＦＴＳ１８に転送される。
【０３６２】
図２２は、本発明の例示的な態様による受領者定義「ペイエニワン」方法２２００を例示するシーケンス線図である。方法すなわちプロセス２２００は、ユーザ／支払人のモバイル装置１５（ここでは図示せず）、ＭＦＴＳ１８、被支払人のモバイル装置２２０２、ユーザ／被支払人の金融機関３０Ａ、被支払人の金融機関２２６０、被支払人２２７０、および価値保存カード発行会社２２８０の間の通信またはメッセージを伴う。この例では、図２１において、ユーザはステップ２１２０で受領者定義支払方法を選択し、この決定はＭＦＴＳ１８に伝達されていると仮定する。本発明の１つの例示的な態様によれば、ＭＦＴＳは、ステップ２２０４に表示されるように、図２０の画面ビュー２００２に示されるテキストメッセージなどのテキストメッセージ（ＳＭＳ）２２０６を被支払人に送る。このメッセージ２２０６は、ステップ２２０８に示されるように、ある金額の支払いが未完であり、被支払人は選択された支払方法のリストから選択すべきであることを被支払人に通知する。次いで、被支払人は、ステップ２２１０で提供された３つの支払方法から選択するために自らのモバイル装置２２０２を使用することが好ましい。かかる選択は、返信テキストメッセージを返すことによって、または、被支払人のモバイル装置上に設置されている場合、モバイルウォレットアプリケーションを使用することによって行われ得る。いずれの場合も、選択された支払方法に関する情報を含むモバイル支払命令（ＭＰＩ）メッセージ２２１２（例えば、ＡＣＨ支払方法を選択するためのメッセージ２２１２Ａ、小切手を選択するためのメッセージ２２１２Ｂ、または価値保存カード支払方法を選択するためのメッセージ２２０６Ｃ）がＭＦＴＳ１８に戻される。
【０３６３】
ＡＣＨ支払方法：被支払人がＡＣＨ支払方法を選択した場合、ステップ２２１４に示されるように、被支払人のＡＣＨ口座情報および支払金額を含む支払方法選択メッセージ２２１２Ａが無線キャリアネットワークを介してＭＦＴＳ１８に転送される。対応する要求２２２０Ａは、次いで、ステップ２２２２に表示されるように、ユーザによって特定された口座から被支払人の特定された銀行口座に対する支払いのためにユーザ／支払人の金融機関３０Ａ（支払元）に送られる。ユーザ／支払人の金融機関３０Ａがユーザが支払いをカバーするために十分な資金を有することを確認すると、ステップ２２２６に表示されるように、支払人の金融機関はＡＣＨ手形を被支払人の金融機関２２６０の特定された口座に送る。
【０３６４】
小切手支払方法：被支払人が小切手支払方法を選択した場合、ステップ２２１６に示されるように、被支払人の郵送先住所情報および支払金額を含む支払方法選択メッセージ２２１２Ｂが無線キャリアネットワークを介してＭＦＴＳ１８に転送される。対応する要求２２２０Ｂは、次いで、ステップ２２２２に表示されるように、ユーザ／支払人の特定された口座で振り出された小切手の生成および被支払人に対するその小切手の郵送のためにユーザ／支払人の金融機関３０Ａに送られる。ユーザ／支払人の金融機関３０Ａがユーザが支払いをカバーするために十分な資金を有することを確認すると、支払人の金融機関は被支払人によるその受け取りがステップ２２２８で表示される小切手２２２４Ｂを被支払人に郵送する。
【０３６５】
価値保存支払方法：被支払人が価値保存カード支払方法を選択した場合、ステップ２２１８に示されるように、被支払人の価値保存カード口座情報および支払金額を含む支払方法選択メッセージ２２１２Ｃが、無線キャリアネットワークを介してＭＦＴＳ１８に転送される。対応する要求２２２０Ｃは、次いで、ステップ２２２２に表示されるように、ユーザ／支払人の特定された口座で振り出された、被支払人の識別された価値保存カード口座の貸方に記入するためにユーザ／支払人の金融機関３０Ａに送られる。ユーザ／支払人の金融機関３０Ａがユーザが支払いをカバーするために十分な資金を有することを確認すると、支払人の金融機関は（２２２４Ｃによって）指定された金額で被支払人によるその受け取りがステップ２２３０で表示される識別された価値保存カード口座の貸方に記入する。ロードされた価値保存カードの受け取りを表示するステップ２２３０は、例えば、アンロードされた価値保存カードが取得され得る場所を表示する情報を被支払人に提供することによって、かつ、支払金額を用いてカードを「ロード」することができるように、被支払人がアンロードされたカードを端末または類似物（representative）に提示することを可能にすることになる妥当性確認コードなどの情報も提供することによって、（ａ）被支払人に関連づけられた既存の価値保存カード口座の貸方への記入、または（ｂ）被支払人に対する新しくロードされた価値保存カードの発行の両方を反映する点を理解されたい。価値保存カードのロードおよび個人に対する価値保存カードの引渡しのかかる詳細は当業者に知られており、本発明の個別の部分を形成しない。
【０３６６】
被支払人が支払いの一部にＡＣＨを割り当て、支払いの残りの部分に小切手および／または価値保存カードを割り当てる柔軟性を持つことができるよう、支払に関して、これらの３つの方法は独立してまたは組み合わせて使用され得る点を理解されよう。
【０３６７】
電話番号別にペイエニワン
図２３は、本発明の例示的な態様による「電話番号別にペイエニワン」支払方法に関する一続きの支払人のモバイル装置画面ビュー２３００を示す。この特定の方法では、支払人／ユーザは被支払人を識別するためにモバイル装置電話番号を選択／入力する。詳細に例示されるのは、本発明の例示的な態様による「ＡＣＨ」支払方法である。支払人は、あるいは、小切手支払方法または価値保存カード支払方法を選択することが可能であり、説明される特定の支払方法は例示に過ぎない点を理解されよう。
【０３６８】
これまでに説明された実施形態および態様の場合のように、ユーザはまず画面２３０２においてモバイルウォレットアプリケーションを選択して、画面２３０４を介して認証情報（例えば、ログイン）を提供し、画面２３０６で支払いを実行するためのオプションが提示されている前にＭＦＴＳによって認証される。画面２３０６において、ユーザは「ペイエニワン」オプションを選択すると仮定する。この選択に応答して、ユーザには名前別またはモバイル電話番号別に被支払人を選択するために、画面ビュー２３０８に示されるようなオプションのショートメニューが提供される。本発明のこの例示的な態様によれば、数字「２」の入力または選択制御を活動化することによるオプション「モバイル電話別に支払う」の選択に応答して、ユーザには被支払人／ユーザのモバイル電話番号の入力のための画面２３１０が提示される。
【０３６９】
本発明のこの例示的な態様によれば、画面ビュー２３１０に示されるように、例示的な被支払人の電話番号４０４−５５５−２１２１が入力される。画面２３１０は、プロセスを続けるために、これまでの画面に戻るために、または取引を取り消すために予め説明されたように動作する、進むための制御と、戻るための制御と、取消すための制御とをさらに含む。被支払人の電話番号の入力後の進む制御のユーザ活動化に応答して、ユーザには支払金額を入力するための支払金額データ入力画面２３１２が提示される。ユーザは、次いで、支払金額を入力する。この例では、ユーザは＄１２３．４５を入力した。その他の例示的な画面におけるように、金額入力画面２３１２は、進む制御と、戻る制御と、取消し制御とを含む。進む制御のユーザの活動化に応答して、ユーザには、デフォルト支払元（例えば、Ｂａｎｋ  ｏｆ  ＵＳＡ）と、デフォルト支払元のデフォルト口座内の利用可能な残高とを表示して、選択されたデフォルトを確認するようにユーザにプロンプト表示する画面２３１４が提示される。これまでの例におけるように、ユーザはデフォルト口座およびデフォルト支払元を選択するために「選択」制御を活動化すること、または代替の支払元にナビゲートすることが可能である。
【０３７０】
画面２３１４を介した支払元の選択および／または確認の後に、ユーザには支払方法の選択を可能にする画面２３１６が提示される。ユーザはメニューをナビゲートするために「戻る」キーおよび「進む」キーを使用して、選択するために「選択」制御を使用する。この例では、「ＡＣＨ」支払方法が強調表示されて示され、したがって、選択される。画面２３１６における選択制御の活動化に応答して、ユーザには支払の確認、選択された支払方法、およびこの取引で使用される支払元の残りの残高／更新された残高を表示する画面２３１８が提示される。この時点で、ユーザは「ペイエニワン」アプリケーションを終了するために「完了」制御を活動化することが可能であり、または別の取引を開始するために「進む」制御を活動化することが可能である。
【０３７１】
図２４は、本発明の例示的な態様に従ってユーザがモバイル装置電話番号を選択／入力して、「ＡＣＨ」支払方法を使用する「ペイエニワン」オプションに関する、被支払人のモバイル装置を介した、被支払人の視野からの一続きのモバイル装置画面ビュー２４００を示す。その他の実施形態および態様におけるように、示された情報は一続きのテキストメッセージ（ＳＭＳ）によって、または、被支払人のモバイル装置上にロードされて、活動化された場合、モバイルウォレットアプリケーションによって生成された表示によって被支払人に提示されることが可能である。
【０３７２】
画面２４０２に示されるように、ＳＭＳテキストメッセージがＳＭＳジェネレータ１５１から受け取られるか、または類似の情報が被支払人のモバイル装置上で実行しているモバイルウォレットアプリケーションによって生成される。このメッセージに従って、被支払人は電話番号４０４−４０４−４０４０を有する誰かがＡＣＨ資金振替による引渡しのために＄１２３．４５の金額で支払いを送ったという通知を受ける。本発明の１つの例示的な態様によれば、被支払人へのメッセージはデフォルト支払受取方法（例えば、（銀行ルーティング番号によって識別される）所定の銀行への預入れ）および口座を含む。モバイルウォレットアプリケーションによって生成された場合、画面２４０２は「確認」制御、「口座変更」制御、および「取消し」制御を含むことが好ましい。「確認」制御を活動化することによって、被支払人／受領者はＭＦＴＳデータベースに保存された表示されたＡＣＨ銀行ルーティング番号および口座番号が支払いに関して正確であることを確認することが可能である。他方で、被支払人は「口座変更」制御を活動化することによって新規口座番号および新規銀行ルーティング番号を入力することによって別のＡＣＨ口座に変更する能力を有する。その他の例におけるように、被支払人が画面ビュー２４０２において「口座変更」制御を活動化した場合、被支払人が別のＡＣＨ銀行ルーティング番号および別の口座番号を入力することが可能にされる個別の画面（図示せず）が表示される。
【０３７３】
被支払人が画面２４０２において「確認」画面を活動化することによって支払引渡方法を確認した場合、識別されたＡＣＨ口座への預入れを確認するように被支払人にプロンプト表示する画面ビュー２４０４が示される。画面２４０４はまた「完了」制御と「口座変更」制御、および「取消し」制御も含むことが好ましい。「口座変更」制御は、他のところで説明されたように機能する。「完了」制御を活動化することは、被支払人向けのデフォルトＡＣＨ口座として現在選択された銀行口座を設定するようにユーザにプロンプト表示する画面２４０６を表示させる。被支払人が画面２４０６において「はい」制御を活動化した場合、この特定の被支払人に関するその他の情報に関連づけられた保存のために、デフォルトＡＣＨ口座情報がＭＦＴＳ１８に送り戻される。そうでない場合、デフォルトＡＣＨ口座は変更されない。
【０３７４】
「はい」制御の活動化によってまたは識別された口座をそのまま残すために「いいえ」制御の活動化によって、デフォルトＡＣＨ口座として銀行口座を確認するときに、現在選択された口座に対する支払いの預入れを確認するように被支払人／受領者にプロンプト表示する画面２４０８が表示される。「はい」制御および「いいえ」制御は、口座への預入れを確認または拒否するために提供される。応答が「はい」である場合、被支払人の応答は取引のさらなる処理のためにＭＦＴＳ１８に送られる。ＡＣＨ支払を実行することによって取引を処理することに応答して、本発明の１つの例示的な態様によれば、被支払人は受け取られた支払いが被支払人が予め特定されたＡＣＨ口座に預け入れられることになることを表示する確認メッセージすなわち確認表示２４１０を受け取る。この時点で、被支払人は、支払の受け取りを終了するために「完了」制御を活動化することが可能であり、または、適用可能である場合、別の取引を処理するために「進む」制御を活動化することが可能である。
【０３７５】
図２５は、支払人／ユーザのモバイル装置１５、被支払人のモバイル装置２５２１、ＭＦＴＳ１８、第三者支払プロバイダ２５６０、および被支払人の金融機関２５８０の間の相互作用を示す、本発明の例示的な態様によるＡＣＨ支払方法すなわちＡＣＨ支払プロセス２５００を用いた「ペイエニワン」のシーケンス線図である。これまでの態様におけるように、第三者支払プロバイダ２５６０は、この場合、資金を被支払人の金融機関２５８０に振り替えることによって、被支払人に対する支払いを達成する支払命令受領者である。
【０３７６】
他のところで説明されたこれまでの説明の場合のように、ステップ２５０２、２５０４は、メッセージ２５０６を介してＭＦＴＳ１８に対してユーザ／支払人を認証することと、ステップ２５０８においてＭＦＴＳ１８によって認証することと、認証確認メッセージ２５１０およびユーザの被支払人リストをユーザのモバイル装置１５に送ることとを伴う。認証に応答して、ユーザは２５０２においてモバイルウォレットアプリケーションを開始して、２５０４においてパスワードまたはＰＩＮを入力し、ＭＦＴＳはステップ２５０８においてログインを認証して、ユーザの現在の被支払人リスト（２５１０）をユーザのモバイル装置上のユーザのモバイルウォレットに送る。この動作はユーザがステップ２５１２でモバイルウォレットアプリケーションの使用を進めることを可能にする。ユーザは、次いで、ステップ２５１４において「ペイエニワン」を選択して、ステップ２５１６において被支払人を特定するために、ログインの間に受け取られた被支払人リストから被支払人名を選択するか、または電話番号を入力する。ユーザは、次いで、ステップ２５１８においてモバイル装置を用いて支払金額を入力して、ステップ２５２０においてＡＣＨ支払方法を選択する。
【０３７７】
前述のステップに応答して、モバイル支払命令（ＭＰＩ）メッセージ２５２２がモバイルウォレットアプリケーションによって生成されて、ＭＦＴＳ１８に伝達される。ＭＰＩ２５２２は、通常、支払金額と、支払方法（この場合、ＡＣＨ支払）と、被支払人の電話番号を含む被支払人情報とを含むことになる。ステップ２５２４で、ＭＦＴＳ１８は、支払命令を検査して、支払いに関してＡＣＨ方法を特定または確認するよう被支払人に要求するために被支払人のモバイル装置２５２１に対するメッセージ２５２６を生成する。このメッセージ２５２６は被支払人のモバイル装置に送られて、ステップ２５２８で受け取られる。本発明の例示的な態様によれば、被支払人は１つまたは複数のテキストメッセージを介してまたはモバイルウォレットアプリケーション（個別に図示せず）の適切なルーチンを活動化する通信によってメッセージ２５２６を受け取ることが可能である。ステップ２５２８で、被支払人は資金が預け入れられるべきである口座を選択する。被支払人が支払いを預け入れることを望む口座を表示する返信支払口座選択メッセージ２５３０（例えば、被支払人の装置上のモバイルウォレットからの返信テキストメッセージすなわち返信通信）が生成される。この返信支払口座選択メッセージ２５３０はＭＦＴＳ１８に送信し戻されて、ステップ２５３２で受け取られる。
【０３７８】
ステップ２５３２で、ＭＦＴＳ１８は支払口座選択メッセージ２５３０を受け取り、ＡＣＨ支払取引を生成する第三者支払プロバイダ（すなわち、支払命令受領者）の識別性を決定する。ＭＦＴＳ支払命令（ＭＦＴＳＰＩ）２５３４が生成されて、第三者支払プロバイダ２５６０に伝達される。このＭＦＴＳＰＩ２５３４はステップ２５３６で受け取られる。ステップ１５６２で、第三者支払プロバイダはＡＣＨ資金振替（２５３８）を生成して、これを知られているＡＣＨ資金振替方式で被支払人の金融機関２５８０に電子的に伝達する。被支払人の金融機関におけるこのＡＣＨ資金振替の受け取りは、ステップ２５４０に示される。この支払に関連するデータ記録が更新されることが可能であり、任意の適切な支払確認メッセージが被支払人のモバイル装置および／または支払人のモバイル装置に提供され得るように、支払確認メッセージ（図示せず）は被支払人の金融機関２５８０、または第三者支払プロバイダ２５６０のいずれかによって生成されて、ＭＦＴＳ１８に提供し戻されることが好ましい。
【０３７９】
名前別にペイエニワン（小切手）
図２６は、本発明の例示的な態様による「名前別にペイエニワン」支払方法に関する一続きの支払人のモバイル装置画面ビュー２６００を示す。この特定の方法において、支払人／ユーザは被支払人を識別するための名前を選択／入力する。詳細に例示されるのは、本発明の例示的な態様による「小切手」支払方法である。支払人は、あるいは、（上で説明されたような）ＡＣＨ支払方法または価値保存カード支払方法を選択することが可能であり、説明された特定の支払方法は例示に過ぎない点を理解されよう。
【０３８０】
予め説明された実施形態および態様の場合のように、ユーザはまず画面２６０２においてモバイルウォレットアプリケーションを選択して、画面２６０４を介して認証情報（例えば、ログイン）を提供し、画面２６０６において支払を実行するためのオプションが提示されている前にＭＦＴＳによって認証される。画面２６０６において、ユーザは「ペイエニワン」オプションを選択すると仮定する。この選択に応答して、ユーザには画面ビュー２６０８に示されるように、名前別にまたはモバイル電話番号別に被支払人を選択するためのオプションのショートメニューが提供される。本発明のこの例示的な態様によれば、数字「１」の入力または選択制御を活動化することのいずれかよるオプション「名前別に支払う」の選択に応答して、ユーザには選択可能な事前に入力された被支払人のリストを備える画面２６１０が提示される。
【０３８１】
本発明のこの例示的な態様によれば、画面２６１０において例示的な被支払人名「Ｊｏｈｎ  Ｄｏｅ」が強調表示されて示され、したがって、選択される。画面２６１０は、特定の名前を選択するためにまたは事前に入力された名前のリストをナビゲートするために動作する選択、上、および下に関する制御をさらに含む。特定の被支払人の名前の後で、選択制御のユーザの活動化に応答して、ユーザには支払金額の入力のための支払金額データ入力画面２６１２が提示される。ユーザは、次いで、支払金額を入力する。この例では、ユーザは＄１２３．４５を入力した。その他の例示的な画面におけるように、金額入力画面２６１２は、進む制御と、戻る制御と、取消し制御とを含む。進む制御のユーザの活動化に応答して、ユーザにはデフォルト支払元（例えば、Ｂａｎｋ  ｏｆ  ＵＳＡ）と、デフォルト支払元のデフォルト口座内の利用可能な残高とを表示し、選択されたデフォルトを確認するようにユーザにプロンプト表示する画面２６１４が提示される。これまでの例におけるように、ユーザはデフォルト口座およびデフォルト支払元を選択するために「選択」制御を活動化すること、または代替の支払元にナビゲートすることが可能である。
【０３８２】
画面２６１４を介した支払元の選択および／または確認の後に、ユーザには支払方法の選択を可能にする画面２６１６が提示される。ユーザはメニューをナビゲートするために「戻る」キーおよび「進む」キーを使用して、選択するために「選択」制御または数字キーを使用する。この例では、「小切手」支払方法が強調表示されて示され、したがって、選択される。画面２６１６における選択制御の活動化に応答して、ユーザには支払いおよび選択された支払方法の確認を要求する画面２６１８（例えば、「Ｍｒ．Ｊｏｈｎ  Ｄｏｅのデフォルト住所に小切手を送りますか？」）が提示される。この時点で、ユーザは「はい」制御、「いいえ」制御、または「取消し」制御を選択することができる。画面２６１８における「はい」制御の選択に応答して、ユーザには取引の確認を要求して、被支払人の名前および郵送先住所を含めて、取引に関する情報を含む画面２６２０が提示される。画面２６１８は、支払いを確認するため、または被支払人の住所を変更するために動作する「支払」制御と、「住所変更」制御と、「進む」制御とを含む。
【０３８３】
支払制御の選択に応答して、支払いの確認を表示する画面２６２２が表示される。画面２６２２は、ＭＦＴＳ１８記録において反映されるように口座残高からの支払金額の差引きを反映する更新された口座残高情報と共に、表示された金額＄１２３．４５の支払いが小切手によってＪｏｈｎ  Ｄｏｅに実行されることになるという確認情報を表示する。この時点で、ユーザは「ペイエニワン」アプリケーションを終了するために「完了」制御を活動化すること、またはもう１つの取引を開始するために「進む」制御を活動化することが可能である。
【０３８４】
図２７は、ユーザが本発明の例示的な態様に従って被支払人の名前を選択／入力して、小切手支払方法を使用する「ペイエニワン」支払方法に関して、被支払人のモバイル装置を介した、被支払人の視野からの一続きのモバイル装置画面ビュー２７００を示す。その他の実施形態および態様における、示された情報は一続きのテキストメッセージ（ＳＭＳ）によって、または、被支払人のモバイル装置上にロードされて、活動化された場合、モバイルウォレットアプリケーションによって生成された表示によって被支払人に提示されることが可能である。
【０３８５】
画面２７０２に示されるように、ＳＭＳテキストメッセージがＳＭＳジェネレータ１５１から受け取られるか、または類似の情報が被支払人のモバイル装置上で実行しているモバイルウォレットアプリケーションによって生成される。このメッセージに従って、被支払人は、電話番号４０４−４０４−４０４０を有する誰かが表示された住所に郵送された小切手により＄１２３．４５の金額で支払いを送ったという通知を受ける。本発明の１つの例示的な態様によれば、被支払人へのメッセージは小切手の郵送のためのデフォルト支払住所を含む。モバイルウォレットアプリケーションによって生成された場合、画面２７０２は、「確認」制御と、「住所変更」制御と、「取消し」制御とを含むことが好ましい。「確認」制御を活動化することによって、被支払人／受領者はＭＦＴＳデータベースに保存された表示された名前および住所は小切手の郵送に関して正確であることを確認することが可能である。他方で、被支払人は「住所変更」制御を活動化することによって郵送先住所を変更する能力を有する。その他の例におけるように、被支払人が画面ビュー２７０２で「住所変更」制御を活動化した場合、被支払人が代替の住所を入力することが可能にされる個別の画面（図示せず）が表示される。
【０３８６】
被支払人が画面２７０２において「確認」制御を活動化することによって支払引渡方法を確認した場合、郵送先住所を確認するように被支払人にプロンプト表示する画面ビュー２７０４が示される。画面２７０４は、「完了」制御、「住所変更」制御、および「取消し」制御も含むことが好ましい。「住所変更」制御は他のところで説明されたように機能する。「完了」制御を活動化することは、被支払人向けのデフォルト郵送先住所として現在表示された住所を設定するようにユーザにプロンプト表示する画面２７０６を表示させる。被支払人が画面２７０６において「はい」制御を活動化した場合、デフォルト住所情報はこの特定の被支払人に関するその他の情報に関連づけられた保存のためにＭＦＴＳ１８に送り戻される。そうでない場合、デフォルト住所は変更されない。
【０３８７】
画面２７０６における「はい」制御の活動化によってまたは識別された住所をそのまま残すために「いいえ」制御の活動化によって郵送先住所を確認するときに、現在表示された住所に対する小切手の郵送を確認するように被支払人／受領者にプロンプト表示する画面２７０８が表示される。「はい」制御および「いいえ」制御は表示された住所への郵送を確認または拒否するために提供される。応答が「はい」である場合、被支払人の応答は取引のさらなる処理のためにＭＦＴＳ１８に送られる。小切手の郵送に備えた取引の処理に応答して、本発明の１つの例示的な態様によれば、支払人は被支払人が予め特定した住所に小切手支払が郵送されることになる旨を表示する確認メッセージすなわち確認表示２７１０を受け取る。この時点で、被支払人はこの機能を終了するために「完了」制御を活動化することが可能であり、または、適用可能な場合、もう１つの取引を処理するために「進む」制御プロセスを活動化することが可能である。
【０３８８】
図２８は、被支払人のモバイル装置２８０１、ＭＦＴＳ１８、第三者住所プロバイダ２８４０、第三者支払プロバイダ２８６０、および被支払人２８８０の間の相互作用を示す、本発明の例示的な態様による、小切手支払方法すなわち小切手支払プロセス２８００による「ペイエニワン」のシーケンス線図である。本発明の例示的な態様によれば、被支払人の郵送先住所は（１）ＭＦＴＳデータベースに保存された被支払人に関連づけられたデフォルト住所情報を取り出すことによって、（２）ユーザ（支払人）によって入力されることによって、（３）被支払人によって入力されることによって、または（４）第三者住所プロバイダを介して突き止められる。ユーザが小切手支払を要求した時点で住所情報が利用可能でない場合、ＭＦＴＳは住所探索を実行するように第三者住所プロバイダに要求を送る。
【０３８９】
他のところで説明されたこれまでの方法の場合のように、この方法２８００は、ＭＦＴＴＳ１８に対するユーザ／被支払人を認証するためのステップ（図示せず）と、ＭＦＴＳ１８によって認証するためのステップ（図示せず）と、ユーザのモバイル装置１５に認証確認メッセージおよびユーザの被支払人リストを送信するためのステップ（図示せず）とを伴う。認証に応答して、ユーザはモバイルウォレットアプリケーションを開始して、パスワードまたはＰＩＮを入力し、ＭＦＴＳはログインを認証して、ユーザの現在の被支払人リストをユーザのモバイル装置のユーザのモバイルウォレットに送る。この動作は、ユーザがモバイルウォレットアプリケーションの使用を進めることを可能にする。ユーザは、次いで、「ペイエニワン」を選択して、ログインの間に受け取られた被支払人リストから被支払人名を選択するか、または被支払人名を入力する。ユーザは、次いで、モバイル装置を用いて支払金額を入力して、小切手支払方法を選択する。類似の方法は他のところで詳細に説明されており、ここで繰り返される必要はない。
【０３９０】
前述のステップに応答して、モバイル支払命令（ＭＰＩ）メッセージ（図示せず）がユーザのモバイルウォレットアプリケーションによって生成されて、ＭＦＴＳ１８に伝達される。ＭＰＩは、通常、支払金額と、支払方法（この場合、小切手支払）と、被支払人情報とを含む。ＭＰＩはＭＦＴＳ１８で受け取られて、本発明のこの態様に従って小切手支払方法を開始するために処理される。
【０３９１】
ステップ２８０４から開始して、ＭＦＴＳ１８は支払命令を検査して、被支払人の住所を取得するために第三者住所プロバイダに対するメッセージ２８０６を生成する。本発明の１つの例示的な態様によれば、被支払人の住所情報は、モバイル電話番号別に、名前別に、またはその他の情報別に索引づけされたユーザデータベース１５８（図２）内の表に保存される。あるいは、メッセージ２８０６は、電話番号の提供に応答して住所情報を提供する独立した住所プロバイダ２８４０に伝達される。
【０３９２】
ステップ２８１０で、要求された住所情報がメッセージ２８１０を介して第三者住所プロバイダ２８４０から提供される。メッセージ２８１０は、ステップ２８１２でＭＦＴＳ１８によって受け取られて、被支払人のモバイル装置２８０２に伝達される被支払人の住所情報を含むメッセージ２８１４に体系化される（formulated）。図２７における画面２７０２に示されるような表示が２８０２によって表示されるように、被支払人に対して生成される。被支払人はこの情報を有するＳＭＳメッセージを受け取ることが可能であり、または被支払人のモバイル装置上で実行しているモバイルウォレットアプリケーションはこの情報を被支払人に提供することが可能である点を理解されよう。
【０３９３】
ステップ２８１８で、被支払人は、図２７に示されたような画面を介して、提示された住所を確認する。確認メッセージ２８２０が生成されて、ＭＦＴＳ１８に戻される。ステップ２８２２で、ＭＦＴＳはＭＦＴＳ支払命令（ＭＦＴＳＰＩ）メッセージ２８２４を体系化して、このメッセージを第三者支払プロバイダ２８６０に伝達する。第三者支払プロバイダはステップ２８２６でこのメッセージを受け取り、支払人に対してメッセージ内に表示された住所に郵送される小切手を生成するためにＭＦＴＳＰＩメッセージ２８２８を処理する。ステップ２８３０で、被支払人２８８０は郵送によって小切手支払を受け取る。
【０３９４】
ペイエニワン：価値保存カード
図２９は、本発明の例示的な態様による「電話番号別にペイエニワン」支払方法に関する一続きの支払人のモバイル装置画面ビュー２９００を示す。この特定の方法では、支払人／ユーザは、被支払人を識別するためにモバイル装置電話番号を選択／入力するが、被支払人を識別するためのその他の方法が企図される点を理解されよう。詳細に例示されるのは、本発明の例示的な態様による価値保存（ＳＶ）カードの使用を伴う支払方法である。支払人は、あるいは、ＡＣＨ支払方法または小切手支払方法を選択することが可能であり、説明される特定の支払方法は価値保存カードを使用した例示的な支払いに過ぎない点を理解されよう。
【０３９５】
当業者は、価値保存（ＳＶ）カードによる支払いは本発明の一部を形成しないが、習慣的にかつ広く使用される支払取引インフラストラクチャを必要とすることを理解および認識されよう。詳細には、支払命令は本明細書で説明されるように構築されたシステムによって新規価値保存カードを発行するためまたは既存の価値保存カードに金額を追加するための施設を有する支払命令受領者に提供される。（個別にまたはＳＶカードを処理する別のエンティティと共に）金融サービスプロバイダすなわち支払請求アグリゲータ、価値保存カード発行会社、または価値保存カードを処理する小売店を含めて、価値保存カードの発行に関して様々なエンティティが支払命令受領者の機能を果たし得る点を理解されよう。
【０３９６】
一般に、価値保存カードに対する支払いを実行することは、通常、被支払人がＳＶカードのベンダーから「白紙の」もしくは「アンロードされた」磁気ストリップもしくは電子スマートカードを獲得することと、その後に、カード上の磁気ストリップまたはその他の電子データ記憶媒体から情報を読み取ることが可能な端末を有するＳＶカードのベンダーにカードを提示することによって金額を用いてカードを「ロードすること」（すなわち、引き出され得る支払信用）とを伴う。次いで、ベンダーは、信用金額またはカード上で使用するために利用可能な支払いを表示する情報をバックオフィスシステムに提供して、カードをカード所有者に返すことによってカードをロードする。カードはカードを読み取り、カードベンダーの電子支払システムにアクセスすることによってカードに「ロードされる」利用可能な資金を決定することができるエンティティに提示されなければならない点を除いて、カード所有者は、次いで、その他の支払カード（デビットカード、クレジットカード）と同じ方式でカードを使用することが可能である。本発明の１つの例示的な態様によれば、資金は、本明細書で示されかつ説明されるように、モバイル装置から通常の価値保存カード上にロードされること（被支払人に発行された新規価値保存カード、または既存の価値保存カードにロードすることもしくは再ロードすること）が可能である。
【０３９７】
予め説明された実施形態および態様におけるように、ユーザはまず画面２９０２においてモバイルウォレットアプリケーションを選択して、画面２９０４を介して認証情報（例えば、ログイン）を提供し、画面２９０６で支払いを実行するためのオプションが提示されている前にＭＦＴＳによって認証される。画面２９０６において、ユーザは「ペイエニワン」オプションを選択すると仮定する。この選択に応答して、ユーザには、名前別にまたはモバイル電話番号別に被支払人を選択するために、画面ビュー２９０８に示されたようなオプションのショートメニューが提示される。本発明のこの例示的な態様によれば、数字「２」を入力することまたは選択制御を活動化することのいずれかによるオプション「モバイル電話別に支払う」の選択に応答して、ユーザには被支払人／受領者のモバイル電話番号の入力のための画面２９１０が提示される。
【０３９８】
本発明のこの例示的な態様によれば、画面ビュー２９１０に示されるように、例示的な被支払人の電話番号４０４−５５５−２１２１が入力される。画面２９１０は、プロセスを続けるために、これまでの画面に戻るために、または取引を取り消すために予め説明されたように動作する、進むための制御と、戻るための制御と、取消すための制御とをさらに含む。被支払人の電話番号の入力後に進む制御のユーザの活動化に応答して、ユーザには支払金額の入力のための支払金額データ入力画面２９１２が提示される。ユーザは、次いで、支払金額を入力する。この例では、ユーザは＄１２３．４５を入力した。その他の例示的な画面におけるように、金額入力画面２９１２は、進む制御と、戻る制御と、取消す制御とを含む。進む制御のユーザの活動化に応答して、ユーザにはデフォルト支払元（例えば、Ｂａｎｋ  ｏｆ  ＵＳＡ）と、デフォルト支払元のデフォルト口座内で利用可能な残高とを表示して、選択されたデフォルトを確認するようにユーザにプロンプト表示する画面２９１４が提示される。これまでの例におけるように、ユーザはデフォルト口座およびデフォルト支払元を選択するために「選択」制御を活動化することが可能であり、または代替の支払元にナビゲートすることが可能である。
【０３９９】
画面２９１４を介した支払元の選択および／または確認の後で、ユーザには支払方法の選択を可能にする画面２９１６が提示される。ユーザは、メニューをナビゲートするために「戻る」キーおよび「進む」キーを使用して、選択するために「選択」を使用する。この例では、価値保存カード支払方法が強調表示されて示され、したがって、選択される。画面２９１６における選択制御の活動化に応答して、ユーザには支払いおよび選択された支払方法の確認を表示する画面２９１８が提示される。本発明の態様によれば、例示的な画面２９１８は、（事前に保存された）被支払人の既存のカードに関する価値保存カード番号を表示して、支払い、新規カード、および取消しのためのボタンを提供する。支払ボタンの選択は、結果として、既存の価値保存カードによる支払いを実行させ、一方、新規カードボタンの選択は、結果として、新規価値保存カードを発行させる。支払いをこのように可能にするために、被支払人の既存のカードの価値保存カード番号はユーザ／支払人のモバイル装置またはその他の場所に事前に保存される点を当然理解されよう。「支払」ボタンの選択は、次いで、既存のカード番号を使用して、価値保存カードに＄１２３．４５の支払いが実行されたことを表示する画面２９２２を表示させる。
【０４００】
本発明の１つの例示的な態様によれば、新規カードボタンのユーザによる選択の場合、新規のかつ「ロードされた」価値保存カードが取得され得る場所を表示する表示画面２９２０が提供される。例えば、画面２９２０は「１２３  Ｍａｉｎ  Ｓｔ．のＣＶＳストアであなたの新規価値保存カードを受け取ってください」と取引ＩＤとを示す。この画面の後、その他の実施形態におけるように、画面２９２２が表示されて、表示された金額（この例では、＄１２３．４５）の支払いが識別されたモバイル番号に対して表示された価値保存カード口座に支払われたことを支払人に通知する確認画面を提供する。加えて、利用された支払元の口座残高が更新されて、利用可能な資金の減少を反映するために表示されることが好ましい。
【０４０１】
図３０は、本発明の例示的な態様に従って、ユーザがモバイル装置電話番号を選択／入力して、価値保存カード支払方法を使用する「ペイエニワン」オプションに関する、被支払人のモバイル装置を介した、被支払人の視野からの一続きのモバイル装置画面ビュー３０００を示す。その他の実施形態および態様におけるように、示された情報は、一続きのテキストメッセージ（ＳＭＳ）によって、または被支払人のモバイル装置上にロードされて活動化された場合、モバイルウォレットアプリケーションによって生成された表示によって支払人に提示され得る。
【０４０２】
画面３００２に示されるように、ＳＭＳテキストメッセージがＳＭＳジェネレータ１５１から受け取られるか、または類似の情報が被支払人のモバイル装置上で実行しているモバイルウォレットアプリケーションによって生成される。このメッセージに従って、被支払人は電話番号４０４−４０４−４０４０を有する誰かが価値保存カードを介した引渡しのために＄１２３．４５の金額で支払いを送ったという通知を受ける。本発明の１つの例示的な態様によれば、被支払人に対するメッセージはデフォルト支払受取方法（例えば、所定の価値保存カード口座への預入れ）を含む。モバイルウォレットアプリケーションによって生成された場合、画面３００２は、「確認」制御と、「カード変更」制御と、「取消し」制御とを含むことが好ましい。「確認」制御を活動化することによって、被支払人／受領者はＭＦＴＳデータベースに保存された表示された価値保存カード口座番号は支払いに関して正確であることを確認することが可能である。他方で、被支払人は「カード変更」制御を活動化した後で、新規口座番号を入力することによって別の価値保存カード口座に変更するための能力を有する。
【０４０３】
被支払人が画面ビュー３００２において「カード変更」制御を活動化した場合、ユーザ／被支払人が新規カードを受け取ることを望むかどうかをユーザ／被支払人に尋ねる個別の画面３００４が示される。この画面上で利用可能な制御は「はい」、「いいえ」、および「完了」である。
【０４０４】
ユーザが「はい」を選択した場合、ユーザはカードを受け取るための郵便番号を入力して確認するように画面ビュー３００６上でプロンプト表示されることになる。この画面ビュー上で利用可能な制御は「確認」、「戻る」、および「完了」である。
【０４０５】
有効な郵便番号を入力して、「確認」制御を選択するとき、ユーザには新規カードを受け取るための店舗の場所が画面ビュー３００８上で提示されることになる。この画面上で利用可能な制御は「確認」、「戻る」、および「取消し」である。
【０４０６】
支払いを実行することによって取引を処理することに応答して、本発明の１つの例示的な態様によれば、被支払人は、受け取られた支払いは、ユーザ／被支払人による取り出しのときに、新しく発行された価値保存カード口座内に預け入れられることになる旨を表示する確認メッセージすなわち確認表示３０１０を受け取る。この時点で、被支払人は支払いの受け取りを終了するために「完了」制御を活動化することが可能であり、または、適用可能な場合、もう１つの取引に進むために「進む」制御を活動化することが可能である。
【０４０７】
図３１は、本発明の例示的な態様による価値保存カードの使用を伴う「ペイエニワン」支払方法３１００に関するシーケンス線図を示す。このシーケンス線図は、以下の当事者間の相互作用を示す。すなわち、被支払人のモバイル装置３１０２、ＭＦＴＳ１８、第三者価値保存カードプロバイダ３１４０、および被支払人３１６０である。一般に、この例では、ユーザ／支払人は、ステップ３１０４に示されるように、価値保存支払方法を選択して、ＭＦＴＳＰＩ３１０６を介してこの決定をＭＦＴＳ１８に伝達する。ＭＦＴＳは、ステップ３１０８に示されるように、取引および取引ＩＤを作成するための要求を第三者価値保存カードプロバイダに送る。支払金額はユーザ（支払人）の支払元から引き出されて、第三者価値保存カードプロバイダは、ステップ３１１２において、メッセージ３１１０を用いて被支払人の代わりに価値保存カード口座を構成する。被支払人は、ステップ３１１６に示されるように、ＳＭＳメッセージ内で取引ＩＤを受け取り、価値保存カードの受け取り場所について通知を受ける。被支払人は、次いで、ステップ３１１８に示されるように、価値保存カードのベンダーに関連する小売店の場所から価値保存カードを獲得して、カードを「ロード」させることができる。ステップ３１２２で、メッセージ３１２０は、取引ＩＤ、カード番号、および電話番号などを提供するために第三者価値保存カードプロバイダに送信される。
【０４０８】
ステップ３１０４から開始して、まずユーザ／支払人は他のところで説明されたように価値保存カード支払方法をすでに選択し、支払金額および選択された支払方法を表示するモバイル支払命令（ＭＰＩ）をＭＦＴＳ１８に提供したと仮定する。ＭＦＴＳ１８はこのＭＰＩを受け取り、第三者事前払（価値保存）カードプロバイダすなわち第三者事前払（価値保存）カードベンダー３１４０によって要求される情報を含めて対応するＭＦＴＳ支払命令（ＭＦＴＳＰＩ）メッセージ３１０６を生成し、要求される場合、ユーザ／支払人の選択された支払元上で引き出させることによって当該カードプロバイダに対する資金振替を実施する。ＭＦＴＳＰＩ３１０６は、第三者価値保存カードプロバイダ３１４０に伝達されて、ステップ３１０８で受け取られる。本発明の１つの例示的な態様によれば、ＭＦＴＳＰＩは、被支払先がアンロードされたＳＶカードを取得することが可能な（または既存のＳＶカードを再ロードすることが可能な）１つもしくは複数の小売店の場所を突き止めることを円滑にするために、被支払人または支払人によって提供された郵便番号を含むことになる。ステップ３１０８で、第三者価値保存カードプロバイダ３１４０は取引識別子（ＩＤ）を生成して、被支払人が価値保存カードを受け取るかつ／またはロードするための１つもしくは複数の近くの小売店の場所を突き止めるために郵便番号探索を実施する。本発明の１つの例示的な態様によれば、取引ＩＤは、被支払人が支払いを用いてカードがロードされることが可能であることを要求する場合、認証目的で使用されるようにカードプロバイダによって維持される。
【０４０９】
さらにステップ３１０８で、第三者カードプロバイダ３１４０は、価値保存カード口座が構成されて使用する状態であることをシステムに通知するためにメッセージ３１１０をＭＦＴＳ１８に対して生成し戻す。本発明の１つの例示的な態様によれば、このメッセージ３１１０は、被支払人がアンロードされた価値保存カードが取得され、次いで、ロードされ得る場所と、取引ＩＤとを識別することを可能にする情報を含む。ステップ３１１２で、ＭＦＴＳ１８はメッセージ３１１０を受け取り、支払いが実行されたことと、カードベンダーに関連づけられたいくつかの小売店の場所でカードが取得および／またはロードされ得る場所と、被支払人に対するカードの認証のために要求される取引ＩＤとを通知するメッセージ３１１４を被支払人のモバイル装置３１０２に対して生成する。これに関する例示的な画面は図３０に示される。
【０４１０】
ステップ３１１６で、被支払人のモバイル装置３１０２はメッセージ３１１４を受け取り、（ＳＭＳテキストメッセージを介してまたは、設置されている場合、モバイルウォレットアプリケーションを介して）価値保存カード支払方法による支払いが待機していることを被支払人に通知する情報、および価値保存カードを取得および／またはロードするための可能な受け取り場所に関する情報を表示する。ステップ３１１８で、かつ本発明の１つの例示的な態様によれば、被支払人はメッセージ内で識別された場所に物理的に行き、通常、まだロードされていない価値保存カードを取得する。さらにステップ３１１８で、価値保存カードを有する被支払人は、使用のためにカードをロードできるように第三者カードプロバイダ３１４０に関連づけられた小売店の場所または端末にカードを提示する。
【０４１１】
ステップ３１２２で、第三者カードプロバイダ３１４０には支払いを用いてカードを活動化および／またはロードするための要求と共に、被支払人によって価値保存カードが提示される。第三者カードプロバイダは、通常、この時点で、価値保存カードを活動化および／またはロードするための認証情報を要求する。この場合、認証情報は以下の情報項目のうちの１つまたは複数を備える。すなわち、取引ＩＤ番号、カード番号、モバイル電話番号、およびオプションで、名前、住所など、その他の情報である。
【０４１２】
被支払人が要求される情報を第三者カードプロバイダ３１４０に提示した後で、ステップ３１２４で、カードプロバイダはユーザ／支払人から取得された、先に提供された資金を用いてカードをロードすることができる。ステップ３１２８で、この時点で支払いを用いてロードされた価値保存カードは、次いで、支払形式として特定のタイプの価値保存カードを受け入れる場所でカードを使用することが可能な被支払人３１６０に対して取引３１２６を介して戻される。
【０４１３】
本発明の例示的な態様によれば、被支払人がすでに価値保存カードを有する場合、被支払人は既存の価値保存カードを用いた支払いを請求するために第三者価値保存カードプロバイダ３１４０に連絡して、３１２２からのステップに従うことが可能である。
【０４１４】
価値保存カード支払方法の使用を伴う前述の支払方法は、支払いを受け取るために取引ＩＤ番号と価値保存カードのタイプだけが被支払人に提供されればよいため、ＭＦＴＳ１８の加入者／ユーザ、ならびに非加入者に対する支払いを実行するために有用である点を理解されよう。詳しく説明されない、本発明の例示的な態様によれば、価値保存カードに対応する情報は、ＳＭＳメッセージを受け取ることもしくはモバイルウォレットアプリケーションを実行することが可能なモバイル装置を有さない、またはモバイル装置をまったく有さない被支払人に対する（メモまたは文書による）対策として、第一に支払人に対して表示され得る。初期の価値保存カード口座が特定の被支払人の代わりに作成されると、上で説明されたように被支払人の名前がＭＦＴＳ１８に保存されることになるため、ユーザ／支払人はその被支払人に関連づけられた価値保存カード口座に追加の資金をロードすることができ、したがって、選択された被支払人に対して追加の資金を提供するために迅速かつ容易に再使用され得る。
【０４１５】
残高振替
図３２は、本発明の例示的な態様による、「残高振替」金融取引オプションに対応する一続きのモバイル装置画面表示３２００を示す。残高振替は、同じユーザの異なる口座間の資金の振替を伴う金融取引である。残高振替はＭＦＴＳのユーザが自らの金銭口座に関する情報を取得および監視するために自らのモバイル装置を使用して、資金を１つの口座から別の口座に移すことを可能にする。
【０４１６】  予め説明された実施形態および態様におけるように、ユーザはまず画面３２０２においてモバイルウォレットアプリケーションを選択して、画面３２０４を介して認証情報（例えば、ログイン）を提供し、画面３２０６で支払いを実行するためのオプション（すなわち残高振込み）が提示されている前にＭＦＴＳによって認証される。画面３２０６において、ユーザは「残高振替」オプションを選択すると仮定する。この選択に応答して、ユーザには複数の選択可能な口座のうちの１つから資金振替の選択を可能にする残高振替画面３２０８が提供される。例として画面３２０８に示されるように、ユーザは残高振替のために使用可能な資金元として（公序良俗違反につき、不掲載）口座、（公序良俗違反につき、不掲載）口座、（公序良俗違反につき、不掲載）口座、ＧａＳＬ口座、またはＢａｎｋ  ｏｆ  ＵＳＡ口座から資金を振り替えることを選択することが可能である。かかる口座に関連づけられた対応する残高も本発明のこの態様に従って表示されることが好ましい。画面３２０８は、その他の機能における制御に類似した、ナビゲーションおよび選択のための「選択」制御と、「戻る」制御と、「進む」制御とを含むことがさらに好ましい。画面３２０８は、Ｂａｎｋ  ｏｆ  ＵＳＡ口座を強調表示して示し、したがって、Ｂａｎｋ  ｏｆ  ＵＳＡ口座が選択された。
【０４１７】
利用可能な口座のリスト内の選択を用いた、画面３２０８における「選択」制御のユーザ活動化に応答して、選択された口座（例えば、Ｂａｎｋ  ｏｆ  ＵＳＡ）に関する例示的な画面が画面３２１０として表示される。画面３２１０は、特定の支払元（すなわち、Ｂａｎｋ  ｏｆ  ＵＳＡ）に関連づけられたいくつかの異なる口座、貯蓄残高、小切手残高、およびその他（例えば、金融市場口座）を表示する。画面３２１０は、その他の機能における制御に類似した、ナビゲーションおよび選択のための「選択」制御と、「戻る」制御と、「進む」制御とを含むことがさらに好ましい。画面３２１０は、小切手残高を強調表示して示し、したがって、小切手残高が選択された。
【０４１８】
利用可能な口座のリスト内の選択（すなわち、示された例では小切手残高）を用いた、画面３２１０における「選択」制御の活動化に応答して、画面３２１２が表示される。画面３２１２は、振替元ではなく振替先に関して表示される点を除いて、画面３２０８の利用可能な口座／支払元のリストに類似した利用可能な口座／支払元のリストを提示する。画面３２１２は、その他の機能における制御に類似した、ナビゲーションおよび選択のための「選択」制御と、「戻る」制御と、「進む」制御とを含むことがさらに好ましい。画面３２１２は、ＧａＳＬ口座を強調表示して示し、したがって、ＧａＳＬ口座が選択された。
【０４１９】
利用可能な口座のリスト内の選択を用いた、画面３２１２における「選択」制御のユーザ活動化に応答して、選択された口座（例えば、ＧａＳＬ）に関する例示的な画面が画面３２１４として表示される。画面３２１４は、特定の口座に関連づけられたいくつかの異なる口座、残高振替先（すなわち、ＧａＳＬ）、貯蓄残高、小切手残高、およびその他（例えば、金融市場口座）を表示する。画面３２１４は、その他の機能における制御に類似した、ナビゲーションおよび選択のための「選択」制御と、「戻る」制御と、「進む」制御とを含むことがさらに好ましい。画面３２１４は、小切手残高を強調表示して示し、したがって、小切手残高が選択された。
【０４２０】
利用可能な口座のリスト内の選択（例えば、ＧａＳＬの小切手口座）を用いた、画面３２１４における「選択」制御のユーザ活動化に応答して、残高振替確認画面３２１６が表示される。本発明の１つの例示的な態様によれば、残高振替確認画面３２１６は資金振替金額のユーザ入力のためのデータ入力領域を提供する（例えば、＄２０００が示される）。画面３２１６は、その他の機能における制御に類似した、ナビゲーションおよび選択のための「振替」制御と、「戻る」制御と、「進む」制御とを含むことがさらに好ましい。振替制御のユーザ活動化に応答して、残高振替が達成されていることを表示する情報を含む残高振替確認画面３２１８が表示される。示された例では、＄２０００の残高振替がＢａｎｋ  ｏｆ  ＵＳＡ小切手口座からＧａＳＬ小切手口座に振り替えられる。また、画面３２１８は、残高振替を反映するために更新された、その残高振替に関連する口座のそれぞれの現在の残高の表示を含むことも好ましい。
【０４２１】
図３３は、支払人／ユーザのモバイル装置１５、ＭＦＴＳ１８、ユーザに関連づけられた第１の金融機関３０Ａ、およびユーザに関連づけられた第２の金融機関３０Ｂの間の相互作用を示す、本発明の例示的な態様による残高振替支払方法すなわち残高振替支払プロセス３３００のシーケンス線図である。残高振替はこれらの２つの金融機関３０Ａおよび３０Ｂの間で実施される。
【０４２２】
他のところで説明されたこれまでの方法におけるように、残高振替方法における初期のステップ３３０２、３３０４、３３０７、および３３０９は、ユーザ／被支払人から認証メッセージ３３０６を受け取ることと、ＭＦＴＳ１８によって認証することと、認証確認メッセージ３３０８をユーザのモバイル装置１５に送ることとを伴う。認証に応答して、ユーザはステップ３３０２でモバイルウォレットアプリケーションを開始して、３３０４においてパスワードまたはＰＩＮを入力し、ＭＦＴＳはステップ３３０７においてログインを認証して、ユーザのモバイル装置のユーザのモバイルウォレットを活動化する。この動作はユーザがステップ３３０９でモバイルウォレットアプリケーションの使用を進めることを可能にする。ユーザは、次いで、ステップ３３１０において残高振替オプションを選択する。ステップ３３１２で、モバイル装置はモバイル支払命令（ＭＰＩ）メッセージ３３１４を体系化して、このメッセージをＭＦＴＳ１８に送信する。本発明の１つの例示的な態様によれば、ＭＦＴＳが選択されて識別された金融機関に対する適切なＭＦＴＳ支払命令を構築することができるように、ＭＰＩメッセージ３３２０は、支払元口座、宛先口座および残高振替金額を識別する情報を含む。
【０４２３】
ステップ３３１６で、ＭＦＴＳ１８はＭＰＩメッセージ３３１４を受け取り、第１の金融機関すなわち支払元金融機関３０Ａに対する通信のために適切なＭＦＴＳ支払命令（ＭＦＴＳＰＩ）メッセージ３３１８を構築する。ステップ３３２０で、第１のすなわち支払元金融機関３０ＡはＭＦＴＳＰＩメッセージ３３１８を受け取り、表示された資金金額のために選択された口座の借方に記入する。第１の金融機関すなわち支払元金融機関３０Ａは、次いで、ステップ３３２０に表示されるように、メッセージ３３２２を介してこれらの資金を選択された第２の金融機関３０Ｂに振り替えるための独自の手順に従って処置を講じる。ステップ３３２４で、第２の金融機関すなわち支払先金融機関３０Ｂは資金の受け取りを表示するためにその記録を更新する。本発明の１つの例示的な態様によれば、第１および第２の金融機関３０Ａおよび３０Ｂは、ＭＦＴＳ１８がそれぞれの金融機関のそれぞれの口座で利用可能な資金のその局所記録を更新することができるように、メッセージ３３３０Ａ、３３３０Ｂによって表示された、残高振替確認メッセージをＭＦＴＳ１８に提供し戻す。
【０４２４】
ステップ３３２８で、ＭＦＴＳ１８は残高振替確認メッセージ３３３０Ａ、３３３０Ｂを受け取って、残高振替を反映するためにユーザの記録を更新する。さらにステップ３３２８で、ＭＦＴＳ１８は残高振替確認メッセージ３３３２をモバイル装置１５に伝達する。ステップ３３３４で、モバイル装置１５は残高振替確認メッセージ３３３２を受け取り、残高振替の完了を反映するために、ユーザの口座および金融機関に関連づけられた残高のそのローカルストレージを更新する。
【０４２５】
モバイルウォレットの設置によって被支払人のモバイル装置で支払いを受け取る
読者は、上の議論から、本発明の態様は被支払人が（１）支払受取方法を選択するためにＭＦＴＳと相互作用する目的で一連のＳＭＳメッセージ（テキストメッセージ）を受け取ることおよび送ること、または（２）支払受取方法を選択するためにかつ／またはＭＦＴＳユーザとして取引（支払実行）を実施することが可能にされるためにＭＦＴＳと相互作用する目的で被支払人のモバイル装置上のモバイルウォレットアプリケーションを設置することならびに利用することのいずれかを伴うことに留意されたであろう。したがって、被支払人は本発明のいくつかの態様の利点を実現するために自らのモバイル装置上にモバイルウォレットアプリケーションを設置しなくてもよい。しかし、最近利用可能なタイプのモバイル装置を有する被支払人には、本発明のいくつかの特徴および態様に従って、モバイルウォレットをダウンロードし、設置して、使用する機会が提示される。これにより、かつ本発明の例示的な態様に従って、ユーザが支払いを実行することを望む個人にはモバイルウォレットアプリケーションをダウンロードして、本発明の説明された態様に従って支払いを受け取って、支払受取オプションを選択する両方の利点、ならびにＭＦＴＳ１８のオペレータによって提供されたモバイル支払サービスを利用する利点を受ける機会が提供される。
【０４２６】
（モバイルウォレットアプリケーションを設置および活動化するときに、ＭＦＴＳの見込まれるユーザである）被支払人にモバイルウォレットの利点を「普及させる（spread）」ために、本発明はモバイルウォレットアプリケーションをダウンロードおよび利用して、ＭＦＴＳのユーザとして記録し、無線ダウンロードを介してモバイルウォレット向けのコードを提供し、ＭＦＴＳサービスのユーザになるように被支払人を活動化し、ユーザとしてモバイルウォレットアプリケーションを利用する機会について被支払人に通知するための態様を含む。
【０４２７】
この点で、被支払人がＭＦＴＳ１８のユーザから支払いを受け取り、やはりモバイルウォレットアプリケーションもダウンロードおよび設置するための方法の議論に関して図３４を参照する。図３４は、モバイルウォレットアプリケーションをダウンロードおよび設置して、ＭＦＴＳのサービスに登録し、それにより、被支払人がＭＦＴＳサービスのユーザ自身になる機会を被支払人に提供するためのステップを含む支払受取方法に関して、被支払人のモバイル装置を介した、被支払人の視野からの一続きのモバイル装置画面ビュー３４００を示す。方法はすでにＭＦＴＳシステムの参加者であるユーザから支払いを受け取る被支払人にモバイルウォレットアプリケーションを迅速かつ容易にダウンロードおよび使用するための能力を提供し、それにより、その被支払人が新規ＭＦＴＳユーザになり、次に、次に新規ＭＦＴＳユーザの被支払人に利益を普及させることによって、モバイルウォレットアプリケーションの利点およびＭＦＴＳの使用の利点のいわゆる「バイラルスプレッド（viral spreading）」を可能にすると有利である。かかる新規ユーザの被支払人には、同様に、登録および参加する機会が与えられる。
【０４２８】
その他の実施形態および態様の場合のように、自らのモバイル装置上にモバイルウォレットアプリケーションを設置していない被支払人の場合、示された情報は一続きのテキストメッセージ（ＳＭＳ）によって被支払人に提示されることになる。
【０４２９】
画面すなわちメッセージ３４０２で示されるように、被支払人は、通常、ユーザが被支払人に対する支払いを送ったことを表示し、支払いをどのように受け取るかについて被支払人に通知するテキスト（ＳＭＳ）メッセージを受け取る。例えば、画面すなわちメッセージ３４０２は「４０４−４０４−４０４０があなたに＄１２３．４５の支払いを送りました」と提示する。さらに本発明のこの例示的な態様によれば、画面すなわちメッセージ３４０２はテキスト「あなたのモバイル装置は支払いを受け取るために必要なアプリケーションを有しません。このアプリケーションをダウンロードしますか？」を含む。ユーザがアプリケーションのダウンロードを受け取ることまたはモバイル装置アプリケーションを設置せずに支払を受け取ることを選択することができるように「はい」制御と「取消し」制御も提供されることが好ましい。ユーザがモバイル装置アプリケーションを設置しないことを決定した場合、またはモバイル装置がモバイル装置アプリケーションを設置できない場合、ユーザには支払いを受け取るためにその他のオプションが与えられる。ユーザが画面ビュー３４０２に示されるような「取消し」ボタンを選択した場合、画面が表示される。画面ビュー（図３４に図示せず）は、小切手を用いて、ＡＣＨ取引により、または価値保存カードにより支払いを受け取るなど、その他のオプションをユーザに提供する。ユーザはテキスト（ＳＭＳ）メッセージを用いて支払いに関する応答を支払人に返し、モバイル装置アプリケーションの設置なしにユーザがどのように支払いを受け取ることを望むかを支払人に通知する。ユーザが支払人に送る応答は、支払受取方法、ならびにユーザの住所情報、または口座情報および任意のその他の関連情報を含み得る。
【０４３０】
被支払人が「はい」制御を選択する場合、モバイル装置のメーカ名、モデル番号を有するメッセージがＭＣＳＰを介してＭＦＴＳに送り戻される。ＭＦＴＳは被支払人によって保有されたモバイル装置のタイプを識別し、被支払人のモバイル装置上で実行可能な適切なモバイル装置アプリケーションコードがモバイル装置に送られて、モバイルウォレットアプリケーションコードがモバイル装置上にダウンロードされた後に、そのモバイル装置上で自己設置プロセスが開始する。画面ビュー３４０４に示されるように、設置動作が開始したことを表示するテキストメッセージが表示され得る。被支払人に設置の進行を通知するために、画面すなわちメッセージ３４０３に示されるように、設置プロセスの一環として通常のプログレスバー（progress bar）が表示されてもよい。所望される場合、被支払人が設置動作を終了することができるように「取消し」制御がオプションで提供される。
【０４３１】
本発明の一実施形態によれば、モバイルウォレットアプリケーションのダウンロードが完了するときに、完了画面すなわち完了メッセージ３４０６が表示される。この完了画面ビュー３４０６は、モバイルウォレットアプリケーションの設置が完了したことを表示することが好ましい。本発明の１つの例示的な態様によれば、モバイルウォレットアプリケーションは、次いで、当該アプリケーションが生成する画面（すなわち、メッセージ）を実行および表示する。この段階で、モバイルウォレットアプリケーションは、オプションで、アプリケーションおよび／またはＭＦＴＳオペレータによって維持された被支払人の口座の使用のためにＰＩＮを入力するよう被支払人にプロンプト表示することが可能であることが好ましい。それらの表示された機能のために「進む」制御、「戻る」制御、および「取消す」制御も提供されることが好ましい。画面すなわちメッセージ３４０６における「進む」制御の被支払人の選択に応答して、確認のためにＰＩＮを再入力するように被支払人にプロンプト表示するためにＰＩＮ確認画面３４０８が次に表示されることが好ましい。同様に、「進む」制御および「取消し」制御が提供されることが好ましい。
【０４３２】
「進む」制御の被支払人の選択に応答して、支払受取画面３４１０が表示される。この画面は、「４０４−４０４−４０４０があなたに＄１２３．４５の支払いを送りました」というテキストを繰り返し、複数の可能な支払受取方法のうちの１つを選択するように被支払人にプロンプト表示するテキストをさらに含むことが好ましい。例示的な画面３４１０では、被支払人にはＡＣＨ、小切手、または価値保存（ＳＶ）カードによって支払いを受け取るオプションが提示される。方法、画面表示、およびかかる支払方法に関する動作は、本書の他のところで説明されており、ここで繰り返される必要はない。限定ではなく例示として、画面３４１０において、小切手支払方法が強調表示されて示され、したがって、小切手支払方法が選択される。ＭＦＴＳは第三者住所プロバイダを介した電話番号に基づいてユーザの郵送先住所を取得することが可能である。ユーザが異なる住所を用いて小切手を受け取ることを決定した場合、ユーザは画面ビュー３４１２上で「住所変更」ボタンを選択する。ユーザが新規郵送先住所を変更、編集、および確認することを可能にするための複数の画面ビューが後に続いてよい。これらの画面ビューは当業者に理解されることになり、ここで詳細に説明されない。
【０４３３】
郵送先住所などの確認を要求している画面３４１２は、他のところでより詳細に説明されるように表示されることが好ましい。支払いの郵送先住所（または、選択された場合、その他の選択された支払方法）を確認している支払確認画面３４１４が、他のところでより詳細に説明されるように、次に表示されることが好ましい。
【０４３４】
この時点で、被支払人は、この時、モバイルウォレットアプリケーションをダウンロードおよび設置しており、本発明の予め説明された態様に従って支払請求エンティティおよびその他の個人に対する支払いを実行する目的で被支払人（現在、ユーザ）のために使用され得る支払元をセットアップするための口座情報の提供など、さらなる記録情報を提供するときに、さらなる使用が可能にされる。ユーザのモバイル装置は現在登録されており、ＭＦＴＳ内で動作可能にされているが、ユーザは、支払元、支払請求エンティティなどに関する情報を追加し、入力するためにＭＦＴＳユーザウェブサイトを訪れる必要が依然としてある。この情報入力は本書において後で議論される。
【０４３５】
図３５は、被支払人が支払いを受け取り、被支払人のモバイル装置３５０１にモバイルウォレットアプリケーションをダウンロードおよび設置し、それにより、ＭＦＴＳのユーザとして動作可能にされることを可能にするための被支払人／見込まれるユーザのモバイル装置３５０１、ＭＦＴＳ１８、および第三者支払プロバイダ３０Ｐの間の相互作用を示す、本発明の例示的な態様による被支払人によるモバイルウォレット設置の方法すなわちプロセス３５００のシーケンス線図である。方法３５００のステップは、通常、ユーザがモバイル電話番号別にまたは名前別に特定の被支払人に対する支払いを実行するようにＭＦＴＳ１８に命令し、支払いが未完であることを被支払人に通知するためにＭＦＴＳが１つまたは複数のメッセージによって被支払人に連絡する後に実行される点を理解されよう。したがって、方法３５００におけるステップは、通常、被支払人に対する支払引渡方法を決定する時点で発生する。
【０４３６】
ステップ３５０２から開始する、講じられる第１のステップはＭＦＴＳ１８オペレータのサービスの非加入者である被支払人による、ユーザが被支払人に対する支払いを実行したことを表示するメッセージ３５０５の受け取りである。本発明の１つの例示的な態様によれば、このメッセージは被支払人のモバイル番号に配信されたテキストメッセージ（ＳＭＳ）である。ステップ３５０２で、非加入者／被支払人は、図３４の画面ビュー３４０２において示されるようなメッセージを目にして、例えば、図３４の画面３４０２において「はい」制御を選択することによって、非加入者／被支払人が自らのモバイル装置にモバイルウォレットアプリケーションをダウンロードおよび設置することを望むかどうかを決定する。モバイルウォレットアプリケーションのダウンロードおよび設置の確認、ならびにモバイル装置のメーカ名およびモデル番号、または通し番号と共に、メッセージ３５０６がＭＦＴＳ１８に戻される。ステップ３５０８で、メッセージ３５１０によって表示されるように、ＭＦＴＳは指定されたモバイル装置に適切なモバイルウォレットアプリケーションをダウンロードして、ダウンロードされたモバイルウォレットアプリケーションを設置する。ステップ３５１２で、ユーザはダウンロード動作および設置動作が完了したという通知を受け、被支払人／見込まれるユーザはログイン（または、必要に応じて、ＰＩＮ、もしくはパスワード）を作成して、ＭＦＴＳのユーザになるようにプロンプト表示される。ログイン／パスワード／ＰＩＮ認証プロセス（図３４を参照されたい）の後、ステップ３５１６で、被支払人／ユーザには支払いの詳細を含み、支払方法の選択を要求する「支払受取」画面が提供される。ステップ３５１８で、ユーザは、所望される支払方法（例えば、ＡＣＨ、小切手、または価値保存カード）を選択し、ステップ３５２０で、被支払人／ユーザが支払いを受け取るために必要とされる適用可能な口座詳細を提供する。この口座セットアップ情報は１つまたは複数の電子メッセージ３５２０を介してＭＦＴＳ１８に伝達される。
【０４３７】
ステップ３５２２で、ＭＦＴＳ１８は口座セットアップ情報を受け取り、被支払人／ユーザに対応する識別情報に関連する口座情報をＭＦＴＳのユーザデータベースに保存する。やはりステップ３５２２で、ＭＦＴＳ１８は、ステップ３５２４に示されるように、被支払人に対して選択された形式の支払いを発行させるために、ＭＦＴＳ支払命令（ＭＦＴＳＰＩ）メッセージ３５２３を選択された第三者支払プロバイダ３０Ｐすなわち金融機関３０（例えば、ＡＣＨ支払ジェネレータ、もしくは小切手発行体（paper check issuing entity）、または価値保存カードのベンダー）に伝達する。このＭＦＴＳＰＩを選択された支払プロバイダに提供した後で、やはりステップ３５２２で、ＭＦＴＳ１８は被支払人／ユーザのモバイル装置３５０１を介して支払確認メッセージ３５２６を被支払人／ユーザに提供する。ステップ３５２８で、被支払人／ユーザは支払いが処理のために送られたという支払確認情報を受け取る。
【０４３８】
前述のステップに続いて、かつステップ３５３０に表示されるように、被支払人（現在、ＭＦＴＳサービスの登録されたユーザ）は設置されたモバイルウォレットアプリケーションを介してさらなる支払いを受け取るためだけでなく、支払いが実行される支払請求エンティティ、ならびに被支払人／ユーザの支払元を登録するための資格も与えられ、動作可能にされる。被支払人／現在のユーザはまた、モバイルウォレットを有さない可能性がある他者に対して支払いを実行することによって、モバイルウォレットアプリケーションの普及と、ＭＦＴＳおよび関連するサービスの好都合な使用とを円滑にして、それにより、本発明のシステムおよび方法の使用の普及を円滑にすることも可能である。本発明の例示的な態様によれば、新規ユーザにはＭＦＴＳウェブサイトを識別して、支払請求エンティティ、支払うべき個人、支払元、口座、取引詳細の閲覧、デフォルト支払方法および受取方法などに関する詳細な情報を入力および提供するためにウェブアプリケーション（図３７〜４２）にアクセスするように新規ユーザにプロンプト表示する情報が提供されることが好ましい。
【０４３９】
次に図３６を参照すると、本発明の一実施形態による、登録されたユーザがログインＰＩＮを変更することが必要とされる場合のかかる動作のための連続的な画面ビュー３６００が示される。画面ビュー３６０２および３６０４は本書の他のところで説明されており、ここで説明されない。画面ビュー３６０６において、ユーザは画面ビュー上で提供されたメニューから「ＰＩＮの変更」オプションを強調表示して選択する。セキュリティ目的で、この動作はユーザが画面ビュー３６０８において確認のために現在のＰＩＮ番号を入力することを要求する。ユーザは画面ビュー３６１０において新規ＰＩＮを入力して、画面ビュー３６１２において、確認の目的で再度ＰＩＮを再入力することが要求される。本発明の一実施形態によれば、ＰＩＮは簡単に保存できるように６桁の数字を備え、任意の合理的な長さに拡張され得る。もう１つの実施形態では、モバイル装置が完全なキーボードを有する場合、ＰＩＮは英数字を備える。一実施形態では、ＰＩＮは大文字と小文字を区別できる（case-sensitive）英数字を備える。もう１つの実施形態では、ＰＩＮは大文字と小文字を区別できない英数字を備える。一実施形態では、ＰＩＮは固定長である。もう１つの実施形態では、ＰＩＮは、所定の最低長と最高長を有する可変長である。
【０４４０】
ＰＩＮを変更して、ＭＦＴＳのユーザデータベースにおいて変更されたＰＩＮを保存するようにＭＦＴＳに通知するためのメッセージがＭＦＴＳに送られる。ＭＦＴＳは、ＰＩＮが成功裏に変更されたことをユーザに通知するための確認メッセージをユーザのモバイル装置に送り戻し、このメッセージは画面ビュー３６１４上に表示される。ここで、オプションのボタン「メインメニュー」はユーザをモバイルウォレットアプリケーションのメインメニュー画面ビュー３６１６に連れて行く。
【０４４１】
次に、本発明の態様に従って、ウェブアプリケーションユーザサイトを介したモバイル金融取引システム（ＭＦＴＳ）の使用のためのユーザ登録の態様を例示する、ウェブアプリケーション入出力インターフェースの画面表示を備えるユーザインターフェースの議論のために図３７Ａ〜３７Ｄからなる図３７を参照する。図３７は、ウェブアプリケーション１５４、特に、ユーザサイトウェブアプリケーション１５３（図２）の例示的な画面表示である。特に、図３７ＡはＭＦＴＳ１８によって提供されるサービスの使用のためのユーザの登録の態様を例示する。図３７Ｂ、３７Ｃ、および３７Ｄは、モバイル装置を追加または編集し、モバイル装置の態様を編集する態様を例示する。
【０４４２】
本発明の態様によれば、ウェブアプリケーションは事前に決定された機能のための複数の選択可能なリンクまたはボタンを含む第１の領域３７０５と、データ入力のための第２の領域３７１０と、特定の機能性を提供するための複数のユーザ制御３７１５とを含むユーザサイト画面表示３７０１を提供する。第１の領域３７０５において「モバイル装置」、「口座」、「被支払人」、および「ログアウト」とラベルづけされた選択可能なリンクが提供される。モバイル装置リンクのユーザの選択は、ユーザが本発明の態様に従ってＭＦＴＳに関する使用のためにモバイル装置を管理することを可能にする、３７０１において示されるような表示を提示する。口座リンクのユーザの活動化は図３８に関して説明される表示を提供する。被支払人リンクのユーザの活動化は、下で説明されるように、図３９において示されるようなユーザの表示を提供する。
【０４４３】
データ入力の第２領域３７１０は、ＭＦＴＳ１８を用いた使用のために現在のユーザによって予め登録されている任意のモバイル装置のモバイル番号を表示する。第２の領域３７１０は、例示的なモバイル電話番号である、単一のモバイル装置番号（４０４）５０５−６０６０を示す。
【０４４４】
選択可能なユーザ制御３７１５は、登録された（１つまたは複数の）モバイル番号に関する機能を実施するためのコマンドを提供する。本発明の態様、すなわち、現在考慮される好ましい実施形態によれば、ユーザ制御３７１５は「装置追加」ボタン３７１７と、「装置初期化」ボタン３７２０と、「装置編集」ボタン３７２５と、「紛失装置」ボタン３７３０と、「装置アンロック」ボタン３７３５と、「装置削除」ボタン３７４０とを備える。
【０４４５】
これらの機能は自明であり、当業者によって理解されるであろう。一実施形態では、「紛失装置」機能は、ユーザの保護のために報告された紛失したモバイル装置を動作不能にするためである。「装置アンロック」機能は、いくつかの連続的に失敗したログインの後で動作不能にされたモバイル装置を再度動作可能にするため、またはモバイル装置を再活動化するためである。「装置削除」機能は、登録されたモバイル装置をモバイル金融取引システムサービスから除去するためである。
【０４４６】
「装置追加」ボタン３７１７または「装置編集」ボタン３７２５のいずれかのユーザ活動化は、図３７Ｂに示されるように、ＭＦＴＳウェブアプリケーションに画面表示３７０１Ｂを提供させる。表示画面３７０１Ｂは、ユーザが番号を入力することが可能な、モバイル装置電話番号の入力のためのデータ入力領域３７４５を含む。「クエリ提出」ボタン３７５０は、ウェブアプリケーションにデータ入力領域３７４５内に入力された番号を利用させて、情報がＭＦＴＳ１８に関する使用のために入力され得るように、または事前に入力された番号に関する属性もしくは情報が編集され得るようにモバイル装置番号に対応するユーザ情報を入力／取り出させるために提供される。「装置追加」ボタン３７１７および「装置編集」ボタン３７２５は、ユーザがモバイル装置に関する詳細な口座情報を入力することを可能にする。モバイル装置に関する情報は以下を備える。すなわち、ユーザ名、郵送先住所、支払請求住所、ウェブアクセスユーザ名、およびパスワードである。
【０４４７】
図３７Ｃは、本発明の態様に従ってＭＦＴＳ１８を用いた使用のためにモバイル装置を構成する目的で、新規モバイル装置番号を入力するときにユーザに表示されるユーザサイト表示画面３７０１Ｃを例示する。本発明の一実施形態によれば、システムにおける使用のために新しく入力されたモバイル装置番号を受け取るときに、テキスト（ＳＭＳ）メッセージが入力されたモバイル装置番号を有するモバイル装置に送信される。本発明の態様によれば、このＳＭＳメッセージは、システムに関する使用のためにモバイル装置を構成できるように、モバイル装置アプリケーションのダウンロードおよび設置のための情報をモバイル装置においてユーザに提供する。３７６０に示されるような命令情報がユーザに表示され、テキストメッセージおよび命令の伝送を通知することが好ましい。加えて、かつ本発明の態様によれば、モバイル装置上でモバイル装置アプリケーションを実行するときにコードに関する初期化を入力するようにユーザにプロンプト表示して、セキュリティ目的で初期化コードがモバイル装置に提供される。
【０４４８】
図３７Ｄは、図３７Ａにおける「装置削除」ボタン３７４０のユーザ活動化に応答して表示されるメッセージ３７６５を備える表示画面３７０１Ｄを提供する。
【０４４９】
図３８は、コントローラ領域３７０５における口座リンクまたは口座ボタンのユーザ活動化に応答して、ウェブアプリケーション１５４によって表示される様々な例示的なユーザサイト表示画面３８０１を示す。図３８Ａにおいて、３８０１Ａの表示画面は、当初、「口座」ボタンの活動化に応答して提供される。表示画面３８０１Ａは、現在ＭＦＴＳ１８と相互作用しているユーザに関連づけられた１つまたは複数の口座のリストを備える情報表示領域３８０５と、領域３８０５において強調表示で示される、選択された口座に関する特定かつ詳細な情報を表示する情報表示領域３８１０と、選択された口座に関する機能を実施するための複数の制御ボタン３８１５とを含む。例えば、口座「Ｋｙｌｅの小切手」が領域３８０５において強調表示されて示され、ルーティング番号、口座番号、口座ニックネームなど、選択された口座に関する特定の情報が情報表示領域３８１０において示される。
【０４５０】
本発明の態様によれば、ユーザ制御３８１５は「口座の追加」ドロップダウンメニュー３８１７と、「選択の編集」ボタン３８２０と、「選択の削除」ボタン３８２５とを含む。「口座追加」メニュー３８１７のユーザ選択または「選択の編集」ボタン３８２０の活動化は、図３８Ｂにおいて画面３８０１Ｂとして示されるような画面表示をもたらす。
【０４５１】
図３８Ｂは、選択された口座に関する情報を編集するためのウェブアプリケーションの態様を例示する。表示画面３８０１Ａは、選択された口座に関する特定の情報を表示および編集するための例示的なデータ入力領域３８３０を含む。例えば、本発明の態様によれば、ルーティングおよび送信番号３８３２、口座番号の入力および編集３８３５、口座タイプの入力および編集３８４０、口座に関するニックネームの入力および編集３８４５のための領域が提供される。「提出」ボタン３８５０は情報を更新および保存するために提供され、「取消し」ボタン３８５５は当業者に知られているように動作可能なように提供される。
【０４５２】
図３８Ｃは、カードタイプの口座（例えば、図３８Ｂにおいて示されるような銀行口座ではなく、クレジットカードまたは価値保存カード）である領域３８０５（図３８Ａ）における口座のユーザ選択に応答してウェブアプリケーション１５４によって表示される例示的なユーザサイト画面表示３８０１Ｃである。表示３８０１Ｃは、カードタイプの口座に関する情報のための情報表示領域３８６０を含む。図３８Ｃにおいて示されるように、表示領域はカード番号表示領域３８６２と、保存を促すために口座に関する短い名前を入力するためのニックネーム領域３８６５とを含む。「進む」ボタン３８７０は、ＭＦＴＳ１８によって保存および維持される複数の口座の別の口座に移り、「取消し」ボタン３８７５は知られているように動作する。
【０４５３】
図３８Ｄは、カード口座に関する情報のユーザ変更（例えば、ユーザが、図３８Ｃにおけるようなカード口座に関する任意の情報を変更する場合）に応答して表示される例示的な画面表示３８０１Ｄを示す。表示画面３８０１Ｄは、入力または編集のために選択されている口座のカード番号を表示するための情報表示領域３８８０と、セキュリティ目的でカード口座に関連づけられたＰＩＮの入力のための個人識別番号（ＰＩＮ）データ入力領域３８８５とを含む。「提出」ボタン３８９０および「取消し」ボタン３８９５が提供され、知られているように動作可能である。
【０４５４】
情報を識別する
図３９は、本発明の態様に従って、被支払人が支払いを受け取ることを管理するために、領域３７０５において「被支払人」リンクまたは「被支払人」ボタンのユーザ活動化に応答して表示されるユーザサイト表示画面３９０１を例示する。図３９Ａにおいて、「被支払人管理」表示画面３９０１Ａは、ウェブアプリケーション１５４によって、または必要に応じて、モバイル装置アプリケーション入力を介して、ユーザによってＭＦＴＳ１８において予め入力されている被支払人に関する情報を表示するための領域３９０５を含む。図３９０１Ａに示されるように、少なくとも被支払人の名前および被支払人のモバイル装置番号に関する情報が表示される。本発明のもう１つの態様によれば、システム内の被支払人は、（利用可能である場合）被支払人の住所、デフォルト支払方法、特定の被支払人に利用可能な１つまたは複数の支払方法に関する好ましい口座番号、およびその他の識別情報を含めて、被支払人に関連して保存されたその他の情報を有する。図３９Ａにおいて示されるように、特定の情報および編集もしくは削除などの動作に関して特定の被支払人が強調表示されること、またはが表示されることが可能である。やはり図３９Ａにおいて示されるのは、「被支払人追加」ボタン３９１０、「選択編集」ボタン３９１５、および「選択削除」ボタン３９２０のための制御ボタンである。「被支払人の追加」ボタン３９１０または「選択の編集」ボタン３９１５のユーザ選択は図３９Ｂにおいて示されるような表示をもたらす。
【０４５５】
図３９Ｂは、被支払人を追加するためまたは選択された被支払人を編集するためのウェブアプリケーションのユーザ選択に応答して表示される例示的なユーザサイト表示画面３９０１Ｂである。例示的な表示画面３９０１ｂは、図３９Ａにおいて選択された特定の被支払人に関する情報を表示して、情報の入力または更新を可能にする、データ入力および表示領域３９２５を含む。本発明のこの実施形態では、「名前」フィールド３９２７と、「名字」フィールド３９３０と、「電話番号」フィールド３９３５とが提供される。本発明のもう１つの態様によれば、住所情報、口座番号情報、支払方法に関するデフォルト選択フィールド、およびその他の情報も提供される。「提出」ボタン３９４０および「取消し」ボタン３９４５が提供され、知られているように動作可能である。
【０４５６】
当業者は、図３７〜３９の見直しから、本書の他のところで説明されるような機能性を提供できるようにユーザが「モバイル装置」、「口座」、および「被支払人」に関する情報を入力および編集することを可能にする、インターネットアクセス可能なウェブアプリケーション入出力インターフェース１５４が提供される点を理解されよう。
【０４５７】
図４０は、本発明の代替の態様に従って構成されたウェブアプリケーション入出力インターフェース１５４によって生成されたユーザ表示画面の代替の実施形態である。図４０〜４２は、選択された口座、モバイル装置、支払請求エンティティ、および支払元に関して、若干異なる方式の情報表示ならびにユーザ相互作用の受け取りを用いた、ウェブアプリケーションとのユーザ相互作用のための代替の方法を提供する。
【０４５８】
図４０は、口座を管理するためにウェブアプリケーションによって提供された例示的な表示画面４００１を示す。表示画面４００１は、口座を管理するためにウェブアプリケーションによって提供される。表示画面４００１は３つの選択可能なタブを含む。すなわち、「口座概要」タブ４００５、「支払請求エンティティ」タブ４０１０、および「支払元」タブ４０１５である。図４０において選択されて示されるのは「口座概要」タブ４００５である。「口座概要」タブ４００５に関連する情報は、口座番号、ユーザのモバイル装置に関連づけられたモバイル番号、および示されるようなその他の識別情報を含めて、特定のユーザに関する情報を含む。住所情報、記録日情報、ならびに支払請求エンティティおよび支払元に関するその他の情報など、ユーザに関するその他の関連情報が表示領域４０３５において提供されることが好ましい。「編集」ボタン４０２０は表示された情報を編集するために提供され、一方、「新規」ボタン４０２５は図４０において示されるように情報の入力を可能にすることになるデータ入力表示画面を生成するために提供される。
【０４５９】
図４１は、「支払請求エンティティ」タブ４０１０のユーザ活動化に応答して表示される例示的な代替の表示画面４１０１である。表示画面４１０１において表示される情報は、現在のユーザに関する特定の口座またはモバイル装置番号を識別する情報、ならびに複数の「請求書作成者」すなわち支払請求エンティティ、または支払いが実行され得る人々（例えば、被支払人および本書の他のところで説明されたような「ペイエニワン」支払シナリオ）に関する情報を表示する表示領域４１２０を含む。「編集」ボタン４０２０および「新規」ボタン４０２５が提供され、上で説明されたようにかつ当業者に知られることになるように動作可能である。
【０４６０】
図４１において示されるような請求書作成者データ領域４１２０は、複数の請求書作成者４１０５、４１１０、および４１１５向けの選択可能なタブを含む。「新規」ボタン４０２５の活動化は、新規「請求書作成者」に関する新規タブおよび新規ページを追加する。例示的なタブ４１１０が選択されたとして示され、情報が予め入力されている特定の請求書作成者に関する情報を表示する。図４１において示される例では、関連する口座番号、住所、および本発明の態様に従ってＭＦＴＳ１８が支払請求エンティティから請求書を受け取り、この料金支払エンティティに対する支払いを生成することを可能にするために要求されるその他の識別情報と共に、例示的な支払請求エンティティ、すなわちＧｅｏｒｇｅ  Ｅｌｅｃｔｒｉｃｉｔｙ  Ｃｏｍｐａｎｙが示される。
【０４６１】
やはり画面４１０１において提供されるのは、識別および選択された請求書作成者（例えば、タブ４１１０において示される「請求書作成者２」）についての現在の口座残高に関する情報を表示する現在の残高データ表示領域４１２５である。
【０４６２】
図４２は、支払元タブ４０１５の選択に応答して表示される表示画面４２０１の形式の例示的な代替のウェブアプリケーション表示である。例示的な表示画面４２０１は、これまでの画面におけるように、口座番号、モバイル番号など、閲覧されている口座を識別する情報を含み、他のところで説明されかつ知られているように動作可能な「編集」ボタン４０２０および「新規」ボタン４０２５も提供する。
【０４６３】
「支払元」タブ４０１５は選択された口座に関する情報を表示するための情報表示領域４２２０も含む。ユーザに利用可能な特定の口座に関する複数の選択可能なタブが、「銀行１」、「銀行２」、および「銀行３」として識別される、例示的な選択可能なタブ４２０５、４２１０、４２１５において提供される。図４２において選択されて示されるのは「銀行２」４２１０である。これにより、表示領域４２２０は、この場合、特定の金融機関および選択された金融機関に関連づけられた特定の口座を識別する、選択された支払元に関連する情報を表示する。例えば、情報は、支払元の名前（例えば、Ｇｅｏｒｇｉａ  Ｂｅｓｔ  Ｂａｎｋ）、および対応する口座番号、口座タイプ、住所、ならびにその他の識別情報を含むことが好ましい。やはり提供されることが好ましいのは、選択された口座に関連づけられた現在の残高を表示するための情報表示領域４２２５である。
【０４６４】
前述の説明から、当業者は、ウェブアプリケーション入出力インターフェース１５４は、あるいは、本発明の態様に従って、ユーザデータ入力と、支払元、支払請求エンティティまたはその他の被支払人の編集とを可能にするために、図４０〜４２において示されるような表示画面および制御を提供することが可能である点を理解および認識されよう。
【０４６５】
本発明の例示的な実施形態の前述の説明は、例示および説明の目的だけで提示されており、網羅的であること、または本発明を開示されたものと同じ形式に限定することが意図されない。上の教示に照らして、多くの修正形態および改変形態が可能である。
【０４６６】
実施形態は、その他の当業者が企図される特定の使用に適したように本発明および様々な修正がなされた様々な実施形態を利用することを可能にできるように、本発明の原理およびそれらの実用的な適用を説明するために選択および説明された。代替の実施形態は、精神および範囲において逸脱せずに本発明が関係する当業者に明らかになるであろう。したがって、本発明の範囲は、前述の説明および本明細書で説明される例示的な実施形態ではなく、添付の特許請求の範囲によって定義される。
【図１】
2010282605.tif 000002
【図２】
2010282605.tif 000003
【図３Ａ】
2010282605.tif 000004
【図３Ｂ】
2010282605.tif 000005
【図４】
2010282605.tif 000006
【図５】
2010282605.tif 000007
【図６】
2010282605.tif 000008
【図７】
2010282605.tif 000009
【図８】
2010282605.tif 000010
【図９】
2010282605.tif 000011
【図１０】
2010282605.tif 000012
【図１１】
2010282605.tif 000013
【図１２】
2010282605.tif 000014
【図１３】
2010282605.tif 000015
【図１４】
2010282605.tif 000016
【図１５】
2010282605.tif 000017
【図１６】
2010282605.tif 000018
【図１７】
2010282605.tif 000019
【図１８Ａ】
2010282605.tif 000020
【図１８Ｂ】
2010282605.tif 000021
【図１９】
2010282605.tif 000022
【図２０】
2010282605.tif 000023
【図２１】
2010282605.tif 000024
【図２２】
2010282605.tif 000025
【図２３】
2010282605.tif 000026
【図２４】
2010282605.tif 000027
【図２５】
2010282605.tif 000028
【図２６】
2010282605.tif 000029
【図２７】
2010282605.tif 000030
【図２８】
2010282605.tif 000031
【図２９】
2010282605.tif 000032
【図３０】
2010282605.tif 000033
【図３１】
2010282605.tif 000034
【図３２】
2010282605.tif 000035
【図３３】
2010282605.tif 000036
【図３４】
2010282605.tif 000037
【図３５】
2010282605.tif 000038
【図３６】
2010282605.tif 000039
【図３７Ａ】
2010282605.tif 000040
【図３７Ｂ】
2010282605.tif 000041
【図３７Ｃ】
2010282605.tif 000042
【図３７Ｄ】
2010282605.tif 000043
【図３８Ａ】
2010282605.tif 000044
【図３８Ｂ】
2010282605.tif 000045
【図３８Ｃ】
2010282605.tif 000046
【図３８Ｄ】
2010282605.tif 000047
【図３９Ａ】
2010282605.tif 000048
【図３９Ｂ】
2010282605.tif 000049
【図４０】
2010282605.tif 000050
【図４１】
2010282605.tif 000051
【図４２】
2010282605.tif 000052
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
（＊＊モバイル環境において価値保存カードを介して支払いを実行するための方法およびシステム＊＊）無線ネットワークを介して通信のために接続されたモバイル装置を利用して価値保存（ＳＶ）カードを介して被支払人に対する金銭支払を実行するための方法であって、
前記モバイル装置において、価値保存（ＳＶ）カード支払方法によって実行される支払いのための被支払人を識別する情報のユーザ入力を受け取るステップと、
前記ユーザモバイル装置において、前記ユーザ入力に応答して、前記識別された被支払人に対応する情報を備えるモバイル支払命令を生成するステップと、
前記モバイル支払命令を前記ユーザモバイル装置からモバイル金銭取引システム（ＭＦＴＳ）に無線で伝達するステップと、
前記ＭＦＴＳにおいて、前記モバイル支払命令の受け取りに応答して、前記支払いのための識別された被支払人に対応する情報、およびＳＶカード方法による支払いを指示する情報を決定するステップと、
前記ＭＦＴＳにおいて、ＳＶカードエンティティ（SV card entity）との関係を維持する支払命令受領者に対するＭＦＴＳ支払命令を生成するステップであって、前記ＭＦＴＳ支払命令が、金額、前記識別された被支払人に対応する情報、およびＳＶカード支払方法による潜在的な支払いに対応する情報を少なくとも含む、ステップと、
前記ＭＦＴＳ支払命令を前記ＭＦＴＳから前記支払命令受領者に伝達するステップと、
前記支払命令受領者において、前記ＭＦＴＳ支払命令の受け取りに応答して、価値保存カードによる前記識別された被支払人に対する支払いを達成するステップと、
を備える方法。
【請求項２】
被支払人を識別する前記ユーザ情報が、事前保存された複数の名前の１つの選択によって被支払人を識別することを備える、請求項１に記載の方法。
【請求項３】
被支払人を識別する前記ユーザ情報が、モバイル番号（mobile number）のユーザ入力によって被支払人を識別することを備える、請求項１に記載の方法。
【請求項４】
複数の異なる支払方法の中からの、前記被支払人に対する前記支払いを達成するためのＳＶカード支払方法の使用のユーザ／支払人による選択に対応する情報を、前記ユーザモバイル装置において表示するステップをさらに備える、請求項１に記載の方法。
【請求項５】
選択可能な支払方法が、受領者定義方法、ＡＣＨ資金振替、小切手、および価値保存（ＳＶ）カードを含む、請求項４に記載の方法。
【請求項６】
前記支払命令受領者が、金融サービスプロバイダ、支払請求アグリゲータ、価値保存カード発行者、価値保存カードを取り扱う小売業者の１つである、請求項１に記載の方法。
【請求項７】
特定の日付時点の少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項１に記載の方法。
【請求項８】
ＳＶカードによる支払いが受け取り可能であることを通知する情報を前記被支払人に無線で伝達するステップをさらに備える、請求項１に記載の方法。
【請求項９】
前記ユーザモバイル装置において、前記支払いのための少なくとも１つの選択可能な支払元のユーザ選択を受け取るステップをさらに備える、請求項１に記載の方法。
【請求項１０】
支払いを実行するための支払元の前記選択が、金融サービスプロバイダの選択、および前記支払いを実行するための前記選択された金融サービスプロバイダに関連づけられた特定の口座の選択を含む、請求項９に記載の方法。
【請求項１１】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させる、請求項９に記載の方法。
【請求項１２】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記ＭＦＴＳデータベースに事前保存された情報から前記情報を取り出すことによって、前記支払命令内で識別される金融サービスプロバイダにおける選択された口座に対応する情報を決定するステップをさらに備える、請求項９に記載の方法。
【請求項１３】
前記ＭＦＴＳが、ユーザの金銭取引に対応する取引情報を保存し、前記取引情報が、前記支払いのステータスを追跡するために利用される他の情報に加えて、支払情報も含む、請求項１に記載の方法。
【請求項１４】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項１３に記載の方法。
【請求項１５】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項１に記載の方法。
【請求項１６】
前記ユーザモバイル装置上でモバイルウォレットアプリケーションを提供するステップをさらに備える、請求項１に記載の方法。
【請求項１７】
前記モバイルウォレットアプリケーションが、ペイエニワン・コマンド、支払元選択コマンド、および支払方法選択コマンドを含む選択可能なコマンドの表示を前記モバイル装置上で提供する、請求項１６に記載の方法。
【請求項１８】
支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項１７に記載の方法。
【請求項１９】
前記モバイルウォレットを介した支払元選択コマンドの表示に応答して、支払いを実行するための支払元の選択に対応するユーザ入力を受け取るステップをさらに備える、請求項１７に記載の方法。
【請求項２０】
前記支払いを実行するための支払元の前記選択が、金融サービスプロバイダの選択、および前記支払いを実行するための前記選択された金融サービスプロバイダに関連づけられた特定の口座の選択を含む、請求項１７に記載の方法。
【請求項２１】
前記支払いを実行する際の所定の段階の完了に応答して、支払確認メッセージを前記ＭＦＴＳにおいて前記支払命令受領者から受け取るステップをさらに備える、請求項１に記載の方法。
【請求項２２】
前記支払命令受領者からの前記支払確認メッセージの受け取りに応答して、支払確認メッセージを前記モバイル装置に無線で伝達するステップをさらに備える、請求項２１に記載の方法。
【請求項２３】
価値保存（ＳＶ）カード方法に加えて、受領者定義方法、ＡＣＨ資金振替方法、および小切手方法のうちの１つまたは複数を含む複数の選択可能な支払方法を提供するステップをさらに備える、請求項１に記載の方法。
【請求項２４】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および支払請求エンティティに対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報をＭＦＴＳデータベースに保存するステップと、
をさらに備える、請求項１に記載の方法。
【請求項２５】
前記ユーザモバイル装置を介して実行される取引に対応する取引情報を前記ウェブアプリケーションを介して取り出し、前記ユーザのコンピュータ上でユーザに表示するステップをさらに備える、請求項２４に記載の方法。
【請求項２６】
前記支払いが被支払人の既存ＳＶカードの貸方に記入することによって実行されることの確認のため、被支払人の既存ＳＶカードの口座番号を前記ユーザに表示するステップをさらに備える、請求項１に記載の方法。
【請求項２７】
前記被支払人の既存ＳＶカードに対応する情報が、ＭＦＴＳデータベースに保存され、前記ユーザへの表示およびユーザコマンドによる確認のために前記ユーザモバイル装置に無線で伝達される、請求項２６に記載の方法。
【請求項２８】
被支払人の既存ＳＶカードの貸方に記入する目的で被支払人の既存ＳＶカードの口座番号を入力するためのデータ入力画面を前記モバイル装置上で提供するステップをさらに備える、請求項１に記載の方法。
【請求項２９】
支払いが前記ユーザによってＳＶカードを介して送られたことを前記被支払人に通知するメッセージを被支払人のモバイル装置に無線で伝達するステップと、
前記被支払人がＳＶカードを介して前記支払いを受け取ることを望む、選択された方式を指示する入力を前記被支払人のモバイル装置において前記被支払人から受け取るステップと、
をさらに備える、請求項１に記載の方法。
【請求項３０】
前記被支払人のモバイル装置への前記メッセージが、テキストメッセージを備える、請求項２９に記載の方法。
【請求項３１】
前記被支払人のモバイル装置への前記メッセージが、前記被支払人のモバイル装置上にインストールされたモバイルウォレットアプリケーションを介して提供される、請求項２９に記載の方法。
【請求項３２】
前記被支払人がＳＶカードを介した支払いを受け取ることができる前記選択された方式が、前記支払いを被支払人の既存ＳＶカードの貸方に記入すること、および新規ＳＶカードの発行を含む、請求項２９に記載の方法。
【請求項３３】
新規ＳＶカードを介した支払いの受け取りの前記被支払人による指示に応答して、
新規ＳＶカードの受け取り場所を識別するための情報の入力を受け取るためのデータ入力画面を前記被支払人のモバイル装置上に表示するステップと、
前記新規ＳＶカードの受け取り場所を識別するための情報の被支払人入力を受け取るステップと、
前記場所情報を前記ＭＦＴＳに無線で伝達するステップと、
前記新規ＳＶカードの受け取り場所を識別する情報の被支払人入力に応答して、前記新規ＳＶカードが入手できる特定の小売施設（retail location）を識別する情報を前記被支払人に無線で伝達するステップと、
をさらに備える、請求項３２に記載の方法。
【請求項３４】
前記ＳＶカード発行者が前記被支払人にカードを発行することを可能にし、ＳＶカードを支給する小売施設がＳＶカード受け取りのために前記被支払人の身元を確認することをさらに可能にするカード受け取り情報（card pickup information）を前記ＳＶカード発行者に伝達するステップをさらに備える、請求項３２に記載の方法。
【請求項３５】
前記カード受け取り情報が、前記支払いに関連する前記ＭＦＴＳによって提供された取引番号、カード番号、および前記被支払人に関連するモバイル電話番号を備える、請求項３４に記載の方法。
【請求項３６】
前記カード受け取り情報を前記被支払人のモバイル装置に無線で伝達するステップをさらに備える、請求項３４に記載の方法。
【請求項３７】
無線ネットワークと通信のために接続されたモバイル装置の使用を介して価値保存カード支払を達成するためのシステムであって、
モバイル金銭取引システム（ＭＦＴＳ）と無線通信のために結合される少なくとも１つのユーザモバイル装置であって、被支払人識別情報および支払情報のユーザ入力を受け取るように動作し、識別された被支払人に対応する情報を備えるモバイル支払命令を生成し、前記モバイル支払命令を前記ＭＦＴＳに無線で伝達するようにさらに動作する少なくとも１つのユーザモバイル装置と、
モバイル通信サービスプロバイダ（ＭＣＳＰ）を使用してユーザの１つまたは複数のモバイル装置と無線通信のために結合されるモバイル金銭取引システム（ＭＦＴＳ）であって、価値保存カードを介した支払いを達成する支払命令受領者と電子通信のために結合され、ユーザ情報および支払い保存するためのモバイル金銭取引システム（ＭＦＴＳ）データベースを含み、
前記モバイル支払命令の受け取りに応答して、前記支払いを受け取るための識別された被支払人に対応する情報、およびＳＶカード方法による支払いを指示する情報を決定するコンピュータ実施ステップと、
ＳＶカードエンティティとの関係を維持する支払命令受領者に対するＭＦＴＳ支払命令を生成するステップであって、前記ＭＦＴＳ支払命令が、金額、前記識別された被支払人に対応する情報、およびＳＶカード支払方法による潜在的な支払いに対応する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアを含むモバイル金銭取引システム（ＭＦＴＳ）と、を備え、
それによって、前記支払命令受領者において、前記ＭＦＴＳ支払命令の受け取りに応答して、前記識別された被支払人に対する支払いが、価値保存カードによって達成される、システム。
【請求項３８】
被支払人を識別する前記ユーザ情報が、事前保存された複数の名前の１つの選択によって被支払人を識別することを備える、請求項３７に記載のシステム。
【請求項３９】
被支払人を識別する前記ユーザ情報が、モバイル番号のユーザ入力によって被支払人を識別することを備える、請求項３７に記載のシステム。
【請求項４０】
前記モバイル装置が、複数の異なる支払方法の中からの、前記被支払人に対する前記支払いを達成するためのＳＶカード支払方法の前記ユーザ／支払人による選択に対応する情報を表示するようにさらに動作する、請求項３７に記載のシステム。
【請求項４１】
選択可能な支払方法が、受領者定義方法、ＡＣＨ資金振替、小切手、および価値保存（ＳＶ）カードを含む、請求項４０に記載のシステム。
【請求項４２】
前記支払命令受領者が、金融サービスプロバイダ、支払請求アグリゲータ、価値保存カード発行者、価値保存カードを取り扱う小売業者の１つである、請求項３７に記載のシステム。
【請求項４３】
前記ユーザモバイル装置が、特定の日付時点の少なくとも１つの口座の残高を表すキャッシュされた口座残高を前記モバイル装置に保存し、
前記ユーザモバイル装置が、前記口座についての更新された口座残高情報を受け取り、更新された口座残高情報を前記ＭＦＴＳから前記ユーザモバイル装置に無線で伝達し、
前記ＭＦＴＳからの更新された口座残高情報の受け取りに応答して、前記ユーザモバイル装置が、前記口座に対応する更新された口座残高情報を前記ユーザに表示する、
請求項４２に記載のシステム。
【請求項４４】
前記ＭＦＴＳソフトウェアが、ＳＶカードによる支払いが受け取り可能であることを通知する情報を前記被支払人に無線で伝達するようにさらに動作する、請求項３７に記載のシステム。
【請求項４５】
前記モバイル装置が、前記ユーザモバイル装置において、前記支払いのための少なくとも１つの選択可能な支払元のユーザ選択を受け取るようにさらに動作する、請求項３７に記載のシステム。
【請求項４６】
支払いを実行するための支払元の前記選択が、金融サービスプロバイダの選択、および前記支払いを実行するための前記選択された金融サービスプロバイダに関連づけられた特定の口座の選択を含む、請求項４５に記載のシステム。
【請求項４７】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させる、請求項４５に記載のシステム。
【請求項４８】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記ＭＦＴＳソフトウェアが、前記ＭＦＴＳデータベースに事前保存された情報から前記情報を取り出すことによって、前記支払命令内で識別される金融サービスプロバイダにおける選択された口座に対応する情報を決定するようにさらに動作する、請求項４５に記載のシステム。
【請求項４９】
前記ＭＦＴＳが、ユーザの金銭取引に対応する取引情報を保存し、前記取引情報が、前記支払いのステータスを追跡するために利用される他の情報に加えて、前記支払情報も含む、請求項３７に記載のシステム。
【請求項５０】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項４９に記載のシステム。
【請求項５１】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項３７に記載のシステム。
【請求項５２】
前記ユーザモバイル装置上でモバイルウォレットアプリケーションを提供するステップをさらに備える、請求項３７に記載のシステム。
【請求項５３】
前記モバイルウォレットアプリケーションが、ペイエニワン・コマンド、支払元選択コマンド、および支払方法選択コマンドを含む選択可能なコマンドの表示を前記モバイル装置上で提供する、請求項５２に記載のシステム。
【請求項５４】
支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項５３に記載のシステム。
【請求項５５】
前記モバイル装置が、前記モバイルウォレットを介した支払元選択コマンドの表示に応答して、支払いを実行するための支払元の選択に対応するユーザ入力を受け取るようにさらに動作する、請求項５３に記載のシステム。
【請求項５６】
前記支払いを実行するための支払元の前記選択が、金融サービスプロバイダの選択、および前記支払いを実行するための前記選択された金融サービスプロバイダに関連づけられた特定の口座の選択を含む、請求項５３に記載のシステム。
【請求項５７】
前記ＭＦＴＳが、前記支払いを実行する際の所定の段階の完了に応答して、前記支払命令受領者から支払確認メッセージを受け取る、請求項３７に記載のシステム。
【請求項５８】
前記ＭＦＴＳソフトウェアが、前記支払命令受領者からの前記支払確認メッセージの受け取りに応答して、支払確認メッセージを前記モバイル装置に無線で伝達するようにさらに動作する、請求項５７に記載のシステム。
【請求項５９】
前記モバイル装置が、価値保存（ＳＶ）カード方法に加えて、受領者定義方法、ＡＣＨ資金振替方法、および小切手方法のうちの１つまたは複数を含む複数の選択可能な支払方法を提供するようにさらに動作する、請求項３７に記載のシステム。
【請求項６０】
前記ＭＦＴＳが、インターネットなどのデータ通信ネットワークを介してユーザのコンピュータと電子通信のためにさらに結合され、前記ＭＦＴＳソフトウェアが、
ウェブアプリケーションを提供し、
金融サービスプロバイダ、金融サービスプロバイダにおける口座、および支払請求エンティティに対応するユーザ情報を前記ウェブアプリケーションを介して受け取り、
前記ユーザモバイル装置を介して開始される支払いに関して使用するため、前記ウェブアプリケーションを介して入力された前記ユーザ情報をＭＦＴＳデータベースに保存する、
ようにさらに動作する、請求項３７に記載のシステム。
【請求項６１】
前記ＭＦＴＳソフトウェアが、前記ユーザモバイル装置を介して実行される取引に対応する取引情報を前記ウェブアプリケーションを介して取り出し、前記ユーザのコンピュータ上でユーザに表示するようにさらに動作する、請求項６０に記載のシステム。
【請求項６２】
前記モバイル装置が、前記支払いが被支払人の既存ＳＶカードの貸方に記入することによって実行されることの確認のため、被支払人の既存ＳＶカードの口座番号を前記ユーザに表示するようにさらに動作する、請求項３７に記載のシステム。
【請求項６３】
前記被支払人の既存ＳＶカードに対応する情報が、ＭＦＴＳデータベースに保存され、前記ユーザへの表示およびユーザコマンドによる確認のために前記ユーザモバイル装置に無線で伝達される、請求項６２に記載のシステム。
【請求項６４】
前記モバイル装置が、被支払人の既存ＳＶカードの貸方に記入する目的で被支払人の既存ＳＶカードの口座番号を入力するためのデータ入力画面を前記モバイル装置上で提供するようにさらに動作する、請求項３７に記載のシステム。
【請求項６５】
前記ＭＦＴＳソフトウェアが、
支払いが前記ユーザによってＳＶカードを介して送られたことを前記被支払人に通知するメッセージを被支払人のモバイル装置に無線で伝達し、
前記被支払人がＳＶカードを介して前記支払いを受け取ることを望む、選択された方式を指示する入力を前記被支払人のモバイル装置において前記被支払人から受け取る、
ようにさらに動作する、請求項３７に記載のシステム。
【請求項６６】
前記被支払人のモバイル装置への前記メッセージが、テキストメッセージを備える、請求項６５に記載のシステム。
【請求項６７】
前記被支払人のモバイル装置への前記メッセージが、前記被支払人のモバイル装置上にインストールされたモバイルウォレットアプリケーションを介して提供される、請求項６５に記載のシステム。
【請求項６８】
前記被支払人がＳＶカードを介した支払いを受け取ることができる前記選択された方式が、前記支払いを被支払人の既存ＳＶカードの貸方に記入すること、および新規ＳＶカードの発行を含む、請求項６５に記載のシステム。
【請求項６９】
新規ＳＶカードを介した支払いの受け取りの前記被支払人による指示に応答して、
前記被支払人のモバイル装置が、新規ＳＶカードの受け取り場所を識別するための情報の入力を受け取るためのデータ入力画面を表示し、
前記新規ＳＶカードの受け取り場所を識別するための情報の被支払人入力を受け取り、
前記場所情報を前記ＭＦＴＳに無線で伝達し、
前記ＭＦＴＳソフトウェアが、前記新規ＳＶカードの受け取り場所を識別する情報の被支払人入力に応答して、前記新規ＳＶカードが入手できる特定の小売施設を識別する情報を前記被支払人に無線で伝達する、
請求項６８に記載のシステム。
【請求項７０】
前記ＭＦＴＳソフトウェアが、前記ＳＶカード発行者が前記被支払人にカードを発行することを可能にし、ＳＶカードを支給する小売施設がＳＶカード受け取りのために前記被支払人の身元を確認することをさらに可能にするカード受け取り情報を前記ＳＶカード発行者に伝達するようにさらに動作する、請求項６８に記載のシステム。
【請求項７１】
前記カード受け取り情報が、前記支払いに関連する前記ＭＦＴＳによって提供された取引番号、カード番号、および前記被支払人に関連するモバイル電話番号を備える、請求項７０に記載のシステム。
【請求項７２】
前記ＭＦＴＳソフトウェアが、前記カード受け取り情報を前記被支払人のモバイル装置に伝達するようにさらに動作する、請求項７０に記載のシステム。
【請求項７３】
無線ネットワークを介して通信のために接続されたモバイル装置を利用して価値保存（ＳＶ）カードを介して被支払人に対する金銭支払を実行するための方法であって、
前記モバイル装置において、価値保存（ＳＶ）カード支払方法によって実行される支払いのための被支払人を識別する情報のユーザ入力を受け取るステップと、
前記識別された被支払人に対応する情報を備えるモバイル支払命令を生成するステップと、
前記モバイル支払命令を前記ユーザモバイル装置からモバイル金銭取引システム（ＭＦＴＳ）に無線で伝達するステップであって、前記ＭＦＴＳが、ＳＶカードを被支払人に発行することができる支払命令受領者と通信のために結合される、ステップと、を備え、
それによって、前記ＭＦＴＳが、支払命令を支払命令受領者伝達し、前記支払命令受領者が、価値保存カードを介して前記識別された被支払人に対する支払いを達成する、方法。
【請求項７４】
被支払人を識別する前記ユーザ情報が、前記モバイル装置に事前保存された複数の名前の１つの選択によって被支払人を識別することを備える、請求項７３に記載の方法。
【請求項７５】
被支払人を識別する前記ユーザ情報が、モバイル番号のユーザ入力によって被支払人を識別することを備える、請求項７３に記載の方法。
【請求項７６】
複数の異なる支払方法の中からの、前記被支払人に対する前記支払いを達成するためのＳＶカード支払方法の使用のユーザ／支払人による選択に対応する情報を、前記ユーザモバイル装置において表示するステップをさらに備える、請求項７３に記載の方法。
【請求項７７】
選択可能な支払方法が、受領者定義方法、ＡＣＨ資金振替、小切手、および価値保存（ＳＶ）カードを含む、請求項７６に記載の方法。
【請求項７８】
前記支払命令受領者が、金融サービスプロバイダ、支払請求アグリゲータ、価値保存カード発行者、価値保存カードを取り扱う小売業者の１つである、請求項７３に記載の方法。
【請求項７９】
特定の日付時点の少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介して前記ユーザに表示するステップと、
をさらに備える、請求項７８に記載の方法。
【請求項８０】
前記ユーザモバイル装置において、前記支払いのための少なくとも１つの選択可能な支払元のユーザ選択を受け取るステップをさらに備える、請求項７３に記載の方法。
【請求項８１】
支払いを実行するための支払元の前記選択が、金融サービスプロバイダの選択、および前記支払いを実行するための前記選択された金融サービスプロバイダに関連づけられた特定の口座の選択を含む、請求項８０に記載の方法。
【請求項８２】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させ、
前記モバイル装置が、前記現在の口座情報を前記ユーザに表示する表示するように動作する、請求項８０に記載の方法。
【請求項８３】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項７３に記載の方法。
【請求項８４】
前記ユーザモバイル装置上でモバイルウォレットアプリケーションを提供するステップをさらに備える、請求項７３に記載の方法。
【請求項８５】
前記モバイルウォレットアプリケーションが、ペイエニワン・コマンド、支払元選択コマンド、および支払方法選択コマンドを含む選択可能なコマンドの表示を前記モバイル装置上で提供する、請求項８４に記載の方法。
【請求項８６】
支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項８５に記載の方法。
【請求項８７】
前記モバイルウォレットを介した支払元選択コマンドの表示に応答して、支払いを実行するための支払元の選択に対応するユーザ入力を受け取るステップをさらに備える、請求項８５に記載の方法。
【請求項８８】
前記支払いを実行するための支払元の前記選択が、金融サービスプロバイダの選択、および前記支払いを実行するための前記選択された金融サービスプロバイダに関連づけられた特定の口座の選択を含む、請求項８５に記載の方法。
【請求項８９】
前記支払命令受領者からの支払確認メッセージの受け取りに応答して、支払確認メッセージを前記モバイル装置において前記ＭＦＴＳから受け取るステップをさらに備える、請求項８８に記載の方法。
【請求項９０】
価値保存（ＳＶ）カード方法に加えて、受領者定義方法、ＡＣＨ資金振替方法、および小切手方法のうちの１つまたは複数を含む複数の選択可能な支払方法を前記モバイル装置上で提供するステップをさらに備える、請求項７３に記載の方法。
【請求項９１】
前記支払いが被支払人の既存ＳＶカードの貸方に記入することによって実行されることの確認のため、被支払人の既存ＳＶカードの口座番号を前記ユーザに表示するステップをさらに備える、請求項７３に記載の方法。
【請求項９２】
被支払人の既存ＳＶカードに対応する情報が、ＭＦＴＳデータベースに保存され、前記ユーザへの表示およびユーザコマンドによる確認のために前記ユーザモバイル装置に無線で伝達される、請求項９１に記載の方法。
【請求項９３】
被支払人の既存ＳＶカードの貸方に記入する目的で被支払人の既存ＳＶカードの口座番号を入力するためのデータ入力画面を前記モバイル装置上で提供するステップをさらに備える、請求項７３に記載の方法。
【請求項９４】
価値保存（ＳＶ）カードを介して被支払人に対する金銭支払を実行するモバイル装置であって、
モバイル通信サービスプロバイダを介してモバイル金銭取引システム（ＭＦＴＳ）と無線通信のために接続されるモバイル装置であって、ディスプレイと、ユーザ入力手段と、プロセッサと、メモリとを含むモバイル装置と、
前記モバイル装置プロセッサ上で動作するモバイル装置ソフトウェアであって、
前記モバイル装置において、価値保存（ＳＶ）カード支払方法によって実行される支払いのための被支払人を識別する情報のユーザ入力を受け取るコンピュータ実施ステップと、
前記識別された被支払人に対応する情報を備えるモバイル支払命令を生成するコンピュータ実施ステップと、
前記モバイル支払命令を前記ユーザモバイル装置からモバイル金銭取引システム（ＭＦＴＳ）に無線で伝達するステップであって、前記ＭＦＴＳが、ＳＶカードを被支払人に発行することができる支払命令受領者と通信のために結合される、コンピュータ実施ステップと、
を実行するためのプログラムコードを備えるモバイル装置ソフトウェアと、を備え、
それによって、前記ＭＦＴＳが、支払命令を支払命令受領者伝達し、前記支払命令受領者が、価値保存カードを介して前記識別された被支払人に対する支払いを達成する、モバイル装置。
【請求項９５】
被支払人を識別する前記ユーザ情報が、前記モバイル装置に事前保存された複数の名前の１つの選択によって被支払人を識別することを備える、請求項９４に記載の装置。
【請求項９６】
被支払人を識別する前記ユーザ情報が、モバイル番号のユーザ入力によって被支払人を識別することを備える、請求項９４に記載の装置。
【請求項９７】
前記モバイル装置が、複数の異なる支払方法の中からの、前記被支払人に対する前記支払いを達成するためのＳＶカード支払方法の使用のユーザ／支払人による選択に対応する情報を表示するようにさらに動作する、請求項９４に記載の装置。
【請求項９８】
選択可能な支払方法が、受領者定義方法、ＡＣＨ資金振替、小切手、および価値保存（ＳＶ）カードを含む、請求項９７に記載の装置。
【請求項９９】
前記支払命令受領者が、金融サービスプロバイダ、支払請求アグリゲータ、価値保存カード発行者、価値保存カードを取り扱う小売業者の１つである、請求項９４に記載の装置。
【請求項１００】
前記ユーザモバイル装置が、特定の日付時点の少なくとも１つの口座の残高を表すキャッシュされた口座残高を前記モバイル装置に保存し、
前記ユーザモバイル装置が、前記口座についての更新された口座残高情報を受け取り、更新された口座残高情報を前記ＭＦＴＳから前記ユーザモバイル装置に無線で伝達し、
前記ＭＦＴＳからの更新された口座残高情報の受け取りに応答して、前記ユーザモバイル装置が、前記口座に対応する更新された口座残高情報を前記ユーザに表示する、
請求項９９に記載の装置。
【請求項１０１】
前記モバイル装置が、前記ユーザモバイル装置において、前記支払いのための少なくとも１つの選択可能な支払元のユーザ選択を受け取るようにさらに動作する、請求項９４に記載の装置。
【請求項１０２】
支払いを実行するための支払元の前記選択が、金融サービスプロバイダの選択、および前記支払いを実行するための前記選択された金融サービスプロバイダに関連づけられた特定の口座の選択を含む、請求項１０１に記載の装置。
【請求項１０３】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させ、
前記モバイル装置が、前記現在の口座情報を前記ユーザに表示するように動作する、
請求項１０１に記載の装置。
【請求項１０４】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項９４に記載の装置。
【請求項１０５】
前記モバイルソフトウェアが、前記ユーザモバイル装置上にモバイルウォレットアプリケーションを備える、請求項９４に記載の装置。
【請求項１０６】
前記モバイルウォレットアプリケーションが、ペイエニワン・コマンド、支払元選択コマンド、および支払方法選択コマンドを含む選択可能なコマンドの表示を前記モバイル装置上で提供する、請求項１０５に記載の装置。
【請求項１０７】
支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項１０６に記載の装置。
【請求項１０８】
前記モバイル装置が、前記モバイルウォレットを介した支払元選択コマンドの表示に応答して、支払いを実行するための支払元の選択に対応するユーザ入力を受け取るようにさらに動作する、請求項１０６に記載の装置。
【請求項１０９】
前記支払いを実行するための支払元の前記選択が、金融サービスプロバイダの選択、および前記支払いを実行するための前記選択された金融サービスプロバイダに関連づけられた特定の口座の選択を含む、請求項１０６に記載の装置。
【請求項１１０】
前記モバイル装置が、前記支払命令受領者からの支払確認メッセージの受け取りに応答して、前記ＭＦＴＳからの支払確認メッセージを前記モバイル装置において受け取るようにさらに動作する、請求項９４に記載の装置。
【請求項１１１】
前記モバイル装置が、価値保存（ＳＶ）カード方法に加えて、受領者定義方法、ＡＣＨ資金振替方法、および小切手方法のうちの１つまたは複数を含む複数の選択可能な支払方法を前記モバイル装置上で提供するようにさらに動作する、請求項９４に記載の装置。
【請求項１１２】
前記モバイル装置が、前記支払いが被支払人の既存ＳＶカードの貸方に記入することによって実行されることの確認のため、被支払人の既存ＳＶカードの口座番号を前記ユーザに表示するようにさらに動作する、請求項９４に記載の装置。
【請求項１１３】
被支払人の既存ＳＶカードに対応する情報が、ＭＦＴＳデータベースに保存され、前記ユーザへの表示およびユーザコマンドによる確認のために前記ユーザモバイル装置に無線で伝達される、請求項１１２に記載の装置。
【請求項１１４】
前記モバイル装置ソフトウェアが、被支払人の既存ＳＶカードの貸方に記入する目的で被支払人の既存ＳＶカードの口座番号を入力するための入力画面を前記モバイル装置上で提供するようにさらに動作する、請求項９４に記載の装置。
【請求項１１５】
無線ネットワークを介して通信のために接続されたモバイル装置に応答して価値保存（ＳＶ）カードを介して被支払人に対する金銭支払を達成するための金銭取引システム（ＭＦＴＳ）用のコンピュータ実施方法であって、
モバイル装置からモバイル支払命令を無線で受け取るステップであって、前記モバイル支払命令が、価値保存カード支払方法に対応する情報および金額を少なくとも含む、ステップと、
前記モバイル支払命令の受け取りに応答して、前記支払いを受け取るための識別された被支払人に対応する情報、およびＳＶカード方法による支払いを指示する情報を決定するステップと、
ＳＶカードエンティティとの関係を維持する支払命令受領者に対するＭＦＴＳ支払命令を生成するステップであって、前記ＭＦＴＳ支払命令が、金額、前記識別された被支払人に対応する情報、およびＳＶカード支払方法による潜在的な支払いに対応する情報を少なくとも含む、ステップと、
前記ＭＦＴＳ支払命令を前記ＭＦＴＳから前記支払命令受領者に伝達するステップと、を備え、
それによって、前記支払命令受領者において、前記ＭＦＴＳ支払命令の受け取りに応答して、価値保存カードによる前記識別された被支払人に対する支払いが達成される、方法。
【請求項１１６】
前記モバイル支払命令が、前記ＭＦＴＳに事前保存された複数の名前の１つとして被支払人を識別する情報を含む、請求項１１５に記載の方法。
【請求項１１７】
前記モバイル支払命令が、モバイル番号によって被支払人を識別する情報を含む、請求項１１５に記載の方法。
【請求項１１８】
前記支払命令受領者が、金融サービスプロバイダ、支払請求アグリゲータ、価値保存カード発行者、価値保存カードを取り扱う小売業者の１つである、請求項１１５に記載の方法。
【請求項１１９】
特定の日付時点の少なくとも１つの口座の残高を表すキャッシュされた口座残高を前記モバイル装置に保存するステップと、
前記口座についての更新された口座残高情報を受け取るステップと、
更新された口座残高情報の受け取りに応答して、前記口座に対応する更新された口座残高情報を前記モバイル装置を介してユーザに表示するステップと、
をさらに備える、請求項１１８に記載の方法。
【請求項１２０】
ＳＶカードによる支払いが受け取り可能であることを通知する情報を前記被支払人に無線で伝達するステップをさらに備える、請求項１１５に記載の方法。
【請求項１２１】
前記モバイル支払命令が、前記支払いのための前記ユーザの少なくとも１つの選択可能な支払元を選択する情報をさらに含む、請求項１１５に記載の方法。
【請求項１２２】
支払いを実行するための支払元の前記選択が、金融サービスプロバイダの選択、および前記支払いを実行するための前記選択された金融サービスプロバイダに関連づけられた特定の口座の選択を含む、請求項１２１に記載の方法。
【請求項１２３】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させる、請求項１２１に記載の方法。
【請求項１２４】
前記モバイル金銭取引システム（ＭＦＴＳ）が、ユーザ情報、および少なくとも１つの金融サービスプロバイダに関連づけられた少なくとも１つの口座に関連づけられた支払元情報を保存するためのモバイル金銭取引システム（ＭＦＴＳ）データベースを含み、
前記ＭＦＴＳデータベースに事前保存された情報から前記情報を取り出すことによって、前記支払命令内で識別される金融サービスプロバイダにおける選択された口座に対応する情報を決定するステップをさらに備える、請求項１２１に記載の方法。
【請求項１２５】
前記ＭＦＴＳが、ユーザの金銭取引に対応する取引情報を保存し、前記取引情報が、前記支払いのステータスを追跡するために利用される他の情報に加えて、支払情報も含む、請求項１１５に記載の方法。
【請求項１２６】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項１２５に記載の方法。
【請求項１２７】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項１１５に記載の方法。
【請求項１２８】
前記ユーザモバイル装置上にインストールして使用するためのダウンロード可能モバイルウォレットアプリケーションを提供するステップをさらに備える、請求項１１５に記載の方法。
【請求項１２９】
前記モバイルウォレットアプリケーション上での支払元選択コマンドのユーザ活動化が、前記ＭＦＴＳに前記選択された金融サービスプロバイダから現在の口座情報を取り出させ、前記選択された金融サービスプロバイダからそのような情報を受け取ったときに現在の口座情報を前記モバイル装置に無線で伝達させる、請求項１２８に記載の方法。
【請求項１３０】
前記支払いを実行する際の所定の段階の完了に応答して、支払確認メッセージを前記ＭＦＴＳにおいて前記支払命令受領者から受け取るステップをさらに備える、請求項１１５に記載の方法。
【請求項１３１】
前記支払命令受領者からの前記支払確認メッセージの受け取りに応答して、支払確認メッセージを前記モバイル装置に無線で伝達するステップをさらに備える、請求項１３０に記載の方法。
【請求項１３２】
前記ＭＦＴＳが、インターネットなどのデータ通信ネットワークを介してユーザのコンピュータと電子通信のためにさらに結合され、
前記ＭＦＴＳに関連するウェブアプリケーションを提供するステップと、
金融サービスプロバイダ、金融サービスプロバイダにおける口座、および支払請求エンティティに対応するユーザ情報を前記ウェブアプリケーションを介して受け取るステップと、
前記ユーザモバイル装置を介して開始される支払いに関して使用するため、前記ウェブアプリケーションを介して入力された前記ユーザ情報をＭＦＴＳデータベースに保存するステップと、
をさらに備える、請求項１１５に記載の方法。
【請求項１３３】
前記ユーザモバイル装置を介して実行される取引に対応する取引情報を前記ウェブアプリケーションを介して取り出し、前記ユーザのコンピュータ上でユーザに表示するステップをさらに備える、請求項１３２に記載の方法。
【請求項１３４】
前記被支払人の既存ＳＶカードに対応する情報が、ＭＦＴＳデータベースに保存され、前記ユーザへの表示およびユーザコマンドによる確認のために前記ユーザモバイル装置に無線で伝達される、請求項１１５に記載の方法。
【請求項１３５】
被支払人の既存ＳＶカードの貸方に記入する目的で被支払人の既存ＳＶカードの口座番号に対応する情報を前記モバイル装置から受け取るステップをさらに備える、請求項１１５に記載の方法。
【請求項１３６】
支払いが前記ユーザによってＳＶカードを介して送られたことを前記被支払人に通知するメッセージを被支払人のモバイル装置に無線で伝達するステップと、
前記被支払人がＳＶカードを介して前記支払いを受け取ることを望む、選択された方式を指示する入力を前記被支払人のモバイル装置において前記被支払人から受け取るステップと、
をさらに備える、請求項１１５に記載の方法。
【請求項１３７】
前記被支払人のモバイル装置への前記メッセージが、テキストメッセージを備える、請求項１３６に記載の方法。
【請求項１３８】
前記被支払人のモバイル装置への前記メッセージが、前記被支払人のモバイル装置上にインストールされたモバイルウォレットアプリケーションを介して提供される、請求項１３６に記載の方法。
【請求項１３９】
前記被支払人がＳＶカードを介した支払いを受け取ることができる前記選択された方式が、前記支払いを被支払人の既存ＳＶカードの貸方に記入すること、および新規ＳＶカードの発行を含む、請求項１３６に記載の方法。
【請求項１４０】
新規ＳＶカードを介した支払いの受け取りの前記被支払人による指示に応答して、
前記新規ＳＶカードの受け取り場所を識別する情報の被支払人入力に応答して、前記新規ＳＶカードが入手できる特定の小売施設を識別する情報を前記被支払人に無線で伝達するステップ
をさらに備える、請求項１３９に記載の方法。
【請求項１４１】
前記ＳＶカード発行者が前記被支払人にカードを発行することを可能にし、ＳＶカードを支給する小売施設がＳＶカード受け取りのために前記被支払人の身元を確認することをさらに可能にするカード受け取り情報を前記ＳＶカード発行者に伝達するステップ
をさらに備える、請求項１３９に記載の方法。
【請求項１４２】
前記カード受け取り情報が、前記支払いに関連する前記ＭＦＴＳによって提供された取引番号、カード番号、および前記被支払人に関連するモバイル電話番号を備える、請求項１４１に記載の方法。
【請求項１４３】
前記カード受け取り情報を前記被支払人のモバイル装置に無線で伝達するステップをさらに備える、請求項１４１に記載の方法。
【請求項１４４】
無線ネットワークと通信のために接続されたモバイル装置からの通信に応答して価値保存カード支払を達成するためのシステムであって、
モバイル通信サービスプロバイダ（ＭＣＳＰ）を使用してユーザの１つまたは複数のモバイル装置と無線通信のために結合されるモバイル金銭取引システム（ＭＦＴＳ）であって、価値保存カードを介した支払いを達成する支払命令受領者と電子通信のために結合され、ユーザ情報および支払情報を保存するためのモバイル金銭取引システム（ＭＦＴＳ）データベースを含み、
ユーザモバイル装置からモバイル支払命令を無線で受け取るステップであって、前記モバイル支払命令が、価値保存カード支払方法に対応する情報および金額を少なくとも含む、コンピュータ実施ステップと、
前記モバイル支払命令の受け取りに応答して、前記支払いを受け取るための識別された被支払人に対応する情報、およびＳＶカード方法による支払いを指示する情報を決定するコンピュータ実施ステップと、
ＳＶカードエンティティとの関係を維持する支払命令受領者に対するＭＦＴＳ支払命令を生成するステップであって、前記ＭＦＴＳ支払命令が、金額、前記識別された被支払人に対応する情報、およびＳＶカード支払方法による潜在的な支払いに対応する情報を少なくとも含む、コンピュータ実施ステップと、
前記ＭＦＴＳ支払命令を前記ＭＦＴＳから前記支払命令受領者に伝達するコンピュータ実施ステップと、
を実行するためのプログラムコードを備えるＭＦＴＳソフトウェアを含む、モバイル金銭取引システム（ＭＦＴＳ）を備え、
それによって、前記支払命令受領者において、前記ＭＦＴＳ支払命令の受け取りに応答して、価値保存カードによる前記識別された被支払人に対する支払いが達成される、システム。
【請求項１４５】
前記モバイル支払命令が、前記ＭＦＴＳに事前保存された複数の名前の１つとして被支払人を識別する情報を含む、請求項１４４に記載のシステム。
【請求項１４６】
前記モバイル支払命令が、モバイル番号によって被支払人を識別する情報を含む、請求項１４４に記載のシステム。
【請求項１４７】
前記支払命令受領者が、金融サービスプロバイダ、支払請求アグリゲータ、価値保存カード発行者、価値保存カードを取り扱う小売業者の１つである、請求項１４４に記載のシステム。
【請求項１４８】
前記ＭＦＴＳソフトウェアが、ＳＶカードによる支払いが受け取り可能であることを通知する情報を前記被支払人に無線で伝達するようにさらに動作する、請求項１４４に記載のシステム。
【請求項１４９】
前記モバイル支払命令が、前記支払いのための前記ユーザの少なくとも１つの選択可能な支払元を選択する情報をさらに含む、請求項１４４に記載のシステム。
【請求項１５０】
支払いを実行するための支払元の前記選択が、金融サービスプロバイダの選択、および前記支払いを実行するための前記選択された金融サービスプロバイダに関連づけられた特定の口座の選択を含む、請求項１４９に記載のシステム。
【請求項１５１】
前記ＭＦＴＳが、前記口座についての更新された口座残高情報を取得するために前記金融サービスプロバイダと通信し、
前記ＭＦＴＳが、更新された口座残高情報を前記ＭＦＴＳから前記ユーザモバイル装置に無線で伝達し、
それによって、前記ＭＦＴＳからの更新された口座残高情報の受け取りに応答して、前記モバイル装置が、前記口座に対応する更新された口座残高情報を前記ユーザに表示する、
請求項１５０に記載のシステム。
【請求項１５２】
支払元の選択が、前記ＭＦＴＳに１つまたは複数の金融サービスプロバイダから現在の口座情報を取り出させ、前記１つまたは複数の金融サービスプロバイダからそのような情報を受け取ったときに前記現在の口座情報を前記モバイル装置に無線で伝達させる、請求項１５０に記載のシステム。
【請求項１５３】
前記モバイル金銭取引システム（ＭＦＴＳ）データベースが、少なくとも１つの金融サービスプロバイダに関連づけられた少なくとも１つの口座に関連づけられた支払元情報も保存し、
前記ＭＦＴＳソフトウェアが、前記ＭＦＴＳデータベースに事前保存された情報から前記情報を取り出すことによって、前記支払命令内で識別される金融サービスプロバイダにおける選択された口座に対応する情報を決定するようにさらに動作する、請求項１５０に記載のシステム。
【請求項１５４】
被支払人の既存ＳＶカードに対応する情報が、ＭＦＴＳデータベースに保存され、前記ユーザへの表示およびユーザコマンドによる確認のために前記ユーザモバイル装置に無線で伝達される、請求項１５３に記載のシステム。
【請求項１５５】
前記ＭＦＴＳが、ユーザの金銭取引に対応する取引情報を保存し、前記取引情報が、前記支払いのステータスを追跡するために利用される他の情報に加えて、前記支払情報も含む、請求項１４４に記載のシステム。
【請求項１５６】
前記取引情報が、以下の情報項目の１つまたは複数、すなわち、ユーザＩＤ番号、取引識別子、金額、金融サービスプロバイダ識別子、口座識別子、被支払人識別子、未完／完了フラグのうちの１つまたは複数を含む、請求項１５５に記載のシステム。
【請求項１５７】
少なくともいくつかの被支払人情報が、被支払人情報の入力のために前記ユーザによってアクセス可能なインターネットアクセス可能ウェブサイトを介して前記ユーザによって入力され、その後、前記ユーザへの表示のために前記モバイル装置に無線で伝達される、請求項１４４に記載のシステム。
【請求項１５８】
前記システムが、前記ユーザモバイル装置上にインストールして使用するためのダウンロード可能モバイルウォレットアプリケーションを提供する、請求項１４４に記載のシステム。
【請求項１５９】
前記モバイルウォレットアプリケーション上での支払元選択コマンドのユーザ活動化が、前記ＭＦＴＳに金融サービスプロバイダから現在の口座情報を取り出させ、前記金融サービスプロバイダからそのような情報を受け取ったときに現在の口座情報を前記モバイル装置に無線で伝達させる、請求項１５８に記載のシステム。
【請求項１６０】
前記ＭＦＴＳソフトウェアが、前記支払いを実行する際の所定の段階の完了に応答して、前記支払命令受領者からの支払確認メッセージを受け取るようにさらに動作する、請求項１４４に記載のシステム。
【請求項１６１】
前記ＭＦＴＳソフトウェアが、前記支払命令受領者からの前記支払確認メッセージの受け取りに応答して、支払確認メッセージを前記モバイル装置に無線で伝達するようにさらに動作する、請求項１６０に記載のシステム。
【請求項１６２】
前記ＭＦＴＳが、インターネットなどのデータ通信ネットワークを介してユーザのコンピュータと電子通信のためにさらに結合され、
前記ＭＦＴＳに関連するウェブアプリケーションであって、前記ＭＦＴＳが、金融サービスプロバイダ、金融サービスプロバイダにおける口座、および支払請求エンティティに対応するユーザ情報を前記ウェブアプリケーションを介して受け取るように動作する、ウェブアプリケーションをさらに備え、
前記ＭＦＴＳソフトウェアが、前記ユーザモバイル装置を介して開始される支払いに関して使用するため、前記ウェブアプリケーションを介して入力された前記ユーザ情報をＭＦＴＳデータベースに保存するようにさらに動作する、
請求項１４４に記載のシステム。
【請求項１６３】
前記ＭＦＴＳソフトウェアが、前記ユーザモバイル装置を介して実行される取引に対応する取引情報を前記ウェブアプリケーションを介して取り出し、前記ユーザのコンピュータ上でユーザに表示するようにさらに動作する、請求項１６２に記載のシステム。
【請求項１６４】
前記ＭＦＴＳソフトウェアが、被支払人の既存ＳＶカードの貸方に記入する目的で被支払人の既存ＳＶカードの口座番号に対応する情報を前記モバイル装置から受け取るようにさらに動作する、請求項１４４に記載のシステム。
【請求項１６５】
前記ＭＦＴＳソフトウェアが、
支払いが前記ユーザによってＳＶカードを介して送られたことを前記被支払人に通知するメッセージを被支払人のモバイル装置に無線で伝達し、
前記被支払人がＳＶカードを介して前記支払いを受け取ることを望む、選択された方式を指示する入力を前記被支払人のモバイル装置において前記被支払人から受け取る、
ようにさらに動作する、請求項１４４に記載のシステム。
【請求項１６６】
前記被支払人のモバイル装置への前記メッセージが、テキストメッセージを備える、請求項１６５に記載のシステム。
【請求項１６７】
前記被支払人のモバイル装置への前記メッセージが、前記被支払人のモバイル装置上にインストールされたモバイルウォレットアプリケーションを介して提供される、請求項１６５に記載のシステム。
【請求項１６８】
前記被支払人がＳＶカードを介した支払いを受け取ることができる前記選択された方式が、前記支払いを被支払人の既存ＳＶカードの貸方に記入すること、および新規ＳＶカードの発行を含む、請求項１６５に記載のシステム。
【請求項１６９】
前記ＭＦＴＳソフトウェアが、新規ＳＶカードを介した支払いの受け取りの前記被支払人による指示に応答して、
前記新規ＳＶカードの受け取り場所を識別する情報の被支払人入力に応答して、前記新規ＳＶカードが入手できる特定の小売施設を識別する情報を前記被支払人に無線で伝達するようにさらに動作する、請求項１６８に記載のシステム。
【請求項１７０】
前記ＭＦＴＳソフトウェアが、前記ＳＶカード発行者が前記被支払人にカードを発行することを可能にし、ＳＶカードを支給する小売施設がＳＶカード受け取りのために前記被支払人の身元を確認することをさらに可能にするカード受け取り情報を前記ＳＶカード発行者に伝達するようにさらに動作する、請求項１６８に記載のシステム。
【請求項１７１】
前記カード受け取り情報が、前記支払いに関連する前記ＭＦＴＳによって提供された取引番号、カード番号、および前記被支払人に関連するモバイル電話番号を備える、請求項１７０に記載のシステム。
【請求項１７２】
前記ＭＦＴＳソフトウェアが、前記カード受け取り情報を前記被支払人のモバイル装置に無線で伝達するようにさらに動作する、請求項１７０に記載のシステム。
【外国語明細書】
2010282605000001.pdf